(57)【要約】  （実質的に）ピストン燃焼室組み合わせ、チャンバー（１８６）を備えていること、それは内側チャンバー壁（１８５）によって制限され、愛想よく少なくとも第一の縦位置（２０８）とチャンバーの第二の縦位置（２０８’）の間の前記チャンバー壁に対して可動であるために前記チャンバーの内側のピストンを備えていている、チャンバーは言った、１番目および第二の縦位置の異なる断面積および異なる円周長さの断面を有していること、また少なくとも、連続的に異なる断面積、ピストンは言った、コンテナーを備えていること、弾力的に変形可能である。ピストンはそれのストレスフリーおよび不具でない状態のコンテナーの生産サイズを有しているために作製される。これは、外部の（２１０）が言った位置からの流体を導入するための組み合わせを備えている手段によって実施される、前記コンテナーの中にコンテナー、そのために前記コンテナーの加圧を可能にすること、またそのために拡大すること、コンテナーは言った、アクチュエータピストンの壁の平滑表面、少なくとも、そして近くであるまで連続的に、チャンバーの壁を備えたそのコンタクト域、そのために前記コンテナーを置き換えること、から、１つの、第二、そしてチャンバーの第一の縦位置へ。【選択図】  図１Ａ
2014527601.tif 000002
【特許請求の範囲】
【請求項１】
内側チャンバー壁（１５６、１８５、２３８）によって制限され、愛想よく少なくとも第一の縦位置とチャンバーの第二の縦位置の間の前記チャンバー壁に対して可動であるために前記チャンバーの内側のアクチュエータピストンを備えていているチャンバー（１６２、１８６、２３１）を備えているピストン燃焼室組み合わせ；
１番目および第二の縦位置に異なる断面積および異なる円周長さの断面を有している前記チャンバー、１番目と第二の縦位置の間の中間縦通材位置での少なくとも、連続的に異なる断面積および円周長さ、断面積よりも小さい前記第二の縦位置での断面積および円周長さ、および前記第一の縦位置での円周長さ実質的に
１番目と、チャンバーの前記中間のｌｏｎｇｉｍｄｉｎａｌな位置を介して第二の縦位置の間のピストンの相対動作の間に前記異なる断面積に同じことを適応させるピストンの異なる断面積、円周長さおよびチャンバーの異なる円周長さに備えて、弾力的に、そのために変形可能なコンテナー（２０８’と２０８、２１７、２１７。」２２８と２２８。」２５８と２５８。」４５０と４５０」）を備えている前記アクチュエータピストン；
アクチュエータピストンはピストンの円周長さが前記第二の縦位置の前記チャンバー（１６２、１８６、２３１）の円周長さとほぼ等価なそれの、ストレスフリーおよび不具でない状態でコンテナー（２０８’と２０８、２１７、２１７。」２２８と２２８。」２５８と２５８。」４５０と４５０」）の生産サイズを有しているために作製される、前記第二の縦位置から前記第一の縦位置へアクチュエータピストンの相対動作の間にそれの生産サイズからのピストンの膨張に備えて、チャンバーの長手方向に関して方向にその生産サイズからｔｒａｎｓｖｅｒｓａｌｌｙに、そのために拡張可能なコンテナー；
アクチュエータピストンの異なる断面積および円周長さに備えるのに弾力的に変形可能なコンテナー（２０８’と２０８、２１７、２１７。」２２８と２２８。」２５８と２５８。」４５０と４５０」）、事実によってそれを特徴づける；
ｏ  組み合わせは、位置からの流体を導入するための手段を備えている、外部、コンテナーは、前記コンテナーの加圧を可能にし、そのために、拡大して、前記コンテナーの中にそのために言った、コンテナーは言った；
ｏ  アクチュエータピストンの壁の平滑表面、少なくとも、そして近くであるまでｃｏｎｔｉｎｅｏｕｓｌｙに、チャンバーの壁を備えたそのコンタクト域；
第２からの、およびチャンバーの第一の縦位置への前記コンテナーをそのために置き換えること。
【請求項２】
内側チャンバー壁（１５６、１８５、２３８）によって制限され、愛想よく少なくとも第一の縦位置とチャンバーの第二の縦位置の間の前記チャンバー壁に対して可動であるために前記チャンバーの内側のアクチュエータピストンを備えていているチャンバー（１６２、１８６、２３１）を備えているピストン燃焼室組み合わせ；
１番目および第二の縦位置に異なる断面積および異なる円周長さの断面を有している前記チャンバー、１番目と第二の縦位置の間の中間縦通材位置での少なくとも、連続的に異なる断面積および円周長さ、断面積よりも小さい前記第二の縦位置での断面積および円周長さ、および前記第一のｌｏｎｇｉｍｄｉｎａｌな位置での円周長さ実質的に、
１番目と、チャンバーの前記中間縦通材位置を介して第二の縦位置の間のピストンの相対動作の間に前記異なる断面積に同じことを適応させるピストンの異なる断面積、円周長さおよびチャンバーの異なる円周長さに備えて、弾力的に、そのために変形可能なコンテナー（２０８’と２０８、２１７、２１７。」２２８と２２８。」２５８と２５８。」４５０と４５０」）を備えている前記アクチュエータピストン；
アクチュエータピストンはピストンの円周長さが前記第二の縦位置の前記チャンバー（１６２、１８６、２３１）の円周長さとほぼ等価なそれの、ストレスフリーおよび不具でない状態でコンテナー（２０８’と２０８、２１７、２１７。」２２８と２２８。」２５８と２５８。」４５０と４５０」）の生産サイズを有しているために作製される、前記第二の縦位置から前記第一の縦位置へアクチュエータピストンの相対動作の間にそれの生産サイズからのピストンの膨張に備えて、チャンバーの長手方向に関して方向にその生産サイズからｔｒａｎｓｖｅｒｓａｌｌｙに、そのために拡張可能なコンテナー；
アクチュエータピストンの異なる断面積および円周長さに備えるのに弾力的にｅｆｏｒｍａｂｌｅで、密閉空間を備えていているコンテナー；（２０８’と２０８、２１７、２１７。」２２８と２２８。」２５８と２５８。」４５０、４５０＊）
事実によってそれを特徴づける。
ｏ  組み合わせは、位置からの前記コンテナーの前記アクチュエータピストンと通信する密閉空間のボリュームを変化させるための手段を備えている、外部、コンテナーは前記コンテナーの加圧を可能にして、そのために言った、そしてそのために拡大すること、コンテナーは言った；
ｏ  アクチュエータピストンの壁の平滑表面、少なくとも、そして近くであるまでｃｏｎｔｉｎｅｏｕｓｌｙに、チャンバーの壁を備えたそのコンタクト域；
そして、そのために、第二からｈａｍｂｅｒの第一の縦位置へ前記コンテナーを置き換える。
【請求項３】
請求項１または２に記載のピストン燃焼室組み合わせ、そこで、ｓｅａｌｉｎｇｌｙに前記チャンバー壁に対して可動べき前記チャンバーの内側の、またはそのチャンバーの外側の前記アクチュエータピストン。
【請求項４】
請求項１、２または３のいずれか１項に記載のピストン燃焼室組み合わせ、そこで、前記チャンバーの一部、位置した、前記アクチュエータピストンに隣接している、チャンネル、または大気を通って互いと通信している。
【請求項５】
請求項１−４のいずれか１項によるピストン燃焼室組み合わせ（そこではチャンバーは細長い）。
【請求項６】
請求項１−４のいずれか１項によるピストン燃焼室組み合わせ（そこではチャンバーは円形である）。
【請求項７】
．
請求項６に記載のピストン燃焼室組み合わせ（そこではチャンバーはｃｉｒｃｌｅｒｏｕｎｄ中心軸のまわりで形成される）。
【請求項８】
請求項１−７のいずれか１項に記載のピストン燃焼室組み合わせ（そこではアクチュエータピストンは減圧され、チャンバーの壁で係合していない）。
【請求項９】
請求項８に記載のピストン燃焼室組み合わせ（そこでは第一からチャンバーの第二の縦位置へピストンは移動している）。
【請求項１０】
請求項１−７のいずれか１項に記載のピストン燃焼室の組み合わせ（そこではチャンバーの壁のｌｅｎｇｈの一部は前記チャンバーの中心軸と平行である）。
【請求項１１】
請求項１０に記載のピストン燃焼室の組み合わせ。（そこではチャンバーの前記壁はアクチュエータピストンのストロークの終わりに位置する）
【請求項１２】
請求項１−７のいずれか１項に記載のピストン燃焼室組み合わせ。（そこではコンテナー（２０８’、２０８、２１７、２１７、２２８、２２８、２５８、２５８、４５０、４５０）は、変形可能材料（２０５、２０６）を備えていている）
【請求項１３】
請求項１２に記載のピストン燃焼室組み合わせ（そこでは変形可能材料（２０５、２０６）は流体または水、スチームおよび／または気体または泡などの流体の混合物である）。
【請求項１４】
請求項１２または１３に記載のピストン燃焼室組み合わせ（長手方向を介して断面では、そこでは、チャンバー（１８６と２３１）の第一の縦位置に位置する場合、コンテナーは前記チャンバーの第２の縦位置に位置する場合コンテナーの第二の形とは異なる第一の形を有している）。
【請求項１５】
請求項１４に記載のピストン燃焼室組み合わせ、少なくとも変形可能材料（２０６）の一部はどこで圧縮可能か、また、第一のものがどこで形づくるか、第２のエリアよりも大きいエリアを有している、形づくる。
【請求項１６】
請求項１４に記載のピストン燃焼室組み合わせ（そこでは変形可能材料（２０６）は少なくとも、実質的に圧縮不可能である）。
【請求項１７】
請求項１−７のいずれか１項に記載のピストン燃焼室組み合わせ（そこではコンテナーは膨張式である）。
【請求項１８】
請求項１−７のいずれか１項に記載のピストン燃焼室組み合わせ、コンテナー（２０８’、２０８、２１７、２１７、２２８、２２８、２５８、２５８、４５０、４５０）は、どこで付加的に密閉空間（２１０、２４３）を備えているか、変形可能なコンテナーで共同ミリミクロンｎｉｃａｔｉｎｇすること。
【請求項１９】
請求項１８に記載のピストン燃焼室組み合わせ（そこでは第一の密閉空間（それは前記密閉空間と通信している）を通って前記コンテナーの中にコンテナーが終っていると位置外側からの流体の前記導入は言った）。
【請求項２０】
請求項１、３〜７のいずれか１項に記載のピストン燃焼室組み合わせ、前記コンテナーの短縮を可能にして、ピストンに前記コンテナーから位置へ流体をそのために移すためのさらに備えている手段。
【請求項２１】
請求項２０に記載のピストン燃焼室組み合わせ（そこでは第二の密閉空間（それは前記密閉空間と通信している）を通って流体の除去は終っている）。
【請求項２２】
請求項２−７または１８のいずれか１項に記載のピストン燃焼室組み合わせ（そこでは前記手段は前記ピストンの前記密閉空間と通信している）は、前記密閉空間のボリュームを変化させて増加することによりボリュームおよびそのために減圧する前記アクチュエータピストンを言い、それによって、前記コンテナーの短縮を可能にした。
【請求項２３】
請求項２２に記載のピストン燃焼室組み合わせ（そこではピストンは少なくとも第一から前記チャンバーの第二の縦位置へ前記チャンバー壁に対して可動である）。
【請求項２４】
請求項１−７のいずれか１項に記載のピストン燃焼室組み合わせ、（そこではコンテナー（２０８’、２０８、２１７、２１７’、２２８、２２８、２５８、２５８、４５０、４５０）の壁は、曲げることができるｒｅｉｎｆｏｒｍｅｎｔ層を備えている）
【請求項２５】
請求項１〜２４のいずれか１項に記載のピストン燃焼室組み合わせ、コンテナーの接触面およびチャンバーの壁の断面は、どこで切れっているか、長手方向での前記コンテナーの中心軸、ほぼちょうどわきに、第二の縦位置の横のコンテナーの弾力的に変形可能な壁の前記断面の中間点。
【請求項２６】
請求項２５に記載のピストン燃焼室組み合わせ、コンテナーの接触面およびチャンバーの壁の断面は、どこで切れっているか、ほぼ第二の縦位置の横のコンテナーの弾力的に変形可能な壁の前記断面の中間点の外側の長手方向での前記コンテナーの中心軸。
【請求項２７】
請求項１２、１７、２０または２２のいずれか１項に記載のピストン燃焼室組み合わせ（そこではａｃｔｕｔｏｒピストンはピストンロッド（それは前記密閉空間を備えていている）を備えていている）。
【請求項２８】
請求項２６に記載のピストン燃焼室組み合わせ（そこではピストンロッドは手段外側がチャンバーを言ったことを保証することを備えていている）。
【請求項２９】
請求項２８に記載のピストン燃焼室組み合わせ、さらにクランクを備えていることは適合させた、チャンバーの第２と第１縦位置間のピストンの運動をクランクの回転に翻訳する。
【請求項３０】
請求項２８に記載のピストン燃焼室組み合わせ（そこでは第一からピストンの第二のｌｏｎｇｉｔｕｃｉｉｎａｌな位置へクランクはその回転をピストンの移動に翻訳している）。
【請求項３１】
請求項１９、２１または２８のいずれか１項に記載のピストン燃焼室組み合わせ（そこではクランクは前記第一を備えていており、第二の密閉空間を言った）。
【請求項３２】
請求項１−７のいずれか１項に記載の組み合わせ（そこではそれの第２の縦位置の前記チャンバーの断面積は、それの第一の縦位置の前記チャンバーの断面積の９５−１５％である）。
【請求項３３】
請求項１−７のいずれか１項に記載の組み合わせ（そこではそれの第２の縦位置の前記チャンバーの断面積は、それの第一の縦位置の前記チャンバーの断面積のほぼ５０％である）。
【請求項３４】
請求項１−７のいずれか１項に記載の組み合わせ（そこではそれの第２の縦位置の前記チャンバーの断面積は、それの第一の縦位置の前記チャンバーの断面積のほぼ５％である）。
【請求項３５】
請求項１−６のいずれか１項に記載の組み合わせ、そこで、長手の凸状形状の壁を備えている前記チャンバー、第一の縦位置の近くの横断面の断面、断面が共通の境界によって互いからｕｐｄｉｖｉｄｅｄされると言った、２つの次の共通の境界の間の距離は、前記長手の壁のｈｅｉｇｔｈを定義する、横断面の断面、前記ｈｅｉｇｔｈｓは、前記チャンバーの圧力に関しての前記アクチュエータピストンの増加する過剰圧力割合によって減少している、横断面の共通の境界の横断線長さは前記アクチュエータピストンの最大仕事力によって決定される。それは前記共通の境界のための一定で選ばれる。
【請求項３６】
請求項１−６のいずれか１項に記載の組み合わせ、そこで、長手の凸状形状の壁を備えている前記チャンバー、第一の縦位置の近くの横断面の断面、断面が共通の境界によって互いからｕｐｄｉｖｉｄｅｄされる、２つの次の共通の境界の間の距離は、前記長手の壁の−ｈｅｉｇｔｈを定義する、横断面の断面、前記ｈｅｉｇｔｈｓは、第一の長手ポストイオンから第二の縦位置へ方向において減少している、横断面の共通の境界の横断線長さは前記アクチュエータピストンの最大仕事力によって決定される、どれが前記共通の境界のための一定で選ばれるか。
【請求項３７】
請求項３５または３６に記載の組み合わせ（そこでは前記チャンバーは前記チャンバーの中心軸と平行な壁をさらに備えていている）。
【請求項３８】
請求項３５−３７のいずれか１項に記載の組み合わせ（そこでは前記チャンバーはさらに凹状形状の壁を備えていている）。
【請求項３９】
請求項３８に記載の組み合わせ。（そこでは前記チャンバーは前記凸状形状の壁の間の遷移をさらに備えていており、並列の壁（そこでは前記遷移は凹状形状の壁を備えていていることがある）を言った）
【請求項４０】
緩衝装置を備えていること：
請求項１〜３９のうちのいずれか１項による組み合わせ；
―  チャンバーの外側の位置からのピストンに係合するための手段、そこで、係合は意味する、ピストンがチャンバーの第一の縦位置にある、外側位置、およびピストンが第２の縦位置にある内側位置を有している。
【請求項４１】
請求項４０に記載の緩衝装置、コンテナーと通信する密閉空間をさらに備えていること
【請求項４２】
請求項４１に記載の緩衝装置（そこでは密閉空間は可変ボリュームを有している）。
【請求項４３】
請求項４１に記載の緩衝装置（そこでは密閉空間は一定容積量を有している）。
【請求項４４】
請求項４１に記載の緩衝装置（そこでは密閉空間はａｄｊｕｓｔｉｂｌｅである）。
【請求項４５】
コンテナーおよび取り囲まれた空間形、流体（ピストンが第一からチャンバーの第２の縦位置へ移動する場合に圧縮した流体）を備えている実質的に密封したキャビティを備えた、請求項４１−４４のいずれか１項による緩衝装置。
【請求項４６】
流体（次のものを備えているポンプ）を汲むためのポンプ：
請求項１−３９のいずれか１項に記載の組み合わせ；
チャンバーの外側の位置からの第二のチャンバーの第二のピストンに係合するための手段；
第２のチャンバーに接続され、バルブを備えている−ａ流体入り口は意味する、そして；
流体出口は第２のチャンバーへ接続した。
【請求項４７】
流体（次のものを備えているポンプ）を汲むためのポンプ：
請求項１−３９のいずれか１項に記載の組み合わせ；
―  チャンバーの外側の位置からのチャンバーのピストンに係合するための手段；
チャンバーに接続され、バルブを備えている流体入り口は意味する、
流体出口はチャンバーへ接続した。
【請求項４８】
請求項４６または４７に記載のポンプ、そこで、係合は意味する、ピストンがチャンバーの第一の縦位置にある、外側位置、およびピストンがチャンバーの第２の縦位置にある内側位置を有している。
【請求項４９】
請求項４６または４７に記載のポンプ、そこで、係合は意味する、ピストンがチャンバーの第２の縦位置にある、外側位置、およびピストンがチャンバーの第一の縦位置にある内側位置を有している。
【請求項５０】
モーター、明確には自動車用エンジン中の請求項１または２に記載のピストン燃焼室組み合わせの使用。
【請求項５１】
モーター、それが備えているという事実によって特徴づけられた、請求項１によってピストン燃焼室組み合わせをここに取り付ける。
【請求項５２】
モーター、それが備えているという事実によって特徴づけられた、請求項２によってピストン燃焼室組み合わせをここに取り付ける。
【請求項５３】
クランクシャフトが、１つの終わり、および前記アクチュエータピストンの密閉空間を備えたもう１つの端で外圧出所と通信して、第二の密閉空間を備えていている、請求項１、３−３９、４６−５１のいずれか１項に記載のモーター。
【請求項５４】
クランクシャフトが第三を備えていている請求項５３に記載のモーターは、アクチュエータピストンの密閉空間を通信して、空間を取り囲んだ、また、ｒｅｐｒｅｓｓｕｒａｔｉｏｎポンプ（それは電気モーターと通信している）と通信するもう１つの端で、前記モーターはそれを得る、バッテリーからのエネルギー、それはソーラーパワーなどのエネルギー源またはＨ２燃料電池などの燃料電池によって課される、６ｒ、前記メイン車軸と通信しているオルタネーター。
【請求項５５】
請求項５４に記載のモーター、前記オルタネーターはそこでに車軸と通信しているか、１つの、ａｕｘｉｌｉａｒｌｙに、Ｈ２を焼成している燃焼モータなどの電源は、導電性水の電気分解、および大気の０２、外部的に充填することができるタンクからの水造粒に由来した。
【請求項５６】
請求項５４に記載のモーター、最後の言及されたポンプは、そこでに車軸と通信しているか、１つの、ａｕｘｉｌｉａｒｌｙに、Ｈ２を焼成している燃焼モータなどの電源は、導電性水の電気分解、および大気の０２、外部的に充填することができるタンクから来る水に由来した。
【請求項５７】
請求項５３に記載のモーター（そこでは圧力源と前記アクチュエータピストンの密閉空間の間の連絡は、各クランクシャフト回転の一部の間中起こる）。
【請求項５８】
請求項５４に記載のモーター（そこでは前記ピストンの密閉空間とｒｅｐｒｅｓｓｕｒａｔｉｏｎ小滝の間の連絡は、各クランクシャフト小湖の一部の間中起こる）。
【請求項５９】
請求項５７又は請求項５８に記載のモーター（そこでは前記連絡は互いからそのうちに分離される）。
【請求項６０】
前記連絡は、前記モーターのメインの車軸と電気的に通信しているコンピューターによってコントロールされて、Ｔ−バルブによっておこなわれる請求項５９に記載のモーター。
【請求項６１】
請求項６０に記載のモーター（そこでは前記Ｔ−バルブへの給水路の圧力および／またはボリュームは、低減バルブによってコントロールされている）は、速度加減装置によって低減バルブがコントロールしていた。
【請求項６２】
請求項６１に記載のモーター、前記低減バルブは、どこで少なくとも１つのどのポンプがメインのアクセルと通信しているかに、圧力貯蔵器船舶（それはポンプのｒｅｐｒｅｓｓｕｒａｔｉｏｎ小滝と通信している）と通信しているか［別のクランクシャフトを介して、前記クランクシャフトに、］少なくとも１つのポンプが電気モーターと通信している間、前記モーターはそれを得る、ソーラーパワーなどのエネルギー源によって課されるバッテリーからのエネルギー、あるいはＨ２燃料電池などの燃料電池、または前記メイン車軸と通信しているオルタネーター。
【請求項６３】
請求項６２に記載のモーター、前記オルタネーターはそこでに車軸と通信しているか、１つの、ａｕｘｉｌｉａｒｌｙに、電源、燃焼モータなどの、導電性水の電気分解からのＨ２を焼成している、また大気の０２、水、タンクから来ること、外部的に充填することができる。
【請求項６４】
請求項６３に記載のモーター、最後の言及されたポンプは、そこでに車軸と通信しているか、１つの、ａｕｘｉｌｉａｒｌｙに、電源、燃焼モータなどの、導電性水の電気分解からのＨ２を焼成している、また大気の０２、水、タンクから来ること、外部的に充填することができる。
【請求項６５】
請求項６２−６４のいずれか１項に記載のモーター（そこでは前記ポンプはピストンポンプまたは回転ポンプである）。
【請求項６６】
請求項２−３９のいずれか１項に記載のモーター、４６−５１、密閉空間、第２の密閉空間および第三は、どこで空間形を取り囲んだか、クローズドのキャビティ。
【請求項６７】
請求項６６に記載のモーター（そこでは前記キャビティの圧力はピストン燃焼室組み合わせによってコントロールされている）、どれ、低減バルブ（それは速度加減装置によってコントロールされる）によってコントロールされる双方向ピストン燃焼室組み合わせと通信すること
【請求項６８】
請求項６７に記載のモーター（そこでは前記双方向アクチュエータピストンチャンバー組み合わせは、どれが圧力容器と通信しているかである）は、どの少なくとも１つがメインのアクセルと通信しているかに、ポンプのｒｅｐｒｅｓｓｕ−定量小滝と船舶が通信している［別のクランクシャフトを介して、前記クランクシャフトに、少なくとも１つのポンプが電気モーターと通信している間、前記モーターはそれを得る］エネルギー源によって課されるバッテリーからのエネルギー、ソーラーパワー（Ｈ２燃料電池（前記メイン車軸と通信しているオルタネーターによるおよび／または）などの燃料電池からの電気によるおよび／または）などの。
【請求項６９】
請求項６８に記載のモーター、最後の言及されたポンプは、そこでに車軸と直接通信しているか、ａｕｘｉｌｉａｒｌｙに、電源、燃焼モータなどの、Ｈ２を焼成している、導電性水の電気分解に由来した、また大気からの０２、水、タンクから来ること、充填することができる、また、導電性手段貯蔵タンクから必要な場。
【請求項７０】
請求項６７−６９のいずれか１項に記載のモーター（そこではピストン燃焼室組み合わせ（それは前記圧力容器と通信している）によって前記キャビティの圧力は付加的にコントロールされている）。
【請求項７１】
コンピューターによって前記モーターのメインの車軸と電子的に通信している、請求項６５に記載のモーター（そこではピストンのクローズドのキャビティの圧力はピストン燃焼室組み合わせによってコントロールされる）。
【請求項７２】
カム輪を介して前記モーターのメインの車軸（それはカム軸と通信している）と通信している、請求項６５に記載のモーター（そこではピストンのクローズドのキャビティの圧力はピストン燃焼室組み合わせによってコントロールされる）。
【請求項７３】
請求項６１または７０に記載のモーター（そこでは前記ポンプはピストンポンプまたは回転ポンプである）。
【請求項７４】
請求項１−４、６−７３のいずれか１項によるモーター（そこではピストンはチャンバーの中心軸の回りを回転している）。
【請求項７５】
請求項１−４、６−７３のいずれか１項によるモーター（そこではチャンバーは回転している）。
【請求項７６】
請求項７４又は請求項７５に記載のモーター（そこではピストンとチャンバーは回転している）。
【請求項７７】
請求項７４−７６のいずれか１項に記載のモーター（そこではアクチュエータピストンチャンバー組み合わせは少なくとも２つの下位チャンバー（それはアクチュエータピストンを備えていている）を備えていている）は、互いの継続（それによって下位チャンバーの第一の環状位置は別の隣接した下位チャンバーの第二の円形ポストイオンに隣接している）の中で下位チャンバーがｐｏｓｉｔｏｎｅｄされる。
【請求項７８】
請求項７７に記載のモーター（そこでは下位チャンバーは同一である）。
【請求項７９】
請求項７８に記載のモーター（そこでは下位チャンバーはそれぞれアクチュエータピストンを備えていている）は、ピストンがそれぞれ互いに関して１つの下位チャンバーごとに異なる環状位置に位置するところで、ピストンが同一である。
【請求項８０】
請求項７４−７９のいずれか１項に記載のモーター（そこではピストンの形はストロークの間中変わっていない）。
【請求項８１】
請求項６２または６８に記載のモーター（そこでは圧力容器はプラグ接続できる連結を通じて外圧出所によって加圧されている）。
【請求項８２】
請求項５４、６２または６８のいずれか１項に記載のモーター（そこではｐｌｕｇｇａｂｅ連結を介して外部電力出所によってバッテリーは課されている）。
【請求項８３】
ｓｅａｌｉｎｇｌｙに少なくとも１位の間の前記チャンバーおよび前記チャンバーの第二の縦位置に対して可動ために、内側チャンバー壁（７１、７３、７５）によって制限され、ピストンを備えていている細長いチャンバー（７０）を備えているピストン燃焼室組み合わせは、前記チャンバーで意味する；（７６’と７６、１６３）；
１番目の間の中間縦通材位置およびそれの第二の縦位置で１番目および前記チャンバーの第二の縦位置の異なる断面積および連続的に異なる断面積の断面を有している前記チャンバー、第２の縦位置での断面積よりも大きい第一の縦位置での断面積実質的に；
前記ピストンはそれ自体を適合させるように設計されることを意味し、前記中間縦通材位置を介して第一の縦位置から前記チャンバーの第２の縦位置へ前記ピストン手段の相対動作の間に前記チャンバーの前記異なる断面積に密閉する手段を言った；
事実によってそれを特徴づける；
ピストンは意味する（７６’と７６、１６３、１８９、１８９」）次のものを備えている：
共通の部材に回転自在に固定された複数の少なくとも、実質的に堅い支持体部材（８１、８２、１８４）（６、２３、４５、１８０）；
弾力的に変形可能な手段（７９）の中で提供されている前記支持体部材、チャンバー（７０）の内壁（７１、７３、７５、１５５、１５６、１５７、１５８）に対して密閉することのための、によって前記支持体部材を支持する、チャンバー（７０）の縦の軸（１９）に対して１０°および４０°の間で回転可能な支持体部材は言った；
―  支持体部材（８１、８２、１８４）は曲げることができる。
【請求項８４】
請求項８３に記載のピストン燃焼室組み合わせ、そこで、ｓｅａｌｉｎｇｌｙに前記チャンバー壁に対して可動べき前記チャンバーの内側の、またはそのチャンバーの外側の前記ピストン。
【請求項８５】
請求項８３に記載のピストン燃焼室組み合わせ（そこでは前もって定義した曲がることを有している支持体部材は強要する）。
【請求項８６】
請求項８３に記載のピストン燃焼室組み合わせ（そこでは支持体部材（８１、８２、１８４）は少なくとも縦の軸（１９）とほぼ平行なように回転可能である）。
【請求項８７】
請求項８３に記載のピストン燃焼室組み合わせ（そこでは弾力的に変形可能な手段（７９）はポリウレタンフォームで作られている）。
【請求項８８】
請求項８７に記載のピストン組み合わせ（そこではＰＵ泡はポリ−ｕｒｅｆｈａｎｅメモリ泡およびポリウレタンフォームを備えていている）。
【請求項８９】
請求項８８に記載のピストン燃焼室組み合わせ、ポリウレタンフォームはどこで大部分を備えていているか、ポリウレタンメモリ泡である、また小さな部分ポリウレタンフォーム。
【請求項９０】
請求項８７−８９のいずれか１項に記載のピストン燃焼室組み合わせ（そこではポリウレタンフォームは可撓な不透水層が提供されている）。
【請求項９１】
請求項９０に記載のピストン燃焼室組み合わせ。（そこでは不透水層は円周がほぼ第二の長手または環状位置のチャンバーの壁の円周である無強勢の生産サイズを有している）
【請求項９２】
請求項８３または８６に記載のピストン燃焼室組み合わせ（そこでは共通の部材はクランクシャフトに付けられている）。
【請求項９３】
請求項８３または８８に記載のピストン燃焼室組み合わせ（そこではピストン燃焼室組み合わせ（それは外部の双方向アクチュエーターである）に共通の部材は付けられている）。
【請求項９４】
ｓｅａｌｉｎｇｌｙに少なくとも１位の間の前記チャンバーおよび前記チャンバーの第二の縦位置に対して可動ために、内側チャンバー壁（７１、７３、７５）によって制限され、ピストンを備えていている細長いチャンバー（７０）を備えているピストン燃焼室組み合わせは、前記チャンバーで意味する；（７６’と７６、１６３）
１番目の間の中間縦通材位置およびそれの第二の縦位置で１番目および前記チャンバーの第二の縦位置の異なる断面積および連続的に異なる断面積の断面を有している前記チャンバー、第２の縦位置での断面積よりも大きい第一のｌｏｎｇｉｍｄｉｎａｌな位置での断面積実質的に
前記ピストンはそれ自体を適合させるように設計されることを意味し、前記中間縦通材位置を介して第一の縦位置から前記チャンバーの第２の縦位置へ前記ピストン手段の相対動作の間に前記チャンバーの前記異なる断面積に密閉する手段を言った；
事実によってそれを特徴づける；
ピストンは意味する（４９’と４９）次のものを備えている：
車軸（４４）によってピストンロッド（４５）に回転自在に固定された複数の少なくとも、実質的に堅い支持体部材（４３）；
支持されている前記支持体部材、１つの、密閉は（４１）を意味する、密閉がチャンバー（７０）の内壁（７１、７３、７５、１５５、１５６、１５７、１５８）に対して密閉することのためのスプリング４２に支持されることを意味する、間に回転可能な支持体部材は言った！０、およびチャンバー（７０）の縦の軸（１９）に対して°；
可撓な不浸透性の膜（シート）（４０）は前記密閉する手段（Ｏリング）（４１）に装着され、前記チャンバー（１）の中心軸（１９）に垂直で位置する；
前記膜（可撓な不浸透性のシート）はｒｅｉｎｆｏｒｍｅｎｔ層を備えていている、支持体部材（手段）が可撓な不浸透性の膜（シート）を言いスプリングを言った、（嘘つき）と密閉する手段（Ｏリング）は言った、互いの上で硫黄で処理される。
【請求項９５】
請求項９４に記載のピストン燃焼室組み合わせ（そこでは支持体部材（８１−、８２と１８４）（手段）は少なくとも縦の軸（１９）とほぼ平行なように回転可能である）。
【請求項９６】
請求項９４に記載のピストン燃焼室組み合わせ。（そこでは前記可撓なｒｅｉｎｆｏｒｍｅｎｔ層（シート）はスパイラルの形状の強化材を備えていている）
【請求項９７】
請求項９４に記載のピストン燃焼室組み合わせ。（そこでは前記ｒｅｉｎｆｏｒｍｅｎｔ層（シート）は前記チャンバーの中心軸のまわりで位置して、同心的に形状の強化材を備えていている）
【請求項９８】
請求項９４に記載のピストン燃焼室組み合わせ、そこで、前記可撓な不浸透性の膜（シート）有していること、１つの、前記チャンバーの前記中心軸の中心軸を備えた９０°角度以上に。
【請求項９９】
請求項９８に記載のピストン燃焼室組み合わせ（そこでは前記可撓な不浸透性の膜（シート）は前記ピストンロッドに装着される）。
【請求項１００】
請求項９８に記載のピストン燃焼室組み合わせ（そこでは前記可撓な不浸透性の膜（シート）は前記ピストンロッド上で硫黄で処理される）。
【請求項１０１】
請求項８３または９４に記載のピストン燃焼室組み合わせ（そこでは共通の部材はピストン燃焼室組み合わせに含まれる）。
【請求項１０２】
請求項９４に記載のピストン燃焼室組み合わせ（そこでは可撓な不浸透性のシートは泡に支持されている）。
【請求項１０３】
請求項１０２に記載のピストン燃焼室組み合わせ（そこでは堅い部材（それはピストンロッドに回転自在に固定される）で前記泡は強化されている）。
【請求項１０４】
愛想よく少なくとも第一の縦位置とチャンバーの第二の縦位置の間の前記チャンバー壁に対して可動ために、内側チャンバー壁（１５６、１８５、２３８）によって制限され、ピストンを備えていているチャンバー（１６２、１８６、２３１）を備えているピストン燃焼室組み合わせは、前記チャンバーの内側の意味する；
１番目および第二の縦位置に異なる断面積および異なる円周長さの断面を有している前記チャンバー、１番目と第二の縦位置の間の中間縦通材位置での少なくとも、連続的に異なる断面積および円周長さ、断面積よりも小さい前記第二の縦位置での断面積および円周長さ、および前記第一の縦位置での円周長さ実質的に
前記ピストンは１番目と、チャンバーの前記中間縦通材位置を介して第二の縦位置の間のピストンの相対動作の間に前記異なる断面積に同じことを適応させるピストンの異なる断面積、円周長さおよびチャンバーの異なる円周長さに備えて、弾力的に、そのために変形可能なコンテナー（２０８’と２０８、２１７、２１７。」２２８と２２８。」２５８と２５８。」４５０と４５０」）を備えていることを意味する；
ピストンは意味する、ピストンの円周長さが前記第二の縦位置の前記チャンバー（１６２、１８６、２３１）の円周長さとほぼ等価なそれの、ストレスフリーおよび不具でない状態でコンテナー（２０８’と２０８、２１７、２１７。」２２８と２２８。」２５８と２５８。」４５０と４５０」）の生産サイズを有しているために作製される、前記第二の縦位置から前記第一の縦位置へアクチュエータピストンの相対動作の間にそれの生産サイズからのピストンの膨張に備えて、チャンバーの長手方向に関して方向にその生産サイズからｔｒａｎｓｖｅｒｓａｌｌｙに、そのために拡張可能なコンテナー；
アクチュエータピストンの異なる断面積および円周長さに備えるのに弾力的に変形可能なコンテナー（２０８’と２０８、２１７、２１７。」２２８と２２８。」２５８と２５８。」４５０と４５０」）、事実によってそれを特徴づける；
ピストンは意味する（９２’、９２、１４６、１４６、１６８、１６８、２０８、２０８、２２２、２２２、２２２”）変形可能材料（１０３と１０３、１２４と１２４、１３６、１３７、１７３、１７３、１７４と１７４、２０５と２０５、２０６と２０６、２１５と２１５、２１９、２１９」）を備えている弾力的に変形可能なコンテナーを備えている。
【請求項１０５】
請求項１０４に記載のピストン燃焼室組み合わせ、そこで、ｓｅａｌｉｎｇｌｙに前記チャンバー壁に対して可動べき前記チャンバーの前記コンテナー。
【請求項１０６】
請求項１０４または１０５に記載のピストン燃焼室組み合わせ。（そこでは変形可能材料（１０３’と、０３、１２４、１２４、１３６、１３７、１７３、１７３、１７４、と１７４、２０５、２０５、２０６、２０６、２１５、２１５、２１９、２１９）は、流体または水、スチームおよび／または気体または泡などの流体の混合物である）
【請求項１０７】
請求項１０６に記載のピストン燃焼室組み合わせ。（そこでは変形可能材料（１２４’、１２４、１３６、１７４、１７４、２０５、２０５、２１９、２１９）は、少なくとも、実質的に圧縮不可能である）
【請求項１０８】
請求項１０６または１０７に記載のピストン燃焼室組み合わせ（そこではコンテナーは膨張式である）。
【請求項１０９】
請求項１０４または１０５に記載のピストン燃焼室組み合わせ（そこでは組み合わせは付加的にピストンロッドを備えていている）、コンテナーの壁は柔軟性材料を備えていている。それは前記ピストンロッド上で硫黄で処理される。
【請求項１１０】
請求項１０９に記載のピストン燃焼室組み合わせ（そこではコンテナーの壁は強化材を備えた少なくとも１つの層を備えていている）は位置した、ピストンロッドに最も近づき、それ、および強化材を備えた前記層で硫黄で処理される強化材のない層の上で硫黄で処理された。
【請求項１１１】
請求項１１０に記載のピストン燃焼室組み合わせ、強化材ｓｔｒｅｎｇｓはどこで置いているか、前記ピストンの中心軸と平行、また曲げることができる。
【請求項１１２】
請求項１０８または１０９に記載のピストン燃焼室組み合わせ（前記ｌａｙｗｅｒｓの強化材が非常に小さい角度で互いに交差しているところで、そこでは、コンテナーの壁は２つの強化材層を備えていている）。
【請求項１１３】
コンテナータイプピストンの長さが拡大する請求項のうちのどれでも与えるピストン燃焼室組み合わせ、その結果、第二の縦位置でのｅｌｌｉｐｓｏｉｄｅの形状のピストンの形は、その形のままである、しかしない、第一の縦位置上にある場合のそのサイズ。
【請求項１１４】
請求項５１に記載のモーター（そこでは圧力容器と第三と通信している圧力レギュレーターは、スペースを取り囲んだ）は、速度加減装置と通信している。
【請求項１１５】
請求項５１に記載のモーター、さらに２つのシリンダーを備えていること、第三は、どこで各シリンダーの空間を取り囲んだか、クランクシャフトの中で前記モーターで構成される２つの下位クランクシャフトの連結および各シリンダーの第２の密閉空間を通じて互いと通信している、前記クランクシャフトの外部で互いと通信している。
（図１９）。
【請求項１１６】
請求項１１５に記載のモーター（そこではコネクターロッドがそうである２つのピストン燃焼室組み合わせのクランクシャフト配列は、互いからの１８０°の位置を決めた）。
（図１９）
【請求項１１７】
さらに２つを超えるシリンダーを備えている請求項１１５と請求項１１６に記載のモーター（そこでは既存の２つのシリンダーの前記下位クランクシャフトの連結を通じて第二の密閉空間は接続される）は、第２で追加されるべきシリンダーの下位クランクシャフトの空間を囲んだ。
（図１９）
【請求項１１８】
請求項５２に記載のモーター、２つのシリンダー（そこでは単気筒の第２の縦位置は第二のシリンダーの第１の縦位置の同じ幾何学的なレベルにある）をさらに備えていること、両方のアクチュエータピストンはクランクシャフトを介して互いと通信している、クランクシャフトが２つの接続している下位クランクシャフトを備えていている、これらのアクチュエータピストンへの連結ロッドが互いからの位置した１８０°である場合、１（各アクチュエータピストンのための）
（図１７）
【請求項１１９】
アクチュエータピストンの他方の密閉空間とのアクチュエータピストンのうちの１つの密閉空間の連絡を通じて、シリンダー（そこでは前記ポンプは１つのポンプの中に前記２つのシリンダーのための組み合わせられる）の各々のためのＥＳＶＴポンプをさらにｃｏｍｐｒｓｉｎｇする請求項１１８に記載のモーターは、備えていられている密閉空間がクランクシャフトを言った、密閉空間が前記下位クランクシャフトの連結点で互いと通信している。
（図１７）
【請求項１２０】
請求項１１９へのモーターａｃｃｏｒｄｕｎｇ、さらにバルブを備えていること、どれ、開閉口である、前記ＥＳＶＴポンプ間の連結、また第二で、言った、あるいは、第三はスペースを取り囲んだ。その一方で連結はそれぞれチェックバルブまたはチャッキ弁機能を有していている、前記バルブは、タペットによる前記ＥＳＶＴポンプおよび／またはの一方の圧力によってコントロールされる、タペットがカム軸と通信している、それはメインの車軸と通信している、１つの、ａｕｘｉｌｌｉａｒｌｙに、モーター。
（図１７）
【請求項１２１】
請求項１１８−１２０のいずれか１項に記載のモーター、各々シリンダーを追加するところで、さらに２つを超えるシリンダーを備えていることは、既存の下位クランクシャフトの接続している下位クランクシャフトの密閉空間を通って通信することである。
（図１７）
【請求項１２２】
請求項５２に記載のモーター、２つのシリンダー（そこでは単気筒の第１の縦位置は第二のシリンダーの第１の縦位置の同じ幾何学的なレベルにある）をさらに備えていること、両方のアクチュエータピストンはクランクシャフトを介して互いと通信している、クランクシャフトが２つの接続している下位クランクシャフトを備えていている、これらのアクチュエータピストンへの連結ロッドが互いからの位置した０°である場合、１（各アクチュエータピストンのための）
（図１８）
【請求項１２３】
アクチュエータピストンの他方の密閉空間とのアクチュエータピストンのうちの１つの密閉空間の連絡を通じて、シリンダー（そこでは前記ポンプは１つのポンプの中に前記２つのシリンダーのための組み合わせられる）の各々のためのＥＳＶＴポンプをさらにｃｏｍｐｒｓｉｎｇする請求項１２２に記載のモーターは、備えていられている密閉空間がクランクシャフトを言った、密閉空間が前記下位クランクシャフトの連結点で互いと通信している。
（図１８）
【請求項１２４】
請求項１２３へのモーターａｃｃｏｒｄｕｎｇ、さらにバルブを備えていること、どれ、開閉口である、前記ＥＳＶＴポンプ間の連結、また第二で、言った、あるいは、第三はスペースを取り囲んだ。その一方で連結はそれぞれチェックバルブまたはチャッキ弁機能を有していている、前記バルブは、タペットによる前記ＥＳＶＴポンプおよび／またはの一方の圧力によってコントロールされる、タペットがカム軸と通信している、それはメインの車軸と通信している、１つの、ａｕｘｉｌｌｉａｒｌｙに、モーター。
（図１８）
【請求項１２５】
請求項１２２−１２４、各追加の（結合する）シリンダーの密閉空間が前記既存の下位クランクシャフトとの連結でフィラーを介して分離される（である）場合に、さらに２つを超えるシリンダーを備えていて、追加シリンダーの動力行程はどこで同時に既存のシリンダーのもどり行程かに記載のモーター。
（図１８）
【請求項１２６】
．
請求項５２、連結ロッドが互いからの１８０°の位置にあり、その一方でチャンバーが、それらの１位の同一の幾何学的な位置を有していている、さらに備えている２つのシリンダーおよび２ηΛ縦位置に記載のモーター。
（図１８）
【請求項１２７】
請求項１１５−１２６のいずれか１項に記載のモーター、そこで、下位クランクシャフト中の密閉空間の各々のためのピストン燃焼室組み合わせ、どれ、シリンダー中の速度／圧力を変化させている、互いと通信している、２つのウェイアクチュエーターの電圧レギュレーターを通って、各々の前記ピストン燃焼室組み合わせのピストンロッドを移動させており、外部速度加減装置と通信している。
【請求項１２８】
動力がそばに供給される請求項１１５−１２７のいずれか１項に記載のモーター（そこではバッテリーによって動力が供給された２本の方法アクチュエータピストンによって、動力が前記ピストン中の流体を加圧するポンプのピストンロッドに供給されている）１つの、ａｕｘｉｌｌｉａｒｌｙに、電源。
【請求項１２９】
動力がそばに供給される請求項１１５−１２８のいずれか１項に記載のモーター（そこではバッテリーによって動力が供給された２本の方法アクチュエータピストンによって、動力が前記ピストン中の流体を加圧するポンプのピストンロッドに供給されている）１つの、ａｕｘｉｌｌｉａｒｌｙに、電源。
【請求項１３０】
動力がそばに供給される請求項１１５−１２９に記載のモーター（そこではクランクシャフトによって動力が供給された２本の方法アクチュエータピストンによって、動力が前記ピストン中の流体を加圧するポンプのピストンロッドに供給されている）１つの、ａｕｘｉｌｌｉａｒｌｙに、パワーｓｏｕｒｃｅ．。−
【請求項１３１】
動力がそばに供給される請求項１１５−１３０に記載のモーター（そこではｃｒａｍｓｈａｆｔによって動力が供給された２本の方法アクチュエータピストンによって、動力が前記ピストン中の流体を加圧するポンプのピストンロッドに供給されている）１つの、ａｕｘｉｌｌｉａｒｌｙに、電源。
【請求項１３２】
請求項５２に記載のモーター、円形チャンバーおよびアクチュエータピストン（そこではピストンロッドはシリンダーにおいてｓｅａｌｉｎｇｌｙに可動で、前記ピストンロッドの内側の密閉空間が、圧力調節器（密閉空間のサイズが円錐形のチャンバー（端はそれにカムプロファイル上に走っている）を備えたポンプによって規制されている一方、それは遠隔に位置した速度加減装置と通信している）と通信している）を備えていている、カムプロファイルがａｕｘｉｌｌｉａｒｌｙに回転している電気モーターによって駆動される、カムは言った、また同じ駆動電動機車軸のまわりの前記モーターのｉｎｄｅｐｅｎｄａｎｔｌｙを回すこと。
【請求項１３３】
請求項１３２に記載のモーター、そこで、壁を有している前記アクチュエータピストン、強化材；
前記ピストンロッドおよび可動端（それは前記ピストンロッドの上をｓｅａｌｉｎｇｌｙに滑ることができる）に固定された端の上で壁が増大していた。
【請求項１３４】
ｓｅａｌｉｎｇｌｙに少なくとも１位の間の前記チャンバーおよび前記チャンバーの第二の縦位置に対して可動ために、内側チャンバー壁（７１、７３、７５）によって制限され、ピストンを備えていている細長いチャンバー（７０）を備えているピストン燃焼室組み合わせは、前記チャンバーで意味する；（７６’と７６、１６３）
１番目の間の中間縦通材位置およびそれの第二の縦位置で１番目および前記チャンバーの第二の縦位置の異なる断面積および連続的に異なる断面積の断面を有している前記チャンバー、第２の縦位置での断面積よりも大きい第一の縦位置での断面積実質的に
前記ピストンはそれ自体を適合させるように設計されることを意味し、前記中間縦通材位置を介して第一の縦位置から前記チャンバーの第２の縦位置へ前記ピストン手段の相対動作の間に前記チャンバーの前記異なる断面積に密閉する手段を言った、ピストンは、（１３００）が次のものを備えていていることを意味する。
ホルダー（１３０８）によって備えていられるホルダープレート（１３０７）に回転自在に固定された、強化材ピン（１３０２、１３０３、１３０４）で複数；
前記強化材ピンに支持された、弾力的に可撓な泡の中で提供されている前記強化材ピンは、チャンバー（７０）の内壁（ＸＸＸＸ）に対して密閉することのためのチャンバー（７０）の縦の軸（１３１９）に対して０°および４０°の間で回転可能な強化材ピンを言った；
不透水層１３０５（それは弾力的に可撓である）；
事実によってそれを特徴づける。
―  強化材ピンは金属で作られている；
前記ホルダープレートは金属で作られており備えていている、小さい、１つの列（１３２６、１３２７、１３２８）以上に端穴（１３２９、１３３０、１３３１）を丸められて閉じた；
前記強化材ピンは磁力によって前記ホルダープレートに固定されている。
【請求項１３５】
ｓｅａｌｉｎｇｌｙに少なくとも１位の間の前記チャンバーおよび前記チャンバーの第二の縦位置に対して可動ために、内側チャンバー壁によって制限され、ピストンを備えていている、細長いチャンバーを備えているピストン燃焼室組み合わせは、前記チャンバーで意味する；
１番目の間の中間縦通材位置およびそれの第二の縦位置で１番目および前記チャンバーの第二の縦位置の異なる断面積および連続的に異なる断面積の断面を有している前記チャンバー、第２の縦位置での断面積よりも大きい第一の縦位置での断面積実質的に
前記ピストンはそれ自体を適合させるように設計されることを意味し、前記中間縦通材位置を介して第一のｌｏｎｇｉｍｄｉｎａｌな位置から前記チャンバーの第２の縦位置へ前記ピストン手段の相対動作の間に前記チャンバーの前記異なる断面積に密閉する手段を言った、そこで
―  ピストンは意味する、変形可能材料を備えている弾力的に変形可能なコンテナーを備えている、変形可能材料は、前記コンテナーの壁が個別の壁部品（２１０６、２１１２、２１１３、２１２３、２１３３、２１４２、２１４３、２２０７、２２ｘｘ、２２ｘｘ。２２４４および２２４４”」）を備えていているという事実によって特徴づけられて、流体または水、スチームおよび／または気体または泡などの流体の混合物である。
２１４５、２１９９、２２３８、個別の壁部品が前記コンテナーの壁の残りよりも大きな円周を有していて前記チャンバーの壁を備えたコンタクト域を備えていている、。
【請求項１３６】
ｓｅａｌｉｎｇｌｙに少なくとも１位の間の前記チャンバーおよび前記チャンバーの第二の縦位置に対して可動ために、内側チャンバー壁（７１、７３、７５）によって制限され、ピストンを備えていている細長いチャンバー（７０）を備えているピストン燃焼室組み合わせは、前記チャンバーで意味する；（７６’と７６、１６３）
１番目の間の中間縦通材位置およびそれの第二の縦位置で１番目および前記チャンバーの第二の縦位置の異なる断面積および連続的に異なる断面積の断面を有している前記チャンバー、第２の縦位置での断面積よりも大きい第一のｌｏｎｇｉ  ｄｉｎａｌ位置での断面積実質的に
前記ピストンはそれ自体を適合させるように設計されることを意味し、前記中間縦通材位置を介して第一の縦位置から前記チャンバーの第２の縦位置へ前記ピストン手段の相対動作の間に前記チャンバーの前記異なる断面積に密閉する手段を言った、ピストンは、（１３００）が次のものを備えていていることを意味する。
ホルダー（１３５９）によって備えていられるホルダープレート（１３５８）に回転自在に固定された複数の強化材ピン（１３５２、１３５３、１３５４）；
前記強化材ピンに支持された、弾力的に可撓な泡の中で提供されている前記強化材ピンは、チャンバー（ＸＸＸＸ）の内壁（ＸＸＸ）に対して密閉することのためのチャンバー（７０）の縦の軸（１３１９）に対して０°および４０°の間で回転可能な強化材ピンを言った；
不透水層１３０５（それは弾力的に可撓である）；
事実によってそれを特徴づける。
―  強化材ピンは球体形の端を有していて、プラスチックで作られている（１３５５、１３５６、１３５７）；
前記ホルダープレートは備えていている、小さい、１つの列（１３２６、１３２７、１３２８）以上に球体キャビティ（１３６０、１３６１、１３６２）を丸められて閉じた；
形状の端が入る前記球体、前記、球体ｃａｉｖｉｔｉｅｓを丸める；
前記ホルダープレートは、前記強化材ピンのガイドの開口（１３６３、１３６４、１３６５）をさらに備えていている。
【請求項１３７】
請求項１−１３６のいずれか１項に記載のよるモーター、ピストン（４０００）が前記チャンバーの中心点（３９９５）を動き回っている円形チャンバー（４００１）をさらに備えていること、中心軸（４００８）を有している連接棒（４００３）、および中心軸（そこでは前記ピストン（４０００）は連接棒（４００３）によって前記車軸（４００２）に接続される）を有している車軸（４００２）。
【請求項１３８】
請求項１３７に記載のモーター（そこでは連接棒（４００３）は前記車軸（４００２）への位置した垂直である）、連接棒（４００３）の中心軸（４００８）および車軸（４００２）の中心軸は、中心点（３９９５）を通り抜けている。
【請求項１３９】
請求項１３７または１３８に記載のモーター、さらに、延長部分ロッド（４０２０）を備えていること、そこでは前記連接棒（４００３）は、延長部分ロッド（４０２０）を介して前記ピストン（４０００）、と横断地点（３９９０）（連接棒（４００３）の中心軸（４００８）およびチャンバー（４００１）の中心軸（３９９６））と延長部分ロッド（４０２０）の端（３９９１）の間の距離（Ι）に接続される、可変である。
【請求項１４０】
請求項１３７または１３８に記載のモーター、さらに、圧力管理システムを備えていること、またハブ、増大している、前記車軸上への連接棒は言った、そこでは前記ピストン（４０００）は前記圧力管理システムと通信している、前記車軸（４００２）のチャンネル４００４を通って、前記車軸（４００２）の壁のチャンネル（４００６）、前記ハブ（４００９）の中のチャンネル（４００６’）、前記連接棒（４００３）のチャンネル（４００５）、また延長部分ロッド（４０２０）の中のチャンネル（４０２７）を介して前記ピストン（４０００）のスペース（４０２６）への前記延長部分（４０２０）の中のチャンネル（４０２５）
【請求項１４１】
請求項１３７−１４０のいずれか１項に記載のモーター、そこでは、前記ハブ（４００９）はｃｏｎｔｒａ重量（３９９４）を備えていている。
【請求項１４２】
請求項１３７−１４１のいずれか１項に記載のモーター（そこではハブ（４００９）（それは前記車軸（４００２）の溝（４００７’）の中にふさわしい歯（４００７）を備えていている）によって前記連接棒（４００３）の上に前記車軸（４００２）はｓｌｉｄｉｎｇｌｙに装着される）
【請求項１４３】
請求項１４２に記載のモーター、そこで、前記ピストン（４０００）の内部の（４０２６）の間の連絡、また圧力管理システムはチャンネル（４０２５）を介して言った、（４００５）（４００６’）、延長部分ロッド（４０２０）、連接棒（４００３）、ハブ（４００９）の壁、車軸（４００２）の壁および車軸（４００２）の（４００６）および（４００８）はそれぞれ、一定である。
【請求項１４４】
請求項１３７−１４３のいずれか１項に記載のモーター、車軸（４０３２）は、どこで前記車軸（４００２）に、および付加的に溝（４００７’）の中にふさわしい歯（４００７）を備えていているハブ（４０３８）によって連接棒（４０３３）に接続されるか、前記円形チャンバー４００１は、どこで前記車軸（４００２）へのハブ（４０３５）の上でマウントされたスポーク（４０３４）を介して接続されるか、ここで、ハブ（４０３５）は中間に言い、車軸（４００２）を言った、関係（４０３９）は位置する、そこで、連接棒４０３３に接続される前記ハブ（４０３８）の間で、また車軸（４０３２）は言った、チャンネル（４０４３）を有していること、それは絶えず前記ハブ（４０３８）の壁の前記チャンネル（４０４５）を介して前記連接棒（４０３３）の前記チャンネル（４０４６）および前記車軸（４０３２）のチャンネル（４０３４）と通信している、を介して、前記、前記車軸（４０３２）の壁のチャンネル（４０４４）
（図９１Ｂ）
【請求項１４５】
請求項１３７−１４４のいずれか１項に記載のモーター（そこでは関係（５１００）はハブ（５１０１）（それは車軸（５１０３）への（ピストン、を介して）連接棒（５１０２）を組み立てている）の一部およびハブ５１０４（それは車軸（５１０３）にスポーク（５１０５）（チャンバーを保留して）を接続している）の一部の両方である）は、チャンネル（５１１４）を有しているチャンネル（５１０９）および車軸（５１０３）を有している連接棒（５１０２）を言った、前記チャンネル間の連絡は前記関係（５１００）によって中断される。
（図９１Ｃ、Ｄ）
【請求項１４６】
請求項１４４または１４５に記載のモーター（そこでは前記車軸４０４０の部分４０４６の低減された直径によって、前記車軸（４００２）は追加チャンネル４０４１を備えていており、前記部分４０４６の壁のチャンネル４０４２の近くで位置する）
【請求項１４７】
請求項１４６に記載のモーター（そこでは前記連接棒（４００３）のチャンネル（４０３５）と前記車軸（４０３２）のチャンネル（４０３４）の間の連絡は一定である）
【請求項１４８】
請求項１３７−１４７のいずれか１項に記載のモーター、ピストンを備えたさらに備えている３つの円形チャンバー、そこに移動すること、ハウジング、ハブ、モーター車軸およびギヤーボックス（そこでは前記チャンバーは（４０９２）互いと平行に位置し、前記ハウジング（４０９５）によって相互に連結する）、そしてそこで、前記ピストン（４０９１）（ハブ（５００５）によって前記モーター車軸（４０９４）の上に組み立てられる、モーター車軸（４０９４）は、ギヤーボックス（４０９３）の車軸（５００４）と直接通信している）  前記モーター車軸（４０９４）の内の駆動軸車軸（５０００）およびチャンネル（５００２）を備えていることは、各ピストン（４０９１）の取り囲まれたスペース（５００３）と通信し圧力管理システムと通信することである（５００１）。
【請求項１４９】
請求項１３７−１４７のいずれか１項、そこに移動するピストン、ハウジングプレート、モーター車軸および可変揺れるホイールを備えたギヤーを備えたさらに備えている３つの円形チャンバーおよびベルト（そこでは前記チャンバーは前記ハウジングプレート（５０１７）によって互いに接続される）に記載のモーターは、連接棒（５０ｘｘ）およびハブ（５０１９）によって前記モーター車軸（５０１３）にピストンが（５０１１）接続される、ピッチングホイール（５０１４）は前記モーター（５０１０）の２つの側の各々に置かれる、また、前記可変を投げるホイールが比較可能なホイールに（５０１４）接続される場合、ビークルのホイール車軸５０１６上でマウントされたベルト（５０２１）による（５０１５）は、ホイール（５０１４’、５０１５、５０１４、５０１５」）を投げる可変が低く、高くて投げられることがある。そこでは前記揺れるホイール（５０１４、５０１５、５０１４。」５０１５」）のホイール車軸５０１６間の距離ｘは変わらない。
【請求項１５０】
請求項１３７−１４７のいずれか１項に記載のモーター、さらに備えている３つの回転円形チャンバー、中央車軸、ハブ、チャンバーの各横の角、外部ギヤーボックスおよび圧力管理システム、そこでは角（５０２３’と５０２３）は各チャンバー（５０２１）に接続される、中央車軸（５０２２）は関係（５０３３）および内側車軸（５０３２）を備えていている、前記内側車軸（５０３２）は、連接棒およびハブ（５０３４）のチャンネル（５０３９）を介して各ピストン（５０２５）の内部空間（５０３８）と通信するチャンネル（５０３７）を備えていている、中央車軸（５０２２）が部分（５０２２’）を備えていていると言った、外部、各ピストン（５０２５）およびさらに関係（５０３３）を備えていることの各ハブ（５０３４）、どれが前記中心軸（５０２２）の部分およびハブ５０３４に対応して、部分（５０３３’）を備えていているかは、内側車軸５０３２上に装着される、チャンバー（５０２１）がそれぞれ中心軸（５０２２）から最も遠く位置するリング（５０２６）を備えていている間、中心軸５０２２が外部ギヤーボックス（５０２４）と通信している。
【請求項１５１】
請求項１−１５０ののいずれか１項によるモーター、さらに圧力管理システムを備えていることビークル、ａｍｏｕｎｇ、他のもの、２つの並列の位置したホイール、モーターを各ホイールに装着する、前記ホイールは中心のまわりで回転することができる、モーター（１９７０年と１９７１年）の各々のための前記圧力管理システム（１９８３）は、どこで回転角によってコントロールされるか、１つの、またｂ（被控訴人）、どこで、角度〉ｂ、信号（１９８１年と１９８２年）を介して、どれ、コンピューター（１９８３）に転送されている、働かれており制御信号（１９８４年と１９８５年）を招いている、そして、それは各々の前記モーター（１９７０年と１９７１年）にｔｒａｎｓｆｅｒｅｒｅｄされている。
【発明の詳細な説明】
【技術分野】
【０００１】
（実質的に）ピストン燃焼室組み合わせ、チャンバーを備えていること、それは内側チャンバー壁によって制限され、愛想よく少なくとも１位と前記チャンバーの第二の縦位置の間の前記チャンバー壁に対して可動であるために前記チャンバー壁の内側のピストンを備えていている、チャンバーは言った、前記チャンバーおよび少なくとも、連続的に異なる断面積の、１番目および第二の縦位置での異なる断面積および異なるｃｉｒｃｕｍｐｈｅｒｅｎｔｉａｌな長さの断面を有していること、また１番目の間の中間縦通材位置および第二の縦位置での異なるｃｉｒｃｕｍｐｈｅｒｅｎｔｉａｌな長さ、それの、第２の縦位置での断面積よりも大きい第一の縦位置での断面積、弾力的に変形可能なコンテナ壁を有しているコンテナーを備えているアクチュエータピストンは言った、のための、愛想よく、チャンバー壁との接触、コンテナーは言った、弾力的にある、１番目と、前記ことの前記中間縦通材位置を介して第二の縦位置の間の前記ピストンの相対動作の間に前記異なる断面積への適応のためのピストンの異なる断面積、異なる円周長さおよび前記チャンバーの異なる円周長さに備えるのに変形可能。チャンバー、アクチュエータピストンはアクチュエータピストンの円周長さが前記第二の縦位置の前記チャンバーの円周長さとほぼ等価なそれの、ストレスフリーおよび不具でない状態のコンテナーの生産サイズを有しているために作製される。
【背景技術】
【０００２】
この発明は、モーターおよび明確には自動車用エンジンの中で、気候変化と戦うことのための代替的に効率的に機能するアクチュエーターのための、既存のアクチュエーターに関しての、およびそのようなアクチュエーターの重点目標を備えた溶液に対処する。付加的に、効率的な緩衝装置のための溶液を備えたこの発明およびポンプを分配する。明確にはモーター（それはガソリンのような油派生語の燃焼性の技術を使用しない）、ディーゼル機関、およびどれが上に基づいた現在のモーターと競争することができるかを得る問題のための溶液を備えたこの発明取り引きは、燃焼性の専門語を言った。また、付加的に、Ｃ０２排出の削減の需要に応じることは、よくＨ２に基づいた燃焼性のモーターでのように競争するかまたはさらに放映するためには、それとしてモーターのためにエネルギー源を提供するために新しい配電網を必要としない。
【０００３】
油派生語に基づいた燃焼性のモーターは、今日の技術基準の後にほぼ１世紀古いコンセプトの最適化されたバージョンだけである。これは、それが今日の生活水準にこれ以上応じないことを意味する：価値があり限定される入手可能な油のウエストおよび汚染源、排出などの、特に、ＣＯのような有毒ガス、および気候変化の重要な原因であるＣ０２のようなガス。付加的に燃焼性のモーターは、重いべき傾向がある。その結果、輸送ウェイトレーショ（総の中で輸送されているものの重量に関しての１人の＝重量）は、客車のための１２（ほぼ）（小さい客車）−３３（リムジン、４輪駆動）であることがある。
【０００４】
［３／４］に基づいた新しい燃焼性のモーター、どころか空気は、ガソリン、ディーゼル機関およびＮＬＧ気体のデリバリーのための今日のガソリンスタンドなどの、前記モーターのためのエネルギー源の救助のための配電網を欠いている。空気ニーズの充てんの上で機能する現在のモーター」さえ、必要な高い圧搾空気を提供するためのステーション、の中で、大きく、重い、そのような配電網のシリンダー不足は理由だった、なぜ、空気上のモーターがそのような方法で構築される、それはそうである、また燃焼性の手段上でたとえば機能することができる、ガソリン、あるいは再びオットーモーターにディーゼル機関したがって、それは回避されるべきである。
【０００５】
最後のこれらのための供給者の新しいネットワークの硬化、使用された燃焼性材料ニーズであるのに新しいために言われた、非常に高い金融資産投資、また、それはキャッチ２２のため障害を与える：適切な素晴らしい隠れたネットワークなしで、でしょう、これらのモーター、誰もアベイラビリティの不足のため、そのようなモーターを買わず、市場があるという証拠がある前に、誰もネットワークに投資したくないので、分配されない。無公害性のモーターの迅速な導入および広範囲の分布については、このモーターはエネルギー源を提供するためのネットワークに依存しない必要がある。この気体が非常に危険な気体で、単に教えられた人員によって扱われるべきであるので、Ｈ２のためのホームガソリンスタンドの現在の発生は面白いが、非常に巧妙な考えに見える。
【先行技術文献】
【特許文献】
【０００６】
【特許文献１】EP１１７９１４０B1
【特許文献２】EP１３８４００４B1
【特許文献３】WO２００４／０３１５８３
【特許文献４】WO２００８／０２５３９１
【特許文献５】WO２０００／０７０２２７
【特許文献６】WO２００９／０８３２７４
【特許文献７】WO２０００／０６５２３５
【発明の概要】
【０００７】
本発明の目的は、ポンプ、アクチュエーター、緩衝装置および前記アクチュエーターの使用の中で中へ特に使用されるためにピストンとチャンバーの組み合わせを提供することである。
【０００８】
第一の側面では、本発明はピストンとチャンバーの組み合わせに関する、そこで：組み合わせは、位置からの流体を導入するための手段を備えている、外部、ピストンが前記コンテナーの加圧を可能にし、そのために、拡大して、コンテナーをそのために言った、チャンバーの第２と第１縦位置間のコンテナーおよび置き換える前記コンテナーは言った。
【０００９】
古典的アクチュエータピストンは直線のシリンダーの中で位置し、ピストンがピストンロッドを備えていている。それは両側間の圧力差の結果として移動している、前記、言及されたピストン最後はシリンダ壁（ピストンはその中で前記シリンダーに比較的移っている）へのピストンを密閉して、ピストンであることがある。それは弾性がない材料で作られており、少なくとも１つのシーリングリングを備えていている。ピストンロッドは、１またはシリンダーの両側との関係によってガイドされることがある。シリンダーの外側のピストンロッドは外部デバイスを押していることがあるし引いていることがある。また、それはクランク軸に係合していることがある、その結果、回転がクランク軸アクセルに生じる、それは運動を招くことがある、たとえば前記アクチュエーターおよびクランク軸を備えているビークル。
【００１０】
アクチュエータピストン、直線のシリンダーの中で位置した時、またたとえば膨張式のピストンであることがある、ＥＰ  １  １７９  １４０の請求項５、請求項２８と請求項３４に記載のコンテナータイプピストン、黒い場合、膨張式のピストンがの内側の加圧された、その、好ましくは強化されて、壁は、シリンダーの壁にそれぞれ係合することがあるし密閉することがあり、前記直線のシリンダー中の上記の言及された古典的ピストンとして前記シリンダー中のその運動に関して働くことがある。チャンバーの壁に動議（ピストンの両側上のバルブ）をたとえば可能にすることのための、必要なことがある、またコントロール手段によって好ましくはコントロールされたある圧力差を備えた前記ピストンの両側上のシリンダー中の流体。最後の言及されたコンテナ壁の内側の圧力のサイズを変化させることは、単に係合するべきべき能力またはチャンバーの壁への前記ピストンウォールのシールに、影響があることがある。まだ、壁（コンテナー）とチャンバーの壁の間の摩擦を介して、前記内圧はピストンの運動の速度に影響があることがある。
【００１１】
本発明によるアクチュエーターは膨張式のピストンを有しているピストン燃焼室の組み合わせである。ピストンの内側の、好ましくはチャンバーで、または逆もまた同様好ましくは前記流体の圧力差のないチャンバーおよび／またはの中の流体の必要なしである圧力、材料および好ましくは強化材を備えているその壁がそれが形および／またはサイズを変化させることを可能にすることがあるピストンおよびピストンの下の泡が移動させていることがある流動性のおよび／またはであることがあるか、ピストンの両側上で泡立つことがある、の中で、チャンバーのチャンバーａ流体はもちろん、まだ存在することがある、として、たとえば気圧の空気、管理目的のためのたとえば。
【００１２】
さらに必要なパラメーターは、チャンバーの壁が前記チャンバーの中心軸と平行でなく、その一方でピストンの意図した運動の方向の前記チャンバー壁の角度が、正値を有していているということであることがある。その結果、ピストンは前記方向に拡大することができる。ピストンがその最も小さい周囲寸法を有しているところで、膨張はピストンの第二の縦位置から好ましくは行われることがある：そのｓｔｒｅｓｓｆｒｅｅ生産サイズ、ピストンが最も大きなことを有しているところで、前記ピストンの第一の縦位置へ、ＥＰ  １  ３８４  ００４  Ｂｌを周囲寸法参照してください。
【００１３】
コンテナーが拡大している場合、ピストンの運動は、発生する前記コンテナータイプピストンの内側チャンバー壁への力によって始められることがある。したがって、チャンバーの壁からコンテナーの壁までの反力によって運動が始められることがある。これらの力は、前記コンテナーの壁の膨張上の反応で、膨張が位置からの密閉空間を介してより多くの流体の導入の結果、ピストン中の流体のボリュームおよび／または圧力を増加させる結果であることがある、外部、ピストンは前記コンテナーに言った。
【００１４】
図の強化材を備えた図７Ａ−Ｃ（ＷＯ  ２００４／０３１５８３）によるピストンの働くプロトタイプでは、８Ｄ（ＷＯ  ２００４／０３１５８３）は第二の縦位置から第一の縦位置へピストンロックちりんである、また、もしいわゆる一定の最大の労働力を備えたチャンバーの変動する速度と共に負荷を軽くされれば、少数の棒で既に形づくる（ＷＯ２００８／０２５３９１−Ｆｉｇ．６Ｂ）気圧に関してのピストンにの内側の重圧をかける、どれが第二から第一の縦位置へ方向にチャンバーの、および前記チャンバーの中心軸を備えた内側チャンバー壁の変動する正の角を備えたピストンの両側で存在したか。ピストンの速度の経験を積んだ変動が以下に説明される。
【００１５】
コンテナーの壁とチャンバーの壁の間の接触は、愛想よくまたはｓｅａｌｉｎｇｌｙにあることがある。前記プロトタイプが明らかにするので、それは多かれ少なかれピストンロッド上の積荷に依存する。アクチュエーター上の無荷重で、接触が愛想よくｓｅａｌｉｎｇｌｙにではなくあることがある。アクチュエーター上の積荷で、前記壁の間の接触がｓｅａｌｉｎｇｌｙにあるように、コンテナー上の駆動力は前記アクチュエーター（それは、なぜ十分な力がコンテナーの壁からのチャンバー壁上にあることがあるかである）上の積荷のない場合によりも大きい。また、それは、ピストンの動きに、チャンバーの壁との接触が連続して愛想よくｓｅａｌｉｎｇｌｙにあることがあるということであることがある。
【００１６】
推論、なぜピストンが移動しているかは以下のとおりであることがある。チャンバーの壁からコンテナーの壁までの反力の縦のコンポーネント（それは第一の長手ピストン位置に向けられる）がチャンバーの壁とピストンの壁の間の摩擦推力の縦のコンポーネントよりも大きければ、総結果の力は第一の長手ピストン位置に向けられる。それは第二の長手ピストン位置に向けられる。また、従って、ピストンは第二のことから第一縦位置へ移動する。好ましくは、第二の長手ピストン位置に近いコンテナーの端が、キャブ（１９２）によってピストンロッドに固定されるとともに、ピストンロッドは同様に移動する。自航式アクチュエーターは生まれた、それは圧力差によって移動しているピストンのための代案であることがある、外部、ピストンはチャンバーの内側の言った。好ましくはキャブ（１９１）によるピストンロッド上にｓｌｉｄｉｎｇｌｙに可動コンテナーのもう１つの端である、前記コンテナーの膨張は、それへのどの手段をもたらすか、キャブ（１９１）および互いに近い（１９２）はピストンロッド上のキャブ（１９２）のキャブ（１１）の傾向によって言った。これは、コンテナー（それは好ましくはキャブ（１９１）からキャブ（１９２）（それは前記チャンバー（たとえばＷＯ２００４／０３１５８３、Ｆｉｇ．８Ｄ）の中心軸と平行な平面にある）に向けられた強化材ストリングの１つの層である）の壁の好きな強化材および必要に応じてチャンバーおよび／またはの中心軸を備えた少しの角度でによる、非常に小さい角度で互いに交差する強化材の少なくとも２つの層。
【００１７】
第一の長手ピストン位置の方向の前記チャンバーの中心軸に対して壁のプラス傾斜のため、また、ちょうど前記ピストンの弾力的に変形可能な壁の前記中間点の下で好ましくはピストンの弾力的に変形可能な壁の中間点の下の長手方向でピストンの接触面およびチャンバーの壁が、必要に応じてほぼ位置するという事実は、移動がコンテナーの壁の膨張を招く。したがって、前記壁の間のオリジナルのコンタクト域はより大きくなる。また、増加した摩擦推力は生じる。第一のピストン位置への総結果の力が減少するので、前記運動は速度を落とすことがある。
【００１８】
ほぼ同時に、前記増加したコンタクト域間のコンテナーの壁、また可動キャップが拡大している、運動がそれを招く、キャップ（１９１）（ピストンの可動端）は、ピストンロッドに固定されるキャップ（１９２）に接近して来る。これは、前記コンテナー（密閉空間のボリュームは一定のために第二のことから第一長手ピストン位置へ運動の間に必要とすることがある）（前記コンテナーの壁の強化材）の内側のまだ本過剰圧力のためそれが、壁が同様にもっと拡大していることを意味する、第二のｌｏｎｇｉｔａｄｉｎａｌな位置に最も近い丸。これは、コンテナーの壁がチャンバーの壁を転がしていることを意味する。その結果、前記コンタクト域は第一の縦位置に近づく、それによって、チャンバーの壁の反力のコンポーネントを前記コンテナーの壁に増加させる。第一の長手ピストン位置への結果の力のコンポーネントは増加し、摩擦コンポーネントよりも急速に大きくなる、その結果、第２の長手ピストン位置に近いコンテナーの部品は、可動非ものを行なって、第一の長手ピストン位置に増加する速度でそのために近づいている、またそれで（１９２）をしたがって覆う、ピストンロッドピストンは第二から第一の長手ピストン位置へ移動している。
【００１９】
過剰圧力は気圧に関して測定される、どれがあるか、なぜ、ピストンがクローズドのチャンバーの内側の位置することがある場合、組み合わせのその環境と通信することができるように、言及された最後はピストンの両側上で必要とすることがある。それは好ましくは気圧の下にあることがある。
【００２０】
取り囲まれたチャンバー空間の代わりに、チャンバーの流体は取り囲まれたチャンバー空間と通信することがある。その結果、チャンバーの流体は、前記ピストンの前記移動を禁止していない。これは緩衝装置の中で使用されることがあるコンセプトである。
【００２１】
大気の環境への取り囲まれたチャンバー空間またはチャンネルが必要なことがあるかどうかは、チャンバー壁へのピストンのシーリング能力に依存する。壁へのピストンの漏れはまたすることがある、予定されている、また存在することがある、として、１つの、チャンバー壁へのピストンを密閉する１００％は必要ではないことがある（結合）。したがって、前記コンテナーの各横のチャンバーのスペースを接続するチャンネルは、チャンネルによって相互に連結することがある。それは、ピストンが備えていている。
【００２２】
前記ピストンはすることがある、密閉空間（たとえば中空ピストンロッド）を備えていること前記ピストンの内部は前記密閉空間と通信していることがある。前記密閉空間のボリュームは一定のことがありまた可変ことがある。また、調整可能なことがある。密閉空間が圧力源と通信していることがある。
【００２３】
第２の側面では、本発明はピストンとチャンバーの組み合わせに関する、そこで：前記コンテナーの短縮を可能にして、前記コンテナーから前記密閉空間までピストンの外側の位置へ流体を移すための手段をさらにそのために備えているピストン燃焼室組み合わせ。
【００２４】
その第一の縦位置から第二の縦位置への前記ピストンのストロークのリターン部分中の移動は、少なくとも３つの可能な方法によって行われることがある。
【００２５】
従来の方法、ピストンがｓｅａｌｉｎｇｌｙにチャンバーの壁に係合している。しかしながら、コンテナータイプピストンの内側の流体の余剰（それは縮んでおり、それによってその内部ボリュームを低減している）が、前記密閉空間（その内圧はそれに増加することがある）の方へ輸送されることがあるので、前記移動はエネルギーを要することがある。エネルギーを節約するために、ピストンは係合することがある、しかしない、壁へのシール、チャンバーこれは、前記ピストン間の摩擦推力を低減し、チャンバー壁を言った。最後の方法は、前記密閉空間の圧力をコントロールして、調節部によって実施されることがあるコンテナーから流体を吸収することにより、ストロークの前記部分の間中コンテナーの内圧を下げることにより行われることがある。第三の側面では、本発明はピストンとチャンバーの組み合わせに関する、そこで：ピストンは、少なくとも第一から前記チャンバーの第二の縦位置へ前記チャンバー壁に対して可動である。チャンバーの壁に係合せずに、第一から第二の縦位置にピストンを移動させることは可能なことがある。これは、最低液面にピストンの内側の圧力を下げることによりたとえば行われることがある、ピストンの壁はｓｔｒｅｓｓｆｒｅｅである。また、それが作製された時（たとえば気圧）、そのｃｉｘｃｕｍｆｅｒｅｎｃｅは圧力でその生産サイズのそれである、その結果、ピストンは妨害なしで第二の縦位置に着く場合がある。
【００２６】
第四・第五の側面では、本発明はピストンとチャンバーの組み合わせに関する。そこではピストンはピストンロッド（それは前記密閉空間を備えていている）を備えていている。ピストンは手段外側がチャンバーを言ったことを保証することを備えていている。ピストンロッドの懸濁液は、ピストンがチャンバーの壁に係合しなかった場合に、ピストン自体のガイダンスなしで、ストロークの前記部分の間中ピストンをガイドするためにＷＯ２００８／０２５３９１の中で示される、耐えるタイプによってたとえば特別のことがある。
【００２７】
ピストンロッドは１つの長手方向でのピストンから延びていることがあり、チャンバーの終わりに関係によってガイドされることがある。それは、ピストンロッドがすることがあることを意味する、密閉空間を備えていてまた備えていること、１つの、係合はチャンバーの外でたとえば位置して意味する。ピストンが第二のことから第一縦位置へ移動している場合、係合する手段は押していることがあるし引いていることがある。反対にするだろう、係合は意味する、押すことができないこと、および、引くためにピストンの外側の力は第一から第二の縦位置までピストンを飛ばしているかもしれない。ピストンが第一から第二の縦位置へｓｅａｌｉｎｇｌｙに可動でないことがある場合、ピストンがピストンロッドを備えていている場合、ピストンロッド上の力はピストンを駆動しているかもしれない。これは前記係合する手段によって実施されることがある。
【００２８】
ピストンが２つの長手方向で延びるピストンロッドを備えていていることもありえることがある。また、１つのピストンロッドは通常他方の継続であることがある。１つまたは両方のピストンロッドはすることがある、チャンバーの外でたとえば位置した手段に係合することを備えていること両方のピストンロッド端がチャンバーの外で延びることがある場合、他方がチャンバーに関して浮かんでいることがある間、ピストンロッドの１つの関係はチャンバーに堅く固定されることがある。その、係合は意味する、ピストンが第二のことから第一縦位置へ移動している場合、同時に引いており押していることがある。反対にその、もどり行程するだろう、係合は意味する、押すことができないこと、および、引くためにピストンの外側の力は第一から第二の縦位置までピストンを飛ばしているかもしれない。ピストンが第一から第二の縦位置へチャンバーに対してｓｅａｌｉｎｇｌｙに可動でないことがある場合、ピストンがピストンロッドを備えていている場合、ピストンロッド上の力はピストンを駆動しているかもしれない。これは前記係合する手段によって実施されることがある。
【００２９】
ｓｉｘｆｌｉおよび第七の側面では、本発明は、ピストンおよびチャンバー（ピストンロッドはそれにクランクシャフトに接続される）の組み合わせに関する、そこで：クランクはチャンバーの第２と第１縦位置間のピストンの運動を前記クランクの回転に翻訳するのに適している；クランクは第一からピストンの第二の縦位置へその回転をピストンの移動に翻訳している。
【００３０】
係合する手段はクランクシャフトであることがある。それは前記ピストンロッドによってピストンに接続される。第一からチャンバーの第二の縦位置へピストンの運動を少なくとも始めることができるために、前記運動が前記ピストンによって始まる前に、クランクシャフトは回転するべきである。その結果、第二のことから第一縦位置へピストンの運動によって生成された前記クランクシャフトのｃｏｎｔｒａ重量のｉｍｐｕｌｓは、ピストンに転送することができる。
【００３１】
別のオプションは、１位と第二の縦位置の間のピストンの運動が、クランクシャフトの運動によって行われることがあるということである、別のピストン燃焼室組み合わせ（ピストンはそれに第二のことからそのチャンバー（少なくとも２つのシリンダー（同じクランクシャフト上の共同作用））の第一位置へ同時に可動である）をそばにたとえば始める。
【００３２】
ピストンの初期動作、だろう、行われた、たとえば電気モーターである、それは回転を始めてまもなく維持する、クランクシャフトａ種類、クランクシャフトがピストン燃焼室の組み合わせによって回転している始動電動機まで。
【００３３】
第七とｅｉｇｔｈ側面では、本発明は、ピストンおよびチャンバー（ピストンロッドはそれにクランクシャフトに接続される）の組み合わせに関する、そこで：クランクシャフトは第二の密閉空間を備えていている。第２の密閉空間は、電源と通信している。クランクシャフトはくぼんだことがあっで、第二の密閉空間を備えていていることがある。これは、クランクシャフトアクセルおよびそのｃｏｎｔｒａｗｅｉｇｈｔｓがそのような方法でくぼんでいることを意味する、これらは、ともにクランクシャフトアクセルの終わりごろコンテナータイプピストンからチャンネルを形成する。Ｏリングシーリングで、このチャンネルは圧力源と通信していることがある。
【００３４】
また、それは、クランクシャフトの中で包括して位置することがある、前記クランクシャフトの軸関係、その結果、それはそうであることがある、外部パワー出所と通信する。
【００３５】
９番めの側面では、本発明はピストンとチャンバーの組み合わせに関する、そこで：
―  第一からチャンバーの第二の縦位置へピストンが移動している時の期間にピストンロッド中の第一の密閉空間と第二の密閉空間が通信している。
【００３６】
第一から第二の縦位置へのストロークの部分の間中、ピストンは、ピストンが作製されたある圧力レベルに減圧されることがある。また、これはクランクシャフト中の第２の密閉空間へピストン中の第一の密閉空間の接続により行われることがある、ピストンが第一から第二の縦位置へ移動している時の間の必要な期間。ピストンが作製された圧力レベルは気圧でないことがあるが、任意の圧力レベルであることがある。より高い、圧力レベルはそうである、より少ないエネルギーは失われることがある、いつ、１番目と２番目密閉空間、互いに接続している。
【００３７】
１０番めの側面では、本発明はピストンとチャンバーの組み合わせに関する、そこで：
前記クランクシャフトは第三の密閉空間を備えていている。それは第二のことからチャンバーの第一縦位置へピストンが移動している時の期間にピストンロッドの第一の密閉空間と通信している。
【００３８】
その移動がチャンバーの第一の縦位置の方へチャンバーの最終の第二の縦位置に近づくことからの方向を変化させる場合、この第三の密閉空間は再びピストンを加圧するべき機能を有している。加圧は、第一の密閉空間へ第三の密閉空間（それは第一の密閉空間に関しての過剰圧力を有している）の接続により行われる。ピストンの運動が方向を変化させた後、加圧は、できるだけ速く行われることがある。
【００３９】
１１番めの側面では、本発明はピストンとチャンバーの組み合わせに関する、そこで：
前記第三は空間を取り囲んだ、ｃｏｍｍｕｎｃａｔｉｎｇしている、第二の密閉空間は第二のことからチャンバーの第一縦位置へピストンが移動している時の期間に言った。
【００４０】
緩衝装置を備えていること：
すべての以前に言及された面（チャンバーの外側の位置からのピストンに係合するための手段）による組み合わせ、そこで、係合は意味する、ピストンがチャンバーの第一の縦位置にある、外側位置、およびピストンが第２の縦位置にある内側位置を有している。
【００４１】
緩衝装置は促進することがある、密閉空間を備えていること、どれがすることがあるか、コンテナーと通信すること密閉空間は有していることがある、可変ボリューム、または一定容積量を有している。ボリュームは調整可能なことがある。
【００４２】
緩衝装置はコンテナー、および密閉空間を備えていることがある、流体を備えている実質的に密封したキャビティを形成して、ピストンが第一からチャンバーの第２の縦位置へ移動する場合、流体は圧縮されることがある。
【００４３】
流体を汲むためのポンプ、ポンプはすることがある、直ちに第二のピストンに係合するための備えている手段、チャンバーの外側の位置、第２のチャンバーに接続された流体入り口、およびバルブを備えていることからのチャンバーは意味する、また第２のチャンバーに接続された流体出口。
【００４４】
ポンプ、ここで、係合は意味する、ピストンがチャンバーの第一の縦位置にあることがある、外側位置、およびピストンがチャンバーの第２の縦位置にあることがある内側位置を有していることがある。ポンプ、そこで、係合は意味する、ピストンがチャンバーの第２の縦位置にあることがある、外側位置、およびピストンがチャンバーの第一の縦位置にあることがある内側位置を有していることがある。ピストン燃焼室組み合わせのテクノロジーは、モーターの中で明確には使用されてもよい、の中で、１つの、自動車用エンジン明確には自航式アクチュエーター。
【００４５】
ピストンは、またチャンバー内に、テーパ壁で比較的移動することがある。それは筒状ことがあるか、円錐形のことがある（示されない）。
【００４６】
（アクチュエーター）ピストンが位置するチャンバーは、前記チャンバーが第一の縦位置の近くの長手のクロスに区分された断面の内部凸状形状の壁を備えていていることがあるタイプであることがある、前記断面は共通の境界によって互いからｕｐｄｉｖｉｄｅｄされることがある、２つの次の共通の境界の間の距離は、前記長手の壁の高さを定義する、横断面の断面、前記ピストンの増加する内部過剰圧力割合によって絶頂が減少している、あるいは、第一から第二の縦位置へ方向に、横断面の共通の境界の横断線長さは最大仕事力によって決定されることがある。それは前記共通の境界のための一定で選ばれることがある。付加的にすることがある、前記チャンバーの中心軸と平行な、横断面の境界の壁を備えているチャンバーは言った。
【００４７】
そして、ピストン燃焼室組み合わせが前記凸状形状の壁の間の遷移を備えていることがあり前記遷移が少なくとも１つの凹状形状の壁（それは第二の縦位置の近くで位置することがある）を備えていていることがある時並列の壁を言った、。そして、ピストン燃焼室組み合わせが凹状形状の壁（それは少なくとも凸状形状の壁への一方の側に置かれることがある）を備えていることがある。
【００４８】
［発明の要約フィージビリティスタディ。］
フィージビリティスタディ、のための、１つの「緑」モーターはそうである、重要な点に関するよいヘリコプター見解を提示する図１０Ｂおよび図１１Ｂを以下のように調査してください。モーターのアウトプットが新しい推進系によって生成されている場合、これはシステムである、ここで、もどり行程に、前記アクチュエータピストンの流体がさらにある間、連続的に異なる断面積を備えたチャンバーの膨張式のアクチュエータピストンは、最も小さい断面積からより大きなものまで内圧によってそのために移っており、内圧を減少させる、減圧した、前記流体は、どこでエネルギーを使用して、小滝排気システムによって再加圧されているか、ＷＯ２０００／０７０２２７による効率的なピストン燃焼室組み合わせ、少なくとも１どのステップが外部財力出所（たとえば太陽）、好ましくは他の持続可能な電源、または必要に応じて非持続可能な電源によってエネルギーを与えられることかの。まだ、より効率的でより信頼できる溶液は図１１Ｇおよび１３Ｆで見ることができる。そのシステムは以前に定期の明細書に応じている。
【００４９】
［図１１Ａの原理に基づいた１つの「緑」モーターのためのＴＲＡＮＳＬＡＴＩＯＮＡＬ  ＰＯＷＥＲ  ＳＯＵＲＣＥ。］
この発明に関する総合体系溶液はそうである、それは言った」緑」モーターは、そういうものとして燃焼性のエンジンの中で現在使用されるような比較可能な建築要素に基づくことがある、しかし、新設要素は、現在の燃焼性のモーターのものよりも非常に効率的に機能する必要がある、それでさらにもっとたくさん、エネルギーが使用したことは、好ましくは得られることがある、１つの」緑」エネルギー源、好ましくはモーターが走っている時生成されたＨ２の太陽と燃焼のようにたとえばそばにたとえば、電気分解、あるいは、必要に応じて、Ｈ２の補充可能な貯蔵タンク＋燃料電池によって、圧力貯蔵器船舶からのおよび／または、加圧された流体を包含していること、好ましくは、低圧（たとえばほぼ１０本の棒）の、必要に応じて、高圧（たとえば〈３００本の棒）の、モーターの間これを最後に満たされた、作製される、そして、好ましくは、前記モーターの作業の間中再気圧調節した、必要に応じて、補充された、モーターは作業が不足している場合、および／または、バッテリー、課された、モーターが作製される場合、そして、好ましくは、連続的に、充電された、モーターが走っている場合、および／または、必要に応じて、充電された、モーターは走っていない、またシステムから、それ自体、好ましくは必要とされるエネルギーがシステムが運動を生成するタスクのためのおこなうことがある、入手可能な総エネルギー未満であることがあるので、必要に応じて、別の電源から、ＷＯ２０００／０７０２２７は、８本の棒（自動車用エンジンの現在の使用圧）でポンプ用に本質的なエネルギー量（たとえば６５％以内のエネルギー）を保存することができるピストン燃焼室組み合わせテクノロジーを開示する−ｅ．ｇ。１０  管の中の棒、で、１つの、１７ｍｍ（からの？６０ｍｍ、初めは、縦位置）、最も高圧力が生じるところで、チャンバーの最も小さい断面積がそこに位置する場合、第二の長手ピストン位置で：第二の縦位置で。別のまわりの方法は、ポンプの代わりにアクチュエーターの中で前記テクノロジーを使用することによって、効率さえである。ピストンの強調されていない生産サイズが円周（それはほぼ最も小さい断面積を有している前記チャンバーのその部分の円周のサイズである）を有している場合、ＷＯ２００４／０３１５８３は前記チャンバーで群がっていない拡張可能なピストン式（たとえば、ｅｌｌｉｐｓｏｉｄｅ〉−球体：小さい球体＜−＞大きな球体）を開示する：これは第二の縦位置にあることがある。このピストン式は前記チャンバーの中でアクチュエータピストンとして使用されて、特別の特性を示す、そしてこれら、ｃｈａｒａｃｔｅｒｉｓｔｉｓｃ、この発明の中で要求される：アクチュエーターは自航式である、場合、ピストンが圧力源からのその密閉空間を通って加圧される、外部、チャンバーは言った、前記第二の縦位置で、また、角度がチャンバーの壁と、働くプロトタイプがそうである前記チャンバーインの中心軸の間で０でない間に、前記チャンバーには前記ピストンの両側間に圧力差がない場合、第一のｌｏｎｇｉｍｄｉｎａｌなピストン位置へ２６０Ｎで膨らみみ突進するアクチュエータピストン、ここで断面積は、２６０Ｎの一定の最大���労働力を有していて設計されたチャンバーで、最大である（ＷＯ２００８／０２５３９１、ＷＯ２００９／０８３２７４）。この現象はこの中で使用されてもよい」緑」モーター、まだクランクシャフトを使用して、燃焼性の専門語に由来したエネルギーに基づいた運動をそのために交換すること膨張のため使用されるエネルギーは、ｅｌｌｉｐｓｏｉｄｅからたとえばほぼ５つの障害（たとえばピストンのボリュームの増加のため５つの障害過剰圧力の１０の障害からの）であることがある―密閉空間（ＷＯ２００９／０８３２７４）の一定容積量による球体〉。この圧力降下は有している、もどり行程では、アクチュエータピストンがしたがって第二の長手ピストン位置（ここでそれはその生産サイズを有している）で無強勢になる必要があるので、システムで再度獲得されるために、で、たとえば、０本の棒内部過剰圧力。５つの障害過剰圧力、初めは、ピストンの密閉空間が別の密閉空間（それはクランクシャフト内にたとえば位置することがある）に接続される場合、長手ピストン位置は再度使用することができる、そして、どれがあるか、を介して、１つの、たとえば揚水工程を２−踏んだ（再び圧力を５つの障害から１０の障害に増加させた）。これは、ＷＯ２０００／０７０２２７の中で開示されるピストン燃焼室組み合わせテクノロジーの別の側面の使用により効率的に行われることがある。その結果、再加圧処理では、また、６５％のエネルギーは節約されることがある：上にたとえば基づいたピストンの使用によりたとえば、ＥＰ１１７９１４０Ｂ１の、またはＷＯ２０００／０６５２３５の図５Ａ−５Ｈの上の請求項１、どれの、発生を促進する、付加的にこの発明の中で要求される。６５％のエネルギー低減はできる（これらから、まだ）追加エネルギー、前記アクチュエータピストンの主クランク軸に前記ポンプのクランクシャフトを接続することにより保存される：言ってください、前記追加救済は３５％であると仮定されることがある。したがって、総貯蓄は次のとおりである：７６および７％（６５  ３５＋１／３  ｘ％）。したがって、エネルギーの２３および３％は、別のポンプ（言及された最後とたとえば同一）だがどれが今そのエネルギーを得ているかから獲得されるべきである、から、たとえば、その電気を受け取る電気モーター「〉太陽電池（それは共通の自動車の天盤ほど大きくあるべきでない、あるいは１つの、自動車のペイントの中で組み込まれた太陽電池）、または必要に応じて燃料電池によって必要に応じて課された前記バッテリーから、あるいは、好ましくは、オルタネーターによって、どれがすることがあるかは、モーター自体のシステムの車軸または小さいＨ２燃焼性のエンジンの車軸からその回転を得る。
【００５０】
それに機能を汲ませるために必要なエネルギーは、８および２％である２３および３％の３５％である。
【００５１】
熱はまた前記モーターによって生じないことがある、および、ノイズ、ほとんどすべての間に、このモーターの重量が現在の燃焼性のモーターよりも低いｓｕｂｓｔａｎｔｉａｌｌｙ（たとえば６０％）であることがある間、追加復原装置、どれ、燃焼性のモーター、目的を冷却するためのｃｏｎｔｉｏｌｌｉｎｇする水温、油温および排気系統などのニーズは不必要なことがある、のほかに、１つの、アルミニウムガソリンタンクで、１つの／あるいは、合成樹脂車体はすることがある、将来の自動車、現在の自動車−ｅ．ｇの重量の半分である。フォルクスワーゲンゴルフ・マークＩＩは８３６ｋｇに重みを加える。一方、この発明によって設計され作製される、だろう、それ、ほぼ４２５  ｋｇｓに重みを加える：ドライバーだけと、存在するのはＴＷＲである：６と３！
残りの問題は、夜の暗黒の中で長い時間の間中運転していることがある。単独で、このとき太陽電池は前記バッテリーの充電のための使用されることがある。しかしながら、町の通りにあるランプポストのランプのライトは、太陽エネルギーセルのための十分なライトを与えることがある。
【００５２】
また、ギヤーボックスは必要なことがあるので、ｒｐｍ、そのような、１つの「グリーン」モーターは現在の燃焼性のモーターよりも低いことがある。
【００５３】
［１９６１８の説明フィージビリティスタディへの１９６２７の（補正された）追加問題］
フィージビリティスタディは、今までオットー運動型と比較してこの発明のモーターによって生じた熱の不足を定量的に組み込まなかった。ヒートロスがこの発明の運動型よりも、いつ組み込まれることがあるかは、さらに面白くより説得力がある。ヒートロスは、現在のオットーモーターに２５％の効率を与えることがある。それがこの発明の運動型が熱を発しない第一の実例の中で仮定されることがある場合、で、エネルギーを削減することが可能なことがあるより、すべて（等温線）常にほぼ６５％によって１０本の棒（モーターが作製された時、１０本の棒が圧力貯蔵器船舶の中に既にあった）を言うべき５本の棒からの流体を加圧した。それから、この発明による運動型の総合効率は、自航式アクチュエータピストンによって、１０％の下にすなわち８および７５％入ることがある。また、これは今まである、先例がないことがある（デービッドＪＣマッカイ（ホットエアー−２００９エネルギーなしで持続可能））。この発明の中で示される圧力を再生成するためのポンプが再びこの発明を与えるピストン燃焼室組み合わせタイプを使用している場合、別のものよりも、エネルギーの６５％は保存されることがある。したがって、我々がその熱を無視したならば、これは８および７５％  ｘ  ０と８７５＝７と６％の完全なエネルギー消費を招くことがある、ポンプによって生成されている。しかしながら、汲むことのための使用されたエネルギーの一部がバッテリーなどの別のエネルギー源（完全な原動力からよりも）から来ることがある場合、フライホイール、または総使用されたエネルギーがまだ１０％未満を終了することがあるより、ジェネレーターにつながれた回生制動デバイスから、たとえば太陽エネルギー（光起電力）および／またはによって燃料電池（たとえばＨ２）を課す。
【００５４】
以前に既に終えられた、図１１Ｇ、１５Ｃまたは１５Ｄによる運動型および図１３Ｆの配列、Ｇおよび図１４Ｄは、最も効率的な（単純な構築（ほとんど等温の熱力学））ものであることがあり、付加的に最も信頼できる（漏れはない）ものであることがあるそして、それに図１３  Ｆ、Ｇおよび図１１Ｄの配列は、回転を生成するクランクの使用がない、でしょう、図１３  Ｆの配列、自動車用エンジンの量的評価の中で使用される。
【００５５】
我々は、現在のフォルクスワーゲンゴルフ・マークＩＩモデルＲＦを１６００ｃｃ使用する、各８１ｍｍの４つのシリンダーを備えている、５３ｋＷ／７１のペックガソリンモーター、９バールの圧力、および本発明のためのベンチマークとしての７７ｍｍのストロークを備えた重量８３６ｋｇ。これは、１つのシリンダーごとに１１５９Ｎの最大力を与える。それは１つのシリンダーごとにほぼ１１６ｋｇである。ほぼ５０％の減量は仮定されることがある。すべてならば、燃焼部分は車体から行なわれる。また、アルミニウムは鋼製の代わりに前記本体に使用されるだろう。したがって、必需品は、アルミニウム本体、４人までの乗客および荷物を駆動するべき１つのシリンダーごとに５８ｋｇであることがある。ＷＯ２００８／０２５３９１の中で示されるポンプのチャンバーは、２−１０本の棒から、および５８ｍｍ−０ｌ７ｍｍの直径でほぼ４００ｍｍの全ストロークに関して、２６０Ｎ（２６ｋｇ）の最大労働力をそれぞれ有している。このチャンバーの中で膨張式のｅｌｌｉｐｓｏｉ’ｄｅの形状のピストンを使用して、アクチュエーターは非常によく中へ機能している、実行する。したがって、これらのチャンバーのうちの２つ、アクチュエーターの一部が前記フォルクスワーゲンゴルフ・マークＩＩ（今、アルミニウムで作られていた）、および行なわれた燃焼と関係するすべての部分のガソリンモーターの単気筒と等価になりうるので、今使用した。
【００５６】
この発明によるモーターの中で、でしょう、アクチュエータピストンの密閉空間の圧力、ｘ障害（ストローク：２〈ｎｄ〉〉−１つの〈ステファン数〉縦位置）からほぼ０の障害（ストローク：  １位−  〉２つの〈ｎｄ〉縦位置）へ変化させられる。「ｘ」の値は選ばれることがある、できるだけ小さい、エネルギー消費を制限するために前記特別のチャンバータイプを使用するので、労働力のサイズは圧力値に依存しない、最低のレベルのほぼ０本および５本本の棒への最高水準で３本および５本の棒への圧力窓を使用することを備えた圧力を制限することは可能なことがある。
【００５７】
前記出発点は、球体の圧力の配列に上方へ行なわれることがある、形状のピストン、１３Ｆしかしながら、図の回転チャンバーで位置して、チャンバーは、３本の［１／２］棒がストロークの一部だけ（４００ｍｍの２１６および２ｍｍ）を使用するので、図の中で１３Ｆ示されるもののように今まだ、より単に形状のことがある、の中で、前記、特定、１本のアクチュエータピストンごとにチャンバー力は最大２６０Ｎである。
【００５８】
前記球体のボリュームの変更は全く大きいことがある：Ｖ２＝４／３  ｘ  ３から、１４×１２、５５〈３〉（０２５．１ｍｍ；  Ｐ２＝０と３５Ｎ／ｍｍ〈２〉）＝８２８０ｍｍ〈３〉Ｖｉ＝４／３  ｘ  ３に、１４×２３、４５〈３〉（？４６．９  ｍｍ；  パイ＝０、０５  Ｎ  ｍｍの〈２〉）＝５４０１５  ｍｍ〈３〉それは６、５および［Ｄｅｌｔａ］［Ｒｈｏ］＝７のＡＶである。前記チャンバーの中心軸に対して壁の角度は次のとおりである：Ｌ１＝３０２、７８−８６のおよび５７＝２１６、２１、［Ｄｅｌｔａ］［ｔａｕ］＝１０と９：角度、２と９［］この角度がそうである度、よい
エネルギー、使用された「仮想の」１つの完全なストロークＬｉのための単気筒のための第二の縦位置（インデックス２）でのボリュームに第一の縦位置（インデックス１）で前記アクチュエータピストンのボリュームを圧縮することは次のとおりである：
Ｗｉｓｏｔｈｅｒｍａｉ＝−ＰｉＶ１ｌｎ（Ｐ２／P1）＝０、３５×５４０１５×ｌｎ７＝０、３５×５４０１５ｘ２，３０２５８５  ｘｌｎ７＝３６７８８、Ｎｍｍ／チャンネル／ピストン／回転＝３６，８Ｊ／チャンネル／ピストン／回転、１つのチャンネルごとに１本のアクチュエータピストンが単にある場合。この発明による前記モーターは数に関して、前記ガソリンモーター（９００の回転／ｍ）ほど迅速ではない、ストローク／分これはそうである、のため、拡大して、より遅いと仮定された、そしてアクチュエータピストン（それは強化されたゴムで作られている）の契約。回転数／分がしたがって６０であると仮定しよう、１、ごとに、第二（燃焼性のモーターを言ったよりも遅い１５ｘ）。Ｗ＝３６と８Ｊ／チャンネル／ピストン／ｓ。２×４’がある、比較可能」チャンバー（シリンダー）―パワーは２９４および３Ｊ／ｓ／ピストンよりもある。それは０および２９５ｋＷ／ピストンである。５本のピストンを使用する場合、各々の前記３６０の［度］チャンネル（図１３Ｆ）の５つの下位チャンバーの各々のうちの１、よりも、だろう、発電出力、次のとおりである：５×０、２９５ｋＷの＝ｌ、４７ｋＷ。
【００５９】
仮定１回毎秒のチェック：燃焼性のガソリン５３モーターのなるｋＷ（それはそれにこの研究で以前に述べられた）、それは９２および４％を省くことがある：７および６％は単に使用されてもよい：４、０３ｋＷ．
それは第１にすることがある、上記の言及された計算に応じること、場合、回転数、ごとに、第二、ほぼ次のとおりであることがある（丸められた）：３つの回転／秒。
【００６０】
したがって、２ｘ４を備えているモーター」比較可能」チャンバー（ほぼ３×１の累乗を招いて、５つの下位チャンバー（３毎秒回転数（＝１８０回転／最小）の回転）の５本のピストンを各々備えていて）、ｋＷこれがそうであることがある４７の＝４と４、アルミニウム本体を備えたフォルクスワーゲンゴルフ・マークＩＩを駆動するのに十分。
【００６１】
（バッテリーそれ）文学（デービッドＪＣマッカイ（ホットエアー−ｐ．１２７、第２０．２０／２０．２１図エネルギーなしで持続可能））は、走るためにほぼ４および８ｋＷのパワーを使用して、小さい電気自動車を明らかにする。また、自動車が１つのバッテリーのチャージ上で７７ｋｍ実行することができる８ｘ  ６Ｖおよび充電時間からどれが来るかは、数時間である。エネルギーがバッテリー（それらは前記自動車のドライブの間中課すことができない）から来る場合、これはある好適な実施形態ではなくオプションであることがある。
【００６２】
どれだけのエネルギーがアクチュエータピストンを加圧し減圧させられるのに必要か、また、自動車が運転している間、それを行うことができるか。
【００６３】
前記モーターの前記アクチュエータピストン中の圧力変化を得ることが必要である、活動した。我々は、図の中で１１Ｆ示される原理、および図を１３Ｆ使用する。
【００６４】
エネルギーは、前記モーターの駆動電動機車軸と通信している前記回転チャンバー（たとえば、ここで古典的ピストン燃焼室組み合わせのピストンはカム軸によって移動されている）からの運動エネルギーから来ることがある。我々がボリュームを変化させることにより、データ（それらは膨張式の球体ピストンの圧力の変化が前記アクチュエータピストンの密閉空間のボリュームを変化させることにより行われることがあるより、原動力を計算することのための使用された）を使用する場合」の下で」古典的ピストン。媒体内圧（３、５バール）を備えた小さい球体形（φ  ２５，１ｍｍ）から第二から第一の縦位置へ密閉空間の一定容積量と共に、低圧（０，５バール）を備えたより大きな球体形（φ４６，９ｍｍ）にアクチュエータピストンによってしたがって必要とされるストロークごとに１本のピストンごとに体積変化率は、前記アクチュエータピストンの内圧変化によって行われる。力は２６０Ｎ／ストローク／ピストンである、関係ない、内力、したがって、８つのチャンバー（各々５本のピストンを備えていて）、および３毎秒回転数で、発電出力は次のとおりである：４，４ｋＷ。
【００６５】
第一から必要とされるエネルギーがそうである第２の縦位置へ来ること（図１４Ａおよび１４Ｂ）：
１．取り囲まれた測定空間の中にアクチュエータピストンのデフレによって、その生産形（φ２５，１ｍｍ；  ０バール（過剰圧力））にアクチュエータピストンの球体形（φ４６，９ｍｍ；  ０，５バール）を変化させる、どれが今ボリュームこれがそうであることがある増加か、コスト、エネルギーはない、ポンプピストンとｅｎｃｌｏｓｅスペースの壁の間の摩擦推力が、十分に小さい場合；
２．球体（φ２５，１ｍｍ、０バール）を膨張させるために、に（φ２５，１ｍｍ、３，５バール）、ポンプピストンが近く来るところで、密閉空間のボリュームを減少させることによって、必要とされるアクチュエータピストンエネルギーは次のとおりである：
【数１】
2014527601.tif 000003
【００６６】
したがって：生成されたｂｒｕｔｔｏパワーは、モーターを実行するための４および４ｋＷおよび必要とされるパワーである、したがってほぼ２ｋＷ少なくとも１および５ｋＷである、必要、最終的な他の損失に加えて。
【００６７】
モーターにアクセスするために、万一言及されて、上記に応じるポンプが自動車の中にあれば、我々はそれを入手可能なことと比較する：本コンプレッサーは次の明細書２２０Ｖ、１７０  １／ｍｉｎ、２，２ｋＷ、８バール、圧力貯蔵器船舶１００  ｌを有している。我々はパワーを必要とする、しかし下側圧力で、その結果、この修正済のコンプレッサーはもう少し迅速である、充電、圧力貯蔵器船舶。８バールのためのＰ＝２２００Ｗ、３１／２バールは必要なことがある、８ばーえうのみに関してはｒｅｐｒｅｓｓｕｒａｔｉｏｎ同時を使用すること、３／８  ｘ  ２２００＝８２５Ｗ。バッテリーが２４Ｖのバッテリーでも、電流は８２５／２４の＝３４，４である、Ａこれは非常にバッテリー向けで、従ってするだろう、多くのバッテリー、参照番号／８３１  ８２６を備えたポンプがそうであるべきモーター配列図１１Ａ、Ｂ、Ｇおよび図１２Ａ（１３Ａ）の中に、入手可能である、電気的。充電、これらのバッテリーは単に外部パワー出所によって可能である、その結果、自動車は多数の間中効果がないべきである、時間コンデンサー溶液（図１５Ｅ）はまだ相これがそうでないその研究中である、ある好適な実施形態、しかし１つの、オプション。
【００６８】
パワーの変換を回避し、かつたとえば使用して、ポンプ／８３１  ８２６が燃焼性のモーターの車軸と通信しているところで、図のモーター配列を１５Ｃ使用するべきほうがよいことがある。Ｈ２（それは好ましくは電気分解、および必要に応じて燃料電池によって生成された）。
【００６９】
８２５Ｗによって生成する必要がある、前記、燃焼性、モーターこれは、２４ｃｃ／６６ｃｃ（フォルクスワーゲンゴルフ・マークＩＩは、５３ｋＷのモーターを１６００ｃｃ有している、？９０ｍｍ、４つのシリンダー―８２５Ｗは、９０ｍｍほぼ２４ｃｃである〉単気筒、あるいは、場合、３ｘ、より速く）であることがある。２および２ｋＷは、９０ｍｍほぼ６６ｃｃである、オットーサイクル（それは大きな現在使用されたモペットモーターと比較されることがある）を使用する単気筒の古典的モーター。モペットはテレビで上映された、のための、カップル、数か月、前に、水の電気分解の使用、タンク（もとはガソリンのための）に格納された、また生成されたＨ２を使用すること、のための、燃焼プロセスこれは実現可能である。自動車のための、確かに外部のモーターのこのサイズである、モペットモーター（それは遺憾にも必要な汚染またはＣ０２排出でない）の比較可能な機器とａｕｘｉｌｉａｒｌｙにモーターすべての余分な燃焼性の機器（下側ｗｅｉｇｔｈを獲得するためにフォルクスワーゲンゴルフ・マークＩＩから我々はそれを以前に投げ出した）を取り替える必要がある。また、ノイズは測定を低減する適切なノイズおよび重量によって成功裡に低減されることがある、自動車および１５  １水＝１５  ｋｇｓのタンクのためのそのａｓｓｕｍｅ  １／６だけ（＝ほぼ３５  ｋｇ）である。―  まだ、このフィージビリティスタディはもつことがある。
【００７０】
［ＥＮＤ  １９６２７は、１９６１８の説明フィージビリティスタディへの１９６１１の追加問題を補正した。］
一層の発生は、膨張式のピストンが特に設計されたチャンバーで移動しているということであることがある。その結果、ピストンの生成された力は、最低限の膨張と共に最大限にされた（＝圧力降下）。そして、中断された移動、あるいは’躊躇振る舞い」（ページｘｘを参照）前記ピストンの、補われることがある、１つの、内部で、補正された、前記チャンバーに形づくる。
【００７１】
図１Ａによる前記基本的原則によって前記モーターをコントロールすることは、１つのクランクシャフトごとに１つのアクチュエータピストンチャンバー組み合わせよくでのような新しい側面である、以下のようにこれである。
【００７２】
圧力貯蔵器船舶がモーターの生産で外圧出所によってこれを最後にしたがって加圧されたことがあるかもしれんと仮定されている。前記アクチュエータピストンはバッテリーを使用して、電気始動モーターによってスタートすることがある。それは、太陽電池、古典的ダイナモ（それは前記モーターのメインの車軸によって回転させられる）によるおよび／またはによって課された。前記スタータは初期にクランクシャフトを回している。また、アクチュエータピストンが加圧されているとその移動の結果が言ったので、アクチュエータピストンの内部に加圧は、その後前記アクチュエータピストンの移動のイニシアチブ、そして従って前記クランクシャフトのターニングの開始を引き継ぐ。それから、前記スタータは前記クランクシャフトから分断されることがある。
【００７３】
モーターが圧力貯蔵器船舶８１４を上へ開口によってスタートしようとしていることもありえることがある、その結果、流体８２２は前記アクチュエータピストンを内部に加圧している、それは移動を始めている、前記、Ｆｉｇ．１Ｂをピストン参照してください。
【００７４】
すなわち前記モーターを促進して、前記クランクシャフトの回転の促進は、前記圧力容器間のいわゆる低減バルブの上の開口によって、前記アクチュエータピストンの内側の圧力を上げることにより行われることがあり、（リード）ライン［８２９］の中のアクチュエータピストンを言った。前記クランクシャフトの回転を遅くすることは前記低減バルブの開口の閉鎖により前記アクチュエータピストンの内側の圧力を下げることにより行われることがある。
【００７５】
モーターを与えるために、より多くのパワー（メインの車軸上のトルク）が、アクチュエータピストンチャンバー組み合わせの既存の配列のための圧力を増加させることにより、行われることがある。あるいは、１つの車軸ごとに１つを超えるアクチュエータピストンチャンバー組み合わせがあることがある。モーターを止めることは、前記（リード）ライン［８２９］の中の前記低減バルブを全く閉じることにより行われることがある。前記低減バルブは速度加減装置でｃｏｍｍｉｕｎｃａｔｉｎｇしていることがある。
【００７６】
圧力管理は、前記アクチュエータピストンに、より詳しく以下のように組織されることがある。クランクシャフトの、およびピストンロッドの終わりにクランクの両方の壁に、穴があることがある。それは、第二・第三の密閉空間および密閉空間とそれぞれ通信する。時間のある点で、だろう、互いと通信する穴、その結果、アクチュエータピストンの密閉空間は、第２と通信していることがある。あるいは、第三は空間を内側は取り囲んだ、それから、第２の密閉空間と通信しているクランクシャフト間、ピストンはその密閉空間を通って加圧されることがあり、チャンバーに第二から第一の縦位置へ移動していることがある。第三の密閉空間と通信している間、ピストンが第一から第二の縦位置へ移動していることがある場合、ピストンのデフレが生じることがある。主ピストンポンプ（８１８）は、第三中の圧力の減少を始める、クランクシャフト、およびピストンロッド中の、ポンプのクランクシャフトの相互関係があったデフォルト位置のため、およびアクチュエータピストンのクランクシャフトの密閉空間の圧力の減少で空間をそれぞれ囲んだ、それは同じ車軸上で組み立てられることがある。
【００７７】
より詳細にすることがある、以下のように働く前記アクチュエータピストンの圧力管理。
【００７８】
決勝では、ピストンの第二の縦位置は穴にすることがある。
【００７９】
ＩＮを満たしてください。
【００８０】
前記モーター中の１つを超えるアクチュエータピストンチャンバー組み合わせは同じ車軸上で存在することがある。しかしながら、このコンセプトは前記明細書に応じるｈｅｌｐｆｕｌｌではないことがある。それが現在の燃焼モータを持っているので、１つの車軸ごとに１つを超えるピストン燃焼室組み合わせは滑らかにより多くになるモーターを作ることがある。また、もちろん、トルクは前記車軸上で増加される。
【００８１】
それはどのように走っているか。また、ＰＥＲ  １クランクシャフトが組織したアクチュエータピストン／チャンバー組み合わせの間の相互関係はどうか？？
クランクシャフトはそれ自身回転運動を生成する非能率的な方法であることがある。また、さらに、この種のピストン燃焼室組み合わせのストローク長はそれよりも大きいことがある、たとえば、１つの、燃焼モータすなわち現在、前記クランクシャフトのｒ（ｏｔａｔｉｏｎ）ｐ（そのー）ｍ（ｉｎｕｔｅ）’ｓは、現在の燃焼モータよりも実質的に低いことがある。ギヤーは必要なことがある。また、ギアリング・レシオは現在の燃焼モータのそれとは異なることがある。ギヤーボックスは、たとえばを備えた効率を２５％低減することがあり、効率が流体動的ベアリングなどの低摩擦ベアリングの使用により改良ことがある（たとえば５０％ずつ）。モーターが全体の時間を実行することがあるとともに、クラッチは必要なことがある。したがって、自動車用エンジンに必要とされたエネルギーの３３．２％は、たとえばグリーンエネルギーからたとえば来るべきである、たとえば天盤／フード上の太陽電池からの太陽エネルギー、自動車／全身のペイントはそうであることがある。しかも、あまりにである。もちろんそこに追加することがある、いくつかの特別のバッテリー、これらが風力から元気よく課されているか、太陽エネルギーこれが、ビークルの重荷を増し、ＷＴＲを増加させれば、言及された比最後は部分的に流通機構を必要とするだろう。したがって、この運動型は完全にはしないことがある、人がたとえばねらう場合に、前記明細書に応じること、１つの」グリーン」自動車用エンジン。したがって、ために、明細書に応じること、クランクシャフトはギヤーのほかに回避されることがある。
【００８２】
［図２Ａの原理に基づいた１つの「ＧＲＥＥＮ」ＭＯＴＯＲのためのＲＯＴＡＴＩＮＧ  ＰＯＷＥＲ  ＳＯＵＲＣＥ］  
これは、我々を前記ピストンがあることがある点へ連れて来る、回転する、の代わりに、これを翻訳する、新しいタイプのモーターは種類であることがある、１つの「グリーン」ワンケルモーター。
【００８３】
エネルギーのさらによりよい使用は、少なくとも推進系のための言及されて上記のものとして同じ原理を使用して、クランクシャフトのないモーターによって得られることがある。に加えて、先、言及された、だろう、これは、エネルギーの使用を明確には減少させた、１つの〈ステファン数〉からの距離の低減により、ｃｉｒｃｌｅｒｏｕｎｄ中心線（それは前記モーターのメインの車軸のまわりで同心的に位置することがある）のまわりのチャンバーで得られる、２〈ｎｄ〉への回転位置、ほぼ前記ピストンの半径への前記チャンバーのピストンの回転位置、その結果、モーターは、ほとんど連続的に動力を供給していることがある、車軸は言った。
【００８４】
円錐形のチャンバー（そこではピストンは自力で推進するアクチュエーターとして機能することがある）は、長手方向で循環的に曲げられたことがあって、３６０の［度］またはその一部を充填していることがある。少なくとも一つのピストンが前記チャンバーで機能していることがある。モーターはすることがある、より多くのアクチュエータピストンチャンバー組み合わせのうちの１つを備えていてそれは同じアクセルを使用していることがある。前記アクチュエータピストンおよび／またはの円運動の中心の中で、チャンバーが車軸であることがある、それは建築要素に接続されることがある、それは自動車またはホイールｃ．ｑなどの別のビークルランを作る。プロペラ。
【００８５】
そのようなモーターを構築するために２つの方法があることがある。１つは前記チャンバーの中心軸が位置する平面の中で移動するアクチュエータピストンロッドの中心軸を有しているためにある。別の可能性は、アクチュエータピストンロッドの中心軸が位置することがあるということであることがある、垂直、チャンバーの中心軸が位置するところで、平面。両方の場合に、だろう、アクチュエータピストンを移動させることまたはチャンバーを言った、あるいは両方。アクチュエータピストンの実行、使用されたそのものが好きである、延長された、円錐形、球体および逆もまた同様決まったピストン（たとえばＷＯ２０００／０７０２２７図９Ａ、Ｂ、Ｃ）へのチャンバーｅｌｌｉｐｓｏｉｄｅ、の中で、１つの、循環的に、チャンバーが循環的にあることがあるので、屈曲チャンバーはありそうもなく見える、その長手方向で曲がる、その結果、前記アクチュエータピストンのピストンロッドのベアリングは見当たらない。
【００８６】
代わりに、球体への、および逆もまた同様（より大きな）（より小さい）球体、タイプアクチュエータピストンは使用されてもよい。それはその対称的なフォームのためピストンロッドのベアリングのためのそれほど複雑でない構築を可能にする（たとえばＷＯ２００２／０７７４５７図６Ａ−Ｈ、９Ａ−Ｃ）。たとえば、前記循環的に決まったチャンバーの中心軸が位置するところで、ピストンロッドは平面に垂直な前記アクチュエータピストンを介して位置することがある。
【００８７】
前記アクチュエータピストンは、過渡的に移動ピストンを使用する時使用された直線のチャンバーとしてチャンバーが同一に形づくられる事実のために、前記チャンバーで移動していることがある、しかし今循環的に。
【００８８】
しかしながら、前記ピストンの壁の部品のサイズ、前記ピストン垂直の推移の中心軸の背後にある、前記チャンバーの中心軸、またその場所へのピストンの中心からの直系、ここで、チャンバーおよびピストンに係合すること（あるいは密閉または両方）、実質的にある、細長いチャンバーの中心軸の上で翻訳しているｅｌｌｉｐｓｏｉｄｅ＜−＞球体ピストンよりも小さいそのため、ｅｌｌｉｐｓｏｉｄｅ＜−＞球体アクチュエータピストンの未満で、アクチュエータピストン（球体球体）がそれぞれ有している、想定するパワーはそうであることがある。１つのチャンバーごとに１本を超えるアクチュエータピストンが使用されている場合、これはモーターを要求する。アクチュエータピストンが断続的に（後で参照）移動しているので、追加設定は同じを要求する、また、同じ３６０の［度］チャンバーの１本を超えるピストンは、滑らかな運動を作り出すことがある。そして、いつ、アクチュエータピストンを前記に有している（その最大に拡張した）こと、非常に短いモーメントが生じる、前記アクチュエータピストン内の圧力は減少している。また、これはまた与えることがある、１つの」躊躇のモーメント」の中で、運動ために、人、アクチュエータピストンは勝っている」躊躇」別のアクチュエータピストンの運動では、前記アクチュエータピストンは前記チャンバーの中心軸の上で異なる位置に置かれることがある。一例として、３６０の［度］チャンバーが４つの同一の下位チャンバーでｕｐｄｉｖｉｄｅｄされている場合、アクチュエータピストンの数は３６０の［度］に関して等しく分裂して、５であることがある。
【００８９】
そのような回転モーターの主な利点はそうであることがある、円形１つの〈ステファン数〉位置および円形２つの〈ｎｄ〉位置が、回転の方向に互いの直接接続にあるので、１つの〈ステファン数〉環状位置から別の環状位置へのアクチュエータピストンのもどり行程の長さは、クランクシャフトオプションと比較して実質的に低減されており、少なくとも最初の環状位置でのピストンの最も大きな半径のサイズであることがある。
【００９０】
したがって、前記アクチュエータピストンの内側の圧力の低下および圧力の賃上げは、直ちにその後管理される必要があることがある。
【００９１】
アクチュエータピストンの内部の圧力を変化させるために、２つの基本の方法があることがある。１つのオプションは、チャンネルによって増加／減少に有能なことがあるバルブにアクチュエータピストンの各々が接続されることがあるということである、前記アクチュエータピストン中の圧力。前記バルブは操縦されたコンピューターであることがある。その結果、各アクチュエータピストンの内側の圧力は前記チャンバーのその位置へ最適である。付加的に実施されることがある、それはアクチュエータピストンの各々中の入手可能な圧力の分布が、前記アクチュエータピストンのための入手可能な流体圧力の使用を最適化するように、コンピューターが圧力容器（それは圧力源として役立っている）からの圧力を操縦している。第二のオプションは、密閉空間のボリュームの非常に短い変化にたとえばよる。この変更は、壁にｓｅａｌｉｎｇｌｙに接続される可動ピストンによって行われることがある、たとえば細長いチャンバー。前記チャンバーは、種類を有していることで非常によくあることがある、異なること、推移の方向に横断面。移動の速度のために、このチャンバーは一定のｃｉｒｃｕｍｐｈｅｒｅｎｃｅを有している種類であることがある。その結果、ピストンは単に作業の間中曲がっている。しかし、もちろん、推移のｃｉｒｃｕｍｐｈｅｒｅｎｃｅの異なるサイズを有しているチャンバーはまたオプションであることがある。前記チャンバー内に移動するピストンはピストンロッドを有していることがある。それは、カム円板（それはモーターが装着される車軸に接続されることがある）と通信していることがある。ピストンロッドの終わりに、ホイールがあることがある。それは前記カム円板を転がしている。したがって、そういうものとして流体（前記流体の穏やかなエネルギー（圧力）だけ）を消費しないこの運動型である。
【００９２】
３６０の［度］チャンバーはすることがある、定期修理、車軸（中心軸はそれに前記チャンバーの中心と交差していることがある）。前記チャンバーはホイールの一部であることがある。また、前記ホイールのｏｕｔｅｒｐａｒｔはノッチを有していることがある、どの中で、駆動ベルト（それは起電機などの補助機器を駆動しているかもしれない）。
【００９３】
チャンバーが回転とピストンである場合、明らかにモーターのタイプである、回転可能なモーターの２つのオプションのそれほど複雑でない解決策を移動させないことまたよりよくたとえば生成されたトルクである、前記溶液での５ｘ、ので、そこに、もっと５ｘである、同じディメンションの１つのチャンバーごとにピストン。最も信頼できるシステムは回転チャンバーの固定ピストンであることがある。利点はそうであることがある、モーターは１本を超えるピストン（たとえば５本のピストン）を備えていていることがある。それは各々異なる回転位置（それらは滑らかに回転するモーターを作ることがある）に位置することがある、ので、その１つの〈ステファン数〉からのピストンの遷移、動力が回転位置にたとえば供給されることがあるその２〈ｎｄ〉への回転位置、４本の他のピストン。また、１つの〈ステファン数〉に回転位置を移動させる間のピストンの「躊躇振る舞い」（後で参照）も、たとえば支持されることがある、４本の他のピストン、その結果、「躊躇」はしないことがある、観察。ピストンの内側の流体の圧力レートが速度を定義するので、ギヤーボックスはｕｎｎｅｓｓａｒｙであることがある、メイン、この圧力が速度加減装置によって容易に定義されていることがある一方、車軸この必要な圧力窓はこのモーターの構築によって容易に得られることがある。したがって、ギヤーボックスは余分にあることがある。また、それは、ほぼ５０ｋｇの一層の減量を増す。フォルクスワーゲンゴルフ・マーク［パイ］変換は、付加的にほぼ３５０ｋｇに減らされた。ＴＷＲは今ほぼ５と６である。
【００９４】
（移動するない）回転モーターのコントロールは、翻訳するピストン（または翻訳するチャンバーおよび非移動ピストンを備えたさえ、あるいは、両方が示されるとは限らない場合さえ）を備えたモーターのコントロールとして同様の方法で行われることがある。
【００９５】
調節部：機能の中に置き、開始し、スピードを上げること、動力を供給する減速、停止および使用からのモーターを行なうこと。
【００９６】
機能にモーターを入れることは、スイッチ（それは電気システムを興奮させている）、および電気回路に始動電動機を接続している別のスイッチ上で／電気的なｅｎによって行われることがある。その結果、それは車軸に接続しており、回転している。
【００９７】
移動ピストンまたは可動のチャンバーと同じ車軸上で、使用している、そこで始動電動機（それはスターターバッテリーからの電気を使用している）であることがある、それ自体はそれによって装填される、太陽エネルギーからの電気。始動電動機は前記車軸を回していることがあり、したがって、回転を始める。
【００９８】
ＩＮを満たしてください。
【００９９】
圧力管理は以下のように行われることがある。
【０１００】
１つの、ピストンが可動のモーターの中で、加圧されるためにこのピストンを必要とする、それで、最も大きなｃｉｒｃｕｍｐｈｅｒｅｎｃｅが最も小さいものに変わっているところで、圧力は転移点で変わっている。これは、コンピューターと注入のジェットによって電子的に行われることがある。加圧された流体を保持する必要があるとともに、前記溶液は新しい溶液を必要とする。
【０１０１】
ＮＥＷの電子の／メカニックＳＯＬＵＴＩＯＮ。
【０１０２】
他の方法で、でしょう、それ、圧力の変更がある周波数であるので、機械的な解決策を作り出すことができることたとえばカム軸。（それは標準時間帯を介して駆動軸と通信している）カム軸は、前記流体（それに圧力を管理する必要がある）と通信している可撓な膜を押していることがある。
【０１０３】
この溶液をそれほど複雑でなくするために、だろう、１つ備えているチャンバー、の代わりに、たとえば４つの下位チャンバー、その結果、圧力は、一度だけ変わる必要がある。アブアンペア。
【０１０４】
チャンバーが可動のモーターでは、必要とする、たとえば加圧されるべき５本のピストン、それで、最も大きなｃｉｒｃｕｍｐｈｅｒｅｎｃｅが最も小さいものに変わっているところで、圧力は転移点で変わっている。これは、コンピューターと注入のジェットによって電子的に行われることがある。加圧された流体を保持する必要があるとともに、前記溶液は新しい溶液を必要とする。
【０１０５】
ＮＥＷ電子メカニックＳＯＬＵＴＩＯＮ。
【０１０６】
チャンバーが可動のモーターでは、内部の圧力を必要とする、たとえば、５本のピストン、互いとは、だが同位とそのパターンで異なって管理される、すべての回転のための繰り返す、その結果、またここで、カム軸溶液は可能なことがある：標準時間帯を介して駆動軸と通信しているカム軸。カム円板は、前記流体（それに１本のピストンごとに圧力を管理する必要がある）でｃｏｒｒｉｍｕｎｉｃａｔｉｎｇしている可撓な膜を押していることがある。図の原理に１１Ｆ基づいたモーターのためのＴＲＡＮＳＬＡＴＩＯＮ  ＡＬ  ＰＯＷＥＲ  ＳＯＵＲＣＥ。Ｂ。
【０１０７】
さらに信頼できるシステムは、ピストンの密閉空間のボリュームの変化によってピストンの圧力のステージ変化が得させられることがある再加圧中の流体から、ピストンおよび密閉空間中の流体を分離することにより、圧力管理のための図による新しい原理によって１１Ｆおよび１３Ｆすなわち得られることがある。改良信頼度は加圧された流体の遷移の数を減らすことに関することがある。それは漏れることがある。この原理では、主として復原装置は密閉空間のボリュームを変化させることのためのエネルギーを使用していることがある。これは非常によく行われることがある、その結果、また、ここに、エネルギーは低減されている、再び使用することによって、ピストン（たとえば前記ピストンの機能のための一つ、そして好ましくは１つ、のための、速度／パワー必要に応じて、パワー管理のための個別のピストン）シリンダーの中でｓｅａｌｉｎｇｌｙに移動している、シリンダーは言った、連続的に異なる推移の断面積のおよびたとえば変わる円周を有していること、その結果、再び、エネルギーの６５％の削減、使用された、得られることがある。この原理については、また、回転チャンバーの固定ピストンを備えた実施形態は、エネルギーの使用の低減に対する最良のオプションであることがある。一定の円周はまた働くことがある。しかし、獲得された低減は下側ことがある。
【０１０８】
Ｂ。
【０１０９】
膨張式のピストン内の流体の圧力の変更（また消費）も、代替的方法（図１１Ａの中で示される原理の代わり）で行われることがある。によって、一時的、前記ボリュームの調整は前記モーターのパワー（トルク）の変化およびこれを与えていることがあるが、前記ピストンの密閉空間のボリュームを変化させることは連続的に同時に行われることがある。エネルギーはこれから来る、まだ有効エネルギを使用するより効率的な方法である、また、それは増加することがある、図１１Ａの中で示されるその原理に関しての前記モーターの信頼度。ピストンがクランクシャフトクランクピン軸受などの継ぎ目および２部の連接棒の中で逆もまた同様移動している場合、ピストンが２〈ｎｄ〉および低圧流体から１つの〈ステファン数〉縦位置へ移動している時、そこでこの新しい原理の中に高圧流体間の漏れにならない。使用されるエネルギーは、前記ピストンのピストンロッド上の労働力の低減に最適化されることがある円錐形のチャンバーのピストンを移動させるために密閉空間のボリュームを変化させることのための使用されてもよい。付加的に使用されるエネルギーである、ものが密閉空間のボリュームの調節のための前記ボリューム取り換えに使用したとともに、同様のピストン燃焼室組み合わせの中で使用されることがある。
【０１１０】
ボリュームの変わるピストンの移動は、１点から別のものにチャンバーのピストンを移動させている、加圧された液体の使用により行われることがある、１つの、逆もまた同様、によって、たとえばバルブ、コントロールデバイスの、または磁気案内による他の土地。また、これは、ボリュームを調節しているピストンに有効である、前記ピストンの移動のスペースコントロールを取り囲む、速度加減装置と通信することにより行われることがある、それはたとえばコントロールされる、人またはコンピューター。
【０１１１】
図の原理に１３Ｅ基づいたＲＯＴＡＴＩＮＧ  ＰＯＷＥＲ  ＳＯＵＲＣＥ  ＦＯＲ  Ａ  ＭＯＴＯＲ。
【０１１２】
膨張式のピストン内の流体の圧力の変更（また消費）も、代替的方法（図１２  Ａの中で示される原理の代わり）で行われることがある。によって、一時的、前記ボリュームの調整は前記モーターのパワー（トルク）の変化およびこれを与えていることがあるが、前記ピストンの密閉空間のボリュームを変化させることは連続的に同時に行われることがある。
【０１１３】
このｐｒｉｎ−ｃｉｐｌｅは、推移の電源システムのためのよりもさらに効率的な回転電源にある、ので、１つの〈ステファン数〉から２〈ｎｄ〉までの距離、回転位置、ほとんどある、皆無のしたがって、することがある、ｅｎｃｌｏｓｅスペースのボリュームを変化させているピストン、カム円板によってガイドされる、それは車軸（原動力出所はそれの回りを回転している）に装着されることがある。
【０１１４】
実際、これは最も効率的なモーターである。
【０１１５】
円形チャンバーを備えたモーターは壁（前記チャンバーの中心線の長さ＊の少なくとも１つの一部）を備えていることがある。それは前記チャンバーの中心軸と平行である。モーターの中で、だろう、円錐形のチャンバー（細長い、あるいはｃｉｒｃｕｌａｒ＊）アクチュエータピストンによって生成されたピストンロッドの力が一定のところで、タイプである。それは、また前記モーター（ここで流体は加圧される）の中で組み込んでいるポンプのうちのどれものための場合であることがある。チャンバー、どれが言ったかに、アクチュエータピストンは位置する、長手の内部凸状形状の壁を備えていているかもしれない、第一の縦位置の近くの横断面の断面、前記断面は共通の境界によって互いからｕｐｄｉｖｉｄｅｄされることがある、２つの次の共通の境界の間の距離、前記長手の壁の高さを定義する、横断面の断面、第一から第二の縦位置へ前記ピストンの増加する内部過剰圧力割合によって、または方向に絶頂が減少している、横断面の共通の境界の横断線高さは最大仕事力によってｄｅｔｅｎｎｉｎｅｄされることがある。それは前記共通の境界のための一定で選ばれる。
【０１１６】
ピストンが内部先細り中心を備えた筒状チャンバーで位置した場合、凸状形状の壁が凹状である、形状。
【０１１７】
また、前記ピストン燃焼室組み合わせは、前記チャンバーの中心軸と平行な、横断面の境界の壁を備えていることがある。
【０１１８】
そして、前記遷移が少なくとも１つの凹状形状の壁（それは第二の縦位置の近くで位置することがある）を備えていていることがあるところで、ピストン燃焼室組み合わせが前記凸状形状の壁の間の遷移を備えていることがあり並列の壁を言った、。そして、ピストン燃焼室組み合わせが少なくとも凸状形状の壁への一方の側に置かれることがある凹状形状の壁を備えていることがある。
【０１１９】
上に説明された様々な実施形態は、例証のみを介して提供され、本発明を制限するためには解釈されるべきでない。この分野の当業者は、示された代表的実施形態および適用に厳密に続かずに、本発明に作られることがあり、ここに記述した要素の、および本発明の真情および範囲から外れることのない様々な修正、変更および組み合わせを容易に認識する。
【０１２０】
すべてのピストン式、明確には、弾力的に変形可能な壁を備えたコンテナーであるものは、チャンバーの壁に愛想よく接続されたか、接続していない縦位置間のその動きの間にチャンバー壁にｓｅａｌｉｎｇｌｙに接続されることがある。あるいは、愛想よくｓｅａｌｉｎｇｌｙにチャンバー壁に接続されることがある。付加的にそこでどちらか、恐らく互いに壁に触れることこれがたとえば起こることがある前記壁の間に係合しないことであることがある、コンテナーがチャンバーに第一から第二の縦位置へ移動している状態。前記壁の間の連結（ｓｅａｌｉｎｇｌｙに、および／または、愛想よく、および／またはの感動的なおよび／または、連結はない）のタイプは、前記コンテナ壁の内側の圧力の内側の正確なものの使用により実施されることがある：高圧、のための、ｓｅａｌｉｎｇｌｙに、連結、下側圧力、のための、愛想よく、連結、そしてたとえば、連結がないこと（生産サイズのコンテナー）のための気圧―したがって、密閉空間がピストンの外側の位置からのコンテナーの内側の圧力をコントロールしていることがあるので、密閉空間を備えたコンテナーは好まれることがある。
【０１２１】
別のオプション、のための、１つの、愛想よく、漏れることがコンテナーの壁とチャンバーの壁の間に起こるように、連結は、コンテナー（それは前記壁の表面から突き出ている強化材を有していることがある）の薄壁である。
【０１２２】
アクチュエータピストン（それはクランクシャフトによってメインの車軸に接続される）の場合には、また、１本を超えるアクチュエータピストンがある、本、すべて、同じメインの車軸に接続されて、利点は、前記アクチュエータピストンの縦位置が互いとは異なる場合、前記メイン車軸のターニングが滑らかにより多くのことがあるというであることがある、その結果、各々の前記アクチュエータピストンのための「躊躇モーメント」が、第二から第一のｌｏｎｇｉｍｄｉｎａｌな位置へ移動する場合、時間の他の点に生じることがある。
【０１２３】
（クランクシャフトすることがある）前記アクチュエータピストンがすべて愛想よくあることは必要なことがある、あるいはチャンバーで、および逆もまた同様第二から第一の縦位置へ移動するｓｅａｌｉｎｇｌｙ（前記チャンバーで移動する場合、これは縦位置から別の縦位置とは異なることがある）、それは特性を有している、力、の上で、ピストンロッドしたがって、アクチュエータピストンからの連結ロッド、に、アクチュエータピストンが有している（関する「１９６２０」を備えた、説明および図面を参照）位置に依存しないことがある、前記メイン車軸への各々の前記アクチュエータピストンの力を同期させるために。
【０１２４】
フィージビリティスタディは、今までオットー運動型と比較して本発明のモーターによって生じた熱の不足を定量的に組み込まなかった。
【０１２５】
この発明のモーターがさらに面白くより説得力のあるより、我々がヒートロスを組み込む場合。ヒートロスは、現在のオットーモーターに２５％の効率を与える。＜”＞  エネルギーを削減することが可能なより、この発明のモーターが熱を全く発しない第一の実例の中で我々がいつ仮定するかは、かつてはほぼ６５％の低減によって１０本の棒（モーターが作製された時、１０本の棒が圧力貯蔵器船舶の中に既にあった）を言うべき５本の棒からの流体を加圧した．．それから、この発明によるモーターの総合効率は、自航式アクチュエータピストンによって、すなわち８および７５％  １０％未満になる。また、これは今まで先例がない（デービッドＪＣマッカイ（ホットエアーエネルギーなしで持続可能））。この発明の中で示される圧力を再生成するためのポンプが再びこの発明を与えるピストン燃焼室組み合わせタイプを使用している場合、別のものよりも、エネルギーの６５％は保存される。したがって、我々がその熱を無視したならば、これは８および７５％のｘ  ０と８７５＝の完全なエネルギー消費に７および６％与える、ポンプによって生成されている。しかしながら、総使用されたエネルギーがまだ１０％未満を終了することがあるより、汲むことのための使用されたエネルギーの一部が太陽エネルギー（光起電力）などの別の出所、フライホイールまたは回生制動デバイスから来ることがある場合。
【０１２６】
１９６１８は、説明フィージビリティスタディへの１９６１１の追加問題を補正した。
【０１２７】
フィージビリティスタディは、今までオットー運動型と比較してこの発明のモーターによって生じた熱の不足を定量的に組み込まなかった。
【０１２８】
ヒートロスがこの発明の運動型よりも、いつ組み込まれることがあるかは、さらに面白くより説得力がある。ヒートロスは、現在のオットーモーターに２５％の効率を与えることがある。それがこの発明の運動型が熱を発しない第一の実例の中で仮定されることがある場合、で、エネルギーを削減することが可能なことがあるより、すべて（等温線）常にほぼ６５％によって１０本の棒（モーターが作製された時、１０本の棒が圧力貯蔵器船舶の中に既にあった）を言うべき５本の棒からの流体を加圧した。それから、この発明による運動型の総合効率は、自航式アクチュエータピストンによって、１０％の下にすなわち８および７５％入ることがある。また、これは今まである、先例がないことがある（デービッドＪＣマッカイ（ホットエアー−２００９エネルギーなしで持続可能））。この発明の中で示される圧力を再生成するためのポンプが再びこの発明を与えるピストン燃焼室組み合わせタイプを使用している場合、別のものよりも、エネルギーの６５％は保存されることがある。したがって、我々がその熱を無視したならば、これは８および７５％  ｘ  ０と８７５＝７と６％の完全なエネルギー消費を招くことがある、ポンプによって生成されている。しかしながら、汲むことのための使用されたエネルギーの一部がバッテリーなどの別のエネルギー源（完全な原動力からよりも）から来ることがある場合、フライホイール、または総使用されたエネルギーがまだ１０％未満を終了することがあるより、ジェネレーターにつながれた回生制動デバイスから、たとえば太陽エネルギー（光起電力）および／またはによって燃料電池（たとえばＨ２）を課す。
【０１２９】
以前に既に終えられた、図１１Ｆおよび図による運動型の配列。ｌ３Ｆは最も効率的な（単純な構築（ほとんど等温の熱力学））ものであることがあり、付加的に最も信頼できる（漏れはない）ものであることがある、そして、それに図１３Ｆの配列は、回転を生成するクランクの使用がない、でしょう、図１３Ｆの配列、自動車用エンジンの量的評価の中で使用される。
【０１３０】
我々は、現在のフォルクスワーゲンゴルフ・マークＩＩモデルＲＦを１６００ｃｃ使用する、各８１ｍｍの４つのシリンダーを備えている、５３ｋＷ／７１のペックガソリンモーター、９つのＢａｒの圧力、および本発明のためのベンチマークとしての７７ｍｍのストロークを備えた重量８３６ｋｇ。これは、１つのシリンダーごとに１１５９Ｎの最大力を与える。それは１つのシリンダーごとにほぼ１１６ｋｇである。ほぼ５０％の減量は仮定されることがある。すべてならば、燃焼部分は車体から行なわれる。また、アルミニウムは鋼製の代わりに前記本体に使用されるだろう。したがって、必需品は、アルミニウム本体、４人までの乗客および荷物を駆動するべき１つのシリンダーごとに５８ｋｇであることがある。
【０１３１】
ＷＯ２００８／０２５３９１の中で示されるポンプのチャンバーは、２−１０のＢａｒから、および５８ｍｍ−ｌ７ｍｍの直径でほぼ４００ｍｍの全ストロークに関して、２６０Ｎ（２６ｋｇ）の最大労働力をそれぞれ有している。膨張式のｅｌｌｉｐｓｏの使用〈’このチャンバーのキタノウグイの形状のピストン〉、アクチュエーターは非常によく中へ機能している、実行する。したがって、これらのチャンバーのうちの２つ、アクチュエーターの一部が前記フォルクスワーゲンゴルフ・マークＩＩ（今、アルミニウムで作られていた）、および行なわれた燃焼と関係するすべての部分のガソリンモーターの単気筒と等価になりうるので、今使用した。
【０１３２】
この発明によるモーターの中で、でしょう、アクチュエータピストンの密閉空間の圧力、ｘ障害（ストローク：２〈ｎｄ〉〉−１つの〈ステファン数〉縦位置）からほぼ０の障害（ストローク：  １位−  〉２つの〈ｎｄ〉縦位置）へ変化させられる。「ｘ」の値は選ばれることがある、できるだけ小さい、エネルギー消費を制限するために前記特別のチャンバータイプを使用するので、労働力のサイズは圧力値に依存しない、最低のレベルのほぼ０本および５本本の棒への最高水準で３本および５本の棒への圧力窓を使用することを備えた圧力を制限することは可能なことがある。
【０１３３】
前記出発点は、球体の圧力の配列に上方へ行なわれることがある、形状のピストン、１３Ｆしかしながら、図の回転チャンバーで位置して、チャンバーは、３本の［１／２］棒がストロークの一部だけ（４００ｍｍの２１６および２ｍｍ）を使用するので、図の中で１３Ｆ示されるもののように今まだ、より単に形状のことがある、の中で、前記、特定、１本のアクチュエータピストンごとにチャンバー力は最大２６０Ｎである。
【０１３４】
前記球体のボリュームの変更は全く大きいことがある：
【数２】
2014527601.tif 000004
【０１３５】
前記チャンバーの中心軸に対して壁の角度は次のとおりである：Ｌｉ＝３０２，７８−８６，５７＝２１６，２１、Δｒ＝１０，９：角＝２，９°、この角度がよい。
【０１３６】
エネルギー、使用された「仮想の」１つの完全なストローク用単気筒のための第二の縦位置（インデックス２）でのボリュームに第一の縦位置（インデックス１）で前記アクチュエータピストンのボリュームを圧縮することは次のとおりである：
【数３】
2014527601.tif 000005
【０１３７】
１つのチャンネルごとに１本のアクチュエータピストンが単にある場合。この発明による前記モーターは数に関して、前記ガソリンモーター（９００の回転／ｍ）ほど迅速ではない、ストローク／分これはそうである、のため、拡大して、より遅いと仮定された、そしてアクチュエータピストン（それは強化されたゴムで作られている）の契約。回転数／分がしたがって６０であると仮定しよう、１秒ごとに、第二（燃焼性のモーターを言ったよりも遅い１５ｘ）。Ｗ＝３６，８Ｊ／チャンネル／ピストン／ｓ。２×４がある、比較可能」チャンバー（シリンダー）―パワーは２９４および３Ｊ／ｓ／ピストンよりもある。それは０および２９５ｋＷ／ピストンである。５本のピストンを使用する場合、各々の前記３６０の［度］チャンネル（図１３Ｆ）の５つの下位チャンバーの各々のうちの１、よりも、だろう、発電出力、次のとおりである：５×０、２９５ｋＷ＝１，４７ｋＷ。
【０１３８】
仮定１回毎秒のチェック：燃焼性のガソリン５３モーターのなるｋＷ（それはそれにこの研究で以前に述べられた）、それは９２および４％を省くことがある：７および６％は単に使用されてもよい：４、０３ｋＷ．それは第１にすることがある、上記の言及された計算に応じること、場合、回転数、ごとに、第二、ほぼ次のとおりであることがある（丸められた）：３つの回転／秒。
【０１３９】
したがって、２ｘ４を備えているモーター」比較可能」チャンバー（ほぼ３×１の累乗を招いて、５つの下位チャンバー（３毎秒回転数（＝１８０回転／最小）の回転）の５本のピストンを各々備えていて）、ｋＷこれがそうであることがある４７の＝４と４、アルミニウム本体を備えたフォルクスワーゲンゴルフ・マークＩＩを駆動するのに十分。
【０１４０】
（バッテリーそれ）文学（デービッドＪＣマッカイ（ホットエアー−ｐ．１２７、第２０．２０／２０．２１図エネルギーなしで持続可能））は、走るためにほぼ４および８ｋＷのパワーを使用して、小さい電気自動車を明らかにする。また、自動車が１つのバッテリーのチャージ上で７７ｋｍ実行することができる８ｘ  ６Ｖおよび充電時間からどれが来るかは、数時間である。エネルギーがバッテリー（それらは前記自動車のドライブの間中課すことができない）から来る場合、これはある好適な実施形態ではなくオプションであることがある。
【０１４１】
どれだけのエネルギーがアクチュエータピストンを加圧し減圧させられるのに必要か、また、自動車が運転している間、それを行うことができるか。
【０１４２】
前記モーターの前記アクチュエータピストン中の圧力変化を得ることが必要である、活動した。我々は、図の中で１１Ｆ示される原理、および図１３Ｆ使用する。
【０１４３】
エネルギーは、前記モーターの駆動電動機車軸と通信している前記回転チャンバー（たとえば、ここで古典的ピストン燃焼室組み合わせのピストンはカム軸によって移動されている）からの運動エネルギーから来ることがある。我々が膨張式の球体ピストンの圧力の変化よりも、データ（それらは原動力の計算のための使用された）を使用する場合、ボリュームを変化させることにより、前記アクチュエータピストンの密閉空間のボリュームを変化させることにより行われることがある」の下で」古典的ピストン。
【０１４４】
媒体内圧（３，５バール）を備えた小さい球体形（φ２５，１ｍｍ）から第二から第一の縦位置へ密閉空間の一定容積量と共に、低圧（０，５バール）を備えたより大きな球体形（φ４６，９ｍｍ）にアクチュエータピストンによってしたがって必要とされるストロークごとに１本のピストンごとに体積変化率は、前記アクチュエータピストンの内圧変化によって行われる。力は２６０Ｎ／ストローク／ピストンである、関係ない、内力、したがって、８つのチャンバー（各々５本のピストンを備えていて）、および３毎秒回転数で、発電出力は次のとおりである：４，４ｋＷ。
【０１４５】
第一から必要とされるエネルギーがそうである第２の縦位置へ来ること（図１４Ａおよび１４Ｂ）：
１．取り囲まれた測定空間の中にアクチュエータピストンのデフレによって、その生産形（φ２５，１ｍｍ；  ０バール（過剰圧力））にアクチュエータピストンの球体形（φ４６，９ｍｍ；  ０，５バール）を変化させる、どれが今ボリュームこれがそうであることがある増加か、コスト、エネルギーはない、ポンプピストンとｅｎｃｌｏｓｅスペースの壁の間の摩擦推力が、十分に小さい場合；
２．球体（φ２５，１ｍｍ、０バール）を膨張させるために、（φ２５，１ｍｍ、３，５バール）、ポンプピストンが近く来るところで、密閉空間のボリュームを減少させることによって、必要とされるアクチュエータピストンエネルギーは次のとおりである：
【数４】
2014527601.tif 000006
【０１４６】
したがって：生成されたｂｒｕｔｔｏパワーは、モーターを実行するための４，４ｋＷおよび必要とされるパワーである、したがってほぼ２ｋＷ少なくとも１，５ｋＷである、必要、最終的な他の損失に加えて。
【０１４７】
モーターにアクセスするために、万一言及されて、上記に応じるポンプが自動車の中にあれば、我々はそれを入手可能なことと比較する：本コンプレッサーは、次の明細書を２２０Ｖ有している、１７０、私／ｍｉｎ、２および２ｋＷ、８バール、圧力貯蔵器船舶１００ｌ。我々はパワーを必要とする、しかし下側圧力で、その結果、この修正済のコンプレッサーはもう少し迅速である、充電、圧力貯蔵器船舶。
【０１４８】
Ｐ＝２２００Ｗ、８Ｂａｒ、３のための従って［１／２］棒は必要なことがある、８つのＢａｒのみに関してはｒｅｐｒｅｓｓｕｒａｔｉｏｎ同時を使用すること、３／８  ｘ  ２２００  ８２５＝Ｗ。バッテリーが２４Ｖのバッテリーでも、電流は８２５／２４の＝３４と４である、Ａこれは非常にバッテリー向けで、従ってするだろう、多くのバッテリー、参照番号／８３１  ８２６を備えたポンプがそうであるべきモーター配列図１１Ａ、Ｂ、Ｇおよび図１２Ａ（１３Ａ）の中に、入手可能である、電気的。充電、これらのバッテリーは単に外部パワー出所によって可能である、その結果、自動車は多数の間中効果がないべきである、時間コンデンサー溶液（図１５Ｅ）はまだ相これがそうでないその研究中である、ある好適な実施形態、しかし１つの、オプション。パワーの変換を回避し、かつ、［３／４］（それらは好ましくは電気分解、および必要に応じて燃料電池によって生成された）をたとえば使用して、ポンプ／８３１  ８２６が燃焼性のモーターの車軸と通信しているところで、図のモーター配列を１５Ｃ使用するべきほうがよいことがある。オルタネーター（それは前記車軸と通信している）によって課されるバッテリーからの電気によって動力が最後の言及された処理に供給される。
【０１４９】
８２５Ｗによって生成する必要がある、前記、燃焼性のモーターこれは、２４ｃｃ／６６ｃｃ（フォルクスワーゲンゴルフ・マークＩＩは、５３ｋＷのモーターを１６００ｃｃ有している、？９０ｍｍ、４つのシリンダー―８２５Ｗは、９０ｍｍほぼ２４ｃｃである〉単気筒、あるいは、場合、３ｘ、より速く）であることがある。２および２ｋＷは、９０ｍｍほぼ６６ｃｃである、オットーサイクル（それは大きな現在使用されたモペットモーターと比較されることがある）を使用する単気筒の古典的モーター。モペットはテレビで上映された、のための、カップル、数か月、前に、水の電気分解の使用、タンク（もとはガソリンのための）に格納された、また生成されたＨ２を使用すること、のための、燃焼プロセスこれは実現可能である。自動車のための、確かに外部のモーターのこのサイズである、モペットモーター（それは遺憾にも必要な汚染またはＣ０２排出でない）の比較可能な機器とｕｘｉｌｉａｒｌｙにモーターすべての余分な燃焼性の機器（下側ｗｅｉｇｔｈを獲得するためにフォルクスワーゲンゴルフ・マークＩＩから我々はそれを以前に投げ出した）を取り替える必要がある。また、ノイズは測定を低減する適切なノイズおよび重量によって成功裡に低減されることがある、自動車および１５  １水＝１５  ｋｇｓのタンクのためのそのａｓｓｕｍｅ  １／６だけ（＝ほぼ３５  ｋｇ）である。―  まだ、このフィージビリティスタディはもつことがある。
【０１５０】
ピストンロッド／連結ロッドによって前記クランクシャフトに接続される、細長いチャンバーでクランクシャフト溶液（図１１Ａ−Ｄおよび１１Ｆ）に基づいたモーター、およびピストンは、輸送車（たとえば自動車）の駆動電動機として好ましくは使用されてもよい。前記ホイールまたはプロペラは、駆動軸、およびｃａｒｄａｎなどのｄｉｓｔｉｂｕｔｉｏｎデバイスによって中央駆動電動機に接続されることがある。必要に応じてすることがある、運動型は言った、ｄｅｃｅｎｔｒａｌｌｙに位置したモーターとして使用される、それは、ホイールまたはプロペラなどの推進デバイスの各々に直接接続されることがある。
【０１５１】
モーター、チャンバーに基づいた、それはｃｉｒｃｌｅｒｏｕｎｄ中心軸、およびそのサイズ（図１２Ａ−Ｃ、１３ＡＧ）を増加させており減少させているピストンのまわりで位置する、好ましくは輸送車（たとえば自動車）でｄｅｃｅｎｔｒａｌｌｙに位置したモーターとして使用されることがある。各々の前記モーターは、推進デバイスの各々に直接接続されることがある。必要に応じて、中央モーターとして、どれがあることがあるかは駆動軸によって前記推進デバイスに接続した。
【０１５２】
明確にはモーターがそれぞれ輸送車が使用している１つを超える推進デバイスのうちの１つに直接接続される場合、前記モーターのコントロールはコンピューターによって好ましくは行われることがある。
【０１５３】
メインの中央モーターに好ましくは接続されることがあり、ｄｅｃｅｎｔｒａｌｌｙに、推進の各々に位置することがあるフライホイール、考案する。フライホイールは運動の維持のための使用されてもよい、滑らかにその、古典的、溶液あるいはブレーキをかけた後（また、運動のブレーキをかけるエネルギーを同時に格納して）、加速用エネルギーを回復することに、１つの、輸送車あるいは圧力貯蔵器船舶（たとえば参照８１４、８３９、８９０、８８９）と通信しているポンプ（たとえば参照’８１８、８２１、８２１、８２６と８２６」図１１Ａ、Ｂ、Ｃ、Ｆ、１２Ａ、Ｃ、１３Ａ、Ｂ、Ｅ  Ｆの中で）のうちの１つにエネルギーを与えるためにすべてまたは少数の前記タイプのフライホイールは輸送車の中にあることがある。それはこの発明によってモーターを備えていている。
【０１５４】
ブレーキの間の回復するエネルギーの別の側面は、メインのアクセル（それは中央駆動軸（たとえば参照。８２１’と８２１）（それは多くの高圧への流体を汲むことがあり、圧力貯蔵器船舶（たとえば参照８１４、８３９、８９０、８８９）に結果の高圧流体を伝えることがある）であることがある）に直接接続されるポンプであることがある。
【０１５５】
１９６１８のアクチュエーター用チャンバーの１９６１７の最適な配列
最良にアクチュエータピストンと協力の中で使用されるべきチャンバーの形状は、それらとは異なることがある。前記アクチュエーターおよび前記ポンプで使用されるコンディションが異なることがあるので、それはポンプの最適な使用を向けている。
【０１５６】
例えば、適切な速度で移動している間、アクチュエータピストンは可能なこととしてのより少ないエネルギーとして使用することにより、最大調速機制御力を与える必要がある。また、クランクと通信しているアクチュエータピストンについては、下位コンディションが下位コンディションとは異なることがある、たとえば回転チャンバーと通信しているアクチュエータピストン：たとえば最大調速機制御力が必要な場合、時間の点。
【０１５７】
自力で推進するピストンとしてアクチュエータピストンを使用するために、第二から第一の縦位置へ移動する場合、前記チャンバーの壁が外へ広くなっているところで、細長いチャンバーはタイプである必要がある。したがって、前記チャンバーの中心軸に関しての壁の角度、第二から（肯定的である必要があること）第一の縦位置までこの角度は、アクチュエータピストンの速度を固着していることがある。またもちろん長手方向での１点の壁から別のものまで遷移を必要とする、滑らかである、ように、前記アクチュエータピストン間の限界摩擦、またチャンバーの壁は言った。
【０１５８】
膨張式のアクチュエータピストンはそれ自身チャンバーの壁を装填することができるために内圧を有している必要がある。前記アクチュエータピストンがニーズを移動させることができるように、可撓な壁の中心、細長いチャンバーの壁に愛想よく接続される円周よりも第一の縦位置に接近している。この距離が大きいほど、前記チャンバーの前記アクチュエータピストンの速度は高い。
【０１５９】
前記アクチュエータピストン上のチャンバーの壁の反力は、ピストンで第一の縦位置の方向にチャンバーの壁からそれ自体を押している力を固着している。したがってまた、ピストンロッド上の力、場合、アクチュエータピストンの少なくとも１枚のキャップ、最良、最も近い、第二の縦位置は前記ピストンロッド上で組み立てられる。
【０１６０】
この特許出願の断面１９６２０に、示された（たとえばＦｉｇ．２１Ａ）チャンバーである、どれが、ポンプの中で使用された時、８−１０本の棒でほぼ６５％を備えたピストンロッド上の労働力を低減するか、吐出される流体これは目的を汲むことのための優れている。この低減は直線のシリンダーに必要だった力と比較して見られるべきであり、チャンバーが図２１Ａの形を有しているところで、古典的高圧自転車の空気入れの比較および高度な自転車の空気入れから来る。前記チャンバーで、ほぼ最大調速機制御力である、前記チャンバーの流体の圧力の内依存、したがってほぼ、汲むストロークの間中一定（最大調速機制御力が到達した場合、２本の棒からたとえば）。
【０１６１】
アクチュエータピストンを備えている、アクチュエーターの中で使用される同一のチャンバーは、力が第二からのストロークの間中ほぼ一定であるという利点を持つことがある、に、１つの、第一、最高圧力がある直径（同じ比較出所、上述したように）を有している直線のシリンダーの中で到達した場合のみ、労働力が労働力に関してほぼ１／３であることがあるということであるより、支払われるべき縦位置価格はすることがある。力のサイズはアクチュエータピストンの目的で適切ではないことがある。その一方で付加的に、一定の力はまた適切ではないことがある、クランクを備えた使用に関して。
【０１６２】
チャンバーがｃｉｒｃｌｅｒｏｕｎｄ（「円形」）である場合、同じことは有効なことがある、の代わりに、細長いアクチュエータピストンが移動させないことで、回転動いているチャンバーで位置した特殊解では、そのようなチャンバータイプは上述したように使用されてもよい。１本を超えるピストンがたとえば使用される場合、５本のピストン（たとえばＦｉｇ．１  ＯＢ）、ピストンがそれぞれ各下位チャンバーとしたがって異なる圧力の中に異なる環状位置にある場合、そのようなチャンバーが必要なことがあるより、各ピストンによって派生した力はすべてのピストンに対して同じであることがある、その結果、前記ピストンのどれも、他のもの力の総を押していない、５ｘである、１本のピストンだけがいつ使用されていただろうかのそれ。目的に依存して、必要トルクおよび速度を得るのに必要なより、ギヤーはすることがある。
【０１６３】
他の最適な配列、アクチュエータ室のための、可能なことがある。
【０１６４】
アクチュエータピストンがクランクに接続される、細長いチャンバーのためのパラメーター、次のとおりであることがある：
―  チャンバーの相対的な短い長さＬ、相対的な短ストローク長さを得るために力Ｆ（ｐ、ｄ＾）は２〈ｎｄ〉から１つの〈ｓｔ〉縦位置へストロークの間中変わることがある、その結果、アクチュエータピストンが第一の縦位置の末端にほとんど達している場合、最大調速機制御力は得られる［ここで、Ｆ＝ピストンロッドからの力；ｐ＝アクチュエータピストンの内側の圧力；ｄ＝ある縦位置のチャンバーの直径；［ｍｕ］＝チャンバーの壁とアクチュエータピストンの可撓な壁の間の摩擦係数］全もどり行程の間の、摩擦推力［Ｒｈｏ］（［ミュー］）は、０である、それは前記アクチュエータピストンの過剰圧力を軽く吸収することにより得られる［［Ｒｈｏ］（［ミュー］）＝チャンバーの壁とアクチュエータピストンの可撓な壁の間の摩擦推力］；
―  速度ｖ（ｃｐ、Ｆ）は前記チャンバーの長さＬで最適化されるべきである［ここで、チャンバーに対してアクチュエータピストンのｖ＝速度；チャンバーの壁と前記チャンバーの中心軸の間のｃｐ＝角度；ピストンロッドからのＦ＝力］；
―  使用されるエネルギーはそうである、として、同じように可能なしたがってより少ないそのボリュームを変化させる間に、アクチュエータピストンが２〈ｎｄ〉から１つの〈ステファン数〉縦位置へ移動している場合圧力降下（ＡＶ）は、密閉空間がｔｅｍｐｏｒａｒｅｌｙに閉まっている一方、そうである必要がある、として、より少ない、として、可能。
【０１６５】
ｃｉｒｃｌｅｒｏｕｎｄ中心軸（前記チャンバーが回転しているところで、および１本を超えるアクチュエータピストンが存在し移動していないところで、その中心はそれに駆動電動機車軸の中心に置かれる）のまわりでその壁が位置するチャンバーのためのパラメーターおよび係合していることは、チャンバー壁を言った、ｃｉｒｃｌｅｒｏｕｎｄ横断線断面を有している図２１Ａの、前記チャンバーへ付加的にあることがある：
―  チャンバー壁の円周、関係ない、回転の中心への距離は同一のこれである必要がある、前記チャンバーの横断線断面の形に影響することがある。
【０１６６】
―  摩擦推力は、他のものよりもはるかに小さい摩擦係数を有しているＳｕｐｅｒｌｕｂｅのような増強された注油器の使用により最良に、たとえば小さい必要がある、潤滑性、そしてそれは鋼製またはアルミニウムのように、ゴムと金属でよく機能している。
【０１６７】
しかしながら、その効果を達成するためにピストンの最適な配列を同様に作製することが必要なことがある、チャンバー壁の円周、関係ない、回転の中心への距離は同一である必要がある、チャンバー壁の円周、関係ない、回転の中心への距離は１９６１８の同一の−１９６１７熱力学的な重要な点である必要がある。
【０１６８】
システム（細長いチャンバー、で、１つの、アクチュエータピストン、通信する、で、１つの、クランクシャフトチャンバー、対称的にｃｉｒｃｌｅｒｏｕｎｄ中心軸のまわりで配されることがある、それがモーターのメインの車軸とクランクシャフトを備えた、一方に通信することであることがある）での流体が圧縮される場合、熱は非常によく作製されることがある。
【０１６９】
デバイス（モーターはその中で使用されている）が作製された一方、圧力貯蔵器船舶中の流体の記憶装置が配されたことがあるかもしれん。モーターは走っているが、加圧小滝の最後のポンプからの高圧の流体が、前記船舶の流体に入る場合、熱のより小さい部分は前記記憶船舶の中で生成されることがある。それは下側圧力（図１１Ａ−Ｃ、１２Ａ−Ｃ、１３Ａ−Ｂ）を有していることがある。
【０１７０】
第三から来る流体の加圧は、クランク（それは前記モーターのメインの車軸上で組み立てられる）を使用する運動型のスペースを取り囲んだ、加圧小滝の第一のポンプ中の熱のはるかに大きな部分を生成する、それはメインの車軸からそのエネルギーを受け取ることがある。また、ほぼ熱の同じ大きさの別の部分は、ポンプで生成されることがある、他方のエネルギー源（好ましくは太陽電池、燃料電池、太陽エネルギーによって装填された電池または必要に応じて電池（それらは内燃機関と通信しているジェネレーターによって装填されている）などの古典的エネルギー源などの任意の持続可能なエネルギー源）（図１１Ａ−Ｃ、１２Ａ）からそのエネルギーを得る。
【０１７１】
アクチュエータピストンの中で、行なう、両方とも、第２の密閉空間からのアクチュエータピストン本体内のキャビティおよび第三への膨張が取り囲んだ取り囲まれた空間＋の中の加圧、空間場所。加圧が少し膨張を越えるものであることがあるとともに、モーターがスタートした時、アクチュエータピストンはその温度よりも高温度を得ることがある（図１１Ａ−Ｃ、１１Ｆ、１２Ａ−Ｃ、１３Ａ−Ｅ）。
【０１７２】
したがって、このシステムは熱（それは自動車のキャビンを熱することのためのたとえば使用されることがある）を発している。あるいは、第三を熱することはスペースを取り囲んだ。ここで膨張は起こる（断熱）。これがクランクシャフトの中で位置するので、行われるのは簡単ではない。したがって、これは多かれ少なかれ非断熱的な状態であることがある。
【０１７３】
それが作製されている場合に、そこに発熱を償うためにもちろんそれである：等温の状態。アクチュエータピストンの内側の圧力の変更がチャンバーで移動しているピストンによってコントロールされていた場合、１つの、双方向、ポンプそれは実際前記アクチュエータピストンの密閉空間である、圧縮と加圧の両方はそのボリュームを変化させることにより前記チャンバーで起こる、その結果、熱と冷却はすることがある、次のものの平衡を保つことこれは、動いていないアクチュエータピストンおよび動いている（回転）チャンバーの組み合わせの場合であることがある（図、１３ＦＧ）。今、ｔｈｅｒｍｏｄｙｎａｍｉｃの側面で再び、これである、最も効率的なモーター原理、（理論的）効率が約１００％であることがあるので。
【０１７４】
１９６１７は、１９６１８／１９６２７のモーターを備えた１９６１５のエネルギー源共同作用を補正した。
【０１７５】
モーターは必要に応じて非持続可能で、他のエネルギー源（好ましくは持続可能）を備えた共同作用であることがある。そのようなエネルギー源はオットーｃｙｃｌｕｓの使用によりモーター（それはｆｏｓｓｉｌｅ燃料を焼く古典的モーターに関しての効率向上の限界であることがある）のほぼ７．５％をたとえば供給するのに必要なことがある。
【０１７６】
持続可能なエネルギー源はたとえばその太陽、水と波力からの位置エネルギーおよび他の出所が好きである。エネルギーが生成された場合、それはＣＯ、Ｃ０２、ＮＯなどなどの不所望な化学薬品の排出を招かない。
【０１７７】
本発明を与えるモーターのための、だろう、エネルギー源、好ましくはたとえばソーラーパワーによってを介してたとえば課された電気（任意のタイプのコンデンサーまたは電池（＝電気、非常に大きな凝縮器に格納された））である、焦点手段（ミラー）を備えた、または手段のない、またはたとえばＨ２を使用する燃料電池、または潜在的なｈｙｄｒｏｅｎｅｒｇｙなどによって圧縮した空気による写真の流電気の太陽電池  Ｈ２燃料電池はそうであることがある」課された」格納されることがあるＨ２（それはＨ２０の電気分解に由来したことがあるかもしれん）で、１つの、船舶電気はエネルギー（スターターバッテリーはない）を連続的に与えることができて、特別のバッテリーから来ることがある―このバッテリーは写真からの前記モーターおよび／またはの車軸で流電気の太陽電池を通信して、オルタネーターによって課されることがある。Ｈ２も特別の船舶に格納されることがあり、燃料電池の中で直接差し込まれることがある。
【０１７８】
オプションのエネルギー源はスチームに基づいて回転している起電機によって装填されて、電気、コンデンサーまたは任意のタイプの電池であることがある、化石によって生成された、バーナー、またはモーター、燃えている化石燃料などによって駆動されたコンプレッサーに燃料を供給した。
【０１７９】
本発明を与えるモーターは１つのエネルギー源またはエネルギー源（好ましくは持続可能で、必要に応じて持続可能で、非持続可能な）の組み合わせを有していることがある。
【０１８０】
モーターが船、列車、自動車または飛行機などの輸送デバイス（大きなエネルギー源に接続するべき限定される可能性を有している）の中でモーターとして使用される場合、ケーブルを介して外部エネルギー源によってたとえば課されて、バッテリーは一時的なことがある。たとえば材料を包含している他のエネルギーをいっぱいになることＨ２は、ホースなどによってしたがって行われることがある、充電、位置されたエネルギー軸受素材はデバイスを言った、によって、１つの、一時的、適切、前記外部エネルギー源に接続すること
それは好ましくは、それがデバイスを言ったということであることがある、それが外部可能発電電力出所（たとえば、電気的）からのｌｏｎｇｄｕｒｉｎｇする外部フィルアップなしで自活のところで、そのような戦略の距離以上移動することができること戦略の距離はいくつかの定義を有していることがある。たとえば、通勤する自動車については、１日ごとに任意の＋４０ｋｍを切り替える２ｘ  ５０ｋｍは、詰め替えなしで十分なことがある。また、たとえば、より長い距離の移動のための使用された自動車は、詰め替え（すなわち２度さえその距離）なしで５００ｋｍ移動する必要があることがある。言及された最後は人間が１日ごとにおこなうことがあるもののための限界であることがある。
【０１８１】
好ましくはすることがある、可動電源（たとえばバッテリー、燃料電池、Ｈ２０の電気分解、ここで言及されない燃焼目的、加圧された流体または他の可能性のために入手可能なＨ２を招くこと）それは前記輸送デバイスに装着された、少なくとも１日間自活である。夜旅行することも可能なことがある。これは効率のための決定的ではないことがあるけれども、前記電源は好ましくは余分なデッドウェイト（ＲＡＴを増加させて）（自動車にとって明確には重要）をあまり増さないことがある。
【０１８２】
いくつかの蓄電池の形式がある。また、最新のものは高パワーである、効率的であるが、余分な重量およびスペースに多くを追加する。一つが分離することができないことがある間に、それがインフラストラクチャーを要求するので、バッテリーの迅速な交換が実現可能でない間、これらを課すことは長い時間を行なう、古いバッテリーを出たて。１つの、太陽電池が十分でないことがあるおよび／またはから充電、エネルギー（フィージビリティスタディを参照）の使用。プラグおよび電気ネットワーク（それは入手可能な以下に構造体である）への連結を有していることが必要である。
【０１８３】
１−２分に充電時間を減らす」ために、バッテリー」スーツケースのサイズの凝縮器の装填および解放に基づいた、運動系にｅｌｅｃｔｒｉｃｙを再びコントロールした、非常によく溶液であることがある、のための、すべて、その問題は言った、の上に、バッテリーを使用している間。それは、アメリカにまだ開発中である。
【０１８４】
燃料電池は、電気を起こすのに非常に効率的なのではなく安くないことがあるまた、余分なｗｅｉｇｔｈを非常にではなく増す。また、それはｎ’ｔである、騒々しいこの反対、燃焼性の（ｆｏｓｓｉｌｅ）モーターが通信している場合の伝統的方法、で、１つの、オルタネーターたとえば必要なＨ２はセキュリティハザードであることがある。また、Ｈ２の記憶は船舶から漏れることのため困難なことがある。それは他の問題のための自由に漏れである。また、市場に出て基づいた電気分解システムが家へあるけれども、それは分布インフラストラクチャーを必要とすることがある、それは電気分解でＨ２を作製する、のための、自分自身のもの、使用。しかしながら、２００９年で見た後に、モペットは、燃焼性のモーター（〈５０ｃｃ）で、水の本電気分解からのＨ２を使用して、通常は、ガソリンが格納されたタンクに包含されている水を言った、この発明によるこのモーター用に同様にこれをすることは可能なことがある。電気分解のための電気は、機器（一定の使用）に使用されることを目指しており、それは前記モーターからの回転運動エネルギーを使用して、オルタネーターによって課されることがあるバッテリーから来ることがある。その一方で電気は付加的にたとえば請求されている、太陽電池。
【０１８５】
たとえばＨ２を使用する、燃料電池によって発生した電気は、充電に慣れていることがある、前記バッテリー、どれが生成したかに、電気は運動機能に使用されてもよい。オルタネーターは前記モーターのメインの車軸および付加的に充電と通信していることがある、バッテリー（たとえば前記一定の使用バッテリー、可能な本スタートモーターのための可能な本スタートモーターバッテリー）。太陽電池は充電に前記バッテリーを追加することがある。たとえば［３／４］を使用する、燃料電池によって発生した電気は、前記バッター（ｙ）を無視して、運動機能に直接接続されることがある。（ｉｅｓ）
別の可能性はたとえばそれであることがある。Ｈ２は燃焼性の目的−ｅ．ｇに使用されている。オルタネーターと通信している車軸を回す、クランクシャフトを備えた古典的ピストン直線のシリンダーの組み合わせを備えているモーターは、バッテリーを充電しているオルタネーターを言った。オルタネーターも、直接電報で他の運動機能と関係のあることがある。前記燃焼性のモーターのパワーは、パワーの補数必要にしたがって応じているかもしれない、この発明を与えるモーターが生成することができないもの。運動機能のための１００％に使用された時、前記燃焼性のモーターのパワーは現在の燃焼性のモーターと比較して非常に小さいことがある、それはたとえば、Ｈ２を生成するｅｌｅｔｒｏｌｙｓｅｓ過程がたとえば、自動車の中で使用されるために可動になることがあることを実現可能にする。
【０１８６】
現在の発明に必要とされることがあるものはそれである、双方向ポンプ、それは密閉空間のボリュームを変化させている、たとえば動いていない球体ピストン、回転チャンバーで位置した、たとえば、電気モーターがクランク（前記ポンプのピストンロッドはその上で組み立てられた）と通信している車軸のまわりで回転することに対して使用されてもよい場合、電気を必要とすることがある。前記車軸はたとえば使用して、前記燃焼性のモーターのメインの車軸であることがある。燃料としてのＨ２。
【０１８７】
別の配列（ここで前記ポンプは流体（それはアクチュエーター（それは前記ポンプをコントロールしている）をコントロールするために使用される）のｒｅｐｒｅｓｓｕｒａｔｉｏｎに使用される）では、それは上記の全面的な溶液ｍｅｎｔｉｏｎｅでのような同じ配列を有していることがある。
【０１８８】
別の配列は前記ポンプがカム軸電気によって交換された場合、前記密閉空間のボリュームを変化させることのための電気を使用せずに、使用されてもよい、だろう、よりも、始動電動機とそれに単に必要である、スターターバッテリーから来ることがある、それは、前記モーター（太陽電池によるおよび／または）のメインの車軸によって駆動されたオルタネーターによって課されることがある。カム軸溶液は好ましくは必要に応じて１本を超えるピストンを使用していることがある、１本のピストン。小さいポンプはスピードを上げるために必要なことがある。それは一定の使用のための設計されて、バッテリーからそのエネルギーを得る。それはメインの車軸、または電気モーターによって駆動されて、アクチュエータピストン中の高圧を意味する。
【０１８９】
タンク、導電性水を備えていることは水の外部記憶装置から上昇して充填されることがある、また、水が導電性ではない場合、導体材料を追加することは可能なことがある、その結果、水は導電性になっている。圧力貯蔵器船舶はプラグ接続できる連結（審判。それぞれの図面のうちの２７０１）によってまた外圧出所からポンプの小滝によってのみには、だが必要に応じて加圧されないことがある。
【０１９０】
バッテリーは課されることがある、だけでなく、オルタネーター、太陽電池、あるいは／そしてＨ２燃料電池、しかしプラグ接続できる連結を通じて、外部電源によって必要に応じて。（審判。それぞれの図面のうちの２７００）。
【０１９１】
ピストンとチャンバーは、チャンバーが回転している中間点のまわりで両方を回転させることがある。
【０１９２】
発明は、古典的ピストン形シリンダ組み合わせに基づいたものよりもライター重量で構築されることがある。のための、モーターで、暗黒、補数または太陽電池への追加の中で機能することがある、必要なことがある。これは、大気の０２で反応するＨ２タイプおよび与える電気およびＨ２０にたとえばたとえば他の持続可能な電源（たとえば燃料電池）であることがある。この燃料電池は相対的な小さい記憶船舶を必要とすることがある。それは減圧圧力であることがある。これは、ｈ２のための受電方式が家にあることがあるか、受電方式があまり濃厚ではないことがある、と言うことである。
【０１９３】
密閉空間がポンプの昇圧化小滝と通信している運動型では、電気は電気モーターにエネルギーを与えるために使用されてもよい、それは別のものをピストンポンプを車で通り抜けている、暗い場合、クランクシャフトこれは太陽電池のエネルギーに補数としてたとえば行われることがある。あるいは、これはいつでも行われることがある。
【０１９４】
付加的にすることがある、ジェネレーター、この運動型に追加される、それはメインの車軸によって駆動されることがあり、はアキュムレーターを装填することがある。
【０１９５】
密閉空間の流体が昇圧化小滝から分離された運動型では、ひょっとしたら、鉱石電気エネルギーはバルブのコントロールに必要とされることがある。これは、別の持続可能な電源（たとえば上に太陽電池よりもおそらく説明されるような燃料電池）の必要を作ることがある。
【０１９６】
また、それは外部カスケードシステムに使用されてもよい。それは図面図にまだ１１Ｆ追加されていない。また図１３Ｆ。（それは圧力容器１０６３の昇圧化および８８９にそれぞれ必要とされることがある）。これは、外部パワー出所を備えた、ポンプ（少なくとも１つはそれにメインの車軸と通信している）および少なくとも一つの小滝によって行われることがある。ポンプは圧力容器と通信することがある。図１３Ｆで溶液については、ポンプはまた十分なことがある。
【０１９７】
１９６１８の１９６１７のギヤーボックスクラッチ
この発明を与えるモーターは、毎分（ｒｐｍ）（ピストンが細長いチャンバーで走っている場合、それは両方の転機（第一および第二の縦位置）で形および／または圧力の変更によって制限されている）回転数のためのある最大を有していることがある、あるいは、円形チャンバーで思案点をｔｕｎｎｉｎｇする場合、から、第２の円形点１位に。膨張式のピストンの可撓性はキーである：その壁、どれがたとえばゴムしたがって作られることがあるか、硬度、ゴムそして強化材層、そして、どれだけの強化材層が使用されているか、また、もし１層以上に使用されれば、使用されている、中間に、角度、１９６５０章を強化材層参照してください。
【０１９８】
ピストンが細長いチャンバーで走っている場合、この発明を与えるモーターは２サイクルモーターである：回転＝動力行程（２分の１）、また、他方の半分はもどり行程である。我々がフィージビリティスタディの中でそれを４サイクル４つのシリンダー１５９５ｃｃのフォルクスワーゲンゴルフ・マークＩＩガソリンモーター（それは７００−８００ｒｐｍのアイドル速度を有している）および最大２５００（チェック）ｒｐｍまでと比較する場合、この発明を与えるモーターの比較可能な速度は言及されて、フィージビリティスタディを与える配列と共に、同じパワーを生成するために上記の半分であることがある。この安全運転速度は、この発明を与えるモーターに適する。
【０１９９】
クラッチがフライホイールと噛み合い始めている時、安全運転速度は駆動電動機車軸のｉｍｐｕｌｓを制限するだろう。フィージビリティスタディの中で、有している、我々、外に模様のある、モーターの配列、上記の言及されたゴルフ・マークに関して、自動車のｋｇ重量ごとに比較可能なトルクを有している場合、我々が前記配列を維持すれば、この発明による自動車のネットウェイトのＩＩ  ５０％の低減は、今考慮に入れることができない。
【０２００】
場合、ギヤーボックス（マニュアル、ａｕｔｍａｔｉｃなｅ．ｇ。ヴァンＤｏｏｒｎｅの、ベルト駆動自動変速〈（（Ｒ））〉あるいは流体を備えた共通の自動ギヤーボックス）は使用されている、比およびギヤーの数は現在使用される自動車中のものとは異なることがある。言及された最後は、燃焼モータの特定の特性（ｔｅｈ駆動電動機車軸のｒｐｍでの機能的な窓の限定）と関係する。それは本発明を与えるモーターの主要部分として存在しない。ギヤーボックスが必要ならば、言及された最後はするだろう、好ましくは必要に応じて自動ギヤーボックスを有している、手動のギヤーボックス。量的考察は以下のとおりであることがある：
―  車輪径：０および６５ｍ（フォルクスワーゲンゴルフ・マークＩＩ）；
―  モーターアイドル速度：３５０−４００のｒｐｍモーター駆動スピード：２ｘアイドル速度。
【０２０１】
したがって：６０ｋｍ／ｈ：モーター：７５０ｒｐｍ
ホイール：４９０ｒｐｍ、したがって：歯車比：１：１、５、を下って
９０ｋｍ／ｈ：モーター：１０００ｒｐｍ
ホイール：７３５ｒｐｍ、したがって：歯車比：１：１、１２０ｋｍ／ｈダウンの３５：
モーター：１２５０ｒｐｍホイール：
９８０ｒｐｍ、したがって：歯車比：１：１、３５、を下って１２０ｋｍ／ｈ：モーター：１５００ｒｐｍ
ホイール：１１４３ｒｐｍ、したがって：歯車比：１  ：１と３１、を下って
結論：
―  逆の牽引が必要でなかった場合、ギヤーボックスは不必要なことがあり、それによって、ｗｅｉｇｔｈの別の低減を得ることができることがある。
【０２０２】
―  ｒｐｍ。まだ膨張式のピストンの形の変更には高く見えすぎる、また、それがそうである場合、正確であると分かった、ギヤーボックスは、必要なそうならばあることがある、比較的緩旋回モーターはそのｒｐｍを促進するために必要なことがある。クラッチによってホイールにモーターをつなぐことができるために使用することができるために、これら、ｒｐｍ。通常分類されたホイールについては、再び下へ連動することが必要なことがある。
【０２０３】
１９６１８の１９６１７のモーター音
この発明を与えるモーターのパワー部品の音の高さは、爆発の不足のため全くほとんど大きさではない。また、それは共通のもので大きな違いを生ずることがある、オットーモーター設計（クラシックカーと重要な点４０２番を参照、８６−８９ページ、２００７年２月、「なぜエンジン、正常、非常によい」先行技術のための）に基づいたガソリンモーターのエンジン音をよく知っている。代わりに、金属またはプラスチック上に膨張式のゴムピストン体の円滑になった（たとえば最高の潤滑油）摩擦の音があることがある、から、チャンバー音は低周波であることがある。
【０２０４】
細長いチャンバー設計の中でのみ、音／静寂（第一から第二の縦位置まで）（第二のことから第一縦位置まで）のピッチの周波数になり、これらがまた摩擦音である設計とともに、円形チャンバーには音がｃｏｎｔｔｎｅｏｕｓｌｙにあることがある、音は低周波であることがある。
【０２０５】
今日のほとんどの自動車用エンジンが４サイクルモーターである間にこの発明を与えるモーターが２サイクルモーター（次のことを思い出す：  緑のもの！）であるので、この発明を与えるモーター中の毎分回転数は同じか比較可能なパワーを達成するためにオットーの設計を与えるモーター中のその半分であることがある。また、これは、低周波であるために音を追加してもよい、毎分回転数を低下させる。
【０２０６】
付加的に、圧力容器のｒｅｐｒｅｓｓｕｒａｔｉｏｎのための圧力を生成しているポンプ（コンプレッサー）からそこで正常である。ポンプがこの発明を与えるピストン燃焼室タイプである場合、それはバルブ、および流体の解放から圧力容器までのチャンバーからノイズからのあるノイズおよび摂取を与えることがある、減圧された、流体をモーターのタイプを与えること、細長いチャンバー音の中で全く移動するピストンに基づいた図の現在のエアコンプレッサーによってｒｅｐｒｅｓｓｕｒａｔｉｏｎする、醜いこれらの音は、大気の速度が音速上にあることがあるという事実から聞こえることがある。その結果、衝撃波は醜さの源である。
【０２０７】
この発明を与える設計の中で、好ましくはする、流体の速度、音速よりも低い、必要に応じてする、衝撃波、から、１つの、気流速度波の上に、ｃｏｎｔｒａによってたとえば湿らされる、設計（アウディなどの、そのレーシングカー（それらはノイズがほとんどなかった）の中で行った、モーターさえｃｏｍｂｕｓｔｉｂｅｌ運動型だった）を振る。図を与えるｒｅｐｒｅｓｓｕｒａｔｉｏｎタイプでは、バルブはない、また圧力変化を引き出すための余分なピストン燃焼室の組み合わせだけ。この運動型はそのほかに付加的に最も効率的なものであるということである、最大、この発明を与えるすべての運動型に静か。ポンプ（それらは圧力容器（それは駆動電動機部分のための圧力に役立っているかもしれない）を再加圧することがある）に動力を供給することのためのバッテリーを装填するための（ｒｅ）電力の生成は、パワー流体として好ましくはＨ２の上でほぼ６０ｃｃ（モペットモーターに匹敵する）のオットーモーターを必要に応じて必要とすることがある、ガソリン／ディーゼル機関または他の燃焼性の流体（フィージビリティスタディを参照）。そのようなモペットモーターの音は通常醜いが、音が十分に減衰させた場合、容認可能に思えているかもしれない。
【０２０８】
したがって、この発明を与えるモーターの音の総は、電気モーターだが低い揺れる低周波空気振動の場合であることなどの、０ではない。自動車は自動車であるとして音によってこれによって識別することができる、どれがよりよいかということは、低速に飛びかかる電気モーターだけを備えた自動車よりもこの側面である。
【０２０９】
低周波は１９６２７の発明の要約のそれであることが、働くプロトタイプから終えられる場合、低周波が変更されることがある。
【０２１０】
第一の側面では、本発明はピストンとチャンバーの組み合わせに関する、そこで：
前記チャンバーの中心軸と平行な、横断面の境界の壁を備えている前記チャンバー。
【０２１１】
［第二のチャンバーを備えているチャンバーは言った、それは長手を備えているチャンネルを介して前記第一のチャンバーで壁がそうである横断面の断面ｏを通信している、凹状、形状、前記第二のチャンバーの壁は前記チャンバーの中心軸と平行である］。
【０２１２】
円錐形のチャンバー、たとえば、高度な自転車の空気入れは、その共通の境界が横断面の形鋼を定義される長手の中にｕｐｄｉｖｉｄｅｄされることがある、超過圧力（たとえば気圧上の）評価、などの、たとえば１Ｂａｒ、第一から前記チャンバーの第二の縦位置へ移動している間、２はピストンが作製することがある１０本の棒を妨げる。長手の凸状・凹状形状の断面を備えている前記チャンバー、横断面の断面、断面が共通の境界によって互いからｕｐｄｉｖｉｄｅｄされる、横断面の断面が増加する過剰圧力割合によって減少させている前記長手の壁の結果のｈｅｉｇｔｈ、横断面の共通の境界の横断線長さは、少なくとも第二の縦位置の近くで最大仕事力（それは前記共通の境界のための一定で選ばれる）によって決定される。
【０２１３】
前記チャンバーの長手断面の適当形状のための決定的な別の係数、に関して、適切、チャンバーの壁へのピストンの密閉は、ピストンのボトム位置（２つの〈ｎｄ〉位置）の中で、それである、チャンバーが労働力を低下させることのための設計された場合、その位置でピストンを有しているのに十分なスペースおよびそれが移動することを可能にすることがたとえばなければならない：最も高圧力の点での最も小さい長手断面積：たとえばＷＯ／２００８／０２５３９１、チャンバーの最も小さい部分があったところに  １７ｍｍ。
【０２１４】
縦の横断面の断面は凸状および／または凹面を有していることがある。チャンバーの部品、ここで、凸形状端、また、凹状壁部品が始まり、どれが円錐形のボトム部と一致しているかが、自転車床ポンプの中であるｅｒｇｏｎｏｍｉｃａｌな高さの上でチャンバーの凸面／中低形状部分を維持するべき目的に使用されるところで、その結果、ポンピングは使用者（ＷＯ／２００８／０２５３９１）に快適である。バネ力は動作した、ピストン、たとえば、可撓な拡張可能な膨張式のコンテナーピストン（たとえばＥＰ  １  ３８４  ００４  Ｂｌ）は、第二の縦位置から前記チャンバーの第一のｌｏｎｇｉｔｉｄｉｎａｌな位置へ単独で移動し始めることがある。シール圧力がピストンから凸面／中低チャンバー壁の壁まで存在する場合、ここで、第二の長手ポストイオンの断面積および円周は、第一の縦位置の断面積および円周よりも小さい、また、ピストンとチャンバーの壁の間の摩擦推力の縦のコンポーネントがシール力の縦のコンポーネントよりも低い場合。ピストンロッドが使用者によってコントロールされたその位置を維持するために、たとえば、自転車の空気入れ、前記ピストンに接しているチャンバーの壁がチャンバーの中心軸と平行であることは必要なことがある。このｐａｒａｌｌｅｌｌｉｔｙは、長手コンポーネントのないシール力を提供し、使用者がそれをそうでほしいところで、したがって、位置のチャンバーの壁に単にそこに密閉しているピストンのままである。たとえばＥＰ  １  １７９  １４０  Ｂｌショーチャンバー（上面（第一の縦位置）およびチャンバーのボトム（第二のｌｏｎｇｉｔｕｄｏｉｎａｌな位置）では、ここで前記チャンバーの内壁の部品は中心軸と平行である）：したがって、そこに、ピストンロッドは位置する、ポンプは使用時にではなくどちらかである、あるいは、ピストンロッドがその方向を変化させているところで、最後、言及された、またチャンバーの上面で生じる、使用者によって、ポンプが使用時にある場合。推論はＥＰ  １  １７９  １４０  Ｂｌの中のｐａｒａｌｌｅｌｌｉｔｙのための開示されなかった。
【０２１５】
前記ピストンが愛想よく可動である場合、または前記ピストンが前記チャンバーにおいてｓｅａｌｉｎｇｌｙに可動である場合、前記ピストン式は前記チャンバーに第二のことから第一縦位置へ移動することができる。
【０２１６】
第２の側面では、本発明はピストンとチャンバーの組み合わせに関する、そこで：
前記チャンバーは、凸状壁および凹状壁の間の退場を有している、と前記退場がホースと通信している。
【０２１７】
縦の横断面の断面は凸状および／または凹面を有していることがある。チャンバーの部品、ここで、凸形状端、また、凹状壁部品が始まることがあるところで、そしてそれはすることがある、円錐形のボトム部との一致、ｂｉｃｙｌｅ床ポンプの中であるｅｒｇｏｎｏｍｉｃａｌな高さの上でｃｈａｍｎｅｒの凸状／ｃｏｎｃａｖｅ形状部分を維持するべき目的に使用される、その結果、ポンピングは使用者（ＷＯ／２００８／０２５３９１）に快適である。
【０２１８】
場合、ボトム部がくぼんでいる、それは使用されてもよい、それ、木方法で。オプションは、この部分を開いておき、その第二の縦位置の前記チャンバーへ退場を追加することである。サイドの退場は、好ましくはホースと直接通信することがある。
【０２１９】
前記チェックバルブが膨張室（それは前記チャンバーのボトム部に構築される）と通信しているところで、退場がチェックバルブを備えていると必要に応じて言った。その問題はそうである、そのような膨張室は高圧のための単にｎｅｓｓｅｓｓａｒｙであることがあり、下側圧力でポンプの速度を遅らせるよりそうである、ので、ボリューム、前記、あること膨張室である、同様に関係なく膨張させた、圧力。ピストンがさらに凸状形状の壁部品からチャンバーの縦位置へ凹状形状の遷移に群がる場合、そのような溶液はｎｅｓｓｅｓａｒｙであることがあるか、またはピストンは大きすぎるので、さらに縦位置へ旅行することができない。
【０２２０】
第三の側面では、本発明はピストンとチャンバーの組み合わせに関する、そこで：前記凹状形状の内壁は少なくとも２つの共通の境界間で位置する。
【０２２１】
好ましくは、前記中空品は前記チャンバーの追加ポンピングボリュームとして使用されてもよい。また、ピストンは、前記ボトム部に、およびそのボトム部の中で近づくことができるに違いない。必要、である、よりも、１つの、滑らか、横断面の断面の凸状形状の壁から移行する、凹状形状の壁を備えている遷移は言った。ｈｅｉｇｔｈへの依存、断面したがって横断面、圧力、割合これらの凹状形状の壁は、少なくとも２つを超える共通の境界（高圧で言及された最後）間で位置することがある。
【０２２２】
一つはピストンが移動するべき第二の縦位置の近くに十分なスペースがない場合、できる、それを使用することに決めた、その位置でピストンを有しているのに十分なスペースおよびそれが移動することを可能にすることがなければならない；
第三の側面では、本発明はピストンとチャンバーの組み合わせに関する、そこで：チェックバルブを介して前記第二のチャンバーと通信して、第三のチャンバーを備えている第二のチャンバーを言った。
【０２２３】
したがって、前記チャンバーの壁に第一の縦位置から数えられた点があることがある、長手断面積のサイドの凸形状、ボトム中のチャンバーのその部分へ移らなければならない。ここでチャンバー壁の壁は中心軸と平行である。それを滑らかにするために、遷移は凸面からである必要がある、に、中低したがって、遷移の長手断面のサイドの形は、第一から第二の縦位置へ方向に凹状である必要がある。
【０２２４】
ピストンはシーリングを有している、あるｌｏｎｇｉｔｕｄｉｎａｌｅ長さを行なう、それから、溶液が非常にチャンバーをそこに閉じて、逆止め弁によって退場を作ることであることがあるので、シーリングは、ｌｏｎｇｉｔｉｄｉｎａｌな断面の凸状形状のサイドから凹形状までの遷移に応じることができない。また、その溶液は、膨張容器としてチャンバーの残りを使用することがある。これは適切な高圧でのポンプのためのｕｓｅｆｕｌｌであることがある。
【０２２５】
それらの中間の距離が膨張容器を備えたポンプの異なる行程体積である間、前記共通の境界の位置は、第一の縦位置とは異なった長さの上に両方の場合（追加汲むスペースとして使用されるボトム部、対、膨張容器として使用された）にある、より少ない、行程体積の一部としてボトム部を使用しているポンプのそれ。第四の側面では、本発明は関する、に、ピストンとチャンバーの組み合わせに、そこで：
前記チャンバーは、開いている第四のチャンバーによってｅｌｉｖａｔｅｄされる、チャンバーが退場を有している、どの端、前記第四のチャンバーで。第四のチャンバーは、単にそのｃｈａｃｔｅｒｉｓｔｉｃな形を備えた基礎的なチャンバーおよびより多くの無である。前記チャンバーは、ｎｉｐｐｅｌである退場を有していることがある。
【０２２６】
第五の側面では、本発明はピストンとチャンバーの組み合わせに関する、そこで：前記退場はホースと通信している；
ポンプの排気速度を最適化するために、自転車の空気入れのホースはある圧力で拡張可能なことがある。その結果、膨張容器はそこに作り出される。それは、ホースが圧力容器が作り出す膨張容器ようなものを作り出していないところで、ポンプが低圧で非常に効率的に汲んでいることを意味する、タイヤのボリュームへのより多くのボリューム、汲まれるために単独で。ほとんどのポンピングは低圧タイヤのための終っている。ホースの膨張はホースの強化材によって制限されたことがある。また、膨張はホースの部品上でのみ行われることがある。
【０２２７】
ピストンは、前記チャンバー壁に対して愛想よく可動ことがある。
【０２２８】
ピストンは、前記チャンバー壁に対してｓｃａｌｉｎｇｌｙに可動ことがある。
【０２２９】
１９６２７の１９６２０の説明への１９６１６−追加問題
図２１Ａからチャンバーを使用して、使用されるエネルギー量は、現在の高圧自転車の空気入れに関して、８−１０のＢａｒ圧力でほぼ６５％低減されることがある。それは高度な自転車の空気入れの中で使用される。これは以下のように計算された：
図２１Ａのチャンバーは設計された。その結果、最大力はまた８つまたは１０の法廷弁護士でどんな圧力（明確には高圧）でも、したがって２６０Ｎである。
【０２３０】
高い滑油ポンプが内部直径を備えた直線のシリンダーを備えていている電流  ２７ｍｍ、その結果、８本の棒での労働力は次のとおりである：Ｆ、ｐ  ｘ  Ｏ＝０、８×０、２５×３、１４×２７〈２〉＝４５８Ｎ。１０本の棒では、これは次のとおりである：５７２Ｎ
８本の棒での低減は次のとおりである：４５８２６０／４５８＝１９８／４５８、その結果、その低減は次のとおりである：４３％、そして１０本の棒で：５４％。１２本の棒で：６８７−２７２＊／６８７は６０％を招く。その一方で１４本の棒が与えている：８０１−３１８＊＊／８０１＝６６％および１６本の棒：９１６−３６３”７９１６＝６０と３％。
【０２３１】
前記高度な自転車の空気入れの効率は現在の高圧自転車の空気入れよりもはるかに高い。また、それは、最大調速機制御力として２６０Ｎの選択に影響を及ぼした。しかしながら、１７ｍｍの直線のシリンダ部分がチャンバーの円錐形の部分に加えて、同様に使用されている場合、ポンプが１０のＢａｒよりも高圧割合を有していることができるように、設計は作られた：１２本の棒でのＦ：１、２×０、２５×３、１４×１７〈２〉＝２７２Ｎ＊；１４本の棒でのＦ：３１８Ｎ＊＊（１６本の棒）。３６３Ｎ＊＊＊。
【０２３２】
結論：５４％−しかしながら、Ｆ＝２６０Ｎの好きな最大調速機制御力が結果に影響を及ぼすので、定期の６５％は８−１０本の棒にあったに違いない、それはそうであることがある、１つの、チャンバーを再計算するのによい、どれ、自転車の空気入れ、だがｓｐｅｃｉｆｃｉａｌｌｙにモーターで使用するために最適化されたとともに。
【０２３３】
１９６２７の１９６２０の細長い円錐形のチャンバー設計の１９６１７−追加原因
図２１Ａ．２１Ｂのチャンバー、ＥＰ特許出願１００７５４０２７番（０８−０９−２０１０）のうちの２２−２５（を含めて）は次の数学的な考察に基づいて設計された。
【０２３４】
中心軸を有しているポンプの細長い円錐形のチャンバーの形は、前記中心軸の外部であるドット（ｘ座標：  前記中心軸、ｙ座標に沿って：  前記中心軸の上で垂直。）を接続するラインである。異なる断面積のおよび第一を有している前記チャンバー、および第二の縦位置（第二の縦位置よりも大きな断面積を有している第一の縦位置）、そこで、ピストン間で、可動である、前記第二の縦位置の円周に対応する生産サイズを有していて、ピストンが前記チャンバーの壁にｓｅａｌｉｎｇｌｙに接続される、ｔｅｈチャンバーの前記形のためある前もって定義した最大の労働力を有しているピストンは言った。前記中心軸に対して前記ドットの位置は以下のように決定される。
【０２３５】
前記ピストンが細長い円錐形のチャンバーで移動している場合、から、前記、前記第二の縦位置へ第一、休息ボリュームＶｘ（それは位置ｌｘの前記チャンバーのボリュームとして定義される）である、前記ピストンの過剰圧力側から測定されたｌｘ、に、たとえば最も遠い遠方に第二の縦位置（０点）（ここで過剰圧力Ｐｘがある）、過剰圧力Ｐｘはこの計算の中で使用されて、標準圧力（たとえば気圧）に関して数えられる：
【数５】
2014527601.tif 000007
【０２３６】
ここで：
Ｖｘは、標準圧力上のＰｘ＝ｚ棒での休息ボリュームである、ここで、Ｖｘ＝Ｖ０／（ｚ＋１）。
【０２３７】
Ｖｏは、前記円錐形のチャンバーの全容積である、ここで、Ｓ＝Ｌ＝前記円錐形のチャンバーの全長。
【０２３８】
Ｓｘ＝反復する算出過程の１ステップ。あるあらかじめ定められた圧力窓（たとえば１−１０の棒過剰圧力）の内にＰｘ＝ｚ棒（ｚ）が生じる縦位置は、今、ステップＳと共に、反復して（コンピューターソフトウェアが入手可能でない場合に、３つの〈ラザフォード〉程度方程式の計算を克服すること）計算することができる。それは、前記中心軸に沿って数えられて、前記円錐形のチャンバーの全長Ｌの一部（たとえば１／１０００）であることがある：Ｓｘは前記方程式から見つかり、ＳＸ．Ｌとして、前記ドットのｘ座標を与える。場合、チャンバーが非円錐形の部分（たとえば見ることができるとして、図２１Ａ、Ｂ）を備えていている、前記中心軸の上の円錐形の壁部品の投影長さだけよりも、Ｌとｌｘの計算の中で使用される必要があること前記ドットのｙ座標は以下のように見つかる。
【０２３９】
選ばれた０点から、中心軸のある縦位置ｌｘの前記ドットの位置を以下のように引き出すことができるより、ある最大の労働力ｆｍａｘが選ばれている場合：
【数６】
2014527601.tif 000008
【０２４０】
前記図にあるように、横断線方向の対称的なチャンバー設計が選ばれている場合、前記縦位置ＳＸ．Ｌの前記中心軸からの前記ドットのｙ座標は、Ｄｘ／２である。
【０２４１】
すべての点を介してラインが見つけたより、チャンバー壁の形はそうである。の中で、実行する、それである、滑らかになるのに（「ｐｅｄｉｔｉｓｅ」）可能、それがｐｏｌｙｌｉｎｅとして引かれる場合、ラインは言った、その結果チャンバー壁のｃｏｎｔｉｎｅｏｕｓな形、結果。
【０２４２】
１９６２２、変形可能な流体。
【０２４３】
アクチュエータピストン内の流体の使用は以下のとおりであることがある：
１．空気またはＮ２などのガス状媒体：好ましくはＣＴ圧力管理システムのための；
２．組み合わせ、１つの、ガス、また液体、３。液体（それは作動油またはＨ２０であることがある）：好ましくはＥＳＶＴ圧力管理システムのための。
【０２４４】
ポンプによるアクチュエータピストン間で多くの液体を移動させることでのように、液体の使用はアクチュエータピストンのｐｒｅｓｓｕｒａｚａｔｉｏｎのためのよりよい経済を与えることがある、ない、あるいはわずかに１ビットの熱、そして冷、それぞれ生成された反対であることがある、ガス状媒体の（ｄｅ）ｐｒｅｓｓｕｒａｔｉｏｎ。
【０２４５】
また、ガス状媒体の圧力の低減（それは熱を行なう）は、アクチュエータピストンの壁の氷衣を招くことがある。これは、チャンバーの壁を備えた前記アクチュエータピストンの潤滑にも影響する、したがって効率に影響することがある。
【０２４６】
液体を圧縮することができないので、だろう、ポンプのピストンの横断の非常に最後の部分で起こる圧力の増加。これは素晴らしく働く、で、１つの、速く、回転カム軸またはクランクシャフト、に示されるように、たとえば図９０Ｌ。
【０２４７】
したがって、取り囲まれた空間容積テクノロジーを使用する場合、変形可能な流体としての液体は好まれることがある。
【０２４８】
１９６３０の円形チャンバー設計発明の要約。
【０２４９】
チャンバーが移動していることがあるところで、Ｆｉｇ．ＢＣと１４Ｄの中で示される円形チャンバー、およびピストンは行う（ｅｓ）移動させないこと、たとえばｕｐｄｉｖｉｄｅｄされた、４つの同一の下位チャンバー。これらのチャンバーはそのような方法で構築された、各々の効果がそうであることがあるそれ、チャンバー壁上の各ピストンの円形下位チャンバーの各々の異なる位置を有している円形力は同一のことがある。これ、不必要な摩擦（それは効率を減少させて、ピストンの摩耗を増す）を回避するためにチャンバーは一定の円形力をしたがって有していることがある、一定トルク。サイズは単に圧力に依存していることがある。
【０２５０】
そういうものとしてそれである、必要でない、に、１本を超えるピストンを備えているために１つを超えるチャンバーの中に円形チャンバーをｕｐｄｉｖｉｄｅする。しかしながら、前記下位チャンバーの壁の角度は１つのチャンバーよりも（中心軸と同じ円を有している）大きい。したがって、各チャンバーの力はｏｎｅｌｙに、１つのチャンバーがいくつかのピストンに使用された場合より大きい。
【０２５１】
図１２Ｂの中で示されるチャンバー（ここでピストンは移動していることがあり、チャンバーが移動していないことがある）は、ものが図のための上に１３Ｃ言及したのと同じ基本設計および１４Ｄを実際有していることがある。ピストンは、前記チャンバー壁上の一定の円形力を有していることがある。
【０２５２】
前記下位チャンバーは構築された。その結果、チャンバーは、円形断面中の２つの円断面を備えていている。円断面の各々は、（ｓｕｂ）チャンバーの円形中心軸の中心点の同一の距離のまわりで、およびその距離で、それ自身の中心点（それはコードラントの反対側の中へ位置している）を有している。前記円断面はチャンバーの中心軸のまわりで位置している。それは円であることがある。
【０２５３】
ＳＭ−ＰＶＴ１
最終バージョンでは、互いと平行で、前記細長いチャンバー（１）の中心軸（３）に垂直である共通の輪郭線（９、１１、１３、１５、１７、１９、２１、２３、２５、２７）がある（仮想）ところに、我々は、図２１Ａ／Ｂの細長いチャンバーのそれと比較して、そのようなチャンバーの横断面の断面を期待する、円形チャンバーの長手断面中の共通の輪郭線は、ラインと一体化している、引かれた。前記円形チャンバー（たとえば２つの中心点を備えたＦｉｇ．２７Ｃの中の２行のａｒｒｏｗｅｄされたライン）の中心軸の中心点への断面中の前記チャンバーの最も遠い境界−しかし正確な中心点があるところに、知られていない、また、前記断面の最も遠い円形チャンバーラインの中心点が、前記断面（図２７Ａ−Ｃで、我々は２中心点を仮定した）の最も近い円形チャンバーラインの中心点と同一でも同一でなくても、要求を考慮して、前記チャンバー壁上の前記チャンバーのアクチュエーターの最大調速機制御力は、前記チャンバーの前記アクチュエーターの位置に依存しない、そしてアクチュエーターの内部の圧力と無関係にしたがって。
【０２５４】
ＳＭ−ＰＶＴ２
チャンバー（上記の言及された特性を備えた）は、愛想よく前記球体形のピストン（チャンバーの前記試みられた配列を備えた図１０Ｈ）上にｓｅａｌｉｎｇｌｙに移動するおよび／またはである。それは前記チャンバーで位置する。前記ピストン上のチャンバーを移動させることによって、自動車の前車輪で存在するとともに、比較可能な問題が生じる、回す、のまわりで、１つの、前車輪は回動軸（ｓ？）への同じ距離にすぐ近く位置しない。また、すぐ近くに自動車を得るために、ホイールは独立した車軸、および前記方向に関しての前記ホイールのどちらの角度も有している必要がある、同時に同じでない、および、前記ホイールの速度。したがって、ピストンのコンタクト域上のチャンバーからの反力は、等しく前記接触ラインの円周に関して分裂しない、どれ、すべきだ、（？）する、前記共通の輪郭線（細長いチャンバーの）と同一である。
【０２５５】
ケースがすることがある際に、したがって、愛想よく／ｓｅａｌｉｎｇｌｙに、前記ピストンの壁への連結、円周線でない、しかしより多く、円断面（円形チャンバーの中心からの前記断面の最も遠いｂｏｕｎｄｅｒｙの上の）への、および中間に円点（円形チャンバーの中心に最も近づく断面のｂｏｕｎｄｅｒｙの上の）の組み合わせは、異なるサイズの点と断面の断面を言った、そして恐らくまた形。前記チャンバーの壁への連結が前記チャンバーの運動を生成するために単に愛想よくある必要があるので、これは大きな危険ではないことがある。円周のいくつかのサイズのため、前記接触は、ｓｅａｌｉｎｇｌｙ（最も近い、円の中心、前記チャンバーの円形の中心軸）からなることがある、に、愛想よく中間に（最も遠い、に、円の中心から、前記チャンバーの円形の中心軸）すべての種類の組み合わせ、ｓｅａｌｉｎｇｌｙにそして愛想よく、接触。これは、ピストンとチャンバー壁の間の摩擦のサイズ、およびしたがって相対運動が中へ生成されることがある方向に影響する、この想定する配列はするべきである、方向は言った、形のそれである、我々の試みられた配列（図２７Ａ−Ｃ）の中にそれチャンバーである。
【０２５６】
低減するために、摩擦はすることがある、球体ピストン、まわりに回転可能である、その、ピストンロッド（それは前記チャンバーの中心点を介して軸と平行なことがある）の中心軸のまわりでピストンロッドしたがって、垂直、前記チャンバーの横断面の断面。
【０２５７】
アクチュエータピストンおよびチャンバー形状。
【０２５８】
ピストンとピストン燃焼室の配列が考慮される：定数記憶域、可変ボリューム、フレキシブルアクチュエータ、壁接触を備えたピストンを包含している円錐管。チャンバーはフェルミの管として構築される。明示的な体積の計算法およびコンタクト域は荒くコメントされたモミジワークシートに追加される。アクチュエータ力分布が示される。図は、多少形状の重要性を示す目的極端な向けである。
【０２５９】
１．  フェルミ管構築
中央基礎円（チャンバーはそれのまわりでそうである」曲がっている」）は、そばにパラメター化される」特有速度。」起源（０、０、０）の半径Ｒおよび中心を有している、の中で、１つの、固定した（ｘ、ｙ、ｚ−座標系。）。図３２Ｇ，３２Ｈなどで青い円を参照してください。基礎円のためのベクトル関数は標準である：
【数７】
2014527601.tif 000009
【０２６０】
この基礎円に沿って、我々は回転角間隔u E (0, L]、そのためのピストンは、チャンバー壁との接触を有している。
【０２６１】
p(u)の基礎円への各直交平面（図１および２を参照）の中で［０、Ｌ］我々は円を定義する、それは結局いっぱいのチャンバーをトレースする、そしてそこからまた、チャンバー壁接触を有しているピストンのその部分。これらの円は半径ｐ（ｕ）を有している、それは基礎円パラメーターｕ  ６に依存する［０、１／］；また、それらはすべてに、基礎円上のそれぞれの中心を有している。
【０２６２】
円の家族は、基礎円のまわりで、チューブ表面（いわゆるフェルミの管）をトレースする。
【０２６３】
我々は、対応するフェルミ面が円錐と呼ばれるように、関数p(u)がｕにおいて線形であると考える、対応する図３２Ｆ，３２Ｇ，３２Ｈを見る。円錐の効果（それは結局チャンバーの内側のピストンを駆動する）は、ｕの他の単調増加関数によって得ることができる。線形の動径関数は、それから下記（これは特定の値のための適用される、そしてモミジアペンディックス中のα及びβの値、またこの報告書の中で例証に使用された）である：
【数８】
2014527601.tif 000010
【０２６４】
半径関数ｐを備えたパラメター化されたフェルミのチューブ表面［ｕ、どれがあるか」曲がっている」基礎円のまわりで、それから、ベクトル関数から与えられる：
【数９】
2014527601.tif 000011
【０２６５】
ｅ１（ｕ）およびｅ２(u)が図１に示されるように基礎円への直交平面を測る直交単位ベクトルである場合：
【数１０】
2014527601.tif 000012
【０２６６】
同様にある半径関数ｐ（ｕ）を備えたパラメター化されたフェルミ管固体「曲がっている」基礎円のまわりで、それからある：
【数１１】
2014527601.tif 000013
【０２６７】
単にｗ＝１の設定により、対応する固体から表面が得られることに注意してください：
【数１２】
2014527601.tif 000014
【０２６８】
フェルミ管固体（回転角間隔［０、Ｌ］に対応する）のボリュームは、決定される。
【数１３】
2014527601.tif 000015
【０２６９】
ヤコービ関数被積分関数がｒの偏導関数から以下のように与えられる場合：
【数１４】
2014527601.tif 000016
【０２７０】
フェルミのチューブ表面のエリアは次のとおりである：（回転角間隔［０、Ｌ］に対応する）
【数１５】
2014527601.tif 000017
【０２７１】
今、ヤコービ関数被積分関数がそうである場合：
【数１６】
2014527601.tif 000018
【０２７２】
モミジアウトプットアペンディックスは、熟慮して示された特別の場合の中で形状を定義する定数の好きな値から計算された、それぞれの全面積および全容積の計算の例を包含している。これは完全に一般的で、幾何学的なディスクリプタ価値の他の選択で数的に評価することができる。
【０２７３】
全面積と全容積は、我々が今論じるキャップからの値を有している。
【０２７４】
２．  キャップ。
【０２７５】
我々は、キャップが球状であると考える。これは絶対に必要だとは限らない。我々が必要とするものは、両端中のチャンバーのチューブ部品への円形適合、およびピストンのエンクローズドボリュームおよび表面積の総上のハンドルである。両方は、球状のキャップ考察によって本モデル容易にのための最も得られる、図３２Dおよび図３２Eを見よ。
【０２７６】
実際、ｓｐｅｒｉｃａｌな仮定は完全には、また現実的ではない：
完全に弾性のピストン素材を与えられて、この中で壁接触をすなわち有していないところならどこでも、それはいつでも一定の平均曲率を有している、それの設定は、両端で同じ球面半径を有している（向かう、に）。このコンディションは本ディスカッションで実行されない。
【０２７７】
可撓なピストン素材の物理的に正確な説明で、キャップの実際の形を評価することは可能である、それらが取り囲むボリューム、そして時間の各実例でそこから、ピストンの内側の内圧。
【０２７８】
球状、脱帽する、それらのエリアのための単純な幾何学的な表現をしている、そして’取り囲まれた」ボリューム（すなわち平面カットによってキャップを遮断する時球体から離れてカットされたボリューム）。したがって、ここで、我々は球状の大文字のこのＡｎｓａｔｚを継続する。
【０２７９】
高さｈおよび基礎円半径ａのキャップのエリアは（図３を参照）：
【数１７】
2014527601.tif 000019
【０２８０】
高さｈおよび基礎円半径ａのキャップのボリュームは、
【数１８】
2014527601.tif 000020
【０２８１】
完全性については、我々は、それぞれのキャップがｕ＝０およびｕ＝Ｌのためのそれぞれ行なわれる仮想球体の半径も表示する：
【数１９】
2014527601.tif 000021
【０２８２】
管形状では、ａとｈの値は、端値ｕ＝０およびｕ＝Ｌで半径関数p(u)およびその派生的なp'(u)によってのみそれぞれ決定される；基礎円半径は役割を果たさない！
【数２０】
2014527601.tif 000022
【０２８３】
したがって、球状のＡｎｓａｔｚがもつと仮定される場合、キャップエリアおよび本はもっぱらｐおよびｐ’のそれぞれの値によって決定される。
【０２８４】
キャップが支持されるか、シャフトに付けられているので、シャフト間でそこに基礎円、この取り付けおよび軍隊の誘導カップリングの硬質バージョンを言ってください。そうすれば、ピストンは、ピストン端の球面幾何学を変更する。取り付け、およびピストン素材の正確な説明を与えられて、結果の歪んだキャップの形状を評価することは可能になりえる。これはここで考慮されない。
【０２８５】
３．  ピストンおよびシャフト取り付けを移動させること
とても重要なのは、エリア、およびピストンとチャンバー壁の間の正確な接触の形状である。ピストン上の駆動力が活性化されるのはこの接触によってである。本モデルでは、壁接触は所与の基礎円のまわりのフェルミの管によってモデル化される；ボリューム（圧力）およびエリア（壁の力）は従って計算される。
【０２８６】
チャンバーの壁に沿った実際のスライド力は、ｆｉｇｕｒｅｓｇ  ０）の中で示されるチャンバーセグメント上の灰色の総力の幾何学的に対称な（軸としてのその方向のまわりで）ダブルの射影によって、図３２Ｈ〜３２Ｍにみるように得られる。従って、結果のスライド力は、セグメントの長手長さ、およびピストンの内圧に比例する；圧力＝１つのエリアごとに力。
【０２８７】
摩擦モデル（チャンバー壁とピストンの間の摩擦）により、ピストンの材料特性（弾性など）に依存して、この結果の力は長手方向でセグメントを駆動する。各セグメントの力がセグメントの長手長さに比例し、基礎円の中心からのセグメントの距離に従って比例するので、それは基礎円の中心のまわりの回転として自由なピストン表面の結果の運動を組み合わせるべき（一次に、および非常に（再び）、物理的なディスクリプタへの依存は言及した、に、の上に）傾向がある。
【０２８８】
ピストンがチャンバーの基礎円に沿ったシャフトに付けられている場合、説明された力は基礎円の中心のまわりの円運動の中に付属の円形軸を引くか押すために同様に加えることができる。
【０２８９】
１９６４０の発明の要約。
【０２９０】
ＥＰ  １１７９１４０Ｂ１は図５Ａ−５Ｈ（インチ）にピストン（この特許出願の図１０５Ａ−１０５Ｈ）を示す、どれが６を備えていているか、手段４３を支持する、それは車軸４４のまわりでピストンロッド４５に回転自在に固定される。前記支持体手段のもう１つの端は可撓なＯリングの間で位置して、不浸透性のフレキシブルシート上で組み立てられる。チャンバーが円錐形のところで、それはピストン燃焼室組み合わせの壁にｓｅａｌｉｎｇｌｙに接続される。前記Ｏリングは、前記支持体手段によって、一方の側で前記ピストンロッド上で組み立てられたスプリングを引くことのため、および前記Ｏリングの近くの前記支持体手段上のもう１つの端で壁に圧搾される、ように、広がった、支持体手段はピストンロッドからチャンバーの壁まで言った。付加的に、渦巻きばね、どれがｃｉｒｃｌｅｒｏｕｎｄかは前記チャンバーの中心軸の上のその中心を有していて、押して、不浸透性のシートに置いた、前記支持体手段が直接支持していないところで、Ｏリングは、前記チャンバーの壁にそこに言った、Ｏリングは言った。これは溶液原理としてのメインの溶液だった。
【０２９１】
その、この構築のまだ解決された側面が、不浸透性のフレキシブルシートが掛かっていて、無料で、それが内側へ（変更、形づくる）押されることがある、とそれが言ったということであるのではない、前記シートの下の流体によって加圧された時のピストン（図５Ｇ、５Ｈ）。別のもの、しかしではなく、完全に高度に発展した側面はそうである、１つの、適切、前記支持体手段へのＯリングの集まることまた、前記支持体の集まる点の間で適所にＯリングを維持している手段への前記支持体手段の適切な組立は、前記Ｏリングに意味する。
【０２９２】
不浸透性のフレキシブルシートの形の変更を回避するための２つの好ましい溶液があることがある。他の溶液は可能なことがあるが、示された否定ではなかったことがある。
【０２９３】
１つは、不浸透性のフレキシブルシートがスクリューによってピストンロッドの終わりにたとえば組み立てられることがあるとそれが言ったということである。別の溶液は単にピストンロッド上の、およびそのピストンロッドのまわりの前記シートを硫黄で処理するためにあることがある。加圧された時、ピストンロッドへの前記シートのこの締結固定は実質的に前記シートの形の変更を低減することがある。（しかしボット、回避する）また、付加的に、前記シートの形状変化は、前記シートの適切な強化材によって付加的に低減されることがある。第一に、シートは、ほぼ第二の縦位置でのチャンバー壁の円周のそれである円周を有している生産サイズを有している必要があることがある。密閉するために、ピストンが第二の縦位置へ移動している時、シートはチャンバーの壁に言った、前記第二の縦位置から第一の縦位置に第１にピストンを移動させる場合、前記シートはｓｐｒｅａｄｅｄされるために第一の実例の中で必要とすることがある。前記支持体手段上の引くスプリングは、ピストンが第二の縦位置にない場合、その生産サイズにそれを引いて、前記不浸透性のシート中の引力以上に少し引いていることがある。第三勢力は壁からＯリングを引き離しているかもしれない。また、加圧された時、前記シートが上方へ曲がった場合、それが起こる。実質的にそれを防ぐために、強化材は同心強化材を備えていることがある。それはその長さに柔軟性材料で作られていたことがあるか、もしスパイラルとして非可撓な材料で作られていれば椎体としてピストンロッドの中心軸を有していていたことがある。他の強化材可能性は可能なことがあるが示されない。前記強化材パターンの使用、シートが横断線平面で２Ｄの中で広げられることがあることを意味する、垂直、前記チャンバー、および前記チャンバーの中心軸の方向のわずかに１ビットの中心軸。
【０２９４】
好ましくは前記シートの強化材層である、前記シートの高圧側および強化材のない別の層に最も接近して位置した、第一の言及された層の上で硫黄で処理されることがある。各層の生産厚さは非常に厚いことがある、第一の縦位置での減少した厚さは、前記ピストンの適切にｌｏｎｇｄｕｒｉｎｇする機能することにとって十分なことがある。
【０２９５】
また、その外部円周がほぼ第二の縦位置の前記チャンバーの円周のサイズである場合、Ｏリングは生産サイズを有していることがある。
【０２９６】
またここで、前記Ｏリングの生産直径はピストンが第一の縦位置に移動された場合に、厚さの減少を補うことができるほど十分に大きいに違いない。
【０２９７】
不浸透性のシートはＯリングがチャンバーの壁にｓｅａｌｉｎｇｌｙに接続される場合に、適切なシーリングを達成するように前記Ｏリングの上で／硫黄で処理されることがある。
【０２９８】
位置するスプリングは、両方上で硫黄で処理されることがある、Ｏリング（前記支持体手段の、および不浸透性のシート上の端）は言った。これ、全体をまとめる。
【０２９９】
ピストンロッド上に不浸透性のフレキシブルシートを組み立てて、前記シートの拡幅は、前記支持体手段上のスプリングの引力、および前記支持体手段の回転力によって実質的に引き起こされることがある。内部ものの力のバランスがあることがある、Ｏリングに不浸透性のフレキシブルシート、Ｏリング、位置する渦巻きばねの押し力および前記支持体手段の押し力の力および壁の反力を撤退させる、その結果Ｏリングが押されることがあるａｌｌｗａｙｓ、達成のためのチャンバーの壁、１つの、ｓｅａｌｉｎｇｌｙに、連結。位置する渦巻きばねが前記先行技術の図の中で示されて、どれが支持体間で主として適所にＯリングを維持しなければならないかは端を意味する、どうしてもその仕事をするのに十分な力を与えない。代わりに、弾性の金属ロッドは適所によりよいＯリングを維持することがある。２つのロッドが支持体手段を介して互いに沿って滑っていることがある一方、前記ロッドの両端は２つの隣接した支持体手段間に滑っていることがある。
【０３００】
１９６５０の発明の要約
ＥＰ  １  １７９  １４０  Ｂｌはｅｌａｓｔｉｃａｌｌｙｌの変形可能な手段を開示する。それは、堅い部材（ピストンが前記弾力的に変形可能な手段で作られていたことがある場合、それらはピストンロッドなどの共通の部材に回転自在に固定される）によって堅くなった。弾力的に変形可能な手段は、不等辺四辺形のそのｔｒａｎｖｅｒｓａｌな断面を有していることがある。第一のｌｏｎｇｉｔｉｄｉｎａｌな位置から第二の縦位置（そこでは第二の縦位置の前記チャンバーの壁は前記チャンバーの中心軸と平行である）へチャンバーで移動する場合、不等辺四辺形はますます多くになる、１つの、長方形。ピストンが第一から第二の縦位置へ移動している場合、前記ｓｔｉｆｆｅｒｅｎｅｒｓは、ｓｔｉｆｆｅｒｅｒｓが前記中心軸と平行で、ほぼ位置する角度へ回転することがある。
【０３０１】
泡は細長いチャンバーの第二の縦位置からより大きな形に第一の長手ｐｏｓｉｒｔｉｏｎで拡大することがある。しかし、それは、円周がほぼ第二の縦位置のチャンバーの壁の円周であるように、生産サイズと共に、可撓な壁を備えていている膨張式のコンテナーを拡張するとは異なっている方法で行われることがある（ＥＰ  １  ３８４  ００４  Ｂｌをたとえば参照）。第一の縦位置に移動され、前記チャンバーの壁に愛想よく接続される必要があることがある場合、前記コンテナーの悲嘆の厚さは減少することがある（「気球効力」）。
【０３０２】
モーター、ここで、ピストンを愛想よく有しているポンプ、チャンバーにおいてｓｅａｌｉｎｇｌｙに可動および／または、そこで
―  弾力的に変形可能な手段の中で、ポリウレタンフォームで作られている；
―  ＰＵ泡はＰｏｌｙｕｒｅｔｈｅｎｅメモリ泡およびポリウレタンフォームを備えていている；
―  ポリウレタンフォームは大部分を備えていている、ポリウレタンメモリ泡である、また小さな部分ポリウレタンフォーム。
【０３０３】
弾力的に変形可能な手段は泡で作られていることがある。たとえば、ポンプのチャンバーの移動ピストンがＰｏｌｙｕｒｅｔｈａｎであることがあるとともに、荒い状況のための明確にはよい特性は泡立つ。第二から第一の縦位置へ移動する場合の泡のサイズ中の栽培は、流体が位置するセルを拡大させることにより行われることがある。それは前記チャンバーの中にあることがある。セルがすなわち開いている場合、それは可能なことがある、前記セルの内部は前記チャンバーで前記泡のまわりの大気と通信していることがある。したがって、第二の縦位置での泡は泡の中の開放蓄電池のサイズを減少させることができるように圧力をかけられている必要がある、そして、第二の縦位置で、泡を必要とする、第一の縦位置に移動された時、それ自体を拡張することができるために圧力をかけられている。泡、したがって、開放蓄電池の壁の材料はすることがある、非常に弾力的にあって必要だったより。そのような材料はポリウレタン（まもなく」ＰＵ」）であることがある、泡立つ、そしてＰＵのまさにフレキシブルスクリューコンベヤ、泡立つ、いわゆるメモリ泡であることがある。
【０３０４】
しかしながら、非常に可撓な材料は非常によく大きな圧力に単独で耐えないことがある、そのようなもの、ピストンができる必要のあること。圧力を加えるべきべきよりよい抵抗を獲得するために、一種のサンドイッチは作られることがある、それはたとえば作られることがある、２つの層ＰＵ、層はどれでＰＵメモリ泡よりも可撓でないＰＵ泡に作られており、泡立たせる２つの層がくぎづけになることがあるＰＵメモリの層、互い。サンドイッチがそうであることがある層および／またはのためのスペースがない場合、作製されることが困難、ＰＵ泡の混合物およびＰＵメモリは泡立つ、溶液であることがある。正常なＰＵ泡のパーセンテージは完全な混合の小さな部分であることがある。
【０３０５】
モーター、ここで、ピストンを言った前記ポンプ、どこで
支持体部材は曲げることができる；
前記支持体部材は前もって定義した屈曲力だった；
ホルダー（それはピストンロッドに接続される）の中でロックされており、前記ホルダーの中の前記補剛材の前記屈曲の近くで回転可能な前記部材；
前記端は調整可能な部材の圧力をかけられていることである；
増加した厚さを有している前記補剛材の前記より長い端。
【０３０６】
１０の［度］−１００［度］Ｃなどの正常な使用温度で低下する後、解放された時、前記メモリフォーム材は速くそのオリジナルのサイズを回復している。凝固点のまわりでなどの低温で、より長い時間はかかる。また、それは要求に応じるために長すぎることがある、愛想よく、チャンバーの壁にｓｅａｌｉｎｇｌｙに接続されたおよび／または。それは必要なことがある、それは補剛材がばね材料で作られている、その結果、ピストンが第二から第一の縦位置へ移動している場合、前記補剛材は泡を外へ押していることがある。前もって定義した屈曲力はｎｅｃｅｓａｓａｒｙであることがある。また、それはたとえば行われることがある、前記補剛材の端、曲げられること、前記補剛材の全長よりもはるかに短い長さ、そのために、ホルダー前記ホルダーの中で前記補剛材の端をロックすることができる角度は、ピストンロッドに接続されることがある。前もって定義した屈曲力は、調整可能な部材によって得られることがある、どれが敗者側を押すか、前記、補剛材それは回転可能な部材であることがある。それはある位置に固定することができる。
【０３０７】
第一から第二の縦位置へ移動する場合、泡が前記チャンバーの壁によって内部に押されていることがあると言い、泡がそのような形にある必要があることがある、横力は存在しない、その結果、鋳造泡（それは前記補剛材（それらはポリウレタンで好ましくは作られていることがある）に固着させる）は、外れているようになった、その結果、その機能は失われる。
【０３０８】
回避するために、それは、補剛材が別の手段があるｉｎｓｔｕｃｋになっている、前記補剛材（前記チャンバーのピストンの下の流体から圧力が得られる場所へ接近している）の長い端の厚さを増加させる。
【０３０９】
前記モーター、どこで前記可撓な不透水層が有しているピストンを言ったポンプ、ほぼ第二の縦位置のチャンバーの壁の円周と同じである円周を備えた無強勢の生産サイズ。
【０３１０】
開放蓄電池を備えた泡ピストンは、前記チャンバーの壁にｅｎｇａｉｎｇｌｙに接続される。それを前記チャンバー壁にｓｅａｌｉｎｇｌｙに連結可能にするために、自然ゴム活字などの不透水層を追加することが必要である。これは、ほぼ円周の膨張式のコンテナータイプピストンと同じサイズに応じる必要があることがある。したがって第二の縦位置でチャンバー壁のその円周を有している前記層のサイズを必要とすることがある、無強勢のしたがって組立を必要とする、圧力の下の泡のまわりである。第二から第一の縦位置へ移動する場合、泡、また第一の縦位置に位置する場合、補剛材が泡の形（ｔｒａｐｅｚ）の中に層を押す必要があるとしたがって言った。前記第二の縦位置へ戻る場合、前記層は縮んでいることがある、の中に、ほぼ第二の縦位置での前記泡の矩形形状：それは可撓である必要がある。不透水層は、有能なために前記ピストンの非圧力側の流体と通信する必要があることがある、第二のことから第一縦位置へ、および逆もまた同様移動する場合に、通信するべきべき（「呼吸」）開放蓄電池。
【０３１１】
たとえば目的を汲むための泡ピストンの１９６５０−１の改良懸濁液
ＷＯ２０００／０７０２２７は、泡に適切に装着することができない問題を有している泡ピストンを開示する、明確にはもどり行程の間のピストンロッド。理由は、ＰＵ泡をピストンロッドの鋼製にあまり固定することができないということである。別の困難は、強化材ピンのいくつかの列の角度がピストンロッド側から外へ増加しているという事実のため、型からの即座のピストンの解放である。一層の困難は、ＰＵ泡が金属製補強材ピンにあまり飛びついていないということである、言及された最後の表面さえ原石になった。泡ピストンの改良懸濁液は特許出願のこの断面の主題である。
【０３１２】
この特許出願の断面１９６５０に示されたピストンは、専門の使用のための非常に頑丈である。使用のための、の中で、たとえば、自転車の空気入れ、また、修理が単にあることがある場合、より少ない頑丈で、まだ信頼できる構築は必要で直線のことがある、前進。
【０３１３】
その溶液は独立請求項の特有の部分によるものである。たとえば、ピンが適切な材料の表面塗装をたとえば受け取た場合、金属ピンの使用が維持されることがある。ピストンの泡がまた泡ピストンの前にＰＵで作られている場合のＰＵは、まわりに成型された、前記ピンが前記ピストンの泡をとらないようにするために泡に十分に固定するピンより。金属ピンは、磁化することができる鋼製タイプで作られていることがある。ホルダープレート（ピンはそれにピストンロッドにピストンの高圧側からの圧縮力を転送するように設計されている）が磁化されている場合、前記ピンは小さい穴の中に突き刺さっていることがある、前記表面、ほぼ前記ピンの直径のサイズへの深さに関して。前記穴は幾何学的設計を有していることがある。その結果、前記ピンは前記穴の中で回転することができることがある。これらが互いに近くに十分に来たらすぐに、前記ピンは前記ホルダープレートに固定される、その結果、磁力はできる、それは作品である。前記ホルダープレートはｓの小さい厚さを有していてピストンロッドに、直接または間接的にホルダー上でくぎづけになることがある。それはピストンロッド上で組み立てられる。
【０３１４】
別のもの、まだ、ピンのより多くの改良版が、これらが射出成形によってたとえば作られたということであることがある、たとえばＰＵプラスチック（それはピストンの同じタイプの泡（たとえばＰＵ泡）に完全にくっつく）。ここに、ＰＵを裸にしないようにすることに、余分な可能性がある、前記ピンの直径の多くの小さい割引をすることにより、ピンから泡立つ。ピンの懸濁液は以下のように行われることがある。ピンは、球体キャビティを有していて、ホルダープレートの中で滑らかに押すことができる、球体形の端を有していることがある、その結果球体端が前記球体キャビティで回転することがある。ピンは有していることがある、１つの、ある、あらかじめ装填すること、その結果、ピストンが移動している時、泡は広げられる、から、１つの、明確には低温のチャンバーの１つの〈ステファン数〉縦位置への２”。これは、前記ピンの球体端に小さい応力中心距離を与えることにより行われることがある。それは柔軟性材料（たとえばゴム）のプレートに突き刺さっている。ピストンがチャンバーの１つの〈ステファン数〉縦位置にある場合、生産角度は、前記ピストンの最も広い角度よりもしたがってある。
【０３１５】
１９６６０の発明の要約。
【０３１６】
ＥＰ  １  １７９１４０  Ｂｌショー、膨張式のコンテナーピストン式、一方、このピストン式が有しているべきＥＰ  １  ３８４  ００４  Ｂｌショー、無強勢の生産サイズ、ここで、第一から第二の縦位置へ移動する場合、ピストンがｊａｒｒｉｍｉｎｇしている細長いチャンバーの第２の縦位置のその円周は、回避するようにほぼチャンバーの１つと同じである円周を有しているべきである。
【０３１７】
第二から第一の縦位置に移動された時、ピストンは拡大している。そのような希望の振る舞いのための強化材がそうであることがあるＥＰ  １  ３８４  ００４  Ｂｌショー、強化材ストリングが置いているところで、層、無強勢のプロダクションモデルおよびこれらのストリングにおいて互いに加えて並列、他方が滑っている場合がある一方、２つの端部分（一つはそれにピストンロッドに装着される）を接続している、ピストンロッドゴムは、両端上で直接硫黄で処理される。強化材層は内層である、一方、別のもの、強化材付帯条件を備えた層よりも厚い層は前記強化材層を保護している。両方の層は互いの上で硫黄で処理されている。また、端部分では、２つの上に別の余分な層があることがある。第２の層の機能は付加的にそれを回避することである、強化材ストリングはそうである」突き刺さること」外側層からそのために、作ること、１つの、ｓｅａｌｉｎｇｌｙに、チャンバーの壁との接触、不可能なしかしながら、のための、１つの、愛想よく、接触はこれである、ちょうど素晴らしい強化材層の上に第２の層を有していることは素晴らしく働くことである、の中で、実行する、また、それは示した、ピストンロッド上の力が一定のところで、３３０％の近くで拡大するのにポンプ（１９６２０を参照）のチャンバーでたとえば可能である、から、１つの、０１７ｍｍ（２つの〈ｎｄ〉縦位置）に、１つの  ５９ｍｍ（１つの〈ステファン数〉縦位置）。互いにオーバーラップするための非常に小さい角度を備えた互いの上の２つの強化材層で、そしての上で、上面、上記、言及された」第二」層はコンテナーをより強くする、しかし、可能な膨張ははるかに３３０％より少ない。
【０３１８】
層ゴムのゴムのタイプは異なることがある。しかし、そのゴムはそのように互換性のあるべきである、これらは得ずに、互いの上で硫黄で処理することができる、正常な使用条件の下で互いから失う。
【０３１９】
ｅｌｌｉｐｓｏｉｄｅ型容器タイプピストンが完全にその球体形に拡大していた時、分裂する機会がまさに本それだったことは言われた、なぜ設計がであることがあるかである、変化させる、その結果ピストンの長さ、として、無強勢のプロダクションモデル、チャンバー設計などの、他の可変を不変のしたがって維持することにより、増加させられる、球体形は到達しないことがある、そしてどちらもない、３３０％まで膨張、ほとんど形になったｅｌｌｉｐｓｏｉｄｅだけ、１つの、球体これはピストンを信頼できるようにする、強化材を備えた１つの層でさえ。
【０３２０】
無強勢の生産状態のコンテナーの形は、また、第二の縦位置のチャンバーの壁が中心軸と平行ではないので、コンテナーの壁が中心軸と平行なではなくチャンバーの壁と平行であるということであるということであることがある。単なるチャンバーの壁は、前記無強勢の生産状態のコンテナーの壁がない。
【０３２１】
アクチュエータピストンの機能についての１９６６０−１．２の最新版
アクチュエータピストンはコンテナーを備えていている、コンテナーがキャビティのまわりの壁を備えていている、前記キャビティは膨張式で、流動性のおよび／またはによって加圧されることがある、泡を備えていることがある、１番目および第二の縦位置に、および実質的に連続的に異なる断面積および異なる円周長さの断面を有しているチャンバーで加圧された時、２〈ｎｄ〉からチャンバーの１つ〈ステファン数〉縦位置へコンテナーが移動している、中間縦通材位置での異なる断面積および円周長さ、の間で１番目、および第二の縦位置（前記チャンバーの壁の前記アクチュエータピストンの前記コンテナーの壁の滑りのため、前記第一の縦位置での断面積および円周長さよりも小さい前記第二の縦位置での断面積および円周長さ）。
【０３２２】
これは、また１番目および第二の縦位置、および中間縦通材位置に異なる断面積および等しい円周長さの断面を有しているチャンバーのための場合であることがある。
【０３２３】
ピストンの前記壁は好ましくはすることがある、端キャブ（可動で、非可動もの）間のチャンバーの長手方向での対称的な形を有していること、横断線中心軸のまわりで、そこで、異なる断面積および異なる円周長さの長手断面を少なくとも実質的に連続的に有している個々の対称的な部分の半分、前記横断線中心軸と端キャブの間の中間縦通材位置での異なる断面積および円周長さ。
【０３２４】
前記円周長さが等しい場合、これはまたそうであることがある。
【０３２５】
アクチュエータピストンの前記コンテナーの壁の強化材層を有していることは、前記壁の外側を滑らかで、好ましくは凸状にする、前記コンテナーのキャビティの内部から加圧された時形状。これは、小さいコンタクト域に前記チャンバーの壁を供給する。前記コンテナーの壁の膨張力は垂直であると指示される、前記チャンバーの壁の表面。ｔ／Ｒ比（長手の横断面の断面、アクチュエータピストンのｔ＝壁厚のＲ＝横断線半径）に依存して、膨張力は、アクチュエータピストンのキャビティの内側の圧力よりもはるかに大きいことがある、明確には、いつ、ｔ  Ｒ「前記アクチュエータピストンが２〈ｎｄ〉から１つの〈ステファン数〉縦位置へ方向に前記チャンバーの中心軸を備えた正の角を有しているチャンバーの壁に位置している場合、コンタクト域（壁チャンバーコンテナー）の１つの〈ステファン数〉縦位置部分に最も近い最終の位置上にチャンバーの１つの〈ステファン数〉縦位置に最も近いチャンバー位置上に反力がないので、非対称性が前記チャンバーの壁からの反力の中で発生する。また、結果は、壁の反応ｆｏｃｅｓが等しいまで、これらの位置での前記コンテナーの壁が前記チャンバーの壁の方へ曲がるということである、膨張力、彼、囲む、前記、コンテナーアクチュエータピストンの前記ｃｏｎａｔｉｎｅｒの壁は、前記チャンバーの壁を転がしている。この圧延は、前記コンテナーの壁および前記チャンバーの壁のコンタクト域の接触高さを増している。したがって、ここで摩擦力は増加する。アクチュエータピストンのコンテナーの壁の前記膨張は、前記コンテナーの壁の内側の小さい圧力降下を引き起こしている、いつ、密閉空間のボリューム、再度不具にする、一定、前記ピストンの壁の膨張力が減少させている圧力降下が引き起こす、したがってまた、摩擦推力。１つの〈ステファン数〉縦位置の前記アクチュエータピストンの傾向が生じることがある（滑動）。これは低減することがある、２つの〈ｎｄ〉縦位置に最も近いコンテナーの前記壁の部分が、その円周、およびしたがってまた２つの〈ｎｄ〉縦位置に最も近いコンタクト域のそれを低減することがあるので、接触高さは言った。前記チャンバーの壁と前記コンテナーの壁の間の潤滑のため、推進力は摩擦推力を言ったよりもさらに大きい。また、力の前記非対称性が再びその後生じるまで、アクチュエータピストンは第一の縦位置の近くの新しいチャンバー位置の方にこっそり動く、サイクルは再びスタートすることがある。それは増加（＝圧延）への能力である、コンテナーの係合する壁およびチャンバーの壁の長手断面中の接触高さ、既存の高さの即時の継続の中でそのために高さを作ること、より大きい、それはアクチュエータピストンの振る舞いのメインの理由である。そうする手段はそうであることがある、のための、たとえば楕円面の形状のアクチュエータピストン：
―  本である場合、強化材の方向がチャンバーの中心軸とほぼ平行な長手方向でである、曲げることができる強化材層、横断線方向のほとんど強化材のない、無；
―  好ましくは横断線の対称的な軸のまわりのコンテナーの対称的な壁；
アクチュエータピストンの壁の−ａ平滑表面、少なくとも、そして近くであるまで連続的に、コンテナーの壁よりもチャンバーの壁を備えたそのコンタクト域は、内圧の下でチャンバーの壁とコンテナーの壁の間に、第一の縦位置に最も近いコンタクト域の最終の円周から外に曲がる、またチャンバーの壁にそのために達して接触面エリアを増加させること、そして；
第二の縦位置の近くのコンテナーの壁はその後する、の下で、前記、曲がること、チャンバーの壁から撤回する；
その後、コンテナーの壁とチャンバーの壁の間の接触面エリアは再び減少している。アクチュエータピストンはランニングをやめる、の方へ、１つの、私〈ｓ〉縦位置、いつ、そこに、チャンバーの壁へのアクチュエータピストンのコンテナーの壁を押すべき十分な内圧でないことがある、その結果、周辺の漏れが生じる。これは、１Ｂａｒ過剰圧力の共通の境界が存在する時、この特許出願の断面１９６２０に示されるチャンバーの場合にはたとえば起こることがある、の中で、チャンバーこれは「躊躇振る舞い」として開示された説明においてより早い。
【０３２６】
の中で、振る舞いを実行する、見られる、アクチュエータピストンのコンテナー、それに可動キャブは位置する、最も近い、アクチュエータピストンのキャビティの内側の圧力が全く低い場合、１つの〈ステファン数〉縦位置はｓｔｅｐｗａｒｄｓｌｙに移動している。
【０３２７】
理由はそれであることがある、前記アクチュエータピストンの壁の膨張は、また付加的に、２〈ｎｄ〉から１つの〈ステファン数〉縦位置へ移動する場合、内圧のためコンテナーの壁の膨張に加えて、１つの〈ステファン数〉縦位置の最も近くのチャンバーの壁への前記アクチュエータピストンの壁のコンタクト域をしたがって強要しており、摩擦推力を増加させる。
【０３２８】
非可動キャブが位置した場合、最も近い、１つの〈ステファン数〉縦位置、したがって」前方に」移動の方向のコンテナーに、圧力さえ低い、その移動は滑らかにある。
【０３２９】
理由は、コンテナーの壁の膨張の余分な力が、摩擦推力を超過する、低減された膨張力および否定を増すことがあるということであることがある。したがって：ピストンの壁は可撓な強化された材料で作られている、密閉空間を介して圧力源によって加圧された、前記ピストンウォールの滑らかな外側表面を招いている、またそれによって、前記ピストンの長手断面の中でコンタクト域の高さを周辺に提供すること、チャンバーの前記ピストンウォールと壁の間で、高さは言った、第２と第１縦位置間の中間縦通材位置でのピストンの移動の間のサイズの中で変わっている。この滑動はすることがある、前記チャンバーの壁と共に前記アクチュエータピストンの壁のいくつかの異なるコンタクト域一帯に行われた。前記コンテナーの壁が凸状であるので、これは可能である、形状、可撓で、いくつかの異なるエリアは互いの継続の中で位置している。
【０３３０】
［１９６６０−２の膨張式のピストン強さおよび硬度］
タイプの膨張式のピストン、ここで、ｅｌｌｉｐｓｏｉ〈’チャンバーの２つの〈ｎｄ〉縦位置でのｄｅは拡大したｅｌｌｉｐｓｏｉになっている〉「〉ｄｅ／球体（ほとんど）は円筒形容器に小さい壁厚と比較することができる（強さと硬質に関して）。それは内圧の下にある。
【０３３１】
たが応力ＯＨは、シリンダーの壁を拡張している。一般に前記たが応力ＯＨ  ＩＳのサイズ、ほぼ前記シリンダー中の内圧のサイズｌＯｘ。これは理由である、なぜ、１つの、アクチュエータピストンは、既に低い内圧で１つの〈ステファン数〉にこの特許出願のシリンダーの一致する断面１９６２０中の縦位置を打ち上げている。
【０３３２】
たが応力０Ｈのサイズは、ピストンの縦位置に依存する、チャンバーの、および数の上のサイズ、１つの強化材層およびａ強化材層のための
−２の〈ｎｄ〉縦位置／１７ｍｍ：ほぼ内部ものがピストンの中で圧力を加える３ｘである；
−１の〈ステファン数〉縦位置／５８ｍｍ：ほぼ３、内部ものがピストンの中で圧力を加える８ｘである。タイプの膨張式のピストン、チャンバーの２つの〈ｎｄ〉縦位置の球体が、拡大した球体になっているところで、小さい厚さと共に、球体船舶と比較することができる（強さと硬質に関して）、それは内圧の下にある。
【０３３３】
適用する球面応力ｏｓ〈３〉は、筒状シリンダーの縦応力ＯＬと比較することができる。それはたが応力ＯＨのサイズの半分である。これは、円形チャンバーの球体ピストンがｅｌｌｉｐｓｏｉｄｅのその推進力の半分を与えることがあることを意味する。したがって、１本を超える球体ピストンは比較可能なトルクを有していている間、モーターのサイズを低減するために円形チャンバーにおいて入手可能なことがある。
【０３３４】
したがって：アクチュエータピストンの壁を拡張するストレスは、関係の中で、アクチュエータピストンの壁の厚さｔに依存している、アクチュエータピストンの横断線半径ＲはＣｘ＝［１−ｔ／Ｒ］である、アクチュエータピストン中の圧力の時間を計る。Ｒがチャンバーの横断線半径に依存することがあるので、Ｃｘは、別のものへのアクチュエータピストンの異なるフォーム１長手ｐｉｓｉｔｉｏｎであることがある。これはエネルギー、およびどれだけ壁の斜面に依存しているかを節約していることがある、の
＜１＞［ｓｉｇｍａ］［Ｅｔａ］＝ｐＲ／ｔ  ｐ＝内圧、Ｒ＝［１／２］シリンダー、シリンダーのｔ＝壁厚の直径。
【０３３５】
＜２＞  エンジニアリング・システム、フレデリックＡレキー、ドミニクＪ．Ｄａｌｂｅｌｌｏ、迫受石、２００９年の強さおよび硬質
ＩＳＢＮ：９７８−０−３３７−４９４７３−９
＜３＞  ｏｓ、ｐＲ／２ｔ  ｐ＝内圧、Ｒ＝［１／２］球体、球体のｔ＝壁厚の直径。
【０３３６】
チャンバー、アクチュエータピストンの推進力がアクチュエーターｘの壁の膨張力であるので、その長手中心軸を備えたチャンバーの壁の間の角度の罪。より大きな前述の角度はより大きい、推進力である。
【０３３７】
一例として：我々は見つけ出す、モーターの大きさ、ゴルフＭＫ  ＩＩのためのガソリンモーターの置換として、φ８１ｍｍのシリンダー、ストローク長７７，４ｍｍ、およびどれが９〜１０バール間に動作しているかを有している。
【０３３８】
チャンバーの傾斜が選ばれる：α＝１０°、したがってｓｉｎ１０°＝０，１７４、我々は、１ｓｔの縦位置で、シリンダーφ＝を８１ｍｍ維持している、２ｎｄの縦位置およびアクチュエータピストンの壁厚でのφ５３，７ｍｍ：１ｓｔＬＰ＝２，２５バールの２ｎｄＬＰ＝１０  Ｂａｒの３．５ｍｍ−圧力。
【数２１】
2014527601.tif 000023
【０３３９】
結論：この発明（それは現在のガソリンモーターのサイズをほぼ有している）によってモーターを使用することは可能である。
【０３４０】
［１９６８０−２−ポンプピストンはコンテナーを備えていている。］
この断面の目標はコンテナータイプピストンを開発することである。前記ピストンの円周が２つの〈ｎｄ〉縦位置の円周のその生産サイズを有していているところで、ＷＯ２００２／０７７４５７に開示された原理を使用している間、それはポンプの中で使用されてもよい。それは、最初の縦位置へ、および後ろに移動するための２つの〈ｎｄ〉縦位置から膨張式のコンテナータイプピストンが膨張されることになっていることを意味する。しかしながら、それは経験である、旅行：ローリング滑る圧延など、２〈ｎｄ〉から（もっぱら前記ピストンの内圧によって行われる、有していること、１つの、前記ピストン、前記ピストンの横断線中心線の下で位置する前記チャンバーの壁を備えたコンタクト域および１つの〈ステファン数〉縦位置に近い可動キャブの壁の外部で連続的で、非可動キャブは２つの〈ｎｄ〉縦位置に接近している。）１つの〈ステファン数〉縦位置まで
経験は、前記チャンバーの壁が前記チャンバーの中心軸と平行な場合、自己を推進する能力は機能が不足しているということである。したがって、ポンプの中でピストンを使用するために、ｓｅｌｆｐｒｏｐｅｌｌｉｎｇする運動はするべきである、チャンバーの壁の上の前記ピストンの壁の「回転」が回避されるべきである。これは前記ピストンの外部の壁の停止によって行われることがある。
【０３４１】
自航式アクチュエータピストンの生成、１つの「ローリング滑る圧延など、前記円錐形のチャンバーの壁の上の前記ピストンの壁の」それが汲む力の反対方向で推進力を生成するので、回避されるべきである。そうするために、前記チャンバーの壁と前記ピストンの壁の間のコンタクト域は、前記ピストンの壁の一定領域に制限されることがある（「連続的で、軽蔑する」）。また、それは少なくとも２つの方法で行われることがある：コンタクト域は壁の別部品であることがある、前記、ピストンそれはそれをもっと拡張することがある、前記ピストンの壁の残り；―  第２の縦位置に近い前記ピストンの部分は、前記コンタクト域よりも横断線断面の小さい円周を有していることがある。膨張式のコンテナータイプピストン（この特許出願の、断面１９６６０、２０７および６５３を参照）の壁のたが応力は、前記壁の円周の膨張を引き起こしており、内部過剰圧力によって自航式になるべきアクチュエータピストンの源である。
【０３４２】
したがって、たが応力は言った、前記ピストンが１つの〈ステファン数〉から２つの〈ｎｄ〉縦位置へ押される場合、チャンバー壁への、およびしたがって同時に前記ピストンのシーリング能力への大きな衝撃は、大きくて群がるべき能力である。特定のＲ／ｔ比（小さい壁厚（それは強化材層（ｓ）を有していている層である）への比較での大きな半径は、の内側の圧力よりもはるかに高いたが応力である。）のため考えられた第一は、「したがって」それであることがある、だろう、前記ピストンの内側のガス状媒体の圧力、チャンバー（そこでは前記ピストンは位置している）の媒体の圧力に関して、低い、そしてそれは前記ピストンによって圧縮される。しかしながら、ピストンは、汲まれる媒体のどんな圧力でも密閉しなければならない。
【０３４３】
同時に、それが手によって膨張した（Ｎ２などの圧縮可能な媒体で）ピストン（前記断面の中で示されるものを与えて）を押すのに不可能なためにこの特許出願の断面１９５９７に示されるチャンバーで、示しており、前記第一の縦位置から第二の縦位置へ第一の縦位置でピストンが１−１の［１／２］棒（絶対的）過剰圧力（気圧上の）を有している圧縮可能な媒体を備えていているので、前記ピストンの壁を拡張するべき前記媒体は好ましくは次のとおりであることがある：気体−ｅ．ｇなどの圧縮可能な媒体のそれと異なる。（開放構造それ）よりよいより、泡はするだろう、それさえその穴に流体を包含していることがある、いつ、泡、有していること、１つの、泡が開放構造前記泡を有していることは望ましい、好ましくは低い超過圧力（たとえば１Ｂａｒ）で第一の縦位置での気圧に必要に応じてあるに違いない。泡、そして好ましくは、媒体は言わなかった、前記ピストンの壁を拡張しているべきである、必要に応じてそこで前記２つの係数、圧縮可能な非圧縮可能な媒体（たとえば水などの液体）などの媒体と異なるおよび／またはおよび密閉空間（たとえば中空ピストンロッド）と中へ通信することの組み合わせであることがある、どれ、媒体（それは前記コンテナーから前記泡からしたがって絞り取られる）、前記ピストンが内圧の急激な上昇を回避するために前記密閉空間（たとえば、ＷＯ２０１０／０９４３１７または断面２０７、および／または６５３）への第一から第二の縦位置へ移動している場合、前記泡が前記ピストンの壁によって圧縮される場合、そしてそのために、可能な妨害。
【０３４４】
作り出さないようにするための代替解決策、自航式アクチュエータピストンは、膨張式のピストンを使用する場合、ピストンが壁を有していることがあるということである、なしで、強化された部分で、それによって、前記、強化材は最小のことがある、どれでも単に回避すること、法外、膨張した時ピストンの壁を呑み込むことおよび泡（好ましくは開放蓄電池泡）開放蓄電池は流体を好ましくは包含していることがある、ガス状媒体、必要に応じて、液体または液体とガス状媒体の組み合わせ。ピストンがその第一の縦位置にある場合、前記泡はピストンの中に差し込まれることがある。また、前記ピストンの壁は愛想よくチャンバーの壁にｓｅａｌｉｎｇｌｙに接続されたおよび／またはである。その結果、作製された時、前記ピストンの壁がそれよりも小さい壁厚と共にテンションにある場合、それは前記ピストンの最も大きなボリュームを充填している（第２の縦位置で）。泡は、高いオーダー（たとえば、５：１、断面および／ｏｒ  １９６８０  １９６６０のピストンを使用する場合）に圧縮可能なことができることがある、その結果、開放蓄電池にほとんどすべてのところで、第二の縦位置にある場合、ピストンはより濃厚な泡で充填されることがある、それから、第二の縦位置に前記泡の内側の媒体を移動させることが、前記ピストンからピストンロッドへ閉じられたいつたとえば移されることがあるかだった。前記ピストンロッドの内側の高圧にビルディングを回避するために、だろう、ピストンロッド、可動ピストンを有している、それは、開放蓄電池（第二の縦位置にない場合）中の媒体のボリュームを低減している。この高圧は、アクチュエータピストンになり、第一から第二の縦位置へ移動する場合に群がるピストンに引き起こす。結果は、単なるポンプストローク中の、それ自体を移動させることのない、および柔軟性材料（たとえばゴム）で作られていた前記ピストンの壁を押し込むことのないチャンバーの壁への十分なシール力と、サイズ（また付加的に変わっていることがある、形づくる）を変化させているピストンであることがある、作る、ピストンは言った、ポンプのための信頼できるピストン。
【０３４５】
泡を備えている前記コンテナーピストンの生産は以下のとおりである：２つの〈ｎｄ〉縦位置にある場合、前記コンテナーピストンの壁が作製される。その後、縦位置可動キャブが別のキャブの方へ移動させている１つの〈ステファン数〉にある場合、流体は前記コンテナーのキャビティに導入される。また、コンテナーの壁が下げられる。それから、可動キャップの位置はその後固着されている、流体はキャビティから放される。泡混合は今導入される。また、前記ｃｏｎｔｉａｎｅｒのキャビティはクローズドである。硬化後は削除された可動キャップの取付け具である。それから、収縮が開放蓄電池を備えていて、前記泡の性質のため前記コンテナーの壁に生じることがある。この収縮は補われることがある、１つの、非常に小さい、前記開放蓄電池中の、または前記泡の中心内に位置して、不浸透性の可撓な壁の内の別のキャビティを有していることによる媒体の圧力を増加して、前記キャビティは膨張することがある、そしてそれから、それはそのもとは計画された位置へ壁を得るために前記コンテナーピストンの壁への泡を押す。
【０３４６】
ピストンの個別の壁部品はそうである」外に突き出すこと」壁の、ピストンそれはより大きな円周をそのために有している、近くの壁の残り、前記ピストンの壁から別部品までの円周の遷移が、多かれ少なかれ不意にあるか歩んだ間。
【０３４７】
前記チャンバーの壁を備えた前記別部品のコンタクト域は、小さいこれであることがある、別部品（たとえば円セグメント）の正しい形を選ぶことにより行われることがある。そこでは前記セグメントの上面はチャンバーの壁との接触を有していている。
【０３４８】
２０７  発明の要約。
【０３４９】
一般的に、チャンバーの組み合わせの新しい設計およびピストン、のための、たとえば、ポンプは次のことを保証しなければならない、動作するために加えられるべき力、全ポンプ運転の間のポンプは使用者によって快適なこととして感じられるように十分に低い、ストロークの長さは特に女性とティーンエイジャーのために、適切である。汲む時間は延長されない。また、ポンプは、信頼できて、保全時間がほとんどないコンポーネントのｎｉｉｎｉｍｕｍを有している。
【０３５０】
第一の側面では、本発明はピストンとチャンバーの組み合わせに関する、そこで：チャンバーは、縦の軸を有している細長いチャンバーを定義する；
それの第一の縦位置、それの第一の断面積およびそれの第二の縦位置で第二の断面積の有していているチャンバー、９５％である第２の断面積または第一の断面積（１番目と２番目縦位置間で少なくとも、実質的に連続的チャンバーの断面の変化）のより少ない数量；
第一からチャンバーの第２の縦位置へ移動する場合にチャンバーの断面に順応するのに適したピストン。
【０３５１】
本文脈では、断面は、縦の軸に好ましくは垂直に行なわれる。
【０３５２】
また、事実のため、ピストンが１番目と第二の縦位置の間の移動の間にチャンバーの内壁に対して密閉することができるために、チャンバーの断面の変化が好ましくは少なくとも実質的にある、連続的すなわち、内壁の長手断面中の急激な変化なしで。
【０３５３】
本文脈では、チャンバーの断面積は、それの選択された断面中の潜在意識の断面積である。
【０３５４】
したがって、下記において明らかになるので、内側チャンバーのエリアが変わるという事実は、多数の状態に実際に組み合わせを合わせる可能性を引き起こす。
【０３５５】
ある好適な実施形態では、組み合わせはポンプとして使用される、ピストンの移動は空気を圧縮してそれによってに詰め込むか。また、バルブを通ってこれを出力したか、たとえばタイヤ。ピストン、およびバルブの反対側に対する圧力のエリアは、バルブを通って空気の流れを提供するために必要力を決定する。したがって、必要とされた力の適応物は起こることがある。また、提供される空気のボリュームは、ピストンのエリアに依存する。しかしながら、大気を圧縮するために、ピストンの第一の並進移動は比較的容易に（圧力は比較的低い）なる、それによってこれは大きいエリアでおこなわれることがある。したがって、全く、大量の空気はある長さの一行程の間中所定圧力で提供されることがある。
【０３５６】
当然、そのエリアの実際の低減は、質問で力のほかに組み合わせの意図した使用に依存することがある。
【０３５７】
好ましくは、第２の断面積は第一の断面積の９５−７０％などの、９５−１５％である。ある状態で、第２の断面積は第一の断面積のほぼ５０％である。多数の異なるテクノロジーはこの組み合わせを実現するために使用されてもよい。これらのテクノロジーは、本発明の次の側面に関してさらに説明される。
【０３５８】
そのような１つのテクノロジーはピストンが次のものを備えているものである：
共通の部材に回転自在に固定された複数の少なくとも、実質的に堅い支持体部材；
―  チャンバーの内壁に対して密閉するための支持部材、１０の［度］の間で回転可能な支持体部材、および縦の軸に対して４０の［度］に支持された弾力的に変形可能な手段。その状態で、共通の部材は、方向に、チャンバーで、オペレーターによる使用のためのハンドル、および支持体部材がどこで延びるかにハンドルから比較的遠ざけて付けられることがある。
【０３５９】
好ましくは、支持体部材は少なくとも縦の軸とほぼ平行なように回転可能である。
【０３６０】
また、組み合わせは、チャンバーの内壁に対する支持体部材にバイアスをかけるための手段をさらに備えていることがある。
【０３６１】
別のテクノロジーは、ピストンが変形可能材料を備えている弾力的に変形可能なコンテナーを備えているものである。その状態で、変形可能材料は、流体または水、スチーム、および／または気体または泡などの流体の混合物であることがある。
【０３６２】
また、長手方向を介して断面では、コンテナーは、第２の長手方向で第一の長手方向の第一の形および第二の形を有していることがある、第２とは異なっている第一の形、形づくる。
【０３６３】
それから、少なくとも変形可能材料の一部は圧縮可能なことがある、そして、第一のものはどこで形づくるか、第２のエリアよりも大きいエリアを有している、形づくる。
【０３６４】
一方、変形可能材料は少なくとも、実質的に圧縮不可能なことがある。
【０３６５】
ピストンは、変形可能なコンテナー（可変ボリュームを有している密閉空間）と通信する密閉空間を備えていることがある。ボリュームはオペレーターによって変えられることがある。また、それはスプリングを偏見的であるピストンを備えていることがある。
【０３６６】
しかし、別のテクノロジーは１である、そこでは第一の横断面形状は、第２の横断面形状（１番目と２番目縦位置間で少なくとも、実質的に連続的チャンバーの横断面形状の変化）とは異なる。
【０３６７】
その状態で、第一の断面積は、少なくとも６０％、好ましくは少なくとも７０％などの、少なくとも４０％、好ましくは少なくとも５０％などの、少なくとも２０％、好ましくは少なくとも３０％などの、好ましくは少なくとも１０％少なくとも５％であることがある、少なくとも８０などの、などの、第２の断面積よりも少なくとも９０％大きい
また、第一の横断面形状は少なくとも、実質的に円形ことがある、そして、そこでは第２の横断面形状は、第一のディメンションへの角度で少なくとも３などの、好ましくは１ディメンション当たり少なくとも４回少なくとも２である第一のディメンションを有している競技場などの細長い。
【０３６８】
さらに、第一の横断面形状は少なくとも、実質的に円形ことがある、そして、第２の横断面形状はどこで少なくとも実質的に２以上を備えているか、細長い、などの、ローブ形である、部分。
【０３６９】
また、第一の縦位置での断面では、チャンバーの第一の円周は、８５−１１５％などの、好ましくは８０−１２０％であることがある、９０−１１０、９５−１０５などの好ましくは、第２の長手方向の断面中のチャンバーの第二の円周の９８−１０２％。好ましくは、第一および第二の円周は少なくとも、実質的に同一である。オプション追加テクノロジーはピストンが次のものを備えているものである：
弾力的に第一からチャンバーの第２の縦位置へ移動する場合にチャンバーの断面に順応するのに適した変形可能材料、そして
−ａは、縦の軸（長手方向で弾力的に変形可能材料を支持するように弾力的に変形可能材料に近くに位置しているスプリング）に沿って中心軸を少なくとも実質的に有している板ばねを巻いた。
【０３７０】
その状態で、ピストンは促進することがある、弾力的に変形可能材料とスプリングの間で位置した手段を支持して、水平な多数のを備えている、支持はスプリングと弾力的に変形可能材料の間でインタフェースに沿って回転可能なことを意味する。
【０３７１】
その、支持は意味する、第一の位置では、それの外側境界が第一の断面積内に備えていられることがある場合に、および第２の位置では、それの外側境界が第２の断面積内に備えていられることがある場合に、第一の位置から第二の位置へ回転するのに適したことがある。
【０３７２】
直ちに、側面、本発明はピストンとチャンバーの組み合わせに関する、そこで：チャンバーは、それの第一の縦位置、それの第一の断面積、およびそれの第二の縦位置で第二の断面積（第２の断面積よりも大きい第一の断面積）で、縦の軸（有していているチャンバー）を有している細長いチャンバーを定義する、１番目と２番目縦位置間で少なくとも、実質的に連続的チャンバーの断面の変化、第一からチャンバーの第２の縦位置へ移動する場合にチャンバーの断面に順応するのに適したピストン、ピストンを備えていること：共通の部材に回転自在に固定された複数の少なくとも、実質的に堅い支持体部材；
チャンバーの内壁に対して縦の軸に対して、１０の［度］と４０の［度］の間で回転可能な支持体部材を密閉することのための支持部材に支持された弾力的に変形可能な手段。好ましい１つの実施形態はピストンが傘の全面的な形を有しているものである。
【０３７３】
好ましくは、共通の部材は、方向に、チャンバーで、組み合わせがポンプとしていつ使用されるか、また、支持体部材がどこで延びるかなどのオペレーターによって使用のためのハンドルにハンドルから比較的遠ざけて付けられている。これは利点を持つ、チャンバーの中にハンドルを強要することにより圧力を増加させるそれは、単に強要する、支持は意味する、そしてその、密閉は壁に対して意味する、チャンバーしたがってシーリングを増加させること
保証するために、またストロークの後に密閉して、組み合わせは、チャンバーの内壁に対する支持体部材にバイアスをかけるための手段を好ましくは備えている。
【０３７４】
第三の側面では、本発明はピストンとチャンバーの組み合わせに関する、そこで：チャンバーは、縦の軸を有している細長いチャンバーを定義する、それの第一の縦位置、それの第一の断面積およびそれの第二の縦位置で第二の断面積の有していている、チャンバー、第２の断面積よりも大きい第一の断面積、１番目と２番目縦位置間で少なくとも、実質的に連続的チャンバーの断面の変化、チャンバーの第２の縦位置に変形可能材料を備えている弾力的に変形可能なコンテナーを備えているピストンを移動させる場合にチャンバーの断面に順応するのに適したピストン。
【０３７５】
したがって、弾力的に変形可能なコンテナーの提供によって、エリアおよび／または形の変化は提供されることがある。当然、このコンテナーは、ピストンがチャンバーで移動される場合に、それがピストンの剰余に続くためにピストンに十分に固定されるべきである。変形可能材料は、流体または水などの流体、スチームあるいはおよび／または気体の混合物かまたは泡立つことがある。この材料、またはそれの部分は気体または水と気体の混合物などの、圧縮可能なことがある。あるいは、それは少なくとも、実質的に圧縮不可能なことがある。
【０３７６】
断面積が変わる場合、コンテナーのボリュームは変わることがある。したがって、長手方向を介して断面では、コンテナーは、第２の長手方向で第一の長手方向の第一の形および第二の形を有していることがある、第２とは異なっている第一の形、形づくる。１つの状態で、少なくとも変形可能材料の一部は圧縮可能である。また、第一のものは形づくる、第２のエリアよりも大きいエリアを有している、形づくる。その状態（コンテナー変更（それによって流体は圧縮可能であるべきである）の全面的なボリューム）で。一方または必要に応じて、ピストンは、変形可能なコンテナー（可変ボリュームを有している密閉空間）と通信する第二の密閉空間を備えていることがある。そのように、変形可能なコンテナーがボリュームを変化させる場合、その密閉空間は流体を行なうことがある。第２のコンテナーのボリュームはオペレーターによって変えられることがある。そのように、コンテナーの全面的な圧力または最大／最低圧力は変更されることがある。また、第２の密閉空間はスプリングを偏見的であるピストンを備えていることがある。
【０３７７】
それは密閉空間の流体の圧力がピストンとコンテナーの第２の縦位置の間の流体の圧力に関するように、密閉空間のボリュームを定義するための手段を提供すると好まれることがある。このように、変形可能なコンテナーの圧力は適切なシーリングを得るために変えられることがある。
【０３７８】
単純な方式は、ピストンとコンテナーの第２の縦位置の間の圧力と実質的に同一の密閉空間の中で圧力を定義するのに適した、定義する手段を有していることである。この状態で、２つの圧力間の単純なピストンは提供されることがある（変形可能なコンテナー中の流体のうちのどれも解かないこと）。
【０３７９】
実際、このピストンの使用は、ピストンが翻訳する密閉空間が組み合わせのメインのチャンバーと同じ方式で先細になることがあるの中で圧力のどんな関係も定義することがある。
【０３８０】
チャンバー壁に対する摩擦および形／ディメンション変更の両方に耐えるために、コンテナーは、弾力的に繊維施行などの変形可能材料備えている施行手段を備えていることがある。
【０３８１】
コンテナーとチャンバー壁の間の適切なシーリングを達成するおよび維持するために、コンテナー中の流体によって生成された圧力などの内圧が、第一の縦位置から第２の縦位置へ、または逆もまた同様ピストンの並進移動の間中周囲の大気の最も高圧力よりも高いことは好まれる。
【０３８２】
まだ別の側面では、本発明はピストンとチャンバーの組み合わせに関する、そこで：チャンバーは、それの第一の縦位置、それの第一の横断面形状およびエリア、および第２の横断面形状とは異なっているそれの第二の縦位置、第二の横断面形状およびエリアで第一の横断面形状で、縦の軸（有していているチャンバー）を有している細長いチャンバー（１番目と２番目縦位置間で少なくとも、実質的に連続的チャンバーの横断面形状の変化）を定義する；
第一からチャンバーの第２の縦位置へ移動する場合にチャンバーの断面に順応するのに適したピストン。
【０３８３】
この非常に面白い側面はそれほど異なる事実に基づく、形、たとえば、幾何学的図形、円周とそれのエリアの変わる関係を有している。また、２の間に変わることは形づくる、チャンバーがチャンバーで表面の好ましい滑らかな変化を維持する間に第二の縦位置でそれの１つの縦位置での１つの横断面形状および別の横断面形状を有しているように、連続的方式で起こることがある。
【０３８４】
本文脈では、断面の形はそれのサイズそれのにもかかわらず全面的な形である。たとえ１つが他方のそれと異なる直径を有していても、２つの円が同じことを形づくさせる。
【０３８５】
好ましくは、第一の断面積は、少なくとも６０％、好ましくは少なくとも７０％などの、少なくとも４０％、好ましくは少なくとも５０％などの、少なくとも２０％、好ましくは少なくとも３０％などの、好ましくは少なくとも１０％少なくとも５％である、少なくとも８０などの、などの、第２の断面積よりも少なくとも９０％大きい
ある好適な実施形態では、第一の横断面形状は少なくとも、実質的に円形である、そして、そこでは第２の横断面形状は、第一のディメンションへの角度で少なくとも３などの、好ましくは１ディメンション当たり少なくとも４回少なくとも２である第一のディメンションを有している楕円形などの細長い。
【０３８６】
別の好ましい実施形態では、第一の横断面形状は少なくとも、実質的に円形である、そして、第２の横断面形状はどこで少なくとも実質的に２以上を備えているか、細長い、などの、ローブ形である、部分。
【０３８７】
第一の縦位置での断面では、チャンバーの第一の円周が８５−１１５％などの、好ましくは８０−１２０％である場合、９０−１１０、９５−１０５などの好ましくは、第２の長手方向の断面中のチャンバーの第二の円周の９８−１０２％、多数の利点が見られる。シール材が両方とも提供するべきであるという事実のため変わるディメンションを有している壁に対して密閉することを試みる場合、問題が生じることがある、１つの、十分、密閉、またそのディメンションを変化させる。場合、好ましい実施形態の状態であるように、円周は小さい程度にのみ変わる、シーリングはより容易にコントロールされることがある。好ましくは、シール材が単に任意の重要な程度に向けられ、伸ばされないように、第一および第二の円周は少なくとも、実質的に同一である。
【０３８８】
一方、円周はわずかにシール材を曲げるか変形する時、たとえば、曲げ加工がそれの圧縮されるべき一方の側を引き起こすという点で変わると望まれることがある。また、別のものが伸ばされる。全体として、それは所望形状に少なくともそれに近い円周を供給すると望まれる、どれ、シール材は自動的に「選ぶ。」１つのタイプのピストン（それはこの種の組み合わせの中で使用されることがある）は、次のものを備えているピストンである：
チャンバーの内壁に対して密閉することのための支持部材に支持された、共通の部材（弾力的に変形可能な手段）に回転自在に固定された複数の少なくとも、実質的に堅い支持体部材。
【０３８９】
別のタイプのピストンは、変形可能材料を備えている弾力的に変形可能なコンテナーを備えているピストンである。本発明の別の側面はピストンとチャンバーの組み合わせに関する、そこで：チャンバーは、それの第一の縦位置、それの第一の断面積およびそれの第二の縦位置で第二の断面積で、縦の軸（有していているチャンバー）を有している細長いチャンバー、第２の断面積よりも大きい第一の断面積、１番目の間で少なくとも、実質的に連続的チャンバーの断面の変化および（ピストン）備えている第二の縦位置を定義する：弾力的に第一からチャンバーの第２の縦位置へ移動する場合にチャンバーの断面に順応するのに適した変形可能材料、そして；
−ａは、縦の軸（長手方向で弾力的に変形可能材料を支持するように弾力的に変形可能材料に近くに位置しているスプリング）に沿って中心軸を少なくとも実質的に有している板ばねを巻いた。
【０３９０】
この実施形態は、ピストンとして弾力のある材料の大質量を単に提供する潜在的な問題を解決する。材料が弾力があるという事実は、ピストンの変形の問題を提供する、そして、場合、圧力上昇、材料の弾性のため密閉する不足。必要ディメンション変更が大きい場合、これは特に問題である。本側面では、弾力のある材料は螺旋状板ばねに支持される。コイルばねはスプリングが圧力によって変形されないことをスプリングの材料の平面構造体が保証していることがある一方、チャンバーのエリアに続くために拡張し圧縮されることができる。
【０３９１】
たとえばスプリングと変形可能材料の間のかみ合いのエリアを増加させるために、ピストンは促進することがある、弾力的に変形可能材料とスプリングの間で位置した手段を支持して、水平な多数のを備えている、支持はスプリングと弾力的に変形可能なｍａｔｅｒｉａｌｒの間でインタフェースに沿って回転可能なことを意味する。
【０３９２】
好ましくは、支持は意味する、第一の位置では、それの外側境界が第一の断面積内に備えていられることがある場合に、および第２の位置では、それの外側境界が第２の断面積内に備えていられることがある場合に、第一の位置から第二の位置へ回転するのに適している。
【０３９３】
本発明の別の側面はピストンとチャンバーの組み合わせに関して、１である、そこで：チャンバーは細長いチャンバーを定義する、縦の軸を有していること、ピストン、第一の縦位置から第二のｌｏｎｇｉｍｄｉｎａｌな位置へのチャンバーにおいて可動である、チャンバー、少なくとも１番目と第二の縦位置の間の内側チャンバー壁の一部に沿った弾力的に変形可能な内壁を有していること、チャンバー、有していること、第一の縦位置で、それの、ピストンがその位置に位置する場合、第一の断面積、それの、そして、第二の縦位置で、それの、ピストンがその位置に位置する場合、第二の断面積、第一の断面積、第２の断面積よりも大きい、チャンバーの断面の変化、少なくとも実質的にある、ピストンが１番目と２番目縦位置間で移動される場合、１番目と第二の縦位置の間で連続的。したがって、ピストンがチャンバーの横断面の変更に適合させるところで、組み合わせに代替的に、この側面は適合させる能力を有しているチャンバーへ関する。
【０３９４】
当然、ピストンは作られることがある、１つの、少なくとも、実質的に圧縮不可能、材料あるいは、組み合わせは、上記の側面によるピストンピストンなどの適合させるチャンバーおよび適合させることで作られていることがある。
【０３９５】
好ましくは、ピストンは、縦の軸に沿った断面の中で、方向に先細になる形を有している、から、第２の縦位置へ。
【０３９６】
適合させるチャンバーを提供する好ましい方式はチャンバーに次のものを備えていさせることである：外側支持物および内壁によって定義されたスペースによって保持された内壁と流体を取り囲む外側支持物。
【０３９７】
その方式で、流体の選択または流体の組み合わせは力のほかに、壁とピストンの間のシーリングなどの、チャンバーの特性を定義することを支援することがある、必要、など
組み合わせが見られる場所から依存し続けること、ピストンのうちの１つおよびチャンバーが静止していることがあることは明らかである。また、他方または（移動する）両方は移動していることがある。これは組み合わせの機能に影響を及ぼさない。
【０３９８】
当然、本組み合わせは、必要とされた／行なわれた力にピストンの並進移動を合わせる追加方式を提供する新しい方式にそれが主として焦点を合わせる多数の目的に使用されてもよい。実際、断面のエリア／形は特定の目的および／または力に組み合わせを適応させるためにチャンバーの長さに沿って変えられることがある。１つの目的は、女性による使用のためのポンプ、またはしかしながらある圧力を提供することができるに違いないティーンエイジャーａポンプを提供することである。その状態で、人間工学で改良ポンプは人が提供することがある力をｄｅｔｅｒａｉｉｎｉｎｇすることにより必要とされることがある、どの位置、ピストンまたそのためにチャンバーを提供する、で、１つの、適切、断面積／形づくる。
【０３９９】
あるショック（力）がどの並進移動を必要とするかエリア／形が決めるところで、組み合わせの別の使用は緩衝装置向けである。また、チャンバーの中に導入された流体の量が流体の導入前にピストンの実際位置に依存するピストンの異なる並進移動を提供するところで、アクチュエーターは提供されることがある。
【０４００】
実際、ピストンの性質、第一および第２の縦位置の相対位置、およびチャンバーに接続された任意のバルブの配列は、ポンプ、モーター、アクチュエーター、緩衝装置などに異なる圧力特性および異なる力特性を供給することがある。
【０４０１】
ピストンポンプがタイヤ膨張のためのハンドポンプである場合、ＰＣＴ／ＤＫ９６／０００５５（部分的に１９９７年４月１８日の米国継続を有して）（ＰＣＴ／ＤＫ９７／００２２３および／またはＰＣＴ／ＤＫ９８／００５０７）の中で開示されたものによってそれが統合コネクターを有していることができると思う。コネクターは、任意のタイプの統合圧力計を有していることができる。本発明によるピストンポンプの中で、使用された、として、たとえば、床ポンプ、あるいは’ｃａｒｐｕｍｐ」インフレーションのための、このポンプに圧力計配列を統合することができると思う。
【０４０２】
あるピストン式、として、たとえば図４Ａ−Ｆのもの、７Ａ−Ｅ、７Ｊ、１２Ａ−Ｃは任意のタイプのチャンバーと結合することがある。
【０４０３】
ある機械的なピストンの組み合わせ、として、たとえば図３Ａ−Ｃで示されるもの、そして、またある組立ピストンの、として、たとえば、人、図６Ｄ−Ｆおよびチャンバーで示された、凸状タイプの一定のｃｉｒｃｕｍｆｅｒｉｃａｌな長さを有していること、として、たとえば、人、図の中で示された、７Ｌは名コンビであることがある。
【０４０４】
たとえば、図９−１２に示されるものが使用されてもよいとともに組立ピストンの組み合わせは、ｃｉｒｃｕｍｆｅｒｉｃａｌな長さの可能な変化に関係なく凸状タイプのチャンバーでわき出る。
【０４０５】
ピストンズ、の」ｅｍｂｒｅｌｌａタイプ」この出願の中で示された、チャンバーの媒体の圧力が装填しているところで、側でそれらの開放辺を有している」ｅｍｂｒｅｌｌａ」開放辺で。それはまた非常によくすることがある、可能な」ｅｍｂｒｅｌｌａ」上下逆さまに働いている。
【０４０６】
示されたファイバーアーキテクチャーを備えたスキンを備えた膨張式のピストンは、チャンバーの圧力に関してのピストン中の過剰圧力を有している。しかしながら、また、ピストン中の等しいか下側圧力を有していることは可能である、よりも、の中で、テンションの下での代わりに圧力の下でよりも、チャンバーファイバーはそうである。結果の形は、図面の中で示されるものと異なることがある。その場合、どんな装填する規制する手段も違った風に調整されなければならないことがある。また、ファイバーが支持されなければならないことがある。積荷を規制する手段は図９Ｄを中へたとえば示した。あるいは、それから、手段のピストンの移動がピストンロッドの伸びによってピストン中の吸引をたとえば与えるように、１２Ｂは構築されることがある。その結果、ピストンは、今ピストンロッドの穴の反対側にある。異なるより、ピストンの形をしている変更はある。また、ｃｏｌｌａｐｓが得られることがある。これは寿命を低減することがある。信頼できて、これらの実施形態を介して、そして手動のためのたとえば最適化された安いポンプ、動作されるべき普遍的なバイクポンプ、女性とティーンエイジャーが得ることができる。示されたポンプの気圧調節するチャンバー（長手および／または横断線断面）および／またはピストン手段の壁の形、例で、ポンプ設計仕様に依存して変化させられることがある。本発明も、すべての種類のポンプと共にたとえば使用することができる、複合のステージのピストンポンプ、のほかに、２重の機能のポンプ、ピストンポンプ、モーターによって駆動された、ポンプ、チャンバーとピストンの両方が同時に移動しているところで、たとえば、チャンバーまたはピストンだけがタイプのほかに移動している。どんな種類の媒体もピストンポンプの中で汲まれることがある。それらのポンプは、空気のおよび／または油圧用途の中ですべての種類の適用にたとえば使用されてもよい。また、また、本発明は、手動操作でないポンプのための適用可能である。作用力の削減は、作業の間中機器のための投資の大幅な削減およびエネルギーの大幅な削減を意味する。チャンバーは、テーパーに型鉄で曲げられた管などから、射出成形によってたとえば作製されることがある。
【０４０７】
ピストンポンプでは、媒体は、バルブ配列によってその後閉じられることがあるチャンバーの中に吸収される。媒体は、ピストンとバルブがこの圧縮された媒体を放すことがあるチャンバーおよび／またはの移動によって圧縮される、チャンバー。アクチュエーターでは、媒体は、バルブ配列、およびチャンバーが移動させているピストンおよび／またはを通じてチャンバーの中に押されることがある、移動を始めること、１つの、取り付けられた、考案する。緩衝装置では、チャンバーが完全にあることがある、閉じた、そこで、圧縮可能な媒体によって圧縮することができるチャンバー、チャンバーおよび／またはの移動、ピストン。非圧縮可能な媒体の場合には、チャンバーの内部にたとえばある、ピストンは、動摩擦を与えるいくつかの小さいチャンネルを装備していることがある、その結果、その移動は遅くなる。
【０４０８】
さらに、本発明も、ピストンおよび／またはを移動させるために媒体が使用されてもよい推進適用の中で使用することができる、チャンバー、どれができるか、定期修理、たとえばモーターでのように軸。上記の組み合わせは言及された適用の上の全部上で適用可能である。したがって、本発明は、また流体（次のものを備えているポンプ）を汲むことのためのポンプに関する：
上記の側面のうちのどれもによる組み合わせ；
チャンバーの外側の位置からのピストンに係合するための手段；
チャンバーに接続され、バルブを備えている流体入り口は意味する。
【０４０９】
流体出口はチャンバーへ接続した。１つの状態で、係合は意味する、ピストンがその第一のｌｏｎｇｉｍｄｉｎａｌな位置にある、外側位置、およびピストンがその第二の縦位置にある内側位置を有していることがある。気圧調節された流体が望まれる場合、このタイプのポンプが好まれる。
【０４１０】
別の状態で、係合は意味する、ピストンがその第二の縦位置にある、外側位置、およびピストンがその第一の縦位置にある内側位置を有していることがある。本質的な圧力が単に流体の輸送以外に望まれない場合、このタイプのポンプが好まれる。
【０４１１】
床および下方へ強要されることにより、空気などの流体を圧縮するピストン／結合手段上に立っていることにポンプが適した状態で、最大の力は、ピストン／結合手段／ハンドルの最低位置で提供されることがある（人間工学で）。したがって、第一の状態で、これは、最も高圧力がそこに提供されることを意味する。第２の状態で、これ、単に手段、最大のエリア、また、そのために、大量は最低位置で見られる。しかしながら、事実のため、それを超過する圧力、の中で、たとえば、タイヤはタイヤのバルブを開くために必要とされる、最も小さい断面積は最低位置直前に望まれることがある、係合は、タイヤ（図２Ｂを参照）の中に、より多くの流体を強要するべきバルブおよびより大きい断面積を開く結果の圧力のための、順番に意味する。
【０４１２】
また、本発明は緩衝装置を備えていることに関する：
組み合わせ側面のうちのどれもによる−ａの組み合わせ；チャンバーの外側の位置からのピストンに係合するための手段、そこで、係合は意味する、ピストンがその第一の縦位置にある、外側位置、およびピストンがその第二の縦位置にある内側位置を有している。アブソーバーは、チャンバーに接続された流体入り口をさらに備えていることがある。また、バルブを備えていることは意味する。
【０４１３】
また、アブソーバーは、チャンバーに接続された流体出口を備えていることがある。また、バルブを備えていることは意味する。チャンバーとピストンが流体を備えている実質的に密封したキャビティ（ピストンが第一から第２の縦位置へ移動する場合に圧縮した流体）を形成することが好まれることがある。
【０４１４】
通常は、アブソーバーは、第一の縦位置へのピストンにバイアスをかけるための手段を備えている。
【０４１５】
最後に、本発明は、またアクチュエーターを備えていることに関する：
組み合わせ側面のうちのどれもによる組み合わせ；
チャンバーの外側の位置からのピストンに係合するための手段；
第一と第２の縦位置の間のピストンを置き換えるためにチャンバーの中に流体を導入するための手段。
【０４１６】
アクチュエーターは、チャンバーに接続された流体入り口を備えていることがある。また、バルブを備えていることは意味する。
【０４１７】
また、チャンバーに接続され、バルブ手段を備えている流体出口は提供されることがある。加えて、アクチュエーターは、第一または第二の縦位置へのピストンにバイアスをかけるための手段を備えていることがある。
【０４１８】
上に説明された様々な実施形態は、例証のみを介して提供され、本発明を制限するためには解釈されるべきでない。この分野の当業者は、示された代表的実施形態および適用に厳密に続かずに、本発明に作られることがあり、ここに記述した要素の、および本発明の真情および範囲から外れることのない様々な修正、変更および組み合わせを容易に認識する。
【０４１９】
すべてのピストン式、明確には、弾力的に変形可能な壁を備えたコンテナーであるものは、チャンバーの壁に愛想よく接続されたか、接続していない縦位置間のその動きの間にチャンバー壁にｓｅａｌｉｎｇｌｙに接続されることがある。あるいは、愛想よくｓｅａｌｉｎｇｌｙにチャンバー壁に接続されることがある。付加的にそこでどちらか、恐らく互いに壁に触れることこれがたとえば起こることがある前記壁の間に係合しないことであることがある、コンテナーがチャンバーに第一から第二の縦位置へ移動している状態。前記壁の間の連結（ｓｅａｌｉｎｇｌｙに、および／または、愛想よく、および／またはの感動的なおよび／または、連結はない）のタイプは、前記コンテナ壁の内側の圧力の内側の正確なものの使用により実施されることがある：高圧、のための、ｓｅａｌｉｎｇｌｙに、連結、下側圧力、のための、愛想よく、連結、そしてたとえば、連結がないこと（生産サイズのコンテナー）のための気圧―したがって、密閉空間がピストンの外側の位置からのコンテナーの内側の圧力をコントロールしていることがあるので、密閉空間を備えたコンテナーは好まれることがある。
【０４２０】
別のオプション、のための、１つの、愛想よく、漏れることがコンテナーの壁とチャンバーの壁の間に起こるように、連結は、コンテナー（それは前記壁の表面から突き出ている強化材を有していることがある）の薄壁である。
【０４２１】
２０７  明確には好ましい実施形態
本発明の実施形態によれば、ピストンとチャンバーの組み合わせが提供される、そこで：チャンバーは、それの第一の縦位置、それの第一の断面積およびそれの第二の縦位置で第二の断面積で、縦の軸（有していているチャンバー）を有している細長いチャンバー、９５％である第２の断面積または第一の断面積（１番目と２番目縦位置間で少なくとも、実質的に連続的チャンバーの変更ｉ断面）のより少ない数量を定義する、第一からチャンバーの第２の縦位置へ移動する場合にチャンバーの断面に順応するのに適したピストン。
【０４２２】
好ましくは、第２の断面積は、第一の断面積の９５％と１５％の間にある。好ましくは、第２の断面積は第一の断面積の９５−７０％である。
【０４２３】
好ましくは、第２の断面積は第一の断面積のほぼ５０％である。好ましくは、ピストンは次のものを備えている：複数の少なくとも、実質的に堅い支持体部材は、チャンバーの内壁に対して縦の軸に対して、１０の［度］と４０の［度］の間で回転可能な支持体部材を密閉することのための、支持部材に支持された共通の部材（弾力的に変形可能な手段）に回転自在に固定した。
【０４２４】
本発明の実施形態によれば、支持体部材が少なくとも縦の軸とほぼ平行なように回転可能なところで、組み合わせがまた提供される。好ましくは、共通の部材は、方向に、チャンバーで、オペレーター（そこでは支持体部材は延びる）によって使用のためのハンドルにハンドルから比較的遠ざけて付けられている。
【０４２５】
好ましくは、組み合わせは、チャンバーの内壁に対する支持体残り火にバイアスをかけるための手段をさらに備えている。
【０４２６】
好ましくは、ピストンは、変形可能材料を備えている弾力的に変形可能なコンテナーを備えている。
【０４２７】
好ましくは、変形可能材料は、流体または水、スチーム、および／または気体または泡などの流体の混合物である。
【０４２８】
好ましくは、長手方向を介して断面では、コンテナーは、第２の長手方向で第一の長手方向の第一の形および第二の形を有している、第２とは異なっている第一の形、形づくる。
【０４２９】
好ましくは、少なくとも変形可能材料の一部は圧縮可能である、そして、第一のものはどこで形づくるか、第２のエリアよりも大きいエリアを有している、形づくる。
【０４３０】
好ましくは、変形可能材料は少なくとも、実質的に圧縮不可能である。
【０４３１】
好ましくは、ピストンは、変形可能なコンテナー（可変ボリュームを有しているチャンバー）と通信するチャンバーを備えている。
【０４３２】
好ましくは、ボリュームはオペレーターによって変えられることがある。
【０４３３】
好ましくは、チャンバーはスプリングを偏見的であるピストンを備えている。好ましくは、組み合わせは、チャンバーの流体の圧力がピストンとコンテナーの第２の縦位置の間の流体の圧力に関するように、チャンバーのボリュームを定義するための手段をさらに備えている。
【０４３４】
好ましくは、定義する手段はピストンとコンテナーの第２の縦位置の間の圧力と実質的に同一のチャンバーの中で圧力を定義するのに適している。
【０４３５】
好ましくは、第一の横断面形状は、第２の横断面形状（１番目と２番目縦位置間で少なくとも、実質的に連続的チャンバーの横断面形状の変化）とは異なる。
【０４３６】
好ましくは、第一の断面積は、少なくとも６０％、好ましくは少なくとも７０％などの、少なくとも４０％、好ましくは少なくとも５０％などの、少なくとも２０％、好ましくは少なくとも３０％などの、好ましくは少なくとも１０％少なくとも５％である、少なくとも８０％などの、などの、第２の断面積よりも少なくとも９０％大きい
好ましくは、第一の横断面形状は少なくとも、実質的に円形である、そして、そこでは第２の横断面形状は、第一のディメンションへの角度で少なくとも３などの、好ましくは１ディメンション当たり少なくとも４回少なくとも２である第一のディメンションを有している楕円形などの細長い。
【０４３７】
好ましくは、第一の横断面形状は少なくとも、実質的に円形である、そして、第２の横断面形状はどこで少なくとも実質的に２以上を備えているか、細長い、などの、ローブ形である、部分。
【０４３８】
好ましくは、第一の縦位置での断面では、チャンバーの第一の円周は、８５−１１５％などの、好ましくは８０−１２０％である、９０−１１０、９５−１０５などの好ましくは、第２の長手方向の断面中のチャンバーの第二の円周の９８−１０２％。
【０４３９】
好ましくは、第一および第二の円周は少なくとも、実質的に同一である。
【０４４０】
好ましくは、ピストンは次のものを備えている：弾力的に第一からチャンバーの第２の縦位置へ移動する場合にチャンバーの断面に順応するのに適した変形可能材料、および縦の軸（長手方向で弾力的に変形可能材料を支持するように弾力的に変形可能材料に近くに位置しているスプリング）に沿って中心軸を少なくとも実質的に有している、巻かれた板ばね。
【０４４１】
好ましくは、ピストンはさらに弾力的に変形可能材料とスプリングの間で位置した手段を支持して、水平な多数のを備えている、支持はスプリングと弾力的に変形可能材料の間でインタフェースに沿って回転可能なことを意味する。好ましくは、支持は意味する、第一の位置では、それの外側境界が第一の断面積内に備えていられることがある場合に、および第２の位置では、それの外側境界が第２の断面積内に備えていられることがある場合に、第一の位置から第二の位置へ回転するのに適している。
【０４４２】
本発明の実施形態によれば、ピストンとチャンバーの組み合わせが提供される、そこで：チャンバーは、それの第一の縦位置、それの第一の断面積およびそれの第二の縦位置で第二の断面積で、縦の軸（有していているチャンバー）を有している細長いチャンバー、第２の断面積よりも大きい第一の断面積、１番目の間で少なくとも、実質的に連続的チャンバーの断面の変化および第二の縦位置を定義する、第一から移動する場合にチャンバーの断面に順応するのに適したピストン  チャンバー、ピストンを備えていることの第２の縦位置へ：複数の少なくとも、実質的に堅い支持体部材は、チャンバーの内壁に対して縦の軸に対して、１０の［度］と４０の［度］の間で回転可能な支持体部材を密閉することのための、支持部材に支持された共通の部材（弾力的に変形可能な手段）に回転自在に固定した。
【０４４３】
実施形態によれば、支持体部材が少なくとも縦の軸とほぼ平行なように回転可能なところで、組み合わせが提供される。好ましくは、共通の部材は、方向に、チャンバーで、オペレーターによる使用のためのハンドル、および支持体部材がどこで延びるかにハンドルから比較的遠ざけて付けられている。
【０４４４】
好ましくは、組み合わせは、ピストンとチャンバーのチャンバーＡの組み合わせの内壁に対する支持体部材にバイアスをかけるための手段をさらに備えている、そこで：チャンバーは、それの第一の縦位置、それの第一の断面積およびそれの第二の縦位置で第二の断面積で、縦の軸（有していているチャンバー）を有している細長いチャンバー、第２の断面積よりも大きい第一の断面積、１番目の間で少なくとも、実質的に連続的チャンバーの断面の変化および第二の縦位置を定義する、第一から移動する場合にチャンバーの断面に順応するのに適したピストン  チャンバーの第２の縦位置へ、変形可能材料を備えている弾力的に変形可能なコンテナーを備えているピストン。
【０４４５】
好ましくは、変形可能材料は、流体または水、スチーム、および／または気体または泡などの流体の混合物である。好ましくは、長手方向を介して断面では、コンテナーは、第２の長手方向で第一の長手方向の第一の形および第二の形を有している、別の第一の形、から、第２形づくる。
【０４４６】
好ましくは、少なくとも変形可能材料の一部は圧縮可能である、そして、第一のものはどこで形づくるか、第２のエリアよりも大きいエリアを有している、形づくる。
【０４４７】
好ましくは、変形可能材料は少なくとも、実質的に圧縮不可能である。
【０４４８】
好ましくは、ピストンは、変形可能なコンテナー（可変ボリュームを有しているチャンバー）と通信するチャンバーを備えている。
【０４４９】
好ましくは、ボリュームはオペレーターによって変えられることがある。
【０４５０】
好ましくは、チャンバーはスプリングを偏見的であるピストンを備えている。
【０４５１】
好ましくは、組み合わせは、チャンバーの流体の圧力がピストンとコンテナーの第２の縦位置の間の流体の圧力に関するように、チャンバーのボリュームを定義するための手段をさらに備えている。好ましくは、定義する手段はピストンとコンテナーの第２の縦位置の間の圧力と実質的に同一のチャンバーの中で圧力を定義するのに適している。
【０４５２】
好ましくは、コンテナーは、弾力的に施行手段を備えている変形可能材料を備えている。
【０４５３】
好ましくは、施行手段は繊維を備えている。好ましくは、泡または流体は、提供するのにコンテナー（第一の縦位置から第２の縦位置への、または逆もまた同様ピストンの並進移動中の周囲の大気の最も高圧力よりも高い圧力）内に適している。好ましくは、チャンバーは、それの第一の縦位置、それの第一の横断面形状およびエリア、および第２の横断面形状（１番目と２番目縦位置間で少なくとも、実質的に連続的チャンバーの横断面形状の変化）とは異なっているそれの第二の縦位置、第二の横断面形状およびエリアで第一の横断面形状で、縦の軸（有していているチャンバー）を有している細長いチャンバーを定義する、第一からチャンバーの第２の縦位置へ移動する場合にチャンバーの断面に順応するのに適したピストン。
【０４５４】
好ましくは、第一の断面積は、少なくとも６０％、好ましくは少なくとも７０％などの、少なくとも４０％、好ましくは少なくとも５０％などの、少なくとも２０％、好ましくは少なくとも３０％などの、好ましくは少なくとも１０％少なくとも５％である、少なくとも８０などの、などの、第２の断面積よりも少なくとも９０％大きい
好ましくは、第一の横断面形状は少なくとも、実質的に円形である、そして、そこでは第２の横断面形状は、第一のディメンションへの角度で少なくとも３などの、好ましくは１ディメンション当たり少なくとも４回少なくとも２である第一のディメンションを有している楕円形などの細長い。
【０４５５】
好ましくは、第一の横断面形状は少なくとも、実質的に円形である、そして、第２の横断面形状はどこで少なくとも実質的に２以上を備えているか、細長い、などの、ローブ形である、部分。
【０４５６】
好ましくは、第一の縦位置での断面では、チャンバーの第一の円周は、８５−１１５％などの、好ましくは８０−１２０％である、９０−１１０、９５−１０５などの好ましくは、第２の長手方向の断面中のチャンバーの第二の円周の９８−１０２％。
【０４５７】
好ましくは、第一および第二の円周は少なくとも、実質的に同一である。
【０４５８】
好ましくは、ピストンは次のものを備えている：チャンバーの内壁に対して密閉することのための支持部材に支持された、共通の部材（弾力的に変形可能な手段）に回転自在に固定された複数の少なくとも、実質的に堅い支持体部材。
【０４５９】
好ましくは、ピストンは次のものを備えている：変形可能材料を備えている弾力的に変形可能なコンテナー。
【０４６０】
本発明の別の実施形態によれば、ピストンとチャンバーの組み合わせが提供される、そこで：チャンバーは、それの第一の縦位置、それの第一の断面積およびそれの第二の縦位置で第二の断面積で、縦の軸（有していているチャンバー）を有している細長いチャンバー、第２の断面積よりも大きい第一の断面積、１番目の間で少なくとも、実質的に連続的チャンバーの断面の変化および（ピストン）備えている第二の縦位置を定義する：弾力的に第一からチャンバー（縦の軸（長手方向で弾力的に変形可能材料を支持するように弾力的に変形可能材料に近くに位置しているスプリング）に沿って中心軸を少なくとも実質的に有している、そしてａ巻かれた板ばね）の第２の縦位置へ移動する場合にチャンバーの断面に順応するのに適した変形可能材料。
【０４６１】
好ましくは、ピストンはさらに弾力的に変形可能材料とスプリングの間で位置した手段を支持して、水平な多数のを備えている、支持はスプリングと弾力的に変形可能材料の間でインタフェースに沿って回転可能なことを意味する。
【０４６２】
好ましくは、支持は意味する、第一の位置では、それの外側境界が第一の断面積内に備えていられることがある場合に、および第２の位置では、それの外側境界が第２の断面積内に備えていられることがある場合に、第一の位置から第二の位置へ回転するのに適している。
【０４６３】
本発明の実施形態によれば、ピストンとチャンバーの組み合わせが提供される、そこで：チャンバーは細長いチャンバーを定義する、縦の軸を有していること、ピストン、第一の縦位置から第二の縦位置へのチャンバーにおいて可動である、チャンバー、少なくとも１番目と第二の縦位置の間の内側チャンバー壁の一部に沿った弾力的に変形可能な内壁を有していること、チャンバー、有していること、第一の縦位置で、それの、ピストンがその位置に位置する場合、第一の断面積、それの、そして、第二の縦位置で、それの、ピストンがその位置に位置する場合、第二の断面積、第一の断面積、第２の断面積よりも大きい、チャンバーの断面の変化、少なくとも実質的にある、ピストンが１番目と２番目縦位置間で移動される場合、１番目と第二の縦位置の間で連続的。
【０４６４】
好ましくは、ピストンは少なくとも、実質的に圧縮不可能な材料で作られている。
【０４６５】
好ましくは、ピストンは、縦の軸に沿った断面の中で、方向に先細になる形を有している、から、第２の縦位置へ。
【０４６６】
好ましくは、チャンバーは次のものを備えている：外側支持物および内壁によって定義されたスペースによって保持された内壁と流体を取り囲む外側支持物。
【０４６７】
本発明の実施形態によれば、流体（次のものを備えているポンプ）を汲むことのための、ポンプが提供される：先行請求項のうちのどれも、チャンバーの外側の位置からのピストンに係合するための手段、チャンバーに接続された流体入り口、およびバルブを備えていることによる組み合わせは意味する。また、流体出口はチャンバーへ接続した。
【０４６８】
好ましくは、係合は意味する、ピストンがその第一の縦位置にある、外側位置、およびピストンがその第二の縦位置にある内側位置を有している。
【０４６９】
好ましくは、係合は意味する、ピストンがその第二の縦位置にある、外側位置、およびピストンがその第一の縦位置にある内側位置を有している。
【０４７０】
本発明の実施形態によれば、緩衝装置を備えていることが提供される：組み合わせ、上に説明したように、チャンバーの外側の位置からのピストンに係合するための手段、そこで、係合は意味する、ピストンがその第一の縦位置にある、外側位置、およびピストンがその第二の縦位置にある内側位置を有している。
【０４７１】
好ましくは、緩衝装置は、チャンバーに接続された流体入り口をさらに備えている。また、バルブを備えていることは意味する。
【０４７２】
好ましくは、緩衝装置は、チャンバーに接続された流体出口をさらに備えている。また、バルブを備えていることは意味する。好ましくは、チャンバーとピストンは、流体を備えている実質的に密封したキャビティ（ピストンが第一から第２の縦位置へ移動する場合に圧縮した流体）を形成する。
【０４７３】
好ましくは、緩衝装置は、第一の縦位置へのピストンにバイアスをかけるための手段をさらに備えている。
【０４７４】
本発明の実施形態によれば、アクチュエーターを備えていることがまた提供される：組み合わせ、上に説明したように、チャンバーの外側の位置からのピストンに係合し、第一間のピストンを置き換えるためにチャンバーの中に流体を導入するための手段および第２の縦位置ための手段。
【０４７５】
好ましくは、アクチュエーターは、チャンバーに接続された流体入り口をさらに備えている。また、バルブを備えていることは意味する。好ましくは、アクチュエーターは、チャンバーに接続された流体出口をさらに備えている。また、バルブを備えていることは意味する。
【０４７６】
好ましくは、アクチュエーターは、第一または第二の縦位置へのピストンにバイアスをかけるための手段をさらに備えている。
【０４７７】
好ましくは、導入する手段は、チャンバーの中に気圧調節された流体を導入するための手段を備えている。好ましくは、導入する手段はチャンバー、およびアクチュエーターが、どこで燃焼性の流体を消費するための手段をさらに備えているかの中に、ガソリンまたはディーゼル機関などの燃焼性の流体を導入するのに適している。
【０４７８】
好ましくは、さらに一致するアクチュエーターは、ピストンの並進移動をクランクの回転に翻訳するのに適したクランクを備えている。
【０４７９】
２０７−１  明確には好ましい実施形態
本発明の実施形態によれば、内側チャンバー壁（７１、７３、７５）によって制限される細長いチャンバー（７０）を備えているピストン燃焼室組み合わせが提供される。また、ピストンを備えていることは前記チャンバーで意味する（７６’と７６、１６３）、ピストンは、ｓｅａｌｉｎｇｌｙにある備えている密閉する手段を意味する、少なくとも１位の間の前記チャンバーおよび前記チャンバーの第二の縦位置に対して可動、１番目の異なる断面積の断面および前記ことの第二の縦位置を有しているチャンバーは言った。（実質的に）１番目の間の中間縦通材位置およびそれの第二の縦位置のチャンバーおよび連続的に異なる断面積、第２の縦位置での断面積よりも大きい第一の縦位置での断面積、ピストンがそれ自体を適合させるように設計されることを意味し前記中間縦通材位置を介して第一の縦位置から前記チャンバーの第２の縦位置へ前記ピストン手段の相対動作の間に前記チャンバーの前記異なる断面積に密閉する手段を言った、、そこでは、異なる断面積の断面は異なる横断面形状を有している、チャンバー（１６２）の１番目と２番目縦位置間で連続的チャンバー（１６２）の横断面形状の変化、そこでは、ピストンは、（１６３）がさらにあることを意味する、それ自体を適合させるつもりだった、そしてその、密閉は、異なる横断面形状、およびそれの第一の縦位置でのシリンダー（１６２）の横断面形状の第一の円周長さが、どこで総計それの第２の縦位置でチャンバー（１６２）の横断面形状の第二の円周長さの８０−１２０％までになるかに意味する。好ましくはそれの第一の縦位置でのチャンバー（１６２）の横断面形状である、少なくとも、実質的に円形である、そして、そこではそれの第２の縦位置でのチャンバー（１６２）の横断面形状は、第一のディメンションへの角度で少なくとも３などの、好ましくは１ディメンション当たり少なくとも４回少なくとも２である第一のディメンションを有している楕円形などの細長い。好ましくはそれの第一の縦位置でのチャンバー（１６２）の横断面形状である、少なくとも、実質的に円形である、そして、それの第２の縦位置でのチャンバー（１６２）の横断面形状は、どこで少なくとも実質的に２以上を備えているか、細長い、などの、ローブ形である、部分。
【０４８０】
好ましくはそれの第一の縦位置でのシリンダー（１６２）の横断面形状の第一の円周長さである、総計８５−１１５％までに好ましくはなる、９０−１１０、それの第２の縦位置でのチャンバー（１６２）の横断面形状の第二の円周長さに、９５−１０５などの好ましくは９８−１０２％。好ましくは、１番目がある。また、第二の円周長さは少なくとも、実質的に同一である。
【０４８１】
好ましくはそれの第２の縦位置の前記チャンバーの断面積である、それについて第一の縦位置の前記チャンバー（１６２）の断面積に９５％以下である。好ましくはそれの第２の縦位置での前記チャンバー（１６２）の断面積である、それについて第一の縦位置の前記チャンバー（１６２）の断面積の９５％と１５％の間にある。
【０４８２】
好ましくはそれの第２の縦位置での前記チャンバー（１６２）の断面積である、それについて第一の縦位置での前記チャンバー（１６２）の断面積の９５−７０％である。
【０４８３】
好ましくはそれの第２の縦位置での前記チャンバー（１６２）の断面積である、それについて第一の縦位置での前記チャンバー（１６２）の断面積のほぼ５０％である。
【０４８４】
本発明の実施形態によれば、流体（次のものを備えているポンプ）を汲むことのための、ポンプがまた提供される：先行請求項のうちのどれもによる組み合わせ；ピストンに係合するための手段はチャンバー（１６２）の外側の位置から意味する（７６と１６３）；チャンバーに接続され、バルブを備えている流体入り口は意味する。また、流体出口はチャンバー（１６２）に接続した。
【０４８５】
好ましくはある、係合は意味する、ピストンが意味する（７６と１６３）外側位置を有している、チャンバーの第一の縦位置、およびピストンが意味する（７６と１６３）内側位置にある、チャンバー（１６２）の第２の縦位置にある。
【０４８６】
好ましくはある、係合は意味する、ピストンが意味する（７６と１６３）外側位置を有している、チャンバーの第２の縦位置、およびピストンが意味する内側位置にある、チャンバー（１６２）の第一の縦位置にある。
【０４８７】
本発明の実施形態によれば、緩衝装置を備えていることがまた提供される：請求項１〜９のうちのどれもによる組み合わせ、ピストンに係合するための手段はチャンバーの外側の位置から意味する（７６と１６３）、そこで、係合は意味する、ピストンが意味する外側位置を有している、チャンバー（１６２）の第一の縦位置、およびピストンが意味する内側位置にある、第２の縦位置にある。
【０４８８】
好ましくは、チャンバー（１６２）に接続され、バルブを備えている流体入り口をさらに備えていている緩衝装置は意味する。
【０４８９】
好ましくは、チャンバー（１６２）に接続され、バルブを備えている流体出口をさらに備えていている緩衝装置は意味する。
【０４９０】
好ましくはチャンバー（１６２）およびピストンである、意味する（７６と６３）流体を備えている実質的に密封したキャビティ（ピストンが第一からチャンバー（１６２）の第２の縦位置にとって動きを意味する場合に圧縮した流体）を形成する。
【０４９１】
好ましくは、さらにピストンにバイアスをかけるための手段を備えていている緩衝装置はチャンバーの第一の縦位置の方へ意味する。
【０４９２】
本発明の実施形態によれば、アクチュエーターを備えていることがまた提供される：請求項１〜９のうちのどれもによる組み合わせ、ピストンに係合するための手段はチャンバー（１６２）の外側の位置から意味する、ピストンを置き換えるためにチャンバー（１６２）の中に流体を導入するための手段は、第一とチャンバーの第２の縦位置の間に意味する（７６と１６３）。
【０４９３】
好ましくは、チャンバー（１６２）に接続された流体入り口をさらに備えていているアクチュエーターがある。また、バルブを備えていることは意味する。
【０４９４】
好ましくは、チャンバーに接続された流体出口をさらに備えていているアクチュエーターがある。また、バルブを備えていることは意味する。好ましくは、１番目またはチャンバーの第二の縦位置の方へピストン手段（７６と１６３）にバイアスをかけるための手段をさらに備えていているアクチュエーターがある。
【０４９５】
好ましくはアクチュエーターである、どれがあるか、そこでは導入する手段は、チャンバー（１６２）の中に気圧調節された流体を導入するための手段を備えている。
【０４９６】
好ましくはアクチュエーターである、どれがあるか、導入する手段はどこでチャンバー（１６２）の中に、ガソリンまたはディーゼル機関などの燃焼性の流体を導入するのに適しているか、また、アクチュエーターが、どこで燃焼性の流体を消費するための手段をさらに備えているか。
【０４９７】
好ましくは、ピストン手段の並進移動をクランクの回転に翻訳するのに適したクランクをさらに備えていているアクチュエーターがある。６５３  発明の要約。
【０４９８】
第一の側面では、本発明はピストンとチャンバーの組み合わせに関する、そこで：コンテナーは、弾力的に拡張可能で、かつその生産サイズのｓｔｒｅｓｓｆｒｅｅおよび不具でない状態のそのｃｉｒｃｕｍｐｈｅｒｉｃａｌな長さをほぼ有しているために作られる、前記第二の縦位置でのコンテナーの内側チャンバー壁のｃｉｒｃｕｍｐｈｅｒｅｎｔｉａｌな長さ。
【０４９９】
本文脈では、断面は、縦の軸に好ましくは垂直に行なわれる（＝横断線方向）。
【０５００】
好ましくは、第２の断面積は第一の断面積の９５−７０％などの、９８−５％である。ある状態で、第２の断面積は第一の断面積のほぼ５０％である。
【０５０１】
多数の異なるテクノロジーはこの組み合わせを実現するために使用されてもよい。これらのテクノロジーは、本発明の次の側面に関してさらに説明される。そのような１つのテクノロジーはピストンが変形可能材料を備えているコンテナーを備えているものである。
【０５０２】
その状態で、変形可能材料は、流体または水、スチーム、および／または気体または泡などの流体の混合物であることがある。この材料、またはそれの部分は気体または水と気体の混合物などの、圧縮可能なことがある。あるいは、それは少なくとも、実質的に圧縮不可能なことがある。
【０５０３】
変形可能材料はまたスプリングなどのバネ力操作されたデバイスであることがある。
【０５０４】
したがって、コンテナーは異なる断面積のおよび異なるｃｉｒｃｕｍｐｈｅｒｅｎｔｉａｌなサイズを有しているチャンバーの壁に密閉することを提供するのに調整可能なことがある。これは、チャンバーの断面の最も小さい断面積のｃｉｒｃｕｍｐｈｅｒｅｎｃｉａｌな長さとほぼ等価なピストンの生産サイズ（ストレス、自由、不具でない）を選ぶことにより達成されることがある、またより大きなｃｉｒｃｕｍｐｈｅｒｅｎｔｉａｌな長さで縦位置へ移動する場合にそれを拡張し反対方向で移動する場合にそれを収縮すること。
【０５０５】
また、これは、チャンバーの壁にピストンからあるシール力を維持する提供する手段によって達成されることがある：（ａ）あるｐｒｅｄｅｔｅｎｎｉｎｅｄ  ｌｅｖｅｌ（ｓ）（それはストロークの間中一定にしておかれることがある）の上でピストンの内圧を保存することによって。あるサイズの圧力レベルは、断面のｃｉｒｃｕｍｐｈｅｒｅｎｔｉａｌな長さの差および最も小さいｃｉｒｃｕｍｐｈｅｒｅｎｔｉａｌな長さの断面で適切なシーリングを得る可能性に依存する。違いが大きく、適切な圧力レベルがストロークの間中あまりにも高く配されたことがあるので、圧力の変更よりも、最も小さいｃｉｒｃｕｍｐｈｅｒｅｎｔｉａｌな長さで適切なシール力を得ることができない場合。これは、ピストンの圧力管理を要求する。明確には全く高圧が使用されてもよい場合、営利上使用された材料が通常きつくないので、バルブをインフレーション目的に使用することにより、この圧力を維持する可能性がたとえばなければならない。その場合に、バネ力操作されたデバイスが圧力を得るために使用されている場合、バルブは必要ではないことがある。チャンバーの断面積が変わる場合、コンテナーのボリュームは変わることがある。したがって、チャンバーの長手方向を介して断面では、コンテナーは、第２の長手方向で第一の長手方向の第一の形および第二の形を有していることがある、第一の形は第２とは異なることがある、形づくる。１つの状態で、変形可能材料が圧縮可能で、第一のものが形づくる場合、少なくとも分金する、第２のエリアよりも大きいエリアを有している、形づくる。その状態（コンテナー変更（それによって流体は圧縮可能であるべきである）の全面的なボリューム）で。一方または必要に応じて、ピストンは、変形可能なコンテナーと通信する密閉空間を備えていることがある、と可変ボリュームを有している密閉空間が言った。その方式で、密閉空間は行なうことがある、あるいは変形可能なコンテナーがボリュームを変化させる場合の解放流体。コンテナーのボリュームの変更はそれに自動的による、調整可能。コンテナー中の圧力がストロークの間中一定のままであることは招くことがある。
【０５０６】
また、密閉空間はスプリングを偏見的であるピストンを備えていることがある。今春はピストンに圧力を定義することがある。密閉空間のボリュームが変えられることがある。そのように、コンテナーの全面的な圧力または最大／最低圧力は変更されることがある。
【０５０７】
密閉空間が第一および第二の密閉空間の中にｕｐｄｉｖｉｄｅｄされる時、第一の密閉空間の流体の圧力が第２の圧力に関するように、第一の密閉空間のボリュームを定義するための手段をさらに備えている空間は、空間を取り囲んだ。最後の言及されたスペースは、シュラーダーバルブなどの、バルブ（好ましくはインフレーションバルブ）によってたとえば膨張式のことがある。漏れのためコンテナー中の可能な圧力降下は、コンテナーの壁を通って定義する手段を介して第２の密閉空間のインフレーションによってたとえば平衡を保たれることがある。定義する手段は１ペアのピストンであることがある、各密閉空間のうちの１。
【０５０８】
定義する手段は第一の密閉空間、およびストロークの間中実質的に一定のコンテナーの中で圧力を定義するのに適したことがある。しかしながら、コンテナー中のどんな種類の圧力レベルも定義する手段によって定義されることがある：たとえば、ピストンが適切な密閉し定義する手段が１ペアのピストンであることがあると主張するために本圧力値のコンタクト域および／または接触圧力が、またほとんどにならないことがある、第一の縦位置での大きな断面積に移る場合、コンテナーの壁が拡大する場合、圧力賃上げは必要なことがある、各密閉空間のうちの１。第２の密閉空間は、ある圧力レベルに膨張することがある。その結果、圧力賃上げは、コンテナーおよびしたがって第２の密閉空間のボリュームが、同様により大きくなることがあるという事実にもかかわらず第一の密閉空間およびコンテナーへ伝えられることがある。これは、たとえば達成されることがある、ピストンロッド中の異なる断面積を備えた、ピストンおよびチャンバー（第２の密閉空間）の組み合わせ。圧力降下はまた設計することができる。
【０５０９】
ピストンの圧力管理も、チャンバーの流体の圧力を備えた密閉空間の流体に圧力を関連づけることにより達成されることがある。チャンバーと通信する密閉空間のボリュームを定義するための提供する手段によって。このように、変形可能なコンテナーの圧力は適切なシーリングを得るために変えられることがある。例えば、単純な方式は、コンテナーが第２の縦位置から第一の縦位置へ移動している場合に上げるべきべき密閉空間の中で、圧力を定義するのに適した、定義する手段を有していることである。この状態で、２つの圧力間の単純なピストンは提供されることがある（変形可能なコンテナー中の流体のうちのどれも解かないこと）。
【０５１０】
実際、このピストンの使用は、ピストンが翻訳するチャンバーが組み合わせのメインのチャンバーと同じ方式で先細になることがあるの中で圧力のどんな関係も定義することがある。
【０５１１】
コンテナーの中にピストンロッドから直接運送可能なデバイスは、またボリュームおよび／またはを変化させることがある、コンテナー中の圧力。
【０５１２】
ピストンが持っていないし通信しない（クローズトシステム）、持っているか、インフレーションのためのバルブと通信するはありえることがある。ピストンにインフレーションバルブがない場合、流体はコンテナーの壁の材料のための非浸透性のことがある。コンテナーのボリュームが永久にあるということであるより、装着過程の１ステップはすることがある、ピストンのボリュームに、およびチャンバーの第２の縦位置に位置した後に流体を入れた後、閉じた。ピストンの入手可能な速度は、第一の閉じたチャンバー間のあまりにも多くの摩擦のない大きな流体の流れを可能性に依存することがある。ピストンにインフレーションバルブがある場合、コンテナーの壁は流体のための浸透性のことがある。
【０５１３】
コンテナーは、ピストンに含まれる圧力源によって膨張することがある。あるいは外圧出所、チャンバーが出所自体である場合、組み合わせおよび／またはの外側の１のように。すべての溶液は、ピストンと通信するバルブを要求する。このバルブは好ましくはすることがある、インフレーションバルブ、シュラーダーバルブを破る、あるいは、一般に、バネ力とのバルブは動作した、バルブコア。シュラーダーバルブはピストン中の圧力に依存しないスプリングを偏見的であるバルブコアピンおよび終了を有している。また、すべての種類の流体はそれを介して流れることがある。しかしながら、また、それは別のバルブ型式（たとえばチェックバルブ）であることがある。
【０５１４】
コンテナーは、スプリングを偏見的であるチューニングピストンがチェックバルブとして動作する密閉空間を通って膨張することがある。流体は、圧力源（たとえば外圧出所、たとえば内圧容器）からスプリングを偏見的であるピストンのピストンロッドの関係の縦ダクトを介して流れることがある。
【０５１５】
密閉空間が最初と別密閉空間に分割される場合、第２の密閉空間が第一の密閉空間へそれを介してインフレーションを禁止することがあるので、インフレーションは圧力源としてチャンバーをやめることがある。チャンバーは、チャンバーの足の中の入口弁を有していることがある。コンテナーのインフレーションのための、インフレーションバルブ、たとえば、バネ力とのバルブは動作した、シュラーダーバルブなどのバルブコアはアクチュエーターと一緒に使用されてもよい。これは、ＷＯ  ９６／１０９０３またはＷＯ  ９７／４３５７０によって活性化するピン、またはＷＯ９９／２６００２または米国５、０９４、２６３によるバルブアクチュエーターであることがある。閉じる場合、バルブのコアーピンはチャンバーに近づいている。上記の引用されたＷＯ文献からの活性化するピンは、バネ力を開くべき力が動作したという利点を持つ、バルブコアは非常に低い、インフレーションは、手動操作のポンプによって容易に行われることがある。米国特許に引用されたアクチュエーターは、正常なコンプレッサーの力を必要とすることがある。
【０５１６】
チャンバーの使用圧がピストン中の圧力よりも高い場合、ピストンは自動的に膨張することがある。
【０５１７】
チャンバーの使用圧がたとえば臨時休館によって高圧を得ることが必要であるよりもピストン中の圧力よりも低い場合、チャンバーの足の中の出口弁。バルブがたとえばＷＯ  ９９／２６００２によるバルブアクチュエーターによって開かれることがあるシュラーダーバルブである場合、これは、バルブアクチュエーターとバルブのコアーピンの間のチャンバーおよびスペースの接続により、バイパスをチャンネルの形で作ることにより達成されることがある。このバイパスはｏｐｅｎｅｎｅｄされることがあり（シュラーダーバルブが閉じられ続けることがある）、閉じて（シュラーダーバルブは開くことがある）、そばにたとえば実施されることがある、可動ピストン。このピストンの移動は、ペダルによって手動で、たとえば配されたことがある。それは、オペレーターによって車軸のまわりで不活発な位置から動作位置へ、および逆もまた同様変わっている。また、それはアクチュエーターのような他の手段によって達成されることがある、チャンバーおよび／またはの中でコンテナーを始める。コンテナー中の予定圧力を得ることは達成されることがある、圧力計（たとえばコンテナーの中で圧力を測定しているマノメーター）によって通知されている手動でオペレーター。また、それは、流体の圧力が最高圧力セットを超過する場合、流体を解放するコンテナーの中で逃し弁によって自動的にたとえば達成されることがある。また、それは、圧力がある前もって定義した圧力値を超過する場合、バルブアクチュエーターの上の圧力源からチャンネルを閉じるバネ力操作されたキャップによって達成されることがある。別の解決策は、出口弁の閉鎖できるバイパスの比較可能な解決策のそれである、チャンバーａ圧力測定はコンテナーにおいて必要なことがある、それは開閉口であるアクチュエーターを操縦することがある、ＷＯ  ９９／２６００２によるバルブアクチュエーターのバイパス、たとえば前もって定義した圧力値のコンテナーのシュラーダーバルブ。
【０５１８】
上記の言及された溶液は、ＷＯ  ００／６５２３５およびＷＯ  ００／７０２２７に示されるものを含めてまたコンテナーを備えている任意のピストンに適用可能である。
【０５１９】
そのような１つのテクノロジーは、ピストンが弾力的に変形可能なコンテナ壁を備えているコンテナーを備えているものである。
【０５２０】
断面のｃｉｒｃｕｍｐｈｅｒｅｎｔｉａｌな長さの変わるサイズによって始められるコンテナ壁の膨張または短縮は、３ディメンションで拡大するか収縮することをコンテナーの壁に強いる強化材を選ぶことにより可能になることがある。したがって、コンテナーの壁とチャンバーの壁の間の残材は残らない。
【０５２１】
接触長さ（長手ストレッチング）を制限するためにピストン上のチャンバーの圧力の影響に耐えることも、適切な強化材を選ぶことにより行われることがある。コンテナーの壁の強化材はおよび／またはであることがある、コンテナーの壁に位置しないことがある。
【０５２２】
コンテナーの壁の強化材は繊維材料で作られていることがある。それは１層であることがある、しかし好ましくは互いに交差する少なくとも２つの層、その結果、強化材は装着するのがより簡単なことがある。層はたとえば織られることがあるし結合されることがある。織ってあるねじが互いに異なる層に緊密にあるとともに、ねじは弾性素材で作られていることがある。層は内側はたとえば硫黄で処理されることがある、弾性素材（たとえばゴム）の２つの層。コンテナーがその生産サイズを有している場合、壁の弾性素材だけでなく強化材もストレスフリーで、その弾性素材は不具でない。コンテナーの強化された壁の膨張は、ねじが収縮するとともに短縮が一針サイズをより小さくする間に、ねじが拡大するとともに、交差（＝一針サイズ）の間の距離がより大きくなることがあることを意味する。チャンバーの壁へのコンテナーの壁のシーリングは、ある圧力へのコンテナーの加圧により確立されることがある。ここにする、拡張したねじ、少量、その結果、一針サイズはわずかにより大きくなる。コンテナーの壁の接触、接触長さが大きくなりすぎ、そのｊ  ａｒｎｍｉｎｇをそばに回避するのと同じ方法でコンテナーを拡張するために内圧を禁止する。
【０５２３】
結合した強化材は、弾力的に曲げることができる弾性のねじおよび／またはでたとえば作られていることがある、ねじ。コンテナーの壁の膨張はメリヤス編の曲げられたループを伸ばすことにより作られることがある。コンテナーの壁が収縮する場合、伸ばされたループは、その不具でない状態になることがある。
【０５２４】
織物の強化材は、弾性素材の２つの層の内のシリンダーとして織ってあるか結合された織物強化材が位置した生産ライン上で作製されることがある。最も小さいシリンダー内では、棒は、どのキャップがシーケンストップダウントップダウンなどの中に保持されているかに置かれる。また、これらはその棒の上で移動することがある。ラインの終わりに、加硫オーブンは保持されている。オーブンの内部はサイズ、およびｓｔｒｅｓｓｆｒｅｅの中のコンテナーのフォームを有していることがあり、状態をｕｎｄｅｒｆｏｒｍした。の内側のオーブンであるシリンダーの部分は、長さ、シリンダー内に両端に位置している２枚のキャップ、およびそこに維持されることの上でカットされている。オーブンはクローズドである。また、１００以上の［度］Ｃおよび高圧のスチームが入れられる。ほぼ１−２分の後、オーブンは開かれることがある。また、２枚のキャップを備えた即座の生成されたコンテナ壁はその壁を中へ硫黄で処理した。加硫の分リードタイムを使用するために、そこにすることがある、１つを超えるオーブン、たとえば回転すること、あるいは平行移動、そしてすべて、生産ラインの終わりで終了すること加硫時間として輸送リードタイムを使用して、生産ライン自体上の１つを超えるオーブンを有していることも可能なことがある。
【０５２５】
コンテナーのファイバーに強化された壁の生産は類似して行われることがある。補強繊維は、たとえば作製されることがある、射出成形、集まるソケットを含めて、またはひも（それはソケットを組み立てることの上に両端でその後置かれている）のカットによって。両方のオプション、だろう、容易に、シリーズは作製した。残りについては、生産プロセスは織物の強化材に関する上記の言及されたもので類似している。
【０５２６】
弾力的に変形可能なコンテナーを備えているピストンは、また壁（たとえば複数の弾性アーム）（それらはコンテナーの壁に接続されて、膨張式のことがあるか、膨張式でないことがある）に位置しない強化材手段を備えていることがある。膨張式の場合、強化材はまたチャンバーの圧力のためコンテナーの壁の変形を制限するために機能する。
【０５２７】
別のオプションはコンテナーの壁の外側の強化材である。
【０５２８】
本発明の別の側面はピストンとチャンバーの組み合わせに関して、１である、そこで：チャンバーは、縦の軸を有している細長いチャンバーを定義する、ピストン、であること」少なくとも第二の縦位置から第一の縦位置（少なくとも１番目と２番目縦位置間の内側チャンバー壁の一部に沿った弾力的に変形可能な内壁を有しているチャンバー）へのチャンバーにおいて可動、チャンバー、有していること、ピストンがその位置に位置する場合、それの第一の縦位置で、それの第一の断面積、そして、第二の縦位置で、それの、ピストンがその位置に位置する場合、第二の断面積、第一の断面積、第２の断面積よりも大きい、チャンバーの断面の変化、少なくとも実質的にある、ピストンが１番目と２番目縦位置間で移動される場合、１番目と第二の縦位置の間で連続的。
【０５２９】
したがって、ピストンがチャンバーの横断面の変更に適合させるところで、組み合わせに代替的に、この側面は適合させる能力を有しているチャンバーへ関する。
【０５３０】
当然、ピストンは作られることがある、１つの、少なくとも、実質的に圧縮不可能、材料あるいは、組み合わせは、上記の側面によるピストンピストンなどの適合させるチャンバーおよび適合させることで作られていることがある。
【０５３１】
好ましくは、ピストンは、縦の軸に沿った断面の中で、方向に先細になる形を有している、から、第２の縦位置へ。
【０５３２】
適合させるチャンバーを提供する好ましい方式はチャンバーに次のものを備えていさせることである：内壁を取り囲む外側支持物、そして；外側支持物および内壁によって定義されたスペースによって保持された流体。その方式で、流体の選択または流体の組み合わせは力のほかに、壁とピストンの間のシーリングなどの、チャンバーの特性を定義することを支援することがある、必要、など
まだ別の側面では、本発明はピストンとチャンバーの組み合わせに関する、そこで：チャンバーは、それの第一のｌｏｎｇｉ  ｄｉｎａｌ位置、それの第一の横断面形状およびエリア、および第２の横断面形状とは異なっているそれの第二の縦位置、第二の横断面形状およびエリアで第一の横断面形状で、縦の軸（有していているチャンバー）を有している細長いチャンバー（１番目と２番目縦位置間で少なくとも、実質的に連続的チャンバーの横断面形状の変化）を定義する；―  第一からチャンバーの第２の縦位置へ移動する場合にチャンバーの断面に順応するのに適したピストン。
【０５３３】
この非常に面白い側面はそれほど異なる事実に基づく、形、たとえば、幾何学的図形、円周とそれのエリアの変わる関係を有している。また、２の間に変わることは形づくる、チャンバーがチャンバーの表面の好ましい滑らかな変化をｍａｍｔａｉｎｉｎｇする間に第二の縦位置でそれの１つの縦位置での１つの横断面形状および別の横断面形状を有しているように、連続的方式で起こることがある。
【０５３４】
本文脈では、断面の形は全面的である、形づくる、それについてそれのサイズをｎｏｔｗｉｍｓｔａｎｄｉｎｇすることたとえ１つが他方のそれと異なる直径を有していても、２つの円が同じことを形づくさせる。
【０５３５】
好ましくは、第一の断面積は少なくとも２％である、そのような少なくとも５％、好ましくは少なくとも２０％などの少なくとも１０％、好ましくは少なくとも４０％などの少なくとも３０％、好ましくは少なくとも５０％、少なくとも９０％などの、少なくとも８０などの、少なくとも６０％などの好ましくは少なくとも７０％、そのようなもの、第２の断面積よりも少なくとも９５％大きいある好適な実施形態では、第一の横断面形状は少なくとも、実質的に円形である、そして、そこでは第２の横断面形状は、第一のディメンションへの角度で少なくとも３などの、好ましくは１ディメンション当たり少なくとも４回少なくとも２である第一のディメンションを有している楕円形などの細長い。
【０５３６】
別の好ましい実施形態では、第一の横断面形状は少なくとも、実質的に円形である、そして、第２の横断面形状はどこで少なくとも実質的に２以上を備えているか、細長い、などの、ローブ形である、部分。
【０５３７】
第一の縦位置での断面では、チャンバーの第一の円周が８５−１１５％などの、好ましくは８０−１２０％である場合、９０−１１０、９５−１０５などの好ましくは、第２の長手方向の断面中のチャンバーの第二の円周の９８−１０２％、多数の利点が見られる。シール材が両方とも提供するべきであるという事実のため変わるディメンションを有している壁に対して密閉することを試みる場合、問題が生じることがある、１つの、十分、密閉、またそのディメンションを変化させる。場合、好ましい実施形態の状態であるように、円周は小さい程度にのみ変わる、シーリングはより容易にコントロールされることがある。好ましくは、シール材が単に任意の重要な程度に向けられ、伸ばされないように、第一および第二の円周は少なくとも、実質的に同一である。
【０５３８】
一方、円周はわずかにシール材を曲げるか変形する時、たとえば、曲げ加工がそれの圧縮されるべき一方の側を引き起こすという点で変わると望まれることがある。また、別のものが伸ばされる。全体として、それは所望形状に少なくともそれに近い円周を供給すると望まれる、どれ、シール材は自動的に「選ぶ。」
１つのタイプのピストン（それはこの種の組み合わせの中で使用されることがある）は、変形可能なコンテナーを備えているピストンを備えているピストンである。コンテナーは、弾力的にまたは非弾力的に変形可能なことがある。最後の方法で、コンテナーの壁はすることがある、チャンバーで移動する間に曲がっている生産サイズを備えた弾力的に変形可能なコンテナー、ほぼチャンバーの第一の縦位置のｃｉｒｃｕｍｐｈｅｒｅｎｃｉａｌな長さのサイズ、高い摩擦力を備えた短縮を許可する強化材タイプを有していることもこの種の組み合わせの中で使用されてもよく、明確にはピストンの高速度であることがある。
【０５３９】
生産サイズを備えた弾力的に変形可能なコンテナー、ほぼチャンバーの第２の縦位置のｃｉｒｃｕｍｐｈｅｒｅｎｃｉａｌな長さのサイズ、チャンバーの長手断面中のチャンバーの中心軸とは異なった距離を有しているコンテナーの壁の部品を許可する強化材タイプのスキンを有していることも使用されてもよい。
【０５４０】
組み合わせが見られる場所から依存し続けること、ピストンのうちの１つおよびチャンバーが静止していることがあることは明らかである。また、他方または（移動する）両方は移動していることがある。これは組み合わせの機能に影響を及ぼさない。
【０５４１】
ピストンは、また内部と外部壁上に滑ることがある。外部壁が筒状である間、内部壁はテーパーフォームを有していることがある。
【０５４２】
当然、本組み合わせは、必要とされた／行なわれた力にピストンの並進移動を合わせる追加方式を提供する新しい方式にそれが主として焦点を合わせる多数の目的に使用されてもよい。実際、断面のエリア／形は特定の目的および／または力に組み合わせを適応させるためにチャンバーの長さに沿って変えられることがある。１つの目的は、女性による使用のためのポンプ、またはしかしながらある圧力を提供することができるに違いないティーンエイジャーａポンプを提供することである。その状態で、人間工学で改良ポンプは人が提供することがある力の決定により必要とされることがある、どの位置、ピストンまたそのためにチャンバーを提供する、で、１つの、適切、断面積／形づくる。
【０５４３】
あるショック（力）がどの並進移動を必要とするかエリア／形が決めるところで、組み合わせの別の使用は緩衝装置向けである。また、チャンバーの中に導入された流体の量が流体の導入前にピストンの実際位置に依存するピストンの異なる並進移動を提供するところで、アクチュエーターは提供されることがある。
【０５４４】
実際、ピストンの性質、第一および第２の縦位置の相対位置、およびチャンバーに接続された任意のバルブの配列は、ポンプ、モーター、アクチュエーター、緩衝装置などに異なる圧力特性および異なる力特性を供給することがある。チャンバーとピストンの組み合わせの好ましい実施形態は、ピストンポンプの中で使用されるべき例と説明された。しかしながら、それが主としてアイテムまたは媒体が始めることがある事実に加えてチャンバーのバルブ配列であることがあるので、これはこの発明の報道を前述の適用に制限するべきでない、移動（それは適用のタイプのための決定的なことがある）：ポンプ、アクチュエーター、緩衝装置またはモーター。ピストンポンプでは、媒体は、バルブ配列によってその後閉じられることがあるチャンバーの中に吸収されることがある。媒体はチャンバーおよび／またはの移動によって圧縮されることがある、ピストン、また、その後、バルブはチャンバーからこの圧縮した媒体を放すことがある。アクチュエーターでは、媒体はバルブ配列およびピストンによってチャンバーの中に押されることがある、あるいは、チャンバーは付属のデバイスの移動を始めて移動していることがある。緩衝装置では、チャンバーが完全にあることがある、閉じた、圧縮可能な媒体は、どこでチャンバーおよび／またはの移動によって圧縮されることがあるか、ピストン。その場合では、非圧縮可能な媒体は、チャンバーの内側のたとえば位置することがある、ピストンは、動摩擦を与えることがあるいくつかの小さいチャンネルによって装備をされることがある、その結果、その移動は遅くなることがある。
【０５４５】
本発明を促進する、またピストンおよび／またはを移動させるために媒体が使用されてもよい推進適用の中で使用されることがある、チャンバー、どれがすることがあるか、定期修理、たとえばモーターでのように軸。この発明を与えるどんな種類の原理も、言及された適用の上の全部上で適用可能なことがある。
【０５４６】
本発明の原理も、上記の言及されたピストンポンプ以外の空気のおよび／または油圧用途の中で使用されてもよい。したがって、本発明は、また流体（次のものを備えているポンプ）を汲むことのためのポンプに関する：上記の側面のうちのどれもによる組み合わせ；チャンバーの外側の位置からのピストンに係合するための手段；チャンバーに接続され、バルブを備えている流体入り口は意味する、そして；流体出口はチャンバーへ接続した。
【０５４７】
１つの状態で、係合は意味する、ピストンがその第一の縦位置にある、外側位置、およびピストンがその第二の縦位置にある内側位置を有していることがある。気圧調節された流体が望まれる場合、このタイプのポンプが好まれる。
【０５４８】
別の状態で、係合は意味する、ピストンがその第二の縦位置にある、外側位置、およびピストンがその第一の縦位置にある内側位置を有していることがある。本質的な圧力が単に流体の輸送以外に望まれない場合、このタイプのポンプが好まれる。
【０５４９】
床および下方へ強要されることにより、空気などの流体を圧縮するピストン／結合手段上に立っていることにポンプが適した状態で、最大の力は、ピストン／結合手段／ハンドルの最低位置で提供されることがある（人間工学で）。したがって、第一の状態で、これは、最も高圧力がそこに提供されることを意味する。第２の状態で、これ、単に手段、最大のエリア、また、そのために、大量は最低位置で見られる。しかしながら、事実のため、それを超過する圧力、の中で、たとえば、タイヤはタイヤのバルブを開くために必要とされる、最も小さい断面積は最低位置直前に望まれることがある、係合は、タイヤの中に、より多くの流体を強要するべきバルブおよびより大きい断面積を開く結果の圧力のための、順番に意味する。
【０５５０】
本発明によるポンプが従来のピストン形シリンダ組み合わせに基づいた比較可能なポンプよりも本質的な少ない労働力を使用することがあるとともに、たとえば、水ポンプはすることがある、より大きな真中からの水をｅｘｔｒａｘｔする。この特徴は、低開発国で大きく、たとえば重要である。また、圧力差がほとんど０である場合に、液体を汲むことの場合には、本発明によるチャンバーは別の機能を有していることがある。あたかも圧力差が存在するかのように、それは、チャンバーの適切な設計によって使用者の物理的なニーズ（ｅｒｇｏｎｏｍｉｃａｌ）にたとえば応じることがある：図１７Ｂおよび１７Ａにたとえばそれぞれ一致すること。これもバルブの使用によって実施されることがある。本発明は、またシリンダー、および同時に先細りシリンダーに密閉するピストンに関する。ピストンは弾力的に変形可能なコンテナーを備えていることがあるし、備えていないことがある。断面積が異なるｃｉｒｃｕｍｐｈｅｒｅｎｔｉａｌなサイズまたはそれを持つところで、結果のチャンバーはタイプであることがある、これらは同一のことがある。ピストンは、より多くのピストンロッドのうちの１つを備えていることがある。また、外側でのシリンダーは同様に筒状ことがありまたは先細りことがある。
【０５５１】
また、本発明は緩衝装置を備えていることに関する：組み合わせ側面のうちのどれもによる組み合わせ；チャンバーの外側の位置からのピストンに係合するための手段、そこで、係合は意味する、ピストンがその第一の縦位置にある、外側位置、およびピストンがその第二の縦位置にある内側位置を有している。
【０５５２】
アブソーバーは、チャンバーに接続された流体入り口をさらに備えていることがある。また、バルブを備えていることは意味する。また、アブソーバーは、チャンバーに接続された流体出口を備えていることがある。また、バルブを備えていることは意味する。
【０５５３】
チャンバーとピストンが流体を備えている実質的に密封したキャビティ（ピストンが第一から第２の縦位置へ移動する場合に圧縮した流体）を形成することが好まれることがある。
【０５５４】
通常は、アブソーバーは、第一の縦位置へのピストンにバイアスをかけるための手段を備えている。
【０５５５】
また、本発明はアクチュエーターを備えていることに関する：組み合わせ側面のうちのどれもによる−ａの組み合わせ；チャンバーの外側の位置からのピストンに係合するための手段；第一と第２の縦位置の間のピストンを置き換えるためにチャンバーの中に流体を導入するための手段。アクチュエーターは、チャンバーに接続された流体入り口を備えていることがある。また、バルブを備えていることは意味する。
【０５５６】
また、チャンバーに接続され、バルブ手段を備えている流体出口は提供されることがある。
【０５５７】
加えて、アクチュエーターは、第一または第二の縦位置へのピストンにバイアスをかけるための手段を備えていることがある。
【０５５８】
本発明は上記の言及された組み合わせ側面のうちのどれもによってモーターに備えているａ組み合わせを関連づける。
【０５５９】
最後に、本発明は、またパラシュートａ  Ｍ（ｏｖａｂｌｅ）Ｐ（ｏｗｅｒ）Ｕによって動力部（それは好ましくは可動ことがある）にたとえば関する（ニト）。そのようなユニットは、どんな種類の電源、好ましくは太陽の売りの少なくとも１つのセットおよび１つのパワーデバイス（たとえば本発明によるモーター）も備えていることがある。少なくとも一つの点検修理デバイスプレゼントがあることがある、などの、たとえば本発明によるポンプ、および／または、本発明による、ピストンおよびチャンバーの組み合わせを備えているデバイスの低い労働力に由来した過剰エネルギーを利用する他のデバイス。非常に低い労働力のため、本発明に基づいたデバイスの構築が古典的ピストン形シリンダ組み合わせに基づいたものよりもライター重量で構築されることがあるので、パラシュートによってＭＰＵを輸送することは可能なことがある。上に説明された様々な実施形態は、例証のみを介して提供され、本発明を制限するためには解釈されるべきでない。この分野の当業者は、示された代表的実施形態および適用に厳密に続かずに、本発明に作られることがあり、ここに記述した要素の、および本発明の真情および範囲から外れることのない様々な修正、変更および組み合わせを容易に認識する。
【０５６０】
すべてのピストン式、明確には、弾力的に変形可能な壁を備えたコンテナーであるものは、チャンバーの壁に愛想よく接続されたか、接続していない縦位置間のその動きの間にチャンバー壁にｓｅａｌｉｎｇｌｙに接続されることがある。あるいは、愛想よくｓｅａｌｉｎｇｌｙにチャンバー壁に接続されることがある。付加的にそこでどちらか、恐らく互いに壁に触れることこれがたとえば起こることがある前記壁の間に係合しないことであることがある、コンテナーがチャンバーに第一から第二の縦位置へ移動している状態。前記壁の間の連結（ｓｅａｌｉｎｇｌｙに、および／または、愛想よく、および／またはの感動的なおよび／または、連結はない）のタイプは、前記コンテナ壁の内側の圧力の内側の正確なものの使用により実施されることがある：高圧、のための、ｓｅａｌｉｎｇｌｙに、連結、下側圧力、のための、愛想よく、連結、そしてたとえば、連結がないこと（生産サイズのコンテナー）のための気圧―したがって、密閉空間がピストンの外側の位置からのコンテナーの内側の圧力をコントロールしていることがあるので、密閉空間を備えたコンテナーは好まれることがある。
【０５６１】
別のオプション、のための、１つの、愛想よく、漏れることがコンテナーの壁とチャンバーの壁の間に起こるように、連結は、コンテナー（それは前記壁の表面から突き出ている強化材を有していることがある）の薄壁である。
【０５６２】
［６５３  明確には好ましいＥＭＢＯＤＩＥＭＥＮＴ。］
本発明の実施形態によれば、内側チャンバー壁によって制限され、ｓｅａｌｉｎｇｌｙに少なくとも第一の縦位置とチャンバーの第二の縦位置の間の前記チャンバー壁に対して可動であるために前記チャンバーのピストンを備えていている、細長いチャンバーを備えているピストン燃焼室組み合わせが提供される、１番目と２番目縦位置で異なる断面積および異なる円周長さの断面を有しているチャンバーは言った、（実質的に）また１番目の間の中間縦通材位置および第二の縦位置での少なくとも、連続的に異なる断面積および円周長さ、前記第二の縦位置での断面積および円周長さ、前記第一の縦位置での断面積および円周長さよりも小さい、ピストンは言った、コンテナーを備えていること、弾力的に、そのために変形可能である、ピストンの異なる断面積および円周長さに備えること、ピストンの相対動作の間のチャンバーの前記異なる断面積および異なる円周長さへの同じを適合させることチャンバーの前記中間縦通材位置を介して１番目と２番目縦位置間で、そこで：ピストンはピストンの円周長さが前記第二の縦位置（前記第二の縦位置からのピストンの相対動作の間にそれの生産サイズからのピストンの膨張に備えて、チャンバーの長手方向に関して方向にその生産サイズからｔｒａｎｓｖｅｒｓａｌｌｙに、そのために拡張可能なコンテナー）の前記チャンバー（１６２、１８６、２３１）の円周長さとほぼ等価なそれの、ストレスフリーおよび不具でない状態のコンテナーの生産サイズを有しているために作製される。前記第一の縦位置へ。
【０５６３】
好ましくは、膨張式のコンテナーで、弾力的に変形可能で、ピストンの異なる断面積および円周長さに備えるのに膨張式のコンテナーを言った。
【０５６４】
好ましくは、それについてそれの第一の縦位置の前記チャンバーの断面積の９８％と５％の間の第２の縦位置の前記チャンバーの断面積である。好ましくはそれの第２の縦位置の前記チャンバーの断面積である、第一の縦位置の前記チャンバーの断面積の９５−１５％それについて。
【０５６５】
好ましくはそれの第２の縦位置の前記チャンバーの断面積である、第一の縦位置の前記チャンバーの断面積のほぼ５０％それについて。
【０５６６】
好ましくは、変形可能材料を包含しているコンテナーがある。好ましくは変形可能材料である、流体または水、スチームおよび／または気体または泡などの流体の混合物。
【０５６７】
好ましくは、スプリングなどのバネ力操作されたデバイスを備えている変形可能材料がある。好ましくは、チャンバー（前記チャンバーの第２の縦位置に位置する場合コンテナーの第二の形とは異なる第一の形）の第一の縦位置に位置する場合、長手方向（コンテナー）を通じて断面を中へ有している。好ましくは少なくとも圧縮可能な変形可能材料、および第一のものがどこで形づくるかの一部である、第２のエリアよりも大きいエリアを有している、形づくる。
【０５６８】
好ましくは変形可能材料である、少なくとも、実質的に圧縮不可能である。好ましくは、膨張式のコンテナーがある前もって定義した圧力値にある。好ましくは、ストロークの間中一定に残りの圧力がある。好ましくは、変形可能なコンテナー（可変ボリュームを有している密閉空間）と通信する密閉空間を備えているピストンがある。
【０５６９】
好ましくは、密閉調整可能な空間のボリュームがある。
【０５７０】
好ましくは、スプリングを偏見的である圧力チューニングピストンを備えている第一の密閉空間がある。
【０５７１】
好ましくは、第一の密閉空間の流体の圧力が第２の圧力に関するように、第一の密閉空間のボリュームを定義するための手段をさらに備えていることは、空間を取り囲んだ。
【０５７２】
好ましくは、定義する手段はストロークの間中第一の密閉空間の中で圧力を定義するのに適している。
【０５７３】
好ましくは、ストロークの間中実質的に一定の第一の密閉空間の中で圧力を定義するのに適した、定義する手段がある。
【０５７４】
好ましくはスプリングを偏見的である圧力チューニングピストンである、外圧出所の流体が第一の密閉空間の中に流れることができるチェックバルブ。好ましくは、外圧出所からの流体は、インフレーションバルブ（好ましくは外圧出所からのシュラーダーバルブなどのスプリングによって偏見的であるコアーピンを備えたバルブ）を通って第２の密閉空間に入ることができる。
【０５７５】
好ましくは、少なくとも１つのバルブと通信するピストンがある。
【０５７６】
好ましくは、圧力源を備えているピストンがある。
【０５７７】
好ましくはバルブである、インフレーションバルブ、好ましくはシュラーダーバルブなどのスプリングによって偏見的であるコアーピンを備えたバルブ。好ましくはバルブである、チェックバルブ。
【０５７８】
好ましくは、少なくとも１つのバルブに接続されたチャンバーのフィートがある。
【０５７９】
好ましくはインフレーションバルブ（好ましくはシュラーダーバルブなどのスプリングによって偏見的であるコアーピンを備えたバルブ）が言った出口弁である、バルブを閉じる場合、コアーピンはチャンバーに近づいている。好ましくは開くアクチュエーターに接続されたバルブのコアーピンである、あるいはバルブを閉じる。
【０５８０】
好ましくは、アクチュエーターである、バルブで動作するためのバルブアクチュエーター、バネ力操作されたバルブコアピンを有していること、圧力媒質出所に接続されるべきハウジングを備えていること、収納内に、始動するべきバルブを受け取るための（結合する、１つの）断面、シリンダー、所定のシリンダ壁直径のシリンダ壁に囲まれた、また第一のシリンダー端および第二のシリンダー端を有していること、第一のシリンダー端よりも結合する断面から遠ざかって一層である、シリンダーに移動して設置し、バネ力と係合することのための活性化するピンに固定してつながれるピストンは動作した、バルブのバルブコアピン、結合する断面の中で受け取られた、また導くチャンネル、シリンダーから結合する断面までの導く圧力媒体のための、ピストンがピストンが第一のシリンダー端からの第一の所定の距離にある第一のピストン位置の中に移動される場合、シリンダーと結合する断面の間の圧力媒体の伝導、禁じられること、ピストンが移動される場合第二のピストン位置の中に、その中でピストンは第一のシリンダー端からの第二のｐｒｅｄｅｒｍｉｎｅｄ距離にある、第二の距離、より大きい、よりも、第一の距離は言った、そこでは導くチャンネルは、シリンダ壁において配されて、所定のシリンダ壁直径を有しているシリンダ壁部分でシリンダーの中に開く、また、ピストンは、密封縁を備えたピストンリングを備えている、どれ、ｓｅａｌｉｎｇｌｙに、前記シリンダ壁部分を備えた適合、ピストンと開口の第２の位置のチャンネルの中に圧力媒質の伝導をそのために禁じること、ピストンの第一の位置のチャンネル。好ましくはアクチュエーターである、圧力媒質出所に接続されるべきハウジングを備えていて、バネ力操作されたバルブコアピンを有しているバルブで動作するためのバルブアクチュエーターである、収納内に、始動するべきバルブを受け取るための（結合する、１つの）断面、シリンダー、周辺に、所定のシリンダ壁直径のシリンダ壁に囲まれた、また第一のシリンダー端および第二のシリンダー端を有していること、第一のシリンダー端を言ったよりも結合する断面から遠ざかって一層で、圧力媒質を受け取ることのためのハウジングに接続される、から、前記圧力源、シリンダーに移動して設置し、バネ力と係合することのための活性化するピンに固定してつながれるピストンは動作した、結合する断面の中で受け取られたバルブのバルブコアピンおよび前記第二のシリンダー終わりの間の導くチャンネル、また結合する断面は、ピストンがピストンが前記第一のシリンダー終わりからの第一の所定の距離にある第一のピストン位置の中に移動される場合に、結合する断面の前記第二のシリンダー終わりから圧力媒質を伝導することのための言った、前記第二のシリンダー端と結合する断面の間の圧力媒質の前記伝導、ピストンがピストンが前記第一のシリンダー端からの第二のｐｒｅｄｅｒｍｉｎｅｄ距離にある第二のピストン位置の中に移動される場合に、禁じられること、どれ、第一の距離を言ったよりも大きい第二の距離、導くチャンネルは、前記シリンダ壁において配されて、所定のシリンダ壁直径を言ったシリンダ壁部分でシリンダーの中に開くチャンネル部分を有している。また、ピストンは、密封縁を備えたピストンリングを備えている、どれ、ｓｅａｌｉｎｇｌｙに、前記シリンダ壁部分を備えた適合、そのために、間に配置されているピストンリングの密封縁がチャンネル部分を言い禁じて、前記第二のピストン位置の第二のシリンダー端を言った、、前記第二のピストン位置のチャンネルへの前記第二のシリンダー端からの圧力媒質の伝導は言った、また間に配置されている、そのために、チャンネル部分は言い、前記第一のピストン位置の第一のシリンダー端を言った、開口、前記第一のピストン位置の前記第二のシリンダー端へのチャンネル。
【０５８１】
好ましくは活性剤である、コンテナータイプピストン圧管理システムのためのアクチュエーターバルブ、選択的に、コンテナータイプピストンの内部への供給材料加圧エア、バルブを備えていることを言った、前記加圧された流体、および前記コンテナータイプピストンの内部への筒状中心通路開口を備えたバルブ本体、閉鎖する前記中心通路できつく受け取られたばね付逆止弁は、中心通路を言った、いつ、閉じて、流体の流れを許可する、を介して、開かれた時、スプリングは、内側は受け取られたピストンｓｌｉｄａｂｌｙを装填した、前記加圧された流体が供給される場合、前記チェックバルブへのはずれ位置から掛り位置の方にこっそり動く前記チェックバルブの上の通過は言った、そしてから、再び、前記加圧された流体は削除される、ピストンは言った、無制限の滑動を許可するべき十分なクリアランスを備えた前記中心通路の表面への係合、しかし、ない、緊密に、十分に、前記ピストンと中心通路表面の間の加圧された流体の漏れを防ぐために、ステム、運ばれた、によって、ピストンは言った、そして、それを開き、かつ許可するべき前記チェックバルブで係合することができる前記チェックバルブ、および前記ピストンとして内部前記コンテナータイプピストンへの加圧された流体の通過は、掛り位置に移る、前記チェックバルブとピストンの間の前記中心通路の静止しているプラグ、どれを介して、ステムが延びる、それは通常軸方向に前記ピストンから間隔を置かれるが接する、その掛り位置の中のピストンは言った、それとして前記ピストンを過ぎて漏れる、加圧された流体が移動するように、前記ステムの近くでベント点で大気から前記プラグとピストンの間のスペースに半径方向に衝突するベント経路を有している前記プラグは、その運動を遅らせるために前記プラグとピストンの間に圧縮しない、そして、円形に圧縮シールを囲むことはベント点を言った、前記チェックバルブが開いている場合、前記ピストンを過ぎて漏れる加圧エアが大気に出ることができないように、それらに接する場合それは前記ピストンとプラグの間で圧縮される。
【０５８２】
好ましくは活性剤である、コンテナータイプピストン圧管理システムのためのアクチュエーターバルブ、選択的に、供給材料は、前記コンテナータイプピストンの内部への流体を加圧した、バルブを備えていることを言った、筒状中心通路開口を備えたバルブ本体、前記加圧された流体への両方、また前記コンテナータイプピストンの内部に、ばね付逆止弁、きつく、前記中心通路で受け取られた、それは閉鎖する、中心通路は言った、いつ、閉じた、また流体の流れを許可する、を介して、開かれた時、スプリングは、内側は受け取られたピストンｓｌｉｄａｂｌｙを装填した、前記加圧された流体が供給される場合、前記チェックバルブへのはずれ位置から掛り位置の方にこっそり動く前記チェックバルブの上の通過は言った、そしてから、再び、前記加圧された流体は削除される、ピストンは言った、無制限の滑動を許可するべき十分なクリアランスを備えた前記中心通路の表面への係合、しかし、ない、緊密に、十分に、前記ピストンと中心通路表面の間の加圧された流体の漏れを防ぐために、ステム、運ばれた、によって、ピストンは言った、そして、それを開き、かつ許可するべき前記チェックバルブで係合することができる前記チェックバルブ、および前記ピストンとして内部前記コンテナータイプピストンへの加圧された流体の通過は、掛り位置、外側環状ディスクおよび内側環状ディスクに移る、接した、の中で、中心通路は前記チェックバルブとピストンの間のプラグを形成する、どれを介して、ステムが延びる、前記外側ディスクから通常軸方向に間隔を置かれている前記ピストン、しかし一連の穴を有しているその掛り位置と前記外側ディスクの中でその上に半径方向に接した、それが移動するとともに、前記ピストンを過ぎて漏れる、加圧された流体がその運動を遅らせるために前記プラグとピストンの間に圧縮しないように、大気から前記プラグとピストンの間のスペースに衝突するベント経路を作り出すために前記内側ディスクにつけた一連のノッチへの前記ステム開口に閉じる、また、囲んでいる円形圧縮アザラシは、前記チェックバルブが開いている場合、前記ピストンを過ぎて漏れる、加圧された流体が大気に出ることができないようにに接する場合、前記ピストンおよびプラグの間で圧縮される穴を言った。圧力源に接続されるべきハウジングを備えていて、好ましくはインフレーションバルブに接続するための活性化するピンである、収納内に、接続ホール、中心軸と内部径をほぼ有していること、活性化するピンが接続されることになっているインフレーションバルブの外径に対応する、またシリンダーと圧力源の間の導く液体培地のためのシリンダーおよび手段、また、活性化するピンが中央バネ力に係合するために配される場合、動作した、インフレーションバルブのコアーピン、それの中心軸で連結穴の継続中のハウジング内に同軸で位置しているために配され、ピストンを備えている、ピストン（第一のピストン位置と第二のピストン位置の間で可動シリンダーの中で位置するために、ピストンはそれである）を手放す、チャンネルを備えている、活性化するピン、ピストン部分が第一の端および第二の端（そこではピストンは前記第一の終わりで配置されていて、チャンネルが前記第一の終わりで開口を有している）を備えている、バルブ部品、チャンネルにおいて可動である、第一のバルブ位置と第二のバルブ位置の間にバルブ部品の表面に作用する力の差によって推論可能。そこでは前記第一のバルブ位置は前記開口開路を残す、また第二のバルブ位置が閉じる、開口、およびバルブが意味するバルブのシール面のためのバルブシートを形成するピストン部分の上面は言った。
【０５８３】
好ましくはバルブアクチュエーターである、ハウジングを備えていて、インフレーションバルブに接続するための活性化するピン、収納内に、インフレーションバルブで結合するための連結穴、連結穴、中心軸および外側開口を有していること、インフレーションバルブの位置を決めるためのポジショニング手段、連結穴の中で結合された時、また活性化するピン、連結穴で同軸で配されている、中央バネ力を低下させることのための、動作した、インフレーションバルブのコアーピン、圧力源に接続される全圧ポートと共に提供されるシリンダ壁を有しているシリンダー、活性化するピンは、ポジショニングに対して、近いピン位置と遠位のピン位置の間でどこで移動できるか、その遠位のピン位置のインフレーションバルブのコアーピンを低下させて、かつインフレーションバルブがポジショニングによって位置する場合に、その近いピン位置のインフレーションバルブのコアーピンを解放するように意味する、意味する、活性化するピンは、ピストンと結び付けられる。また、ピストンはシリンダーの中でｓｌｉｄｉｎｇｌｙに配され、近いピストン位置（それは近いピン位置に相当する）と遠位のピストン位置（それは遠位のピン位置に相当する）の間で可動である、ピストンは、全圧ポートと連結穴の間のシリンダーに配置され、その近いピストン位置からその遠位のピストンまで運転できる。（そしてそれ）圧力源からのシリンダーの中に供給された圧力による位置、流量調整弁手段は、ピストン位置に依存する圧力源と連結穴の間の動力伝達の流れを選択的に中断するか解放することのための提供され適している、少なくともインフレーションバルブがｐｏｓｉｔｉｏｍｎｇ手段によって位置する場合、近いピストン位置および動力伝達の流れで動力伝達の流れが中断されるようなものは、遠位のピストン位置で解放される。
【０５８４】
好ましくは、前もって定義した圧力レベルを得るピストンを備えている手段がある。好ましくはバルブである、逃し弁。
【０５８５】
好ましくは、圧力がある前もって定義した圧力値上に来る場合、バルブアクチュエーターの上のチャンネルを閉じるバネ力操作されたキャップがある。好ましくはチャンネルである、開かれるか閉じられる、チャンネルは、バルブアクチュエーターとコアーピンの間のチャンバーおよびスペースを接続する、ピストンは、開口位置と前記チャンネルの閉鎖ポジションの間で可動である。また、ピストンの移動は、ピストン中の圧力の測定の結果操縦されるアクチュエーターによってコントロールされる。好ましくはチャンネルである、開かれるか閉じられる、それはバルブアクチュエーターとコアーピンの間のチャンバーおよびスペースを接続する。
【０５８６】
好ましくは開口位置と前記チャンネルの閉鎖ポジションの間で可動ピストンである。
【０５８７】
好ましくは動作されたピストンである、オペレーターはペダルをコントロールした。それは、車軸のまわりで不活発な位置から活性化された位置へ、および逆もまた同様変わっている。
【０５８８】
好ましくは、ピストン中の圧力の測定の結果操縦されるアクチュエーターによってコントロールされたピストンがある。
【０５８９】
好ましくは、密閉空間の流体の圧力がストロークの間中ピストンに作用する圧力に関するように、密閉空間のボリュームを定義するための手段をさらに備えている組み合わせがある。
【０５９０】
好ましくは、提供するのに適した泡または流体が、コンテナー（チャンバーの第２の縦位置からそれの第一の縦位置への、または逆もまた同様ピストンの並進移動中の周囲の大気の最も高圧力よりも高い圧力）内にある。好ましくは、圧力源を備えている組み合わせがある。
【０５９１】
好ましくは圧力源を有している、コンテナーの圧力レベルよりも高圧レベル。
【０５９２】
好ましくは、出口弁と入口弁によってコンテナーと通信する圧力源がある。
【０５９３】
好ましくはインフレーションバルブ（好ましくはシュラーダーバルブなどのスプリングによって偏見的であるコアーピンを備えたバルブ）が言った出口弁である、バルブを閉じる場合、コアーピンは圧力源に近づいている。好ましくはインフレーションバルブ（好ましくはシュラーダーバルブなどのスプリングによって偏見的であるコアーピンを備えたバルブ）が言った入口弁である、バルブを閉じる場合、コアーピンはコンテナーに近づいている。
【０５９４】
好ましくはチャンネルである、開かれるか閉じられる、それはバルブアクチュエーターとコアーピンの間のチャンバーおよびスペースを接続する。
【０５９５】
好ましくはチャンネルである、開かれるか閉じられる、それはバルブアクチュエーターとコアーピンの間のチャンバーおよびスペースを接続する。好ましくは開口位置と前記チャンネルの閉鎖ポジションの間で可動ピストンである。
【０５９６】
好ましくはチャンネルである、開かれるか閉じられる、チャンネルは、スペース経由でバルブアクチュエーターとコアーピンの間のチャンバーおよびスペースを接続する、ピストンは、開口位置と前記チャンネルの閉鎖ポジションの間で可動である。また、ピストンの移動は、圧力源のピストンおよびそれ中の圧力レベルの測定の結果操縦されるアクチュエーターによってコントロールされる。
【０５９７】
好ましくはチャンネルである、開かれるか閉じられる、チャンネルは、スペース経由でバルブアクチュエーターとコアーピンの間のチャンバーおよびスペースを接続する、ピストンは、開口位置と前記チャンネルの閉鎖ポジションの間で可動である。また、ピストンの移動は、圧力の圧力レベルの測定の結果操縦されるアクチュエーターによってコントロールされる、の中で、また圧力源のそれ。
【０５９８】
好ましくは、弾力的に強化材手段を備えている変形可能材料を備えているコンテナーの壁がある。
【０５９９】
好ましくは強化材ｗｉｎｄｉｎｇｓを有している、５４の［度］４４’とは異なるブレード角度。好ましくは強化材である、織物の強化材を備えていることを意味する、第一の縦位置へ移動する場合それはコンテナーの膨張を可能にし、第二の縦位置へ移動する場合、短縮を可能にする。
【０６００】
好ましくは、多数の加硫洞穴を備えたプロダクションシステムによって作製されたピストンがある。
【０６０１】
好ましくは強化材である、繊維を備えていることを意味する、移動する場合それはコンテナーの膨張を可能にする、に、より大きな、第一の縦位置、また第二の縦位置へ移動する場合、短縮を可能にする。
【０６０２】
好ましくは、ファイバーが大文字の内部に押しつけられている間に、多数の加硫洞穴、およびファイバーがいろいろな速度でファイバーとキャブの回転によってキャップの洞穴にどこで装着されているかを備えたプロダクションシステムによって作製されたピストンである。
【０６０３】
好ましくは、格子効果に関して配されたファイバーがある。
【０６０４】
好ましくは強化材である、コンテナーの中で位置した柔軟性材料を備えていることを意味する、備えていること、少なくとも実質的に複数、共通の部材に回転自在に固定された弾性支持部材、コンテナーのスキンに接続された共通の部材。
【０６０５】
好ましくは前述の部材および／またはである、膨張式の共通の部材。
【０６０６】
好ましくはコンテナーの壁に対する圧力である、バネ力によって増す、動作した、デバイス。
【０６０７】
好ましくは、コンテナーの外部で位置する強化材を備えているピストンがある。好ましくは、テーパ壁のまわりのシリンダーの中で移動するコンテナーがある。好ましくはチャンバーである、凸状、そして操作力接線、１つの、ストロークの間中最大調速機制御力を設定する。
【０６０８】
本発明の実施形態によれば、ｐｒｅｃｅｅｄｉｎｇするステートメントまたは曲げることができる壁を有しているコンテナーを備えているピストンの組み合わせのうちのどれもによって組み合わせ、または生産サイズを備えたコンテナーをほぼ備えているピストンの組み合わせがまた提供される、チャンバーの第一の縦位置のｃｉｒｃｕｍｐｈｅｒｅｎｃｉａｌな長さのサイズ、強化材を有していること、どれ、高い摩擦力を備えた短縮を許可する、そこで：異なる断面積の断面は異なる横断面形状、１番目の間で少なくとも、実質的に連続的チャンバーの横断面形状の変化およびチャンバーの第二の縦位置を有している、ピストンはどこでさらにか、それ自体を適合させるつもりだった、そしてその、密閉は異なる横断面形状に意味する。
【０６０９】
好ましくは少なくとも実質的にそれの第一の縦位置のチャンバーの横断面形状である、円形、そして、そこではそれの第２の縦位置のチャンバーの横断面形状は、第一のディメンションへの角度で少なくとも３などの、好ましくは１ディメンション当たり少なくとも４回少なくとも２である第一のディメンションを有している楕円形などの細長い。
【０６１０】
好ましくは少なくとも実質的にそれの第一の縦位置のチャンバーの横断面形状である、円形、そして、それの第２の縦位置のチャンバーの横断面形状は、どこで少なくとも実質的に２以上を備えているか、細長い、などの、ローブ形である、部分。
【０６１１】
好ましくは好ましくはそれの総計８５−１１５％などの８０−１２０％までになる第一の縦位置でのシリンダーの横断面形状の第一の円周長さである、９０−１１０、それの第２の縦位置のチャンバーの横断面形状の第二の円周長さに、９５−１０５などの好ましくは９８−１０２％。
【０６１２】
好ましくは少なくとも実質的に最初と第２円周長さである、同一。本発明の実施形態によれば、内側チャンバー壁によって境界があり、ｓｅａｌｉｎｇｌｙにチャンバー（少なくともそれの第二の第二の縦位置からそれの第一の縦位置へチャンバーにおいて可動ピストン）において可動であるためにチャンバーのピストンを備えている細長いチャンバーを備えているピストン燃焼室組み合わせがまた提供される、少なくとも１番目と２番目縦位置間のチャンバー壁の長さの一部に沿った弾力的に変形可能な内壁を備えているチャンバー、チャンバー、有していること、第一の縦位置で、それの、ピストンがその位置に位置する場合、第一の断面積、ピストンがその位置に位置する場合、チャンバーの第２の縦位置での第二の断面積よりも大きい、チャンバーの断面の変化、少なくとも実質的にある、ピストンが１番目と第二の縦位置の間で移動される場合、１番目と第二の縦位置の間で連続的、ピストン、弾力的に拡張可能なコンテナーを有していること、変わりやすい幾何学的図形を有していること、適合させる、に連続的シーリング、およびチャンバーの第２の縦位置に位置した時その生産サイズを有しているピストンを可能にして、ピストンストロークの間中互いにそのために。
【０６１３】
好ましくは、少なくとも、実質的に圧縮不可能な材料で作られていたピストンがある。
【０６１４】
好ましくは、縦の軸（チャンバーの第一の縦位置からそれの第２の縦位置へ方向に先細になる形）に沿った断面の中で、ピストンを有している。
【０６１５】
好ましくは、壁と、ピストンのテーパーの壁とチャンバーの中心軸の間の角度よりも少なくとも小さいシリンダーの中心軸の間の角度がある。好ましくは、外側支持物および内壁によって定義されたスペースによって保持された内壁と流体を取り囲む外側支持物を備えているチャンバーがある。
【０６１６】
好ましくは、外部構造物および膨張式の内壁によって定義されたスペースがある。好ましくはピストンである、変形可能材料を備えていて、ステートメント７〜１７によって設計された弾力的に変形可能なコンテナーを備えている。
【０６１７】
本発明の実施形態によって、そこに、提供される、流体を汲むためのポンプ、ポンプ、以前に言及されたステートメントのうちのどれもによって組み合わせを備えていること、チャンバーの外側の位置からのピストンに係合するための手段、流体入り口、チャンバーに接続された、またバルブを備えていること、意味する、また流体出口、チャンバーに接続された。
【０６１８】
好ましくは有している、係合は、ピストンがチャンバーの第一の縦位置にある、外側位置、およびピストンがチャンバーの第２の縦位置にある内側位置を意味する。
【０６１９】
好ましくは有している、係合は、ピストンがチャンバーの第２の縦位置にある、外側位置、およびピストンがチャンバーの第一の縦位置にある内側位置を意味する。
【０６２０】
本発明の実施形態によれば、緩衝装置を備えていることが提供される：ｐｒｅｃｅｅｄｉｎｇするステートメント１−８０のうちのどれもによる組み合わせ、チャンバーの外側の位置からのピストンに係合するための手段、そこで、係合は意味する、ピストンがチャンバーの第一の縦位置にある、外側位置、およびピストンが第２の縦位置にある内側位置を有している。
【０６２１】
好ましくは、チャンバーに接続された流体入り口を備えている緩衝装置がある。また、バルブを備えていることは意味する。
【０６２２】
好ましくは、チャンバーに接続された流体出口をさらに備えている緩衝装置がある。また、バルブを備えていることは意味する。好ましくはチャンバーとピストンを形成する、流体（ピストンが第一からチャンバーの第２の縦位置へ移動する場合に圧縮した流体）を備えている実質的に密封したキャビティ。好ましくはチャンバーの第一の縦位置へのピストンにバイアスをかけるための手段をさらに備えている緩衝装置。
【０６２３】
本発明の実施形態によれば、アクチュエーターを備えていることが提供される：ステートメント１−８０に先行すること、チャンバーの外側の位置からのピストンに係合するための手段、第一間のピストンを置き換えるためにチャンバーの中に流体を導入するための手段およびチャンバーの第２の縦位置のうちのどれもによる組み合わせ。
【０６２４】
好ましくは、チャンバーに接続され、バルブを備えている流体入り口をさらに備えているアクチュエーターは意味する。
【０６２５】
好ましくは、チャンバーに接続され、バルブを備えている流体出口をさらに備えているアクチュエーターは意味する。
【０６２６】
好ましくは１番目またはチャンバーの第二の縦位置へのピストンにバイアスをかけるための手段をさらに備えているアクチュエーター。
【０６２７】
好ましくは、導入する手段は、チャンバーの中に気圧調節された流体を導入するための手段を備えている。
【０６２８】
好ましくは、チャンバー、およびアクチュエーターが燃焼性の流体を消費するための手段をどこでさらに備えているかの中に、ガソリンまたはディーゼル機関などの燃焼性の流体を導入するのに適した、導入する手段がある。
【０６２９】
好ましくはチャンバーへの拡張可能な流体、およびアクチュエーターがそこでのためのさらに手段を備えているかを導入するのに適した、導入する手段である、拡張可能な流体を拡張する。好ましくは、ピストンの並進移動をクランクの回転に翻訳するのに適したクランクをさらに備えているアクチュエーターがある。好ましくは、モーター、ここで、先のステートメントのうちのどれもによって組み合わせを備えていること
好ましくは先のステートメント、電源およびパワーデバイスのうちのどれもによって組み合わせを備えている動力部。好ましくは、可動動力部がある。
【０６３０】
６５３−２  明確には好ましい実施形態
本発明の実施形態によれば、内側チャンバー壁によって制限され、ｓｅａｌｉｎｇｌｙに少なくとも第一の縦位置とチャンバーの第二の縦位置の間の前記チャンバー壁に対して可動であるために前記チャンバーのピストンを備えていている、細長いチャンバーを備えているピストン燃焼室組み合わせが提供される、１番目と２番目縦位置で異なる断面積および異なる円周長さの断面を有しているチャンバーは言った、（実質的に）また１番目の間の中間縦通材位置および第二の縦位置での少なくとも、連続的に異なる断面積および円周長さ、前記第二の縦位置での断面積および円周長さ、前記第一の縦位置での断面積および円周長さよりも小さい、ピストンは言った、コンテナーを備えていること、弾力的に、そのために変形可能である、ピストンの異なる断面積および円周長さに備えること、ピストンの相対動作の間のチャンバーの前記異なる断面積および異なる円周長さへの同じを適合させること１番目と、チャンバーの前記中間縦通材位置を介して第二の縦位置の間で、前記コンテナーは膨張式で、異なる断面積および円周長さに備えるのに弾力的に変形可能である。そこでは前記ピストンは圧力源と通信している。
【０６３１】
好ましくは、密閉空間（可変ボリュームを有している密閉空間）を通って連絡場所を行なう。
【０６３２】
好ましくは、バルブを通って連絡場所を行なう。
【０６３３】
好ましくは、出口弁と入口弁によってコンテナーと通信する圧力源がある。好ましくは出口弁である、インフレーションバルブ、好ましくは、シュラーダーバルブなどのスプリングによって偏見的であるコアーピンを備えたバルブは、バルブを閉じる場合コアーピンが圧力源に近づいている。
【０６３４】
好ましくは入口弁である、インフレーションバルブ、好ましくは、シュラーダーバルブなどのスプリングによって偏見的であるコアーピンを備えたバルブは、バルブを閉じる場合コアーピンがコンテナーに近づいている。
【０６３５】
本発明の実施形態によれば、圧力媒質出所に接続されるべきハウジングを備えていて、バネ力操作されたバルブコアピンを有しているバルブで動作するためのバルブアクチュエーターがまた提供される、収納内に、始動するべきバルブを受け取るための（結合する、１つの）断面、シリンダー、所定のシリンダ壁直径のシリンダ壁に囲まれた、また第一のシリンダー端および第二のシリンダー端を有していること、第一のシリンダー端よりも結合する断面から遠ざかって一層である、シリンダーに移動して設置し、バネ力と係合することのための活性化するピンに固定してつながれるピストンは動作した、バルブのバルブコアピン、結合する断面の中で受け取られた、また導くチャンネル、シリンダーから結合する断面までの導く圧力媒体のための、ピストンがピストンが第一のシリンダー端からの第一の所定の距離にある第一のピストン位置の中に移動される場合、シリンダーと結合する断面の間の圧力媒体の伝導、禁じられること、ピストンが移動される場合、第二のピストン位置の中に、その中でピストンは第一のシリンダー端からの第二のｐｒｅｄｅｒｍｉｎｅｄ距離にある、第二の距離、より大きい、よりも、第一の距離は言った、そこでは導くチャンネルは、シリンダ壁において配されて、所定のものを有しているシリンダ壁部分でシリンダーの中に開く。シリンダ壁直径、また、ピストンは、密封縁を備えたピストンリングを備えている、どれ、ｓｅａｌｉｎｇｌｙに、前記シリンダ壁部分を備えた適合、ピストンと開口の第２の位置のチャンネルの中に圧力媒質の伝導をそのために禁じること、ピストンの第一の位置のチャンネル。
【０６３６】
好ましくは、チャンネルは開くか閉じることができる。それはバルブアクチュエーターとコアーピンの間のチャンバーおよびスペースを接続する。
【０６３７】
好ましくは、チャンネルは開くか閉じることができる。それはバルブアクチュエーターとコアーピンの間のチャンバーおよびスペースを接続する。
【０６３８】
好ましくは開口位置と前記チャンネルの閉鎖ポジションの間で可動ピストンである。
【０６３９】
できる（好ましくは）チャンネル、開かれるか閉じられる、チャンネルは、スペース経由でバルブアクチュエーターとコアーピンの間のチャンバーおよびスペースを接続する、ピストンは、開口位置と前記チャンネルの閉鎖ポジションの間で可動である。また、ピストンの移動は、圧力源のピストンおよびそれ中の圧力レベルの測定の結果操縦されるアクチュエーターによってコントロールされる。
【０６４０】
できる（好ましくは）チャンネル、開かれるか閉じられる、チャンネルは、スペース経由でバルブアクチュエーターとコアーピンの間のチャンバーおよびスペースを接続する、ピストンは、開口位置と前記チャンネルの閉鎖ポジションの間で可動である。また、ピストンの移動は、ピストン中の圧力の圧力レベルおよび圧力源のその測定の結果操縦されるアクチュエーターによってコントロールされる。
【０６４１】
好ましくは、第一の密閉空間を備えている前述の密閉空間がある。好ましくは、第二の密閉空間を備えている前述の密閉空間がある。好ましくは第一の密閉空間を備えている、スプリングを偏見的である圧力チューニングピストンを備えている。本発明の実施形態によれば、第一の密閉空間のボリュームを定義するための手段がまた提供される。その結果、第一の密閉空間の流体の圧力は第２の密閉空間の圧力に関する。
【０６４２】
好ましくはスプリングを偏見的である圧力チューニングピストンである、外圧出所の流体が第一の密閉空間の中に流れることができるチェックバルブ。
【０６４３】
好ましくは外圧から流体に入る、インフレーションバルブ（好ましくはシュラーダーバルブなどのスプリングによって偏見的であるコアーピンを備えたバルブ）を通って第２の密閉空間を部品外注する。
【０６４４】
好ましくは、ピストンである、ストレスフリーおよび不具でない状態のコンテナーの生産サイズを有しているために作製された、それの、の中で、ピストンの円周長さは、ほぼ等価である、前記第二の縦位置の前記チャンバーの円周長さ、コンテナー、チャンバーの長手方向に関して方向のその生産サイズからｔｒａｎｓｖｅｒｓａｌｌｙに拡張可能である、そのために、生産サイズからのピストンの膨張に備えること、それの、前記第二の縦位置から前記第一の縦位置へのピストンの相対動作の間中；
好ましくは、それについてそれの第一の縦位置の前記チャンバーの断面積の９８％と５％の間の第２の縦位置の前記チャンバーの断面積である。
【０６４５】
好ましくは組み合わせである、ここで、それの第２の縦位置の前記チャンバーの断面積、それの第一の縦位置の前記チャンバーの断面積の９５−１５％。好ましくはそれの第２の縦位置の前記チャンバーの断面積である、第一の縦位置の前記チャンバーの断面積のほぼ５０％それについて。
【０６４６】
好ましくはコンテナーの壁を備えている、弾力的に強化材手段を備えている変形可能材料。
【０６４７】
好ましくはコンテナーを包含している、変形可能材料。
【０６４８】
好ましくは変形可能材料である、流体または水、スチームおよび／または気体または泡などの流体の混合物。
【０６４９】
５０７  発明の要約。
【０６５０】
それの本発明および実施形態のバルブアクチュエーターはそれぞれ１７まで請求項１と請求項２の主題である。バルブ継手および圧力容器または、ハンドポンプ、本発明のバルブアクチュエーターを備えていることはそうである、請求項１８と請求項１９の主題、それぞれ。請求項２０は、静止している構築でのバルブアクチュエーターの使用に向けられる。
【０６５１】
本発明は、シリンダーの安い組み合わせを備えているバルブアクチュエーターを提供する、の内に、活性化するピンを駆動するどれピストンの中で、移動する、また単純な構築を有している、活性化するピン。活性化するピンがバネ力に係合するところで、この組み合わせは、化学工場などの静止している構築の中で使用することができる、動作した、バルブ（たとえば逃し弁）のコアーピン、のほかに、バルブ継手（たとえばビークルタイヤを膨張させることのための）。従来のバルブ継手の損失、本発明のバルブアクチュエーターによって克服された。このバルブアクチュエーター特徴、ピストンがその第一の位置の中で、シリンダーの第一の端からの第一の所定の距離にある場合に、シリンダーの中にふさわしいピストンリングを有しているピストン。ピストンの第二の位置では、それは、シリンダーの第一の端からの第二の所定の距離にある。そこでは第２の所定の距離は第一の所定の距離よりも大きい。シリンダ壁は、ピストンが第一の位置にある、ピストンが第２の位置にある場合に、シリンダーと結合する断面の間のガスのおよび／または液体培地の伝導が、ピストンによって禁じられる場合に、シリンダーと結合する断面の間のガスのおよび／または液体培地の伝導を許可することのための導くチャンネルを備えている。
【０６５２】
請求項６に記載の本発明のバルブアクチュエーターの１つの実施形態、特徴、圧力源から始動するべきバルブまでの導くチャンネル、圧力源から流れ、そして開かれたバネ力まで媒体を可能にして、ピストンが第一の位置にある場合、それはシリンダーの底の活性化するピンのピストンのまわりで配されたシリンダ径の拡大を備えている、動作した、バルブコアピン、シュラーダーバルブからたとえば。シリンダーの直径の拡大は均一のことがある。あるいは、シリンダ壁は、シリンダーのボトムの近くの１つまたはいくつかの断面を包含していることがある、ここで、シリンダーのセンターラインとシリンダ壁増加の間の距離、その結果、ピストンが第一の位置にある場合、ガスのおよび／または液体培地は、自由にピストンリングの縁のまわりで流れることができる。この実施形態の変形は、そのシリンダーが２度直径の拡大を有しているバルブアクチュエーター配列を有している。拡大の間の距離は、密閉する手段の密閉するレベルの間の距離と同じでありえる。異なるサイズの３つのバルブを結合することができる場合、バルブアクチュエーターは、３つの拡大を備えたシリンダーを備えていることがある。しかしながら、また、シリンダーの直径の拡大のための単一の配列を有しているバルブアクチュエーターに異なるサイズのバルブを接続することは可能である。今、したがって、拡大の数は結合することができるバルブの異なるバルブサイズの数とは異なることができる。
【０６５３】
請求項１０に記載の本発明の別の実施形態はバルブアクチュエーターの本体の一部を介して導くチャンネルを特色とする。チャンネルは、シリンダーと、バルブにつながれるバルブアクチュエーターの部分の間のガスのおよび／または液体培地のための通過を形成する。シリンダーのチャンネル開口のオリフィスは設置する、ピストンが第一の位置にある場合、圧力源からシリンダーまで流れるガスのおよび／または液体培地を加圧したようなものは、始動するべきバルブへのチャンネルを通ってさらに流れることがある。ピストンが第２の位置にある場合、それは閉鎖する、シリンダー、その結果流れ、ガスで、加圧された、あるいはチャンネルの中に液体培地、可能でない。
【０６５４】
空気（混合、の）の代わりに、どんな種類の気体および／または液体も活性化ピンを活性化することができ、ピストンがその第一の位置にある場合、バルブアクチュエーターのピストンのまわりで流れることができる。本発明は、結合する方法またはコネクター中の連結穴の数に関係なくバネ力操作されたコアーピン（たとえばシュラーダーバルブ）を備えたバルブがつなぐことができるすべてのタイプのバルブ継手の中で使用することができる。更に、バルブアクチュエーターに例えば結合することができる、手押し空気入れ、自動車ポンプまたはコンプレッサー。バルブアクチュエーターもバルブ継手中の安全にする手段のアベイラビリティに関係なく任意の圧力源（たとえばハンドポンプまたは圧力容器）に統合することができる。また、アクチュエーターの活性化するピンが永久にマウントされたバルブのコアーピンに係合する永久の構築の中で使用されることは本発明にとって可能である。
【０６５５】
５０７  明確には好ましい実施形態
本発明の実施形態によれば、収納内に、バネ力操作されたバルブコアピン（圧力媒質出所に接続されるべき備えているａハウジング）を有しているバルブで動作するためのバルブアクチュエーターが提供される、始動するべきバルブを受け取るための（結合する、１つの）断面、シリンダー、所定のシリンダ壁直径のシリンダ壁に囲まれた、また第一のシリンダー端および第二のシリンダー端を有していること、第一のシリンダー端よりも結合する断面から遠ざかって一層である、シリンダーに移動して設置し、バネ力と係合することのための活性化するピンに固定してつながれるピストンは動作した、バルブのバルブコアピン、結合する断面の中で受け取られた、またシリンダーから結合する断面までの導く圧力媒体のための導くチャンネル、ピストンがピストンが第一のシリンダー端からの第一の所定の距離にある第一のピストン位置の中に移動される場合、シリンダーと結合する断面の間の圧力媒体の伝導、禁じられること、ピストンが移動される場合ピストンが第一のシリンダー端からの第二のｐｒｅｄｅｒｍｉｎｅｄ距離にある、第二のピストン位置、どれ、第一の距離を言ったよりも大きい第二の距離、そこで：＜”＞の導くチャンネルは、シリンダ壁において配されて、所定のシリンダ壁直径を有しているシリンダ壁部分でシリンダーの中に開く。また、ピストンは、密封縁を備えたピストンリングを備えている、どれ、ｓｅａｌｉｎｇｌｙに、前記シリンダ壁部分を備えた適合、ピストンと開口の第２の位置のチャンネルの中に圧力媒質の伝導をそのために禁じること、ピストンの第一の位置のチャンネル。
【０６５６】
好ましくは、０を越える前述の第一の所定の距離がある。
【０６５７】
好ましくは前述の第一の所定の距離である、ほぼ０。好ましくは、それは、第一のピストン位置のピストンの移動を制限するためにストッパーを備えていている。
【０６５８】
好ましくは、それは、ピストンが第一のピストン位置にある場合に、前記先細り部分と一致するためにシリンダーの第一の端に先細り部分およびピストンの円錐形の部分を備えていている。好ましくは、ピストンがその第一のピストン位置にある場合に、圧力媒質がピストンリングの縁のまわりで自由に流れることができるように、その第一のピストン位置にある場合にピストンのまわりで半径方向にあるために配されるシリンダ壁直径の拡大によって形成された、導くチャンネルがある。好ましくは、シリンダ壁の円周の１つまたはいくつかの断面で形成されたシリンダ径の拡大がある。
【０６５９】
好ましくは、０の［度］、および２０未満の［度］（そこではｐｒｅｄｅｔｅｉｒｎｉｎｅｄされたシリンダ壁直径を有している、筒状拡大壁部分とシリンダ壁部分の間で斜軸形の拡大壁部分は位置している）よりも大きい円筒軸を備えた角度を形成する筒状拡大壁部分および斜軸形の拡大壁部分を備えている拡大の壁がある。
【０６６０】
好ましくは、溝として形状の先細りチャンネル部分として設計された、筒状拡大壁部分と結合する断面の間の導くチャンネルのチャンネル部分か、またはシリンダーの重心軸と平行な穴（１０７）として設計されている。
【０６６１】
好ましくは、導くチャンネルによってシリンダ壁部分中のオリフィスに接続された、結合する断面がある、とピストンが第一のピストン位置にある場合に、オリフィスがピストンとシリンダーの第２の端の間で位置しているように、第一のシリンダー端から離れて位置しているオリフィスが言った。
【０６６２】
第三の所定の距離、およびシリンダーの第一の端からの第四の前もって定義した距離にそれぞれ対応して、好ましくは第三の位置および第四の位置へのシリンダー内にさらに可動ピストンである、前記第三、所定の距離はより大きい、よりも、第二の所定の距離および前記第四の前もって定義した距離は言った、より大きい、よりも、第三は言った、所定の距離；そしてシリンダーは、ピストンが前記第三位置にあり、ピストンが前記第四の位置にある場合に、シリンダーと結合する断面の間のガスのおよび／または液体培地の伝導を禁じている場合に、シリンダーと結合する断面の間のガスのおよび／または液体培地の伝導を許可することのための第二のチャンネルを備えている。好ましくは異なるタイプおよび／またはサイズのバルブ上にバルブアクチュエーターを密閉するための結合する断面を密閉する手段内に備えている実施形態である、そしてその、密閉は意味する、結合する断面の中心軸で同軸で位置していて、結合する断面の中心軸の方向に置き換えられている第一の環状シーリング部分および第二の環状の部分を備えている、第二の環状の部分および前記第一の環状の部分の直径が前記第二の環状の部分の直径よりも大きいよりも結合する断面の開口に第一の環状の部分が接近している。
【０６６３】
好ましくは内側は備えている実施形態である、結合、インフレーションバルブ上にバルブアクチュエーターを安全にするための安全にするねじを区分する。
【０６６４】
好ましくは前述の安全にするねじである、一時的な安全にするねじ。
【０６６５】
好ましくはシリンダースリーブとして形成され、ハウジングの中で固定され、密閉され、そして、前記傾けられた拡大壁部分が作られたシリンダ壁である、シリンダースリーブ、有していること、第一のシリンダー端から遠く離れている、壁部分、角度、その結果、ピストンリングはそこに密閉していない。
【０６６６】
好ましくは、ハウジングの壁のスナップロックによって固定され密閉された前述のシリンダースリーブがある。
【０６６７】
好ましくは内側は提供される実施形態である、結合、区分する、１つの、密閉は、バネ力とのバルブ上にバルブアクチュエーターを密閉することのための意味する、動作した、バルブコアピン。
【０６６８】
本発明の実施形態によれば、ハンドポンプ、手押し空気入れ、自動車ポンプ、圧力容器またはコンプレッサーにつながれて、バルブ継手がまた提供される。というのは、ビークルを膨張させることは、請求項１〜１６のうちのいずれかのバルブアクチュエーターを備えていて疲れるからである。
【０６６９】
本発明の実施形態によれば、ビークルタイヤを膨張させることのための、圧力容器またはハンドポンプがまた提供される、そこで：集積バルブアクチュエーター。本発明の実施形態によれば、化学工場などの静止している構築でバルブアクチュエーターがまた提供される。
【０６７０】
１９５９７の発明の要約。
【０６７１】
第一の側面では、本発明は、内側チャンバー壁によって制限され、ｓｅａｌｉｎｇｌｙに少なくとも第一の縦位置とチャンバーの第二の縦位置の間の前記チャンバー壁に対して可動であるために前記チャンバーのピストンを備えていている、細長いチャンバーを備えていて、ピストンとチャンバーの組み合わせに関する、と、前記組み合わせが前記表面へ比較的可動ところで、前記移動を可能にして、硬質表面に係合する組み合わせが言った。
【０６７２】
組み合わせの部分の相対的運動を可能にするための力供給者は、それら自身を移動させることがある。また、最後の言及された移動の経路は、いつでもピストンロッド、ピストンおよびチャンバーの相対的運動の経路に正確に応じない。したがって、力供給者および組み合わせのシステムは、損傷を回避するために可撓性をシステムのどこかに提供することがある。力供給者がすることがある場合、変わる力との組み合わせ、およびどれがまたすることがあるかへの係合、可能にするために硬質表面への組み合わせの非可動部を維持すること、相対的運動は言った、そこに、矛盾していることがある、組み合わせへの要求、場合、硬質表面が組み合わせに反力を供給する機能をまた有している。ポンプが１フィートの前記使用者によって硬質表面（たとえば床）まで保持されている間に、ポンプが人体によって係合される場合、言及された最後が起こることがある。明確には立っている人がタイヤを汲むことのための床ポンプを使用している場合、および明確には床がレベルでない場合。組み合わせ、すべきだ、したがって、力供給者の経路に続くために硬質表面に関して可動である。
【０６７３】
直ちに、側面は明確にはノンコンプライアンスの問題である、チャンバーが１番目および第二の縦位置に、および実質的に連続的に異なる断面積の断面を有していることと共に使用される場合、重要、１番目の間の中間縦通材位置および第二の縦位置での異なる断面積および円周長さ、横断面であるというより小さい前記第二の縦位置での断面積および円周長さ、で、前記、第一、また、縦位置これはその場合において有効である、ここで、断面積の、で、第一、異なるサイズだが等しい周囲寸法を有している第二の縦位置。
【０６７４】
エネルギーの削減の最高水準を得るためのｏｐｔｍｉｚｅｄされた実施形態の中で、チャンバー、たとえば、タイヤ膨張のための床ポンプはそのボトムでできるだけ小さい断面積を有している、そして１つの、その上面で最も大きな最も小さい断面積では、したがって、チャンバーからポンプの基礎まで遷移に係合する最も大きな力モーメントがある。したがって、組み合わせは力供給者の経路に続くために硬質表面に関して可動に違いない。第三の側面では、組み合わせは、硬質表面への組み合わせに係合し、ピストンの相対的運動を可能にし、チャンバー根拠を備えている、組み合わせは、基礎に堅く固定される、基礎が前記硬質表面へ比較的可動である。
【０６７５】
基礎は組み合わせの安定したポジショニングを保証して、硬質表面で３つの係合する表面を有していることがある、硬質表面さえ水平ではなかった。組み合わせはそれからすることがある、定期修理、３つの係合する表面のうちの２つの間の任意のライン。しかしながら、人間の力供給者の経路が通常３−次元の経路であるので、これは貧弱な溶液である。そして前記表面がレベルでない場合の組み合わせのポジショニングに対する補正、この溶液によって得ることができない。そして、タイヤ膨張のための床ポンプの場合には、通常硬質表面へのポンプの基礎を緊急の使用者の足である、どれ、だろう、ｐｒｏｈｉｂｉｔｅする、動作は言った。
【０６７６】
第四の側面では、組み合わせは、硬質表面への組み合わせに係合し、ピストンの相対的運動を可能にし、チャンバー根拠を備えている、組み合わせは、弾力的に変形可能なブッシングによって前記基礎に、柔軟にたとえば固定される。
【０６７７】
３つの係合する表面を備えた基礎と結合したこの溶液はすべての要求に応じる最適化された溶液である：基礎がｔｅｈ使用者の足によってたとえば抑えつけられた表面上に立っている間、組み合わせの経路は力供給者（たとえば使用者）によって使用されるあらゆる経路であることがある。だけでなく、できる、硬質表面、レベルでではない、償われる、その結果、基礎ではなく組み合わせはまだ垂直の水をｂｅｙｉｎｇしている、床ポンプの使用者はストロークの間中どんな経路も始めることができる。使用がしたことがある後、それに自動的に戻る組み合わせ、位置をすなわち休止させる、垂直、硬質表面。
【０６７８】
前記ブッシングのための代替技術的解決法はもちろん、たとえば可能である、シリンダーの端にボールジョイント、ボールを妨げることの内の所有株、基礎ボールはスプリングと結合することがある。それは、組み合わせの偏差を制限し、使用の後に違約するために偏差を返す。この溶液（示されない）はブッシングよりも高価なことがある。また、これは、異なるｃｉｃｕｍｆｅｒｅｎｔｉｕａｌなサイズの異なる断面積および同等のものを備えたピストン燃焼室組み合わせに有効である。
【０６７９】
このワッシャーがキャップ内のより大きな穴の内に可動ことがある間、案内装置はピストンロッドを備えた適切な仮縫いを備えた小さい穴を備えたワッシャーを備えていていることがある：ピストンロッドは、主として組み合わせの横断線方向に翻訳することがある。ワッシャーはすることがある、ｓｐｒｏｎｇ−力（たとえばキャブの穴の間のＯリング）および案内装置の外側によるそのデフォルト位置への汗かき。
【０６８０】
最後の言及された穴のサイズは、ピストンの構築がそれにどれくらい与えているかと一緒に、ピストンロッドの偏差程度をｄｅｔｅｒｍｉｎｇしている。ピストンロッドがピストンに堅く固定される場合、ピストンの構築は偏差程度を決定する。たとえば、ボールジョイントがピストンとピストンロッドの間で適用される場合、偏差程度は単に案内装置によって決定される。９番めの側面では、組み合わせの残りの長手中心軸に関してのピストンロッドの偏差を許可するために、案内装置の接触面は、案内装置の穴の凸状横断面の内壁によってたとえば円形ラインであることがある。１０番めの側面では、ピストンはピストンロッドの移動に応じるように丸くなられることがある。あるいは、回転できて、ピストンロッドへのピストンの連結は可撓なことがある。
【０６８１】
１１番目の側面では、本発明はピストンとチャンバーの組み合わせに関する、そこで：―  ハンドルの部分の中心線、組み合わせの中心軸の反対側の位置した、有している、１つの、中間に、１８０の［度］と異なる角度。
【０６８２】
ポンプのハンドルを操作する場合の使用者の手の中心線は、ハンドルが手によってつかまれて、どのようにｂｅｙｉｎｇしているかに依存して、異なる位置を有している。
【０６８３】
ケースのｏｉの古典的床ポンプで、一定のサイズの円形断面を備えたシリンダーで、高い労働力が生じることがある。このアームに接続されて、比較的高い力が手を介して使用者のアームから転送されることになっていれば、力モーメントが発生しない場合、手はアームに関して最も良く位置する。アームの縦の軸がハンドルの一部の軸の中心点（アームに接続されて、手によってつかまれたハンドル）を経験する場合、これが得られる。
【０６８４】
力の相対的な大きなサイズのため、ハンドルに対する手の理解力は堅いこれであるべきである、手カーブによって行われることがある、開いた拳が好きである：ハンドルのデザインは、円形断面を有している部分を備えていることがある。断面のサイズは、ピストン燃焼室の組み合わせの中心軸への距離に依存して変わることがある。
【０６８５】
ハンドルの部分間の好ましい角度は、平面垂直の中ですることがある、ピストン燃焼室組み合わせの中心軸、１８０の［度］である。しかしながら、また、それは１８０の［度］とは異なることがある。付加的に、角度は、１８０の［度］未満の前記中心軸を備えている平面であることがある。これらのｐｒｏｔｉｏｎｓから滑ることからの手を回避するために、停止はこれら用を供給されることがある、また力移転に使用されることがある。他のオプション、１８０の［度］、および１８０を超える［度］が、またもちろん生じることがある。
【０６８６】
長手方向でチャンバーの２つの位置間のサイズを変える横断線断面を備えたチャンバーを備えた革新的な床ポンプの場合には、軍隊が低いことがある。前記アームに接続されて、比較的低い力が手を介して使用者のアームから転送されることになっている場合、手はアームに関して位置することがある、その結果、ある力モーメントが発生することがある。コンタクト域は開いた手のそれである。ハンドルはカーブによって境界のある断面で設計されることがある、たとえば楕円。ピストン燃焼室組み合わせの中心軸がそうであることがある軸垂直、前記軸と平行な軸よりも大きい
ピストン燃焼室組み合わせの中心軸に垂直な平面中のハンドルの２つの部分間の好ましい角度は、１８０の［度］よりも大きな（最良！）ビット未満でビットであることがある。ハンドルの部分のこれらの位置は手の休息位置へ応じる。ハンドルがピストン燃焼室組み合わせの中心軸のまわりで回転することができることがある場合、両方の位置は１つのハンドル設計によって得られることがある。
【０６８７】
力モーメントのｅｘｉｓｔａｎｃｅを回避するために、平面垂直中のハンドルの両方の部分の中心を介してライン、ピストン燃焼室組み合わせの中心軸、最後の言及された軸をカットする。
【０６８８】
ピストン燃焼室組み合わせの中心軸を備えている平面では、角度は１８０の［度］であることがありまたはより少ないことがある、あるいはそれと異なる
シリンダーの円錐形は、労働力のサイズの大幅な低減を提供することがある。特別配置によって、そのような方法で形成されたチャンバーの長手方向での円錐形のシリンダーの形である、ハンドル上の力はストロークの間中一定のままである。バルブが断面の小さいサイズのためバルブピストンがバルブ種子から離れないか、動摩擦があるという事実のため遅くたとえばたとえば開いている場合、この力は変更されることがある、チャンバーの形以外の出所によって起こされた力によってチャンネルしたがって。付加的に、チャンバーの壁へのピストンの摩擦は、コンタクト域のサイズの変化のためストロークの間中変わることがある。円錐形のシリンダーの横断線断面が円形またこれである間、この特許出願のすべての適切な図面中の長手方向で示されるシリンダーの形は、上記の言及された方法で作られる、適切な図面の中で示される。形への限定はピストンの最も小さいサイズである。
【０６８９】
したがって、本発明は、また流体（次のものを備えているポンプ）を汲むことのためのポンプに関する：上記の側面のうちのどれもによる組み合わせ；チャンバーの外側の位置からのピストンに係合するための手段；チャンバーに接続され、バルブを備えている流体入り口は意味する。また、流体出口はチャンバーへ接続した。
【０６９０】
１つの状態で、係合は意味する、ピストンがその第一の縦位置にある、外側位置、およびピストンがその第二の縦位置にある内側位置を有していることがある。気圧調節された流体が望まれる場合、このタイプのポンプが好まれる。
【０６９１】
別の状態で、係合は意味する、ピストンがその第二の縦位置にある、外側位置、およびピストンがその第一の縦位置にある内側位置を有していることがある。本質的な圧力が単に流体の輸送以外に望まれない場合、このタイプのポンプが好まれる。
【０６９２】
床および下方へ強要されることにより、空気などの流体を圧縮するピストン／結合手段上に立っていることにポンプが適した状態で、最大の力は、ピストン／結合手段／ハンドルの最低位置で提供されることがある（経済的に）。したがって、第一の状態で、これは、最も高圧力がそこに提供されることを意味する。第２の状態で、これ、単に手段、最大のエリア、また、そのために、大量は最低位置で見られる。しかしながら、事実のため、それを超過する圧力、の中で、たとえば、タイヤはタイヤのバルブを開くために必要とされる、最も小さい断面積は最低位置直前に望まれることがある、係合は、タイヤ（図２Ｂを参照）の中に、より多くの流体を強要するべきバルブおよびより大きい断面積を開く結果の圧力のための、順番に意味する。
【０６９３】
また、本発明は緩衝装置を備えていることに関する：組み合わせ側面のうちのどれもによる組み合わせ；
チャンバーの外側の位置からのピストンに係合するための手段、そこで、係合は意味する、ピストンがその第一の縦位置にある、外側位置、およびピストンがその第二の縦位置にある内側位置を有している。
【０６９４】
アブソーバーは、チャンバーに接続された流体入り口をさらに備えていることがある。また、バルブを備えていることは意味する。
【０６９５】
また、アブソーバーは、チャンバーに接続された流体出口を備えていることがある。また、バルブを備えていることは意味する。
【０６９６】
チャンバーとピストンが流体を備えている実質的に密封したキャビティ（ピストンが第一から第２の縦位置へ移動する場合に圧縮した流体）を形成することが好まれることがある。
【０６９７】
通常は、アブソーバーは、第一の縦位置へのピストンにバイアスをかけるための手段を備えている。
【０６９８】
最後に、本発明は、またアクチュエーターを備えていることに関する：組み合わせ側面のうちのどれもによる組み合わせ；チャンバーの外側の位置からのピストンに係合するための手段；―  第一と第２の縦位置の間のピストンを置き換えるためにチャンバーの中に流体を導入するための手段。
【０６９９】
アクチュエーターは、チャンバーに接続された流体入り口を備えていることがある。また、バルブを備えていることは意味する。
【０７００】
また、チャンバーに接続され、バルブ手段を備えている流体出口は提供されることがある。
【０７０１】
加えて、アクチュエーターは、第一または第二の縦位置へのピストンにバイアスをかけるための手段を備えていることがある。
【０７０２】
［１９５９７−１の明確には好ましい実施形態］
本発明の実施形態によれば、内側チャンバー壁によって制限され、ｓｅａｌｉｎｇｌｙに少なくとも第一の縦位置とチャンバーの第二の縦位置の間の前記チャンバー壁に対して可動であるために前記チャンバーのピストンを備えていている、細長いチャンバーを備えているピストン燃焼室組み合わせが提供される、そこでは、組み合わせは、硬質表面への組み合わせに係合する根拠（組み合わせが弾力的に可撓なブッシングによる基礎に柔軟に固定される前記表面へ比較的可動組み合わせ）に柔軟に固定される。好ましくは、基礎の中で穴の中でマウントされた弾力的に可撓なブッシングがある。また、シリンダーはブッシングの中で穴に装着される。
【０７０３】
好ましくは、シリンダー上の対応する突出と協力する溝と共に提供されるブッシングがある。
【０７０４】
好ましくは、シリンダー上の対応する溝と協力する突出と共に提供されるブッシングがある。
【０７０５】
好ましくは、突出が基礎の上面に接続したブッシングを備えている。
【０７０６】
好ましくは、チャンバーの壁厚よりも大きなブッシングの壁厚がある。
【０７０７】
好ましくは、硬質表面への係合のための３つの係合する表面と共に提供される基礎がある。
【０７０８】
好ましくは前記第一の縦位置で１番目および第二の縦位置に異なる断面積および異なる円周長さのチャンバー断面、１番目と第二の縦位置の間の中間縦通材位置での連続的に異なる断面積および円周長さ、断面積よりも小さい前記第二の縦位置での断面積および円周長さ、および円周長さを有している、そこでは、ピストンは意味する、ピストンの異なる断面積および円周長さに備えて、ディメンションをそのために変化させることができる、ピストンの相対動作の間にチャンバーの前記異なる断面積および異なる円周長さに同じことを適応させることを意味する、チャンバーの前記中間縦通材位置を通って１番目と２番目縦位置間に意味する。
【０７０９】
好ましくは前記第一の縦位置で１番目および第二の縦位置に異なる断面積および等しい円周長さのチャンバー断面、１番目と第二の縦位置の間の中間縦通材位置での連続的に異なる断面積および円周長さ、断面積よりも小さい前記第二の縦位置での断面積および円周長さ、および円周長さを有している、そこでは、ピストンは異なる断面積に備えて、ディメンションをそのために変化させることができる。また、前記異なる断面積に同じことを適応させるピストンの円周長さ、およびピストンの相対動作の間のチャンバーの等しい円周長さは、チャンバーの前記中間縦通材位置を通って１番目と２番目縦位置間に意味する。好ましくはピストン燃焼室組み合わせである、ポンプ、チャンバーの外側の位置からのピストンに係合するための手段、およびバルブを備えている流体出口および流体入り口がどこで意味するかを備えていることは、チャンバーに接続される。
【０７１０】
好ましくはピストン燃焼室組み合わせである、チャンバーの外側の位置からのピストンに係合するための緩衝装置を備えている手段、そこで、係合は意味する、ピストンがチャンバーの第一の縦位置にある、外側位置、およびピストンが第２の縦位置（そこではチャンバーとピストンは流体（ピストンが第一から第２の縦位置へ移動する場合に、それは圧縮される）を備えている密封したキャビティを形成する）にある内側位置を有している。好ましくはピストン燃焼室組み合わせである、チャンバーの外側の位置からのピストンに係合するためのアクチュエーターを備えている手段、またチャンバーの中に１番目と２番目縦位置間のピストンを置き換えるために流体を導入することのための意味する。
【０７１１】
［１９５９７−２の明確には好ましい実施形態］
本発明の実施形態によれば、内側チャンバー壁によって制限される、細長いチャンバーを備えているピストン燃焼室組み合わせが提供される。また、ｓｅａｌｉｎｇｌｙに少なくとも第一の縦位置とチャンバーの第二の縦位置の間の前記チャンバー壁に対して可動ために、どれがピストンを備えているかは、前記チャンバーで意味する、硬質表面（ここで組み合わせはチャンバーをしのぐキャップを走って通るピストンロッドを備えている）に係合する組み合わせは言った、ピストンロッドはどこでか、ガイドする、によって、１つの、キャップに移動して接続された案内装置。
【０７１２】
好ましくは、案内装置である、ピストンロッドのまわりでふさわしい開口を備えたワッシャー、ワッシャー、２つの表面間のキャップ内に保持されること、また、可撓なＯリングは、どこで表面と案内装置（そこではスペースの断面積はＯリングの断面積よりも大きい）の間のスペースでキャップ内に保持されるか。
【０７１３】
好ましくは備えている、案内装置は言った、ピストンロッドをガイドする、凸状ガイドする表面。
【０７１４】
好ましくは、チャンバーの壁との連結で丸められたピストンがある。
【０７１５】
好ましくは、可撓なピストン（４４）へのピストンロッドの連結がある。
【０７１６】
好ましくはピストン燃焼室組み合わせである、チャンバーの外側の位置からのピストンに係合するための手段、およびバルブを備えている流体出口および流体入り口がどこで意味するかを備えていて、ポンプである、チャンバーに接続される。
【０７１７】
好ましくはピストン燃焼室組み合わせである、チャンバーの外側の位置からのピストンに係合するための緩衝装置を備えている手段、そこで、係合は意味する、ピストンがチャンバーの第一の縦位置にある、外側位置、およびピストンが第２の縦位置（そこではチャンバーとピストンは流体（ピストンが第一から第２の縦位置へ移動する場合に、それは圧縮される）を備えている密封したキャビティを形成する）にある内側位置を有している。好ましくはピストン燃焼室組み合わせである、チャンバーの外側の位置からのピストンに係合するためのアクチュエーターを備えている手段、またチャンバーの中に１番目と２番目縦位置間のピストンを置き換えるために流体を導入することのための意味する。
【０７１８】
好ましくは前記第一の縦位置で１番目および第二の縦位置に異なる断面積および異なる円周長さのチャンバー断面、１番目と第二の縦位置の間の中間縦通材位置での連続的に異なる断面積および円周長さ、断面積よりも小さい前記第二の縦位置での断面積および円周長さ、および円周長さを有している、そこでは、ピストンは意味する、ピストンの異なる断面積および円周長さに備えて、ディメンションをそのために変化させることができる、ピストンの相対動作の間にチャンバーの前記異なる断面積および異なる円周長さに同じことを適応させることを意味する、チャンバーの前記中間縦通材位置を通って１番目のと２番目ｌｏｎｇｉｍｄｉｎａｌな位置間に意味する。（実質的に）好ましくは前記第一の縦位置で１番目および第二の縦位置に異なる断面積および等しい円周長さのチャンバー断面、１番目と第二の縦位置の間の中間縦通材位置での連続的に異なる断面積および円周長さ、断面積よりも小さい前記第二の縦位置での断面積および円周長さ、および円周長さを有している、そこでは、ピストンは異なる断面積に備えて、ディメンションをそのために変化させることができる。また、前記異なる断面積に同じことを適応させるピストンの円周長さ、およびピストンの相対動作の間のチャンバーの等しい円周長さは、チャンバーの前記中間縦通材位置を通って１番目と２番目縦位置間に意味する。
【図面の簡単な説明】
【０７１９】
下記では、本発明の実施形態が図面を参照して説明されるということを好んだ、ここで：
【図１Ａ】図１Ａは、横断線断面の固定の異なるエリアを備えたチャンバーの長手断面、および半径方向に軸方向に変わるディメンションを備えた織物の強化材を備えているピストンの第一の実施形態を示す、に、ストロークピストン配列は最初、および終わりに示される、１つの、それがその生産サイズを加圧していないストローク加圧する。
【図１Ｂ】図１Ｂは、ストロークの初めの図１Ａのピストンの拡大を示す。
【図１Ｃ】図１Ｃは、ストロークの終わりに図１Ａのピストンの拡大を示す。
【図２Ａ】図２Ａは、横断線断面の固定の異なるエリアを備えたチャンバーの長手断面を示す、そして１つの、第二、実施形態、ピストン、備えている、１つの、壁の弾性素材の半径方向に軸方向に変わるディメンションを備えた繊維強化材（格子効力」）に、ストロークピストン配列は最初、および終わりに示される、１つの、それがその生産サイズを加圧していないストローク加圧する。
【図２Ｂ】図２Ｂは、ストロークの初めの図２Ａのピストンの拡大を示す。
【図２Ｃ】図２Ｃは、ストロークの終わりに図２Ａのピストンの拡大を示す。
【図３Ａ】図３Ａは、横断線断面の固定の異なるエリアを備えたチャンバーの長手断面を示す、そして１つの、第三、実施形態、ピストン、備えている、１つの、半径方向に軸方向に変わるディメンションを備えた繊維強化材（ない、格子効力」」）に、ストロークピストン配列は最初、およびストロークの終わりに示される。そこでは、それはその生産サイズを有している。
【図３Ｂ】図３Ｂは、ストロークの初めの図３Ａのピストンの拡大を示す。
【図３Ｃ】図３Ｃは、ストロークの終わりに図３Ａのピストンの拡大を示す。
【図３Ｄ】図３Ｄは、残されたもの（ピストン）の中心軸を介して平面の中で壁の強化材を備えた図３Ａのピストンの平面図を示す：第一の縦位置、右で：第２の縦位置で。
【図３Ｅ】図３Ｅは、部分的には中心軸を介して、および部分的には中心軸を残されたことの外部で平面の中でスキン中の強化材を備えた図３Ａのピストンの平面図を示す：第一の縦位置、右で：第２の縦位置で。
【図４】図４は、壁を備えたチャンバーの内側の動いていない拡張可能なピストンを示す。それは中心軸と平行である。その一方で前記ピストンの両側間のチャンバーには圧力差はない。
【図５Ａ】図５Ａは、図４のピストンを瞬間的に示す、ピストンが拡大する可動キャブに始まるところで、円錐形の形づくられた壁でチャンバーの内側の移動しないこと、非可動キャブに近づいている。
【図５Ｂ】図５Ｂは、図５Ａのピストンをｉｎｓｔａｎｔｅｎｅｏｕｓｌｙに示す、移動させずそのために拡大すること、その結果第二の縦位置でのチャンバー増加の壁を備えたピストンウォールのコンタクト域、前記、コンタクト域可動キャブは移動していない。
【図５Ｃ】図５Ｃは、図５Ｂのピストンをｉｎｓｔａｎｔｅｎｅｏｕｓｌｙに示す、移動させずそのために拡大すること、その結果、チャンバーの壁を備えたピストンウォールのコンタクト域は、前記コンタクト域の第二の縦位置で減少する、一方、チャンバー増加の壁を備えたピストンウォールのコンタクト域、初めは、縦位置、前記、コンタクト域可動キャブは移動していない。
【図５Ｄ】図５Ｄは、図のピストンを５Ｃ示す。そこでは、非可動キャップは、ｉｎｓｔａｎｔｅｎｅｏｕｓｌｙに第二のことから第一縦位置へ移動し始めている、それによって、同じ方向にピストンを移動させる。
【図５Ｅ】図５Ｅは、図５Ｄのピストンを示す。そこでは、ピストンの移動は増加するコンタクト域のため減少している。
【図６Ａ】図６Ａは、クローズドの円錐形のチャンバーで移動する拡張可能なピストンを示す。
【図６Ｂ】図６Ｂは、クローズドの円錐形のチャンバーで移動する拡張可能なピストンを示す。ここでピストンの両側上の前記チャンバーは環境の大気と通信している。
【図６Ｃ】図６Ｃは、ピストンの両側上の前記チャンバーが埋込み水路外側を通って互いと通信しているところで、クローズドの円錐形のチャンバーで移動する拡張可能なピストンがチャンバーを言ったことを示す。
【図６Ｄ】図６Ｄは、クローズドの円錐形のチャンバーで移動する拡張可能なピストンを示す。ここでピストンの両側上の前記チャンバーは前記ピストンの内側の埋込み水路を介して互いと通信している。
【図６Ｅ】図６Ｅは、クローズドの円錐形のチャンバーで移動する拡張可能なピストンを示す。ここでピストンの両側上の前記チャンバーは、チャンバー壁とピストンウォールの間のチャンネルを通って互いと通信している。
【図６Ｆ】図６Ｆは、ピストンの壁およびチャンバーの壁の接触面のダクトを有していて、図の拡張可能なピストンを６Ｅ示す。
【図６Ｇ】図６Ｇは、図６Ｆのピストンロッド、および１つの〈ステファン数〉縦位置からのアクチュエータピストンに関する見解の横断線断面を示す。
【図７Ａ】図７Ａは、ストロークの終わりに図１Ａのピストンの拡大を示す、気圧調節した、しかし中心軸と平行な壁のため移動しないこと
【図７Ｂ】図７Ｂは、ピストンの壁の中心が中心軸に関しての正の角を有している点で、図７Ａのピストンを示す。その結果、コンテナーは第一の位置に近づいている。
【図７Ｄ】図７Ｄは、コンテナーが拡張することである時、コンテナーの壁に位置して、弾性の繊維材料の強化材マトリックスの３−次元の図面を示す；  コンテナーの壁が拡張した場合、
【図７Ｅ】図７Ｅは、図６Ｄのパターンを示す。
【図７Ｆ】図７Ｆは、ピストンが拡張することである時、コンテナーの壁に位置して、非弾力的な繊維材料の強化材パターンの３−次元の図面を示す。
【図７Ｇ】図７Ｇは、図７Ｆの強化材マトリックスを示す。それは拡張した。
【０７２０】
ピストンがチャンバーで、およびテーパー壁のまわりで移動しているところ。
【図８】図８は組み合わせを示す。
【図９Ａ】図９Ａは、触手によってコンテナ壁のストレッチングを制限して、横断線断面の固定の異なるエリアを備えたチャンバーの長手断面、および「タコ」デバイスを備えているピストンの第四の実施形態を示す、それがその生産サイズを有しているところで、どれが膨張式のピストン配列であることがあるかは最初、およびストロークの終わりに示される。
【図９Ｂ】図９Ｂは、ストロークの初めの図９Ａのピストンの拡大を示す。
【図９Ｃ】図９Ｃは、ストロークの終わりに図９Ａのピストンの拡大を示す。
【図９Ｄ】図９Ｄは、図９Ａのピストンを示す、チャンバーの円錐形の部分に単に入ること  ピストン燃焼室組み合わせを示す、ここで、加圧されたｅｌｌｉｐｓｏ〈’前記ピストン（前記ピストンの内圧を下げて、一定体積をそのために有している密閉空間）の内部ボリュームを拡大させて、第二の縦位置から第一の縦位置に形状のピストンが移動させているキタノウグイ〉、ピストンはその形を変化させることがある、の中に、１つの、チャンバーが前記チャンバーの中心軸と平行な壁を有しているところで、、両端の球体破線は前記ピストンの外側輪郭を示す、中間では、前記ピストンのサイズは、図１０Ｂの中の前記ピストンの同じサイズが生じる場所へ匹敵し、それによって、Ｆｉｇ．１０Ａでは、これがｓｅａｌｉｎｇｌｙに接続されている一方、図１０Ｂの中のピストンが前記チャンバーの壁に愛想よく接続されることがあることを、示した。
【０７２１】
ピストンの内圧が密閉空間のボリュームを変化させることにより、最も遠い第一の縦位置で、または第２のｌｏｎｇｉｔｕｎａｌな位置へのそのリターンの間中付加的に減少しており、それによって、前記ピストンのサイズを変化させるところで、Ｆｉｇ．１０Ａのピストン燃焼室組み合わせを示す、チャンバーのサイズに妨害を回避するためにそれをｃｏｎｔｉｎｅｏｕｓｌｙに適応させること
図のそれとしてピストン燃焼室組み合わせを示す。［イオタ］［オミクロン］［アルファ］［ベータ］、しかし、ピストンの内圧が密閉空間から、最も遠い第一の縦位置で、または第２の縦位置へのそのリターンの間中流体を取り除くことにより代替的に減少しており、それによって、前記ピストンのサイズを変化させるところで、チャンバーのサイズに妨害を回避するためにそれを連続的に適応させること
第二の縦位置で作製されるように、ピストンが球体タイプである場合、Ｆｉｇ．１０Ａの処理を示す。
【０７２２】
第二の縦位置で作製されるように、ピストンが球体タイプである場合、図１０Ｂの処理を示す。
【０７２３】
第二の縦位置で作製されるように、ピストンが球体タイプである場合、図の処理を１０Ｃ示す。２〈ｎｄ〉から１つの〈ステファン数〉縦位置への移動の間に、密閉空間が減少するサイズを有しているという例外を除いて、図１０Ａの処理を示す、その結果、１つのストロークごとに加圧媒体の使用は低減されている。
【０７２４】
図１０Ｂのその比較可能な処理を示す。
【０７２５】
図のその比較可能な処理を１０Ｃ示す。
【０７２６】
２〈ｎｄ〉から１つの〈ステファン数〉縦位置への移動の間に、密閉空間が減少するサイズを有しているという例外を除いて、図１０Ｄの処理を示す、その結果、１つのストロークごとに加圧媒体の使用は低減されている。
【０７２７】
図のその比較可能な処理を１０Ｅ示す。
【０７２８】
図のその比較可能な処理を１０Ｆ示す。
【０７２９】
ショー、概略的に、前記モーターの中心車軸の中心のまわりで、ｃｉｒｃｌｅｒｏｕｎｄ中心軸を有している円形チャンバーの拡張可能な膨張式のアクチュエータピストン回転を備えている推進系を有している、図１２Ａおよび１２Ｃの配列のモーター。
【０７３０】
ショー、概略的に、図１３Ａのモーター、１３Ｂ、推進系を有していること、５本の動いていない拡張可能な膨張式のアクチュエータピストンを備えていること（ｅ．ｇ）、回転内に、円形チャンバー、チャンバーは言った、中心線を有していること、回転の中心に同心である、互いの継続中の４つの下位チャンバーを備えていること、持続的な異なる推移の断面積のおよび円周を有していること、前記チャンバーは前記車軸の中心を介してメインの車軸の回りを回転している。
【０７３１】
消費技術
【図１１Ａ】図１１Ａは概略的に示す、拡張可能な膨張式のアクチュエータピストンを備えている推進系、および持続的な異なる断面積のおよび円周（すべてにクランクシャフト車軸上で組み立てられた）を有している、細長いチャンバーおよび圧力貯蔵器船舶内の２つのガイドピストン排気システムを有しているモーター、そして特に活動されているスタータ、最も小さいポンプおよび始動電動機、太陽エネルギー。
【図１１Ｂ】図１１Ｂは、図１１Ａのモーターのための調節部および圧力管理を概略的に示す。
【図１１Ｃ】図１１Ｃは、メーンシリンダが移動していないところで、いくらかが図１１Ａおよび１１Ｂのモーターの機械的なアッセンブリーを作り出したことを示す。
【図１１Ｄ】図１１Ｄは、図の中で１１Ｃ示されるクランクシャフトと連接棒の継ぎ目の上の膨張式のアクチュエータピストンの圧力管理を示す。
【図１１Ｅ】図１１Ｅは、図の中で１１Ｃ示されるピストンロッドと連接棒の継ぎ目の詳細を示す。
【図１１Ｆ】図１１Ｆは、クランクシャフトの懸濁液の詳細、および図１１Ａおよび１１Ｂの中で示される前記クランクシャフトの内側のチャンネルを示す。
【０７３２】
取り囲まれた空間容積テクノロジー。
【図１１Ｇ】図１１Ｇは、密閉空間のボリュームの前記変更のための２つのウェイアクチュエーターの加圧のための、圧力貯蔵器船舶の一定のｒｅｐｒｅｓｓｕｒａｔｉｏｎなしで、前記モーターの速度／パワーの管理と第三のピストン燃焼室組み合わせのピストンを介して第二のピストン燃焼室組み合わせのピストンを介して密閉空間のボリュームを交換することおよび圧力の追加調整により、膨張式のアクチュエータピストン中の圧力変化を管理する代替方法を示す。
【０７３３】
圧力貯蔵器船舶の一定のｒｅｐｒｅｓｓｕｒａｔｉｏｎがポンプの小滝によって行われる場合、
【図１１Ｈ】図１１Ｈは図１１Ｇの配列を示す、図１１Ａを中へたとえば示す。
【図１１Ｉ】図１１Ｉは示す、１つの、部分的に、作り出された、単気筒モーター、コンセプトに基づいた、図１１Ｈの中で示された、動力が２つのウェイアクチュエーターによって速度コントローラーおよびＥＳＶＴポンプに供給されている場合（バッテリーによって動力がそれに供給される）、；個別の電気モーターによって動力が、再度圧力貯蔵器船舶をｐｒｅｓｓｕｒａｔｉｎｇするためのポンプに供給されている、動力がそばに供給された、１つの、バッテリーそれぞれの電力ラインは電源を明白にａｕｘｉｌｌｉａｒｌｙに示される、図１５Ａ（Ｂ）によってある、Ｃ、Ｅ、Ｆ、どれの、少なくとも１つ、だろう、充電、バッテリーは言った。
【０７３４】
アクチュエータピストンチャンバー組み合わせがそれぞれ個別の速度コントローラーおよびＥＳＶＴポンプ前記速度を有しているところで、図１１Ｊは図１１Ｉに基づいて、２つの部分的に作り出されたシリンダーモーターを示す、コントローラーは互いと通信している。
【図１１Ｊ】図１１Ｊはショーを残した、１つの、図の左辺に１１Ｊ率に応じて拡大された。
【０７３５】
図１１Ｊの正しいショー、１つの、図の正しい部分に１１Ｊ率に応じて拡大された。
【図１１Ｋ】図１１Ｋは示す、１つの、部分的に、作り出された、単気筒モーター、コンセプトに基づいた、図１１Ｈの中で示された、動力が今、クランクシャフトによってアクチュエータピストンのＥＳＶＴポンプに供給されている場合、最後、言及された、電気モーターによって動力が供給されること、動力がそばに供給される、１つの、バッテリー速度コントローラー（２つの方法アクチュエーター）は一致している、図１１Ｈの１つ；動力がバッテリーによって供給されて、個別の電気モーターによって動力が、再度圧力貯蔵器船舶をｐｒｅｓｓｕｒａｔｉｎｇするためのポンプに供給されている；ａｕｘｉｌｌｉａｒｌｙに、電源は図１５Ａ（Ｂ）によるものである、Ｃ、Ｅ、Ｆ、どれの、少なくとも１つ、だろう、充電、バッテリーは言った。
【図１１Ｌ】図１１Ｌは図１１Ｋに基づいて、２つの部分的に作り出されたシリンダーモーターを示す。１つのクランクシャフトはＥＳＶＴポンプに使用されている、各アクチュエータピストン組み合わせの１。速度コントローラー、各アクチュエータピストンの１、互いと通信している；動力がバッテリーによって供給されて、個別の電気モーターによって動力が、再度圧力貯蔵器船舶をｐｒｅｓｓｕｒａｔｉｎｇするためのポンプに供給されている；  ａｕｘｉｌｌｉａｒｌｙに、電源は図１５Ａ（Ｂ）によるものである、Ｃ、Ｅ、Ｆ、どれの、少なくとも１つ、だろう、充電、バッテリーは言った。
【０７３６】
図１１Ｌはショーを残した、１つの、図の左辺に１１Ｌ率に応じて拡大された。
【０７３７】
図、１１Ｌの正しいショー、１つの、図の正しい部分に１１Ｌ率に応じて拡大された。
【図１１Ｍ】図１１Ｍは示す、１つの、部分的に、作り出された、図１１Ｈの中で示されるコンセプトに基づいた単気筒モーター（ここで今、カム軸によって動力がアクチュエータピストンチャンバーの組み合わせのためのＥＳＶＴポンプに供給されている）は、動力がバッテリーによって供給されて、電気モーターによって駆動されたカム軸を言った；速度コントローラーは２つのウェイアクチュエーターである。それは速度加減装置と通信している。動力がバッテリーによって供給されて、個別の電気モーターによって動力が、圧力貯蔵器船舶をｒｅｐｒｅｓｓｕｒａｔｉｎｇするためのポンプに供給されている；ａｕｘｉｌｌｉａｒｌｙに、電源は図１５Ａ（Ｂ）によるものである、Ｃ、Ｅ、Ｆ、どれの、少なくとも１つ、だろう、充電、バッテリーは言った。
【図１１Ｎ】図１１Ｎは図１１Ｍ−１図カム軸に基づいて、２つの部分的に作り出されたシリンダーモーターを示す、ＥＳＶＴポンプに使用される、各アクチュエータピストンチャンバーｃｏｍｂｉｎａｔｉｏｎ．Ｔｈｅ速度コントローラーの１、各アクチュエータピストンの１、互いと通信している；動力がバッテリーによって供給されて、個別の電気モーターによって動力が、圧力貯蔵器船舶をｒｅｐｒｅｓｓｕｒａｔｉｎｇするためのポンプに供給されている；ａｕｘｉｌｌｉａｒｌｙに、電源は図１５Ａ（Ｂ）によるものである、Ｃ、Ｅ、Ｆ、どれの、少なくとも１つ、だろう、充電、バッテリーは言った。
【０７３８】
図１１Ｎはショーを残した、１つの、図１１Ｎの左辺に率に応じて拡大された。
【０７３９】
図１１Ｎ正しいショー、１つの、図１１Ｎの正しい部分に率に応じて拡大された。
【図１１Ｏ】図１１Ｏは示す、１つの、部分的に、作り出された、単気筒モーター、コンセプトに基づいた、図１１Ｋに示された、動力がクランクシャフトによってアクチュエータピストンチャンバーのＥＳＶＴポンプに供給されている場合、直接運転される、ａｕｘｉｌｌｉａｒｌｙに、気体（たとえば空気）に冷却された燃焼モータからのパワー、Ｈ２の使用、Ｈ２０の電気分解によって引き出された、電気分解は言った、バッテリーによって動力が供給された；再度圧力貯蔵器船舶をｐｒｅｓｓｕｒａｔｉｎｇしているポンプは、付加的に前記燃焼モータによって直接駆動される；動力がバッテリーによって供給されて、２つのウェイアクチュエーターによって動力が速度コントローラーに供給される；図１５Ｄによるｂａｔｔｅｒｕｉｅｓはオルタネーターによって課されている。それは駆動電動機車軸に装着される。前記燃焼モータの生じた熱は、ビークル内部のウォーミングアップのためのたとえば使用されてもよい。
【図１１Ｐ】図１１Ｐは２つの部分的に作り出されたシリンダーモーターを示す、図１１Ｏに基づいた、ＥＳＶＴポンプ、各アクチュエータピストンチャンバー組み合わせの１、クランクシャフトによって動力が供給されている、直接運転される、ａｕｘｉｌｌｉａｒｌｙに、強制的な液体からのパワーは燃焼モータを冷却した、Ｈ２の使用、Ｈ２０の電気分解によって引き出された、電気分解は言った、バッテリーによって動力が供給された；ポンプポンプ、それは再度圧力貯蔵器船舶をｐｒｅｓｓｕｒａｔｉｎｇしている、直接前記燃焼モータによって駆動される；速度コントローラー、各アクチュエータピストンチャンバーの組み合わせの１、２つのウェイアクチュエーターによって動力が供給され、互いと通信している。また、バッテリーによって動力が供給される；図１５Ｄによるバッテリーはオルタネーターによって課されている。それは駆動電動機車軸に装着される。前記燃焼モータの生じた熱は、ビークル内部のウォーミングアップのためのたとえば使用されてもよい。
【０７４０】
図１１Ｐはショーを残した、１つの、図１１Ｐの左辺に率に応じて拡大された。
【０７４１】
図、１１Ｐ正しいショー、１つの、図１１Ｐの正しい部分に率に応じて拡大された。
【図１１Ｑ】図１１Ｑは示す、１つの、部分的に、作り出された、単気筒モーター、コンセプトに基づいた、図１１Ｋに示された、カム軸によって動力が、アクチュエータピストンチャンバー組み合わせのＥＳＶＴポンプに供給されている、直接運転される、ａｕｘｉｌｌｉａｒｌｙに、強制的な気体（たとえば空気）に冷却された燃焼モータからのパワー、Ｈ２の使用、Ｈ２０の電気分解によって引き出された、電気分解は言った、バッテリーによって動力が供給された；ポンプ、それは再度圧力貯蔵器船舶をｐｒｅｓｓｕｒａｔｉｎｇしている、直接前記燃焼モータによって駆動される；動力がバッテリーによって供給されて、２つのウェイアクチュエーターによって動力が速度コントローラーに供給される；図１５Ｄによるバッテリーはオルタネーターによって課されている。それは駆動電動機車軸に装着される。前記燃焼モータの生じた熱は、ビークル内部のウォーミングアップのためのたとえば使用されてもよい。
【図１１Ｒ】図１１Ｒが２つの部分的に作り出されたシリンダーモーターを示すこと、図に基づいた、ＥＳＶＴポンプ、各アクチュエータピストンチャンバー組み合わせの１、カム軸によって動力が供給されている、直接気体（たとえば空気）から動力補助によって駆動される、強要した、冷却された燃焼モータ、Ｈ２の使用、Ｈ２０の電気分解によって引き出された、電気分解は言った、バッテリーによって動力が供給された；１１Ｑどこで再度圧力貯蔵器船舶をｐｒｅｓｓｕｒａｔｉｎｇしているポンプは、前記燃焼モータによって直接駆動される；速度コントローラー、各アクチュエータピストンチャンバー組み合わせの１、２つのウェイアクチュエーターによって動力が供給され、互いと通信している。また、バッテリーによって動力が供給される；図１５Ｄによるバッテリーはオルタネーターによって課されている。それは駆動電動機車軸に装着される。前記燃焼モータの生じた熱は、ビークル内部のウォーミングアップのためのたとえば使用されてもよい。図１１Ｒはショーを残した、１つの、図１１Ｒの左辺に率に応じて拡大された。
【０７４２】
図１１Ｒ正しいショー、１つの、図１１Ｒの正しい部分に率に応じて拡大された。
【図１１Ｓ】図１１Ｓは、モーターのメインの車軸を備えた図１１Ｉ−１１Ｒのピストン燃焼室組み合わせ１０６１のベースの継ぎ目の詳細を示す。
【図１１Ｔ】図１１Ｔは、図１１Ｉ−１１Ｒによるモーターのメインの車軸上のアクチュエータピストンおよびクランクシャフトの連接棒の継ぎ目の詳細を示す。
【図１１Ｕ】図１１Ｕは、モーターのメインの車軸を備えた図１１Ｉ−１１Ｒのピストン燃焼室組み合わせ１０６０のベースの継ぎ目の詳細を示す。
【図１１Ｖ】図１１Ｖは、図１１Ｈ−１１Ｒのポンプを駆動するメカニズム、およびそのベースを示す。
【図１１Ｗ】図１１Ｗは示す、接続、図１１Ｊ、１１Ｌ、１１Ｎ、１１Ｐ、１１Ｒによる２つのシリンダーモーターの２つのクランクシャフト間で共同。
【０７４３】
図１１Ｗは、図のクランクシャフト間の改良シーリングを１１Ｗ示す。
【０７４４】
各クランクシャフトのチャンネルが分離されている場合、図１１Ｘは、２つのシリンダーモーターの２つのクランクシャフト間の接続する継ぎ目を示す。
【図１１Ｘ】図１１Ｘ示す、１つの、改良、図１１Ｘのクランクシャフト間に密閉すること  消費技術  ショー、概略的に、円形チャンバーの拡張可能な膨張式のアクチュエータピストン回転を備えている推進系、および持続的な異なる推移の断面積のおよび円周（すべてにクランクシャフト車軸上で組み立てられた）を有している、細長いチャンバーおよび圧力貯蔵器船舶内の２つのガイドピストン排気システムを有しているモーター、またコントロール手段を有する太陽エネルギーによってエネルギーを与えられているスタータ、最も小さいポンプおよび始動電動機。
【０７４５】
ショー、概略的に、図１２Ａのモーター、推進系を有していること、拡張可能な膨張式のアクチュエータピストンを備えていること、動いていないチャンバー内に移動すること、中心線を有していること、互いの継続中の４つの下位チャンバーを備えていて、同心的に回転の中心である、持続的な異なる推移の断面積のおよび円周を有していること、ショー、概略的に、図１２Ｂのモーターのための調節部および圧力管理、アクチュエータピストンの圧力の変化がアクチュエータピストンからの流体を増し削除することによりコントロールされる場合
アクチュエータピストンの圧力の変化がアクチュエータピストンの密閉空間のボリュームを変化させることによりコントロールされる場合、図１２Ｄは図１２Ｂのモーターのための調節部および圧力管理を概略的に示す。
【０７４６】
取り囲まれた空間容積テクノロジー
ショー、概略的に、回転チャンバーの１本を超える動いていない拡張可能な膨張式のアクチュエータピストンを備えている推進系を有しているモーター、同心的に回転の中心である中心線を有しているチャンバーは言った、そして２つのガイドピストン排気システム、有していている細長いチャンバー内に、異なり続けること、推移の断面積のおよび円周（すべてにクランクシャフト車軸および圧力貯蔵器船舶上で組み立てられた）、およびスタータ（太陽エネルギーによってエネルギーを与えられている最も小さいポンプおよび始動電動機）。
【０７４７】
図１３Ａのモーターを示す。そこでは２つのガイドピストン排気システムのピストンポンプはモーターのメインの車軸に装着されて、回転ポンプによって交換された。
【０７４８】
ショー、概略的に、図１３Ａのモーター、１３Ｂ、推進系を有していること、備えている動いていない拡張可能な膨張式のアクチュエータピストン、回転チャンバー内に、チャンバーは言った、中心線を有していること、互いの継続中の４つの下位チャンバーを備えていて、同心的に回転の中心である、持続的な異なる推移の断面積のおよび円周を有していること、前記チャンバーは前記チャンバーの中心を介して車軸の回りを回転している。
【０７４９】
駆動ベルトを含めて、図１３Ａ（１３Ｂ）のモーターの懸濁液を概略的に示す。
【０７５０】
前記アクチュエータピストンの連続的に変わる内圧が各々の前記アクチュエータピストン、コントロールされたコンピューターのための個別のピストン燃焼室組み合わせによって決定される場合、図１３Ａ（記憶圧力容器を含めた１３Ｂ）のモーターのための調節部および圧力管理を概略的に示す。
【０７５１】
取り囲まれた空間容積テクノロジー
アクチュエータピストンがそれぞれ連続的に変わる圧力のための２つのピストン燃焼室組み合わせもの、およびモーターの速度／パワーを調節するための圧力レベルの調整のための一つによって管理される場合、図１３Ｆは図の原理によれば、図の膨張式のピストンの圧力管理を１３Ｃ  １１Ｆ示す。
【０７５２】
図１３Ｇは、図の配列のためのｐｒｅｓｓｕｒａｔｉｏｎシステムを１３Ｆ示す。
【０７５３】
取り囲まれた空間容積テクノロジー
接続しているチャンバーのポンプピストンの下のボリュームを変化させることにより、アクチュエータピストン（円形チャンバーはそれのまわりを走っている）のいくつかのステージ、および前記アクチュエータピストンの内部の圧力を変化させるのに必要なことを示す。
【０７５４】
ポンプピストンのピストンロッドに接続されるカム輪が、適切なプロフィールのカムと通信しているところで、図１４Ａの配列を示す。
【０７５５】
ショー
アクチュエータピストン中の圧力が前記ピストン燃焼室組み合わせのピストンと通信するカム輪を有している、ピストン燃焼室組み合わせに圧力によって定義されている場合、図１３Ａによって可動の円形チャンバーを示し、メインの車軸（それはあるプロフィールを備えたカムを備えていている）上にカム輪が走っている。
【０７５６】
その懸濁液を備えたリムを示す、その中で図１４Ｄの配列は構築された、の中で、と一緒に、１つの、ａｕｘｉｌｌｉａｒｌｙに、回転している電気モーターとして示されたモーターはカムプロファイル；前記アクチュエータピストンの密閉空間を備えているチャンネルへ通信することは、図１６（「ワイヤーによる駆動」）の配列によって圧力調節器である、それは通信している、で、１つの、遠隔に、速度加減装置。
【０７５７】
ピストンが第一の環状位置にある場合、図の前記円形チャンバーで前記ピストンの断面の拡大した詳細を１４Ｅ示す。
【０７５８】
ピストンが第二の環状位置にある場合、図１４Ｇの前記円形チャンバーで前記ピストンの断面の拡大した詳細を示す。
【０７５９】
図の配列を１４Ｅ示す、そこで、ホイールのリム間で、また円形チャンバーが遊星ギヤのタイプでギヤーボックスの中でたとえばできていた。
【０７６０】
短い好適な実施の形態
図１４１は、モーターの速度をコントロールしている圧力管理システムのその部分をたとえば上に示す、どれ、角の近くで回転する間に、ビークルの前記ホイール／プロペラが自動車のホイールのためのいろいろな速度をたとえば有している場合、ホイール／プロペラが装着された。
【０７６１】
ＡＵＸＩＬＬＩＡＲＬＹ電源。
【０７６２】
圧力貯蔵器船舶、必要なコンポーネントおよび電力ラインの加圧のためのｒｅｐｒｅｓｓｕｒａｔｉｏｎポンプのための電力出所としてＨ２燃料電池を示す。
【０７６３】
導電性水車軸の電気分解によって生成された、電源としてＨ２を使用する燃焼モータを示す、前記、燃焼性、請求しているオルタネーターを駆動している、１つの、バッテリーバッテリーは電気モーターを走らせる。それは圧力貯蔵器船舶のｒｅｐｒｅｓｓｕｒａｔｉｏｎのための（ａ）ポンプと通信している。
【０７６４】
電気分解によって生成された電源としてＨ２を使用する燃焼モータを示す、導電性、水車軸、前記、燃焼性、直接圧力貯蔵器船舶のｒｅｐｒｅｓｓｕｒａｔｉｏｎのための（ａ）クランクシャフトを介して（ａ）ポンプと通信している。
【０７６５】
電気分解によって生成された電源として［３／４］を使用する燃焼モータを示す、導電性、水車軸、前記、燃焼性、直接圧力貯蔵器船舶のｒｅｐｒｅｓｓｕｒａｔｉｏｎのための（ａ）回転ポンプと通信している。
【０７６６】
コンデンサーを示す。それは電気的に課され、はモーター（それらは（ａ）圧力貯蔵器船舶のｒｅｐｒｅｓｓｕｒａｔｉｏｎのためのポンプと通信している）のための電源である。
【０７６７】
コンポーネントのＥＳＶＴクランクシャフトの設計複合の使用。
【０７６８】
図１６Ａは示す、１つの、図１１Ｇ−Ｒの２つのウェイアクチュエーターを率に応じて拡大する。
【０７６９】
図１６Ｂは、図１６Ａの２つのウェイアクチュエーターに関する前研究を示す。
【０７７０】
コンポーネントのＥＳＶＴクランクシャフトの設計複合の使用。
【０７７１】
図１７Ａは概略的に示す、図［イオタ］［オミクロン］［アルファ］によるアクチュエータピストンの２サイクル、単気筒モーターの［ベータ］、２〈ｎｄ〉から１つの〈ステファン数〉縦位置へのストロークが、動力行程、および１つの〈ステファン数〉から２つの〈ｎｄ〉縦位置へのストロークである場合（無力）もどり行程。
【０７７２】
各シリンダーの動力行程が方向の反対側の（１８０の［度］）引っ越して来ているように、図１７Ｂは、図１７Ａ（それによってクランクシャフト（２つの下位クランクシャフトから構成されて）は設計されている）によるストロークで２つのシリンダーモーター（「Ａ」および「Ｂ」）を示す。
【０７７３】
図１７Ｃは図１１Ｒによって２つのシリンダーモーターを示す。それによってここの燃焼モータは冷却された強制的な液体である、ＥＳＶＴポンプのうちの１つは、それによって入口／出口によって１つの下位クランクシャフト（それは別の下位クランクシャフトのためのＥＳＶＴポンプと通信している）と交換されたか、また、前記連絡は、どこで図による弁アクチュエータによって２１０Ｅコントロールされるか、どの運動の、カム軸のカムによって始められる、運転されているカム軸が燃焼性のモーターを言った、そして、そのような、左のシリンダーの動力行程の始まりは、直角柱のもどり行程の始まりと同時になる；１つの下位クランクシャフトの第２の密閉空間は、別の下位クランクシャフトの第三の密閉空間から分離された。
【０７７４】
図１７Ｃのｌ。残された図１７Ｃの拡大、および両方のアクチュエータピストンの連結ロッドの中間の関係のダイアグラムを示す。
【０７７５】
図１７Ｃのｒ。図１７Ｃの権の拡大を示す。
【０７７６】
図１７Ｄは、左のシリンダーの動力行程の中間、および図によるモーターの直角柱のもどり行程の中間を１７Ｃ示す。
【０７７７】
図１７Ｄ  ｌ。残された図１７Ｄの拡大、および両方のアクチュエータピストンの連結ロッドの中間の関係のダイアグラムを示す。
【０７７８】
図１７Ｄ  ｒ。図１７Ｄ権の拡大を示す。図１７Ｅは、左のシリンダーの動力行程の端、および図１７Ｄによるモーターの直角柱のもどり行程の端を示す。
【０７７９】
図１７Ｅのｌ。残された図１７Ｅの拡大、および両方のアクチュエータピストンの連結ロッドの中間の関係のダイアグラムを示す。
【０７８０】
図１７Ｅのｒ。図１７Ｅの権の拡大を示す。
【０７８１】
図１７Ｆは、左のシリンダーのもどり行程の始まり、および図によるモーターの直角柱の動力行程の始まりを１７Ｅ示す。
【０７８２】
図１７Ｆのｌ。残された図１７Ｆの拡大、および両方のアクチュエータピストンの連結ロッドの中間の関係のダイアグラムを示す。
【０７８３】
図１７Ｆのｒ。図１７Ｆの権の拡大を示す。
【０７８４】
図１７Ｇは、左のシリンダーのもどり行程の中間、および図によるモーターの直角柱の動力行程の中間を１７Ｆ示す。
【０７８５】
図１７Ｇ  ｌ。残された図１７Ｇのｅｎｌａｇｅｍｅｎｔ、および両方のアクチュエータピストンの連結ロッドの中間の関係のダイアグラムを示す。
【０７８６】
図１７Ｇ  ｒ。図１７Ｇ権のｅｎｌａｇｅｍｅｎｔを示す。図１７Ｈは、左のシリンダーのもどり行程の端、および図１７Ｇによるモーターの直角柱の動力行程の端を示す。
【０７８７】
図１７Ｈ  ｌ。残された図１７Ｈのｅｎｌａｇｅｍｅｎｔ、および両方のアクチュエータピストンの連結ロッドの中間の関係のダイアグラムを示す。
【０７８８】
図１７Ｈ  ｒ。図１７Ｈ権のｅｎｌａｇｅｍｅｎｔを示す。
【０７８９】
コンポーネントのＥＳＶＴクランクシャフトの設計複合使用
図１８Ａは図１７Ａによるストロークで２つのシリンダーモーター（「Ａ」および「Ｂ」）を示す。それによってクランクシャフト（２つのｓｕｂクランクシャフトから構成されて）は設計されている、その結果その、動力行程、各々、アクチュエータピストンは同じ（０の［度］）方向に動いている。
【０７９０】
図１８Ａ  ｌ。残された図１８Ａの拡大、および両方のアクチュエータピストンの連結ロッドの中間の関係のダイアグラムを示す。
【０７９１】
図１８Ａ  ｒ。図１８Ａ権の拡大を示す。
【０７９２】
図１８Ｂは、１本のＥＳＶＴポンプ貢献する両方のアクチュエータピストンを備えていて、Ｆｉｇ．ｌ７Ｃによる２つのシリンダーモーターの単純な配列を示す。それによってここの燃焼モータは冷却された強制的な液体である。有している、１つの下位クランクシャフトの第２の密閉空間は、第三と通信している、別の下位クランクシャフトの空間を取り囲んだ、そのようなもの、左のシリンダーの動力行程の始まりは、直角柱の動力行程の始まりと同時になる。
【０７９３】
図１８Ｂ  ｌ。残された図１８Ｂの拡大、および両方のアクチュエータピストンの連結ロッドの中間の関係のダイアグラムを示す。
【０７９４】
図１８Ｂ  ｒ。図１８Ｂ権の拡大を示す。
【０７９５】
図１８Ｃは、左の動力行程、および図１８Ｂによるモーターの直角柱の中間を示す。
【０７９６】
図１８Ｃのｌ。残された図１８Ｃの拡大、および両方のアクチュエータピストンの連結ロッドの中間の関係のダイアグラムを示す。
【０７９７】
図１８Ｃのｒ。図１８Ｃの権の拡大を示す。
【０７９８】
図１８Ｄは、左の動力行程、および図によるモーターの直角柱の端を１８Ｃ示す。
【０７９９】
図１８Ｄ  ｌ。残された図１８Ｄの拡大、および両方のアクチュエータピストンの連結ロッドの中間の関係のダイアグラムを示す。図１８Ｄ  ｒ。図１８Ｄ権の拡大を示す。
【０８００】
図１８Ｅは、左のもどり行程、および図１８Ｄによるモーターの直角柱の始まりを示す。
【０８０１】
図１８Ｅのｌ。残された図１８Ｅの拡大、および両方のアクチュエータピストンの連結ロッドの中間の関係のダイアグラムを示す。
【０８０２】
図１８Ｅのｒ。図１８Ｅの権の拡大を示す。図１８Ｆは、左のもどり行程、および図によるモーターの直角柱の中間を１８Ｅ示す。
【０８０３】
図１８Ｆのｌ。残された図１８Ｆの拡大、および両方のアクチュエータピストンの連結ロッドの中間の関係のダイアグラムを示す。
【０８０４】
図１８Ｆのｒ。図１８Ｆの権の拡大を示す。
【０８０５】
図１８Ｇは、左のもどり行程、および図によるモーターの直角柱の端を１８Ｆ示す。
【０８０６】
図１８Ｇ  ｌ。残された図１８Ｇの拡大、および両方のアクチュエータピストンの連結ロッドの中間の関係のダイアグラムを示す。
【０８０７】
図１８Ｇ  ｒ。図１８Ｇ権の拡大を示す。
【０８０８】
コンポーネントのＣＴクランクシャフトの設計複合の使用。
【０８０９】
いくつかの部分が作り出された場合、図１９Ａは図１１Ｂに基づいて、単気筒モーターを１１Ｃ示す、促進するその、ａｕｘｉｌｌｉａｒｌｙに、電源は燃焼モータである。それはＨ２０の電気分解に由来して、Ｈ２を焼成している。
【０８１０】
図１９Ｂは図１９Ａに基づいて、２つのシリンダーモーターを示す、２つのシリンダーが連結のセンターラインへｍｉｒｒｏｗｅｄｌｙに位置した場合、その結果、３つの〈ラザフォード〉はスペース（退場）を取り囲んだ、２〈ｎｄ〉がスペース（入口）を取り囲んだ一方、２つの下位クランクシャフトの連結を通じて互いと通信している、前記クランクシャフト（チェックバルブを備えた）、およびクランクシャフト（２つの下位クランクシャフトから構成されて）はどこで設計されているかの外部で互いと通信している、各アクチュエータピストンの動力行程が図１８Ａの原理によれば、同じ（０の［度］）方向（ｓｙｎｃｈｒｏｎｅ）に同時に動いているように。
【０８１１】
図１９Ｂ  ｌ。図１９Ｂの拡大が去ったことを示す。
【０８１２】
図１９Ｂ  ｒ。図１９Ｂ権の拡大を示す。
【０８１３】
図１９Ｃは図１９Ａに基づいて、２つのシリンダーモーターを示す、２〈ｎｄ〉が空間を取り囲んだ間に、比較可能な密閉空間（ここで、３つの〈ラザフォード〉は空間を取り囲んだ）が、下位クランクシャフトを介して互いに接続された場合、外部的に集められた（チェックバルブで）、そしてここで、それによってクランクシャフト（２つの下位クランクシャフトから構成されて）は設計されている、その結果その、動力行程、各々、アクチュエータピストンは図１８Ａの原理によれば同じ（１８０の［度］）方向（ａｓｙｎｃｈｒｏｎｅ）に動いている。
【０８１４】
図１９Ｃのｌ。１９Ｃが去ったことを図の拡大に示す。
【０８１５】
図１９Ｃのｒ。図１９Ｃの権の拡大を示す。
【０８１６】
図面の１９６２０の簡単な説明
下記では、本発明の実施形態が図面を参照して説明されるということを好んだ、ここで：
図２１Ａは、共通（圧力）境界を示すポンプの一定の最大仕事力特性を備えた円錐形の形づくられたチャンバーの長手断面および凸状および円錐形を示す、長手ののサイド、前記境界間の横断面の断面  
図２１Ｂは、同じチャンバー長さの間、図２１Ａ（１０のＢａｒ過剰圧力）のチャンバーおよび（打ち砕かれた）別のチャンバー（１６のＢａｒ過剰圧力）の形を示す。
【０８１７】
図２２は、前記チャンバーの継続として膨張室を示す図２１の円錐形の形づくられたチャンバーの長手断面を示す。
【０８１８】
図２３は、特定の内部凹状遷移を示すポンプの一定の最大仕事力特性を備えた高度な円錐形の形づくられたチャンバーを示す、から、円すい形に内部、第二の縦位置での直線の内部（それはチャンバーの中心軸と平行である）へのチャンバーの形状部分。
【０８１９】
図２４は拡張可能な変形可能なピストンを示す。図２３のチャンバーの内部壁が中心軸と平行であるので、それは第二の縦位置から第一の縦位置へ単独で移動しない。
【０８２０】
図２５は、出口としてホースニップルと共に、一定の力タイプのチャンバーを示す。それはホースに接続される。
【０８２１】
図面の１９６３０の簡単な説明
下記では、本発明の実施形態が図面を参照して説明されるということを好んだ、ここで：
図３０Ａは、図１２Ｂの円形チャンバーを示す。そこでは、ピストンは動いていないチャンバーで移動している。
【０８２２】
ピストンが可動でないところで、図３０Ｂは、図１３Ｃおよび１４Ｄの円形チャンバーを示す、しかしチャンバー。ここに、円形チャンバー、および図３  ＯＡのデザインと同一の下位チャンバーのデザインがある。
【０８２３】
図３１Ａは図１４Ｄを示す。そこでは、断面Ｘ−Ｘは示した。
【０８２４】
図３１Ｂは示す、１つの、図３１Ａのチャンバーの断面Ｘ−Ｘの詳細を率に応じて拡大する。
【０８２５】
円形チャンバーおよびピストンの数学的な説明
図３２Ａは示す〈’基礎円へのチャンバーおよび直交平面の壁は、その中心がめえにある円の中で交差する〉囲む。
【０８２６】
図３２Ｂ、ピストンの境界の断面。
【０８２７】
図３２Ｃは、我々が必要とするキャップのエリアおよび内部ボリュームｇｅｏｍｅｔｒｉのためのキャップを示す、必要がある、値、１つの、そしてｈ、単に見る、公式（２．１）および２．２  ―仮想球体の半径は提出される（２．３）。
【０８２８】
図３２Ｄは、キャップを備えたピストンを示す。
【０８２９】
図３２Ｅは、透明フェルミ管チャンバーの内側のキャップを備えたピストンを示す。
【０８３０】
図３２Ｆは、ピストンとチャンバー（透明チャンバー壁の内側の可視）の間の純粋なコンタクト域を示す。
【０８３１】
図３２Ｇは、ピストンとチャンバーの間のコンタクト域を示す。
【０８３２】
図３２Ｈは断面を示す、チャンバー壁チャンバー反力は断面上のグレイ力の総によってマークされる、直交である、に、断面チャンバー壁のための、示された断面の（可変）長手長さ、およびピストンの内圧に比例した力の値である。
【０８３３】
図３２Ｉは、開いた視界を提供するために付加セクションと共に、図３２Ｈの断面を示す。
【０８３４】
図３２Ｊは図３２Ｈを示す。また、赤いベクトルは長手方向で灰色の力のコンポーネントである。
【０８３５】
図３２Ｋは、開いた視界を提供するために付加セクションと共に、図を３２Ｊ示す。
【０８３６】
壁に沿った実際のスライド力がそれ（青い）の中で示される場合、図３２Ｌは図を３２Ｊ示す、チャンバー壁に赤いベクトルを直角に計画することにより得られる。
【０８３７】
図３２Ｍは、開いた視界を提供するために付加セクションと共に、図を３２Ｌ示す。
【０８３８】
図面の１９６４０の簡単な説明
下記では、本発明の実施形態が図面への言及で説明されるということを好んだ、ここで：
支持体手段を備えているピストン、Ｏリングおよび可撓な不透水層を備えたポンプの長手断面を示す、言及された最後、支持された、１つの、第一の縦位置で泡状。
【０８３９】
ともに硫黄で処理されて、支持体手段、Ｏリングおよび可撓な不透水層の懸濁液の詳細を示す。
【０８４０】
第二の縦位置で図４０Ａのピストンの長手断面を示す。
【０８４１】
図４０Ａのピストン、および第一の縦位置からのチャンバーの断面の平面図を示す。
【０８４２】
Ｏリング、および図４０Ａのピストンの位置するスプリングに支持体中の懸濁液の詳細が意味することを示す。
【０８４３】
第二の縦位置で図４０Ａのピストンを備えたチャンバーの横断線断面を示す。
【０８４４】
不浸透性のシートの螺旋状のｒｅｉｎｆｏｒ−ｍｅｎｔを示して、図４０Ａのピストンの下面図、および第一の縦位置のチャンバーの断面を示す。
【０８４５】
不浸透性のシートの螺旋状のｒｅｉｎｆｏｒ−ｍｅｎｔｓを示して、図４０Ａのピストンの下面図、および第一の縦位置のチャンバーの断面を示す。
【０８４６】
第一の縦位置で、支持体手段を備えているピストン、Ｏリングおよび可撓な不透水層の長手断面（チャンバーの中心軸を備えたｃｅｎｔａｉｎ角度で言及された最後）を示す。
【０８４７】
ともに硫黄で処理されて、支持体手段、Ｏリングおよび可撓な不透水層の懸濁液の詳細を示す。
【０８４８】
第二の縦位置で図４２Ａのピストンの長手断面を示す。
【０８４９】
図面の１９６５０の簡単なＤＥＳＣＲＩＰＴＲＩＯＮ
図５０は、泡ピストン、明確には強化材ピンの懸濁液の平面図を示す。
【０８５０】
図５１は、ＰＵ泡で作られていたピストンの長手断面Ａ−Ａを示す。
【０８５１】
図５２は、図５０のピストンの長手断面Ｂ−Ｂを示す。
【０８５２】
図面の１９６５０−１の説明
下記では、本発明の実施形態が図面を参照して説明されるということを好んだ、ここで：
図５５Ａは高度なポンプの１つの〈ステファン数〉縦位置でピストンを示す、ピストンが金属ピン（それらは磁力によってホルダー（それはピストンロッドに装着される）のホルダープレートに回転自在に固定される）を備えていている。
【０８５３】
図５５Ｂは、マウントされたホルダープレートの拡大長手断面Ｐ−Ｐがホルダーことを示す。
【０８５４】
図５５Ｃは、図５５Ｂからのホルダーのホルダープレートの拡大を示す。
【０８５５】
図５５Ｄは、不透水層の改良に圧搾することのためのホルダーとホルダープレートの間のｒｅｃｅｓの中で突起の拡大を示している。
【０８５６】
図５５Ｅは、図５５Ａ−Ｄの中で示されるものに強化材および泡の締結固定のための代替解決策を示す。
【０８５７】
図５５Ｆは、図からのホルダーのホルダープレートの拡大を５５Ｅ示す。
【０８５８】
ピストンが１つの〈ステファン数〉縦位置の方へ走っている場合、図５５Ｇは、泡の強化材ピンの自動時計方向回転のための溶液を示す。
【０８５９】
図５５Ｈは、図５５Ｇからのホルダーのホルダープレートの拡大を示す。
【０８６０】
図面の１９６６０の簡単な説明
図６０は長手視界、およびコンテナータイプピストンの端の断面を示す。
【０８６１】
図６１は、図６０のコンテナータイプピストンに両方の詳細が終了することを示す。
【０８６２】
図６２はピストンロッド上の力が一定のチャンバーで、ストロークのｂｅｇｉｎおよび終わりでコンテナータイプピストンを示す（１９６２０を参照）。
【０８６３】
図面の１９６６０−２の簡単な説明
下記では、本発明の実施形態が図面を参照して説明されるということを好んだ、ここで：
図６３は、アクチュエータピストンから経度のチャンバーの壁まで軍隊を示す。
【０８６４】
図６４Ａは２０の［度］角度と共に、長手中心軸を備えたチャンバーでｅｌｌｉｐｓｏｉｄｅタイプピストンを示す。
【０８６５】
図６４Ｂは１０の［度］角度と共に、長手中心軸を備えたチャンバーでｅｌｌｉｐｓｏｉｄｅタイプピストンを示す。
【０８６６】
図面の１９６８０−２の簡単な説明
下記では、本発明の実施形態が図面を参照して説明されるということを好んだ、ここで：
図８０Ａは、断面１９６２０によるポンプのチャンバーを示す、３つの異なる縦位置についての断面１９６８０によるピストンで、ピストンウォールが個別の回転可能な部分（それは前記チャンバーの、およびどの表面がチャンバーの壁にｓｅａｌｉｎｇｌｙに接続されるか、ピストンウォールを言ったかの壁の傾斜へ適合させる）を備えていている。
【０８６７】
図８０Ｂは示す、１つの、前記ピストンが第一の縦位置にある場合、前記コンタクト域の詳細を率に応じて拡大する。
【０８６８】
図８０Ｃは示す、１つの、前記ピストンが直ちに縦位置である場合、コンタクト域の詳細を率に応じて拡大する。
【０８６９】
ピストンが直ちに縦位置である場合、図８０Ｄは別部品を示す。
【０８７０】
図８０Ｅは、図８０Ａ−Ｃで示されるその別部品の代替球体形を示す。
【０８７１】
図８０Ｆは代替半円を示す、図８０Ａ−Ｃで示されるその別部品に形づくる、前記ピストンが直ちに縦位置である場合、それは断面１９６６０による（率に応じて拡大された）ピストン上で硫黄で処理された。
【０８７２】
別部品が前記ピストンの可撓な壁の長手中間点を介してラインの下で位置する場合、図８０Ｇは図によってピストンを８０Ｆ示す。
【０８７３】
別部品が前記ピストンの可撓な壁の長手中間点を介してラインの下で位置する場合、図８０Ｈは、図によってピストンを８０Ｃ示す。
【０８７４】
図８０Ｉは、断面１９６２０によるチャンバーの第二の縦位置で図のピストンを８０Ｊ示す。
【０８７５】
作製されるように、図８０Ｊは図８０Ｉのピストンのｅｎｌａｒｇｍｅｎｔを示す。
【０８７６】
図８１Ａは、断面１９６２０によるポンプのチャンバーを示す、３つの異なる縦位置についての断面１９６８０による膨張式のピストンで、ピストンウォールが２つの別個の回転可能な部分（それらは前記チャンバーの、およびどの表面がチャンバーの壁にｓｅａｌｉｎｇｌｙに接続されるか、ピストンウォールを言ったかの壁の傾斜へ適合させる）を備えていている。
【０８７７】
示す、１つの、前記ピストンが第一の縦位置にある場合、前記コンタクト域の詳細を率に応じて拡大する。
【０８７８】
示す、１つの、前記ピストンが第一と第二の縦位置の間で位置する場合、前記コンタクト域の詳細を率に応じて拡大する。
【０８７９】
ショーはピストンを言った（率に応じて拡大した）。それは第二の縦位置で位置する。
【０８８０】
３つの異なる縦位置についての断面１９６８０による膨張式のピストンと共に、断面１９６２０によるポンプのチャンバーを示し、ピストンウォールが、異なる円周（ここで最も大きなものはチャンバーの壁とピストンウォールの間のコンタクト域を備えていている）を有していて、２部を備えていている。
【０８８１】
示す、１つの、前記ピストンが第一の縦位置にある場合、前記コンタクト域の詳細を率に応じて拡大する。
【０８８２】
示す、１つの、前記ピストンが第一と第二の縦位置の間で位置する場合、前記コンタクト域の詳細を率に応じて拡大する。
【０８８３】
ショーはピストンを言った（率に応じて拡大した）。それは第二の縦位置で位置する。
【０８８４】
ピストンロッド、ｕｎｉｎｆｌａｔｅｄを備えていて、図８２Ｄのピストンを示す。
【０８８５】
膨張して、第一の縦位置で図８３Ａのピストンを示す。
【０８８６】
空気を抜かれた時、所定の場所にピストンを保持して、ピストンロッド中のクランプと共に、図８３Ｂのピストンを示す。
【０８８７】
泡がピストンロッドの密閉空間を通って差し込まれている場合、図のピストンを８３Ｃ示す。
【０８８８】
泡の挿入および硬化の後に、図８３Ｄのピストンを示す。それはその後湿っていなかった。
【０８８９】
圧力センサーおよびインフレーションバルブを有していて、第二の縦位置に図のピストンを８３Ｅ示す。圧力センサーの拡大、および図、８３Ｅのピストンのインフレーションバルブを示す。
【０８９０】
圧力センサー、および図の中で８３Ｆ示されるものまたは８３Ｇよりも別のタイプのインフレーションバルブと共に、第二の縦位置に図のピストンを８３Ｅ示す。
【０８９１】
圧力センサーの拡大、および図（８３Ｈ）のピストンのインフレーションバルブを示す。
【０８９２】
圧力センサー、および図の中で８３Ｆ示されるもの、８３Ｇまたは８３Ｈよりも別のタイプのインフレーションバルブと共に、第二の縦位置に図のピストンを８３Ｅ示す。
【０８９３】
圧力センサーの拡大、および図のピストンのインフレーションバルブを８３Ｊ示す。
【０８９４】
引くスプリングが膨張式のトロイドに由来した力に加えて、ピストンウォールのための膨張力を与えているところで、たとえば小さいサイズ使用のための図８３Ｈのピストンを示す、それはポンプピストンのスペース圧力サイドが有しているｅｎｃｌｏｓｅと通信する、の内側の泡立つ、したがって、外圧の下でその部分を適切に拡張し続けるために
図８４Ａに基づいた改良ピストンを示す、どれが有しているか、ピストンの外側に加圧された非ものへの出る穴、およびピストンウォールの内部上で組み立てられた個別のチャンネルを通って通信して、全体のピストンの内側の泡立つ、それは前記ピストンの密閉空間と通信している。
【０８９５】
ピストンの壁の低圧側が平面コーンである場合、図８４Ａのピストンを示す。
【０８９６】
図８０Ｆ、８０Ｇ、ｅｌｌｉｐｓｏｉｄｅタイプのピストンのための８０Ｊに示されるように外側壁の別部品を備えたチャンバーの別と最初縦位置上の球体の形状のピストンを示す。
【０８９７】
球体を示す、ピストンウォールを備えた形状のピストン、ピストンウォールは言った、２部を備えていている、異なる円周を有していること、最も大きなものがチャンバーの壁とピストンウォール（などの、ｅｌｌｉｐｓｏｉｄｅの形状のピストン式のための図８２Ａ−Ｄの中で示された）の間のコンタクト域を備えていているところで、ピストンが示されている一方、１つの、第二、また第１の縦位置。
【０８９８】
ｅｌｌｉｐｓｏｉｄｅの形状のピストンのための図８４Ｂに示されるように、別部品として膨張式のトロイドを備えた球体ピストンを示す。
【０８９９】
ＰＴＲＥＦＥＲＲＥＤされた実施形態の１９６９０−２−短い説明
下記では、本発明の実施形態が図面を参照して説明されるということを好んだ、ここで：
チャンバーの単一の移動ピストン
図９０Ａは、円形チャンバー（ここでピストンは連接棒によって車軸に接続される）で回転ピストンを示す、互いと通信して、車軸と連接棒がチャンネルを備えていている。
【０９００】
図９０Ｂは、連結ロッドと車軸の組立の詳細の拡大、および車軸と連接棒の間の歯を示す。
【０９０１】
図９０Ｃは、ピストンが、ピストンが第一の環状位置に位置する時、図に１４Ｆ基づいて装着される連接棒の拡大を示す。
【０９０２】
図９０Ｄは、ピストンが、ピストンがＣＴおよび／またはＥＳＶＴシステムと一緒に第二の環状位置に位置する時、図１４Ｇに基づいて装着される連接棒の拡大を示す。
【０９０３】
車軸中のチャンネルが車軸に図１１ＡによるＣＴ圧力管理システム、および連接棒の継ぎ目のための図１１Ｄと通信しているところで、図９０Ｅは、図９０Ａの構築を示す。
【０９０４】
車軸中のチャンネルが車軸に連接棒の継ぎ目のための図１１ＧによるＥＳＶＴ圧力管理システムおよび図と１１Ｔ通信しているところで、図９０Ｆは、図９０Ａの構築を示す。
【０９０５】
車軸中のチャンネルが車軸に連接棒の継ぎ目のための図１１ＩによるＥＳＶＴ圧力管理システムおよび図と１１Ｔ通信しているところで、図９０Ｇは、図９０Ａの構築を示す。
【０９０６】
図９０Ｈは、Ｈ２０の電気分解に由来して、カム軸（Ｈ２によって駆動されて、エネルギーが燃焼モータから来ている一方、それはＥＳＶＴ  ―システムのタイミングをコントロールしている）の組み合わせの中の図９０Ｇの構築に基づいたある好適な実施形態を示す。
【０９０７】
チャンバーの多数の移動ピストン（同じ環状位置での）
図９０Ｉは、チャンバー（それにどれがピストンが移動しているかのまわりで、各連接棒（それは車軸の密閉空間と通信している）中の密閉空間と各ピストン内の空間は通信している）で４本の移動ピストンを示す。
【０９０８】
図９０Ｊは、ＥＳＶＴシステムと一緒に、コネクティングロッドと図９０Ｉの車軸の間の継ぎ目の拡大を示す。
【０９０９】
図９０Ｋは、図９０Ｉの構築を示す。そこでは、車軸中のチャンネルはＦｉｇ１１ＩによるＥＳＹＴ圧力管理システムと通信している。また、継ぎ目は図１１Ｔおよび図に９０Ｊ基づく。
【０９１０】
図、９０Ｌは、カム軸の組み合わせの中の図９０Ｋの構築に基づいたモーターのある好適な実施形態を示す。Ｈ２０の電気分解に由来したＨ２＞によって駆動されて、エネルギーが燃焼モータから来ている一方、それはＥＳＶＴシステムのタイミングをコントロールしている。
【０９１１】
ピストンのまわりの単一の動いているチャンバー
図９１Ａは、円形チャンバー（ピストンが連接棒によって車軸に接続される場合、ピストンはその中で位置する）が言った回転を示す、車軸と連接棒はチャンネルを備えていている。
【０９１２】
図９１Ｂは、連接棒の組立および図９１Ａの車軸の詳細のｅｎｌａｒｇｍｅｎｔ、車軸間の関係および連接棒を示し、中間物がＣＴシステムと好ましくは結合することがあると互いこの構築と通信して、チャンネルを言った。同じ組み合わせは、図９０Ｋ−９０Ｌで示されるようなＣＴおよび／またはＥＳＶＴシステムで可能である（を含めて）。
【０９１３】
図、９１Ｃは、連接棒と車軸のチャンネルを備えているハブの断面、および穴、および非移動ピストンの地位を確保するための歯および溝を備えた関係を示す。
【０９１４】
図９１Ｄ、示す、１つの、断面、として、図の中で指定された、９１Ｃ、関係の回転が前記チャンバーのスポークのハブの回転によって提供される場合。
【０９１５】
図９１Ｅは、低減された車軸直径が前記チャンネル間の一定の連絡を提供するところで連接棒と車軸のチャンネルを備えているハブの断面を示す。（１９６１９−ＥＰから）
平行チャンバーの多数の回転ピストン。
【０９１６】
ピストンがメインの中心のまわりで軸チャンバーを回転させているところで、図９２Ａは３つのシリンダーモーターを示す、相互に連結する、また、ギヤーボックスは前記アッセンブリーに装着される、そのメインの車軸は前記メインで中央車軸を通信している、前記、ピストンこの構築は、好ましくはＥＳＶＴシステムと結合することがある。
【０９１７】
図９２Ｂは、前記モーターの各横に、図９２Ａオン前記メイン車軸の３つのシリンダーモーターを示す、示されて、組み立てられた可変ピッチングホイール（それはビークルのホイール車軸上の比較可能な揺れるホイールに通信している）である、低いピッチモード（ベルト駆動自動変速〈（（Ｒ））〉）である：低速この構築は、好ましくはＥＳＶＴシステムと結合することがある。
【０９１８】
図９２Ｃは、図９２Ｂと同じを示す、しかし、前記ホイールのピッチが逆にされた場合：高速。
【０９１９】
多数の動いているチャンバーは、中央車軸にトルクを転送している。
【０９２０】
チャンバーが回転しているところで、Ｆｉｇ．９３Ａは３つのシリンダーモーターを示す、トルクはメインの中央車軸に転送されている。また、外部ギヤーボックスは通信している、で、前記、車軸この構築は、好ましくはＥＳＶＴシステムと結合することがある。
【０９２１】
図９３  Ｂショー、ビルディングの左の買い占めの拡大（４：１）を上へ、前記モーターの中央車軸の。
【０９２２】
２０７  図面の簡単な説明
下記では、本発明の実施形態が図面を参照して説明されるということを好んだ、ここで：
本発明は、ダイアグラムと図面によって詳細に以下に説明される。下記はダイアグラムの中で示される。あるいは、図面ａ横断線断面はピストンおよび／またはの可動の方向に垂直な断面を意味する、チャンバー、長手断面が前記動いている方向の方向にものである間：
図１００は、シリンダーを備えた１つのステージの単一の作動ピストンポンプおよび固定直径を備えたピストンのいわゆるインジケータ線図を示す。
【０９２３】
図１０２Ａは、Ａが示す本発明部分を与えるピストンポンプのインジケータ線図を示す、チャンバーが移動しているところで、部分Ｂがオプションを示す間に、ピストンが可動のところで、オプション。
【０９２４】
横断線断面がまだ圧力を増加させることにより、ポンプストロークのある点から再び増加するところで、図１０２Ｂは、本発明によるポンプのインジケータ線図を示す。
【０９２５】
図１０３Ａは、気圧調節するチャンバーの横断線断面の固定の異なるエリアを備えたポンプおよび半径方向に軸方向に変わるディメンションを備えたピストンの長手断面を示す、に、ストロークピストン配列は、最初、およびポンプストローク（第一のｅｍｂｏｃｌｉｍｅｎｔ）の終わりに示される。
【０９２６】
図１０３Ｂは、ストロークの初めの図１０３Ａのピストン配列の拡大を示す。
【０９２７】
図１０３Ｃは、ストロークの終わりに図１０３Ａのピストン配列の拡大を示す。
【０９２８】
図１０３Ｄは、ほぼ比較一定のとして操作力が既存の低圧（点在された）のシリンダーのままであるディメンションを備えた本発明による床ポンプのチャンバーの長手断面および高圧床（打ち砕かれた）ポンプが同時に示されることを示す。気圧調節するチャンバーおよびピストンの横断線断面の固定の異なるエリアを備えたポンプの長手断面を示す、で、半径方向に／軸方向に変わるディメンション、に、ストロークピストン配列は、最初、およびポンプストローク（第二の実施形態）の終わりに示される。
【０９２９】
ストロークの初めの図１０４Ａのピストン配列の拡大を示す。
【０９３０】
ストロークの終わりに図１０４Ａのピストン配列の拡大を示す。
【０９３１】
ショーは、図１０４ＢのＡ−Ａを区分する。
【０９３２】
ショーは、図のＢ−Ｂを１０４Ｃ区分する。
【０９３３】
図１０４Ｄの装填する部分のための代替解決策を示す。
【０９３４】
気圧調節するチャンバーの横断線断面の固定の異なるエリアを備えたポンプおよび半径方向に軸方向に変わるディメンションを備えたピストンの長手断面を示す、に、ストロークピストン配列は、最初、およびポンプストローク（第三の実施形態）の終わりに示される。
【０９３５】
ストロークの初めの図１０５Ａのピストン配列の拡大を示す。
【０９３６】
ストロークの終わりに図１０５Ａのピストン配列の拡大を示す。
【０９３７】
ショーは、図１０５ＡのＣ−Ｃを区分する。
【０９３８】
ショーは、図１０５ＡのＤ−Ｄを区分する。
【０９３９】
材料の合成物で作られている、密閉する手段でピストンを備えた図１０５Ａの気圧調節するチャンバーが意味することを示す。
【０９４０】
ピストンの拡大がストロークの間中図に１０５Ｆ意味することを示す。
【０９４１】
それがまだ圧力をかけられている間（両方）、およびそれがこれ以上圧力をかけられていない間、ピストンの拡大がストロークの終わりに図に１０５Ｆ意味することを示す。気圧調節するチャンバーの横断線断面の固定の異なるエリアを備えたポンプの長手断面、および半径方向に軸方向に変わるディメンションを備えたピストンの第四の実施形態を示す、に、ストロークピストン配列は、最初、およびポンプストロークの終わりに示される。
【０９４２】
ストロークの初めの図１０６Ａのピストン配列の拡大を示す。
【０９４３】
ストロークの終わりに図１０６Ａのピストン配列の拡大を示す。
【０９４４】
図１０６Ａの気圧調節するチャンバー、および半径方向に軸方向に変わるディメンションを備えたピストンの第五の実施形態を示す、に、ストロークピストン配列は、最初、およびポンプストロークの終わりに示される。
【０９４５】
ストロークの初めの図１０６Ｄのピストン配列の拡大を示す。
【０９４６】
ストロークの終わりに図１０６Ｄのピストン配列の拡大を示す。
【０９４７】
固定のディメンションを備えた気圧調節するチャンバーの壁の凹部、および半径方向に軸方向に変わるディメンションを備えたピストンの第六の実施形態を備えているポンプの長手断面を示す、に、ストロークピストン配列は、最初、およびポンプストロークの終わりに示される。
【０９４８】
ストロークの初めの図１０５Ａのピストン配列の拡大を示す。
【０９４９】
ストロークの終わりに図１０５Ａのピストン配列の拡大を示す。
【０９５０】
ショーは、図１０７Ｂのｅ−Ｅを区分する。
【０９５１】
ショーは、図のＦ−Ｆを１０７Ｃ区分する。
【０９５２】
気圧調節するチャンバーのフーリエ級数展開によって作られた横断線断面のショー例、どれの、横断線断面積減少、一方、ｃｉｒｃｕｍｐｈｅｒｉｃａｌなサイズ残り、一定。
【０９５３】
Ｆｉｇ．１０７Ａの気圧調節するチャンバーの変形を示す、それはそのような方法で設計されている固定横断線断面で今長手断面を有している、そのエリア、減少させる一方、その円周、ほぼ残り、一定、あるいはポンプストロークの間中下側程度で減少する。
【０９５４】
図１０７Ｇの長手断面の横断線断面Ｇ−Ｇ（点線）およびＨ−−Ｈを示す。
【０９５５】
図１０７Ｈの長手断面の横断線断面Ｇ−Ｇ（点線）およびＩ−Ｉを示す。
【０９５６】
図１０７Ｂ断面図１０７ＨのＨ−−Ｈのピストンの変形を示す。
【０９５７】
ショー、気圧調節するチャンバーのフーリエ級数展開によって作られた横断線断面の他の例、どれの、横断線断面積減少、一方、ｃｉｒｃｕｍｐｈｅｒｉｃａｌなサイズ残り、一定。
【０９５８】
ある拘束の下の横断線断面の最適化された凸形状の例を示す。
【０９５９】
ある拘束の下の横断線断面の最適化された非凸状形の例を示す。
【０９６０】
固定のディメンションを備えた気圧調節するチャンバーの壁の凸状部分、および半径方向に軸方向に変わるディメンションを備えたピストンの第七の実施形態を備えているポンプの長手断面を示す、に、ストロークピストン配列は、最初、およびポンプストロークの終わりに示される。
【０９６１】
ストロークの初めの図１０５Ａのピストン配列の拡大を示す。ストロークの終わりに図１０５Ａのピストン配列の拡大を示す。
【０９６２】
気圧調節するチャンバーの横断線断面の固定の異なるエリアを備えたポンプの長手断面、および半径方向に軸方向に変わるディメンションを備えたピストンの８つの実施形態を示す、に、ストロークピストン配列は、最初、およびポンプストロークの終わりに示される。
【０９６３】
ストロークの初めの図１０９Ａのピストン配列の拡大を示す。
【０９６４】
ストロークの終わりに図１０９Ａのピストン配列の拡大を示す。
【０９６５】
異なるチューニング配列を備えた図１０９Ｂのピストンを示す。
【０９６６】
気圧調節するチャンバーの横断線断面の固定の異なるエリアを備えた図１０９Ａの１つに似ているピストンの９番めの実施形態を示す。
【０９６７】
ストロークの初めの図１１０Ａのピストンの拡大を示す。
【０９６８】
ストロークの終わりに図１１０Ａのピストンの拡大を示す；
気圧調節するチャンバーの横断線断面の固定の異なるエリアを備えたポンプの長手断面、および半径方向に軸方向に変わるディメンションを備えたピストンの１０番めの実施形態を示す、に、ストロークピストン配列は、最初、およびポンプストロークの終わりに示される。
【０９６９】
ストロークの初めの図１１１Ａのピストンの拡大を示す。
【０９７０】
ストロークの終わりに図１１１Ａのピストンの拡大を示す；
気圧調節するチャンバーの横断線断面の固定の異なるエリアを備えたポンプの長手断面、および半径方向に軸方向に変わるディメンションを備えたピストンの１１番めの実施形態を示す、に、ストロークピストン配列は、最初、およびポンプストロークの終わりに示される。
【０９７１】
図１１２Ｂは、ストロークの初めの図１１２Ａのピストンの拡大を示す。
【０９７２】
図１１２Ｃは、ストロークの終わりに図１１２Ａのピストンの拡大を示す。
【０９７３】
図１１３Ａは、気圧調節するチャンバーおよびピストンの横断線断面の可変異なるエリアを備えたポンプの長手断面を示す、で、組み合わせの幾何学径配列を固定する、最初、およびポンプストロークの終わりに示される。
【０９７４】
図１１３Ｂは、ポンプストロークの初めの組み合わせの配列の拡大を示す。
【０９７５】
図１１３Ｃは、ポンプストロークの間中組み合わせの配列の拡大を示す。
【０９７６】
図１１３Ｄは、ポンプストロークの終わりに組み合わせの配列の拡大を示す。
【０９７７】
図１１４は、気圧調節するチャンバーおよびピストンの横断線断面の可変異なるエリアを備えたポンプの長手断面を示す、で、可変、組み合わせの幾何学径配列はポンプストロークの端に、およびその端で最初に示される。
【０９７８】
６５３  図面の簡単な説明
下記では、本発明の実施形態が図面を参照して説明されるということを好んだ、ここで：
図２０１Ａは、加圧されていないシリンダーの中で非移動ピストンの長手断面を示す、で、第一、縦位置ピストンはその生産サイズの中で示される、また、加圧された時。
【０９７９】
図２０１Ｂは、シリンダーの壁の図２０１Ａの加圧されたピストンの接触圧力を示す。
【０９８０】
図２０２Ａは、第一（右）および第二の（左）縦位置でシリンダーの中で図２０１Ａのピストンの長手断面を示す、ピストンは加圧されていない。
【０９８１】
図２０２Ｂは、第２の縦位置でシリンダーの壁の図２０２Ａのピストンの接触圧力を示す。
【０９８２】
図２０２Ｃは、第２の縦位置でシリンダーの中で図２０１Ａのピストンの長手断面を示す。ピストンは、図の１つが２０１Ａまた第一の縦位置（生産）サイズでピストンを示されるのと同じ圧力レベル上で加圧される。
【０９８３】
図２０２Ｄは、第２の縦位置でシリンダーの壁に図のピストンの接触圧力を２０２Ｃ示す。
【０９８４】
図２０３Ａは、その生産サイズの中で示される第一の縦位置でシリンダーの中で図２０１Ａのピストンの長手断面を示し、ピストンがチャンバーの圧力にさらされている一方気圧調節した。
【０９８５】
図２０３Ｂは、シリンダーの壁の図２０３Ａのピストンの接触圧力を示す。
【０９８６】
図２０４Ａは、その生産サイズの中で示される第２の縦位置での、加圧されていないシリンダー中の本発明による非移動ピストンの長手断面を示す、また、あるレベルに加圧された時。
【０９８７】
図２０４Ｂは、シリンダーの壁の図２０４Ａの加圧されたピストンの接触圧力を示す。
【０９８８】
図２０４Ａのそれと同じレベルに加圧された時その生産サイズの中で示される第２の縦位置、および第一の縦位置でシリンダー中の本発明による非移動ピストンの長手断面を示す。
【０９８９】
シリンダーの壁に図のピストンの接触圧力を２０４Ｃ示す。
【０９９０】
第２の縦位置で加圧されていないシリンダーの中で図２０４Ａのピストンの長手断面を示す、その生産サイズを備えたピストン、また、加圧された時。
【０９９１】
シリンダーの壁の図２０５Ａの加圧されたピストンの接触圧力を示す。
【０９９２】
第２の縦位置でシリンダーの中で図２０４Ａのピストンの長手断面を示す、その生産サイズを備えたピストン、また、シリンダーからの圧力にさらされて加圧された時。
【０９９３】
シリンダーの壁に図のピストンの接触圧力を２０５Ｃ示す。
【０９９４】
横断線断面の固定の異なるエリアを備えたチャンバーの長手断面、および半径方向に軸方向に変わるディメンションを備えた織物の強化材を備えているピストンの第一の実施形態を示す、に、ストロークピストン配列は最初、および終わりに示される、１つの、それがその生産サイズを加圧していないストローク加圧する。
【０９９５】
ストロークの初めの図２０６  Ａのピストンの拡大を示す。
【０９９６】
ストロークの終わりに図２０６Ａのピストンの拡大を示す。
【０９９７】
コンテナーが拡張することである時、コンテナーの壁に位置して、弾性の繊維材料の強化材マトリックスの３−次元の図面を示す；
コンテナーの壁が拡張した場合、図２０６Ｄのパターンを示し、ピストンが拡張することである時、コンテナーの壁に位置して、非弾力的な繊維材料の強化材パターンの３−次元の図面を示す；
コンテナーの壁が拡張した場合、図のパターンを２０６Ｆ示す；
織物の強化材を備えたピストンの生産詳細を示す。
【０９９８】
横断線断面の固定の異なるエリアを備えたチャンバーのｌｏｎｇｉ  ｄｉｎａｌ断面を示す、そして１つの、第二、実施形態、ピストン、備えている、１つの、壁の弾性素材の半径方向に軸方向に変わるディメンションを備えた繊維強化材（格子効力」）に、ストロークピストン配列は最初、および終わりに示される、１つの、それがその生産サイズを加圧していないストローク加圧するところで；
ストロークの初めの図２０７Ａのピストンの拡大を示す；
ストロークの終わりに図２０７Ａのピストンの拡大を示す；
異なるｃｉｒｃｕｍｐｈｅｒｉｃａｌな長さを有している横断線断面の固定の異なるエリアを備えたチャンバーの長手断面を示す、そして１つの、第三、実施形態、ピストン、備えている、１つの、壁の弾性素材の半径方向に軸方向に変わるディメンションを備えた繊維強化材（ない、格子効力〈１〉」）に、それがその生産サイズを加圧していない縦位置加圧するところで、ストロークピストン配列は第一の縦位置、および第２で示される。
【０９９９】
ストロークの初めの図２０８Ａのピストンの拡大を示す。
【１０００】
ストロークの終わりに図２０８Ａのピストンの拡大を示す。
【１００１】
残されたもの（ピストン）の中心軸を介して平面の中で壁の強化材を備えた図２０８Ａのピストンの平面図を示す：第一の縦位置、右で：第２の縦位置で。
【１００２】
部分的には中心軸を介して、および部分的には残されたもの（ピストン）の中心軸の外部で平面の中で似ているピストンの平面図に壁の強化材を備えた図２０８Ａの１つを示す：第一の縦位置、右で：第２の縦位置で。
【１００３】
残されたもの（ピストン）の中心軸を介して平面の中で似ているピストンの平面図に壁の強化材を備えた図２０８Ａの１つを示さない：第一の縦位置、右で：第２の縦位置で。
【１００４】
ショー、生産、詳細、１つの、ピストン、で、１つの、繊維強化材。
【１００５】
触手によってコンテナ壁のストレッチングを制限して、異なるｃｉｒｃｕｍｐｈｅｒｉｃａｌな長さを有している横断線断面の固定の異なるエリアを備えたチャンバーの長手断面、および「タコ」デバイスを備えているピストンの第四の実施形態を示す、どれが膨張式のピストン配列であることがあるかはチャンバーの第一の縦位置で示される。また、チャンバーｐｒｅｓｓｓｕｒｉｚｅｄするどこの第２の縦位置では、それはその生産サイズを加圧していない。
【１００６】
チャンバーの第一の縦位置で図２０９Ａのピストンの拡大を示す。
【１００７】
チャンバーの第２の縦位置で図２０９Ａのピストンの拡大を示す。
【１００８】
ピストンの内側の圧力がインフレーションによってを介してたとえば変化させられることがある場合、図２０６の実施形態を示す、ハンドルおよび／または（たとえばピストンロッド中のチェックバルブ）の中で位置するシュラーダーバルブ、また、密閉空間がストロークの間中ピストンのボリュームの変化の平衡を保っているところで；
インフレーションバルブ、外圧出所へのブッシングを許可する連結の代わりにショー。
【１００９】
チェックバルブのロッドのガイダンスのショー詳細；
ピストンロッドの中でチェックバルブの可撓なピストンを示す。
【１０１０】
図２１０Ａ−Ｄの密閉空間のボリュームが、圧力源、圧力源からのピストンを膨張させるための入口弁、および図２１１Ｄによるバルブバルブアクチュエーター組み合わせの圧力源を拡大した詳細への圧力再許可のための出口弁によるｅｘｃｈａｎｇｅｎｄだった場合、図２０６の実施形態を示す。
【１０１１】
操縦できるバルブおよびジェットがあるところに、図２１０Ｆは図の実施形態を１０Ｅ示す、あるいは１つの、ブラックボックスとしてノズル示された。
【１０１２】
図２１１Ａは、図２０６の実施形態を示す、ピストンの内側の圧力は維持されることがある、ストローク、および第二の密閉空間は、どこでチャンバーの出口弁が回転できるペダルによって手動でコントロールされていることがある一方、圧力源として配列ピストンが膨張することがあるピストンを介して第一の密閉空間でチャンバーの圧力を備えたシュラーダーバルブ＋バルブアクチュエーター配列を通信して、ハンドルの中で位置するシュラーダーバルブを通って膨張することがあるかの間中一定。
【１０１３】
図２１１Ｂは、ピストン配列が第２と第一の密閉空間の間に通信しているピストン配列およびその関係を示す。
【１０１４】
図２１１Ｃは、ピストンロッドの内側のその長手方向での変わる断面積のに順応する代替ピストン配列を示す。
【１０１５】
図２１１Ｄは、ストロークの終わりに図２１１Ａのピストンのインフレーション配列の拡大を示す。
【１０１６】
図２１１Ｅは、出口弁の閉じることおよび開口のためのバルブアクチュエーターのためのバイパス配列の拡大を示す。
【１０１７】
図２１１Ｆは、自動閉鎖および初めの配列の拡大を示す、出口弁ａ比較可能なシステムはピストン（打ち砕かれた）中の予定圧力価値を得ることのための示される。
【１０１８】
図２１１Ｇは、バルブアクチュエーターおよびバネ力操作されたキャップの組み合わせを備えていて、図２１１Ａのピストンのインフレーション配列の拡大を示す。それは、チャンバーからある予定圧力まで自動的にピストンを膨張させることを可能にする。
【１０１９】
図２１１Ｈは、バルブアクチュエーターのピストン以下に位置したバルブアクチュエーターとスプリングの組み合わせを備えていて、図２１１Ｇの１つの代替解決策を示す。コンテナー中の圧力がチャンバーの圧力に依存することがあるところで、図２１２は配列を示す。
【１０２０】
図２１３Ａは、横断線断面およびピストンの異なるエリアを有しているｅｌａｓｔｉｃａｌか可撓な壁を備えたチャンバーの長手断面を示す、で、組み合わせの幾何学径配列を固定する、最初、およびポンプストロークの終わりに示される。
【１０２１】
図２１３Ｂは、拡大にポンプストロークの初めの組み合わせのの配列を示す。
【１０２２】
図２１３Ｃは、ポンプストロークの間中組み合わせの配列の拡大を示す。
【１０２３】
図２１３Ｄは、ポンプストロークの終わりに組み合わせの配列の拡大を示す。
【１０２４】
図２１４は、横断線断面およびピストンの異なるエリアを備えたｅｌａｓｔｉｃａｌか可撓な壁を有しているチャンバーの長手断面を示す、で、可変、組み合わせの幾何学径配列はストロークの端に、およびその端で最初に示される。
【１０２５】
図２１５Ａは、気圧調節するチャンバーのフーリエ級数展開によって作られた横断線断面の例を示す、どれの、横断線断面積減少、一方、ｃｉｒｃｕｍｐｈｅｒｉｃａｌなサイズ残り、一定。
【１０２６】
図２１５Ｂは、図２０７Ａの気圧調節するチャンバーの変形を示す、それはそのエリアが減少するように設計されている固定横断線断面で今長手断面を有している、一方、その円周、ほぼ残り、一定、あるいはポンプストロークの間中下側程度で減少する。
【１０２７】
図２１５Ｃは、図２１５Ｂの長手断面の横断線断面Ｇ−Ｇ（点線）およびＨ−−Ｈを示す。
【１０２８】
図２１５Ｄは、図の長手断面の横断線断面Ｇ−Ｇ（点線）およびＩ−Ｉを２１５Ｃ示す。
【１０２９】
ショー、気圧調節するチャンバーのフーリエ級数展開によって作られた横断線断面の他の例、どれの、横断線断面積減少、一方、ｃｉｒｃｕｍｐｈｅｒｉｃａｌなサイズ残り、一定。
【１０３０】
ある拘束の下の横断線断面の最適化された凸形状の例を示す。
【１０３１】
組み合わせを示す、ここで、先細り中心に関するシリンダーの中で移動することにおけるピストン。
【１０３２】
目的と手動を汲むことのためのｅｒｇｏｎｏｍｉｃａｌな最適化されたチャンバーを示す。
【１０３３】
対応する力ストロークダイアグラムを示す。
【１０３４】
パラシュートの下で掛かっていて、可動動力部の例を示す。
【１０３５】
可動動力部の詳細を示す。
【１０３６】
５０７  図面の説明
先の特徴および本発明の他の側面はａｃｃｏｍｐａｇｎｉｎｇする図面に関する次の説明で説明される、そこで：
図３０１は、シュラーダーバルブがつなぐことができるクリップ留めのバルブ継手の中でバルブアクチュエーターの第一の実施形態を示す；
図３０１Ａは、ピストンのまわりのチャンネルを備えた図３０１の詳細の拡大を示す；
図３０１Ｂは、図３０１Ａの断面Ｇ−Ｇを示す；
図３０２は、合理化された活性化するピンを備えた普遍的なクリップ留めのバルブ継手の中でバルブアクチュエーターの第二の実施形態を示す；
図３０２Ａは、図３０２の詳細の拡大を示す；
図３０２Ｂは、図３０２Ａの断面Ｈ−−Ｈを示す；
図３０３は、圧搾オンバルブ継手の中でバルブアクチュエーターの第三の実施形態を示す；
図３０３Ａは、図３０３の詳細の拡大を示す；
図３０４は、活性化するピンを有するバルブアクチュエーター、およびパーマネントアッセンブリーでのシリンダーの壁を示す（たとえば化学工場から）；
図３０５は、自在弁コネクターの中でバルブアクチュエーターの第四の実施形態を示す。
【１０３７】
図面の１９５９７の簡単な説明
下記では、本発明の好ましい実施形態は、本発明がダイアグラムと図面によって詳細に以下に説明される図面を参照して説明される。下記はダイアグラムの中で示される。あるいは、図面ａ横断線断面はピストンおよび／またはの可動の方向に垂直な断面を意味する、チャンバー、長手断面が前記動いている方向の方向にものである間：
組み合わせができるところで、図４０１Ａは図４０１Ｂの床ポンプ式のポンプの平面図を示す、定期修理、ラインＸＸ、ＹＹまたは根太上面に関してのＺＺ、角度が懸濁液によって制限されない一方。
【１０３８】
図４０１Ｂは、図４０１Ａの床ポンプの背面図を示す。
【１０３９】
図４０２Ａは、図４０２Ｂの床ポンプ式のポンプの平面図を示す。そこでは、角度が組み合わせと基礎の間の遷移のバネ力によって制限される間に、組み合わせは表面に関して３ディメンションで移動することができる。
【１０４０】
図４０２Ｂは、床ポンプの背面図を示す。
【１０４１】
ハンドルがその休息位置の前に位置に移動された場合、図４０２Ｃは図４０２Ｂのポンプの平面図を示す。
【１０４２】
ハンドルがその休息位置の裏に位置に移動された場合、図４０２Ｄは図４０２Ｂのポンプの平面図を示す。
【１０４３】
ハンドルがその休息位置の前に左の位置に移動された場合、図４０２Ｅは図４０２Ｂのポンプの平面図を示す。
【１０４４】
ハンドルがその休息位置の裏に左の位置に移動された場合、図４０２Ｆは図４０２Ｂのポンプの平面図を示す。
【１０４５】
機能からいる場合、ハンドルがその位置の前に正しい姿勢に移動された場合、図４０２Ｇは図２Ｂのポンプの平面図を示す。
【１０４６】
ハンドルがその休息位置の後ろの正しい姿勢に移動された場合、図４０２Ｈは図４０２Ｂのポンプの平面図を示す。
【１０４７】
図４０３Ａは、組み合わせのチャンバーと基礎の間の可撓な遷移の床ポンプの側面図を示す。
【１０４８】
Ｆｉｇ．４０３Ｂは、図４０３Ａの遷移の拡大を示す。
【１０４９】
図４０３Ｃは、組み合わせのチャンバーと基礎の間の別の可撓な遷移の床ポンプの背面図を示す。
【１０５０】
図４０３Ｄは、図の遷移の拡大を４０３Ｃ示す。
【１０５１】
図４０４Ａは、ピストンロッドが組み合わせの横断線方向に動くことを可能にするキャブを備えた床ポンプの背面図を示す。
【１０５２】
ピストンロッドが出ていかれる場合、図４０４Ｂは、図４０４Ａのキャブの横断線断面の拡大を示す、その、横断線移動は最大ない。
【１０５３】
ピストンロッドが回転ｏと共にその最大に引き抜かれる場合、図４０４Ｃは、図４０４Ｂの横断線断面を示す、左へのピストンロッド。
【１０５４】
ピストンロッドが引かれない場合、図４０４Ｄは、図４０４Ａのキャブの横断線断面の拡大を示す、横断線移動はアウトない。
【１０５５】
ピストンロッドが左へのピストンロッドの横断線並進移動と共に引き抜かれない場合、図４０４Ｅは、図４０４Ｄの横断線断面を示す。
【１０５６】
組み合わせの中心線の反対側のハンドル部品の中心線間の角度が、１８０未満の［度］である場合、図４０５Ａは図４０５Ｂの床ポンプ式の平面図を示す。
【１０５７】
図４０５Ｂは、図４０５Ａの床ポンプのハンドルの側面図を示す。
【１０５８】
チャンバーの中心線の反対側のハンドル部品の中心線間の角度が、１８０を超える［度］である場合、図４０６Ａは図４０６Ｂの床ポンプ式の平面図を示す。
【１０５９】
図４０６Ｂは、図４０６  Ａの床ポンプのハンドルの側面図を示す。
【発明を実施するための形態】
【１０６０】
［１９６２７の好適な実施の形態］
下記では、本発明の実施形態が図面を参照して説明されるということを好んだ、ここで：
ピストンの壁のストレッチングの限定を備えた図１−３取り引き。ピストンがチャンバーの圧力にさらされる場合、これは、長手方向でのストレッチングの限定を備えている、また第２から第一の縦位置へ移動する場合に、横断線方向に膨張を認めること
コンテナータイプピストンの壁の長手方向でのストレッチングは、いくつかの方法によって制限されたことがある。それは、たとえば織物のおよび／または繊維強化材の使用によるコンテナーの壁の強化材によって行われることがある。また、コンテナーの壁に接続されている一方、それは、コンテナーのチャンバーがその膨張のための限定を備えた本体を拡張して位置を決めた内部によって行われることがある。他の方法は使用されてもよい、たとえばチャンバーの管理に圧力を加える、コンテナー（コンテナーなどの上のスペースの圧力管理）の中間の２つの壁  
コンテナーの壁の膨張振る舞いは、使用されるストレッチング限定のタイプに依存していることがある。さらに、ピストンロッド上に移動しているピストンの貯蔵性は、拡大間に、機械的な停止によってガイドされることがある。そのような停止のポジショニングは、ピストン燃焼室組み合わせの使用に依存していることがある。外力にさらされたおよび／またはを拡張している間、これは、またピストンロッド上のコンテナーのガイダンスのための場合であることがある。
【１０６１】
すべての種類の流体は使用されたａ組み合わせであることがある、１つの、圧縮することができる、そして非圧縮可能な媒体、圧縮することができる媒体のみ、あるいは１つの、圧縮しない、可能な、媒体。（単に）
コンテナーのサイズの変更が最も小さい断面積から本質的なことがあるので、それがその生産サイズを有していて、ピストンロッドの中で最も大きな断面積（第一の密閉空間を備えたコンテナー中のチャンバーの連絡）でたとえば拡大した場所は必要なことがある。チャンバーで圧力を維持するために、第一の密閉空間は、またコンテナーのチャンバーのボリュームの変更の間中、同様に加圧されることがある。少なくとも第一の密閉空間のための圧力管理は必要なことがある。
【１０６２】
図１Ａは、ストローク（チャンバー１８６の＝の第二の縦位置）の終わりに始め（チャンバー１８６の＝の第一の縦位置）および同じ２０８’でコンテナー２０８を備えている、凹状壁１８５および膨張式のピストンを備えたチャンバー１８６の長手断面を示す。チャンバー１８６の中心軸は１８４である。コンテナー’２０８はその生産サイズを示す、織物を有していること、壁１８７のスキン１８８中の強化された１８９．ストロークの間中、コンテナーの壁１８７は停止配列まで拡大する、それは織物の強化材１８９であることがある、あるいは別の停止配列が止めるコンテナー２０８および／またはの外側の機械的な停止１９６、ストローク中の移動。そしてしたがって、コンテナー２０８の膨張。チャンバー１８６の圧力によって、チャンバー１８６の圧力のため、コンテナーの壁の長手ストレッチングがまだ生じることがある。しかしながら、メインの機能は、強化材にコンテナー２０８の壁１８７のこの長手ストレッチングを制限することである。ストロークの間中、コンテナー’２０８と２０８の内側の圧力は一定のままであることがある。この圧力は、ストロークの間中チャンバー１８６の断面の円周長さの変化にコンテナー’２０８と２０８のボリュームの変化にしたがって依存する。圧力がストロークの間中変わることもありえることがある。また、それは可能なことがある、ストローク中の圧力変化、依存、あるいはチャンバー１８６の圧力のではない。
【１０６３】
図１Ｂは、ストロークの初めの拡張したピストン２０８の第一の実施形態を示す。コンテナーの壁１８７は、織物の強化材１８９と共に、柔軟性材料（それはたとえばゴム活字または同様物であることがある）のスキン１８８によって構造である。それは膨張を認める。中心軸１８４（＝ブレード角度）に関しての織物の強化材の方向は、５４の［度］４４’とは異なる。引かれるように、ストローク中のピストンのサイズの変更は、同一の形に必ずではなく帰着する。膨張のため、コンテナーの壁の厚さはストロークの終わりに位置した時作製されるようなコンテナーよりも小さいことがある（＝秒縦位置）。壁１８７の内側の不透水層１９０は存在することがある。それは、上面のキャップ１９１、およびコンテナー’２０８と２０８の底のキャップ１９２にきつく圧搾される。前記キャップの詳細は示されない。また、すべての種類の集まる方法はそうであることがある、これらを使用する、コンテナーの壁の変わる厚さに順応するのにできることがある。両方のキャップ１９１と１９２はおよび／またはを翻訳することができる、ピストンロッド１９５上に回転する。これらの動作は示されないたとえば異なるタイプのベアリングとして様々な方法によって行われることがある。コンテナーの上面のキャップ１９１は、上方へ下方へ移動することがある。コンテナー２０８の外側のピストンロッド１９５上の停止１９６は、コンテナー２０８の上向きの移動を制限する。停止１９７が上方へこの実施形態が考えられることがある移動を防ぐので、ボトム中のキャップ１９２は単に下降することがある、ピストンの下のチャンバー１８６の圧力を有しているピストン燃焼室デバイスの中で使用される。停止の他の配列は、ダブルの作動するポンプなどの他のポンプ式、真空ポンプなどにおいて可能なことがあり、もっぱら設計仕様に依存する。ピストンの相対的運動をピストンロッドに制限するおよび／またはを可能にするための他の配列が生じることがある。シール力のチューニングは、ｉｎｃｏｍｐｒｅｓｓａｂｌｅな流体２０５および圧縮することができる流体２０６の組み合わせを備えていることがある、中心軸１８４と平行なチャンバー１８６の壁１８５ａ。それは、ほぼ第一の縦位置でのストロークの終わりに位置する。（両方はまた単独で可能性である）コンテナーの内側のその一方でコンテナーのチャンバー２０９はバネ力を備えている第二のチャンバー２１０と通信していることがある、動作した、ピストンロッド１９５の内側のピストン１２６。流体は、自由に穴２０１を通ってピストンロッドの壁２０７を流れることがある。コンテナーの内側の圧力もチャンバー１８６の圧力に依存していることがある間、第２のチャンバーが第三のチャンバー（図１２を参照）と通信していることはありえることがある。コンテナーはチャンバー１８６と通信することによりピストンロッド１９５および／またはを介して膨張式のことがある。上面もの、およびボトム中の前記キャップの中の前記キャップ中のＯリングまたは同様物２０２、２０３、それぞれピストンロッドへのキャップ１９１と１９２を密閉する。ピストンロッド１９５  ｔｈｉｇｈｔｈｅｎｓの終端でのねじ込のアッセンブリーが、ピストンロッ���を言ったとともに示されたキャップ２０４。比較可能な停止は、コンテナーの壁の要求された移動に依存して、ピストンロッドのどこか他のところに位置することがある。コンテナーの壁とチャンバーの壁の間のコンタクト域は、１９８である。
【１０６４】
図１Ｃは、ポンプストロークの終わりに図１Ｂのピストンを示す。そこでは、それはその生産サイズを有している。上面のキャップ１９１は距離以上移動される、１つの」停止１９６から。バネ力操作されたバルブピストン１２６は、距離ｂ’の上に移動された。チャンバー１８６、次に底キャップ１９２には圧力がある１９７−場合、底キャップ１９２は停止に隣接していて、示される、停止１９７に対して押される。圧縮することができる流体’２０６、そしてその、圧縮しない、可能な、流体、２０５’．コンテナー２０８’ａｎｄの間のコンタクト域’１９８、第２の縦位置のチャンバーの壁。
【１０６５】
チャンバー１８６（それは中心軸１８４と平行である）の壁１８５ｂ。それは、ほぼ第二の縦位置でのストロークの終わりに位置する。
【１０６６】
Ｆｉｇ．２Ａは、第２の縦位置のチャンバーおよび同じ２１７’の第一の縦位置でコンテナー２１７を備えている、凹状壁１８５および膨張式のピストンを備えたチャンバー１８６の長手断面を示す。コンテナー’２１７は、格子効果による壁２１８のスキン２１６中の繊維強化材２１９を有していて、その生産サイズを示す。ストロークの間中、コンテナーの壁２１８は停止配列まで拡大する、それは繊維強化材２１９および／またはであることがある、別の停止配列が止めるコンテナーおよび／またはの内側の機械的な停止２１４、ストローク中の移動。そして、したがって、コンテナー２１７の壁２１８の膨張を止める。繊維強化材のメインの機能は、コンテナー２１７の壁２１８の長手ストレッチングを制限することである。ストロークの間中、コンテナー’２１７と２１７の内側の圧力は一定のままであることがある。この圧力は、ストロークの間中チャンバー１８６の断面の円周長さの変化にコンテナー’２１７と２１７のボリュームの変化にしたがって依存する。また、それは可能なことがある、ストローク中の圧力変化、依存、あるいはチャンバー１８６の圧力のではない。コンテナー２１７と、第一の縦位置のチャンバーの壁の間のコンタクト域２１１。
【１０６７】
図２Ｂは、ストロークの初めの拡張したピストン２１７の第二の実施形態を示す。コンテナーの壁２１８は、繊維強化材２１９（それはコンテナ壁２１８の膨張を認める）と共に、柔軟性材料（それはたとえばゴム活字または同様物であることがある）のスキン２１６によって構造である。したがって、中心軸１８４（＝ブレード角度）に関してのファイバーの方向は、５４の［度］４４’とは異なることがある。膨張のため、コンテナーの壁の厚さはより小さいが、ストロークの終わりに位置した時作製されるようなコンテナーのそれと必ずしもそれほど別ではないことがある（＝秒縦位置）。壁１８７の内側の不透水層１９０は存在することがある。それは、上面のキャップ１９１、およびコンテナー’２１７と２１７の底のキャップ１９２にきつく圧搾される。前記キャップの詳細は示されない。また、すべての種類の集まる方法はそうであることがある、これらを使用する、コンテナーの壁の変わる厚さに順応するのにできることがある。両方のキャップ１９１と１９２はおよび／またはを翻訳することができる、ピストンロッド１９５上に回転する。これらの動作は示されないたとえば異なるタイプのベアリングとして様々な方法によって行われることがある。上面のキャップ１９１は、停止２１４範囲までこの移動を上方へ下方へ移動させることができる。停止１９７が上方へこの実施形態が考えられる移動を防ぐので、ボトム中のキャップ１９２は単に下降することができる、チャンバー１８６の圧力を有しているピストン燃焼室デバイスの中で使用される。停止の他の配列は、ダブルの作動するポンプなどの他のポンプ式、真空ポンプなどにおいて可能なことがあり、もっぱら設計仕様に依存する。ピストンの相対的運動をピストンロッドに制限するおよび／またはを可能にするための他の配列が生じることがある。シール力のチューニングは、コンテナーの内側のｉｎｃｏｍｐｒｅｓｓａｂｌｅな流体２０５および圧縮することができる流体２０６（両方はまた単独で可能性である）の組み合わせを備えていることがある。その一方でコンテナー’２１７と２１７のチャンバー２１５はバネ力を備えている第二のチャンバー２１０と通信していることがある、動作した、ピストンロッド１９５の内側のピストン１２６。流体は、自由に穴２０１を通ってピストンロッドの壁２０７を流れることがある。コンテナーの内側の圧力もチャンバー１８６の圧力に依存していることがある間、第２のチャンバーが第三のチャンバー（図１０を参照）と通信していることはありえることがある。コンテナーはチャンバー１８６と通信することによりピストンロッド１９５および／またはを介して膨張式のことがある。上面もの、およびボトム中の前記キャップの中の前記キャップ中のＯリングまたは同様物２０２、２０３、それぞれピストンロッドへのキャップ１９１と１９２を密閉する。ピストンロッド１９５  ｔｈｉｇｈｔｈｅｎｓの終端でのねじ込のアッセンブリーが、ピストンロッドを言ったとともに示されたキャップ２０４。
【１０６８】
チャンバー１８６（それは中心軸１８４と平行である）の壁１８５ａ。それは、ほぼ初めはストロークの終わりに位置する、縦位置図２Ｃは、ポンプストロークの終わりに図２Ｂのピストンを示す。そこでは、それはその生産サイズを有している。キャップ１９１は停止２１４から距離ｃ’の上に移動される。バネ力操作されたバルブピストン１２６は、距離ｄ’の上に移動された。（１９７−場合）底キャップ１９２は、キャップ１９２が停止１９７に対して押されるより、停止に隣接していて示される。圧縮することができる流体’２０６、そしてその、圧縮しない、可能な、流体、２０５’．コンテナー２１７’ａｎｄのコンタクト域２１［ガンマ］第２の縦位置のチャンバー１８６の壁。
【１０６９】
チャンバー１８６（それは中心軸１８４と平行である）の壁１８５ｂ。それは、ほぼ第二の縦位置でのストロークの終わりに位置する。
【１０７０】
図３Ａ（Ｂ）、Ｃ、ストロークの終わりに始めおよび２２８’でコンテナー２２８を備えている膨張式のピストンを示す。生産サイズはピストン２２８’ａｔのそれである、チャンバー１８６の第２の縦位置。ピストンの構築は、図７ＡＪ３、強化材が曲げることができるどんな種類の強化材手段からも構成されるという例外としたＣ、およびどれがすることがあるかのそれと同一のことがある、強化材のパターンの中で」互いに交差しないｃｏｌｕｍｓの。このパターンは、強化材手段の一部が中心軸１８４を介して平面でどこであることがあるかにチャンバー１８６または１の中心軸１８４への平行のうちの１つであることがある。
【１０７１】
図３Ｂは、スキン２２２および２２４を備えた壁２１８を示す。強化材２２３。コンテナー２２８と、第一の縦位置のチャンバーの壁の間のコンタクト域２２５。不透水層２２６。
【１０７２】
図３Ｃは、コンテナー’２２８と、第２の縦位置のチャンバーの壁の間のコンタクト域’２２５を示す。
【１０７３】
図３Ｄは、それぞれ強化材と共に、ピストン’２２８および２２８の平面図を示す、２２７と２２７を意味する」それぞれ。
【１０７４】
図３Ｅは、それぞれ強化材と共に、ピストン’２２８および２２８の平面図を示す、２２９と２２９を意味する」それぞれ。
【１０７５】
図４は、壁１８５ａを備えたチャンバー１８６の内側の動いていない拡張可能なピストン’２２８を示す、それは位置の前記チャンバー１８６の中心軸１８４と平行である、ここで、ピストン２２８間の接触面’２２５「そして前記チャンバー１８６の壁１８５、前記ピストンの両側間のチャンバーには圧力差がない間。チャンバーの部分１８５は、さらに第一の位置へ角度を有している、１つの、中心軸１８４で。中心軸１８４の上のピストンの弾力的に変形可能な壁の中間点（中心）１００１の射影１０００。
【１０７６】
図５Ａは、図４のピストンを瞬間的に示す、ピストンが拡大する可動キャブ１９１に始まるところで、円錐形の形づくられた壁１８５でチャンバー１８６の内側の移動しないこと、非可動キャブ１９２に近づいている。接触面２２５”は増加している、また今、弾力的に変形可能な壁に中心１００２および１００３以下にそれぞれ位置する、それぞれ中心軸１００４（古い）および１００５（新しい）の上のピストンその射影。距離ｆ。可動キャブ１９１のうちの１００６を移動させる方向。ピストンの壁１８７からチャンバー１８６の壁１８５までの力１００７。距離ｇ’。
【１０７７】
図５Ｂは、図５Ａのピストンをｉｎｓｔａｎｔｅｎｅｏｕｓｌｙに示す、移動させずそのために拡大すること、その結果’可動キャブ１９１が現在移動させていない前記接触面２２５”の第二の縦位置でのチャンバー１８６増加の１８５の壁を備えたコンタクト域２２５”。’のピストンウォール１８７。接触面’２２５」中間点（中心）がコンテナーの弾力的に変形可能な壁である点の近くである。弾力的に変形可能な壁の中心１００８（古い）および１００９（新しい）の、中心軸１８４の上のピストンその射影１０１０（古い）および１０１１（新しい）それぞれ。距離ｆ。チャンバーの壁１８５のピストンウォール１８７からの力１０１２。力１０１２の移動１０１３の方向。可動キャップ１９１の移動１０１４。
【１０７８】
図５Ｃは、図５Ｂのピストンをｉｎｓｔａｎｔｅｎｅｏｕｓｌｙに示す、移動させずそのために拡大すること、その結果接触面２２５”」壁を備えたピストンウォール１８７に、チャンバーのうちの１８５は前記コンタクト域の第二の縦位置で減少する、一方、チャンバー増加の壁を備えたピストンウォールのコンタクト域、初めは、縦位置、前記、コンタクト域可動キャブは移動していない。弾力的に変形可能な壁の中心１０１５（古い）および１０１６（新しい）の、中心軸１８４の上のピストンその射影１０１７（古い）および１０１８（新しい）それぞれ。距離ｇ’。移動方向、ピストンの壁１８７のチャンバー壁１８５の反力１０２０のうちの１０１９．ピストンの壁１８７の移動１０２１の方向。
【１０７９】
図５Ｄは、図のピストンを５Ｃ示す。そこでは、非可動キャップ１９２は、ｉｎｓｔａｎｔｅｎｅｏｕｓｌｙに第二のことから第一縦位置へ移動し始めている、それによって、同じ方向にピストンを移動させる。コンタクト域’２２５。」それはその２２５”よりもはるかに小さい」図に５Ｃ。距離ｈ’。中心軸１８４の上のピストンの弾力的に変形可能な壁の中心１０２３の射影１０２２、それぞれ。可動キャップ１９１および非可動キャブ１９２のその１０２５の可動の方向１０２４、したがって、全体のピストンのそれ。漏れ１０２６（それは時間のその点で生じる）。
【１０８０】
図５Ｅは、図５Ｄのピストンを示す。そこでは、ピストンの移動は、増加するコンタクト域２２５のためピストンの弾力的に変形可能な壁の中心１０２８の中心軸１８４の上の射影１０２７を減少させている。可動キャップ１９１の可動の方向１０２９。ピストンの壁の可動の方向１０３０および１０３１。
【１０８１】
図６  Ａショー、拡張可能なピストン８９８、愛想よく移動すること、あるいは／そして、ｓｅａｌｉｎｇｌｙに、コーンを決まったチャンバー８９９のうちの９００、強化された（示されない）壁９０１を備えていること、固定したキャブ９０３に埋め込まれている、また可動キャブ９０４。前記キャブ９０４は、ピストンロッド９０２上にｓｌｉｄｉｎｇｌｙに可動である。密閉空間を備えていており、ピストン８９８中の空間と通信して、それはくぼんでいる。ピストンに流体または流体の混合物がある。前記チャンバーはスペース９０６、９０７でピストンの両側で閉まっておりそうであることがある、１、またはピストン８９８の両側時に流体または流体の混合物を備えている。ピストン８９８の壁９０１とチャンバー８９９の壁８９７の間のコンタクト域９０５。ピストンの両側の流体の存在は望まれたとは異なっている方式でピストンの動きを引き起こすことがある。
【１０８２】
図６Ｂは、愛想よく移動する図６Ａのピストン８９８を示す、あるいは／そしてｓｅａｌｉｎｇｌｙに、コーンを決まったチャンバー８９６のうちの９００（それは、ピストン８９８のそれぞれの横のスペース９０８および９０９を有している）．壁に、コーンのうちの８９５は１つの〈ステファン数〉縦位置でチャンバー８９６を形成した、管９１１である、それは、環境の大気９１０を備えたスペース９０８間の連絡を許可する。その一方で管９１２は、前記コーンを決まったチャンバー８９６（それは環境の大気９１０を備えたスペース９０９間の連絡を許可する）の壁８９５に組み立てられている。ピストン８９８の壁９０１とチャンバー８９６の壁８９７の間のコンタクト域９０５。環境の大気９１０。ピストン８９８の壁９０１とチャンバー８９６の壁８９７の間のコンタクト域９０５。
【１０８３】
図６Ｃは、愛想よく移動する図６Ａのピストン８９８を示す、あるいは／そしてｓｅａｌｉｎｇｌｙに、コーンを決まったチャンバー８９４のうちの９００（それは、ピストン８９８のそれぞれの横のスペース９０８および９０９を有している）．壁に、コーンのうちの８９３は１つの〈ステファン数〉縦位置でチャンバー８９４を形成した、管９１３である、それは、管９１４（それは前記コーンを決まったチャンバー８９６の壁８９３に組み立てられ、それは前記円錐形のチャンバー８９４のスペース９０９と通信する）と通信する管９１５の内部を備えたスペース９０８間の連絡を許可する。ピストン８９８の壁９０１とチャンバー８９６の壁８９３の間のコンタクト域９０５。
【１０８４】
図６Ｄは、円錐形のチャンバー８９９に愛想よく移動するピストン８９２を示す。それは、ピストン８９２のそれぞれの横のスペース９０６および９０７を有している。前記スペース９０６および９０７は、互いに貫通孔９１８（それはキャブ８９１および８９０に組み立てられる）をそれぞれ通信している。ピストン８９８の壁９０１とチャンバー８９９の壁８９７の間のコンタクト域９０５。
【１０８５】
図６Ｅは前記チャンバーが閉まっている円錐形のチャンバー８９９において愛想よく可動ピストン８９８を示す、スペース９０６、９０７を備えたピストンの両側、またあることがある、１、またはピストン８９８の両側時に流体または流体の混合物を備えている。コーンを決まったチャンバー８９９の内部壁９２２とピストン９２４の外部壁９２３の間にコンタクト域はない。また、代わりに、流体の流れに前記ピストン８９８の運動９００の反対方向のうちの９２１を与える、前記壁９２２と９２３の間におしゃべり９２０がある。
【１０８６】
図、６Ｆは図の中で６Ｅ示されるピストン９２４に基づいて、ダクト９２６、好ましくはアクチュエータピストン９２５の壁９２８のコンタクト域９２７に等しく広げられた３つのダクト９２６、およびチャンバー８９９の壁９２２を有していて、アクチュエータピストン９２５を示す。ダクト９２６は、チャンバー８９９の両方のスペース９０６と９０７の間の流体の連絡を許可している。ｓｅａｌｉｎｇｌｙに、接触が円周に沿ったチャンバー８９９の壁９２２で起こっているところで、コンタクト域９２７の部分９２９は前記ダクト９２６が存在しなかった時より小さい。しかし、前記アクチュエータピストン９２５の得られた駆動力はまだ容認可能なことがある。長手方向での前記ダクト９２６の長さは、ａｌ１１Ｏｎｇｉｔｕｄｉｎａｌな位置で、前記チャンバー８９９の前記スペース９０６と９０７の間の連絡を得るためにコンタクト域９２７の長手長さよりも大きい。ピストンロッド９２９。可動キャブ９３０。
【１０８７】
図６Ｇは示す、図６Ｆのピストンロッド９２９、および１つの〈ステファン数〉縦位置からのアクチュエータピストン９２５に関する見解の横断線断面。チャンバー壁９２２。可動キャブ９３０。ほぼ前記チャンバー８９９の壁９２２を備えたコンタクト域９２７で前記アクチュエータピストン９２５の円周を等しくｕｐｄｉｖｉｄｉｎｇするダクト９２６。
【１０８８】
図７Ａは、ポンプストロークの終わりに図のピストンを１Ｃ示す。チャンバーの壁は、中心軸１８４、およびどれが、加圧された時さえ、なぜコンテナーが移動していないかかと平行である。
【１０８９】
図７Ｂは、壁が中心軸へのｐａｒａｌｅｌｌでないチャンバーの一部で、だが正の角で、図７Ａのピストンを示す。その可撓な壁の中央の点が壁を備えた接触面上にあるので、ピストンは第一の位置に近づく。
【１０９０】
図７Ｄは３つの寸法図で、チャンバー１８６にｓｅａｌｉｎｇｌｙに移動する場合、コンテナー’２０８と２０８の壁の伸縮を弾力的に認めて、繊維材料の強化材マトリックスを示す。
【１０９１】
繊維材料はｅｌａｓｔｉｃａｌなことがあり、互いの上の個別の層を中へ置いていることがある。層はまた互いの中で織られて置くことがある。２つの層の間の角度は５３の［度］４４’とは異なることがある。材料タイプおよび厚さがすべての層および層の数に対して同じである場合、さえ、各方向の一針サイズは等しいが、コンテナーの壁の伸縮はＸＹＺ方向において等しいことがある。マトリックスの指示の各々で一針ｓｓおよびｔｔをそれぞれ拡張する場合、より大きくなる、一方、収縮する、これら、ｗｉｌ、より小さくなる。ねじの材料がｅｌａｓｔｉｃａｌなことがあるので、別のデバイスは機械的な停止などの膨張を止めるのに必要なことがある。これはチャンバーおよび／またはの壁であることがある、図７Ｂに示されるようにピストンロッドに示された機械的な停止。
【１０９２】
図７Ｅは３つの寸法図で、拡張した図７Ｄの強化材マトリックスを示す。一針ｓｓのおよびｔｔ」それは一針ｓｓおよびｔｔよりも大きい。短縮の結果は、図７Ｄの中で示されるマトリックスを招くことがある。
【１０９３】
図７Ｆは３つの寸法図で、どれが非弾力的なねじ（しかし弾力的に曲げることができる）で作られていることがあるか、互いの上の個別の層を中へ置くことがあるか、または、互いの中で結合されることがあるか繊維材料の強化材マトリックスに示す。コンテナーが生産中である場合、膨張は、各ループ７００（それは入手可能である）の余長のために可能である、チャンバーの第２の縦位置に位置した時、サイズまた気圧調節した。一針ｓｓ」そしてｔｔ」各方向に。コンテナーの壁が非弾力的な材料（しかし弾力的に曲げることができる）をいつ拡張するかは、コンテナー２１７の壁１８７の最大の膨張を制限することがある。ピストンロッド１９５上のコンテナー２１７の移動を止めることが必要なことがある、によって、たとえば停止１９６、その結果、シーリングは残ることがある。そのような停止１９６の不足は、バルブを作り出す可能性を与えることがある。
【１０９４】
拡張した図７Ｇは３つの寸法図で、図の強化材マトリックスを７Ｆ示す。一針ｓｓの」そしてｔｔ」それは一針ｓｓよりも大きい」そしてｔｔ。」短縮の結果は、図の中で７Ｆ示されるマトリックスを招くことがある。中心軸３７０のまわりの中心にたとえばここに示されて、シリンダ壁３７４内のチャンバー３７５に移動している、弾力的に変形可能なコンテナー３７２を備えているピストン、およびテーパーが、３７３を囲むところで、図８は組み合わせを示す。ピストンは、少なくとも１つのピストンロッド３７１に絞首刑にされる。コンテナー’３７２と３７２は、前記チャンバー（３７２’）の第２の縦位置、および第一の縦位置（３７２）で示される。
【１０９５】
この文献に示されたすべての溶液も、一定のｃｉｒｃｕｍｐｈｅｒｅｎｔｉａｌなサイズを備えた断面を有しているチャンバーが妨害の問題のための溶液であることがあるピストン式と結合することがある。
【１０９６】
図９Ａは、ストロークの終わりに始めおよび同じ２３８’でコンテナー２５８を備えている、凸面／中低壁１８５および膨張式のピストンを備えたチャンバーの長手断面を示す。コンテナー’２５８はその生産サイズを示す。
【１０９７】
図９Ｂは、共通の部材２５５に回転自在に固定された、複数の少なくとも、弾力的に変形可能な支持体部材２５４による、壁２５１および強化されたスキン２５２を有しているピストン２５８の長手断面を示す、接続された、前記ピストン’２５８と２５８のスキン２５２。これらの部材はテンションにあり材料の硬度に依存している。それらはある最大のストレッチング長さを有している。この有限長は、前記ピストンのスキン２５２のストレッチングを制限する。共通の部材２５５はピストンロッド１９５に関する滑る手段２５６で滑ることがある。残りについては、ピストン’２０８と２０８のそれと比較可能な構築がある。コンタクト域２５３。
【１０９８】
図９Ｃは、ピストン’２５８の長手断面を示す。コンタクト域’２５３。図９Ｄは、共用領域でピストンの長手断面を２５８”２５３”示す。中心１０２０、弾力的に、ピストンの壁２５１を変形した。中心軸１０２２の上の中心点１０２０の射影。
【１０９９】
（実質的に）図１０Ａ−Ｆ（を含めた）は、膨張式のアクチュエータピストンの組み合わせの圧力配列を示す、チャンバーで走ること、チャンバーは言った、１番目および第二の縦位置の異なる断面積および異なる円周長さの断面を有していること、また１番目の間の中間縦通材位置および第二の縦位置での少なくとも、連続的に異なる断面積および円周長さ、前記第二の縦位置での断面積および円周長さ、前記第一のｌｏｎｇｉｔｕｄｍａｌな位置での断面積および円周長さよりも小さい、そこでは、前述のアクチュエータピストンが第二から第一の縦位置へ走っている場合、密閉空間のボリュームのサイズは一定である。これは両方のテクノロジーの中で行われることがある（ＣＴとＥＳＶＴ）
（実質的に）図１０Ｇ−Ｌ（を含めた）は、膨張式のアクチュエータピストンの組み合わせの圧力配列を示す、チャンバーで走ること、チャンバーは言った、１番目および第二の縦位置の異なる断面積および異なる円周長さの断面を有していること、また１番目の間の中間縦通材位置および第二の縦位置での少なくとも、連続的に異なる断面積および円周長さ、前記第二の縦位置での断面積および円周長さ、前記第一の縦位置での断面積および円周長さよりも小さい、前記アクチュエータピストンが第二から第一の縦位置へ走っている場合、密閉空間のサイズが減少している。これは加圧媒体のボリュームを低減するために終っていて、したがって前記媒体のｒｅｐｒｅｓｓｕｒａｔｉｏｎに使用されるべきエネルギーの削減である。消費技術を使用して、そこで、取り囲まれた空間容積のサイズの変更が実施形態の中でよりも非常に容易に終わるので、これはＥＳＶテクノロジーを使用して、実施形態の中で好ましくは行われることがある。
【１１００】
（特許出願ある）図１０Ａは、中心線１８４（前記チャンバー１８６の壁１８５）を有していて、チャンバー１８６を備えたピストン燃焼室組み合わせを示す、ここで、加圧されたｅｌｌｉｐｓｏｉ〈’この、断面２０７、６５３、１９６６０および１９６８０に説明される２１７’−ようなｄｅの形状のピストンは、第二の縦位置２０００から第一の縦位置２００１に２００３を移動させている〉。前記第一の縦位置２００１では、前述のピストン’２１７は、密閉空間２１０の一定体積を有していている間、球体形を有していて、ピストン２１７の中に拡大している。これは次のことを意味する、前記ピストン２１７の内側の圧力、移動２００３の間に徐々に、また第一の縦位置２００１でのその最低の値にある。ピストン２１７の形は、また前記第一のｌｏｎｇｉｔｕｄｍａｌな位置にあることがある、ｅｌｌｉｐｓｏｉｄｅ（示されない）である―この断面と（特許出願）これ１９６６０に説明され示されたとともに、前記ピストンの圧力のより少ない増加を招く。バルブ１２６の位置２００４は前記実行の間にある、不変、その結果、密閉空間２１０のボリュームは変わらない。作業の次のステージが示される矢印２００５年ショー、図１０Ｂまたは図ＩＯＣ、言及された最後、矢印２０１１によって示された。
【１１０１】
位置２０２５年ショー、第二の縦位置（ここで前記チャンバー１８６の壁２０３０は中心軸１８４と平行である）でのピストン’２１７。第一の縦位置でのピストン２１７の位置２０２６、ここで、壁２０３１、前記チャンバー１８６の、中心軸１８４と平行である。第一の縦位置では、ピストンが減圧に始まる時（遅れた）、形２０２７年ショーはピストン２１７を言った。形づくてください。そうすれば、サイズ２０２８は、それが遅れたｄｅｐｒｅｓｓｕｒａｔｉｏｎのため、チャンバー１８６の壁１８５がまったくないところで、ピストン２１７”がほぼもどり行程の半分上にいつかである。同じことは形づくる。また、ピストン’２１７のサイズ２０２８は、２１７ピストン”が前記ピストン’２１７として、第二の縦位置へいつ移動するかが、前記チャンバー１８６の壁１８５への係合であるよりも第二の縦位置へ位置した閉じる人（距離ｙ）であることがある（かつそれがないわけではない）。
【１１０２】
バルブ１２６の下の密閉空間のサイズはボトムへのチャンネルの長さまでに決定される、ピストンロッドこの長さはそうである」１つの」２つの〈ｎｄ〉縦位置で、またある」１つの〈ｓｔ〉縦位置でのｂ’、そこで＝ｂ。
【１１０３】
図１０Ｂはバルブ１２６を示す、撤回された２００６年だった、から、位置２００７へのその位置２００４、さらに前記ピストン２１７から遠ざかって。密閉空間’２１０。結果は、密閉空間’２１０のボリュームが非常に減少しているので、ピストン２１７”の内側の圧力がほぼ前記ピストンがいつ作製されたか（たとえば気圧）のそれになったということである―サイズ、また形づくる、ほぼピストンが第２の長手ポストイオン２０００上にいつかのものである、しかし、今、ｕｎｐｒｅｓｓｕｒｉｚｅｄ−これは、ピストン２１７”がしないことがあることを意味する、および／またはへの係合はすることがある、係合、しかし第一の縦位置２００１から第２の縦位置２０００に２００８を返す場合、前記チャンバー１８６の壁１８５を密閉しない。ピストンの壁２０２４。
【１１０４】
ピストン２１７”が最初の２００１年から第二の２０００年の縦位置に２００８を移動させている場合、だろう、内圧低下、非常に比較的ゆっくり得られる、ピストン２１７Ｂ」に、前記、移動はまだｅｌｌｉｐｓｏを有していることがある〈’キタノウグイ〉形づくる、２１７の形よりも大きい」第二の縦位置２０００で、その結果ピストン２１７Ｂは言った」に、前記、２００８を移動させることはおよび／またはへの係合である、壁１８５に係合しないこと比較として：前記ピストン２１７Ｂの同じサイズ」ピストンが２つの〈ｎｄ〉縦位置２０００から１つの〈ステファン数〉縦位置２００１に２００３を移動させている（ｓｅａｌｉｎｇｌｙに、および／または、愛想よく）場合よりも２つの〈ｎｄ〉縦位置へさらに遠方に得られる。前記圧力降下も、第一の縦位置２００１で既に得られることがある。
【１１０５】
いつ、ピストン２１７”、２１７Ｂ」第２の縦位置２０００へ戻った、密閉空間’２１０のバルブ１２６の位置、２００７年から２００４−ａｒｒｏｗｅｄ  ２００９年までの変更、その結果、密閉空間’２１０は、再び図１０Ａのその原体積を得た、その結果ピストン’２１７が再びそのオリジナルの圧力を有している。次のものが図１０Ａの中で示される作業に行なう矢印２０１０年ショー。
【１１０６】
図１０Ｃｓｈｏｗｓ、ピストン２１７の内圧を変化させるための代替解決策、またこの場合、バルブ１２６が欠けており、代わりに、入口／出口配列２０２０が本ｅ．ｇであることがあるところで、図１０Ａと一緒に尊重されるものとする。この特許出願の断面６５３の図２１０Ａ−Ｆ（を含めた）および図２１１Ａ−Ｆ（を含めた）を参照してください。図１０Ａに説明されるように、加圧されたピストン’２１７は、第２の縦位置２０００から第一の縦位置２００１に２００３を移動させている。密閉空間２１０からの流体を追加しないまたは削除しないことはｏｃｃｕｒｉｎｇすることである。矢印２０１１は、作業の次のステージが図の中で１０Ｃ示されることを示す。ピストン２１７”の減圧は、密閉空間２１０から必要な量の流体を取り除くことにより得られる：矢印２０２０。前記ピストン２１７”が第一の縦位置２００１から返された場合、に（矢印２０２１）第２の縦位置２０００へ、十分な流体は密閉空間２１０へ追加される（矢印２０２２）、ピストンを招くこと、次の相が示される２１７’”−矢印２０２３年ショー、図１０Ａ、ピストン’２１７を招くことピストンの壁２０２４。
【１１０７】
両方の組み合わせが言及されたテクノロジー上にピストンの圧力管理のための追加溶液であることがあることが強調されるべきである。それは付加的に可能なことがある、ピストン２１７または２０８からピストン２１７”または２０８”までの圧力降下、それぞれ徐々の１−ｅ．ｇであることがある。単に１つの〈ステファン数〉縦位置２００１から２つの〈ｎｄ〉縦位置２０００へのリターンの間にチャンバー１８６に、または全くではなくピストンの壁２０２４が壁１８５に係合しているというコンディションをコンピューター化したオン。
【１１０８】
第２と第１縦位置での図面１０Ａ−Ｌでチャンバー１８６の壁１８５は、中心軸と平行ではないことがある。図、５Ａ−Ｅ  ４に示されるようにチャンネルはない（を含めた）。
【１１０９】
図１０Ｄ−Ｆ、今、球体で図１０Ａ−Ｃで示されるそのアナログ処理を示す、形状のピストン２０８。
【１１１０】
図１０Ｇ−Ｉ、圧力がより多くのために維持されることができるように、違いと共に、図１０Ａ−Ｃで示されるそのアナログ処理を示す、いつ、ピストン２１７〈？２〈ｎｄ〉から第一の縦位置２００１に縦位置２０００を移動させている〉。そこではバルブ１２６は図１０Ａに示されるように、ピストンの底部端からあまり移動していない。ピストン１２６の下のピストンロッドの長さ（それは取り囲まれた空間容積のサイズを与えている）はそうである」ｅ’、この長さが減少した２〈ｎｄ〉と１つの〈ステファン数〉縦位置の間でいる間」ｆ、そして１つの〈ステファン数〉縦位置で、長さがさらにある、減少した、に」ｇ’、そこで、ｅ〉ｆ〉ｇ。
【１１１１】
図１０Ｊ−Ｌ、図１０Ｄ−Ｆ（図１０Ｇに説明されるようにそこでは圧力は維持される）で、だが今球体で示されるその比較可能な処理を示す、形状のピストン２０８。バルブ１２６の下のピストンロッドの長さ（それは取り囲まれた空間容積のサイズを与えている）はそうである」ｈ’、この長さが減少した２〈ｎｄ〉と１つの〈ステファン数〉縦位置の間でいる間」ｉ’そして１つの〈ステファン数〉縦位置で、長さがさらにある、減少した、に」ｊ’、そこで、ｈ〉ｉ〉ｊ。処理は、Ｅ（ｎｃｌｏｓｅｄ）Ｓ（ペース）Ｖ（ｏｌｕｍｅｃｈａｎｇｅ）Ｔ（ｅｃｈｎｏｌｏｇｙ）を図１０Ａ、１０Ｂまたは図１０Ｄの中で１０Ｅ示されたと呼んだ、図１１Ｆで示されるこの発明を与えるモーターの中で使用されている、Ｇ（クランクシャフト）そして図、１３Ｆ、１３Ｇ、１４Ａ−Ｈ（を含めた）（回転）の中で。
【１１１２】
処理、図１０Ａ、ＩＯＣまたは図１０Ｄの中で示されるＣ（ｏｎｓｕｍｐｔｉｏｎ）Ｔ（ｅｃｈｎｏｌｏｇｙ）と１０Ｆ呼ばれた、そして図２１０Ａ−Ｆ（を含めた）および図２１１Ａ−Ｆ（を含めた）で、図１１Ａ−Ｃ（を含めた）（クランクシャフト）、および図１２Ａ−Ｃ（を含めた）、１３Ａ−Ｄ（を含めた）で示されるこの発明を与えるモーターの中で使用されている。
【１１１３】
チャンバーが移動していない間に、アクチュエータピストンチャンバー組み合わせのピストンが可動のところで、図１０Ｍは、図１２Ｃ（そして図１２Ａの上で部分的にＢ−Ｂ断面を見ることができる）およびモーターのＢ−Ｂ断面を示す。モーター、チャンバー９６０を備えていること、どれが４つの下位チャンバー９６１、９６２、９６３および９６４をそれぞれ備えていているか、どれ、互いの継続中の同じ中心軸９６５のまわりで位置する、それは前記チャンバー９６０の中心９６７を通って車軸９６６を有している。前記下位チャンバー９６１、９６２、９６３および９６４内に、２つの重要な位置に示されて、それぞれ位置した１本のピストン９６８である、１つの〈ステファン数〉でいる場合すなわち９６８’の位置を決める、最大の直径を有している下位チャンバー９６４の回転位置、そして２〈ｎｄ〉でいる場合、位置９６８”下位チャンバー９６１の回転位置、どれが下位チャンバー９６４を備えた継続にあるか、その結果１つの〈ステファン数〉下位チャンバー９６４の回転位置は２〈ｎｄ〉に最も近い、下位チャンバー９６１の回転位置、それがその最も小さい直径を有している。前記アクチュエータピストン９６８は、前記車軸９６６の回りを右回りに回転している。車軸９６６上の前記チャンバー９６０を組み立てるための４つの穴９７０が示される。
【１１１４】
図１０Ｎは、図１３Ａおよび１３ＢのＢ−Ｂ断面を示す。また、アクチュエータピストンチャンバー組み合わせのチャンバーが可動のところで、モーターはタイプである。また、ピストンは移動していない。
【１１１５】
モーター、チャンバー８６０を備えていること、どれが４つの下位チャンバー８６１、８６２、８６３および８６４をそれぞれ備えていているか、どれ、互いの継続中の同じ中心軸８６５のまわりで位置する、それは前記チャンバー８６０の中心８６７を通って車軸８６６を有している。前記下位チャンバー８６１、８６２、８６３および８６４内に、それぞれ各々異なる回転位置に位置して、それぞれ５本のピストン８６８、８６９、８７０、８７１および８７２である、下位チャンバー８６１、８６２、８６３および８６４は角度上で、言った、互いからの＝７２［度］。それぞれピストンロッド８７３、８７４、８７５、８７６および８７７を備えている各ピストン。ピストン８６８、８６９、８７０、８７１および８７２は、「球体球体」タイプで、すべてに異なる直径を有していて示される。前記チャンバー８６０は、前記車軸８６６、回転方向そこに第二の回転位置および時計回りものの中の第一の回転位置を有している下位チャンバー８６１、８６２、８６３および８６４の回りを右回りに回転している、集まるための８７８が言った４つの穴を案内される、車軸８６６上のチャンバー８６０。図１０Ｇおよび１０Ｈによるモーターはチャンバー８６０を備えていることがある、どれの、少なくとも１つの部分が前記チャンバー（示されない）の中心軸と平行なことがある。
【１１１６】
円形チャンバー、同一の下位チャンバーを備えていることは、下位チャンバーの各々のアクチュエータピストンを備えていることがある。そこではすべてのアクチュエータピストンは各下位チャンバーの同じ円形点で配置されている。
【１１１７】
図１１Ｆ、１３Ｆおよび図１３Ｅの圧力管理システム補正したに関する１９６１５
方向転換が圧力この負けを引き起こすことがある場合、ｒｅｐｒｅｓｓｕｒａｔｉｏｎシステムが必要かどうかは、双方向アクチュエーター（たとえば図１１Ｆの参照１０５６および１０５７）のシステムに依存する、方向のある変更中の流体が大気にｒｅａｌｅｓｅｄされることがあるか、また、それがそばに引き起こされることがある場合、流体の「消費」によって引き起こされることがある、１つの、図を１３Ｅ圧力降下参照してください。似ているより、ｒｅｐｒｅｓｓｕｒａｔｉｏｎシステムはそうである、初期の図面（たとえば図１１Ａ、１１Ｂ、図１２Ａ）の中で示されるもの。
【１１１８】
それはすることがある、流体を「消費せず」、恐らく単に圧力を「消費する」システムを開発するのに可能。図面図の中で１１Ｆ  １３Ｆ、それは既に存在すると仮定される、その結果、あるボリュームの圧力貯蔵器船舶だけが必要なことがある。圧力は好ましくは低圧（たとえば１０−１５本の棒）（必要に応じて高いｐｒｅｓｓｕｅ）であるべきである（たとえば３００本の棒）。
【１１１９】
このシステムはすることがある、古典的シリンダー（双方向ピストンはその中で位置する）を備えていることの上で、各々、ピストンのサイド、シリンダーを有している、入口および出口弁、その結果、一方の側の入口弁はピストンの反対横に出口弁と通信している。したがって、前記ピストンの両側上の総蓄積されたボリュームは再度一定のこれを不具にすることがある、流体を消費せずに、前記シリンダーの一方の側から別のサイドにピストンを移動させることが可能であるという事実をもたらすことがある。一方の圧力が消費される。それは、前記バルブのコントロールのための本電気がたとえば単にあるということを意味する。また、これは、非常によく持続可能な電源によって装填されるアキュムレーターからたとえば来ることがある、太陽の太陽光発電セル、たとえば、ボルトおよび／または、メインの車軸に接続されることがあるジェネレーター。これは、このモーターにさらに必要とされたエネルギーを削減する。我々は仮定する、圧力貯蔵器船舶はモーターの生産で装填された。双方向アクチュエーターの代わりに、電気的なステップモーターはコンピューターによってコントロールされて使用されてもよい。そのようなモーターは正確にあり、十分に、前記コンピューターからの衝撃のコントロールについて影響することがある。
【１１２０】
あるいは、図１３Ｆの参照１０９３および１０９４に示されるシステムは、ここで使用されてもよい。コンテナーピストン８１０内のピストンロッド８０５の穴が、示されていない図１１Ｆの好適な実施の形態への追加、コンテナーピストン、しかしながら、８１０−これらは、既に図２Ｂの中で２Ｃ示された、参照２０１、また図の中に１１Ｆあるべきである。
【１１２１】
図１３Ｆの好適な実施の形態への追加
コンテナーピストン８１０内のピストンロッド８０５の穴は、コンテナーピストンの中で示されていない、しかしながら、８１０−これらは、既に図１Ｂの中で１Ｃ示された、参照２０１、また図の中に１３Ｆあるべきである。
【１１２２】
図１１Ａ、１１Ｂ、１１Ｃのための圧力管理システムに関して
アクチュエータピストン、前記アクチュエータピストン内の流体が減圧され、ピストン内のスペースがｒｅｐｒｅｓｓｕｒａｔｉｏｎポンプおよび圧力貯蔵器船舶と連続して関係があり分離されるところで、その後システムによって加圧される場合、クランクシャフトによってメインの車軸に接続される、それぞれ（図１１Ａ、１１Ｂ、１１Ｄ）、次の備考、作られている。
【１１２３】
（アクチュエータピストン減圧するある）ちょうど最も遠い第二の縦位置で転機に達した時、いつ、１つの、第一から前述の第二の縦位置へ移動している、連絡は、圧力容器（たとえば図１１Ｂ審判。３１４）およびアクチュエータピストンの間で作られる、その結果、最も遠い第二の縦位置にあった時、ピストンは直ちに加圧されている。そのモーメントでは、前記クランクシャフトの第２の密閉空間およびピストンロッドの密閉空間を介して前記圧力貯蔵器船舶間に、連結ロッドの中に２つの穴、クランクシャフトのうちの１および１を通って開いた連結がある（まもなく）、そしてコンテナー内の前記ピストンロッドの穴（それらは前記コンテナー内の空間と密閉空間の間に連続的に通信する）。
【１１２４】
これは、第二から第一の縦位置へのストロークの間中、前記ピストンの密閉空間が有していることを意味する、一時的、一定容積量（移動する場合、それは前記コンテナー（ｅｌｌｉｐｓｏからの〈’ｅｌｌｉｐｓｏへのより小さい円周を備えたキタノウグイ〉「〉より大きな直径を備えた球体への小さい直径を備えたより大きな円周／ｅｌｌｉｐｓｏｉｄｅ−球体／球体を備えたキタノウグイ）の増加ボリュームのためそれを意味する）、前記コンテナー内の内圧は連続的に下げられている。
【１１２５】
また、最も遠い第一の縦位置へ到着する時、前記コンテナーの内圧は下げられたことがあるが、大気のレベルにならなかったことがある。の直前に、あるいは第二の縦位置へ戻る場合、最も遠い第一の縦位置でちょうど戻る点で、連絡は、第三と共に、コンテナー内の空間、と前記空間と、ピストンロッド内の前記コンテナーの密閉空間の間の穴および連結ロッドの間に起こることがある、２つの穴（それらは時間のその点で対応する中心車軸を有している）を通ってクランクシャフトで空間を囲んだ、前記連結ロッドのうちの１、他方、クランクシャフトの中で。ポンプ、どれが前記第三と通信するかはスペースを取り囲み、そのモーメントで、前記コンテナーから流体のための吸収している、その結果、コンテナーは減圧される。
【１１２６】
第２の密閉空間は、圧力貯蔵器船舶との一定の開いた連絡によって絶えず加圧されることがある。それはまたすることがある、この連結はバルブによってコントロールされる。
【１１２７】
図１１Ａ、１１Ｂ、１１Ｃのための好適な実施の形態への追加。
【１１２８】
コンテナーピストン８１０内のピストンロッド８０５の穴は、コンテナーピストンの中で示されていない、しかしながら、８１０−これらは既に図２Ｂおよび２Ｃの中で示された、参照２０１、また図１１Ａ、１１Ｂおよび１１Ｃの中にあるべきである。
【１１２９】
図１２Ａ、１２Ｂ、１２Ｃ、１３Ａ、１３Ｂのための圧力管理システムに関して
円形チャンバー（クランクシャフトのための以前に溶液（図１１Ａ、１１Ｂ、１１Ｄ）に言及するとともに、それは同じ与圧系統と、ｃｉｒｃｌｅｒｏｕｎｄである中心軸を有しているチャンバーである）の場合には、同様の溶液が前記円形チャンバー、だがビットを適した方法で有効なことがある。
【１１３０】
移動ピストンおよび動いていないチャンバー（図１２  Ａ、１２Ｂ、１２Ｃ）の場合には、球体ピストンが、気圧の谷を通信しているかもしれない密閉空間を備えていていることがある、ピストンロッドの、コンテナーの内側の空間を備えた、およびもう１つの端で穴はすることがある、第二の密閉空間（それはメインの車軸の中で位置することがある）と通信する密閉空間。言及された最後は、ハウジング中の二方弁と通信していることがある。それはメインの車軸のまわりの構造であることがある。分離機バルブは、Ｔ−バルブ（共有される部分はそれに前記第二の密閉空間と通信している）であることがある。共有されていない部分のうちの１つは、ポンプで圧力貯蔵器船舶（たとえば参照８１４）（高圧）および他方（下側圧力）と通信していることがある（たとえば参照８１８）。分離機バルブが開閉口であると方法が言ったコントロールはコンピューターによって行われることがある。それは、密閉空間の開口および前記メイン車軸の第２の密閉空間の開口と比較したメインのａｃｌｅの位置を監視している。また、それはカム軸によって行われることがある。それはメインの車軸と通信している。単一のチャンバーの数が図１２Ａおよび１２Ｂの中に４であるので、第２の密閉空間へ４つの出口／入口があるに違いない、メインの車軸およびまたＴ−バルブへの４つの入口／出口にあるか、そこに存在するかもしれない、４ｘ  Ｔ−バルブ。Ｔ−バルブ（低圧端）と圧力貯蔵器船舶（たとえば参照８１４）の間で、ポンプ（たとえば参照８１８と８２６）は追加されることがある。その結果、圧力は、前記圧力貯蔵器船舶中の圧力に関するビットまで上げられる。すべて、これはこの溶液にたとえば最適化させない、メインの車軸中の第２の密閉空間からの、およびそのスペースへの遷移は、漏れを引き起こすことがある。
【１１３１】
ピストンが移動しておらず、チャンバーが移動している（図１３Ａ、１３Ｂ）場合、５本のピストンがたとえばあることがある、下位チャンバーの各々、それはすべてに同じ中央ｃｉｒｃｌｅｒｏｕｎｄ軸を有している、一方、すべての下位チャンバー、互いの継続の中で位置し、互いにｃｏｍｍｕｎｃａｔｉｎｇしている。ピストンが移動しチャンバーを移動させないことだった場合、ピストンはそれぞれ、同じ方法でＴ−バルブと上述したように通信している。また、与圧系統は似ているただ一つの違いであることがある、５つのＴバルブがあるということである、各ピストンの位置が同一の下位チャンバーにおいて異なることがあるので、それは回の異なる点の開口／閉鎖であることがある。
【１１３２】
ピストンポンプの代わりに、遠心ポンプは使用されてもよい（図。Ｂ）。遠心ポンプの効率は、ｃｏｎａｉｃａｌな形状のチャンバーを備えたピストンポンプよりも低いことがある．．
図１２Ａ−Ｃ、１３Ａ−Ｆのための好適な実施の形態への追加
コンテナーピストン８１０内のピストンロッド８０５の穴は、コンテナーピストンの中で示されていない、しかしながら、８１０−これらは、既に図１Ｂの中で１Ｃ示された、参照２０１、また図１２Ａ−Ｃ、１３Ａ−Ｆの中にあるべきである。
【１１３３】
図１２Ｃの好適な実施の形態への追加。
【１１３４】
ポンプ１１５１（退場はそれにチャンネル１１５２によって記憶圧力容器１０７５に接続される）への１０７４からのもどり流路１１５０。ポンプ１１５１は、ソーラーパワーなどの外部の持続可能なエネルギー源へのメインの車軸９６６および／またはに接続されることがある（示されない）（示されない）。
【１１３５】
図１２Ａ−Ｃ（を含めた）、１３Ａ−Ｆのための好適な実施の形態への追加（を含めた）。
【１１３６】
コンテナーピストン８１０内のピストンロッド８０５の穴は、コンテナーピストンの中で示されていない、しかしながら、８１０−これらは、既に図１Ｂの中で１Ｃ示された、参照２０１、また図１２Ａ−Ｃ、１３Ａ−Ｆの中にあるべきである。
【１１３７】
図１３Ａ、１３Ｂ、１３Ｅのための好適な実施の形態への追加。
【１１３８】
弁箱１１６０は、ピストンロッド８７３、８７４、８７５、８７６、８７７を介して、またはｒｅｐｒｅｓｓｕｒａｔｉｏｎポンプ８１８、および間接的に８２６へのチャンネル［８１７］にピストンの各々に８６８、８６９、８７０、８７１、８７２（図を１３Ｃ参照）を開いている５ｘ  Ｔ−バルブ１１６１−１１６５（を含めた）を備えていている。前記ポンプから圧力貯蔵器船舶８８９までの加圧されたもどり流路［８２５］および／または［８２８］。ポンプ１１５１（退場はそれにチャンネル１１５２によって記憶圧力容器１０７５に接続される）への１０７４からのもどり流路１１５０。ポンプ１１５１は、ソーラーパワーなどの外部の持続可能なエネルギー源へのメインの車軸９６６および／またはに接続されることがある（示されない）（示されない）。
【１１３９】
１９６１７に基づいた１９６１８−最新の図１１Ａ−Ｚに１９６２７−基づいた（メイン文書１９６０１に）。
【１１４０】
図１１Ａは、（「緑」）モーターのための総合体系を概略的に示す。この発明章の背景の中で述べられるように、それはすべての要求に応じている。Ｕ字型の車軸８０１を備えた概略的に引かれたクランクシャフト８００上で、軸受８０２および８０３、ｃｏｎｔｒａｗｅｉｇｈｔｓ  ８０４で、ピストンロッド８０５である、組み立てられた、第二のことから第一縦位置へ拡張可能なピストン８０６（それは第一から第二の縦位置へ移動（ａｒｒｏｗｅｄ）の中に「Ｌ」を残されて示される）および移動（ａｒｒｏｗｅｄ）での正しい「Ｒ」に接続されて、前記ピストンロッド８０５の反対側にある。前記ピストン８０６は、内部壁８０８を備えたチャンバー８０７において愛想よく可動である。前記チャンバー８０７は、連続的に異なる断面積を備えた断面および異なる円周を有している、そして、それに内部壁８０８は、初めはよりも小さい第二の縦位置にある円周を有している、縦位置。ピストン８０６は作製された。その結果、円周のその無強勢の生産サイズは、ほぼ第二の縦位置の前記チャンバー８０７の壁８０８の円周のサイズである。前記ピストン８０６はキャップ８０９によってピストンロッド８０５に接続される、一方、前記ピストン８０６の可撓な壁８１０は強化材を備えていている、８１１を意味し滑れるキャップ８１２によってピストンロッド８０５に接続される、そして、それはピストンロッド８０５上に滑ることができる。いつ、第二の縦位置に位置している前記ピストン８０６、また前記クランクシャフト８００（アクセル８０１）中の第二の密閉空間８１５を通って、その密閉空間８１３を通って圧力源（たとえば圧力容器８１４）と通信している、その結果ピストン８０６が流体８２２によって加圧されている、第二の縦位置から第一の長手ピストン位置へピストン８０６がそのために移動し始める、回転は、ベアリング８０２および８０３のまわりのＵ字型のアクセル８０１を言った。前記移動は、第一から第二の長手ピストン位置へ前記ピストン８０６の移動の方向をすなわち反対方向に変化させる。それから、前記ピストン８０６の密閉空間８１３は、第三と通信していることがある、前記クランクシャフト８００（アクセル８０１）で空間８１６を囲んだ、それは、ピストンポンプ８１８（また、それは代わりに回転ポンプ（たとえば遠心ポンプ）であることがある）（それはピストンロッド８１９によってクランクシャフト８２０に接続される）にチャンネル［８１７］を介してＵ字形アクセル８２１と関係がある。クランクシャフト８２０はクランクシャフト８００に接続されることがある。その結果、Ｕ字型の車軸８０１の回転は、ｃｏｎｔｒａｗｅｉｇｈｔｓ  ８３４を備えた前記Ｕ字型の車軸８２１の回転を招く。前記連絡のため、前記ピストン８０６の内側の流体８２３の圧力である、低減される、したがって壁８０８の円周である、減少した、その結果ピストン８０６が第一から第二の長手ピストン位置へ移動することができるということである。流体８２３は、減圧圧力（ピストンが第一の縦位置で加圧された時、それが有していた流体８２２の圧力に関しての）にある、その後流体８２７（圧力はそれにもちろんまだ流体８２２の圧力未満である）、どれが必要に応��てチャンネル［８２４］を介して前記圧力容器８１４に直接輸送されるか、または、別のピストンポンプ８２６にチャンネル［８２５］によって好ましくは輸送されるかへの前記ポンプ８１８によって加圧される、その後、流体８２７が圧力容器８１４にチャンネル［８２８］を介して輸送されて、流体８２２の中に、およびその後前記ポンプ８２６に加圧されている。前記圧力貯蔵器船舶を再加圧することも可能なことがある、８１４、ホース２７０１（それは圧力源と通信している）を通って。圧力容器８１４から、第２の密閉空間８１５へ輸送された流体８２２が、チャンネル［８２９］を介してある。ピストンポンプ８２６は、モーター（クランクシャフト、８３１、別の）８３０を介してによって電気的に駆動される。前記モーター８３０は、ワイヤー［１０６９］によって電気的な記憶（たとえばアキュムレーター（あるいは凝縮器（「コンデンサー」）記憶タイプ）８３２）と関係のあることがある。それは太陽電池８３３に接続される。電気モーター８３０はスタータとして前記クランクシャフト８００の回転に使用されることができる。これはクラッチ８３６によって行われることがある（示されない）。クランクシャフト８００はフライホイール８３５（示されない）およびギヤーボックス８３７（示されない）に接続されることがある。ギヤーボックス８３７が摩擦を低減するために流体動的ベアリングを使用していることがある。ピストンポンプ８１８のクランクシャフト８２１のためのベアリング８３３。オルタネーター８５０はメインの車軸８５２と通信しており、連結８４２を通じてバッテリー８３２を充電している。配列８５１、ａｕｘｉｌｌｉａｒｌｙに、電源、図１５Ａ、１５Ｂ、１５Ｃまたは１５Ｅの中で示される。また、それは、このバッテリー８３２が外部電力出所２７００によってを介してたとえば課されるということであることがある、ケーブル。
【１１４１】
図１１Ｂは、図１１Ａのモーターのためのコントロールデバイスを概略的に示す。スタータ８３０は、モーターを始める必要がある場合、電気モーターのアンカーと車軸８３１および／または８５２を連絡して、クラッチ（示されない）を備えていている。電気開閉器８３８は、バッテリー（「アキュムレーター」）８３２にそれを接続することにより、断続的に前記始動電動機８３０をつけることができる。それは太陽電池８３３によって装填されている。圧力容器８１４中の圧力がある最大限度に会い、圧力測定が圧力センサー８３９によって行われている時、前記モーター８３０はまた止められることができる。
【１１４２】
モーターは、またチャンネル［８２９］の中で、始動電動機８３０だが（ちょうど）低減バルブ８４０を開くことを使用せずにスタートすることがある。開口、原因を上へより多くのこの低減バルブ８４０、より速く回転するべきクランクシャフト８０１、原因を下って低減バルブ８４０をねじで留めること、回転させるべきべきクランクシャフト８０１、より遅い低減バルブ８４０を完全に閉じることはモーターを止める。速度加減装置８４１は低減バルブ８４０と通信している。オルタネーター８５０はメインの車軸８５２と通信しており、連結８４２を通じてバッテリー８３２を充電している。配列８５１、ａｕｘｉｌｌｉａｒｌｙに、電源、図１５Ａ、１５Ｂ、１５Ｃまたは１５Ｅの中で示される。消費技術によってクランクシャフトと通信する、細長いシリンダーおよびピストンを備えた図１１Ａ−Ｆ（を含めた）関係モーター。図１１Ｃは、図１１Ａおよび１１Ｂのアクチュエータピストン圧力管理を示す。（運動そこに）最終２〈ｎｄ〉縦位置の最初の縦位置からピストンが到着した時の点で、方向を転じた直後にチャンバーしたがって、その、高いものの間に連絡がスタートする、前記クランクシャフトの穴、および前記ピストンロッドの密閉空間を備えた前記ピストンロッドの終わりに穴を通って、前記クランクシャフトの第二の密閉空間８２２を加圧した、そして穴１１０１を通ってまたピストンの内部ボリュームでそのために、ピストンが最高圧力割合に気圧調節するように。そのｐｒｅｓｓｕｒａｔｉｏｎのため、でしょう、クランクシャフトと閉鎖を回して、１つの〈ステファン数〉縦位置へそのために移動し始めるピストンは、穴を言った、その結果連絡が止まる。前記移動は、ｅｌｌｉｐｓｏｉｄｅの形状のピストンがそれ自体を球体の形に転換し始めているという事実のため、その増加した内部のボリュームのためその内圧を下げている。まだある１つの〈ステファン数〉縦位置に着いた時、去られた圧力の中心相場はピストンおよびピストンロッド内の密閉空間を言った。前記ピストンが到着した場合、で、第一に、２〈ｎｄ〉への途中で１つの〈ステファン数〉縦位置、縦位置したがって、その運動の方向を転じた直後に、ピストンロッド内の密閉空間は、ピストンロッドの終わりに穴１１０２を通って第三と通信し始め、穴を備えていているクランクシャフト内の空間８２３を囲んだ。ピストンおよび密閉空間の内側の圧力はある最小（たとえば大気のレベル）に落ちる。その結果、ピストンの形は球体からｅｌｌｉｐｓｏｉｄｅに変わっている。クランクシャフト（あるいは同じクランクシャフトを使用する別のピストン燃焼室組み合わせの駆動力）の慣性のため、空気を抜かれたピストンは、第二の縦位置および処理スタートすべてにへ改めてもう一度移動する。
【１１４３】
前記アクチュエータピストンおよび第２の密閉空間と第三の間の連絡は、クランクシャフトで空間をそれぞれ囲んだ、それを作ることがある、ピストンが有していることがある、加圧された流体がピストンに達することができる必要があるので、再びちょうど低減バルブを開くことにより移動することができるためにある縦位置で止まるために１つの車軸上にクランクシャフト上に１つのアクチュエータピストンチャンバー組み合わせだけがある場合のみ、それは問題であることがある。ここでピストンは１つの〈ステファン数〉縦位置で止まることがあり、慣性のため第二の縦位置へ行く途中でビットを返していることがある。前記密閉空間の前記穴はすることがある、よりも、互い起動と通信することができないこと、だろう、よりも、始動電動機の使用により単に可能である。
【１１４４】
ピストン中の圧力降下は第三中の吸引によって引き起こされることがある、ピストンポンプ８１８によって引き起こされて、スペース８２３を取り囲んだ、チャンネル［８１７］からの流体の中で行なっていることチャンネル［８１７］の中の圧力降下が起こり始めることがある、アクチュエータピストンの前のビットは、第二の縦位置に１つの〈ステファン数〉縦位置を近付けていることからの運動のその方向を転じている、その結果、密閉空間および第三の前記穴が空間を取り囲んだ時、開く、流体はアクチュエータピストンの前記密閉空間から吸収されることがある。それは、アクチュエータピストン８１０のクランクシャフト８０１とピストンポンプ８１８のクランクシャフト８２１の間の不履行角度が零点とは異なることがあることを意味する。メインの車軸８５２。
【１１４５】
ピストンロッド８０５およびＵベンド車軸８０１のアッセンブリーの詳細は、図１１Ｄの中で示される。ピストンロッド８０５および連接棒９２５の継ぎ目の詳細は、図の中で示される。ＨＥ。クランクシャフト８２０を備えたポンプ８１８のピストンロッド８１９のアッセンブリーの詳細は、図の中で示される。ｌ  ｌ．Ｔ。連接棒９２５およびピストンロッド８１９のガイダンスの詳細は、この特許出願の断面１９５９７で見られることがある。
【１１４６】
別の好ましい詳細として：結合したアッセンブリーが、各々を備えた２つの逆止め弁を備えていていることがある、好ましくは図２１０Ｆによる、または必要に応じてバルブアクチュエーター、図２１０Ｅは、２〈ｎｄ〉からピストンロッド８０５のスペース８１３から第三までピストンロッド８０５、好ましくは図によるバルブアクチュエーターを備えたチェックバルブを２１０Ｆ備えている同じアッセンブリーまたは必要に応じて図のスペース８１３へのクランクシャフト８００のスペース８２２を２１０Ｅ取り囲んだ、スペース８２３を取り囲んだ。また、それは、２つの別個のアッセンブリー（図３０４および３０１によってバルブアクチュエーターを備えている組立部品５２０を備えたチェックバルブ５２２を各々備えていて）であることがある：２〈ｎｄ〉からの一つは、ピストンロッド８０５のスペース８１３から第三までの図３０４および３０１によってバルブアクチュエーターを備えている組立部品５２０を備えたチェックバルブ５２２を備えている反対方向でのピストンロッド８０５および同じアッセンブリーのスペース８１３へのクランクシャフト８００のスペース８２２をｅｎｌｏｓｅｄした、スペース８２３を取り囲んだ。
【１１４７】
図１１Ｄは、ピストンロッド８０５のアッセンブリーおよび図のＵベンド車軸８０１を１１Ｃ示し、ピストンロッド８０５およびＵベンド車軸８０１が互いを引き渡しているところで、時間のある点に示される。Ｕベンド車軸８０１、その上でピストンロッド８０５は耐える１１００’、１１００および１１００”で組み立てられた、そしてＯリング’１１０４と１１０４」１１０４”」および１１０４、ピストンロッド８０５と車軸８０１の間で。密閉空間８１３は、穴１１０２を通って（現在）第三の密閉空間８１６（流体８２３を備えた）と通信している。流体８２２を備えた第２の密閉空間８１５は、現在の盲穴１１０１と通信しており、密閉空間８１３と現在通信していない。分離機１１０３（それは第２の密閉空間８１５および第三の密閉空間８１６を分離している）。時間の別の点で、現在の穴１１０２である、盲穴になり、現在の盲穴１１０１は穴になっている。前記穴１１０１および１１０２は、密閉空間８１３で同時にｃｏｍｍｎｉｃａｔｉｎｇしていない。ピストンロッド８０５のベース９２６は２部９２７および９２８を備えていている。そこでは、チャンネル８２２および８２３の中心軸９２９は前記ベース９２６の分離面（示されない）にある。ピストンロッド８０５の各横の２本のボルト９３０およびリング９３１が、２部９２７および９２８を一緒にしておいている。図１１Ｅは、図の中で１１Ｃ示されるピストンロッド８０５および連接棒９２５（８０５’）の継ぎ目の詳細を示す。ピストンロッド８０５は端９３２を有していている。どれが２〈ｎｄ〉と通信しているチャンネル９３３を備えていているかは、空間８１５を取り囲んだ。また、３つの〈ラザフォード〉は、一方の側の空間８１６、およびピストン８１０の密閉空間８１３への反対側を取り囲んだ。両方の密閉空間は、ピストンロッド８０５の端９３２の外側壁９４３の穴９４５と、連接棒９２５の内壁９４４の穴９４６の間に空間９４１を通って互いと通信している。連接棒９２５の端９４２はＯリング９３９を備えていている。それは、前記ピストンロッド９２５の前述の端９３２への前記端９４２を密閉している。車軸９４０は、前記端９３２の中に堅く接続される（移動せずに）。ピストンロッド８０５の端９３２は２部９３４および９３５から構成されている、それはボルト９３６およびワッシャー９３７一折かがりによってともにボルトで締められる、アッセンブリーのセンターライン９３８の各側。連接棒９２５は、前記車軸９４０の端９４７をひっくり返すことができる。前記端９４７は肩９５３を作り出すために車軸９４０の直径に関して増加した直径を有している。端９２５の部分９３４および９３５は、端９３２間また端９４２の移動のための関係である、９４８を運ぶ９０の［度］を有している。Ｏリング９５０は、前記連接棒９２５の穴９４７の上の車軸９４０を密閉している。図１１Ｆは、Ｕ字型の車軸８０１の詳細および前記クランクシャフトの内側のチャンネル（たとえば８２３）を示す。それは図１１Ａ−Ｃで示される。予備穴がクランクシャフト８０１の生産プロセスの間中偽造によって作られた後、穴はチャンネル８２３に空けられることがある。これ、訓練はクランクシャフト８０１の外側壁９５２の中に穴を去る。また、これらの穴は溶接されたロッド、密封したねじなどなどの、任意の手段によって閉じられることがある。図面の中で示された、ヘッド９５５（クランクシャフトの壁の穴へのまさに精密ばめを有しているピン）とのピン９５４である、ここで、中間に、スペースは硬ろう付けによって充填されている。重要なのは、生産プロセスの終わりにクランクシャフト８０１の適切なバランシングである。
【１１４８】
図１１Ｇ−Ｗ（を含めた）取り囲まれた空間容積テクノロジー（「ＥＳＶＴ」によって短縮された）によって、少なくとも１つの細長いシリンダーを備えたモーター、およびクランクシャフトと通信するピストンに関係がある。
【１１４９】
密閉空間のボリュームをコントロールしているポンプが２つのウェイアクチュエーターによって駆動される場合、図１１Ｇおよび１１Ｈは記憶圧力容器の気圧調節に関して、２つの変形の中で基礎的なＥＳＶＴを示す。パワーの使用を分離して、明らかに示された異なる電力ラインである、生成された、ａｕｘｉｌｌｉａｒｌｙに、電源。
【１１５０】
図１１Ｇは、２つの釣り合いおもり８０４を備えているＵ字型の車軸８０、ピストンロッド８０５および膨張式のアクチュエータピストン８０６と共にＥＳＶテクノロジーに適して、Ｆｉｇ．１１Ａの配列を概略的に示す。前記車軸８０の１つの端はスタータ８３０に接続されることがある、それは言及された８３２−最後が装填されることがあるアキュムレーターからそのエネルギーを得ることがある、太陽電池８３３、および／または、他の好ましくは持続可能な（あるいは必要に応じて非持続可能な）電源（図１５Ａ−Ｆを参照）。もう１つの端で、車軸８０［ガンマ］は、フライホイール８３５（示されない）、クラッチ８３６（示されない）および必要に応じてギヤーボックス８３７に接続されることがある（示されない）。
【１１５１】
前記Ｕ字型の車軸の内側の、８０１’は、ピストン１０６１（たとえば、図５０−５２（を含めた）によって示される）および円錐形のチャンバー１０６２を備えていて、ＥＳＶＴ  ｐｕｍｐｌ０５５と絶えず通信しているチャンネル１０５０である。それは、前記チャンネル１０５０の全面的な圧力上の余分な圧力を規制している。前記余分の物圧力は、モーターの速度をコントロールしている。前記ＥＳＶＴポンプ１０５５の運動は、２つのウェイアクチュエーター１０５３（それは２つの低減バルブ１０５７および１０５８によってコントロールされる）によってそれぞれ生成される。そこでは、低減バルブはそれぞれ前記２つのウェイレギュレーター１０５３の内側のピストン（示されない）の一方の側で圧力を規制している。低減バルブ１０５７はチャンネル３３００によって２つのウェイアクチュエーター１０５３の一方の側と通信している。また、低減バルブ１０５８はチャンネル３３０１によって２つのウェイアクチュエーター１０５３の反対側と通信する。前記低減バルブ１０５７および１０５８は、好ましくは電気的に（また、必要に応じて、機械的に他の溶液は存在するが示されない）相互に連結する、その結果、１（前記ピストンの側）の圧力の増加は招く、１つの、同時に、他方（前記ピストンの側）の、および逆もまた同様圧力の減少。低減バルブ１０５７はコントロールデバイス’８４０を通って速度加減装置８４１によってコントロールされる。前記低減バルブ１０５７および１０５８は給電線［８２９］を介して圧力貯蔵器船舶８９０と通信している。このモーターが作製された時、前記圧力貯蔵器船舶８９０は流体１０６３で加圧されていたことがある。
【１１５２】
前記チャンネル１０５０は、絶えずＥＳＶＴポンプのピストンロッド８０５と通信している、車軸’８０１を備えた前記連結ロッドのアッセンブリーの詳細については、図を１１Ｔ  １０５６−参照してください。したがって、前記ＥＳＶＴポンプのボリューム／圧力の変化は、アクチュエータピストン８０６、およびしたがって前記アクチュエータピストン８０６の運動のボリューム／圧力の変化を招いていることがある。
【１１５３】
ＥＳＶＴポンプ１０５６、ピストン１０５９（たとえば、図５０−５２（を含めた）によって示される）を備えていること円錐形のチャンバー１０６０は、２つのウェイアクチュエーター１０７２によって駆動される、前記チャンネルのボリュームを変化させることによりチャンネルの圧力を規制する、その結果、アクチュエータピストン８０６は図１０Ａ−Ｆによれば、ある縦位置での変わるボリュームである。前記２つのウェイアクチュエーター１０７２は、２つのウェイアクチュエーター１０５３によるＥＳＶＴポンプ１０５５と同じ方法で、低減バルブ１０５１および１０５２によって駆動される。しかしながら、低減バルブ１０５１はセンサー１０６４によってコントロールされており、［１０５４］を通信する、前記低減バルブ１０５１への車軸８０１の回転位置、その結果、ピストン８０６は圧力変化のため、時間の正しい点で拡大しており収縮していることがある。低減バルブ１０５１および１０５２は圧力源（たとえば前記圧力貯蔵器船舶８９０）で［８２９］を通信していることがある。密閉空間の反対側は、ピストン８０６の密閉空間８１３と絶えず通信していることがある。前記低減バルブおよび関連機器は、電気的にワイヤー［１０６９］を介してバッテリー８３２と通信している。
【１１５４】
図１１Ｈは、図１１Ｇの配列を示す。（参照を備えたコンポーネントで、どれのための、言及される、図１１Ｇ  ）、圧力貯蔵器船舶８９０のｒｅｐｒｅｓｓｕｒａｔｉｏｎのためのポンプ８２６が、追加されたｒｅｐｒｅｓｓｕｒａｔｉｏｎ小滝だった場合、しかしながら、図１１Ａの中で示されるそれと同一である、それが必要なことがあるので、ポンプ８２０は余分のことがある」消費技術」３つの〈ラザフォード〉中の低圧の提供は、アクチュエータピストン８０６の減圧を可能にして、時間の正しい点で、スペースを取り囲んだがだろう、現在用いられているＥＳＶテクノロジーに必要とされた。２つのウェイアクチュエーター１０７２の出口［１０７０］はポンプ８２０と通信しているが、ポンプ８２０が存在しない場合、ピストンポンプ８２６の給電線［８２５］に接続することができる。必要な逆止め弁は示されない。２つのウェイアクチュエーター１０５３および１０７２のこの（「消費」）配列の中で、２つのウェイアクチュエーターのチャンバーの内側のピストンの両側のスペースである、直接、ポンプ８２６と通信すること、圧力貯蔵器船舶８９０、低減バルブ１０５１、１０５２、１０５７および１０５８とそれぞれ通信している、どれ、それから、前記ピストン（２つのウェイアクチュエーター’１０５３の内側の概略図に関しては、図１１を参照）の両側のスペースへ、前記２つのウェイアクチュエーター１０５３および１０７２の入口とそれぞれ通信している。必要な逆止め弁は示されない。１つのバルブがもっと開かれている場合、別のバルブが同時により多くに閉じているように、前記低減バルブ１０５７−１０５８および１０５１−１０５２はそれぞれ、互いと関する。バルブは、低減バルブ１０５１が連絡［１０５４］を備えたセンサー１０６４によって活性化されている一方、８４０’が低減バルブ１０５７に速度加減装置８４１によって活性化されていることを意味する。低減バルブは、ワイヤー［１０６９］を介して電気的に活性化されている。
【１１５５】
オルタネーター８５０はメインの車軸８５２と通信しており、連結［８４２］を介してバッテリー８３２を充電している。他のものの配列８５１、ａｕｘｉｌｌｉａｒｌｙに、電源、図１５Ａ、１５Ｂ、１５Ｃ、１５Ｅまたは１５Ｆの中で示される。ポンプ８２６はまたすることがある、フライホイール（示されない）および／またはで再生の崩壊システム（示されない）を通信すること他のものの使用、ａｕｘｉｌｌｉａｒｌｙに、電源、図面の中で述べられるように、可能である：好ましくは図１５Ａ、１５Ｂ、１５Ｃ、１５Ｅ、１５Ｆおよび必要に応じて非持続可能な電源によって。
【１１５６】
図１１Ｉ−１１Ｎ（を含めた）前記モーターがメインの建築要素（たとえば車軸およびたとえばホイールおよびベルト／歯車）のための部分的に作り出された場合、１番目（図１１Ｉ、１１、１１Ｍ  Ｋ）および２つのシリンダーモーター（図１１Ｊ、１１Ｌ、１１Ｎ）をそれぞれ示す、それは互いと通信している。ＥＳＶＴポンプ、それは密閉空間のボリュームをコントロールしている、図１１Ｈ、クランクシャフト（図、１１Ｌ１１Ｋ）またはカム軸（図１１Ｍ、１１Ｎ）の中で示される配列によって２つのウェイアクチュエーター（図１１Ｉ、１１Ｊ）によって動力が、それぞれ供給される。前記パワータイプのループの異なるサイズのため、円錐形のシリンダーは、各パワータイプごとに異なるサイズを有していることがある。その、ａｕｘｉｌｉａｒｌｙに、電源は単に参照番号によって言及される。他のものの使用、ａｕｘｉｌｌｉａｒｌｙに、電源、図面の中で述べられるように、可能である：好ましくは図１５Ａ、１５Ｂ、１５Ｃ、１５Ｅ、１５Ｆおよび必要に応じて非持続可能な電源によって。
【１１５７】
２つのシリンダーモーターを備えていている図面はそれぞれ成っている、１つの「残された」そして１つの「正しい」図面を率に応じて拡大した。
【１１５８】
図１１Ｉ−１１Ｒ（を含めた）単気筒モーターのいくつかの配列および２つのシリンダーモーターを示す。目的のうちの１つは伝えられたパワーの明瞭なｕｐｄｉｖｉｄｉｎｇを示すことである。また、パワーはこれを使用した、また図１５に概略的に開示された。別の目標は、一方のワイヤーによって、カム軸、または伝えられたパワーに通信しているかもしれないクランクシャフトによってアクチュエータピストンに圧力のコントロール間の違いが復興することを示すことである。伝えられたパワーの効率を増強するために、図１１Ｏ−１１Ｒ、電源（好ましくはＨ２０の加水分解に由来した）として［３／４］を好ましくは使用して、小さい燃焼モータを示す、それは直接カム軸またはクランクシャフトと通信している。いくつかの配列はこの燃焼モータに示されている。別の目標は示すことである、どのように、１つのシリンダーごとに圧力の調節部は組み合わせられることがある、あるいはない、の中で、１つの、単気筒以上に、モーターそれは第１に見つけ出すことが必要なために示した、次のシリンダーは、どのように結合したクランクシャフトのコンディションの下で互いに関して働くか：図１７Ａを参照してください、Ｂ−Ｈ（を含めた）ここで、同じモーターの２つのシリンダーのうちの１つの動力行程、同じモーターの２つのシリンダーの動力行程が、同時に（並列のパワー）ｆｕｎｃｔｉｏｎｎｉｎｇしている図１８ＡＧ（を含めた）にいる間、別のシリンダー（連続するパワー）のもどり行程と同時に行われる。その後、それは終えられる、どれ、調節部（たとえばＥＳＴＶポンプ）に圧力を加える、前記２つのシリンダーまたは否定、および電力ライン（たとえばカム軸、クランクシャフト）が組み合わせられることがあるかのための組み合わせられることがある。図１１Ｉは１つの部分的に作り出されたピストン燃焼室組み合わせ’８００を示している、モーター、主として図１１Ｈの中のコンセプトに示されたものに基づく、ＥＳＶＴポンプ１０５６を駆動するべき２つのウェイアクチュエーター１０７２の使用、密閉空間＋８１３  １０５０のサイズをコントロールしており、図１１Ｈに説明されるように機能している。アクチュエーター１０５５（ピストン１０６１（チャンバー１０６２））は、前記モーターの速度をコントロールしている。また、存在に関する、または図１１Ｈの説明で作られたポンプ８２０のではないすべての発言は、ここで有効である。
【１１５９】
新しい重要な点だけがここで扱われる。
【１１６０】
前記車軸８５２上に前記アクチュエーター１０５５のアッセンブリーの詳細については図１１Ｓを参照してください。アクチュエーター１０５５のチャンバー１０６２の上面１１３０は、モーターメインフレーム５０００に装着された。車軸８５２の密閉空間１０５０とチャンバー１０６２の間の連絡の配列は、Ｆｉｇ．１１  Ｓで同様に見ることができる。
【１１６１】
前記モーターの速度を変化させているアクチュエーター’１０５３は部分的に作り出されており、図１１Ｈの中で示されるアクチュエーター１０５３とはビットの異なっている方法で働いている、ので、アクチュエーター１０５３および１０７２が異なる機能を有している。アクチュエーターのこの図面の中で示される配列では、１０５３’は、多数の逆止め弁（ここに示されない）を介して互いと通信して、前記チャンバー１０７９内に、ピストン１０７８の両側上にそれぞれスペース１０７５および１０７６である−、詳細には、図１６Ａ−Ｃ（を含めた）を参照してください。したがって、圧力貯蔵器船舶８９０へのポンプ８２６を通って前記スペース１０７５および１０７６からのリターン流はない。これはエネルギーを削減することがある。
【１１６２】
前記スペース１０７５および１０７６、それぞれ前記低減バルブ１０５８および１０５７とそれぞれ通信している。前記チャンバーは、図３０４に示されて、バルブアクチュエーター装置１１２１および１１２２を通じて互いと付加的にそれぞれ通信している、また、必要な場合、だろう、これら、付加的に図によって２１１Ｅまたは２１１Ｆコントロールされる。前記バルブアクチュエーター装置１１２１および１１２２は互いへの反対方向で位置している。アクチュエーター’１０５３のチャンバー１０７９はモーターメインフレーム５０００に装着された。より多くの詳細が図１６Ａ−Ｂの中で示される。
【１１６３】
ＥＳＶＴポンプ１０５６はチャンバー１０６０およびピストン１０５９を備えていている、メインの車軸に装着された、懸濁液詳細には、図１１Ｕを８５２−参照してください。前記２つのウェイアクチュエーター１０５３および１０７２は圧縮流体１０６３によって駆動される。それは圧力貯蔵器船舶８９０に格納された。低減バルブ１０５１は、電気レギュレーター１０６５を介して通信線路［１０５４］および電力ライン［１０６９］によって活性化される。
【１１６４】
図１１Ｈのポンプ８２６は、図の中で詳細に１１Ｖ作り出された。それは電気モーター’８３０からそのエネルギーを得る。それは電気的な連絡［１０８０］を介してバッテリー８３２から電気を受け取る。円運動「〉前記モーター’８３０の車軸の、対話されることである、並進移動への一種および部分的に回転のクランクシャフト１２１７。ポンプ８２０が存在しない場合、でしょう、２つのウェイアクチュエーター１０７２からの流れ、前記ポンプ８２６にチャンネル［１０８３］によって通信している。圧縮流体は、圧力貯蔵器船舶８９０への前記ポンプ８２６からチャンネル［８２８］まで来る。オルタネーター８５０は歯形ベルト１０７３、ホイール１０７４および１０７７を通ってメインの車軸８５２と通信している。それは電気的な連絡８４２を通じて、バッテリー８３２に電力を配達する。電気的駆動装置システム８３０は図１１Ａの前記要素に似ている。
【１１６５】
詳細が示されている一方、図１１Ｊは２つのシリンダーモーターの概観を示している、図を１１Ｊ率に応じて拡大する、去った、また１１Ｊの権。
【１１６６】
図１１ＪはＦｉｇ．１１Ｉの中で示されるコンセプトに基づいて、２つの部分的に作り出されたシリンダーモーターを示している。２つのクランクシャフトを組み合わせる場合、詳細は示され、多数のｓｕｎｉｌａｒタスクのための１つの構築要素の利益を有していている。２つのシリンダーモーターでは、２本のアクチュエータピストンが図１７Ｂによる同時（ａｓｙｎｃｈｒｏｎｅクランクシャフト設計）で同じ縦位置にないことがある場合、言及された最後の多くがここに例を示すために、そこにない。各「シリンダー」、一層よく指定された、として」チャンバー」そのクランクシャフトに含まれた密閉空間を以下に有している、指定された、として」下位クランクシャフト。」それは互いからそばにたとえば分離された、締まるロッド１２７０（Ｆｉｇ．１１Ｘ）中間に、各下位クランクシャフトのチャンネル。
【１１６７】
したがって、ＥＳＶＴポンプがそれぞれそうである間、アクチュエータピストンはそれぞれ各密閉空間のボリュームをコントロールするＥＳＶＴポンプを有している「〉２つのウェイアクチュエーターによって駆動された。アクチュエータピストンが有しているとともに、ｓｙｎｃｈｒｏｎｅを移動させているために（ａ）、だろう、それ、必要である、各２−ウェイアクチュエーターの減圧弁は、同期目的のために互いに１０６６をたとえば電気的に通信している。しかしながら、また、それは、各下位クランクシャフト１０６４の回転を測定するそのセンサーによって下位クランクシャフトを介して減圧弁が各々通信しているとそれが言ったということであることがある。２つのＥＳＶＴポンプは一つの中に組み合わせられることがあるか、本質的な調査なしでは終えることができない：図１７Ｃ−１７Ｈを参照してください（を含めて）。
【１１６８】
また、したがって、２つの速度加減装置アクチュエーターがある。それは互いに１０６７を通信していなければならない。これは８４１の１つの速度加減装置速度加減装置を介して行われることがある、それはたとえば電気的にコントロールしている、各２つのウェイアクチュエーター１０５７の両方の減圧弁。２つの２つのウェイアクチュエーターは一つの中に組み合わせられることがあるか、本質的な調査なしでは終えることができない：図１７Ｃ−１７Ｈを参照してください（を含めて）。
【１１６９】
２またはたった１隻の圧力貯蔵器船舶があることがある、それは加圧された、例えば工場、そしてそれはポンプによって作業の間中再加圧されている。それはすることがある、可能、課された１つのポンプ（それはバッテリー８３２から電気によって駆動されることがある）がある、例えば工場、駆動電動機車軸８５２と通信して、オルタネーター８５０によって作業の間中充電されることがある。このバッテリーが外部電力出所によってを介してたとえば課されることもありえることがある、ケーブル。ホース（それは好ましくは中圧小缶または必要に応じて高圧小缶などの圧力源または外部ポンプ（たとえば運転された、１つの、最も風車効率的）と通信している）を通って前記圧力貯蔵器船舶８９０を再加圧することは可能なことがある。Ａｕｘｉｌｌｉａｒｌｙ電源は図１５Ａ（Ｂ）を与えている、Ｃ、少なくともものが請求することがあるＥ（Ｆ）はバッテリーを言った。
【１１７０】
第１に、３ある場合、あるいは、よりよい４、および１つのモーター中の４つのシリンダーに関するペアまでもが、そこで速度制御のための２つのウェイアクチュエーターの入口／出口を組み合わせる機会およびＥＳＴＶポンプの入口／出口である、その結果、前記２つのウェイアクチュエーターおよびポンプの総数は低減されることがある。図１７Ｃ−１７Ｈを参照してください（を含めて）。
【１１７１】
ポンプ８２０は余分のことがある。
【１１７２】
駆動電動機車軸上の２つの下位クランクシャフトは、詳細が図の中で１１Ｗ示されるコネクターによって、互いに１１Ｗ接続される、１１Ｘ、それは平面垂直においてわずかに可撓なことがある、前記クランクシャフトの中心軸のそれ、ｒｅｐｒｅｓｓｕｒａｔｉｏｎの間の前記アクチュエータピストンの壁の弾性の特性のため、前記アクチュエータピストンの形の変更の可能な期間差異を補うために
図１１Ｊはショーを残した、１つの、図の左辺に１１Ｊ率に応じて拡大された。
【１１７３】
１１Ｊ正しい図、ショー、１つの、図の正しい部分に１１Ｊ率に応じて拡大された。
【１１７４】
図１１Ｋは単気筒モーター（それは２つのウェイアクチュエーターの代わりにところで、図１１Ｈの中で示されるコンセプトに基づく）を示している、１つの、ａｕｘｉｌｌｉａｒｌｙに、クランクシャフトはＥＳＶＴポンプを駆動するために使用される。ａｕｘｉｌｌｉａｒｌｙに、電気モーター（前記バッテリーによって動力がそれに供給される）によってクランクシャフトが駆動される。前記バッテリーはオルタネーターによって作業の間中充電される。それは駆動電動機車軸と通信している。前記ＥＳＶＴポンプ、両方のコントロールの速度を備えた速度アクチュエーターの速度を調整する必要のため：速度加減装置８４１、減圧弁１０５７および前記電気モーター３５００は、電気の／電子レギュレーター３５０２を通ってワイヤー［３５０１］によって互いと通信している。次の図の中で１１Ｌ示されるモーター３５００、１１Ｍ  ａｎｄ１１Ｎはクランクシャフト３５０３を駆動している、を介して、たとえば歯形ベルト３５０５、ホイール３５０６および３５０７。それはＥＳＶＴポンプ１０５６を駆動している。前記電気モーター３５００は前記レギュレーター３５０２を通ってワイヤー［３５０４］によってバッテリー８３２に接続される。
【１１７５】
ＥＳＶＴポンプ（それは固定クランクシャフト車軸に装着される）の駆動のための、（ａｕｘｉｌｌｉａｒｌｙに）クランクシャフトが使用されるという事実、連接棒があることがある、どれがＥＳＶＴポンプのピストンロッドをクランクシャフト（我々がアクチュエータピストンのための図で１１Ｃ見たとして）に結び付けるかまたはそれ、連接棒が見当たらない、そしてそれ、１つの、類似した、図の中で１１Ｖ示されるポンプの振動構築が使用されている、ここで、前記ＥＳＶＴポンプのチャンバー１０６０、上面１１３０およびピストンロッドを含めて、前記メイン車軸８５２と通信している前記クランクシャフトのまわりで回転している。あたかもポンプが振れていないかのように、メインの車軸上のＥＳＶＴポンプのアッセンブリーはそういうものとして同じである。（たとえば、図１１Ｕを参照が、車軸への前記ポンプのボトムの適合が、わずかに大きいことがある。）
ＥＳＶＴポンプの２つのウェイアクチュエーター１０７２が交換されたので、１つの、ａｕｘｉｌｌｉａｒｌｙに、クランクシャフト、また事実、２つのウェイアクチュエーター１０５３はｒｅｐｒｅｓｓｕｒａｔｉｏｎを必要としないことがある、やや、圧力貯蔵器船舶の保存よりも、加圧された、限定されるｒｅｐｒｅｓｓｕｒａｔｉｏｎを要求することがある、ポンプ８２６は一つよりも小さいことがある、Ｆｉｇ１１Ｉの中で示された。これは好ましい溶液である。その一方でポンプ８２６が余分である一方、ポンプ８２０を有している溶液はオプションの溶液である。
【１１７６】
詳細が示されている一方、図１１Ｌは２つのシリンダーモーターの概観を示している、図を１１Ｌ率に応じて拡大する、去った、また１１Ｌの権。
【１１７７】
図１１Ｌは、シリンダーがそれぞれ密閉空間を有しているところで、図１１Ｋに示されるコンセプトに基づいた２つのシリンダーモーター、およびしたがってそのボリュームを各々コントロールするＥＳＶＴポンプを示している、それは両方とも同じによってａｕｘｉｌｌｉａｒｌｙに駆動される、クランクシャフト車軸。
【１１７８】
前記ＥＳＶＴポンプ、両方のコントロールの速度を備えた速度アクチュエーターの速度を調整する必要のため：両方のＥＳＶＴポンプが両方のクランクシャフトを備えている同じ車軸を使用している場合、速度加減装置８４１／減圧弁１０５７および電気モーター３５００は、互いと通信している。
【１１７９】
ＥＳＶＴポンプの２つのウェイアクチュエーター１０７２が交換されたので、１つの、ａｕｘｉｌｌｉａｒｌｙに、クランクシャフトこれは、連結ロッドとクランクシャフトのアッセンブリーが単純であるという（チャンネルはない）事実のため１個として作られることがある―また事実、圧力貯蔵器船舶（それは限定されるｒｅｐｒｅｓｓｕｒａｔｉｏｎを要求することがある）を加圧しておくのではなく、２つのウェイアクチュエーター１０５３はｒｅｐｒｅｓｓｕｒａｔｉｏｎを必要としないことがある、ポンプ８２６はＦｉｇ１１Ｉの中で示されるものよりも小さいことがある。これは２つのシリンダーモーターのための好ましい溶液である、一方、ポンプ８２０がオプションでないことがある間、ポンプ８２６を有している溶液。
【１１８０】
図１１Ｌはショーを残した、１つの、図の左辺に１１Ｌ率に応じて拡大された。１１Ｌ正しい図、ショー、１つの、図の正しい部分に１１Ｌ率に応じて拡大された。図１１Ｍは単気筒モーターを示している。それは、ＥＳＶＴポンプを駆動するために２つのウェイアクチュエーターの代わりに、カム軸を使用して、図１１Ｈの中で示されるコンセプトに基づく。
【１１８１】
前記カム軸は電気モーターによって駆動される。前記バッテリーによって動力がそれに供給される。前記バッテリーはオルタネーターによって作業の間中充電される。それは駆動電動機車軸と通信している。前記ＥＳＶＴポンプ、両方のコントロールの速度を備えた速度アクチュエーターの速度を調整する必要のため：速度加減装置８４１、減圧弁１０５７および前記電気モーター３５００は、図１１Ｋに示されるように同じ方法で互いと通信している。
【１１８２】
カム軸３５１５は、ＥＳＶＴ−ｐｕｍｐｌ０５６のピストンロッドを上げるべきカム３５１６の限定される高さ、およびＥＳＶＴポンプが有しているその手段を有している、減少したストローク長および図１１Ｋおよび１１Ｌよりも援助チャンバーの増加した幅、ボリュームの必要な変更を得るために付加的に、スプリングはピストンにその運動を逆にさせるために必要なことがある。それはカムによって始められた。
【１１８３】
ＥＳＶＴポンプの２つのウェイアクチュエーター１０７２が交換されたので、１つの、ａｕｘｉｌｌｉａｒｌｙに、カム軸、また事実、２つのウェイアクチュエーター１０５３はｒｅｐｒｅｓｓｕｒａｔｉｏｎを必要としないことがある、やや、圧力貯蔵器船舶の保存よりも、加圧された、限定されるｒｅｐｒｅｓｓｕｒａｔｉｏｎを要求することがある、ポンプ８２６は一つよりも小さいことがある、図１１Ｉの中で示された。これは好ましい溶液である。その一方でポンプ８２６が余分である一方、ポンプ８２０を有している溶液はオプションの溶液である。
【１１８４】
詳細が示されている一方、図１１Ｎは２つのシリンダーモーターの概観を示している、残された図１１Ｎおよび１１Ｎ権を率に応じて拡大する。Ｆｉｇ．１１Ｎは、図１１Ｍ（ここでシリンダーはそれぞれ密閉空間を有している）の中で示されるコンセプトに基づいた２つのシリンダーモーター、およびしたがってそのボリュームをコントロールするポンプを示している。それは両方とも同じカム軸によって駆動される。
【１１８５】
前記ＥＳＶＴポンプ、両方のコントロールの速度を備えた速度アクチュエーターの速度を調整する必要のため：両方のＥＳＶＴポンプが同じカム軸車軸を使用している場合、速度加減装置８４１／減圧弁１０５７および電気モーター３５００は、電子の／電気的なレギュレーター３５０２を通ってワイヤー［３５０１］によって互いと通信している。
【１１８６】
ＥＳＶＴポンプの２つのウェイアクチュエーター１０７２がカム軸によって交換されたので、また事実、圧力貯蔵器船舶（それは限定されるｒｅｐｒｅｓｓｕｒａｔｉｏｎを要求することがある）を加圧しておくのではなく、２つのウェイアクチュエーター１０５３はｒｅｐｒｅｓｓｕｒａｔｉｏｎを必要としないことがある、ポンプ８２６はＦｉｇ１１Ｉの中で示されるものよりも小さいことがある。これは２つのシリンダーモーターのための好ましい溶液である、一方、ポンプ８２０がオプションでないことがある間、ポンプ８２６を有している溶液。
【１１８７】
図１１Ｎはショーを残した、１つの、図１１Ｎの左辺に率に応じて拡大された。
【１１８８】
図１１Ｎ正しいショー、１つの、図１１Ｎの正しい部分に率に応じて拡大された。
【１１８９】
図［イオタ］［イオタ］［オミクロン］、［ロー］および１１Ｑ（Ｒ）（を含めた）は、それぞれ図１１Ｋ、Ｌ（クランクシャフト）および図［イオタ］［イオタ］［Ｍｕ］の配列に関係がある、［ニュー］（カム軸）、それぞれ、ここで、ａｕｘｉｌｌｉａｒｌｙに、電源は太陽電池８３３（Ｆｉｇ．ｌ５Ｃによる配列）に加えて、ある、ここで、燃焼モータ３５２５、好ましくは、Ｈ２（必要に応じて他の燃焼性の電源）（それは導電性Ｈ２０（そして小缶からの、の下で、圧力冷却され液化された、あるいは否定）からの電気分解によって好ましくは生成された）の使用は、密閉空間のボリュームをコントロールしているＥＳＶＴポンプと直接通信することである。１５Ｃ異なる図の中の配列の代わりに、図１５Ｄの配列などの配列は使用されてもよい。燃焼モータが電力ライン（ＥＳＶＴポンプ（ｓ）（クランクシャフト／カム軸）は、電気を起こす第一の代わりに、それがほぼ４倍効率的であることを意味する。それが電気モーターを駆動する。）を直接駆動する事実図面はそれぞれ前記燃焼モータ用に異なるタイプの冷却することを示す。その、前記燃焼モータで、流体（たとえば空気）を熱した、自動車のコンパートメントを熱することのための加熱目的にたとえば使用されることがある。図１１Ｏは、ＥＳＶＴポンプの駆動のためのクランクシャフトを使用して、上記の言及されたコンセプトに基づいて、単気筒モーターを示している。新しい重要な点だけがここで扱われる。
【１１９０】
前記モーターを適切に走らせるために、前記モーター中のいくつかの部分を同期させることが必要である：ＥＳＶＴポンプを駆動して、クランクシャフトを駆動して、燃焼モータに使用されるべきＨ２およびＯ２のあるボリュームを招くＨ２ｏの電気分解；―  速度アクチュエーターのためのＥＳＶＴポンプと２つのウェイアクチュエーターの間の連絡は、図１１Ｋ、１１Ｌ、１１Ｍおよび１１Ｎの説明で扱われた；モーターは、また歯形ベルトとホイールを、圧力貯蔵器船舶８９０のｒｅｐｒｅｓｓｕｒａｔｉｏｎのための、図の中で１１Ｖ示されるポンプ８２６を車で通り抜けている。
【１１９１】
配列（一致する図１５Ｃ）の、ａｕｘｉｌｌｉａｒｌｙに、Ｈ２燃焼モータは、前記水１６１３の電気分解１６１７が起こっている船舶１６１６への給油口１６１４および出口チャンネル［１６１５］と共に、導電性Ｈ２０  １６１３（それはタップ、電導体（たとえば塩）または単なる海水からのＨ２０であることがある）のための貯蔵タンク１６１２を備えていている。ワイヤー［３５４７］は電気分解を介してＨ２と０２の操業度をコントロールして、速度加減装置８４１をレギュレーター３５０９に結び付けている。逆止め弁は示されていない。バッテリー８３２から電気分解が起こっている船舶までの送電線［３５４７］。結果のＨ２はポンプによる輸送された［３５４５］である、に、前記、モーター非常に必要な逆止め弁は示されていない。よく、チャンネル＋によって、ポンプ非常に必要な逆止め弁がそれ（示された）でないとともに、結果の０２は前記モーターに［３５４６］を輸送されている、一種のターボとして使用される。自動車のキャビンの目的をウォーミングアップすること（矢印３５４０）のための、温暖空気が熱交換器３５３９にチャンネル［３５３８］を介して、直接または間接的に液体によって輸送されている場合、前記Ｈ２モーター３５２５は空冷式潤滑油冷却器であるとしてこの図面の中でたとえば示される。
【１１９２】
詳細が示されている一方、図１１Ｐは２つのシリンダーモーターの概観を示している、残された図１１Ｐおよび１１Ｐ権を率に応じて拡大する。
【１１９３】
図１１Ｐは図１１０に示されるコンセプトに基づいて、２つのシリンダーモーターを示している。ここでシリンダーはそれぞれ密閉空間を有している。したがって、ＥＳＶＴポンプ（それは両方とも同じクランクシャフトおよび２つの速度加減装置アクチュエーターによって駆動される）だが１つは、ａｕｘｉｌｌｉａｒｌｙに自動車で行く。クランクシャフトは、Ｈ２０の電気分解によって派生したＨ２を使用して、液体に冷却された燃焼モータによってギヤーホイール３５２６を直接車で通り抜けられる。前記クランクシャフトはＥＳＶＴポンプ、および圧力貯蔵器船舶８９０をｒｅｐｒｅｓｓｕｒａｔｉｎｇしているポンプ８２６を駆動している。示された歯付きベルト３５２７は、ギヤーホイールによって交換されることがある。
【１１９４】
空冷式潤滑油冷却器ラジエーター３５３０からの、および別のラジエーター３５３１への冷却水３５２９の循環のための水ポンプ３５２８がある。それは、自動車のキャビンをたとえばウォーミングアップするための環境からの空気をウォーミングアップすることがある。前記水ポンプはオルタネーター８５０のほかに前記モーターのメインの車軸８５２と通信している。それはバッテリー８３２を充電している。
【１１９５】
図１１Ｐはショーを残した、１つの、図１１Ｐの左辺に率に応じて拡大された。
【１１９６】
図１１Ｐ正しいショー、１つの、図１１Ｐの正しい部分に率に応じて拡大された。
【１１９７】
図１１Ｑは、ＥＳＶＴポンプの駆動のためのカム軸を使用して、上記の言及されたコンセプトに基づいて、単気筒モーターを示している。図１１Ｑの中のカム軸の原理は図１１Ｍのそれと等しい。カム軸はそうである、直接運転される、ａｕｘｉｌｌｉａｒｌｙに、強制的な気体（たとえば空気）に冷却された燃焼モータからのパワー。ポンプ（それは圧力貯蔵器船舶を再気圧調節している）は、前記燃焼モータによって直接駆動される。バッテリー８３２はオルタネーターによって課されている。それは駆動電動機車軸に、または図１５．Ｄによって装着される。
【１１９８】
詳細が示されている一方、図１１Ｒは２つのシリンダーモーターの概観を示している、残された図１１Ｒおよび１１Ｒ権を率に応じて拡大する。
【１１９９】
図１１Ｒは、図１１Ｑ（ここでシリンダーはそれぞれ密閉空間を有している）の中で示されるコンセプトに基づいた２つのシリンダーモーター、および各々を示している、そのボリューム（それらは両方とも同じカム軸によって駆動される）をコントロールするＥＳＶＴポンプ。全体のコンセプトはそうである、初期の図面から知っている。
【１２００】
図１１Ｒはショーを残した、１つの、図１１Ｒの左辺に率に応じて拡大された。図１１Ｒ正しいショー、１つの、図１１Ｒの正しい部分に率に応じて拡大された。
【１２０１】
図１１Ｓ−Ｗ（を含めた）いくつかの建築要素の詳細を示す、それは図１１Ａ−Ｒ（を含めた）の中で使用された。
【１２０２】
図１１Ｓは、ＥＳＶテクノロジーを使用して、モーターのメインの車軸８５２を備えた図１１Ｉ−１１Ｒによるピストン燃焼室組み合わせのポンプ１０６１の継ぎ目の詳細を示す。ポンプ１０６１のベース１１４０は適切な精密ばめを備えたメインの車軸８５２のまわりで、２つのベース部品１１４１および１１４２（それらは２本のボルト１１４３およびワッシャー１１４４によってともにボルトで締められた）を備えていている。前記ベース部品１１４１はモーター室１１４５上でボルトで締められる。それは、メインの車軸８５２（それは回転している）のまわりの耐える１１４６を有している。前記モーター室はハッチ５０００として示される。ベース部品１１４１および１１４２はＯリング１１４８を有している。それは、メインの車軸８５２とベース部品１１４１および１１４２の間の滑る連結を密閉している。ポンプ室１１４９は３つの〈ラザフォード〉で密閉空間１１５０を通信している。ボルト１１５１およびワッシャー１１５２。
【１２０３】
図、１１Ｔは、ＥＳＶテクノロジーの使用のため、アクチュエータピストン８０６の密閉空間８１３とクランクシャフト’８０１のチャンネル１０５０の間の連続的連絡を使用して、図１１Ｇ−１１Ｒによるモーターのメインの車軸８５２上のアクチュエータピストン８０６およびクランクシャフト’８０１の連接棒’８０５の継ぎ目の詳細を示す。
【１２０４】
連接棒’８０５のアッセンブリーおよび図１１Ｇ−１１ＲのＵベンド車軸’８０１は、時間のある点に示される。連接棒’８０５およびＵベンド車軸８０［ガンマ］は、互いを引き渡している。連接棒’８０５がベアリング１１００と１１００”で組み立てられた、Ｕベンド車軸’８０１、および連接棒’８０５と車軸’８０１の間のＯリング１１０４と１１０４”’。密閉空間８１３は、穴１１０６、１１０７および１１０８を通ってチャンネル１０５０と通信している。車軸８０［ガンマ］中のストレスを回避するために前記車軸’８０１の円周上の異なる円形場所に、互いからのある距離上に、少数の穴がある。チャンネル１０５０は、絶えず密閉空間８１３を備えた、オープンスペース’１１０５および１１０５を介して穴１１０６、１１０７および１１０８と通信している。それは、チャンネル１０５０とアクチュエータピストン８０６の密閉空間８１３の間の一定の連絡を招く。連接棒’８０５のベース’９２６は２部’９２７および９２８’を備えていている。そこでは、チャンネル１０５０の中心軸９２９は前記ベース９２６の分離面（示されない）にある。」ピストンロッド’８０５の各横の２本のボルト１１１０およびリング１１１１が、２部’９２７および９２８’を一緒にしておいている。
【１２０５】
図１１Ｕは、ＥＳＶテクノロジーを使用して、モーターのメインの車軸８５２を備えた図１１Ｉ−１１Ｒによるピストン燃焼室組み合わせのポンプ１０６０の継ぎ目の詳細を示す。ポンプ１０６０のベース１１８０は適切な精密ばめを備えたメインの車軸のまわりで、２つのベース部品１１８１および１１８２（それらは２本のボルト１１８３およびワッシャー１１８４によってともにボルトで締められた）を備えていている。前記ベース部品１１８１はモーター室１１８５上でボルトで締められる。それは、メインの車軸８５２（それは回転している）のまわりの耐える１１８６を有している。前記モーター室はハッチ５０００として示される。ベース部品１１８１および１１８２はＯリング１１８８を有している。それは、メインの車軸８５２とベース部品１１８１および１１８２の間の滑る連結を密閉している。ポンプ室１１８９は２〈ｎｄ〉で密閉空間１１９０を通信している。ボルト１１９１およびワッシャー１１９２。
【１２０６】
図１１Ｖは、図１１Ｈ−１１Ｒに、ポンプ（たとえば８２６）を駆動するメカニズム、およびそのベースを示す。
【１２０７】
ポンプ１２００はチャンバー１２０１、壁１２０６、ベース１２０２およびチャンバー１２０１の上面１２０３を備えていている。ピストン１２０４は、ピストンロッド１２１４の終わりに計測圧力センサー１２０５のほかにこの特許出願の断面１９６４０に説明されたタイプである。ポンプ１２００の上面１２０３のうち耐える１２０７は、好ましくはこの一致する断面１９５９７になる、特許出願それは、耐える１２０７がピストンロッド１２１４からの大きな横力に耐える場合があることを意味する。ポンプ１２００のベース１２０２は別のベース１２０９の境界１２２２内に、車軸１２０８の回りを回転することができる、それはモーター室の一部である、ハッチ１２１１として１２１０−示された。前記ポンプ１２００のチャンバー１２０１を言ったよりも前記車軸１２０８の反対側面で、前記ベース１２０２に基づいて、ｃｏｎｔｒａである、組み立てられて、前記車軸１２０８の中心点１２１３でポンプ１２００の平衡を保つように１２１２に重みを加える。ポンプ１２００はピストンロッド１２１４を備えていている。それは前記ポンプ１２００の上面１２０３に前記関係１２０７によってガイドされる。前記ピストンロッド１２１４の片端に、ピストン１２０４が、前記ピストンロッド１２１４のもう１つの端に、組み立てられた車軸１２１６がある間、組み立てられてある。前記車軸１２１６はピストンロッド１２１４への位置した垂直で、ピストンロッド１２１４が前記車軸１２１６に装着される。ディスク１２１７は、好ましくは前記ディスク１２１７の側１２１９の近くで、どれが車軸１２１６が回転することができるか、また、どれが前記ディスク１２１７に中心に置かれるかに、耐える１２１８を備えていている。前記ディスク１２１７はディスク車軸１２２０の回りを回転している。それは電気モーター１２２１と通信している。前記車軸１２２０の回転はそれによって、ディスク１２１７を回転させている、車軸１２１６は、前記車軸１２２０のまわりに、前記ディスク１２１７に垂直な平面の中に中心に回転である。これは、ピストンロッド１２１４が前記ポンプ１２００の中心軸１２２３に関しての角度ｓおよびｔの内に、１つの境界１２２２から別の境界へ、および逆もまた同様ポンプ１２００のチャンバー１２０１を回転させている間、ピストンロッド１２１４がポンプ１２００の上面１２０３間の翻訳する運動中であることを意味する。これはピストン１２０４をチャンバー１２０１に移動させる。入口１２２４（示されない）および前記ポンプ１２００の出口１２２５（示されない）は、前記タイプのピストン１２１５の使用により、前記ポンプ１２００のベース１２０２の一部で、入口１２２４を言い、出口１２２５がチェックバルブを備えていることがある。前記ポンプ１２００の媒体１２２６。別のタイプのピストンが使用される場合、入口１２２４および出口１２２５の位置は前記位置とは異なることがある。
【１２０８】
図１１Ｗは示す、接続、図１１Ｊ、１１Ｌ、１１Ｎ、１１Ｐ、１１Ｒによる２つのシリンダーモーターの２つのクランクシャフト間で共同。示された接続する継ぎ目は、図面図１１Ｊ、１１Ｌ、１１Ｎ、１１Ｐ、１１Ｒで示されるバージョンの改良版である。この図面の中で、隣接した密閉空間が互いと通信しているところで、示されたこの接続継ぎ手のバージョンである。残された（示されない）シリンダーのクランクシャフト１２５０はチャンネル１２５１を備えていている。それは密閉空間として（２〈ｎｄ〉）機能している。それは組み立てられる、そのようなもの、両方のクランクシャフト端１２５３および１２５４にフランジ１２５６および１２５７内に、シリンダー権（示されない）（前記端１２５３と１２５４の間で、そこではガスケット１２５５は３つの方向に圧縮の下で位置する（「埋め込む」））のクランクシャフト１２５２の端１２５４へクランクシャフト１２５１の端１２５３にそれぞれそれぞれ面する。最後の言及されたクランクシャフト１２５２はチャンネル１２６５（それは密閉空間として（３つの〈ラザフォード〉）機能している）を備えていており、シリンダー権と通信している（示されない）。フランジ１２５６および１２５７はそれぞれ、示されて、穴の不同の数を好ましくは有している、穴１２５８である。前記穴では、前記穴１２５８を備えた締まりばめでマウントされた薄い可撓なシリンダー１２５９がある。前記シリンダー１２５９では、通過適合で位置したボルト１２６０がある。この薄い可撓なシリンダー１２５９は、２つの組立クランク軸１２５０および１２５２の画角位置の非常に小さい差を可能にする、それは発生することがある、から、アクチュエータピストン（示されない）のａｓｙｎｃｈｒｏｎｅ運動のため、同期を軽蔑する。ワッシャー１２６１およびナット１２６２。
【１２０９】
図１１Ｗは、ガスケット１２６３の改良（前記ガスケット１２５５に関して）シーリングを示す。フランジ１２５６はキャビティ１２６４を有している。その一方でフランジ１２５７はハンプ１２６５（示されない）（キャビティ１２６４においてふさわしい）を有していている。締付けのための代案、連結が可撓な間。フランジ１２５７が水平なところで、示される。
【１２１０】
図１１Ｘは、締まるロッド１２７０がチャンネル１２７１および１２７２年に位置したので、チャンネル間の連絡が可能ではないという例外を除いて、図と同じを１１Ｗ示す、どれの、共通のチャネル部分１２７３および１２７４、各々にそれぞれ、肩に１２７５と１２７６を得させるためにより大きい直径を有している。チャンネル１２７３または１２７４のうちの１つの前記締まるロッド１２７０の緊張は、たとえば得られた、１つの、適切、適当で、端のうちの１つに接合していること。その、改良、ガスケットを密閉して、１２６３−この構築は図の中で１１Ｗ示されるものと同一である。
【１２１１】
歯付きベルトの代わりに、ポンプが駆動されている場合、図１１Ｄ−Ｗによるモーターのパワー横にそこに、非常によくギヤーによって交換されることがある。
【１２１２】
ピストン燃焼室組み合わせがクランクシャフトを介してメインの車軸と通信しており、この図の中で配列’８００（それは図１０Ａまたは図１２Ｂによってピストンが右回りに回転している固定チャンバーを備えていている）と取り替えられたところで、図１２Ａは図１１Ｂによるモーターの配列８００を示す、また、前記ピストンの懸濁液が図の中で１２Ｃ示される場合。１つの’ブラックボックス」チャンネルを通って低減バルブ８４０と通信するエントリーに向かってどれがあるか示される［］、そしてチャンネル［８１７］を介してポンプ８１８と通信する出口のための。低減バルブ８４０は速度加減装置８４１によってコントロールされている。
【１２１３】
チャンバーが移動していない間に、アクチュエータピストンチャンバー組み合わせのピストンが可動のところで、図１２Ｂはモーターを示す。モーター、チャンバー９６０を備えていること、どれが４つの下位チャンバー９６１、９６２、９６３および９６４をそれぞれ備えていているか、どれ、互いの継続中の同じ中心軸９６５のまわりで位置する、それは前記チャンバー９６０の中心９６７を通って車軸９６６を有している。前記下位チャンバー９６１、９６２、９６３および９６４内に、２つの重要な位置に示されて、それぞれ位置した１本のピストン９６８である、すなわち、９６８の位置を決める’ｌ〈５〉’に、下位チャンバー９６４の回転位置、最大の直径を有していること、また位置、９６８”２〈ｎｄ〉で、下位チャンバー９６１の回転位置、下位チャンバー９６４を備えた継続にある、その結果、１つの〈ステファン数〉下位チャンバー９６４の回転位置は位置する、２〈ｎｄ〉に最も接近している、下位チャンバー９６１の回転位置、それがその最も小さい直径を有している。（９６６−そこに）前記アクチュエータピストン９６８は、ある前記車軸の回りを右回りに回転している、集まるための示された４つの穴９６７は、車軸９６６上のチャンバー９６０を言った。
【１２１４】
図１２Ｃ（消費）は、非可動チャンバー９６０と共に、図１２ＢのＡ−Ａ断面を示す、そして可動、ピストン’９６８および９６８”。前記ピストン’９６８の密閉空間１０７０、前記密閉空間１０７０の各横に置かれて、それが２つのＯリング１０７１で密閉される場合、９６８”（２つの異なるサイズ中の同じピストン）は車軸９６６で終了している。密閉空間１０７０は、車軸９６６中の第二の密閉空間１０７２と通信している、ここで、それ、収納する１０７３の端、Ｔ−バルブ１０７４’が存在する（。それは圧力貯蔵器船舶８１４からチャンネル［８２９］および低減バルブ８４０まで流体８２２のエントリーをコントロールしている）。前記流体８２２は、ピストン’９６８および９６８”の内側のｐｒｅｓｓｓｕｒｅをコントロールしている。前記ピストン’９６８および９６８”からの出口はポンプの小滝へのチャンネル［８１７］を介してある（翻訳か回転）。
【１２１５】
電気信号１０７６は電気的な／ｅｌｅｃｔｒｏｎｉｃａｌなコントロールユニット１０７７と通信している。それは、信号［１０７８］を介して収納する１０７３以内のＴ−バルブ１０７４’をコントロールしている。車軸９６６の回転は、そのために前記Ｔ−バルブ’１０７４のコントロールおよびしたがってピストン９６８中の圧力である。」９６８”。圧力源１０７５からコントロールユニット１０７７までの信号の［８９１］。フランジ１０７９は懸濁液１０８０にチャンバー９６０を接続している。それは車軸９６６に装着される。ベルト１０８１。たとえば、図１３Ｂの参照８２および／または’８２６が存在することがあるが、この図面前記ポンプの中で示していないので、ポンプは、圧力源１０７５と通信している。前記ポンプは車軸９６６と通信していることがある。また、それはフライホイールおよび／またはで再生の崩壊システム１０８２を通信していることがある。
【１２１６】
図１２Ｄ（密閉空間）は、非可動チャンバー９６０と共に、図１２ＢのＡ−Ａ断面を示す、そして可動、ピストン’９６８および９６８”。前記ピストン’９６８の密閉空間１０７０、それが２つのＯリングで密閉される場合、９６８”は車軸９６６で終了している。密閉空間１０７０は、車軸９６６中の第二の密閉空間１０７２と通信している、ここで、それ、収納する１０７３の端、ピストン燃焼室組み合わせ１０７４が存在する（。それはピストン’９６８および９６８”（２つの異なるサイズ中の同じピストン）の内側の圧力をコントロールしている）。前記ピストン燃焼室組み合わせは、チャンネル８９０を通って電源１０７５の流体８８９を備えたｃｏｎｎｅｃｔｒｉｏｎにあることがある。
【１２１７】
電気信号［１０７６］は電気的な／ｅｌｅｃｔｒｏｎｉｃａｌなコントロールユニット１０７７と通信している。それは、信号［１０７８］を介して収納する１０７３以内のピストン燃焼室組み合わせ１０７４をコントロールしている。車軸９６６の回転は、そのために前記ピストン燃焼室組み合わせ１０７４のコントロールおよびしたがってピストン’、９６８”９６８中の圧力である。圧力源１０７５からコントロールユニット１０７７までの信号の［８９１］。圧力低下（前記流体８８９への）を備えた流体を備えたもどり流路１０５０は、小滝ｒｅｐｒｅｓｓｕｒａｔｉｏｎシステム（回転翻訳のおよび／またはは汲む）を介して、電源１０７５に戻っている（図１２  Ａを参照）。１１５１．
フランジ１０７９は懸濁液１０８０にチャンバー９６０を接続している。それは車軸９６６に装着される。ベルト１０８１。たとえば、図１３Ｂの参照８２Ｐのおよび／または’８２６が存在することがあるが、この図面前記ポンプの中で示していないので、ポンプは、圧力源１０７５と通信している。前記ポンプは車軸９６６と通信していることがある。また、それはフライホイールおよび／またはで再生の崩壊システム１０８２を通信していることがある。
【１２１８】
図１２Ａおよび１２Ｂによるモーターはチャンバー９６０を備えていることがある、どれの、少なくとも１つの部分が前記チャンバー（示されない）の中心軸と平行なことがある。
【１２１９】
クランクシャフト配列８００が図１０Ｂの回転モーターによって交換された場合、図１３Ａは図１１Ａに示されるようにモーターを示す。
【１２２０】
図１３Ｂは、図１３Ａのモーターを示す。そこではピストンポンプ８１８および８２６は回転ポンプ（たとえば遠心ポンプ）によって交換された：８２Ｐおよび８２６’。図１３Ｃは、図１３ＢのＢ−Ｂ断面を示す。また、アクチュエータピストンチャンバー組み合わせのチャンバーが可動のところで、モーターはタイプである。また、ピストンは移動していない。
【１２２１】
モーター、チャンバー８６０を備えていること、どれが４つの下位チャンバー８６１、８６２、８６３および８６４をそれぞれ備えていているか、どれ、互いの継続中の同じ中心軸８６５のまわりで位置する、それは前記チャンバー８６０の中心８６７を通って車軸８６６を有している。前記下位チャンバー８６１、８６２、８６３および８６４内に、それぞれ各々異なる回転位置に位置して、それぞれ５本のピストン８６８、８６９、８７０、８７１および８７２である、角度上で、下位チャンバー８  １、８６２、８６３および８６４を言った、互いからの＝７２［度］。それぞれピストンロッド８７３、８７４、８７５、８７６および８７７を備えている各ピストン。ピストン８６８、８６９、８７０、８７１および８７２は、「球体球体」タイプで、すべてに異なる直径を有していて示される。前記チャンバー８６０は、前記車軸８６６、回転方向そこに第二の回転位置および時計回りものの中の第一の回転位置を有している下位チャンバー８６１、８６２、８６３および８６４の回りを左回りに回転している、集まるための８７８が言った４つの穴を案内される、車軸８６６上のチャンバー８６０。
【１２２２】
図１３Ｄは、図のＡ−Ａ断面を１３Ｃ示す。ベルト８８３を装着することができる場合に、前記チャンバー８６０のフランジ８６１のまわりの切り口８７９を有しているチャンバー８６０。チャンバー８６０は、後退によってフランジ８８０を有している、前記車軸８６６上で組み立てられた。前記ピストンロッド８７３、８７４、８７５、８７６および８７７は、収納する８８２の内側の組み立てられる。
【１２２３】
図１３Ｅは、視界Ａ−Ａの中で図１３Ａの断面Ｃ−Ｃおよび前記ハウジング８８２の別の断面を示す。ピストンがそれぞれコンピューター８８５に接続される場合、ピストンロッド８７２、８７３、８７４、８７５、８７６は、圧力分布センター８８４に接続されている、操縦された低減弁機構８８６、それはピストンロッドの各々を与えている、必要、コンピューター８８５に前記車軸の回転位置に８６６を与える圧力ａ信号８８７は、信号８８８によってピストンの各々のための圧力を決定する。前記ピストンロッド８７２、８７３、８７４、８７５、８７６への圧力は、圧力容器８８９からチャンネル８９０を通り抜けて、コンピューター８８５への信号８９１によってコントロールされる。各ピストンの密閉空間の両方のｆｌｕｃｔｕａｌな圧力変化は、別々に扱われているだけでなく、同じコンピューター８８５によって各ピストンのための電子的に扱われた調整である。ポンプ（同じようにたとえば図１３Ｂの８２の［ガンマ］および／または’８２６を参考文献として載せる）存在することがあるが、この図面前記ポンプの中で示していない、圧力源１０７５と通信している。前記ポンプは車軸９６６と通信していることがある。また、それはフライホイールおよび／またはで再生の崩壊システムを通信していることがある。
【１２２４】
図１３Ｆは、モーター再加圧システムのための代替解決策を概略的に示す、それは今似ている、図１１Ｆのそれ。各々、スペース（たとえば１０９０）を取り囲まれた、各々、ピストン、８７３がチャンバー１０９２のその位置がカム輪１０９３の位置によってコントロールされるアクチュエータピストン１０９１を備えていている間、ピストン燃焼室組み合わせ８７３、８７２、８７４、８７６、８７５と通信している、それはできる、ターンオーバー、カム１０９４、カム１０９３が車軸８６６上で組み立てられている一方。Ｎｂ：ホイールが側面に示されるべき間に（部分的に）、ホイールがそれぞれその関連するピストンへの異なる距離を有しているべきので、カムとホイールは概略的に示される。密閉空間１０９０の内側の圧力は別のピストン燃焼室の組み合わせ’１０５５（それは１１Ｆ図からの１０５５のａｎａｌｏｇｕｓである）および別のコントロールするアクチュエーター１０５６によって調節することができる」（１０５６として）そして低減バルブ’１０５７および１０５８’（１０５７と１０５８として）、一方、ａｄｄｉｔｏｎａｌｌｙに、速度加減装置’（８４１として）８４１。前記低減バルブ’１０５７および１０５８’を備えた圧力容器８８９  ｉｃ  ｃｏｍｍｉｎｃａｔｉｏｎ［１０９５］。ポンプ（同じようにたとえば図１３Ｂの８２のおよび／または’８２６を参考文献として載せる）存在することがあるが、この図面前記ポンプの中で示していない、圧力源１０７５と通信している。前記ポンプは車軸９６６と通信していることがある。また、それはフライホイールおよび／またはで再生の崩壊システムを通信していることがある。
【１２２５】
図１３Ａ、１３Ｂおよび１３Ｃによるモーターは、チャンバー８６０を備えていることがある、どれの、少なくとも１つの部分が前記チャンバー（示されない）の中心軸と平行なことがある。
【１２２６】
図１４Ａは、中心軸１７０２を有していて、チャンバー１７０１に位置したアクチュエータピストン１７００の圧力およびサイズの変化を示す、また２つの〈ｎｄ〉長手／２〈ｎｄ〉環状位置１７０５から１つの〈ステファン数〉長手／１〈ステファン数〉環状位置１７０６へ移動する時ピストンロッド１７０４上でマウントされたピストン１７０３。アクチュエータピストン１７００は、たとえば気圧調節された、前記２つの〈ｎｄ〉長手／２〈ｎｄ〉環状位置１７０５の３本の［１／２］棒。前記ピストン１７００は密閉空間１７０７を備えていている。それはポンプ部品１７０８を備えていている。前記ピストン１７０３によって前記密閉空間１７０７の残りから分離された、前記密閉空間１７０７のポンプ部品１７０８、アクチュエータピストン１７００が上記に加圧された場合、言及された３つの［１／２］Ｂａｒ、で、１つの、第二、たとえば減圧されるまで２つ〈ｎｄ〉長手／２〈ｎｄ〉環状位置１７０５、前記１つの〈ステファン数〉長手／１〈ステファン数〉環状位置で前記１つの〈ステファン数〉長手／１〈ステファン数〉環状位置から１７０６−アクチュエータピストン１７０９を移動させる場合の［１／２］Ｂａｒは、今前記２の〈ｎｄ〉長手／２〈ｎｄ〉でピストン、はるかに大きな直径を有している。しぼむために、クランクシャフトの場合には、リターンが縦位置［１／２］棒過剰圧力が放たれている２〈ｎｄ〉の方へ起こるところで、アクチュエータピストン１７０５は気圧位置１７１３まで言った、密閉空間１７０７は、前記ピストン１７０３をアクチュエータピストン１７０９から遠ざけて撤回することにより言った：移動１７１０。前記アクチュエータピストン１７１１はその生産サイズに直径で増加している。それは、チャンバー（この図の中で示されない）の壁の内に、前記アクチュエータピストン１７００（それは２つの前記〈ｎｄ〉長手ｐｏｓｉｔｏｉｏｎ  １７０５で３本の［１／２］棒へ加圧された）の直径よりもわずかに小さい。前記ピストン１７０３は、前記アクチュエータピストン１７１１  １７１２−からの遠方に移動をさらに撤回されている。その結果、前記２つの〈ｎｄ〉縦位置１７１４へのポンプストローク１７１６は、クランクシャフトの場合には、アクチュエータピストンが第一の縦位置の方へ（１７１）戻った場合、３本の［１／２］棒への前記アクチュエータピストンを加圧して起こることができる。
【１２２７】
図１４Ｂは、図１４Ａの処理を概略的にそのうちに示す。また、この処理は、ｃｉｒｃｌｅｒｏｕｎｄ中心軸１７２１のまわりで位置した下位チャンバー１７２０に示される。それは直線（それは付加的に同時線である）として伸ばされた。前記アクチュエータピストン１７２２が移動していない間、前記下位チャンバー１７２０は矢印１７４０の方向に通常可動である。しかしながら、この図面の中で、下位チャンバー移動しないことで・・ピストン１７２０は可動である。ピストン１７２２は２つの〈ｎｄ〉長手／環状位置に位置する。また、前記アクチュエータピストンの内側の流体１７２３はたとえば気圧調節された、３つの［１／２］法廷弁護士  ポンプ１７２４はピストン１７２５、ピストンロッド１７２６、チャンバー１７２７およびカム輪１７２８を備えていている。前記カム輪１７２８はカム表面１７２９に基づいている。前記ピストン１７２５は、前記ポンプ１７２４の２の〈ｎｄ〉長手ピストン（１７３０）に位置する。流体１７２３が［１／２］棒アクチュエータピストン１７３２にその圧力を下げているところで、アクチュエータピストン１７２２が前記下位チャンバー１７２０の２つの〈ｎｄ〉長手／環状位置から１つの〈ステファン数〉長手／環状位置まで移っている場合、前記ピストン１７２５の位置は変わらない。カム表面１７２９がその高さのままであるので、カム輪表面１７２８はその位置で残る。（１７３１）の位置を決めるために位置（１７３０）からのピストン１７２５を撤回することは、アクチュエータピストン１７３３を与える、０本の棒（過剰圧力）の内圧、またその直径をその生産サイズにする。これは傾斜しているカム表面１７２９の結果である、角度を備えたカム表面１７３４、１つの、カム表面１７２９に関して、その結果、カム輪１７２８はさらに前記アクチュエータピストン１７３３から離れてなっている：カム輪１７３８。その後、終点１７３５でカム輪１７３８の並進移動を返し前記アクチュエータピストン１７３３に戻る。それはアクチュエータピストン１７３６にさらに変わっている。カム輪１７３８が傾斜したカム表面１７３９上に、生地１７２９への汗かきを有している場合（それは、前記カム表面１７２９を備えた角度［ベータ］（〉９０の［度］）を有している）。アクチュエータピストン１７３７は前記カム輪１７２８の前記位置に属する。それは有している、強調されるために、アクチュエータピストンの直径のサイズの低減は、非常に小さい期間に徐々に行われることがある、その結果、アクチュエータピストンは、前記チャンバー１７２０の壁１７４８との接触のままである。
【１２２８】
それが２つの〈ｎｄ〉環状位置にある場合、図１４Ｃはアクチュエータピストンへの流体の注入を可能にする図１４Ｂの配列を示す。カム輪１７４０は今ホース１７４１（チャンバー１７４４はそれに壁１７４２を備えていている）、流体または流体１７４３の混合物をひっくり返している。前記ホース１７４１は、臨時雇いが閉じたアクチュエータピストン１７４７の密閉空間１７４６への出口１７４５を有していて、アクチュエータピストン１７４７が２つの〈ｎｄ〉位置（図１４Ｂ審判。ｎｒ。１７３７）にある時、単に前記アクチュエータピストン１７４７の前記密閉空間１７４６へ開いた。ここでそれはホース１７４１中の流体から再加圧されることがある。
【１２２９】
図１４Ｄ１の説明は古典（直線のシリンダー）ポンプを示している。それは同じ円形チャンバーで走って、前記アクチュエータピストンの密閉空間と通信している。（１７５１−どれ）チャンバー１７４９、車軸１７５２（それは回転ベアリング１７５３で装着される）のまわりで左回りになっているホイール中の中心軸１７５０で、前記チャンバーは４つの同一の下位チャンバー１７５４、１７５５、１７５６および１７５７を備えていている。前記チャンネル１７５０は、互いへの異なる環状位置で５本の固定の同一のピストン１７５８、１７５９、１７６０、１７６１および１７６２を各々備えていており、それにより、異なる直径および内圧を有している。ピストンはそれぞれポンプ部品１７６３、１７６４、１７６５、１７６６および１７６７を有している。それは、各々の前記ピストン１７５８、１７５９、１７６０、１７６１および１７６２の中心に固着される。各々の前記ポンプはピストンロッド１７６８、１７６９、１７７０、１７７１および１７７２を有している。それはカム軸１７７８上に走って、カム輪１７７３、１７７４、１７７５、１７７６および１７７７を備えていている。このカム軸１７７８は４ｘを備えていている、部分１７７９、１７８０、１７８１および１７８２をｉｄｅｎｔｉｃａ１１Ｏｗｅｒｅｄした、ピストン１７５８、１７５９、１７６０、１７６１および１７６２を再加圧する必要があるところでそこに、そしてピストンの直前に、再び加圧される必要があることアクチュエータピストン１７６１は、罰当りな１７６１’まで前記ポンプのための低下した部分の使用を示す。矢印１７８３は、前記チャンバー１７４９が前記車軸１７５２のまわりで回転している方向を示す。図１４Ｄ２は図１４Ｄ１と同一である、例外で、ポンプ部分（備えている直線のシリンダー）１７６３、１７６４、１７６５、１７６６および１７６７は、ポンプパート（備えている細長い円錐形のシリンダー）１７８６、１７８７、１７８８、１７８９および１７８９によって交換された。前記ポンプ部品１７８６、１７８７、１７８８、１７８９および１７９０の２つの〈ｎｄ〉縦位置は、アクチュエータピストン１７９１、１７９２、１７９３、１７９４および１７９５に最も接近して位置する。
【１２３０】
図１４Ｅは、円形チャンバーを備えているこの発明の図１４Ｄ２によるモーターの断面Ａ−Ａがビークルのホイール上で直接増大したことを示す。リム１９００の断面、中心軸１９０１で、また、中心軸１９０３およびブレーキパット１９０４を有しているブレーキディスク１９０２上のその懸濁液（それはボルト１９５５（円形チャンバー１９０６は中心軸１９０７を有していて、その中で存在する）によって１９０５を収納するチャンバーに装着される）は、図１４Ｄ２の配列による第一の環状位置に球体タイプピストン１９０８がどこか、断面の中でチャンバー１９０６が示される。前記ピストン１９０８の内部は、密閉空間１９０９（それは収納する１９１０年に装着される）と通信している、それ自体はそれによって装着される、車両フレーム１９１２（示されない）の一部１９１１上のボルト１９２２。前記密閉空間１９０９のサイズは、円錐形のチャンバー１９１４（その円錐形のチャンバー１９１４年端の端はそれにカムプロファイル１９１６上にローラー１９１５によって走っている）を備えたポンプ１１３によって規制される。前記カムプロファイル１９１６は、ａｕｘｉｌｌｉａｒｌｙに回転している電気モーター１９１７によって駆動される、カム１９１６は言った、また前記駆動電動機車軸１９１８のまわりのローラーベアリング１９２４によって前記モーター（前記円形チャンバー１９０６を備えていて、また球体ピストン１９０８は言った）と無関係に回転すること前記駆動電動機車軸１９１８上のチャンバー１９０６年懸濁液用ローラーベアリング１９１９、および前記駆動電動機車軸１９１８上のカムプロファイル１９１６のためのボールベアリング１９２０が示される。駆動電動機車軸１９１８は、ボルト１９２３によって前記車両フレーム１９１２（示されない）に同様に装着される。図１６（「ワイヤーによる駆動」）（それは遠隔に位置した速度加減装置１９２７（示されない）と通信している）の配列による圧力調節器１９２５。前記圧力調節器１９２５のポンプ１９２８は、前記アクチュエータピストン１９０８の密閉空間１９０９を備えていているチャンネル１９２６と通信している。電気モーター１９１７はｓｃｅｍａｔｉｃａｌｌｙに示される、として、たとえば外部のモータ壁１９２９（それは前記カム１９２６を備えていている）に固定されるローター１９２８。アンカー１９３０は前記駆動電動機車軸１９１８に固定される。それはアンカー１９３０が前記ローター１９２８内にあるとそれが言ったほどのものである。１９０５を収納するチャンバーは、ナット１９３１による駆動電動機車軸１９１８およびワッシャー１９３２に固定される。前記ポンプ１９１３の前記ローラー１９１５の延びられた車軸端１９３３は、溝の中でガイドされる。それは、前記ポンプ１９１３のチャンバー１９１４の翻訳する移動が生成されるそのような前記ポンプ１９１３の中心軸１９３４と平行である。
【１２３１】
図１４Ｆは示している、１つの、前記円形チャンバー１９１６の詳細を率に応じて拡大する、ボルト１９５５によってともにボルトで締められて、１９０５を収納する、中心軸１９０７およびチャンバーを備えた１つの〈ステファン数〉環状位置でいる時、Ｆｉｇ．１４Ｅの中で示される断面。球体ピストン１９０８は断面の中で示される。前記球体ピストン１９０８の壁１９３９は、図によって強化材（示されない）を２０８Ｅ備えていている、Ｆまたは図２０９Ａ−Ｃ、またピストンロッド１９４２のクローズドエンド１９４３上でマウントされた（たとえば、硫黄で処理された）前記ポンプ１９１３に近い端１９４１の反対に位置した終わり１９４０にある。前記ピストンロッド１９４２はチャンネル１９４４を有している。それは穴１９４５を通って前記球体ピストン１９０８のキャビティ１９４６と通信している。前記球体ピストン１９０８の壁１９３９の他の端１９４１に、前記ポンプ１９１３の円錐形のチャンバー１９１４および圧力調節器（１９２５）の前記チャンネル１９２６と通信する前述のチャンネル１９４４がある（示されない）。前記端１９４１は可動キャブ１９４７を備えていている。それはＯリング１９４８によって前記ピストンロッド１９４２上で密閉される。球体ピストン１９０８は前記可動キャブ１９４７に装着される（たとえば、硫黄で処理された）。また、この可動キャブ１０４７は前記ピストンロッド１９４２の上を滑ることができる。それをより簡単にすることのための、理解するべきべきこの図面、ピストン１９０８の壁１９４１は、前記ピストン１９０８の壁１９４１と前記円形チャンバー１９１６の壁１９４８の間の接触が起こっている断面を介して引かれない。前記ピストンロッド１９４２のチャンネル１９４４の中心軸１９４９。前記ポンプ１９１３のチャンバー１９１４の中心軸１９３４。それぞれ、前記ピストンロッド１９４２はシリンダー１９５０内に翻訳することができ、２つのＯリング１９５１および１９５２年までに密閉される。前記穴１９４５の中心軸１９５３と前記円形チャンバー１９１６の前記中心軸１９０７の間の距離ａａ。可動キャブ１９４７の端１９５４と前記中心軸１９０７の間の距離ｃｃ。
【１２３２】
ビークルが１を超える輪を備えていている場合、互いの運動を各ホイールの運動と同時にすることが必要なことがある、ホイール、場合、ホイールが同じ表面を転がしている。これは、好ましくはコンピューター（それは１つのホイールごとに各下位チャンバーの各アクチュエータピストン中の圧力を調整している）によって他の個々のホイールのそれをやめることがある。これは参照１９６０によって示される。それはコンピューター（示されない）（１９６１）と通信している。
【１２３３】
図１４Ｇは、アクチュエータピストン１９０８が２〈ｎｄ〉の中で示される例外を除いて、図１４Ｈと同じを示す、前記チャンバー１９１６の円形ｐｏｓｔｉｔｉｏｎ。付加的に前記ピストンロッド１９４２が圧力調節器（示されない）（１９２５）の方へ前記シリンダー１９５０に滑っている一方、前記可動キャブ１９４７は前記クローズドエンド１９４０ごろ前記ピストンロッド１９４２の上を滑っている。前記穴１９４５は今、前記クローズドエンド１９４０間で位置し、可動キャブ１９４７を言った。前記距離ｃｃ（図１４Ｆ）がｄｄを引き離すために低減されている一方、前記距離ａａ（図１４Ｆ）はｂｂを引き離すために低減された。前記滑動は、前記アクチュエータピストン１  ０８のすべての環状位置で、前記チャンバー１９１６の断面の中心にあるべき前記アクチュエータピストン１９０８の位置を適合させることを可能にする。
【１２３４】
図１４Ｈは、遊星ギヤのタイプに図１４Ｅの配列（リム間で、そこではホイールおよびブレーキ板１９０２のうちの１９００年、および１９１６を収納する前記円形チャンバーは、ギヤーボックス１９５６を上に作ってやられた）をたとえば示す。
【１２３５】
各アクチュエータピストンの圧力のコンピューター化されたコントロールすることに加えて、図に１４Ｅ説明されるように、１つの各ホイールのための、前記ギヤーボックス１９５６のギヤーの変更を同期させることが必要なことがある。これはｐｒｅｆｅｒｒａｂｌｙにすることがある、コンピューター（たとえばコンピューター１９６１）によって再び行われた、それは、既に各アクチュエータピストン（図１４Ｅ）中の圧力をコントロールしている。
【１２３６】
［１９６２２から更新された好適な実施の形態］
図１４１は、モーター１９７０の圧力管理システムのその部分および１９７１をそれぞれ各々示す、少なくとも２つの並列の位置したホイール１９７２および１９７３上でそれぞれ増大した、たとえば自動車。それぞれ後輪１９７４および１９７５前記自動車は円センター１９７６のまわりで、左の買い占めを提出している。前記中心１９７６に近い左のホイール１９７２は右旋回１９７３よりも、より小さい半径１９７７で回転している。それは半径１９７８を有している。左のホイール１９７２は角度で回転している」１つの」そして角度を備えた右旋回」ｂ’、どこで」１つの’〉ｂ’。従って右旋回よりも遅い左のホイール回転およびこれらの信号１９８１を必要とする、ａｎｄｌ９８２、有している、であるために、適切なモーター１９７２および１９７３に送る。これはセンサー１９７９および１９８０年までに行われる、感じる、異なる角度は言った、１つの」そして’ｂ’。これらの信号１９８１および１９８２年、それぞれコンピューター１９８３に転送されており、制御信号１９８４および１９８５を招いて、働かれている、各自、その結果モーター１９７０および１９７１は言った、それぞれ各々を変化させている、それらの速度、従って。
【１２３７】
図１５Ａ−Ｅショー数個動力補助は、モーターを備えた共同作用を部品外注する。示された送電線は注意深く選ばれた。
【１２３８】
図１５Ａは、モーター（それはＥＳＶＴポンプを駆動している）に電気を配達するＨ２燃料電池を示す。今日（２０１１年２月）この溶液である、非常に多くの費用を要する、しかしちょうどカーボン信頼のウェブサイト上で、メッセージだった、技術的な突破口があった。それは、自動車用エンジンの中でＨ２燃料電池を今後使用することを可能にした。別の困難は、Ｈ２の記憶装置が困難であるということである、また冷淡なエネルギー。
【１２３９】
Ｈ２がＨ２０として格納され、電気分解を通って自由に来るので、図１５ＢはＨ２記憶問題のための溶液である溶液を示す。現在のエネルギーの１０％未満が燃焼モータ（それは回転を招くことがある）中のＨ２を生成するおよび使用するこの方法で運転（たとえば自動車）に必要なことをフィージビリティスタディが示したので。オルタネーターは電気を起こしている。それはＥＳＶＴポンプの駆動のための電気モーターを駆動している。ここの問題は、最後の言及された処理が２５％だけの効率を有しているということである。
【１２４０】
導電性Ｈ２０の電気分解で自由に来る０２は燃焼モータの中で使用されてもよい。その結果、Ｈ２の炎症はさらに効率的である（ターボ効力）。燃焼モータ中の燃えている処理から自由に来るＨ２０は、電気分解によってＨ２を引き出すことのための再度使用されてもよい。
【１２４１】
ＥＳＶＴポンプがクランクシャフトを介して前記燃焼モータの車軸によって直接駆動される場合、図１５Ｃは溶液を示す。ポンプが１００％効率的であると動力を供給する過程が言ったので、それは今はるかに小さいことがある。
【１２４２】
クランクシャフトが回転ＥＳＶＴポンプによって交換された場合、図１５Ｄは図として比較可能な溶液を１５Ｃ示す。それは処理をさらに効率的にする。［３／４］は来る、ここに、から、両方とも、電気分解、そして太陽のボルタの電池から。
【１２４３】
大きなキャパシターが電源としてＥＳＶＴポンプに使用される場合、図１５Ｅは溶液を示す。大きな利点は数分でこのキャパシターを課すことができるということである。また、キャパシターがスーツケースのサイズを有している場合、自動車はたとえば５００ｋｍを駆動することがある。
【１２４４】
図１５Ａは、接続している０２（１６３１）のための貯蔵タンク１６３０（それは加圧されることがあり、それはチャンネル１６３２を通って充填された）が前記モーターの外部の（１６３３）を備えた貯蔵タンク１６３０を概略的に言ったことを示す。前記貯蔵タンク１６３０はＨ２燃料電池１６０６までチャンネル［１６３４］を介して通信している。接続しているＨ２（１６０１）のための別の貯蔵タンク１６００（それは冷却され電気的な連絡［１６０２］を介して電気を使用して加圧されることがあり、そして、それはチャンネル１６０３を通って充填された）は、前記モーターの外部の（１６０４）を備えた貯蔵タンク１６００を言った。前記貯蔵タンク１６００は、Ｈ２と０２が電気に転換されているＨ２燃料電池１６０６までチャンネル［１６０５］を介して通信している、それは電気的な連絡［１６０７］を介して充電である、スタートバッテリー８３２Ｂ（短期（高い電流））、または軍砲兵中隊８３２Ｃ（ｌｏｎｇｄｕｒｉｎｇ（媒体電流））。前記チャンネル［１６０５］は逆止め弁１６０８を備えていている（示されない）。動作に必要な電位差、燃料電池１６０６は前記電気通信［１６０２］によって確立される。軍砲兵中隊８３２Ｃが前記モーターのポンプ８２０／８２６で電気的に［１６１０］を通信している間、スタートバッテリー８３２Ｂはモーターのスターター８３０を備えた電気的な通信する［１６０９］である。モーター、どれが選択したかに、要素はここでリハーサルされる、図１１Ａの中の深さの中で扱われる、Ｂ、Ｇ、Ｈ、私、Ｊ、Ｋ、Ｌ、Ｍ、Ｎおよび図１２  Ａおよび図１３Ａ＆  Ｂ。前記モーターはさらに圧力容器８１４／８９０を備えていている。それはポンプ８２６およびピストンアクチュエータ配列８００と通信している。前記モーターのメインの車軸８５２はオルタネーター８５０と通信している、それは充電である、を介して、１つの、電気的に、連絡［１６１１］、軍砲兵中隊８３２Ａ（ｌｏｎｇｄｕｒｉｎｇ（媒体電流））。前記バッテリーは、電気的にタンク１６００のクーリングで［１６０２］を通信している。バッテリー８３２Ａ−Ｃ（を含めた）参照番号８３２と共に、この特許出願の他の図面中の１個として委託され、ａｂ工場を請求された。写真、流電気の太陽電池８３３（それは付加的に充電電池８３２である）。圧力貯蔵器船舶８１４／８９０（それはポンプ８２０／８２６によって課されている）。モーターのピストンアクチュエータモジュール８００、代替的に、低減弁機構１０５７および１０５８、以前にたとえば説明されたので、図１１Ｇ、モーター８５２のメインの車軸を駆動する。
【１２４５】
図１５Ｂは、接続しているＨ２０（１６１３）のための（導電性）タンク１６１２（それはチャンネル［１６１４］を介して充填された）が前記モーターの外部の（１６２９）を備えたタンク１６１２を概略的に言ったことを示す。前記タンク１６１２は、前記水（１１３）の電気分解１６１７が起こっている船舶１６１６にチャンネル［１６１５］を介して通信している。前記船舶１６１６の出口［１６２２］は燃焼モータ１６２０と通信している。それはそのメインの車軸１６２１と通信している。前記チャンネル［１６２２］は逆止め弁１６１８を備えていている（示されない）。前記モーター１６２０は、船舶１６１６に生成されたＨ２を焼成している、その結果、運動がここで生じる、前記車軸１６２１の回転。前記車軸１６２１は電気スタートモーター１６２３およびオルタネーター１６２４と通信している。前記オルタネーター１６２４は、前記スタートモーター１６２３のための電気的な通信線路［１６１９］バッテリー８３２Ｂ（高い電流、操業短縮のための）、またはバッテリーによって８３２Ｃ充電である（媒体電流、ｌｏｎｇｄｕｒｉｎｇ）。バッテリー８３２Ａ（中間の高い電流、ｌｏｎｇｄｕｒｉｎｇ）は電気的な連絡［１６１１］を介してａｌｔｅｍａｔｏｒ  ８５０によって課されている。それはモーターのメインの車軸８５２と通信している。前記バッテリー８３２Ａは、船舶１６１６中の電気分解１６１７のための電気的な連絡［１６２６］を介して与えるパワーである。バッテリー８３２Ｃは、電気的な連絡［１６２８］を介してそれぞれモーターのうちの８２０／８２６を汲むべき電気的な連絡［１６２７］を介して与えるパワーである。その一方でバッテリー８３２Ｂはスタートモーター１６２３および８３０にパワーを与えている。前記バッテリーは（８３２）ａｂ工場を請求された。写真、流電気の太陽電池８３３（それは付加的に充電電池８３２である）。圧力貯蔵器船舶８１４／８９０（それはポンプ８２０／８２６によって課されている）。モーターのピストンアクチュエータモジュール８００。
【１２４６】
図１５Ｃは、図１５ＪＢによって処理を概略的に示す、ここで、付加的に、昇圧化小滝のピストンポンプ１６２５、したがって、一方の８２０または８２６は、直接クランクシャフト１６３６およびピストンロッド１６３７を介して前記燃焼モータ１６２０のメインの車軸１６２１と通信している。写真、流電気の太陽電池８３３、バッテリー８３２を充電している、オルタネーター８５０に加えて、メインの車軸８５２と通信している。バッテリー８３２は、電気的な連絡［１６２８］を介してモーター１６２３に電気的に接続される。運動機能８２０／８２６のポンプ１６２５の出口は図１１Ａによれば、チャンネル［８２８］および特に圧力貯蔵器船舶８１４／８９０によってモーターと通信している、Ｂ」Ｇ、１３Ａ、Ｂまたは図１２Ａ。この図では、バッテリー８３２による電気出力［１６２８］は前の図の中で示されて、モーターの他の機能に電気的な連絡を供給する。
【１２４７】
図１５Ｄは概略的に原理的に示す、図１５Ｃのその比較可能な処理、ピストンポンプ１６２５が回転ポンプ１６３５によって交換された場合（それは車軸１６２１によって前記モーター１６２０と通信している）。前記回転ポンプ１６３５はチャンネル［８２８］によって図１３Ｂの圧力貯蔵器船舶８１４と通信している。スタートモーター１６２３は車軸１６２１と通信しており、バッテリー８３２が写真太陽電池’８３３によって課されている、バッテリー８３２からワイヤー［１６２８］およびオルタネーター８５０からワイヤー［１６１１］までそのパワーを得て、車軸１６２１と通信している。バッテリー８３２はワイヤー［１６２７］によって運動機能８００に接続される。写真太陽電池’８３３は、チャンネル［１６４０］によってモーター１６２０に［３／４］を直接供給している。このシステムは、図ｌ３Ｆ、１４Ｂ、Ｃ、Ｄの中で示される配列と一緒に好ましくは使用されてもよい。図１４Ｄによる運動型は明確には好ましい実施形態であることがある。この図では、バッテリー８３２による電気出力［１６２８］は前の図の中で示されて、モーターの他の機能に電気的な連絡を供給する。
【１２４８】
図１５Ｅは、接続している電気１６４２の本記憶のためのコンデンサー１６４１（それは電線［１６４３］を介して充填された）が前記モーターの外部の（１６４４）を備えたキャパシター１６４１を概略的に言ったことを示す。前記キャパシター１６４１は、図１１Ａ、Ｂ、Ｃ、Ｆ、ＧおよびＦｉｇ．ｌ２Ａの中のモーターおよび図１３Ａ（前記図面中の機能８５１によるＢ）の他の機能にチャンネル［１６４５］を介して通信している。前記機能は車軸８５２、８６６および１６２１をそれぞれ備えていている。それはオルタネーター８５０または１６２４と通信している。前記バッテリー８３２は、電気的にワイヤー［１６１１］によって前記オルタネーター８５０と関係がある（図の中で１５Ｅ示されない）。バッテリー８３２は、写真によって付加的に課される、流電気の太陽電池８３３。付加的に、充電目的のためのワイヤー［１６４６］によって前記バッテリー８３２に接続された前述のキャパシター１６３０がある。
【１２４９】
図１６Ａは示す、１つの、図１１Ｇ−Ｒの２つのウェイアクチュエーターを率に応じて拡大する。２つのウェイアクチュエーターは２つのチャンネル３３００および３３０１を備えていている、それはレギュレーター（低減バルブ）３３０３、３３０４と各々通信して、外側からシリンダー３３０２の内部まで通信している、それぞれ、それはバルブを通ってコントロールされる、３３０６−両方のレギュレーター３３０３および３３０４が互いに伝えている速度加減装置によって３３０５を意味する、その結果１つ、速度加減装置３３０６は両方のレギュレーター３３０３および３３０４をコントロールすることができる．．２本の氾濫水路３３０７および３３０８がある。それは、内部ｐｉｓｔｏｎ．３３１１の各横の２つのスペース３３０９および３３１０の各々へ通信する。前記ピストン３３１１と前記アクチュエーターの壁３３１４の間のＯリング３３１２および３３１３。
【１２５０】
図１６Ｂは、図１６Ａの２つのウェイアクチュエーターに関する前研究を示す。より速く反応するシステムが、ピストンが氾濫水路を備えていているということであることが結論付けられる。付加的に、レギュレーターが各々を有している必要があることは結論付けられる、その流れのためのストップ機能。そして、氾濫水路は各（１）を有している必要がある、自動的なｃｏｎｔｒａ弁機能（たとえば図２１０Ｅによる）および（２）チェックバルブ。
【１２５１】
コンポーネントのＥＳＴＶ−ＡＳＹＮＣＨＲＯＮＥクランクシャフトの設計を結合した使用
図１７Ａは、ＥＳＶＴを使用して、円錐形のチャンバーでアクチュエータピストンの全サイクルを示す。これは図１０Ａ−Ｃと同一である。たとえｅｌｌｉｐｓｏｉｄｅ−ｅｌｌｉｐｓｏｉｄｅ／球体タイプピストンだけが示されても、任意のタイプの膨張式のアクチュエータピストンが使用されてもよい。
【１２５２】
図１７Ｂ−Ｈ、多シリンダモーターを示す、それは図１７Ｂの２つのシリンダー配列に基づく。同時に、１つのチャンバーの動力行程および別のチャンバーのもどり行程（動力がそれに供給されない）がおこなわれているように、前記配列が２度使用された場合、図１７Ｂは図１７  Ａの単気筒配列に基づく。
【１２５３】
アクチュエータピストンの動力行程が単に２〈ｎｄ〉から１つの〈ステファン数〉縦位置へおこなわれるので、前記２つのチャンバーは反対方向で指している。結果は、クランクシャフト配列がそのようなものであるということである、これらのアクチュエータピストンへのコネクティングロッドは互いに関しての１８０の位置した［度］（「ａｓｙｎｃｈｒｏｎｅ」）である。結果は、モーターがいつでもパワーを運ぶということである。また、この配列はスタンドの中で単独で使用されてもよい、２つのシリンダーモーター、あるいは複合の（〉２、また好ましくは偶数）シリンダーモーターの中で。フライホイールは余分のことがある、その省略は、ビークルの重量を減らすことがある。
【１２５４】
両方のアクチュエータピストンは、異なるアクチュエータピストンに各々属して、前記クランクシャフト（それは２つの接続している下位クランクシャフトと各アクチュエータピストンの一つを備えていているかもしれない）の密閉空間を通って互いにｃｏｍｍｕｍｃａｔｉｎｇしていることがあるし、ｃｏｍｍｕｍｃａｔｉｎｇしていないことがある。密閉空間の間の連絡は前記クランクシャフトの外側のチャンネルを通って下位クランクシャフトおよび／またはの中のチャンネルを通ってあることがある。
【１２５５】
前記下位クランクシャフト（ともに備えている前記クランクシャフト）の連結点で密閉空間がたとえばそばにたとえば分離されることがある、締まるロッド１２７０（図１１Ｘ）（それは前記密閉空間の間で位置することがある）。
【１２５６】
アクチュエータピストンのこの配列の中で、だろう、それ、非常によく前記２つのＥＳＶＴを組み合わせることができること、アクチュエータピストンの各々に圧力上昇と減少として、１つのポンプの中にそれぞれ汲む、密閉空間の全容積がそうであることがある間、時間の同じ点で、逆にされる、残る。前記ＥＳＶＴポンプが外部チャンネルを通って別の密閉空間と間接的に通信している間、ＥＳＶＴポンプは直接密閉空間のうちの１つと通信している。バルブが、１本のアクチュエータピストン（たとえば図２１０Ｅまたは図２１０Ｆによる弁アクチュエータの使用による）ごとに各密閉空間間で、両方の流れ方向の中で機能していることがある、それは開閉口である、前記ＥＳＶＴポンプ間の連結、また密閉空間は言った。前記バルブは、タペットによる前記ＥＳＶＴポンプおよび／またはの一方の圧力によってコントロールされることがある、それはカム軸（それはメインの動力補助ライン（たとえば補助のＨ２燃焼モータ）と通信しているかもしれない）と通信していることがあるか、コンピューター（示されない）と通信していることがある。
【１２５７】
アクチュエータピストンの内側の圧力の変更は、ｌ〈ステファン数〉／２〈ｎｄ〉縦位置、および２つの〈ｎｄ〉／ｌ〈ステファン数〉縦位置に前記アクチュエータピストンがいつそれぞれかである。ＥＳＶＴポンプのクランクシャフトが通信しているところで、カム軸が車軸の速度の２倍を有していることがあるより、カム軸がアクチュエータピストン＋チェックバルブアッセンブリーの開閉口を規制していることがある場合、で。
【１２５８】
下位クランクシャフト中の密閉空間の各々のためのピストン燃焼室組み合わせ（それらはシリンダー中の速度／圧力を変化させている）は、単に単気筒に使用されてもよい。これらのピストン燃焼室組み合わせは２つのウェイアクチュエーターの電圧レギュレーターを通って互いと通信している。それは、各々の前記ピストン燃焼室組み合わせのピストンロッドを移動させており、外部速度加減装置としたがって通信している。しかしながら、２つのピストン燃焼室組み合わせのうちの１つが削除されることがあり、ＥＳＶＴポンプのうちの１つをカットするために使用されたのと同じ配列によって交換されることがあることはありえることがある、それによって、ピストン燃焼室組み合わせのセッティング、同時である。多くのバルブが配列をｎ  ｉｓｆｕｎｃｔｉｏｎのための脆弱にしていることがある。
【１２５９】
歯付きベルトの代わりに、ポンプが駆動されている場合、補助モータのパワー横にそこに、非常によくギヤーホイールによって交換されることがある。
【１２６０】
前記である場合、第二、また、第三は空間を取り囲んだ、可動ピストン（図１７１）を介して前記下位クランクシャフト（図１１Ｗ、Ｗ）の連結点で互いとたとえばたとえば通信していることがある、それは、前記密閉空間を備えていているチャンネルに装着されることがある。前記ピストンは２倍の機能するタイプである。その結果、前記第二の密閉空間の方へたとえば可動で、それによって、アクチュエータピストンのうちの１つの前記第二の取り囲まれた空間で圧力を増加させる場合、それは同時に別のアクチュエータピストンの前記第三の取り囲まれた空間で圧力を減少させている。前記ダブルの作動ピストンは実際にモーターのその配列のＥＳＶＴポンプである。それは付加的に可能である、それはダブルの作動ピストンが外部で位置する、クランクシャフトは言った。モーター、２つのシリンダー（そこでは単気筒の２つの縦位置は第二のシリンダーの第１の縦位置の同じ幾何学的なレベルにある）をさらに備えていること、両方のアクチュエータピストンはクランクシャフトを介して互いと通信している、クランクシャフトが２つの接続している下位クランクシャフトを備えていている、これらのアクチュエータピストンへの連結ロッドが互いからの１８０の位置した［度］である場合、１（各アクチュエータピストンのための）。
【１２６１】
アクチュエータピストンの他方の密閉空間とのアクチュエータピストンのうちの１つの密閉空間の連絡を通じて、各々のシリンダー（そこでは前記ポンプは１つのポンプの中に前記２つのシリンダーのための組み合わせられる）のためのＥＳＶＴポンプをさらに備えているモーターは、備えていられている密閉空間がクランクシャフトを言った、密閉空間が前記下位クランクシャフトの連結点で互いと通信している。
【１２６２】
モーター、さらにバルブを備えていること、どれ、開閉口である、前記ＥＳＶＴポンプ間の連結、また第二で、言った、あるいは、第三はスペースを取り囲んだ。その一方で連結はそれぞれチェックバルブまたはチャッキ弁機能を有していている、前記バルブは、タペットによる前記ＥＳＶＴポンプおよび／またはの一方の圧力によってコントロールされる、タペットがカム軸と通信している、それはメインの車軸と通信している、１つの、ａｕｘｉｌｌｉａｒｌｙに、モーター。
【１２６３】
モーター、各々シリンダーを追加するところで、さらに２つを超えるシリンダーを備えていることは、既存の下位クランクシャフトの接続している下位クランクシャフトの密閉空間を通って通信することである。
【１２６４】
図１７１に、２つのシリンダーモーターである、各下位クランクシャフト中の各チャンバーの密閉空間が２ウェイのピストンが可動で、それは各密閉空間と通信している直線のチャンネルによって分離された場合、開示される。
【１２６５】
図１７Ａでは、ｅｌｌｉｐｓｏｉｄｅ／ｅｌｌｉｐｓｏｉｄｅ−球体アクチュエータピストン２１７は第一の縦位置で示される。前記アクチュエータピストンは膨張式で、１番目と２番目縦位置で異なる断面積を備えたチャンバーで走る。第２の縦位置での断面積および円周長さは、第一の縦位置での断面積および円周長さよりも小さい。第一の縦位置に着いて、アクチュエータピストンは動力行程の最終位置にある。動力行程の間中、アクチュエータピストンはピストンコンテナーの内側の気圧調節された流体の影響の下の第２の縦位置から第一の縦位置へ移動する。
【１２６６】
ピストンコンテナー中の流体が一定で開いた連絡にある密閉空間は、動力行程の間中等しいままである。ピストンアクチュエータの密閉空間は、バルブが密閉空間のボリュームをコントロールしているチャンネルと通信している。動力行程の時に、バルブはアクチュエータピストンに最も接近して配置されている。
【１２６７】
第２の縦位置から第一の縦位置への移動の間中、気圧調節されたｅｌｌｉｐｓｏｉｄｅの形状のピストン’２１７は、形状のピストン２１７を球体へと広げた、そしてピストンコンテナーの膨張で、前記ピストンの内側の圧力、徐々に、下位。第一の縦位置では、前記ピストンの内側の流体が保証するためにまだ小さい過剰圧力上にある、１つの、よい、チャンバー壁に密閉することピストン２１７の形はまたｅｌｌｉｐｓｏｉｄｅであることがある。
【１２６８】
バルブの位置が動力行程の間中変わらないところで、バルブはさらにアクチュエータピストンから遠ざけて撤回される。取り囲まれたスペース増加および内圧のボリュームが、ピストンがいつ作製されたかの圧力に落ちるそのようなもの。密閉空間の流体およびピストンコンテナーは互いとの一定で開いた連絡にある。従って、ピストンコンテナーおよび密閉空間の中に流体間に圧力差がある時、新しい平衡は確立である。
【１２６９】
図１７Ａでは、バルブはレベル「０」から「１」まで移る。減圧された生産、形状のピストン第一の縦位置で配置されている２１７”は、もどり行程の準備ができる。もどり行程に、アクチュエータピストンアッセンブリーは、第２の縦位置および取り囲まれたスペース残りのボリュームへ再配置される、等しい、弁調整「１」が維持される。第２の縦位置にピストンを移動させることはいつ減圧されるか。また、壁がなくなることがあるしか、それにちょうど係合していることがあるかが、ピストンの真下のボリュームからのチャンバーの上側ボリュームを密閉しないことがあるか。返されたピストン２１７”’は、今、円錐形のチャンバーの壁によって保持され、ピストン’２１７に気圧調節された時その形を維持する。加圧は、密閉空間が通信しているチャンネルのバルブの位置を変化させることにより実現される。バルブは延びられる「０」へのレベル「１、」、密閉空間のボリュームを減少させることによって、圧力は増加される。気圧調節されたピストンは移動する、から、１つの全サイクルを完成して、第２の縦位置から第一の縦位置へ再び。ピストンは拡大し、初期のピストン形２１７に、内圧を減少させる。その移動は、アクチュエータピストン上の反応で提供されるピストンと反力の中で過剰圧力のためチャンバーの壁の力によって駆り立てられる。メインの車軸として、アクチュエータピストンが接続される／取り付けられる場合、それが呼ばれる機械的な移動からエネルギーを受け取る、動力行程。チャンネルのバルブの隣りに、様々な配列は、アクチュエータピストンの加圧および減圧を管理することができる。図１７Ｂでは、２つのシリンダー配列は示される。両方のシリンダーは図１７Ａと同一である、内部オリエンテーションだけが１８０の［度］である、異なるそのようなもの、たとえば、シリンダアセンブリＡの中のアクチュエータピストンが動力行程の最初にある場合、シリンダアセンブリＢのアクチュエータピストンはもどり行程の最初にある。図１７Ｂでは、これは１８０度ずつシリンダー配列を回転させることにより表わされる。しかし、あるモーターでは、シリンダーを置くことによりこれをたとえば悟る多数の可能性は、シリンダアセンブリＡの１つに関して１８０の［度］の上のシリンダーＢのためのクランクシャフト連結に平行し回転させる。シリンダー気圧系は互いと通信していることがあるし、または自分の支援システムを有していることがある。モーターの主クランク軸は２つの下位クランクシャフトを備えている、各シリンダピストンアッセンブリーの１。円錐形のチャンバーのアクチュエータピストンのサイクルは、図１７Ａの説明およびシリンダーの設置で説明された。また、モーター中の処理は図１７Ｃ−Ｈで扱われる。
【１２７０】
図１７Ｃ−１７Ｈでは、プロセス説明は、２つのシリンダーから成るモーター配列の１つの全サイクルに与えられる。各下位クランクシャフト中の各チャンバーの密閉空間が締まるロッド１２７０によってｓｅｐｅｒａｔｅｄされた場合、開示された２つのシリンダーモーターの配列は２つの下位クランクシャフトを備えている１つのメインの車軸から成る。シリンダーは−ｓｙｎｃｈｒｏｎｅ（１８０度の差）を実行する、したがって、単気筒が別のシリンダーがそうである動力行程を始める場合、もどり行程の最初で、のように、図１７Ｂの中で示された。
【１２７１】
モーターでは、１つのＥＳＶＴポンプは流入／ｏｕｆｌｏｗコネクターと取り替えられる。それは残るＥＳＶＴポンプに接続される。バルブ４５９／４２３および４６２／４２２によって、両方のピストンを気圧調節し減圧するべき流れはコントロールされる。各シリンダーについては、１セットのバルブは、図のコンセプトによって２１０Ｅおよび２１０Ｆ従ってインストールされる、流入のための一つ、および流体の流出のための一つ。バルブは、カム軸上のカムとの連絡での圧力およびタペットによってコントロールされる。
【１２７２】
ＥＳＶＴポンプのクランクシャフトおよびカム軸の両方は様々な速度（ｐｒｅ）セッティングを可能にして、ギヤーホイールおよび歯車ベルト配列によってＨ２内燃機関によって駆動される。図１７Ｃ−Ｈで、カム軸、ポンプクランクシャフトおよびメインの車軸の回転速度は、同じである。
【１２７３】
ピストンの上のボリュームが単気筒アッセンブリーに接続され、ピストンの真下のボリュームが別のシリンダアセンブリに接続される場合、残るＥＳＶＴポンプは特別のタイプである。シリンダーが非同期になるので、この配列は希望の加圧スキームを提供する；減圧する必要のあるピストンアクチュエータのためのＥＳＶＴポンプピストンの一方の側の低圧、および気圧調節される必要のあるピストンアクチュエータ用高圧。特殊構成とのＥＳＶＴポンプ８０００はより多くのモーター配列に使用することができ、図１７Ｃ−１７Ｈにおいて例えば適用可能である。バルブの各セットに対して、カム軸上でｉｎｓｔａｌｌｌｅｄされたカムがある。カムはそれぞれ、流入弁および流出弁のための別の時に１つの回転の間に２つの異なる信号を一度提供する。各バルブセットのカムは、カム軸に同一にインストールされる、その結果いつ、第一の信号、第一のカムによって提供される、第２のカムはまた第一の合図および回転の半分でさらに知らせる、両方のカムは第２の合図で知らせる。シリンダーがａｓｙｎｃｈｒｏｎｅを実行するので：第一のカムからの第一の信号が流入弁に使用される場合、第２のカムからの第一の信号は、別のシリンダアセンブリの流出弁および逆もまた同様第２の信号に使用される。それがバルブの希望の機能することをもたらす限り、カムの異なる配列は同じようによく可能である。
【１２７４】
図２１１に説明されるように、バルブは特別のタイプである。バルブピストンが閉まっており、バルブアクチュエーターの方向に超過圧力がある場合に限り、流れは可能である。超過圧力は、ピストンコアを支持するバネ力によるプリセットされた強さとバルブの流出チャンバーに関してある。バルブ内のチャンネルはバルブの流入室との連絡にある。流入室およびバルブチャンネル中の等しい圧力によって、バルブアクチュエーターは適所に従って維持される、閉位置。バルブピストンが適切なカムおよび終了によって信号を受け取る場合、バルブチャンネルおよび流入室の間の連絡は切れられる。これで、超過圧力の設定が生じる場合、バルブは開く。そのときは、バルブピストンはそれを閉じる、流入室を備えたバルブチャンネルの通信線路を閉鎖するだけではなく、また、連絡のためのバルブチャンネルから流出チャンバーにチャンネルを開く。流入室の圧力から流出チャンバーの圧力までバルブピストンのクロージャーでバルブチャンネルの圧力が変わるそのようなもの。それが流出チャンバーと平衡状態にあるので、バルブチャンネルの圧力を克服する必要はない。カムによるバルブピストンからの信号の除去に際して、バルブアクチュエーターはその閉位置へ戻る。流入室へのバルブチャンネルによる連絡は再建される。また、流出チャンバーへの連絡は切れられる。
【１２７５】
バルブの流入弁のための、設定する、アクチュエーターの加圧をコントロールして、ＥＳＶＴポンプは、伴う密閉空間を備えた、流入室側およびピストンアクチュエータである、流出チャンバー側。流出弁については、それが反対にある。バルブピストンはカム信号によって閉じられる。それは、カム軸の１つの回転ごとに一度ある。バルブピストンのそのようなクロージャーの間中、バルブに関する圧力差が肯定的な場合、シリンダーの中に、またはそのシリンダーからの流体の流れは可能である。更に、モーターは図１１Ｒの配列に基づく、そしてその、ａｕｘｉｌｌｉａｒｌｙに、電源（［３／４］内燃機関）は図１５Ｄによるものである。
【１２７６】
図１７Ｃについては、シリンダー８００Ｌは、第２の縦位置および第一の縦位置でのシリンダー８００Ｒにある。ＥＳＶＴポンプは、シリンダーの中でボリュームを頂上に減少させて、８００Ｌを備えているシリンダアセンブリのチャンネルの流体を気圧調節する。ボリュームを頂上に減少させることによって、ＥＳＶＴポンプ２９はボリュームを真下に増加させて、８００Ｒシリンダーシステムでの圧力を従って低下させる。カム軸は、シリンダーとの連絡でチャンネルの流入弁に信号を８００Ｌ供給している。バルブピストンは閉じる。バルブのチャンネルの圧力は、８００Ｌのアクチュエータピストンと関連する密閉空間の圧力を備えた平衡にもたらされる。ＥＳＶＴポンプからの圧力は増し、シリンダーとの直接で開いた連絡で密閉空間の圧力のように８００Ｌより大きい。過剰圧力によって、バルブアクチュエーターはコアーピンを押しやる。また、流体はピストンを気圧調節し、動力行程のためのそれを準備して、シリンダーの方向に８００Ｌ流れることができる。８００Ｌの流出弁は信号を受け取らない。従って、バルブピストンは開いている。また、流れは可能ではない。
【１２７７】
カム軸はシリンダアセンブリ８００Ｒのための、第二のカム（また、それは第一の合図で知らせる）を有している。シリンダーが非同期になるとともに、第２のカムからのこの第一の信号の連絡は流出を持っている「〉８００Ｒのバルブ。ピストン８００Ｒの流出弁のバルブピストンは閉じる。また、従って、アクチュエータピストンからＥＳＶＴポンプまでの流れは可能である。８００Ｒの流入弁は信号を受け取らない。また、従って、アクチュエータピストンへの流体の流れは可能ではない。図１７Ｃのモーメントでは、８００Ｒのピストンアクチュエータは動力行程の終わりに、第一の縦位置にあり、もどり行程を始めようとしている。壁へのよいシーリングおよび接触を保証するために、ピストンコンテナーは、小さな超過圧力にまだある。ＥＳＶＴポンプの下側端はそのボリュームを増加させており、低圧に従って減少した。バルブピストンのクロージャーによって、バルブチャンネルの連絡はアクチュエータピストンから変わり、ＥＳＶＴポンプへの密閉空間を関連させた。全面的な圧力状態は、過剰圧力がアクチュエーターｐｉｓｔｏｎａｎｄからのバルブアクチュエーター上にあるような状態である、ＥＳＶＴポンプへの密閉空間を関連させた。流れはＥＳＶＴの方へポンプを初期化する、バルブの両側の圧力が平衡（コアーピンを支持するスプリングの小さい力を怠って）にあるまで、またはバルブピストンが再び開き、連絡を中断する時、この流れは継続する。
【１２７８】
図１７Ｃはショーを残した、１つの、Ｆｉｇ．ｌ７Ｃの左辺を拡大した。
【１２７９】
１７Ｃ正しい図、ショー、１つの、Ｆｉｇ．ｌ７Ｃの正しい部分を率に応じて拡大する。
【１２８０】
図１７Ｄでは、運動系車軸は１つ回転させた、回転にさらに第六。図１７Ｃで、ＥＳＶＴポンプは、ピストンに、および図１７Ｄの中でボリュームを頂上に減少させていた、ピストンは位置にとどまっている、ここで、ボリューム、の上に、小さい、そしてボリューム、の真下に、大きい。クランクシャフトの回転によって、ピストンの上の流体はわずかにもっと圧縮される、そしての真下に、もっと拡張した。ＥＳＶＴポンプによる加圧は、また高圧を備えた上面半分、および低圧（一方の側から反対側までの変更は初期の状態を備えた変更を示すのにそれによって重要である）を備えた下位半分において分離しているかもしれない。上面において分離したこれおよび下位半分はシリンダアセンブリ８００Ｌを申し込む、ならびにシリンダアセンブリ８００Ｒについては、状態が反対である。ＥＳＶＴポンプ中の本をまた決定するクランクシャフトの隣りに、カム軸は回転した。この新しい状態で、カムはバルブのうちのどれにも受信信号を供給しない。従って、バルブピストンは開いている。また、アクチュエータピストンおよび密閉空間への、またはそのアクチュエータピストンからの流れは可能ではない。シリンダアセンブリ８００Ｌの気圧調節された２９本のピストンは、ｐｉｓｔｏｎ．Ｄｕｒｉｎｇに及ぼされた壁の合成の反力によって第一の縦位置に第２の縦位置から近づいている、ピストンがピストン内圧の影響の下で拡張する上方移動、維持、１つの、よい、密閉およびチャンバーの壁への接触。アッセンブリー８００Ｒのピストンは壁への接触のない減圧され可動の先下がりか、または壁にちょうど係合している。
【１２８１】
図１７Ｄ  ｌｅ  ｔは示す、１つの、Ｆｉｇ．ｌＴＤの左辺を拡大した。
【１２８２】
図１７Ｄ正しいショー、１つの、Ｆｉｇ．ｌ７Ｄの正しい部分を率に応じて拡大する。
【１２８３】
図１７Ｅで、シリンダアセンブリ８００Ｌのピストンは、第一の縦位置、動力行程の端に着く。まだ減圧されたシリンダアセンブリ８００Ｒのアクチュエータピストンは、第２の縦位置、もどり行程の端に着く。様々なシャフトは６０度さらに回転した。８００Ｌのピストンはチャンバーの中に最大に拡大しており、保証するために小さな超過圧力の下にまだある、１つの、よい、壁に密閉すること８００Ｌの、および従ってピストンの内側の圧力、ピストンと８００Ｌ通信するチャンネルの圧力は、チャンバー（あるいは第一の縦位置で）で最も高い位置での動力行程のその最低の値にある。カム軸はバルブに信号を供給していない。また、従って、バルブピストンは開いている。また、流入または流出は可能ではない。クランクシャフトにコネクターによって追い込まれたＥＳＶＴポンプはまだ適応させられる、ＥＳＶＴポンプのピストンの上のボリュームが最小で、従って高圧を招いているようなものおよびピストンの真下のボリュームは、低圧で大きいままである。
【１２８４】
図１７Ｃ−１７Ｅで処理の前半に、シリンダー８００Ｌのピストンアクチュエータはメインの車軸にパワーを供給して、動力行程をおこなった。メインの車軸はクランクシャフトとカム軸と同じ速度で回転する。８００Ｒのピストンアクチュエータは単に第一から第２のｌｏｎｇｉｔｕｎａｌな位置へ最小のワークを犠牲にして翻訳する。この必要ワークはメインの車軸によって提供される。動力が、エネルギーを必要とする他の要素にそばに供給される、ａｕｘｉｌｌｉａｒｌｙに、電源（例えばクランクシャフトとカム軸）。
【１２８５】
図１７Ｅはショーを残した、１つの、Ｆｉｇ．ｌ７Ｅの左辺を拡大した。
【１２８６】
１７Ｅ正しい図、ショー、１つの、Ｆｉｇ．ｌ７Ｅの正しい部分を率に応じて拡大する。
【１２８７】
図１７Ｆで、カム軸上のカムは再び信号を提供している。カム軸はさらに回転しており、図のスタートする状態に対して、１８０度以上にここまで１７Ｃ回転した。また、カムによる信号は、図に有効なものとして１７Ｃ別の信号である。信号は、シリンダーの流出弁のバルブピストンを８００Ｌ閉じている。バルブチャンネルの圧力は、３０のピストンアクチュエータ中の小さな超過圧力と等しい、動力行程の端。バルブピストンのクロージャーで、バルブチャンネルは、これらの２つの圧力の平衡を保つためにＥＳＶＴポンプで流体を交換する。ＥＳＶＴポンプピストンは、ピストンにボリュームを頂上に拡大させて、かつ従ってこのスペースの圧力を減少させるためにストロークを作った。ピストンアクチュエータ８００Ｌの小さな超過圧力は、ＥＳＶＴポンプの上端のそれと等しくて、バルブ流出チャンバーの圧力に関する正圧差を有していている。正圧差はコアーピンを押しやって、バルブアクチュエーターを移動させて、ＥＳＶＴポンプへのアクチュエータピストンからの流体の流れを可能にする。これはピストンを減圧しそこでは、それが壁がなくてはならないか、それにちょうど係合していなければならず、もどり行程のためのそれを準備する。８００Ｌの流入弁のバルブピストンがカムによって信号を受け取らないとともに、それは開くままで、バルブを通って流れを許可しない。
【１２８８】
バルブのための、設定する、ピストンの加圧のコントロール、また８００Ｒの密閉空間を関連させた、第２のカムによる信号は、流入弁のバルブピストンを閉じる。流出弁のバルブピストンは開くままで、ピストンからＥＳＶＴポンプまで従って流れを促進しない。流入弁のバルブピストンを閉じることで、バルブチャンネルの圧力は第２の縦位置へのもどり行程をちょうど終了して、減圧されたピストンの内部ボリュームとの連絡でもたらされる。ＥＳＶＴポンプがストロークを作り、ＥＳＶＴポンプのピストンの真下のボリュームが減少した、また、このボリューム中の流体が気圧調節されるとともに。シリンダアセンブリ８００Ｒが連絡にあるＥＳＶＴポンプ中の気圧調節された流体は、バルブアクチュエーターに関する正圧差を招いている。この圧力差はＥＳＶＴポンプからアクチュエータピストンまで流れを可能にし、密閉空間を関連させた。圧力（それは従って拡大したい）の下の、だがピストンとしてのピストンコンテナーを持って来ることは有している、外部、それがその代りに、力を働かせる円錐形のチャンバーの壁によって保持される、壁、それはピストン上の反力を招く。この反力は、チャンバーの長手方向でのコンポーネントを有していて、ピストンを駆動する。したがって、８００Ｒのピストンの気圧調節によって、それは来たる動力行程をおこなうことができる。
【１２８９】
図１７Ｆで、シリンダアセンブリ８００Ｌおよび８００Ｒの状態は別のシリンダアセンブリのそれである、サイクルの半分、の前に、図の中で１７Ｃ。圧力、弁調整、縦位置、その他、滑らかに動作するモーターを有しているべき別のピストンのための、それが図に１７Ｃあったものに匹敵する。
【１２９０】
図１７Ｆはショーを残した、１つの、Ｆｉｇ．ｌ７Ｆの左辺を拡大した。
【１２９１】
１７Ｆ正しい図、ショー、１つの、Ｆｉｇ．１７Ｆの正しい部分を率に応じて拡大する。
【１２９２】
図１７Ｇおよび１７Ｈでは、車軸は回転する、ごとに、第六の回転、サイクルを完成して、さらに。カム軸上のカムはこれらの２ステップで合図で知らせない。従って、流入のバルブピストンおよび両方のバルブセットの流出弁は、開くままである。バルブピストンが開いているので、各バルブの流入室からアクチュエーターバルブを押す圧力、バルブチャンネルの圧力によって打ち消される、それはバルブの流入室との一定の３０の連絡にある。弁アクチュエータが所定の場所に残るとともに、ＥＳＶＴポンプとピストンアクチュエータの間の流れは起こらない。
【１２９３】
また、ＥＳＶＴポンプのセッティングは、１７Ｆ図のそれに匹敵するままである。ＥＳＶＴポンプ中のピストンの上のボリュームは流体の低圧を頂上に招いて、大きいままである、とこのボリュームがシリンダアセンブリ８００Ｌと通信している。また、ピストンの真下のボリュームは、高圧を招いて、シリンダアセンブリ８００Ｒとの連絡で、小さくしておかれる。同じようにそこで図１７Ｇの中の流体の流れでない、それがそうであるＨ、それ以上ない、結果、しかし図１７Ｈから図まで遷移の間再び１７Ｃ、それは、適切なバルブのための正圧差を作り出すのに重要なＥＳＶＴポンプ中のピストンのもどり行程による圧力変化である。
【１２９４】
図１７Ｇでは、ピストンアセンブリ８００Ｌは第一の縦位置から第２の縦位置へ可動である。ピストンは第一の縦位置から第２の縦位置へ移動する。ピストンは気圧調節されていない状態で、チャンバーの壁がないか、壁にちょうど係合している。同時に、シリンダアセンブリ８００Ｒは第２の縦位置から第一の縦位置へ動力行程をおこなっている。ここに、気圧調節されたピストンは、内圧を低下させて、円錐形のチャンバーの壁へのよい接触を維持して拡大する。
【１２９５】
図１７Ｈでは、ここに、アッセンブリー８００Ｌのピストンアクチュエータはもどり行程を終了し、円錐形のチャンバーのスモールエンドの中に着く、断面積と円周長さは最も小さい。シリンダアセンブリ８００Ｒの気圧調節されたアクチュエータピストンは、第一の縦位置に着く。ここで大きい断面積および円周長さが最大のところで、ピストンは円錐形のチャンバーのビグエンドの中で最大に拡大した。動力行程の最後の移動までの壁へのよいシーリングを保証するべきピストンの中に、小さな超過圧力が残る。この点では、壁の法線方向はチャンバーの長手軸に垂直か、またはほとんど垂直である。
【１２９６】
図１７Ｇはショーを残した、１つの、Ｆｉｇ．ｌ７Ｇの左辺を拡大した。
【１２９７】
図１７Ｇ正しいショー、１つの、Ｆｉｇ．ｌ７Ｇの正しい部分を率に応じて拡大する。
【１２９８】
図１７Ｈはショーを残した、１つの、Ｆｉｇ．ｌＴＨの左辺を拡大した。
【１２９９】
図１７Ｈ正しいショー、１つの、Ｆｉｇ．ｌ７Ｈの正しい部分を率に応じて拡大する。
【１３００】
モーターの進行中の作業の次のステップは、再び１７Ｃ図と同じである。従って、図１７Ｃ−Ｈの６つの中間ステップのこのサイクル、２つのシリンダーを備えているモーターのいっぱいのｃｙｃｌｕｓを説明する、動作、非同期３０．図１７１では、例は、ＥＳＶＴポンプが２つの下位クランクシャフトの連結でいつインストールされるとそれがどのように見ることがあるかに開示される。モーター素子は図１７Ｃ−１７Ｈに説明されたモーターと同一である。ＥＳＶＴポンプは動作されることがある、クランクシャフトの軸（たとえばウォーム歯車、スプリングまでに設置）に従うシリンダーの内側のメカニズム。ＥＳＶＴポンプを形成する直線のチャンネルの内側のピストンも外部システムによって駆動されることがある。２ウェイのピストンはチャンバーで移動しており、それが立ち去る取り囲まれたエリアのボリュームをそのために拡大させて、それが近づく密閉空間のボリュームを減少させる。密閉空間の圧力をそれぞれ低下させて増加させること。ピストンは同時に両方の取り囲まれたエリアを封鎖する。
【１３０１】
３０  コンポーネントのＥＳＴＶ−ＳＹＮＣＨＲＯＮＥクランクシャフトの設計を結合した使用
図１８ＡＧ（を含めた）２つのシリンダー配列に基づいて、多シリンダモーターを示す、それは、図１８Ａ（それは図１７Ａ（それは図［イオタ］［オミクロン］［アルファ］［ベータ］に言及する）の単気筒配列に基づく）の２つのシリンダー配列に基づく。しかしながら、どんな膨張式のアクチュエータピストンタイプも使用されてもよい。
【１３０２】
図１８Ａでは、示された２つのシリンダーがある。それは、各シリンダーの動力行程を同時にそのうちに組み合わせた。これらのアクチュエータピストンへの連結ロッドが互いからの０の位置した［度］である場合、両方のアクチュエータピストンはクランクシャフト（それは２つの下位クランクシャフトを備えていているかもしれない）を介して互いと通信している。
【１３０３】
単気筒の２つの〈ｎｄ〉縦位置が第２のシリンダーの２つの〈ｎｄ〉縦位置の同じ幾何学的なレベルにある場合、これは２つの同一のピストン燃焼室組み合わせの配列によって行われる。動力がしたがってもどり行程に供給されない。また、そのような配列はもどり行程でパワーギャップを満たすために他の配列（〉２つのシリンダーを備えているモーター）と結合することがある。別の溶液はフライホイールの使用であることがある。
【１３０４】
ＥＳＶＴポンプは、下位クランクシャフトの連結点でアクチュエータピストンの密閉空間の接続によって、１つのポンプの中に前記２つのシリンダーのための１つのポンプにたとえば組み合わせられることがある。
【１３０５】
アクチュエータピストンの別の群が前記モーターに追加され、図１８の配列のための使用することができるより、追加ピストン燃焼室組み合わせのストロークが前記モーターのものと同一の場合、群好ましくは総、１つのＥＳＶＴポンプは、圧力／速度制御のための１つのピストン燃焼室組み合わせのほかにピストン燃焼室組み合わせの全体の群に使用されてもよい。
【１３０６】
アクチュエータピストンの別の群が前記モーターに追加され、追加ピストン燃焼室組み合わせのストロークが、前記モーターのものと反対の場合、図１７の配列を総群ものＥＳＶＴポンプに使用することができるより、外部チャンネルと結合するピストン燃焼室組み合わせの全体の群および両方の流れ方向（図１７Ｃ−１７Ｈ（を含めた）を参照。）の中の逆止め弁および弁アクチュエータに使用されることがある。ピストン燃焼室組み合わせの両方の群の２つのクランクシャフトは互いと通信していることがある、それによって、チャンネル、の内側の、各々、クランクシャフトは、フィラー（たとえば図１１Ｘの締まるロッド１２７０）によって好ましくはたとえば分離されることがある。パワーバランスが前記モーターの中で発生することがある、様々なアクチュエータピストンのパワーｓｒｏｋｅｓはそれによって構成されるか、モーターが一定電力を提供するそのようなもの。図１８Ｂ−１８Ｇでは、１つのサイクル中のモーターの加圧スキームは開示される。モーターは、図１８Ａに示されるように２つのシリンダー配列を有している。各シリンダアセンブリのピストンアクチュエータは、サイクルの同じステージに連続的にある。ピストンアクチュエータは平行の中で走る。
【１３０７】
図１７Ｃ−１７Ｈのモーターがこのコンセプトに基づいたので、モーターは図１１Ｒによく基づく、主な微分はピストン加圧にある。その、ａｕｘｉＵｉａｒｌｙに、電源はＨ２内燃機関である、どれが強制的な液体かは冷却した。その、ａｕｘｉｌｌｉａｒｌｙに、電源はポンプ、バッテリーおよびクランクシャフトのためのワークを提供する。
【１３０８】
クランクシャフトにインストールされた２つのピストンアクチュエータは、１つのＥＳＶＴポンプに接続される。両方のピストンの圧力スキームが等しいので、ピストンアクチュエーターによってＥＳＶＴポンプから要求される圧力セッティングは、同じである。これは許可する、単純、単一の共有されるＥＳＶＴ  ｐｕｍｐｌ０５５の中に各アクチュエータピストンにつき２つのＥＳＶＴポンプを独立して接合すること、サイズだけ、これについて、だろう、可能、適している。ＥＳＶＴポンプの隣りに、また、１つのピストン燃焼室の組み合わせ１０５０はこの２つのシリンダー配列に圧力／速度制御のためのインストールされる。図１１またはＷに開示されるように、第２および第三の密閉空間が接続される場合、２本のアクチュエータピストン間の連絡は２つの下位クランクシャフトの連結で起こる。
【１３０９】
バルブは、ＥＳＶＴポンプと密閉空間またはアッセンブリー８００Ｌおよび８００Ｒのピストンアクチュエータの間でインストールされない。ＥＳＶＴポンプとアクチュエータピストンの間の連結を中断するために、コネクターは、ＥＳＶＴポンプへの、またはそのポンプからの流体の流れを可能にするかまたはこの連絡を阻み、密閉空間および関連するピストンの流体の量を設定するために穴を包含している。密閉空間を備えた、アクチュエータピストンアッセンブリーとクランクシャフトの間のそのような促進する連結の一例は、図の中で１１Ｔ挙げられる。
【１３１０】
図１８Ｂでは、流体の流れを許可して、下位クランクシャフト中の密閉空間から関連するピストンアクチュエータまでの通信線路は開いている。アクチュエータピストンはたった今もどり行程を終了しており、第２の縦位置にある。ＥＳＶＴポンプのクランクシャフトはストロークを上向きにしており、チャンバーの内側のボリュームを減少させる、ＥＳＶＴポンプ中の流体の圧力を増加させる。開いているアクチュエータピストンへの通信線路で、気圧調節された流体は、減圧されたアクチュエータピストンの中に流れることができる。もどり行程に、アクチュエーター圧力、壁に触れないために減圧されるか、上記のボリュームからのピストンの真下のチャンバーのボリュームを密閉しないようにそれにちょうど係合している。そしてピストンアクチュエータ中の圧力のように、より大きいＥＳＶＴポンプ中の圧力で、ピストンアクチュエータの中に高圧流体の流れ。アクチュエータピストンの加圧は、チャンバー壁へのよい接触を確立する。また、過剰圧力はピストンアクチュエータ３０（それはチャンバー壁によって妨害される）を拡大させる。しかし、円錐形のため、反力は、第一の縦位置へのピストンアクチュエータの上方移動を招く。
【１３１１】
図１８Ｂはショーを残した、１つの、Ｆｉｇ．ｌ８Ｂの左辺を拡大した。
【１３１２】
図１８Ｂ正しいショー、１つの、Ｆｉｇ．ｌ８Ｂの正しい部分を率に応じて拡大する。
【１３１３】
図１８Ｃで、ピストンアクチュエータは中間である、モーターの動力行程、モーターのクランクシャフトは上方へ回転している。同時で、ピストンアクチュエータが移動するので、両方のシリンダアセンブリのための状態は等しい。モーターのクランクシャフトは、ピストンアクチュエータと下位クランクシャフト中の密閉空間の間の通信線路をさらに閉じて、回転した。それはＥＳＶＴポンプとの一定で開いた連絡にある。超過圧力によって、ピストンは円錐形のチャンバーの拡大したエリアの中に拡大する。ピストンの内圧は、同じようにそこに減少する、ＥＳＶＴポンプおよび内部ボリュームとの連絡でない、増加した。ＥＳＶＴポンプは接続しているシステムで高圧を維持して、チャンバーで小さいボリュームを維持する。
【１３１４】
図１８Ｃはショーを残した、１つの、Ｆｉｇ．ｌ８Ｃの左辺を拡大した。
【１３１５】
１８Ｃ正しい図、ショー、１つの、Ｆｉｇ．ｌ８Ｃの正しい部分を率に応じて拡大する。
【１３１６】
図１８Ｄでは、ピストンアクチュエータは動力行程の終わりに着く。ピストンは円錐形の形づくられたチャンバーで最大に拡大した。ピストンはチャンバーの第一の縦位置へ移動した。アクチュエータピストン中のボリュームは増加したけれども、ピストンの内側の流体は小さな超過圧力上にある、に、全体の動力行程のためのチャンバー壁へのよい接触をｅｓｔａｂＫｓｈする。ピストンが接続される場合、モーターのクランクシャフト、図１８Ｂの状態を始めることに関して半回転で来る。下位クランクシャフト中のピストンロッドから密閉空間へのコネクターの穴は、従ってそこに閉まっている、下位クランクシャフトの密閉空間が接続されるので、ピストンアクチュエータ流体とＥＳＶＴポンプ、他のピストンアクチュエータの間の連絡でない。ピストン中の流体の量は同じままである。ＥＳＶＴポンプ中の流体はチャンバーの小さいボリュームによる高圧にある。
【１３１７】
図１８Ｄはショーを残した、１つの、Ｆｉｇ．ｌ８Ｄの左辺を拡大した。
【１３１８】
図１８Ｄ正しいショー、１つの、Ｆｉｇ．ｌ８Ｄの正しい部分を率に応じて拡大する。
【１３１９】
図１８Ｅで、モーターのクランクシャフトはｌｉｔｄｅをさらに回した、それによってクランクシャフト中の密閉空間とピストンロッドの間の穴は開く。また、流体の流れは可能である。ＥＳＶＴポンプのクランクシャフトはストロークをそのようなものにした、接続しているピストン、の中で、ＥＳＶＴポンプはポンプ室の流出から移される。また、ＥＳＶＴポンプ中のボリュームは拡大する、また、圧力は減少した。ＥＳＶＴポンプ中の圧力低下はピストン中の小さな超過圧力のように、より少ない。また、従って、ピストンからの流体はピストンを減圧して、ＥＳＶＴポンプの方向に外に流れる。内圧を解くことによって、ピストン変更は、第一の縦位置での壁に接する球体−ｅｌｌｉｐｓｏｉｄｅ形から壁がないか、それにちょうど係合しているｅｌｌｉｐｓｏｉｄｅ形まで形づくる。ピストンは、またこれと異なることができる伴う形スキームとの異なる配列であることがある。シリンダアセンブリ８００Ｌおよび８００Ｒの両方のピストンアクチュエータは、もどり行程の最初にある。
【１３２０】
図１８Ｅはショーを残した、１つの、Ｆｉｇ．ｌ８Ｅの左辺を拡大した。
【１３２１】
図１８Ｅの権は、Ｆｉｇ．ｌ８Ｅのｓｃａｌｅｄ．ｕｐの正しい部分を示す。
【１３２２】
図１８Ｆで、アクチュエータピストン８００Ｌおよび８００Ｒはもどり行程の最中である。モーターのクランクシャフトは、第一から第２のｌｏｎｇｉｔｔｉｄｉｎａｌな位置に減圧されたシリンダーを移動させるべきワークを提供して下降している。コネクター中の連絡が再び中断されるとともに、アクチュエータピストンが減圧され続ける。ピストンシステムでの流体の量は等しいままである。また、また、ボリュームが同じままであるとともに、圧力は一定である。ピストンは、ステージの端に図の中でそれが１８Ｅ示した形の中にとどまる。ＥＳＶＴポンプ中のチャンバーのボリュームは大きいままである、そのようなもの、ピストンへの連絡のそのｕｐｔｏクロージャー、ＥＳＶＴポンプの方向の押出し流れの中の流体。
【１３２３】
図１８Ｆはショーを残した、１つの、Ｆｉｇ．１８Ｆの左辺を拡大した。
【１３２４】
１８Ｆ正しい図、ショー、１つの、Ｆｉｇ．ｌ８Ｆの正しい部分を率に応じて拡大する。
【１３２５】
図１８Ｇでは、ピストンアクチュエータはサイクルを完成し、第２の縦位置に着く。ＥＳＶＴポンプは、わずかに再びチャンバーのボリュームを減少させている。しかし、圧力は低く続ける。また、ＥＳＶＴポンプおよびアクチュエータピストンの間の連絡のための穴はクローズドである。動力行程の間中、クランクシャフトが提供している両方のピストンアクチュエータのもどり行程にいる間、ピストンアクチュエータは接続しているシステムに動力を供給するべきクランクシャフトの研究をおこなう、ピストンアクチュエータを従って移動させるべき研究、モーターによる電源は一定ではない。
【１３２６】
図１８Ｇはショーを残した、１つの、Ｆｉｇ．ｌ８Ｇの左辺を拡大した。
【１３２７】
図１８Ｇ正しいショー、１つの、Ｆｉｇ．ｌ８Ｇの正しい部分を率に応じて拡大する。
【１３２８】
コンポーネントのＣＴクランクシャフト設計を結合した使用
いくつかの部分が作り出された場合、図１９Ａは図１１Ｂに基づいて、単気筒モーターを１１Ｃ示す、促進する動力補助出所は、燃焼モータにたとえば選ばれる。それはＨ２０の電気分解に由来して、Ｈ２を焼成している。貯水池１６１２は外部出所によって給油口１６１４を介してＨ２０  １６１３で充填することができる。前記貯水池から、Ｈ２０はチャンネル［１６１５］によって船舶１６１６に輸送することができる。前記船舶中の電気分解１６１７をおこなうのに必要パワーは、バッテリー８３２に接している通信線路［１０６９］によって提供される。バッテリー８３２は太陽のボルタの電池８３３によって課され、オルタネーター８５０によってエネルギーを受け取ることがある。前記オルタネーターは、歯付きベルトとギヤーホイールによるモーターの主クランク軸８５２との連絡にある。バッテリーはスタータ８３０に信号を供給していることがある。バッテリーからの別の通信線路［１０６４］は低減バルブ８４０にインプットを与えていることがある。それは、チャンネル８２９を介して圧力貯蔵器船舶８１４からピストンシリンダアセンブリの第２の密閉空間の流入コネクターまで流体の流れを８００Ｌコントロールする。チェックバルブ８４０のセッティングは速度加減装置８４１によってコントロールされる。電気分解処理（Ｈ２）のアウトプットはチャンネル［３５４５］によって内燃機関３５２５に供給される。必要に応じて、０２は内燃機関３５２５に個別のチャンネル［３５４６］によって輸送される。前記エンジンでは、通信線路［１０６９］による信号の管理の下で、Ｈ２と０２は水の生成で処理される。それは代わり（示されない）に前記貯水池１６１２に供給されることがある。内燃機関は、また熱交換器によって遠方に伝導されることがあり、このモーターの外側の二次適用に使用されることがある熱を発することができる。内燃機関はシャフトに動力を供給する、に。どのピストンポンプ８２６が接続されるか。前記ピストンポンプは、シリンダアセンブリの第三の密閉空間に接続されて、クランクシャフト上の流出コネクターからチャンネル［８２５］によって来る流体を気圧調節する。クランクシャフト８５２の自由端は接続することができる、フライホイール８３５、クラッチ８３６または歯車８３７（示されない）。
【１３２９】
ピストンアセンブリ８００Ｌは図１１Ａに説明されるような消費技術によって動作する。圧力はピストンポンプ８２６の圧力に関して正圧差をコントロールする前記チャンネルの終わりに一方向の方向バルブによって異なることができるけれども、流出コネクターに接続されたチャンネル［８２５］が低圧にある間、クランクシャフト中の第２の密閉空間の流体は、低減バルブ８４０を見逃した後に圧力貯蔵器船舶８１４の圧力または減圧圧力である。ピストンアクチュエータはクランクシャフトに図１１Ｄに説明されたコネクターと関係がある。チャンネルがコネクターの中で中断されるので、第２および第三の密閉空間は互いとの連絡にない。前記コネクターは、第２の縦位置でピストンアクチュエータを備えた第２の密閉空間からの流体の流れを許可する。また、取り囲まれた第三とピストンアクチュエータの間で、ピストンアセンブリが第一のものにいつかは位置を取り囲んだ。前記第一の縦位置では、小さな超過圧力（アクチュエータピストンの中にまだある）は、第三の中に流体の流れが下側圧力のためチャンネル［８２５］でスペースを囲んだと確証する。ピストンは、ボリュームからのピストンの上のボリュームを真下に密閉しないように減圧され、かつチャンバーの壁またはそれに単に係合することがないようになる。もどり行程に、クランクシャフト８５２の回転によって、第２とピストンアクチュエータを備えた第三の密閉空間の間の連絡は閉まっている。また、ピストンが第２の密閉空間に着く場合、第２の密閉空間との連絡は開いている。前記アクチュエータピストンは減圧される。また、従って、第２の密閉空間は、前記圧力貯蔵器船舶による圧力であり、低減バルブを言った、流体の流れはアクチュエータピストンの方向にある。気圧調節されたピストンは、チャンバーで拡大し、壁の力によって代わりの反力を受け取る。この力は第一の縦位置へ上向きのアクチュエータピストンを駆動する。ピストンおよび第一の縦位置への移動の前記膨張は、動力行程である。
【１３３０】
図１９Ｂは、下位クランクシャフトの連結のセンターラインへ映されて、２つのシリンダーが位置した場合、消費技術を備えた図１９Ａに基づいて、２つのシリンダーモーターを示す。３つの〈ラザフォード〉は、２つのピストンアクチュエータ８００のスペース（出口）を取り囲んだ、２〈ｎｄ〉がスペース（入口）を取り囲んだ一方、Ｌと８００Ｒは２つの下位クランクシャフトの連結を通じて互いと通信している、互い（チェックバルブを備えた）に外部的にｃｏｍｍｕｍｃａｔｉｎｇしている、また、クランクシャフト（２つの下位クランクシャフトから構成されて）が設計されている場合、その結果、各アクチュエータピストンの動力行程は図１８Ａの原理によれば同じ（０の［度］）方向（同時）に可動である。
【１３３１】
２つを超えるシリンダーがこのｓｙｎｃｈｒｏｎｅ原理によるモーターに必要な場合、より多くのシリンダーが追加されることがある、その結果、たとえば、２の別の〈ｎｄ〉はスペースを取り囲んだ、接続されることがある、２〈ｎｄ〉への連結のためのまだ用いられている端が、追加シリンダーのスペースを取り囲んだのではない、その結果、３つのシリンダーモーターは作り出される。その、それから、まだ自由な３つの〈ラザフォード〉は、追加シリンダーのスペースを取り囲んだ、３つの〈ラザフォード〉に接続されることがある、別の追加シリンダーのスペースを取り囲んだ、その結果、モーターは４つのシリンダーで機能することがある。その、今、等しい圧力スキームとの密閉空間の間の連絡を確立するために開くより、下位クランクシャフトのチャンネルの示されたクローズドエンドは必要とすることがある。
【１３３２】
図１９Ｂは、ショーに図１９Ｂの左辺の拡大を残した。
【１３３３】
図１９Ｂ権は、図１９Ｂの正しい部分の拡大を示す。
【１３３４】
図１９Ｃは図１９Ａに基づいて、２つのシリンダーモーターを示す。それは図１９Ｂに匹敵する加圧処理中である。図１９Ｃはそれを描く、ピストンが同じ方向（０の［度］）にインストールされる場合、同時の動作されたピストンを備えたモーターの配列はモーターと異なっていることがある。図１９Ｃの配列で、ピストンアクチュエータの動力行程が同時で生じる。しかし、アクチュエータピストン８００Ｌのオリエンテーションは１８０の［度］の上に回転する。前記再オリエンテーションは、円錐形のチャンバーでのようなクランクシャフトへの連結中である。ここでピストンアクチュエータは引っ越して来ている。また、従って、動力行程は反対方向で適応させられる。下位クランクシャフト中の個々の第二の密閉空間」チャンネル［８２９］および密閉空間によって圧力貯蔵器船舶に接続される、外部チャンネル［８２５］によって互いにｃｏｒｒｉｍｕｎｉｃａｔｉｎｇしている。第三の密閉空間は、アクチュエータピストンからピストンポンプまで流れを促進する外部チャンネル経由で互いと通信している。２つの下位クランクシャフトの連結では、密閉空間は中断される。また、ピストンアセンブリ８００Ｌと８００Ｒの間に連絡はない。
【１３３５】
図１９Ｃは、ショーに図の左辺の拡大を１９Ｃ残した。
【１３３６】
図１９Ｃの権は、正しい部分図の拡大を１９Ｃ示す。図１９Ｄは図１９Ａに基づいて、２つのシリンダーモーターを示す。ここでピストンアクチュエータは非同期になる。ピストンアセンブリ８００Ｌがもどり行程で始まる場合、ピストンアセンブリ８００Ｒは動力行程で始まる。従って、別のピストンアクチュエータが第一の縦位置にある場合、１つのピストンアクチュエータは第２の縦位置にありその逆も正しい。アクチュエータピストンのオリエンテーションは反対方向にある（１８０の［度］）。同じようにそこに絶えずある、動力行程およびもどり行程、１９Ｄのモーターによる電源は連続的で、やや一定レベルである。各シリンダアセンブリの密閉空間は、下位クランクシャフト（両方の第二の密閉空間を備えた加圧チャンネル［８２９］ｃｏｍｍｕｍｃａｔｅｓ）によって接続されない。第三の密閉空間の間のチャンネル［８２５］はまたピストンポンプ８２６に通信する。第２または第三からのコネクターの開口がアクチュエータピストンへの空間を取り囲んだので、異なっている、ピストンアセンブリ８００Ｌと８００Ｒの間のサイクルの半分、ピストンアセンブリ間の圧力チャンネルによる連絡は密閉空間へ制限されている。同じようにそこでチャンネル［８２５］および［８２９］がそうである下位クランクシャフト間の連結を通じて連絡でない、外部。
【１３３７】
図１９Ｄは、ショーに図１９Ｄの左辺の拡大を残した。
【１３３８】
図１９Ｄ権は、正しい部分図１９Ｄの拡大を示す。歯付きベルトの代わりに、ポンプが駆動されている場合、モーターのパワー横にそこに、非常によくギヤーによって交換されることがある。
【１３３９】
［１９６２０の好適な実施の形態］
図２１Ａはピストン（示されない）の第一の縦位置で、長手断面の壁部品２と共に、いわゆる一定の最大調速機制御力チャンバー１を示す。それは中心軸３と平行である。チャンバー壁の部品４は、チャンバー１の長手断面の凸面を決まった壁を有している。凸状壁部品４から凹状壁部品７までのチャンバーの外部の壁の縦の断面の遷移５。壁部品６（それはピストン（示されない）の第二の縦位置に位置する）は、チャンバー１の中心軸３と平行ではない。長手の共通の境界９、第一から第二の縦位置へ移動する場合、１Ｂａｒ過剰圧力がピストン（示されない）によって到達した縦位置のチャンバー１の横断面の断面１０。共通の境界／１３  １１／１５／１７／１９／２１／２３／２５および２７、長手間に、それぞれ、横断面の断面／１４  １２／１６／１８／２０／２２／２４／２６／縦位置のチャンバー１の２８／３０、ここで、１／２／３／４／５／６／７／８／９／１０の棒、気圧上の過剰圧力、それぞれ中へたとえば、高度な自転車の空気入れは、ピストン（示されない）によって到達した。横断面の断面２８、２９、３０、３１、３２、３３、３４、３５および６がそうである長手の内部壁、凸状、形状、一方、横断面の断面７がそうである長手の内部壁、凹状、１０の棒（過剰圧力）ポンプのための形状（６つ〜７つの棒過剰圧力間で）。打ち砕かれた、外部のものを示される、卑屈に、数学的な方程式がそうだった場合、チャンバーに形づくる（３６−３７−３８）これに続く、それを回避するべき設計目的のために行われる、チャンバーは見るトップヘビーである。それが双曲線関数の最初に行われたので、この適応はそういうものとして最大労働力に影響がない（第一から第二の縦位置へ測定された長手方向でのチャンバーの形の結果のピストン上の労働力）。チャンバーの全長上の壁厚の小さく一定のサイズのため、これが、また前記長手断面の外部壁のための場合である（番号は付けられなかった）：ＷＯ／２００８／０２５３９１を参照してください。
【１３４０】
前記共通の境界の長手ポジショニングは、ピストンの下の円錐形のチャンバーの行程体積の休息ボリュームおよび圧力のその最大値の結果数学上決定されることがある。それはこの図にある：１０  棒。特性はそれである、続く前記共通の境界の間の距離、互いに、数える、から、１つの、第一、縦位置、ピストン、に、１つの、第二のピストン位置はより高いものを減少させている、過剰圧力割合はそうである。それは、また前記長手断面断面２８、２９、３０、３１、３２、３３、３４、３５、６および７のそれぞれの壁の絶頂のための場合よりもある。（労働力どれ）前記共通の境界での壁の位置、この場合２５ｋｇｆ（２５０Ｎ）である最大の好きな値に基づく。結果はチャンバーの特有の形１である（ＷＯ／２００８／０２５３９１）。
【１３４１】
図２１Ｂは、チャンバーの同じ長さの間図２１の１０の棒（過剰圧力）チャンバーの形１（実線）および１６の棒（過剰圧力）チャンバー（打ち砕かれた）の形を示す。部分３０の内部直径の推移のサイズが、ピストンのサイズに対して問題を与える場合、だろう、チャンバーのサイズの再計算は過剰圧力の不変の最大値によって労働力の最大値の増強により行われることがある。これは直径を作る、たとえば、参照番号３０、より大きな前記凹状部分７では、厚さは壁の残りの壁厚よりももう少し大きいことがあるけれども、壁厚はチャンバーの長さの間さえほぼある。万一最大の過剰圧力が１０本の棒（たとえば１６の法廷弁護士）よりも大きければ、別の再計算が行われることがある。これはより高い最大仕事力を選ぶことにより実施されることがある。その結果、横断線断面の円周はより大きくなることがある。これは、円周が保証するためにその最小値に達する前に、チャンバーの円錐形の形づくられた外側壁が２つの〈ｎｄ〉縦位置の近くで行くことができることを意味する、ピストンは群がらなかった。それはピストン式によって定義される。第一の縦位置の近くで、でしょう、計算に逐語的に続いて、チャンバーのサイズは大きくなりすぎる。また、そのため、一つはそこにその形を定義することがある、その結果、円周は小さいこれになる、また同様に他の共通の境界のための場合であることがある。
【１３４２】
ハンドポンプへの要求へのチャンバーを最適化するべきタスクは上に説明されたものとして同様の方法で行うことができる。その問題、ここで、解決されることは、初めは内側チャンバー壁（ピストンがおこなうことができるものに依存して）の円周、および前記チャンバーの外側の最大円周の最小サイズ間のよい妥協である、縦位置、それは使用者がハンドルおよび指定の最大の労働力を保持している場所である。
【１３４３】
また、図２１のチャンバー１のボトム部を見ることができる場合、図２２Ａは、高度な自転車床ポンプのチャンバーのボトム部を示す。チャンバー１は足４１に装着される。可撓な小麦パン４２は、足４１の上のチャンバー１を組み立てる。ホース４３（それはチェックバルブなしで４９−この出口がそうである圧力膨張容器の出口４４に接続される）。（概略的に引かれた）ピストン４５はピストンロッド４６を備えていている。ピストンロッドの底に、位置したチェックバルブ４７がある。それは外部雰囲気（４８）と通信しており、ピストン４５が第二の縦位置から第一の縦位置へ移動している場合に、チャンバー１を満たすようにチャンバー１の方へ開いている。膨張圧力容器４９は開いている場合、入口チェックバルブ５０を備えていて示される、とチャンバー１がチャンバー５６と出口４４を通って通信している。内部壁５２を備えた膨張圧力容器４９の外部壁５１の断面。膨張圧力容器４９は、上端５３と前記船舶４９の底部端５４の間で組み立てられる。上端５３および底部端５４が気体の密閉するねじ５８および５９によって膨張圧力容器４９の壁５２にそれぞれ密閉されている一方、膨張圧力容器４９の上端５３はＯリング５５によってチャンバー１の壁に密閉される。
【１３４４】
これは超高圧（たとえば１６本の棒）のためのある好適な実施形態である、また、ピストンが内室壁に密閉するのに、苦労する場合。この構築は、凸状壁を備えた長手の横断面の断面から長手断面断面までの遷移のシーリングを回避する、で、１つの、凹状、図１を壁参照してください。
【１３４５】
図２３は、図１のチャンバーと同じ明細書を備えた１０本の棒の最高圧力のための別の一定の力チャンバー８０を示す、それが有しているという例外を除いて、それを安全にするために、圧力容器タイプピストンは有している、第二の長手上で前記第二の長手ピストン位置のチャンバーのピストン位置内部壁８１を移動させていないために、チャンバーの中心軸と平行で、選ばれ示されるべきである：
長手の前記凸状壁８２からの遷移、共通の境界８３と８４の間の横断面の断面、０本の棒および７つの棒過剰圧力に対応する、それぞれ、中心軸と平行な前記壁８１に、チャンバー８０のうちの８５は共通の境界８４間で、より小さい内側凹状形状のサブセクション８６．１、８６．２および８６．３をそれぞれ備えていて、特別の内部凹形状８６を有している。それは１０の棒過剰圧力のための共通の境界８８まで７つの棒過剰圧力に相当する。前記チャンバーの内壁およびその外部の壁の形は、これ以上互いに相当しないことがある：７つの棒過剰圧力のための共通の境界８４と１０の共通の境界８８の間で、棒過剰圧力は外部の壁である、まだ凸状で、内壁は凹状に形づくられている。形のこの差は、チャンバーがその最も弱いスポットを有しているところでそこにチャンバーの壁厚の残りのそれに関しての壁厚を増加させることを可能にする：凹状内部壁セクションから前記チャンバーの中心軸と平行な内壁までの遷移。チャンバーの外部壁８９、前記チャンバーの内部壁が前記チャンバーの中心軸と平行なところで、どれがそこに位置するかは、直線に選ばれることがあるが、必ず、前記中心軸と平行ではないことがある。湾曲形成がある視覚的なテンションを与えるので、これはよい見る目的のために行われることがある。
【１３４６】
壁の内側の中低からの遷移、に、チャンバーの中心軸と平行な前記チャンバーの壁の内側の前記、ピストンにｊａｒｎｍｉｎｇなしで、この遷移を通らせることができるために滑らかに作られることがある。
【１３４７】
図２４は、高度な床ポンプの足７０を示す、のための、たとえばタイヤ膨張。可撓な小麦パン７１はコーンを決まったチャンバーを適所に図３のうちの８０としておく。チャンバー８０の内壁８１はチャンバー８０の中心軸８５と平行である。膨張式のピストン７３。密閉空間６６。管６５。入口チェックバルブ７５。出口チェックバルブ７６。ホース７７。測定空間７８と７９（ホースの内側の）。バルブ継手６７（示されない）。また、バルブ継手６７の内側のスペース６８は測定空間の一部である（示されない）。
【１３４８】
図２５はチャンバー１００を示す。それは、Ｆｉｇ．２１のチャンバー１の１０の棒過剰圧力チャンバーである。それは共通の境界２７を備えた第二の縦位置端である。このチャンバーのこのボトムは、一致しているボトム部１０１にねじで留められる、長手、Ｆｉｇ．２１の横断面の断面３０。チャンバーの両方の部分を接続するねじは管用ねじ１０２である。それはガス密連結をする。ボトムでは、チャンバー部分１００のうちの１０３は出口１０４（ホースニップル１０５はその中でねじで留められた）である。チャンバー部分１００はピストン１０６を備えていている。それは概略的に引かれた。ピストン１０６は中空ピストンロッド１０７（それはチェックバルブ１０８（それはピストンとボトム１０３の間のスペース１０９を開く）を備えていている）を備えていている、またそのために前記スペース１０９の中に大気（４８）から空気を入れる。ホースニップル１０５においては、ホースクランプ１１１で組み立てられたホース１１０がある。ホースはたとえば接続されたその他の終わりにある、バルブ継手６７。ホース１１０の穴１１２。
【１３４９】
［１９６３０の円形チャンバー設計］
好適な実施の形態
図３０Ａは、図１２Ｂの円形チャンバーを示す。そこでは、ピストンは動いていないチャンバーで移動している。円形下位チャンバー９６１は、前記ライン９８１が位置しているコードラント９８３よりも初期のコードラント９８２に、円形チャンバー９６０の中心点９６７に近いｃｉｒｃｌｅｒｏｕｎｄハッチング９８１のための中心点９８０を有していている。円センター９８０と円ハッチング９８１の間の半径線９８７。円形チャンバー９６０の中心点９６７に最も遠い円形下位チャンバー９６１のｃｉｒｃｌｅｒｏｕｎｄハッチング９８４は、後のコードラント９８６中の中心点９８５を有していている、よりも、そこではライン９８４は位置している。円センター９８５と円ハッチング９８４の間の半径線９８８。これは、他のすべての下位チャンバー９６２、９６３および９６４に有効なことがある。前述のｃｉｒｃｌｅｒｏｕｎｄハッチングは他の好ましい実施形態中の円形断面ラインであることがある。
【１３５０】
ピストンが可動でないところで、図３０Ｂは、図１３Ｃおよび１４Ｄの円形チャンバーを示す、しかしチャンバー。ここに、円形チャンバー、および図３  ＯＡのデザインと同一の下位チャンバーのデザインがある。
【１３５１】
Ｆｉｇ．３１Ａは図１４Ｄを示す。そこでは、断面Ｘ−Ｘは前記チャンバー１７４９に、および重心軸１７５０を介して示した。
【１３５２】
図３つの１Ｂは示す、１つの、図３１Ａのチャンバー１７４９の断面Ｘ−Ｘの詳細を率に応じて拡大する。チャンバー壁１７８５は断面Ｘ−Ｘの中で示される。チャンバー１７４９への開口を有している壁１７８５はダクト１７８６、１７８７、１７８８、１７８９、１７９０、１７９１、１７９２、１７９３、１７９４、１７９５、１７９６および１７９７をそれぞれ備えていている。好ましくは、断面Ｘ−Ｘが円形チャンバー１７４９の中心１７５０から最も遠い断面を打っているところで、ダクトはほぼない。
【１３５３】
断面Ｘ−Ｘのラインの両側（１７８６／７／８／９／９０／９１、また１７９６／５／４／３／２／１）から、チャンバー１７４９の円周の近くで、そこから、増加した幅を備えたダクトである：ダクト１７９１は最も大きな幅を有している。前記ダクトは、ピストンを備えたチャンバー１７４９の壁１７８５のコンタクト域のサイズを低減し、円形チャンバーの方向に、円形チャンバーを通ってピストンを操縦し、適切な推進力を得るのが目的である。それは、前記ダクトのため前記チャンバー１７４９の内側のピストンのコンタクト域および壁１７８５の円周の近くで等しいことがある。
【１３５４】
図３２Ａは、チャンバーの壁を示す。また、基礎円への直交平面は、その中心が基礎円にある円の中で交差する。
【１３５５】
図３２Ｂは、ピストンの境界の断面を示す。
【１３５６】
図３２Ｃは、我々が値を必要とするキャップのエリアおよび内部ボリューム形状のためのキャップを示す、１つの、そしてｈ、単に見る、公式（２．１）および２．２  ―仮想球体の半径は提出される（２．３）。
【１３５７】
図３２Ｄは、キャップを備えたピストンを示す。
【１３５８】
図３２Ｅは、透明フェルミ管ｈａｍｂｅｒの内側のキャップを備えたピストンを示す。
【１３５９】
図３２Ｆは、ピストンとチャンバー（透明チャンバー壁の内側の可視）の間の純粋なコンタクト域を示す。
【１３６０】
図３２Ｇは、ピストンとチャンバーの間のコンタクト域を示す。
【１３６１】
図３２Ｈは、チャンバー壁の断面を示す。チャンバー反力は灰色の（１８００）によってマークされる。断面上の力の総はチャンバー壁に直交である。断面については、示された断面の（可変）長手長さ、およびピストンの内圧に比例した力の値がある。
【１３６２】
チャンバー壁からのローカルの反力は断面の縦方向幅に比例する。それは、中心円（すなわち起源）の中心に再び遠方に線形である。一次に、長さは一定半径の管でのような断面のまわりで変わる。前記長さは、起源への距離に直線的に依存する。ローカルの力は相応して変わる。また、従って、それは起源のまわりの純粋な回転としていっぱいの壁、そしてその結果ピストンを駆動するために調整される。フェルミの構築。ジェネレーター円は各点で示されるような直交平面を有している。チャンバー壁は、ジェネレーター円でその中心を有している円の中のすべてのそのような直交平面と交差する。チャンバー壁はそうである」円錐形」ジェネレーター円に沿ったアーク長さの機能として線形の（あるいは、単に増加して）値を有しているために直交平面中の前記円の半径を選ぶ場合。
【１３６３】
図３２１は、開いた視界を提供するために付加セクションと共に、図３２Ｈの断面を示す。
【１３６４】
図３２Ｊは図３２Ｈを示す。また、赤い（１８０１）ベクトルは、長手方向での灰色の力（１８００）のコンポーネントである。
【１３６５】
図３２Ｋは、開いた視界を提供するために付加セクションと共に、図を３２Ｊ示す。
【１３６６】
壁に沿った実際のスライド力が青（１８０２）の中で示される場合、図３２Ｌは図を３２Ｊ示す。それは、チャンバー壁に赤い（１８０１）ベクトルを直角に計画することにより得られる。
【１３６７】
図３２Ｍは、開いた視界を提供するために付加セクションと共に、図を３２Ｌ示す。
【１３６８】
［１９６４０の好適な実施の形態］
図４０Ａは、ピストン１５０１を備えたポンプ１５００の長手断面を示す、備えていること、Ｕ形成された、手段１５０２、Ｏリング１５０３および可撓な不透水層１５０４を支持する、言及された最後、チャンバー１５０６の第一の縦位置で泡１５０５に支持された。その支持体は、車軸１５１０を備えていて、１５０２が懸濁液１５０８を備えたピストンロッド１５０７に回転自在に固定されていることを意味する。その、引くこと、１５０９を跳ね返らせる、車軸１５１０の上のピストンロッド１５０７に、およびもう１つの端で支持体に固定されている、１５０２を意味する、Ｏリング１５０３に、より接近している水平に位置した春１５１１はＯリング１５０３を支持している。不浸透性のフレキシブルシート１５０４は、強化材１５１４（図４０Ｂ、４  ＩＤ、４つのＩＥの中で単に示される）を備えた層１５１２を備えていている。それは強化材１５１３のない層の上で硫黄で処理された。チャンバー１５０６の中心軸１５１８。角度、１つの、中心軸１５１８と共に車軸１５１０の中心をＯリング１５０３の中心に結び付けているライン間に。不浸透性のフレキシブルシートはそうである、無強勢、によって、１つの、チャンバー１５０６の流体から装填すること、垂直、チャンバー１５０６の中心軸１５１８。
【１３６９】
図４０Ｂは示す「〉不浸透性のフレキシブルシート１５０４はＯリング１５０３に硫黄で処理される。
【１３７０】
ｒｅｉｎｆｏｒｅｃｅｍｅｎｔｓのない層１５１３、および互いの上で硫黄で処理された強化材１５１５を備えた層１５１２。その支持体は１５０２を意味する。また、水平春１５１１は、Ｏリング１５０３および不浸透性のシート１５０４の層１５１３の上で硫黄で処理された。支持体の端は、１５０２が小さい曲げられた平坦表面１５１６（作製された時それはＯリング１５０３の形に適合する）を有していることを意味する。Ｏリング１５０３はチャンバー１５０６の壁１５１７に圧搾されている。
【１３７１】
図４０Ｃは、第二の縦位置で図４０Ａのピストンの長手断面を示す。ピストンロッド、壁１５１７を備えたチャンバー１５０６の中心軸１５１８  １５０７。その支持体は、１５０２が軸１５１０のまわりで回転したことを意味する。泡’１５０５が圧搾された。春１５０９’はより長く引かれた。Ｏリング１５０３はサイズの増加で、チャンバー１５０６の壁１５１７にまだ圧搾される。水平春１５１１’がともに圧搾されている一方、不浸透性のシート’１５０４は厚さで増加された。Ｏリング１５０３の中心を備えた車軸１５１０の中心を中心軸１５１８に結び付けているライン間の角度［ベータ。］。
【１３７２】
図４１Ａは、図４０Ａのピストン１５０１、および泡が備えていることがある中心軸＊と平行な［アルファ］−４３”の［ベータ］￣の断面の平面図を示す、補剛材（それらはピストンロッド（第一の縦位置からのチャンバー１５０６）に回転自在に固定されることがある）。チャンバー１５０６の壁１５１７。ピストンロッド１５０７。支持体の懸濁液１５０８は１５０２を意味する。車軸１５１０。支持体の引く春１５０９は１５０２を意味する。
【１３７３】
図４１Ｂは、支持体の懸濁液の詳細がＯリング１５０３の上で１５０２を意味し、嘘つきが、図４０Ａのピストン１５０１のうちの１５１１を跳ね返らせることを示す。支持体の終端での小さい曲げられた平坦表面１５１６は、１５０２を意味する。それはＯリング１５０３の上で硫黄で処理される。支持体の端１５１９は、１５０２がノッチ１５２１（それは水平位置する春１５１１のそのサイズおよび形に適合する）を有していることを意味する。１５１１−前記スプリングが支持体の終わりに、単に部分的に示される、位置するスプリングの境界１５２０は、１５０２を意味する。
【１３７４】
図４１Ｃは、第二の縦位置で図４０Ａのピストン１５０１を備えたチャンバー１５０６の断面を示す。支持体の懸濁液１５０８は１５０２を意味する。
【１３７５】
図４１Ｄは、スパイラルが１５０４−材料がそうである可撓な不浸透性のシートのうちの、１５２２、１５２３枚、１５２４をｒｅｉｎｆｏｒｍｃｅｍｅｎｔｓすることを示す、ｆｌｅｘｂｌｅ。これらのスパイラルは、チャンバー１５０６の中心軸１５１８のまわりで、ある距離上で、互いにほぼ同心的に引き付けられる。他の配列（たとえば小さい角度で互いに交差することがある強化材を備えた２つの層）は可能なことがあるが示されない。
【１３７６】
図４１Ｅは別の強化材配列をすなわち多かれ少なかれ弾力的に示す、チャンバー１５０６の中心軸１５１８のまわりで同心的に位置する強化材部材１５２５。
【１３７７】
支持体を備えているピストン１５３０の長手断面が意味する図４２  Ａショー、１５０２、Ｏリング１５０３、および可撓な不浸透性のシート、第一の縦位置のチャンバー１５０６の中心軸１５１８を備えた一定角度［ラムダ］で言及された最後１５３１．前記シート１５３１は、ピストンロッド１５０７上の（１５３２）を硫黄で処理されている。角度、１つの、中心軸１５１８と共に車軸１５１０の中心をＯリング１５０３の中心に結び付けているライン間に。可撓な不浸透性のシート１５３１は、チャンバー１５０６の中心軸１５１８を備えた角度［ガンマ］を有している。
【１３７８】
図４２Ｂは、ともに硫黄で処理されて、支持体の懸濁液の詳細が１５０７、Ｏリング１５０３および可撓な不透水層１５３１を意味することを示す。頂上層１５３３は強化材（図４１Ｄ−Ｅのものとしての）を備えていている。一方、下端層１５３４は強化材を有していない。Ｏリング１５０３の中心を備えた車軸１５１０の中心を中心軸１５１８に結び付けているライン間の角度β。
【数２２】
2014527601.tif 000024
【１３７９】
図４２Ｃは、第二の縦位置での図４２  Ａのピストン１５３０の長手断面を示す。可撓な不浸透性のシート１５３１とチャンバー１５０６の中心軸１５１８の間の角度［ｘｉ］。
【数２３】
2014527601.tif 000025
【１３８０】
［１９６５０の好適な実施の形態］
図５０は、前記ホルダー１２２４に補剛材１２０８、１２０９および１２１０にホルダー１２２４の平面図、および穴１２４０、１２４１および１２４２の３つの列の中の懸濁液をそれぞれそれぞれ示す。それぞれ小さい曲げられた端１２２０、１２２１および１２２２。次のことを注意してください、より長い、補剛材１２０８、１２０９および１２１０、それぞれ、より長い前記小さい曲げられた端１２２０、１２２１および１２２２、それぞれある、より長い、補剛材はそうである。ピストンロッドの穴１２４３（示されない）。中心軸１２４４。前記ピストン１２００の泡１２４５。
【１３８１】
図５１は、チャンバー１２０２および上面１２０３を備えたポンプ１２０１および示された絶対気圧に図５０構造のピストン１２００を示す、前記チャンバー１２０２の第一の縦位置１２０４。上面１２０５のうち、耐える１２０６（ピストンロッド１２０７はそれに移動している）がある。耐える１２０６は、前記上面１２０３に組み立てられる。力が圧力の内依存である場合、チャンバー１２０２はタイプである（１９６２０を参照）。前記ｓｈａｍｂｅｒ  １２０２の壁１２０７。すべての補剛材１２０８および１２１０（１２０９、打ち砕かれた）、それぞれ増加した直径１２１１、（１２１２）および１２１３の自由端をそれぞれ有している。不透水層１２１４（ピストン１２００の上面１２１６で、泡が加圧されていない側’１２０２でチャンバー１２０２の流体と通信することができる一方、それはピストンロッド１２０７をクランプ１２１５によって止められている）。補剛材１２０８、（１２０９）および１２１０、屈曲１２１７を有していること、（１２１８）、１２１９、ｒｅｐｅｃｔｉｖｅｌｙに、そして小さい曲げられた端１２２０、（１２２１）および１２２２、それぞれ。前記小さい曲げられた端１２２０、（１２２１）および１２２２、それぞれ調整部材１２２３によって押されることがある、それは、ホルダー１２２４（それはピストンロッド１２０７へのＯリング１２２７によって密閉される）内に回転することができる。前記調整部材１２２３は前記ホルダー１２２４において回転可能で、前記不透水層１２１４にｓｅａｌｉｎｇｌｙに接続される。ピストン１２００はピストンリング１２２５内に馬に乗ったホルダー１２２４によってピストンロッド１２０７上に組み立てられる、一方、ピストンリング１２２６にマウントされたクランプ１２１５。チャンバー１２０２の中心軸１２４３。
【１３８２】
図５２は、ｓｔｉｆｅｎｅｒ  １２０９の屈曲１２１８を示す。補剛材１２０９の増加した直径１２１２。チャンバー１２０２。端１２２１。
【１３８３】
［１９６５０−１の好適な実施の形態］
図５５Ａは高度なポンプの１つの〈ステファン数〉縦位置でピストン１３００を示す、前記ピストン１３００（それは磁力によってホルダー１３０８（それはピストンロッド１３０６に装着される）および前記泡１３０１のまわりの不透水層１３０５の磁気ホルダープレート１３０７に固定される）の加圧された側への方向に、ピストン１３００がピストンロッド１３０６のまわりの３つの円形列の中で位置した、金属製補強材ピン１３０２、１３０３、１３０４を備えた泡１３０１を備えていている。前記ホルダープレート１３０７はくぎづけになって、ホルダー１３０８に装着された、あるいは他の手段によって。前記ホルダー１３０８はピストンロッド１３０６の回りを回転することができるかもしれないし、前記ピストンロッド１３０６に２つのスプリングプレート１３１０および１３１１（それらはノッチ１３１２および１３１３年に入る）によって長手方向で前記ピストンロッド１３０６にそれぞれ固定される。前記ピンの金属が磁化されることがある。泡１３０１はすることがある、開放蓄電池で好ましくは作られていた、ＰＵ泡（この特許のａｐｌｉｃａｔｉｏｎの断面１９６５０で論じられたとともに）―前記開放蓄電池の通気は図５５Ｂで論じられている。ホルダー１３０８は、Ｏリング１３１８のためのグランド１３１７を有している。それは、ピストンロッド１３０６への前記ホルダー１３０８を密閉している。ピストン１３００の中心軸１３１９。不透水層１３０５は天然ゴム（ＮＲ）および生産サイズで作られていることがあり形づくることがある、サイズのそれである、またチャンバー（示されない）の２つの〈ｎｄ〉縦位置に位置した時、前記ピストン’１３００の外側に形づくる。すなわち、それは、ピストン’１３００が力によって、１つの〈ステファン数〉の方へｌｏｎｇｉｍｄｉｎａｌな位置を実行している場合、不透水層１３０５が拡大している、拡大、１３０１を泡立たせる。前記強化材ピン１３０２、１３０３、１３０４は、ＰＵ（示されない）の薄い層を有していることがある、それはそれをＰＵにする、前記ピン１３０２、１３０３、１３０４に対するよりよい支配を泡立たせる。この表面処理は、ＰＵ泡流体中の前記ピン１３０２、１３０３、１３０４をたとえば浸すことにより行われることがある。矢印１３３５は、ピストン１３００がピストンが関係のある（１３００、’）２つの〈ｎｄ〉縦位置の方へ走っている場合、泡がピストンロッド１３０６の方へどのように圧搾されているか示す。ピストン１３００の低圧側１３１５および大気１３１６。
【１３８４】
図５５Ｂは、前記ホルダー１３０８に装着されて、ホルダープレート１３０７の拡大長手断面Ｐ−Ｐを示す。前記ホルダー１３０８の中心軸１３２５。ホルダープレート１３０７は、金属粉を圧縮しそれをその後支持することにより磁性材料でたとえば作られている。ホルダー１３０８の上に、チャンネル１３２０を通って、中心軸１３２１（また図を５５Ｃ参照）を備えたチャンネル１３１４を放出している、前記加圧されていない側１３１５の近くの大気１３１６への前記ピストン１３００の加圧されていない側１３１５間の開放蓄電池内の流体の連絡を可能にするホルダープレート１３０７（図を５５Ｃ参照）。この構築も図５５Ｅ−Ｈで使用される（を含めて）。図５５Ｃは、ホルダー１３０８のホルダープレート１３０７の拡大を示す。前記ホルダープレートの下側は３つの列１３２６、１３２７、１３２８を備えていている、小さい、閉じた、端穴１３２９、１３３０、１３３１をそれぞれ丸める、その中で図５５Ａの金属ピン１３０２、１３０３、１３０４の端は、ホールドであるということである。前記端は丸くなられることがある、その結果これらの適当なよい方、前記端穴１３２９、１３３０、１３３１にそれぞれ。前記端穴の丸めおよび側、の」ログ」穴半径は、前記ピン１３０２、１３０３および１３０４の直径よりもわずかにそれぞれ（この図面の中で示されない）大きい―可能にする、ピン１３０２、１３０３、１３０４はホルダー１３０８に中心軸を備えていている平面で回転する。中心、端穴を丸める、置く、平面垂直においてすべて、ホルダー１３０８の中心軸。前記端穴１３２９、１３３０および１３３１の左側は、それぞれのピン１３０２、１３０３および１３０４の上面をそれぞれガイドするためには各穴の右側ほど深くない、に、それぞれ前記端穴１３２９、１３３０および１３３１の側を丸める。ホルダー１３０８とホルダープレート１３０７の間で、ホルダープレート１３０７がたとえば固定される場合、ホルダー１３０８（それは不透水層１３０５がホルダー１３０８とホルダープレート１３０７の間で圧搾されることを可能にする）の小さい円形ｒｅｃｅｓ  １３３２人である、ホルダー１３０８へのスクリュー（示されない）。
【１３８５】
図と５５Ｄは、不透水層１３０５の改良に圧搾することのための、前記ｒｅｃｅｓ  １３３２に突起１３３３の拡大を示している（示されない）。この構築も、図５５Ｅおよび図５５Ｇの実施形態の中で使用される、図５５Ｆおよび５５Ｈで示されて拡大した。（それぞれ）
図５５Ｅは、図５５Ａ−Ｄの中で示されるものの代替解決策を示す。新しい強化材、およびホルダー１３５９へのピストン１３５０（示されない）の泡１３５１（示されない）の締結固定は、図の中で詳細に５５Ｆ示された。前記ピストン１３５０は高度なポンプの１つの〈ステファン数〉縦位置に位置する。出るチャンネル１３１４は、図５５Ｂおよび５５Ｃに説明されたものでｉｎｄｅｎｔｉｃａｌである。
【１３８６】
図５５Ｆは、ホルダープレート１３５８およびホルダー１３５９の拡大を示す。前記ピストン１３５０は、前記泡の強化材として、プラスチックピン１３５２、１３５３および１３５４をそれぞれ好ましくは備えていている、同じ材料で作られていた、として、泡好ましくは図に説明されるようなＰＵ、５５Ａどれ、回転自在にそれらの球体で固定される、球体キャビティ１３６０、１３６１および１３６２への形状の端１３５５、１３５６および１３５７、それぞれ、前記ホルダープレート１３５８（それはホルダー１３５９に装着される）に、図５５Ａの説明で論じられるように、言及された最後はピストンロッド１３０６に装着される。前記ホルダープレート１３５８は、前記ピン１３５２、１３５３および１３５４のガイドのための開口１３６３、１３６４および１３６５を付加的にさらにそれぞれ備えていている（それぞれ）。前記ピン１３５２、１３５３および１３５４は不同の厚さを有していることがある、ために、よりよいホールドは泡を言った。最適化された配列は、厚さ目違いが球体から第１に少しさらに遠く始まるということであることがある、形状の端１３５５、１３５６および１３５７、よりも、図面の中で示された、ように、前記球体の近くの前記ピン１３５２と１３５３および１３５４の間の泡を圧搾する、形状の端、あまりに、前記ピン１３５２、１３５３および１３５４が左回りに回転し、ピストン１３００が第二の縦位置へ走っている場合、互いの近くで来る場合。ホルダー１３５９とホルダープレート１３５８の間の不透水層１３０５の締結固定の説明については、図５５Ｃおよび５５Ｄを参照してください。
【１３８７】
図５５Ｇは、ホルダー１３６５、強化材ピン１３６６、１３６７および１３６８と図の中で５５Ｅおよび５５Ｆ示されるものの代替解決策を示す。
【１３８８】
Ｆｉｇ．５６Ｈは、ホルダープレート１３６９、および柔軟性材料で作られている円板１３７０を備えていている、前記ホルダー１３６５の拡大を示す。（１３７３−ない）強化材ピン１３６６、１３６７および１３６８は、例外を除いて、図の中で５６Ｅおよび５６Ｆ示されるピンで類似している、ピン１３６６および１３６７（そして恐らくまた、１３６８−しかしここに示されなかった）は、各々を備えていている、球体端１３５５と１３５６（また１３５７）に各々接続されるピン１３７１と１３７２（そして示されていなかった）。前記ピン１３７２および１３７２は弾性円盤１３７０の中に突き刺さっており、ピストンが１つの〈ステファン数〉縦位置へ走っている場合、自動的に時計回りになるためにピン１３５２、１３５３および１３５４を作る。
【１３８９】
［１９６６０の好適な実施の形態］
図６０はストロークの最初および終わりに、チャンバー１４０１（それは中心軸１４０２を有している）に、拡大したコンテナータイプピストン１４００を示す。ピストンロッド上の力がほぼさらにストロークに耐えているところで、チャンバーはタイプである。第二の縦位置でのピストンの形はそれである、１つの」スタートすること」ｅｌｌｉｐｓｏ〈’形がほぼシリンダーである場合、ノナから加圧された後のキタノウグイ１４０３はプロダクションモデルを強調した〉のように、形状（図６１および６２を参照）。第一の縦位置の近くのピストンの形は最終のｅｌｌｉｐｓｏ’ｉｄｅ  １４０４である。それはほとんど球体１４０５（打ち砕かれた）である。中間にピストン１４００を有している、ｅｌｌｉｐｓｏの形〈’キタノウグイ〉。第一の縦位置の球体の代わりにｅｌｌｉｐｓｏｉｄｅの詳細は、球体のこれらと同一である。
【１３９０】
図６１は無強勢の生成されたコンテナータイプピストン１４００を示す、どれ、強調された、ｅｌｌｉｐｓｏの形を有していることがある〈’キタノウグイ〉または球体。図の底に、可動非ものは０のリング（示されない）のためのグランド１４２１で、１４２０を覆う。それはピストンロッド（示されない）上で締まる。穴１４３２を通って、多かれ少なかれＯリング（示されない）（それはピストンロッド（示されない）のボトムをロックするボルト（示されない）上のピストン１４００のボトムを締める）のためのグランドである凹部１４２２。図の上に、可動キャップ１４２３、どれが可動か、ピストンロッド（示されない）上で。Ｏリング（示されない）（それはピストンをｓａｕｄピストン１４００の上面においてきつくする）のためのグランド１４２４。凹部１４２５および１４２６をそれぞれ有している両方のキャップ１４２０および１４２３（それは前記キャブ１４２０および１４２３上のコンテナーピストン１４００の可撓な壁１４２７をそれぞれ硫黄で処理するために使用される）。前記壁１４２７は２層を備えた図の中で示される：強化された層１４２８、および強化されたもののためのカバー１４２９として機能する層は、１４２８を層にする。破線は、他の層１４２８および１４２９の上に、可能な第三の層１４３０および１４３１をそれぞれ示す、前記ところでそれは位置で単に存在する、２つの層１４２８および１４２９、それぞれキャブ１４２０および１４２３で硫黄で処理された。中心軸１４３３。ピストン１４００の壁１４２７は、中心軸１４３３とほぼ平行である。強化材ｓｔｒｅｎｇｓ  １４４０は並列のパターン（中心軸１４３３と平行）にある。２層がある場合強化材パターン１４４１。
【１３９１】
図６１は、図６１に両方のキャブ１４２０および１４２３をそれぞれ示す。外側側で、丸められた、可撓な壁１４２７から前記キャブ１４２０および１４２３の部分１４２５および１４２６上で硫黄で処理された、前記壁１４２７の部分まで１４３４と１４３５をそれぞれそれぞれ移行する。可撓な壁１４２７の内側側面では、ちょうど前記可撓な壁１４２７が前記キャブ１４２０および１４２３のその部分１４２５および１４２６に遭遇する前に、それぞれある、１つの、丸められた、１４３６と１４３７を移行する。ピストンがインフレーションによって強調されている場合、これらの遷移１４３６および１４３７は壁の安定した遷移を提供する。
【１３９２】
［１９６６０−２の好適な実施の形態］
図６３は、アクチュエータピストン（示されない）の壁および異なることから異なる断面積を備えたチャンバー２２７６の壁２２７５まで力または等しい円周および中心軸２２７７を有していることを示す。アクチュエータピストン（どうぞ示されない、Ｆｉｇ．６４Ａを見る）の壁の膨張力への壁２２７５に垂直な反力２２７８。圧延中のアクチュエータピストンからの、および明確には摩擦推力２２８１、チャンバーの壁２２７５の上に前記アクチュエータピストン（どうぞ示されない、図６４Ａを見る）の壁を滑る場合。アクチュエータピストン（どうぞ示されない、図６４Ａを見る）の壁のチャンバー２２７６の壁２２７５の反力２２７９。前記チャンバー２２７６の壁２２７５に沿って前記ことのコンポーネント２２８０。前記コンポーネント２２８０は示された、より大きな、摩擦推力２２８１。角度、１つの、チャンバー２２７６の壁２２７５と前記チャンバー２２７６の中心軸２２７７の間で。
【１３９３】
図６４Ａは、長手中心軸２２８７（それに前記チャンバー２２８６の壁２２８７は中心軸２２８８を備えた角度［ベータ］を有していて、２０の［度］角度で引かれる）を備えたチャンバー２２８６にｅｌｌｉｐｓｏｉｄｅタイプアクチュエータピストン２２８５を示す。前記アクチュエータピストン２２８５の壁２２８９は、前記チャンバー２２８７の壁２２８７に愛想よく接続される。
【１３９４】
図６４Ｂは、長手中心軸２２９２（それに前記チャンバー２２９１の壁２２９３は中心軸２２９２を備えた角度［ガンマ］を有していて、１０の［度］に引かれる）を備えたチャンバー２２９１にｅｌｌｉｐｓｏｉｄｅタイプアクチュエータピストン２２９０を示す。前記アクチュエータピストン２２９０の壁２２９５は、前記チャンバー２２９１の壁２２９３に愛想よく接続される。前記アクチュエータピストン２２９０は、前記チャンバー２２９１の３つの位置２２９６、２２９７および２２９８に示される、それを証拠づけること、前記角度を使用することは可能である、の中で、１つの、たとえば、前記現在のガソリンモーターとしての比較可能なディメンションに、８６．４ｍｍ（ゴルフ・マークＩＩの１５９５ｃｃのガソリンモーターとしての）のストローク長を有しているこの発明を与える自動車用エンジン。
【１３９５】
［１９６８０−２の好適な実施の形態］
図８０Ａは、断面１９６２０（しかしながら、他のチャンバー配列も使用されてもよい）によるポンプのチャンバー２１０１を示す、中心軸２１０２で、また前記チャンバー２１０１の壁２１０３、断面１９６６０による、ピストン’２１０４、２１０４および２１０４”で、たとえば膨張式のことがある、３つの異なる縦位置（１つの〈ステファン数〉、中間および２〈ｎｄ〉（被控訴人））上で、前記ピストン２１０４の壁２１０５は断面がどれかに、別部品２１０６を備えていている、円セグメント、形状、それは傾斜にその位置を適応させる、１つの、前記チャンバー２１０１の壁２１０３および中心線２１０２の。
【１３９６】
図８０Ｂは示す、１つの、前記ピストン２１０４が第一の縦位置（個別の壁壁部品２１０６の表面２１０８が回転し滑ることができるとその上に最後に言及された表面２１０９は言った）にある場合、チャンバー２１０１の壁２１０３の接触面２１０７の詳細、およびピストン２１０４の壁２１０５のうちの２１０８をそれぞれ率に応じて拡大する（５：１）。前記接触面２１０７および２１０８、それぞれｓｅａｌｉｎｇｌｙにチャンバー２１０１の壁２１０３および前述のピストンウォール２１０５の傾斜壁部品２１０９に接続される、傾斜壁部品２１０９が隣接したピストンウォール２１０５（前記チャンバー２１０１の壁２１０３に最も接近している）よりも小さい最小の円周を有している。明白に、前記ピストン２１０４の表面２１０５がチャンバー２１０１の壁２１０３から明らかなことを示される。前記チャンバー２１０１の壁２１０３を備えた前記個別の壁部品２１０６の接触面２１０７は、部分２表面２１１０および２１１１を備えていている。それは、前記チャンバー（それは、中心軸２１０２を備えたチャンバー壁２１０３の角度ｆを有していて、壁２１０３の接触面２１０８で前記チャンバー２１０１の壁２１０３にきつく圧搾される）の壁を備えた角度ｂおよび角度ｃを有している。ピストン２１０４の円周がより大きくなっている場合、前記ピストン２１０４の壁２１０５の残りが緊張の中であり、それによって、そのオリジナル（図８０Ｆ）位置から撤回する間、個別の壁部品２１０６は前記チャンバー２１０１の壁２１０３の方へ圧搾されることがある。前記ピストン２１０４の横断線中心線２１１５。個別の壁部品（中間、２１１６、）個別の壁部品２１０６の接点および前記ピストン２１０４の壁２１０５の２１０６を介しての中心線２１１４。前記横断線中心線２１１４とライン垂直の間の角度ｄ、前記チャンバー２１０１の中心軸２１０２。
【１３９７】
接触面２１２７、前記ピストン２１０４の壁を備えた前記個別の壁部品２１０６の長手断面の円部分の加硫によってたとえば、前記個別の壁部品２１０６のその横断線中心線２１１４の近くの前記円セグメントの単に一部であることがある．．もっと曲げることができるより、隣接した壁２１０５はする、それは可能にする、個別の壁部品は壁２１０５から突き出続けておりそのために配し続けていることに言った、前記ピストン’２１０４と２１０４、２１０４”の隣接した壁２１０５を備えた前記チャンバー２１０１の壁２１０３を備えたクリアランス。これは、またそれぞれ図８０Ｈの中で示される個別の壁部品２１２３のための場合、図８４Ｂおよび８４Ｆのトロイド２２０７、２２４４であることがある。ピストン２１０４が前記ピストンが２つの〈ｎｄ〉ｌｏｎｇｉｔｉｕｄｉｎａｌ位置上にある場合よりも１つの〈ステファン数〉縦位置上にある時、前記個別の壁部品２１０６の円周はまたはるかに大きくなる。
【１３９８】
ピストンが直ちに縦位置である場合、図８０Ｃは個別の壁部品２１０６を示す。ここに、前記ピストン’２１０４の壁２１０５がまだある、チャンバー２１０１の壁２１０３から明瞭、しかし未満で、の場合には、ピストン’２１０４が第一の縦位置（図８０Ｂ）にある場合。横断線中心線２１１４とライン垂直の間の角度ｅ、前記チャンバー２１０１の中心軸２１０２。前記ピストン’２１０４の横断線中心線２１１５。
【１３９９】
図８０Ｄは、断面がピストン２１０４が直ちに前記壁２１０５の円周内の縦位置その位置である時、前記ピストンの壁２１０５に２１０４”形づくられた円セグメントである個別の壁部品２１０６を示す、その壁（示されない）２１０３が前記チャンバー２１０１の中心軸２１０２とほぼ平行なところで、チャンバー２１０１の２つの〈ｎｄ〉縦位置のその部分にピストン２１０４があることを可能にする。
【１４００】
図８０Ｅは、代替球体に図８０Ａ−Ｃで示されるその形状の個別の壁部品２１１２を示す。その利点はそうであることがある、図８０Ａ−Ｃの個別の壁部品２１０６の円セグメント形状の場合にはよりも、それはそこで前記ピストン２１０４”および前記チャンバー２１０１の壁（示されない）２１０３の個別の壁部品２１１２間の比較的より多くのクリアランスであることがある。個別の壁部品２１１２の横断線中心線２１１７。
【１４０１】
図８０Ｆは代替半円を示す、中心線２１１４を備えた個別の壁部品２１１３に形づくる、それは、図８０Ａ−Ｃで示される前記ピストンの横断線中心線２１１５と同一である。作製されるように、前記ピストン２１０４”が直ちに縦位置である場合、前記個別の壁部品は断面１９６６０による（率に応じて拡大された）ピストン上で硫黄で処理された。
【１４０２】
個別の壁部品２１１３の横断線中心線２１２０が前記ピストンの可撓な壁の経度の中間点を通ってライン２１２１の下で２１０４”位置する場合、図８０Ｇは図の実施形態の改良版を８０Ｆ示す、したがって、円錐形のチャンバー（ここで最も小さい断面積が第二の縦位置にある）を備えた適切なコンタクト域をすなわち保証するために、最も近い、前記ピストン２１０４”の部品、最も近い、２つの〈ｎｄ〉縦位置．．他のチャンバー配列は、前記個別の壁部品２１１３およびその横断線中心線２１２０の別のポジショニングを与えることがある。
【１４０３】
図８０Ｈは第一の縦位置でより長いピストン２１２６（図８０Ｇの中で示されるものよりも）を示す。ここでピストン２１２６は膨張した。個別の壁部品２１２３の中心線２１２２は、前記ピストン２１２６の可撓な壁２１２５の経度の中間点を通って横断線中心線２１２４の下で位置する、したがって、チャンバー（示されない）を備えた適切なコンタクト域を保証するために他のチャンバー配列は、前記個別の壁部品の別のポジショニングに前記ピストン２１２６の壁２１２５の２１０６を与えることがある。
【１４０４】
図８０１と８０Ｊ、作製される（したがって第二の縦位置で）ように、その横断線中心線２１３１で減少した円周を有しているピストン２１３０を示す。個別の壁部品２１３３の中心線２１３２、として作製された。明確には前記ピストンが図８０Ｉに示されるようにチャンバーのｅｘｔｒｉｍｉｔｅ  ２〈ｎｄ〉縦位置２１３７から移動している場合、これはチャンバー２１３６の壁２１３４に、個別の壁部品２１３３よりも前記ピストン２１３０の壁２１３４の他の部品の接触のよりよい回避を可能にする。（特許出願しかしながら、この断面１９６２０を与えて、他のチャンバー配列も使用されてもよい。）、１つの〈ステファン数〉縦位置２１３９の方向に、チャンバー２１３６の壁２１３４が平行ではなくなるべき前記チャンバー２１３６の中心軸２１３８と平行なことから変わっている場合。前記ピストン２１３０の長手中心線２１３５。
【１４０５】
図８１Ａは、断面１９６２０（しかしながら、他のチャンバー配列も使用されてもよい）によるポンプのチャンバー２１０１を示す、図６１による断面１９６６０による拡大したピストン２１４０と共に、中心軸２１０２および前記チャンバー２１０１の壁２１０３でたとえば、どれが膨張式のことがあるか、３つの異なる縦位置’２１４０、２１４０および２１４０”上で、前記ピストン’２１４０と２１４０の壁２１４１、２１４０”が１つ以上をたとえば備えていている、２つの別個の壁部品２１４２および２１４３、それに長手断面はそれぞれ円である、形状で裂ける、どれ、平行にその位置を適応させる―（ｅｘｔｒｅｍｉｔｅ  ２〈ｎｄ〉縦位置）、凹状、そして（１つの〈ステファン数〉縦位置にｅｘｔｒｅｍｉｔｅ  ２〈ｎｄ〉縦位置から位置へ移行する）凸状壁（１つの〈ステファン数〉縦位置への前記遷移からの）、前記チャンバー２１０１の壁２１０３にそれぞれ。
【１４０６】
図８１Ｂは示す、個別の壁部品２１４２および２１４３のための接触面／２１４５  ２１４４および２１４６／２１４７をそれぞれ拡大した、どれ、ｓｅａｌｉｎｇｌｙに１つの〈ステファン数〉縦位置のチャンバー２１０１の壁２１０３に接続される、そして前述のピストンウォール２１４１に斜軸形の部分２１４８および２１４９にそれぞれ、傾けられた部分２１４８および２１４９が隣接したピストンウォール（それらは前記チャンバー２１０１の壁２１０３に最も接近して位置する）よりも小さいｒｎｉｎｉｍｕｍ円周を有している。個別の壁部品２１４２および２１４３はそれを回避するために互いからある距離ｇに位置する、前記ピストン２１４０の壁２１４１は、前記チャンバー２１０１の壁２１０３でｓｅａｌｉｎｇｌｙに係合するおよび／またはに係合している。チャンバー２１０１の壁２１０３の傾斜ｅへの依存、第二の縦位置へ最も接近して位置した個別の壁部品２１４２よりも前記ピストン２１４１の横断線中心線２１３０に近い第一の縦位置へ最も接近して位置した個別の壁部品２１４３である。個別の壁部品の位置はすることがある、上記と異なる、言及された、またそれを回避するようにピストンの連続的湾曲壁を回避するべきゴールと共に、ピストン’２１４０と２１４０の形、およびチャンバー２１０１の壁２１０３の斜面に依存する、ピストン’２１４０と２１４０は、チャンバー２１０１の表面２１０３を転がすことができる。
【１４０７】
図８１Ｃは示す、１つの、前記ピストン２１２１が第一と第二の縦位置の間で位置する場合、前記接触面の詳細を率に応じて拡大する。またここでそこで前記ピストン’２１４０の壁２１３６と前記チャンバー２１０１の壁２１０３の間の接触でない。
【１４０８】
次のことを言ってください、ライン垂直間の角度、前記チャンバーの壁２１０３、前記チャンバー２１０１の傾斜壁２１０３別部品で前記ことの中心軸２１３７および２１３８は言われている、同一でない角度、そして図８つの１Ｂのものよりも大きな
図８１Ｄショーはピストンを言った（１２．５：１を率に応じて拡大した）。作製されるように、それはｅｘｔｒｅｍｉｔｅの第二の縦位置で位置する。それが図８０Ｄにあるので、だろう、個別の壁部品２１４２および２１４３を備えているピストン２１４０”その壁２１０３（示されない）が前記チャンバー２１０１（示されない）の中心軸２１０２と平行なところで、前記チャンバー２１０１（示されない）にそこにある。矢印は、ピストンの横断線中心線２１３０を２１４０”示す。
【１４０９】
図８２Ａは、長手センターライン２１０２を備えた断面１９６２０（しかしながら、他のチャンバー配列も使用されてもよい）によるポンプのチャンバー２１０１を示す、ピストン２１４５は膨張式のことがあるピストン２１４５で、２１４５’および２１４５”は３つの異なる縦位置に示される。それぞれ、ピストンウォール２１４６は、第一の縦位置に近い部分２１４７が最も大きな円周を有していているところで、横断線平面で異なる円周を有していて、２部２１４７および２１４８をそれぞれ備えていている、そして、チャンバー２１０１の壁２１０３とピストンウォール２１４６の間でコンタクト域の２１４９’、２１４９および２１４９”をそれぞれ備えていている。前記コンタクト域のサイズは３つの縦位置の各々で異なることがある。
【１４１０】
図８２Ｂは示す、１つの、前記ピストン２１４５が第一の縦位置にある場合、前記コンタクト域２１４９の詳細を率に応じて拡大する（５；１）。２つのピストンウォール部分２１４７および２１４８。ピストンウォール部品２１４７は外板部品２１５０（それはちょうどコンタクト域２１４９の下で終了している）を備えていている、で、１つの、踏まれた、部品２１４８を囲むために壁部品２１４７からの壁２１４６のうちの２１９９を移行する、ここで、ピストンウォール部品２１４７、最も近い、１つの〈ステファン数〉縦位置はチャンバー２１０１の壁２１０３に接近している、壁部品２１４８、それは最も近い、２つの〈ｎｄ〉縦位置。前記スキン部分２１５０の下で、必要に応じて別のスキン部分２１５１（好ましくは層）であることがある、強化材層。このスキン部分２１５１は、全体のピストンウォール２１４６の中に好ましくはある。ほぼ（オーバーラップは望ましい）そこに、ここで、ピストンウォール部分２１４７端の外板部分２１５０は、内側スキン部分２１５２を始める。それはピストンウォール部分２１４８の一部で、は外板部分２１５１の後ろに位置する。前記ピストンの内容は流体、流体の混合物または泡であることがある（示されない）。前記ピストン２１４５の壁２１４６および前記チャンバー２１０１の壁２１０３のスキン部品２１４８間に接触はない。前記ピストン２１４５（それは踏まれたものが部品２１４８を囲むために壁部品２１４７からの壁２１４６のうちの２１９９を移行するよりも第一の縦位置に近い）の横断線中心線２１５３。
【１４１１】
図８２Ｃは示す、１つの、前記ピストン’２１４５が第一と第二の縦位置の間で位置する場合、前記コンタクト域’２１４９の詳細を率に応じて拡大する。またここでそこで前記ピストン’２１４５の壁部品’２１４８のスキン部分２１５１と前記チャンバー２１０１の壁２１０３の間の接触でない。示された、それである、前記チャンバー２１０１の壁２１０３が異なることがある壁部分２１４７’ｗｉｔのコンタクト域’２１４９、図８２Ｂのコンタクト域２１４９。前記ピストン’２１４５の横断線中心線’２１５３。この中心線’２１５３は、踏まれて言った１つの〈ステファン数〉縦位置に接近して位置することがある、部品２１４８を囲むために壁部品２１４７からの壁２１４６のうちの２１９９を移行する。
【１４１２】
図８２Ｄショーはピストン２１４５”を言った（１２．５：１を率に応じて拡大した）どれの、前記ピストン２１４５”の壁２１４６、それは位置される、１つの、第二、縦位置チャンバーは示されない。壁部品２１４７は直径ｚを有している。その一方で壁部品２１４８は壁部品ｚ−ｚｉを有していている（ｚ＾Ｏ）ピストン２１４５”の横断線中心線２１５３”。２つの〈ｎｄ〉縦位置およびピストンロッド２１５１で作製されるように、図８３Ａは図８２Ａ−Ｄ（を含めた）のピストン２１２１を示す。
【１４１３】
図８３Ｂは、１つの〈ステファン数〉縦位置で図８３Ａのピストン２１２１を示す。ここで前記ピストン２１２１はそのピストンロッド２１５１  ２１５２−を介して膨張した矢印であるということである。
【１４１４】
図、８３Ｃは、クランプ２１５５によって、１つの〈ステファン数〉縦位置（可動キャブ２１５４の地位がピストンロッド２１５１上で確保された後、ここで、前記ピストン２１２１はそのピストンロッド２１５１  ２１５３−を介して空気を抜かれた矢印であるということである）で図８３Ｂのピストン２１２１を示す。前記ピストン２１２１のキャビティ（示されない）（２１５６）が取り囲まれたスペース（２１５９）２１５７−を介して充填された矢印であるということである場合、図８３Ｄは１つの〈ステファン数〉縦位置で図のピストン２１２１を８３Ｃ示す、泡（示されない）（２１５８）を備えたそのピストンロッド２１５１。この泡は、好ましくはメモリＰＵ泡式（この特許出願の断面１９６４０を参照）の混合物、および泡式これがそうである標準ＰＵとして、ＰＵ泡（Ｐｏｌｙｕｒｅｔｈａｎ）であることがある、開放蓄電池構造体とのよい圧縮可能な泡。
【１４１５】
図、８３Ｅは、１つの〈ステファン数〉縦位置で図８３Ｄのピストン２１２１を示す。前記クランプ２１５５が削除された後、ここで前記ピストン２１２１のキャビティ（示されない）（２１５６）は前記泡（示されない）（２１５８）で充填された。それは、多くの力なしで、１つの〈ステファン数〉縦位置から２つの〈ｎｄ〉縦位置に前記ピストン２１２１を含めた前記ピストンロッド２１５１を移動させることにより、今前記ピストン２１２１の壁２１４６をたとえば圧縮することができる。
【１４１６】
適切なシール力および／またはを達成するために前記泡の開放蓄電池を介して、ガス状媒体などの圧縮流体を追加することが必要なことがある、前記ピストンのための適切な圧縮力。
【１４１７】
８３Ｆがピストン２１２１を言ったことを示す図”で、挿入された、また前記ピストン２１２１の取り囲まれたスペース（２１５９）（示されない）＋キャビティ（２１５６）（示されない）のための、今図８３Ｄおよびそのピストンロッド２１５１の泡（示されない）（２１５８）、およびＷ０２１０９／０８３２７４の図３Ｂを与える結合した圧力センサー２１６０およびインフレーションバルブ２１６１を圧縮した。」その取り囲まれたスペース（示されない）（２１５９）が一定容積量（Ｗ０２１１０／０９４３１７）を必要に応じて有しているところで、前記ピストンロッド２１５１は好ましくはタイプであることがある、ＷＯ  ２１００／０７０２２７による可変ボリュームを備えたタイプ。
【１４１８】
図８３Ｇは、図の結合したセンサーインフレーションバルブ配列の拡大を８３Ｆ示す。ピストンロッド２１５１の密閉空間２１５９のための入口２１９６を備えたインフレーションバルブ２１６１。Ｗ０２１１１／０００５７８による、圧力センサー２１６０およびその出口２１９５の入口２１９４。
【１４１９】
図８３Ｈは示す、ピストンは言った、図８３Ｄおよびそのピストンロッド２１５１の挿入された泡（示されない）（２１５８）、および前記ピストン２１２１の取り囲まれたスペース（２１５９）（示されない）＋キャビティ（２１５６）（示されない）のための、Ｗ０２１１１／０００５７８の図５を与える結合した圧力センサー２１６２およびインフレーションバルブ２１６１を備えた２１２１”。」その取り囲まれたスペース（示されない）（２１５９）が一定容積量（Ｗ０２１１０／０９４３１７）を必要に応じて有しているところで、前記ピストンロッド２１５１は好ましくはタイプであることがある、ＷＯ  ２１００／０７０２２７による可変ボリュームを備えたタイプ。図８３１は、図８３Ｈの結合したセンサーインフレーションバルブ配列の拡大を示す。ピストンロッド２１５１の密閉空間２１５９のための入口２１９６を備えたインフレーションバルブ２１６１。Ｗ０２１１１／０００５７８による、圧力センサー２１６２およびその出口２１９７の入口２１９４。
【１４２０】
図、８３Ｊは示す、ピストンは言った、図８３Ｄおよびそのピストンロッド２１５１の挿入された泡（示されない）（２１５８）、および前記ピストン２１２１の取り囲まれたスペース（２１６３）（示されない）＋キャビティ（２１５６）（否定示される）のための、Ｗ０２１１１／０００５７８の図９を与える結合した圧力センサー２１６４およびインフレーションバルブ２１６５を備えた２１２１”。」その取り囲まれたスペース（示されない）（２１６３）が一定容積量（Ｗ０２１１０／０９４３１７）を必要に応じて有しているところで、前記ピストンロッド２１５１は好ましくはタイプであることがある、ＷＯ  ２１００／０７０２２７による可変ボリュームを備えたタイプ。
【１４２１】
図８３Ｋは、図の結合したセンサーインフレーションバルブ配列の拡大を８３Ｊ示す。ピストンロッド２１５１の密閉空間２１６３のための入口２１９８を備えたインフレーションバルブ２１６５。Ｗ０２１１１／０００５７８による、圧力センサー２１６４およびその出口２１９９の入口２１９４。
【１４２２】
前記ＰＵ泡のその不履行サイズへの膨張、図８３Ｄに引用された、前記ピストンの前記壁２１４６を上へ２１２１−ａ春２１６６を吹くために、それは引いている、可動キャブ２１５４は固定キャブ２１６７の方へ言った、前記膨張のための力を追加している。前記春２１６６は前記ピストンロッド２１５１上に位置し前記可動キャブ２１５４および定点２１６８に付けられている。それは前記ピストンロッド２１５１の構築２１６８に位置する。
【１４２３】
その問題を解決するために、膨張したｅｌｌｉｐｓｏのボリューム〈’ｆｄｅは、小さい密閉空間（たとえばピストンロッドのそれ）のボリュームよりもはるかに大きい〉、膨張したボリュームは、膨張式のｔｏｒｏｉに実質的にたとえば低減された「〉ｄ、ピストンの壁の膨張がそうだった間、残る。これは、ピストンがサイズで低下することを可能にして、膨張したピストンが１つの〈ステファン数〉縦位置から２つの〈ｎｄ〉縦位置へ押される場合、内圧の上昇が小さいことを意味する（妨害なしで）。
【１４２４】
図８４  Ａショー、中心軸２１７１を有している１つの〈ステファン数〉縦位置（示されないチャンバー）でのｅｌｌｉｐｓｏｉｄｅの形状のタイプのピストン２１７０およびピストンロッド２１７２、固定キャブ２１７３および可動キャブ２１７４（それに硫黄で処理することにより、前記ピストン２１７０の両方の弾力的に可撓な壁２１７５はたとえば装着された）は、壁２１７５が強化材層２１７６を有している。前記ピストン２１７０は、図８２Ａ−Ｄの中で示され論じられたタイプの壁を有している（ｉｎｃｌ）。前記壁２１７５はそうである、内部を上に有している、Ｕ字型の跳躍２１７７（膨張式のトロイド２１７８はその中で位置する）（それは強化材２１８０を備えた壁２１７９を有している）、その結果、前記トロイド２１７８のｃｉｒｃｕｍｆｅｒｅｎｃｉａｌなサイズは増加される、１つの、圧力の内側のより高い、その外側断面直径ｄのｗｈｉｔｈｏｕｔ変更、また下側圧力によって減少した。これは、前記ピストン２１７０がチャンバー（示されない）の２つの〈ｎｄ〉縦位置にある場合、前記ピストン２１７０の壁’２１７５が中心軸２１７１とほぼ平行であることを意味し、トロイド’２１７８が位置した隣接した前記壁２１７５で前記トロイド’２１７８にスペースを与えることのための、ピストンロッド２１７２（それは圧縮２１８１を有している）を言った、。前記ピストン２１７０が１つの〈ステファン数〉にある場合、前記トロイド２１７８の壁２１７９はそれよりも多くのティッカーである、ｌｏｇｉｔｕｄｉｎａｌな位置、強化材２１８０を有していること、どれ、５４の［度］４４’を超える角度を有していることフレキシブルホース２１８２は、前記ピストンロッド２１７２の密閉空間２１８３と、および前記トロイド２１７８内のチャンネル２１８４と通信する、前記チャンネル２１８２のもう１つの端に通信するそのチャンネル２１９０を通ってある。前記ピストンが１つの〈ステファン数〉と２つの〈ｎｄ〉縦位置の間に移動している場合、Ｕ字型の跳躍２１７７は前記トロイド２１７８をガイドしている。ために、下側、力、ピストン２１７０が２〈ｎｄ〉から１つの〈ステファン数〉縦位置へ移動している場合、前記ピストン２１７０の壁２１７５の膨張に必要である、１つの、引くこと、２１８５を跳ね返らせる、前記ピストンロッド２１７２上にｐｏｓｔｉｏｎｅｄされ、前記動いているキャブ２１７４、およびピストンロッド２１７２の前記圧縮２１８１に固定されるフック２１８６に付けられている。前記ピストン２１７０がチャンバーの２つの〈ｎｄ〉縦位置にある場合、前記トロイド’２１７８の内側のチャンネル’２１８４の小さい直径を観察してください。そのチャンネル２１９０を備えたフレキシブルホース２１８２の断面。前記チャンネル２１９０は、密閉空間２１８３と通信する１つの終わり、およびチャンネル’２１８４および２１８４と通信するもう１つの端にある。前記ピストン２１７０の壁２１７５の高圧側２１８７は、前記ピストン２１７０の壁２１７５−２１８７の内部２１９２の内に泡２１９３（たとえばこの特許出願の断面１９６３０に示され、泡ピストンの中で使用される種類のＰＵ泡）に支持される。ので、２１９３を泡���たせてください、開放蓄電池を有している、それは、密閉空間２１８３（示されない）または好ましくは低圧側２１８８（ない、示されたあるいは図８４Ｂに言及する）のいずれかと必要に応じて通信している、前記ピストン（示されない）の高圧側２１９１。前記トロイド’２１７８と２１７８は、前記ピストン２１７０の横断線中心軸２１９５と一体化している中心軸２１９４を有していて、最適なｅｌｌｉｐｓｏｉｄｅの形状の壁２１７５を獲得するために示される。前記ピストンロッド２１７２の高圧終わりに、圧力センサーである、どれが図８３Ｈ／私で論じられたか示された。
【１４２５】
ピストン２２００の壁２２０２の内の２２０１の内側の全体が、前記ＰＵを備えていているところで、図８４Ｂは、ｅｌｌｉｐｓｏｉｄｅの形状のタイプ（それは図８４Ａのピストン２１７０の改良で単純化されたバージョンである）のピストン２２００を示す、図８４Ａで論じられて、２２０３を泡立たせる。壁の内側の、前記ピストン２２００のうちの２２０２は、前記壁２２０２にｔｈの上での内側のマウントされた（たとえば加硫によって）チャンネル２２０５である。前記チャンネル２２０５は１つの終わり、およびもう１つの端でトロイド２２０７のチャンネル２２０６と通信している、ピストンロッド２２０９中の前記ピストン２２００の密閉空間２２０８。泡２２０３は通信している、で、チャンネル（示されない）を介して密閉空間２２０８またはそれのいずれかは、好ましくは前記ピストン（チャンネル、２２１１、）可動キャブ２２１２中の２２００を介しての低圧側２２１０、または必要に応じて前記ピストン２２００（示されない）の高圧側２２１１と通信している。前記トロイド２２０７は、前記ピストン２２００の横断線中心軸２２１４と一体化している中心軸２２１３を有していて、最適なｅｌｌｉｐｓｏｉｄｅの形状の壁２２０２を獲得するために示される。しかしながら、として、図８０Ａ−Ｃで開示された、Ｈ、前記別部品２１０６の接触面２１０７および２１０８が、中心軸２１１４で、チャンバーの第二の縦位置に接近して位置した場合、前記チャンバーの形のため、よりも、前記ピストン’２１０４と２１０４の横断線中心軸２１１５、２１０４”、その結果、中心軸は言った」２１１４と２１１５は互いに互いに近寄っていない。前記ピストン２２００の横断線中心軸２２１４よりも下側で、また、それが位置することがあるので、これは、またチャンバー（示されない）の壁を備えた前記トロイド２２０７のコンタクト域の場合であることがある（ここに示されない）。前記ピストンロッド２２０９の高圧終わりに、圧力センサーである、どれが図８３Ｈ／私で論じられたか示された。
【１４２６】
図８４Ｃは、前記ピストン２２２０の低圧側の壁２２２１を例外として、図８４  Ａのピストン２１７０の同じ構築を有しているピストン２２２０を示す。前記壁部品２２２１は、図８４  Ａに示されるようにｅｌｌｉｐｓｏｉｄｅの一部ではなくテンションの中で示されるコーンのそれである。
【１４２７】
図８４Ｄは、長手中心軸２２３１および横断線中心軸２２３２と２２３２”を有していて、２つの〈ｎｄ〉縦位置で球体が１つの〈ステファン数〉縦位置および２２３０”でのピストン２２３０を形づくたことを示す。前記ピストン２２３０”、２２３０は別部品２２３１と２２３１を備えていている”横断線中心軸２２３３と２２３３”でそれぞれ。前記横断線中心軸２２３３と２２３３”は下に位置する、前記、言及された横断線中心軸２２３２と２２３２”および第一は位置する、最も近い、２つの〈ｎｄ〉縦位置。また、図８０Ａ−Ｅで示される別部品の他の配列は、ここに可能である。
【１４２８】
図８４Ｅは、長手中心軸２２３６および横断線中心軸２２３７と２２３７”をそれぞれ有していて、２つの〈ｎｄ〉縦位置で球体が１つの〈ステファン数〉縦位置および２２３５”でのピストン２２３５を形づくたことを示す。踏まれたものは、部品２２４０を囲むために壁部品２２３９からの壁２２３４のうちの２２３８を移行する。図８４Ｆは球体に形状のピストン２２４１を示す、で、１つの、私〈ｓ〉縦位置および２２４１”長手中心軸２２４１を有している、２つの〈ｎｄ〉縦位置および横断線中心軸２２４３と２２４３”でそれぞれ。前記ピストン２２４１は、横断線中心線２２４５と２２４５”で別部品２２４４と２２４４”をそれぞれ備えていている、言及された最後は、前記ピストン２２４１と２２４１の横断線中心軸２２４３と２２４３”の下で位置する「それぞれしたがって、最も近い、２つの〈ｎｄ〉縦位置。トロイド２２４４のインフレーションは図８４Ａまたは８４Ｂに示されるように行われることがある。
【１４２９】
［１９６９０−２の（倍数）回転ピストンおよびチャンバーおよび逆もまた同様ギヤーボックス］
［回転ピストン。］
図９０ＡＢ、前記チャンバー内に、チャンバーで回転しているピストンを示している、それは固着されることがあるが、常に、由来されたトルクがピストンを言ったと反証するのに有能なことがある。密閉空間（チャンネル）は、車軸（その椎体はピストンが回転しているとそれのまわりで言った）の一部であることがある、ちょうど似ている、ピストン、移動、の上で、１つの、クランクシャフト基づかせるオン、たとえば図１１Ａ（ＣＴ〈消費技術〉）、１１Ｇ（ＥＳＶＴ〈取り囲まれた宇宙技術〉）、１１Ｉ（ＥＳＶＴ〈取り囲まれた宇宙技術〉）。前記車軸の中心は、前記チャンバーの中心と好ましくは同一のことがある。また、連接棒の軸は好ましくは車軸の軸の軸に垂直で位置することがある。前記ピストンおよび前記車軸の間の連接棒は、前記ピストンの密閉空間を備えていることがある。また、この密閉空間は、前記ピストン内の空間および前記車軸中の前記密閉空間と通信していることがある。たとえば、形状のピストンが使用されている球体がすることがある場合、接続している延長部分ロッドは、車軸中のチャンネルを備えた球体を言った、構築される、似ている、図１４Ｆおよび１４Ｇで示されるロッド、連接棒の長さが絶えずすることがあるそのようなもの、前記ピストンの椎体と前記車軸（図９０Ｃ、Ｄ）の椎体の間の現在の距離に適合させることそれは、連接棒が前記車軸にどのように接続されているかに依存する、それは管理テクノロジーに圧力を加える、使用されることがある：ＣＴおよび／またはＥＳＶＴ、または第三のタイプ。ＣＴは弁機能（それは前記連接棒中のチャンネル間の連続する開路／終了連結を意味する）および前記車軸中のチャンネルを要求する。ＥＳＶＴは、前記チャンネル間の開いた連結を要求する。
【１４３０】
チャンバーが固着されることがある場合、連接棒と車軸の間の継ぎ目の構築の可能性は、トルクがピストンからどのように転送されているかに車軸に、連接棒を介して、付加的に依存する。回転車軸にピストンから連接棒までトルクを転送することは、固定接続が前記２つの建築要素間にあることを意味する。ＥＳＶＴ圧力管理システムがいつ望まれるかはすることがある、構築、前記、共同、比較的単純である：取付け具（たとえば歯（連接棒）の＋の対応する溝（車軸））、および前記取付け具（それは連接棒および車軸（図）中のチャンネルと絶えず通信している）を介してチャンネル。ＣＴ圧力管理システムが望まれる場合、だろう、構築、前記、共同、より多くの複合体である。これは備えていていることがある、１つの、直列または１つの、取付け具および回転チャンネル（開口はそれに回転の一部の間に固定チャンネルの開口に会う）の並列の解決策。連続する解決策は前記取付け具および前記回転が前記車軸上で少なくとも２つの異なる位置に置かれる場合、構築を備えている。
【１４３１】
：したがって少なくとも２つの継ぎ目。前記取付け具および前記回転が１つの継ぎ目の中で組み合わせられる場合、並列の溶液は構築を備えている。
【１４３２】
トルクを増加させることのための、１本を超えるピストンは１つのチャンバーで走っていることがある。前記チャンバー内に下位チャンバーがあることがある。また、１つの下位チャンバーごとに１本のピストンがたとえばある場合、ピストンはそれぞれ好ましくは各下位チャンバーの同じ環状位置に位置することがある。これは構築を単純化するために行われることがある。その結果、１本のピストンごとに各連結ロッドの密閉空間は、車軸の密閉空間と通信している。他のピストンの内側のチャンネルのそれと同一のより、各ピストン内の圧力はそうである。
【１４３３】
別の可能性は１つのピストン燃焼室組み合わせ以上のそれである、ｘ−シリンダーモーター（ｘ〉ｌ）に組み合わせられる、ここで、１本以上のピストン、である／チャンバーを提出している、前記組み合わせはすることがある、定期修理、同じ中央車軸（図９２Ａ）（おこなわれるべき前記モーターの目的を可能にするために、それに各ピストンのトルクは転送されている）：ホイール、プロペラ、上がることなど
［回転チャンバー］：
図９１Ａはチャンバー（それはピストンのまわりで回転している）を示している、言及された最後はチャンバーに由来したトルクに逆らうために固着されることがあるが、常に、有能なことがある。前記車軸の中心は、前記チャンバーの中心と好ましくは同一のことがある。また、連接棒の軸は好ましくは車軸の軸の軸に垂直で位置することがある。その椎体のまわりでところで、密閉空間（チャンネル）は車軸の一部であることがある、チャンバーが回転している、ちょうど似ている、チャンバー、の中で、たとえば図１３Ａ（ＣＴ〈消費技術〉）；１２Ｄ、１３Ｅ、Ｆ、Ｇ（ＥＳＶＴ）；１４Ｅ（ＥＳＶＴ〈取り囲まれた宇宙技術〉）。
【１４３４】
前記ピストンおよび前記車軸の間の連接棒は密閉空間を備えていることがある。また、この密閉空間は、前記ピストン内の空間と通信しており、前記車軸中の密閉空間を言った（図９１Ａ、Ｂ）。
【１４３５】
たとえば、形状のピストンが使用されている球体がすることがある場合、接続している連結ロッドは、車軸中のチャンネルを備えた球体を言った、構築される、似ている、図１４Ｆおよび１４Ｇで示されるロッド、連結ロッドの長さが絶えずすることがあるそのようなもの、前記ピストンの椎体と前記車軸（図９０Ｃ、Ｄ）の椎体の間の現在の距離に適合させることこの構築はすることがある、ピストンが移動しているところで、組み合わせの構築を備えた同一のもの。
【１４３６】
ピストンが可動の場合、また、連接棒と車軸の継ぎ目の構築に関するｐｒｅｃｅｅｄｉｎｇする章の中で言われていることは、チャンバーが移動している状態のための適用可能である。チャンバーが移動している状態で、２つのメインの溶液群が可能なことがある：車軸が固着される場合、１、そして前記車軸、および前記チャンバーはどこでトルク（図９２Ａ）を送信しているかのまわりのチャンバー回転。他方の群は、車軸がいつ回転するかである。また、それは、チャンバー（図９２Ｂ、Ｃ；  図９３Ａ、Ｂ）によって派生したトルクを送信していることがある。
【１４３７】
その場合では、車軸は前記連接棒（Ｆｉｇ．９１ＡＢ）のまわりで回転している、ＥＳＶＴは使用されてもよい、あるいはその、ＣＴそれは、密閉空間（連接棒）と車軸の密閉空間の間のバルブを構築するために可能性に依存する：たとえば、２つのバルブがＣＴ（図９１Ｃ、Ｄ）を可能にすることがある、そしてバルブはない、ＥＳＶＴ（Ｆｉｇ．９１Ｅ）。
【１４３８】
トルクを増加させることのための、１本を超えるピストンは１つのチャンバーの中にあることがある、前記チャンバー、および１つの下位チャンバーごとに１本のピストンがいつあるか内に下位チャンバーがあることがある、ピストンはそれぞれ位置されることがある「〉各下位チャンバーの同じ環状位置、あるいは異なる環状位置にあることがある、に示されるように、たとえば図１３ＡＧ、１４Ａ−Ｈ  同じ環状位置でのポジショニングは構築を単純化するために行われることがある。その結果、１本のピストンごとに各連結ロッドの密閉空間は、車軸の密閉空間と通信している。他のピストンの内側の圧力と同一のより、各ピストン内の圧力はそうである。
【１４３９】
チャンバーが回転している場合、すべてのパラメーターのためのいくつかの溶液を組み合わせる多数の可能性がある。
【１４４０】
チャンバーがシャーシ上の車軸上でマウントされた関係の回りをたとえば回転している場合、たとえばビークル、また、車軸はマウントされた関係の近くで回転している、シャーシは言った、また、同じ方向をたとえば提出して、ピストンは前記シャーシ上でたとえば固着されているが、連接棒は前記固定ピストン間で固着されることがあり、固定軸を言った。前記車軸および前記チャンバーは付加的に反対方向を提出していることがある。溶液のこの組み合わせの前記連接棒および車軸中のチャンネルは、好ましくはＥＳＶＴシステムと通信していることがある（図１０Ｍ、１３Ｃ）。
【１４４１】
チャンバーがシャーシ上でマウントされた関係の近くでたとえば回転している場合、たとえば、ビークル、また、車軸は、前記シャーシ上でたとえば固着される、ピストンは、前記チャンバーを得る所要力モーメントを得るために前記車軸に固定して装着された連接棒によって固着されることがある、回転する。溶液のこの組み合わせの前記連接棒および車軸中のチャンネルは、好ましくはＥＳＶＴシステムと通信していることがある（図９１Ａ−Ｃ）。図９１Ｇ−Ｉ、チャンバーの関係が車軸に装着される場合、比較可能な溶液を示す。
【１４４２】
１つを超えるピストン燃焼室組み合わせがある場合、前記組み合わせのチャンバーよりも、１本以上のピストンを備えていて、チャンバーが回転しているところで、トルクを転送することがある、を介して、たとえば少なくとも１つのチャンバーを備えていているハウジング、前記ハウジングはすることがある、トルクの転送、に、たとえばｂｅａｒｂｏｘ、自動装置（箱）、たとえば、１つの、ベルト駆動自動変速〈（（Ｒ））〉、ホイール、プロペラなどに
どれがチャンバーが走っているかのまわりで、車軸に前記組み合わせのチャンバーがそれぞれそのトルクを転送していることは付加的にありえることがある（図９３Ａ、Ｂ）。前記車軸は固定軸の回りを回転している、ここで、連接棒中の固定ピストンの密閉空間は、前記固定軸中のチャンネルを通って圧力管理システム、好ましくはＥＳＶＴシステムと通信している。
【１４４３】
［好ましい実施形態の１９６９０−２−説明］
図９０Ａは１つの回転ピストン４０００を示す、ピストン４０００が連接棒４００３によって車軸４００２に接続される場合、円形チャンバー４００１の第一の縦位置の近くで位置した、車軸４００２および連接棒４００３が各々を備えていている、チャンネル４００４および４００５、各自、互いと通信すること前記チャンネル４００５はピストン４０００のための（第一）取り囲まれたスペースである。前記チャンネル４００４は前記ピストン４０００の（第二）密閉空間である。前記チャンネル４００５はピストン４０００の壁の内のスペースと通信している。中心は３９９７と３９９８を斧にする、水平で・垂直である、それぞれチャンバー４００１の軸を集中させる。前記ａｘｉｓｅｓ  ３９９７および３９９８の中心点３９９５。好ましくは前記中心点３９９５を経験する、前記車軸４００２の軸（そういうものとして示されない）で、好ましくは位置する、垂直、前記円形チャンバー４００１の中心軸３９９６を介して平面。連接棒４００３の中心軸４００８は、好ましくは前記中心点３９９５を経験している。ピストン’４０００は、ピストンの第２の環状位置と同様に前記チャンバー４００１の最終の第一の環状位置で４０００”示される。円形チャンバー４００１は３６０度以上に構築される：第二から第一の縦位置まで。「ピストン４０００は中心点３９９５のまわりの前記チャンバー４００１において時計回りになっている。チャンネル４００４は圧力管理システムと通信している。また、それはそうであることがある、１つの、ＣＴ−またはＥＳＶＴシステム。ｃｏｎｔｒａ  ｗｅｉｇｔｈ  ３９９４（それは、中心点３９９５に関しての連接棒４００３の反対側の位置する）．
図９０Ｂは、車軸４００２上に連接棒４００３の組立の詳細を示す。これはハブ４００９を有していることにより行われる。それは、前記車軸４００２の歯４００７が前記ハブ４００９の対応する溝’４００７に入るところで、車軸４００２上でｓｌｉｄｉｎｇｌｙにマウントされた車軸４００２の長手方向にある。この構築は、連接棒４００３から車軸４００２にトルクを転送することを可能にする。この構築は、前記車軸中のチャンネル４００６、および前記連接棒４００３中のチャンネル（第一の密閉空間）４００５、および前記車軸４００２中のチャンネル（第２の密閉空間）４００４を備えた前記ハブ４００９の壁のチャンネル’４００６を通って一定の連絡を付加的に可能にする。中心軸４００８は、各々チャンネル’４００５、４００６および４００６の中心軸で、また前記連接棒（４００３）の長手中心軸である。この中心軸４００８は車軸４００２の中心軸（示されない）に垂直で位置する。連結ロッド４００３は前記ハブ４００９に装着される。連接棒４００３は、中心ロッド４０１０（密閉空間４００５はその中で位置している）および強化材鋳ばり４０１１（その間で連結ロッド４００３を前記ハブ４００９に装着することのための、ボルト４０１６は位置している）を有していて示される。ワッシャー４０１２およびばね座金４０１３。前記中心ロッド４０１０の端４０１７は前記ハブ４００９の凹部４０１５に位置する。前記端４０１７と前記凹部４０１５の間の密閉する４０１８．ｃｏｎｔｒａ重量３９９４は前記ハブ４００９の一部として示される。
【１４４４】
図９０Ｃは、ピストン４０００が装着される連接棒４００３の延長部分ロッド４０２０を示す。ピストン４０００は示される、第一の環状位置４０２１の近くで位置すること残りについては、図の中で１４Ｆ示されるものと同一の構築がある。連接棒４００３は、前記車軸４００２へのピストン４０００の壁４０２４の変わる距離に対する補正を可能にするように連結ロッド４００３のチャンネル４００５の端４０２３の内に、車軸４００２間で、２つのＯリング４０２１および４０２２によって延長部分ロッド４０２０（それは滑りばめで移動している）をｓｅａｌｉｎｇｌｙに備えていている。前記延長部分ロッド４０２０内では、チャンネル４０２５（それはチャンネル４０２７を通って前記ピストン４０００のスペース４０２６と通信している）および連接棒４００３のチャンネル４００５がある。延長部分ロッド４０２０の端３９９１と、チャンバー４００１の中心軸３９９６と連接棒４００３の中心軸４００８の間の横断地点’３９９０の間の距離１。
【１４４５】
図９０Ｄは、ピストン４０００”が装着され、ピストン４０００が第二の環状位置４０２８に位置する場合、示される連結ロッド４００３の延長部分ロッド４０２０を示す。残りについては、図１４Ｇの中で示されるものおよび図９０Ｃと同一の構築がある。延長部分ロッド４０２０の端３９９１と、チャンバー４００１の中心軸３９９６と連接棒４００３の中心軸４００８の間の横断地点の間の距離Ｖ。長さ［ガンマ］〈１（図の中で９０Ｃ示される）．
図９０Ｅは、車軸４００２の中心軸４０２９を介して平面で図１１Ａに基づいたＣＴ圧力管理システムと今通信することが、外に働いたことを図９０Ａの構築に示す。連接棒４００３と図９０Ａの車軸４００２の間の共同の４０５１、Ｂは図１１Ｄを与えている。連接棒４００２のチャンネル４００５は車軸４００２のチャンネル４００４と通信している。最後の言及されたチャンネル４００４は、チャンネル８２２および８２３とそれぞれ通信している。前記図面のさらなる参照番号の説明については、図１１Ａおよび１１Ｄを参照してください。
【１４４６】
図、９０Ｆは、チャンネル４００４を備えていて、車軸４００２の遷移の間、図１１Ｇに基づいたＥＳＶＴ圧力管理システム、および図による共同の４０５２を１１Ｔ示す、図９０Ａ、Ｂの連接棒４００２のチャンネル４００５で、前記図面のさらなる参照番号の説明については、図１１Ｇおよび１１Ｔを参照してください。
【１４４７】
図９０ＧはＥＳＶＴ圧力管理システムを示す、図１１Ｉに基づいた、また図による共同の４０５２、車軸４００２のための１１Ｔ、チャンネル４００４および連接棒４００３を備えていること、図９０Ａ、Ｂに示されるように、チャンネル４００５を備えていている。前記図面のさらなる参照番号については、図１１Ｉおよび１１Ｔを参照してください。
【１４４８】
図９０Ｈは、Ｈ２０の電気分解に由来して、図１１Ｑによれば、カム軸４０６０の組み合わせの中で、図９０Ｇに基づいたＥＳＶＴ圧力管理システムを示す。Ｈ２によって駆動されて、エネルギーが燃焼モータ４０６１から来ている一方、それは図１１ＩのＥＳＶＴシステムのタイミングをコントロールしている。前記図面のさらなる参照番号の説明および他の詳細については、図９０Ｇ、１１Ｉ、１１Ｔおよび１１Ｑを参照してください：
図９０Ｉは、円形チャンバー５０７４（それは４つの下位チャンバー５０７５、５０７６、５０７７を備えていている）に４つの回転ピストン５０７０、５０７１、５０７２、５０７３をそれぞれ示す、個々のピストン前記円形チャンバー５０７４につき５０７８の一つが好ましくは固着されることがある。前記回転ピストン５０７０、５０７１、５０７２、５０７３は各々、下位チャンバー５０７４、５０７５、５０７６の各々の同じ環状位置に位置する、前記ピストンの５０７７−循環は、前記円形チャンバー５０７４のｃｅｎｔｒｅｐｏｉｎｔ  ５０７９の近くで時計回りこととして示される。ピストン５０７０、５０７１、５０７２、５０７３はそれぞれ、同じ車軸５０８５（中心はそれに前記中心点５０７９と同一である）の回りを回転している。ピストンピストン５０７０、５０７１、５０７２、５０７３はそれぞれ、連接棒５０８０、５０８１、５０８２、５０８３によって前記車軸５０８５に接続される。図９０Ｃ、Ｄに説明されるように、それは延長部分ロッド５０９０、５０９１、５０９２、５０９３を備えていている。実際前記ピストン５０７０、５０７１、５０７２、５０７３、コネクティングロッド５０８０、５０８１、５０８２、５０８３および延長部分ロッド５０９０、５０９１、５０９２、５０９３  ４ｘに関するこの構築である、図９０Ａ、Ｂの中で示される構築。すべての４つのコネクティングロッド５０９０、５０９１、５０９２、５０９３は、共通のハブ４０２９へのボルトによって組み立てられた。前記ハブ４０２９は、ｆｉｘｌｙに増大される、車軸５０８５は図９０Ｂに示されるように前記ハブ４０２９の対応する溝（４００７’）の中にふさわしくて、前記車軸５０８５の歯（４００７）によって言った。
【１４４９】
図、９０Ｊは、コネクティングロッド５０８０、５０８１、５０８２、５０８３および図９０Ｉの車軸５０８５のアッセンブリーの拡大を示す。実際これである、共同、１つの、３６０以上の４つの等しい円セグメント中の図９０Ｂの中で示される継ぎ目の４−不規連発弾。共通のハブ４０５３。
【１４５０】
各連接棒５０８０、５０８１、５０８２、５０８３のチャンネル５０８６、５０８７、５０８８、５０８９は、前記車軸５０８５内のチャンネル５０９０およびしたがって互いと絶えず通信している。それは、各ピストン５０７０、５０７１、５０７２、５０７３および車軸５０８５内のチャンネル５０９０内にスペース（示されない、図９０Ｃ、Ｄをここに参照してください）間の直通通信をしたがって可能にする、この配列、好ましくはＥＳＶＴ圧力管理システムを備えた機能。
【１４５１】
図９０Ｋは、図９０Ｉ、Ｆｉｇ１１ＩによるＥＳＶＴ圧力管理システムと通信しているＪおよび新しい継ぎ目４０５４の一層の発生の構築を示す：添え板：図の共通のハブ４０５３と結合して、図に１１Ｔ基づいた共同の４０５２の前記車軸の中心車軸のまわりで９０Ｊ映された。前記継ぎ目の部分の説明については、図を１１Ｔ参照してください。
【１４５２】
図、９０Ｌは、図１１Ｑによれば、バッテリー８３２からの電気エネルギーに、Ｈ２０の電気分解に由来して、カム軸４０６０（［３／４］によって駆動されて、エネルギーが燃焼モータ４０６１から来ている一方、それはＥＳＶＴシステムのタイミングをコントロールしている）と結合して図９０Ｋに示される共同の４０５４の構築に基づいたモーターのある好適な実施形態を示す。前記図面のさらなる参照番号の説明については、図９０Ｋおよび１１Ｑを参照してください。
【１４５３】
図９１Ａは、車軸４０３２の回りを左回りに回転しており、３つのスポーク４０３４によって保留される、１つの円形チャンバー４０３０（３６０以上の［度］）を示す。前記スポーク４０３４は、連接棒４０３３の断面とは異なっている断面の中で示される。ピストン４０３１は前記円形チャンバー４０３０の第一の環状位置の近くで位置する。前記ピストン４０３１は、連接棒４０３３（言及された最後の懸濁液）によって、好ましくは固着される、ハブ４０３８は、歯および対応する溝（図１Ｂを参照）によって前記車軸４０３２に固定して装着される。それは、ピストン４０３１上の円形チャンバー４０３０からの反力を行なう。前記スポーク４０３４のハブ４０３５間で、また定期修理への前記スポーク４０３４のハブ４０３５を可能にして、車軸４０３２が耐える４０３９（それは適切な適合によって前記スポーク４０３４のハブ４０３５上に固着されることがある）である、車軸４０３２は言った。４０３６を収納するチャンバーの縁の近くで回転するベルト８７４は前記チャンバー４０３０の回転の方向を与えて走っている。
【１４５４】
図９１Ｂは、連接棒４０３３および車軸４０３２の組立の詳細を示す。スポーク４０３４のハブ４０３５は耐える４０３９を備えていている。それは、スポーク４０３４の回転するハブ４０３５と一緒に回転する適切な適合を持っている。弁機能はそうではない、耐える４０３９が車軸４０３２の壁、およびハブ４０３８の上部４０３８−１の壁に、チャンネル４０４４  ａｎｎｄ  ４０４５を備えているものとは異なっている断面にそれぞれ属しているので、ここで配されている。連接棒４０３３のハブ４０３８は２部から構成されている：上部４０３８−１（それは連接棒４０３３に接続される）およびボトム部４０３８−２。前記上側およびボトム部は、ボルト４０４０によってともにボルトで締められる。それは、付加的にハブ４０３８への連結ロッド４０３３をボルトで締める。ばね座金４０４１およびワッシャー４０４２。ハブ４０３８は、ｔｈｅｅｔｈ  ４００７に入る溝’４００７を備えていている。車軸４０３２の壁のチャンネル４０４４、ハブ４０３８−１の上部の壁を介してチャンネル４０４５およびチャンネル（連接棒、４０３４、）４０４６を介してを通って、ピストン４０３１の内部への前記車軸４０３２のチャンネル４０４３間で可能な一定の連絡がある。延長部分ロッドを介してチャンネルはどうぞ示されない、図９０Ｃ、Ｄを見る。一定の連絡のため、明確には１つを超えるチャンバーが１つの車軸上で適用される場合、ＥＳＶＴシステムの使用は望ましい。また、ＣＴシステムの使用はオプションである。
【１４５５】
組み合わせのための溶液のすべて、で、ＣＴ−または図９０Ａ−Ｄの実施形態に応じたＥＳＶＴ圧力管理、また図９１Ａ、Ｂの実施形態のための適用可能である。
【１４５６】
示されなかった、しかし単に言及された、図９１Ａの中で示される配列に基づいて、４本のピストンを備えている４つの下位チャンバー、を備えたチャンバーである、Ｂ、そして似ている、図９０１（Ｊ）。前記チャンバーは、車軸（それに前記円形チャンバーの中心線のｃｅｎｔｒｅｐｏｉｎｔを中心軸は通り抜けている）の回りを回転している。各ピストン内の空間は、絶えず４つと（延長部分）コネクティングロッドの各々の中でチャンネル（密閉空間）を通って前記車軸中のチャンネルと通信している。また、この配列は好ましくはＥＳＶＴシステムで機能している。
【１４５７】
図−９１Ｃは示す、１つの、違いと共に、図９１Ｂ比較可能な構築で、耐える５１００は、両方ともハブ５１０１（それは車軸５１０３への連接棒５１０２を組み立てている）およびハブ５１０４（それは前記車軸５１０３でそのハブ５１０６（図９  ＩＤを参照）とスポーク５１０５を接続している）の一部である。また、車軸５１０３の壁のチャンネル５１０９は今、車軸５１０３の部分で位置する。そこでは、耐える５１００は位置する。
【１４５８】
車軸５１０３が溝５１０８においてふさわしい歯５１０７によってハブ５１０４にｆｉｘｌｙに接続される場合、断面Ｌは、連接棒５１０２および車軸５１０３のハブ５１０１を介して断面である。断面Ｎ−Ｍは、スポーク５１０５および車軸５１０３のハブ５１０６（図９  ＩＤを参照）を介して断面である、ここで、ハブ５１０６、できる、定期修理は、耐える５１００による車軸５１０３を言った。
【１４５９】
図９１Ｄは、図の断面Ｎ−ＭおよびＫ−Ｌを９０Ｃ示す。付加的にチャンバー５１１０の断面および前記チャンバー５１１０の壁５１１１を示される、延長部分ロッド（示されない、図９０ＣＪＤをここに参照してください）の開口５１１２および連接棒５１０２のより大きな開口５１１３を備えていている。
【１４６０】
連接棒５１０２のハブ５１０１を備えた耐える５１００の適合は、回転している間、耐える５１００が連接棒５１０２のハブ５１００を提出することができるような状態である、スポーク５１０５のハブ５１０６内にできない。適合、前記、車軸５１０３で５１００を運ぶことはそのようなものである、関係、できる、定期修理は車軸５１０２を言った。結果は、チャンバー５１１０が前記車軸のまわりで５１０３−ＣＴ圧力管理システムを回転させている場合、チャンネル５１０９が前記車軸５１０３のチャンネル５１１４との一定の連絡を有していていないということである、ここで使用することができる。図９１Ａ−Ｄ（を含めた）の中で示される実施形態と一緒に、図９０Ｅ（ＣＴ）、図９０Ｆ−Ｈ（を含めた）で以前に示されるモーターの残りの好ましい実施形態がある（ＥＳＶＴ）。
【１４６１】
図９１Ｅは、連結ロッドのチャンネル４０３５および車軸４０３２のチャンネル４０３４の連結を示す。そこでは、一定の連絡は前記チャンネル４０３５と４０３４の間で可能である。耐える４０３９は、同じ回転速度と共に、連結ロッド４０３３と一緒に回転している。その結果、チャンネル４０３７は、常に連結ロッド４０３３のチャンネル４０３５と通信している。連結ロッド４０３３の中心軸４０３６。車軸４０４０はａｄｄｔｉｏｎａｌなチャンネル４０４１を備えていている。前記チャンネル４０４１は、絶えずチャンネル４０４２を通って前記車軸４０４０のチャンネル４０３２と通信している。前記チャンネル４０４１は、絶えず上側ハブ４０３８−１のチャンネル４０４５を通って耐える４０３９のチャンネル４０３７と通信している。車軸４０４０の部分４０４６は、ほぼ前記部分４０４６の壁のチャンネル４０４２の近くで、低減された直径を有している。連結ロッド４０３５のチャンネル４０３５は、絶えず図９０Ｃおよび９０Ｄ（ここで球体タイプピストンは使用される）を与えるピストン４０３１と通信している。車軸４０３２中のチャンネル４０３４は圧力管理システムと通信している。
【１４６２】
ＥＳＶＴ〈取り囲まれた空間容積テクノロジー〉はこの構築で素晴らしく働いていることがある。
【１４６３】
車軸と連結ロッドの継ぎ目の中でバルブが使用されること：ＣＴ〈消費技術〉を使用する場合：図１１Ｄを参照してください、また図の中で９０Ｅ（参照。４０５１）示されて、そこからたとえば引き出された。ＥＳＶＴ〈取り囲まれた空間容積テクノロジー〉のための、Ｆｉｇ．１１Ｔを参照してください、また図９０Ｆ（参照。４０５２）および図９０Ｋ（参照。４０５４）で示されて、そこからたとえば引き出された。
【１４６４】
耐える４０３９と上側ハブ４０３８−１の間の適合および下側ハブ４０３８−２は、関係がハブ部分４０３８−１および４０３８−２に対して可動でないような状態であることがある。どれが、なぜ上側ハブ４０３８−１の壁のチャンネル４０４５と耐える４０３８−１の壁のチャンネル４０３７が常に通信しているか、したがってそこで車軸のチャンネル４０３２と連接棒４０３３のチャンネル４０３５の間の一定の連絡になるかか。ＥＳＶＴシステムの使用は可能なことがある。
【１４６５】
耐える４０３９が前記ハブ／４０３８−２  ４０３８−１で、およびたとえば滑りばめを有している場合、１つの、圧搾、車軸４０４０で適当、ハブ４０３８が前記車軸の回りを回転している時連絡が中断される。ＣＴシステムの使用は可能なことがある。
【１４６６】
：
図９２Ａは概略的に示す、３つのシリンダーモーター４０９０、ピストン４０９１が５０００−前記チャンバー４０９２が相互に連結する中心軸と共に駆動電動機車軸４０９４のまわりで円形チャンバー４０９２（それらは同一で、それらは互いと平行に位置した）に移動しているところで、収納する４０９５、また、ギヤーボックス４０９３はボルト４０９６によって前記アッセンブリーに装着される、４０９７およびワッシャー４０９８を跳ね返らせる。モーター４０９０の駆動電動機車軸４０９４は、ギヤーボックス４０９３の車軸５００４と直接通信している。前記ギヤーボックス４０９３は駆動軸車軸５０００を備えていている。前記ギヤーボックス４０９３では、組み込まれたリバースがある。示されなかった、しかし、選択肢がそこにクラッチを中間に差し込まれることがあるとともに、駆動電動機車軸４０９４および車軸５００４、クラッチがホイール（たとえばフライホイール）（示されない）上で押される場合、駆動電動機車軸４０９４が前記クラッチを介して前記ギヤーボックス４０９３の車軸５００４と通信しているところで（それは絶えず駆動電動機車軸４０９４と通信している）。クラッチが押されない場合、フライホイールは言った、ギヤーボックス４０９３の、およびそれによる車軸５００４がなくなるモーター４０９０である、前記ギヤーボックス４０９３の出発の車軸４０９９がない。圧力管理システム５００１、好ましくはＥＳＶＴシステム（それはチャンネル５００２（それは各ピストン４０９１の密閉空間５００３と通信している）と通信している）および各ピストンの内部５００６。ボルト５００４（スプリングとワッシャーで）は、各チャンバー４０９２のための２つのチャンバー部分４０９２−１および４０９２−２をともに装着している。ピストン４０９１は、図９０Ａ−Ｃ、または図９０Ｉ、Ｊによってハブ５００５によって駆動電動機車軸４０９４にそれらのトルクをたとえば転送している。
【１４６７】
図９２Ｂは３つのシリンダーモーター５０１０を概略的に示す。そこでは、ピストン５０１１は円形チャンバー５０１２に移動している。前記チャンバー５０１２は同一で、駆動電動機車軸５０１３のまわりで互いと平行で位置する。ハウジングプレート５０１７（それはチャンバー５０１２をまとめている）。トルク、ピストン５０１１によって生成された、図図９０Ａ−Ｃによってハブ５０１９によって連接棒（５０ｘｘ）を介して駆動電動機車軸５０１３にたとえば転送されているか、図９０Ｉを与えている、Ｊ、あるいは図９１Ａ−Ｄによって。前記駆動電動機車軸５０１３上の各側で、組み立てられた可変ピッチングホイール５０１４がある。それは、ベルト５０２１によってビークルのホイール車軸５０１６上の比較可能なホイール５０１５に接続される；モーター５０１０の横の高いピッチ、およびホイール車軸５０１６の横の低いピッチが示される（ビークルは速く移動している）。距離ｘは、この距離が変わらないことを示す、いつ、変更前記変更がそうであることがあるホイール５０１４および５０１５のピッチ、どんなピッチも中間に高く低いピッチを言った。駆動電動機の中心にあるチャンネル５０１９は、直接圧力管理システム、好ましくはＥＳＶＴシステム５０２０と通信している。逆の配列が示されない。その結果、ビークルは前進のほかに後ろに移動することができる。図９２Ｃは、図９２Ｂと同じを示す、しかし、モーター５０１０の横のホイール’５０１４のピッチが小さいところで、またホイール車軸５０１６（ビークルはゆっくり移動している）の横のホイール’５０１５の高いピッチ。チャンバー５０２１が中央車軸５０２２の回りを回転しているところで、図９３Ａは３つのシリンダーモーター５０２０を概略的に示す。前記チャンバー５０２１は各々角によって中央車軸５０２２に接続される、チャンバー５０２１の各横に５０２３’と５０２３を一括する、その結果、チャンバー５０２１によって生成されたトルクは、移られている、角ｂｒａｃｋｅｔｅｓは前記中央車軸５０２２に言った、ので、中央車軸５０２２が各ピストン５０２５（それは単に前記ｂｒａｃｋｅｙｔｓ  ５０２３’と５０２３までに互いに接続される）の各ハブ５０３４の外側の部分’５０２２を備えていている、そして、さらに、関係（５０３３）を備えていること、部分（５０３３’）を備えていている、前記中心軸（５０２２）の部分に対応する、ハブ５０３４は内側車軸５０３２に装着される。前記中央車軸５０２２はギヤーホイール５０２８を介して外部ギヤーボックス５０２４と通信している。前記ギヤーホイールはギヤーホイール５０２９と通信している。前記ギヤーホイール５０２９は、間接的に駆動軸車軸５０３０と通信している。駆動軸車軸５０３０の回転方向５０３１。チャンバー５０２１はそれぞれピストン５０２５およびリング５０２６を備えていている。それはフライホイールとして機能し、は中心軸５０２２から最も遠く位置する。前記ピストン５０２５はハブ５０３４によって内側車軸５０３２に組み立てられる。前記内側車軸５０３２は、ビークルとギヤーボックスへの取付け具’５０３５と５０３５によってそれぞれ装着される．．内側車軸５０３２と車軸５０２２���間で、耐える５０３３がある（ｅｎｌａｒｇｍｅｎｔを参照）。圧力管理システム５０２７（好ましくはＥＳＶＴシステム）。前記内側車軸５０３２中のチャンネル５０３７との圧力管理システム５０２７の連絡５０３６。前記チャンネル５０３７は、連接棒５０４０（概略的に示される）中のチャンネル５０３９との連絡である。それはピストン５０２５内のスペース５０３８と通信している。図９３Ｂは、中心軸５０２２の左の角の拡大（４：１）、および中央車軸５０２２と内側車軸５０３２の間の耐える５０３３を示す。取付け具５０３５。
【１４６８】
［２０７  好適な実施の形態］
図１００はいわゆるインジケータ線図を示す。このダイアグラムは、概略的に圧力ｐと、固定直径を備えたシリンダーを備えた従来の単段のｏｎｅｗａｙ作動ピストンポンプのポンプストロークボリュームＶの断熱の関係を示す。１つのストロークごとに適用されるべき操作力の増加は、ダイアグラムから直接読むことができ、シリンダーの直径に二次である。圧力ｐおよびしたがって操作力Ｆ、ストローク中の増加、膨張するべき本体のバルブが開かれるまで、通常。
【１４６９】
図１０２Ａは、本発明を与えるピストンポンプのインジケータ線図を示す。それは、圧力ｐのためのダイアグラムが従来のポンプのそれに似ているが、操作力が異なり、完全に気圧調節するチャンバーの横断線断面の選ばれたエリアに依存することを示す。これは完全に明細書にたとえば依存する、操作力はある最大を超過するべきでない。あるいは、操作力のサイズはエルゴノミックスの要求によって変動している。それがたとえば水ポンプの場合であるとともに、手動操作のポンプが単に圧力の重要な変化のない媒体を輸送している場合、これはその場合に明確には要求される。気圧調節するチャンバーの縦のおよび／または横断線断面の形は、どんな種類のカーブおよび／またはラインであることがある。また、圧力を増加させることにより、横断線断面がたとえば増加することはありえる（図１０２Ｂ）。操作力の一例は罰当りな太線である、１または２．１と２とマークされた異なる壁可能性は、ダイアグラムの以前に言及されたライン１と２に相当する。Ａ断面は、ピストンだけが可動のポンプに関する。その一方でチャンバーだけが移動しているところで、Ｂ断面はポンプに関している。また、両方の動作の組み合わせは同時に可能である。
【１４７０】
図１０２Ｂは、圧力を増加させることにより増加する横断線断面を備えたチャンバーを有しているピストンポンプのインジケータ線図の例を示す。
【１４７１】
図１０３Ａ、Ｂ、Ｃ、第一の実施形態のＤショー詳細。ピストンは、ガスのおよび／または液体培地の圧力が増加する場合、減少する直径を備えた円形横断線断面を備えた筒状・円錐形の部分を備えている、ｐｒｅｓｓｕを増加するチャンバーで移動する。これは、操作力が超過するべきでない明細書に基づく、ある最大。様々な直径間の遷移はディスクリートステップなしで徐々である。これは、ピストンがチャンバーで容易に滑ることができ密閉する能力の損失のない横断線断面におよび／またはが形づくる、変わるエリアに順応することができることを意味する。操作力が有している場合、圧力を増加させることにより低下するために、ピストンの横断線断面積は減少している、そしてそれによって、円周の長さ、同様に。ｃｉｒｃｕｍｆｅｒｉｃａｌな長さ低減は締まるレベルまでの、または緩和による圧縮に基づく。ピストンの長手断面は意味する、可変角度を備えた台形である、１つの、未満で、たとえば気圧調節するチャンバーの壁を備えた４０の［度］、その結果、それは後ろにそれない場合がある。密閉する手段のディメンションはすべてのストロークの間中三次元の中で変わる。ピストンの支持する部分はたとえば意味する、ディスクまたは統合リブ、の中で、密閉はピストンの汲むストロークの間中加圧されていない側にたとえば置かれて、意味する、圧力の下の偏差に対して保護する。ピストン手段（たとえばいくつかのセグメントを備えたばね座金）の装填する部分も、ピストンの加圧された側にたとえば装着されることがある。これは、壁への可撓な密封部分を圧搾する。ポンプが暫くの間使用されておらず、ピストンが意味する場合、これは便宜的である、暫くの間折り重ねられた。ピストンロッドを移動させることによって、ピストン手段の密封部分の台形断面の側は、軸方向に半径方向に押される。その結果、ピストンの密封縁は、気圧調節するチャンバーの減少する直径に続く。ストロークの終わりに、中心にあるチャンバーのボトムは無響室のボリュームを低減するためにより高くなった。ピストンロッドは、気圧調節するチャンバーをロックするキャップの中で主としてガイドされることがある。チャンバーの壁へのその移動シールの両方の方向のピストンとして、ピストンロッドは、たとえばバネ力に動作されたバルブを備えた入口チャンネルを備えている。それはチャンバーの過剰圧力の場合には閉じられる。ピストン手段中の装填する部分の使用なしで、この個別のバルブは余分のことがある。本発明によるポンプ設計では、ポンプの部品は労働力のための最適化された。ポンプの内径は、既存のポンプよりも大きいポンプ室長さの主要部分上にある。従って、たとえチャンバーの残存部分のボリュームが既存のポンプよりも低くても、入口ボリュームはより高い。これは、ポンプが汲むことができることを保証する、必要最大の操作力が著しく低減され、快適なために消費者によって報告されたレベルよりも下側である一方、既存のポンプよりも迅速。チャンバーの長さは低減することができる。その結果、ポンプは女性とティーンエイジャーのためにさえ、実際的になる。ストロークのボリュームは既存のポンプよりもさらに高い。
【１４７２】
図１０３Ａは、壁セクション２、３、４および５のその横断線断面の異なるエリアの部分を備えた気圧調節するチャンバー１を備えたピストンポンプを示す。ピストンロッド６。キャップ７はピストン手段を止めて、ピストンロッド６をガイドする。壁２、３、４および５を備えた断面間の遷移１６、１７および１８。チャンバー１の縦の中心軸１９。始めおよび２０’のピストン２０、ポンプストロークの終わりに。
【１４７３】
図１０３Ｂは、弾性素材および装填する部分９（たとえばばね座金）にセグメント９．１で作られた密封部分８、９．２および９．３（示されない他のセグメント）、ならびにピストンの支持体部分１０を示す、ロックする２つの部分間のピストンロッド６に付けられて、意味する、１１を意味する。ピストンロッド６は入口１２およびバルブ１３を有している。角度、１つの、密封部分間で、ピストンのうちの８は意味する、また気圧調節するチャンバー１の壁２。密封縁−３７。距離、１つの、ｉｓ、密封縁３７からストロークの初めの横断線断面中のチャンバー１の中心軸までの距離。
【１４７４】
図１０３Ｃは、無響室のボリュームを低減する手段１５に出口チャンネル１４を示す。ピストン手段の密封部分’８と気圧調節するチャンバー１の壁５の間の角度ａ２。距離、１つの」密封縁３７からストロークの終わりに横断線断面中のチャンバー１の中心軸まで距離である。示された、それがａ〈１〉を引き離すということである、距離ａのほぼ４１％である。装填する部分’９。
【１４７５】
図１０３Ｄは、操作力がほぼ一定のままで、エルゴノミックスの要求に従って選ばれるように、横断線断面が選ばれる本発明によって床ポンプ（６０−１９．３ｍｍ、長さ５００ｍｍの内側の）のチャンバーの長手断面を示す：たとえば、図２７７Ｎでのように。他の力サイズも選ぶことができる。一定の操作力が人間工学で正確でないことがあるので、これは、単に本発明によるｆｌｏｏｒｐｕｍｐの量化のための出発点を与えている。比較として、既存の低圧床ポンプ（０ｊｎＳｉｄｅ  ３２ｍｍと長さ４７０ｍｍ）の断面、点線および既存の高圧床ポンプ（＾ｄｅ  ２７ｍｍと長さ５５０ｍｍ）のその中で示される、破線の中で示される。それはそれを明白に示される、本発明による床ポンプ、両方、タイヤおよび既存のポンプよりも下側操作力を膨張させて、より大きな行程体積をしたがってより速く有している。本発明によるチャンバーは全ストロークの間中エルゴノミックスの要求に適合することができる。
【１４７６】
図１０４Ａ、Ｂ、Ｃ、Ｄ、Ｅ、第２の好ましい実施形態のＦショー詳細。ピストンの密封部分は意味する、弾力的に支持体に支持された変形可能材料で作られている、意味する、それはチャンバーの重心軸と平行な軸のまわりで回転することができる。この移動の結果は、それが大面積を支持するということである、密閉はより高いものを意味する、圧力はチャンバーにある。支持体部分のための装填する部分は、支持体手段の移動を始める。水平に形づくるスプリングの形をしている装填する部分は、チャンバーの中心線に垂直な方向にディメンションを変化させることができる。スプリングはますます堅くなる、より高い、チャンバーの圧力。また支持体が定期修理を意味する軸の上のスプリングでありえる。密封部分の直径を減少させることによって、それはその長さを増加させる。これは弾力的に単に少しの変形可能材料の場合である、圧縮することができる、のように、たとえばゴム。したがって、ピストンロッドは、ストロークの初めのこの密閉する手段から突き出ている。密封部分の他の材料が選ばれる場合、その長さはｕｎｃｈａｎｇｅｎｄのままであることがあり、またはその直径を減少させることにより減少することがある。
【１４７７】
図１０４Ａは、異なる横断線断面積の部分を備えた気圧調節するチャンバー２１を備えたピストンポンプを示す。チャンバーは高圧側で冷却するリブ２２を有している。チャンバー（注入）は成型することができる。ピストンロッド２３。キャップ２４は前述のピストンロッドをガイドする。始めおよび３６’のピストン３６、ポンプストロークの終わりに。
【１４７８】
図１０４Ｂは、手段２６によってピストンロッド２３に固定される、弾力的に変形可能な密封部分２５を示す（引かれなかった）。ピストンロッド２３の一部２７は密封部分２５から突き出ている。支持体部分２８は、ピストンロッド２３に固定されるリング２９上で絞首刑にされる。支持体部分２８は軸３０のまわりで回転することができる。部分３１の装填は、ピストンロッド２３上に穴３２に固定されるスプリングを備えている。密封縁３８。
【１４７９】
図１０４Ｃは、ピストンロッド２３の一部２７がほとんどカバーされることを示す、弾力的に密閉して、変形された、２５’を意味する、それは今その長さを増加させており、その直径を減少させた。密封縁’３８。距離、１つの」密封縁３８と中心軸の間で、チャンバーのうちの１９は距離のそのほぼ４０％である、１つの、示された横断線断面の中で。
【１４８０】
図１０４Ｄは、図１０４Ｂの断面Ａ−Ａを示す。装填する部分３１は、ピストンロッド２３の穴３２の１つの終わりで固定される。支持体部分２８およびリング２９。支持体部分はストップ面３３によって止められる（引かれなかった）。支持体部分２８は案内装置３４によってガイドされる（引かれなかった）。
【１４８１】
図１０４Ｅは、図の断面Ｂ−Ｂを１０４Ｃ示す。その支持体は２８を意味する。また、装填する手段３１は、ピストンロッド２３の方へ移動される。リブ２２。図１０４Ｆは、装填する手段３１のための代案を示す。それは、各軸３０の上のスプリング３５を備えている。
【１４８２】
図１０５Ａ、Ｂ、Ｃ、Ｄ、Ｅ、Ｆ、Ｇ、第三の実施形態のＨショー詳細。それは第一の実施形態の変形である。密封部分は、ガスのおよび／または液体培地のための可撓な不浸透性の膜を備えている。この材料は折り目のない３つの方向にそのディメンションを変化させることができる。この密封部分は、チャンバーの壁に密閉するＯリングに装着される。Ｏリングは円周で装填する手段（たとえばスプリング）によって壁に装填される。Ｏリングとスプリングは、支持体にさらに支持される、意味する、それはピストンロッドに固定された車軸のまわりで回転することができる。この支持体手段はスプリングによって装填することができる。
【１４８３】
図１０５Ａは、図１０３Ａのそれにピストンポンプアナログの長手断面を示す。始めおよび４９’のピストン４９、ポンプストロークの終わりに。
【１４８４】
図１０５Ｂは、密閉する手段４０を備えているストロークの初めにピストンが意味することを示す：たとえば応力外皮（すなわち、密閉する手段４１に固定された）：たとえばＯリング。このＯリングは、円周に置かれるスプリング４２によって装填される、密閉は４１を意味する。また、密閉は４０を意味する。スプリング４２の中心軸３９。Ｏリング４１および／またはスプリング４２は、ピストンロッド４５に付けられており、中心軸１９に垂直で位置する軸上４４を回転させることができる支持体手段４３に支持される。それは（圧縮）ポンプストロークの間中圧縮の中で装填されて、ある量の個別の部材’４３を備えている。これらは円周の近くで位置する、密閉は４０を意味する、４１、そしてその、積み荷は４２を意味する。それらはそれを支持する。その支持体は、スプリング４６によって４３を装填することができることを意味する。チャンバー２の壁と支持体の間の角度［ベータ］［イオタ］は、４３を意味する。ピストンロッド４５は入口またはバルブがない。スプリングの形をしている支持するリングおよび／またはを装填するリングは、スプリング４２の代案としてＯリングに装着することができる（引かれなかった）。密封縁４８。
【１４８５】
図１０５Ｃは、ピストンがストロークの終わりに意味することを示す。その、密閉は４０’を意味する、４つの［ガンマ］がストロークの初めによりも厚い：４０と４１．スプリング４６’．壁５と支持体の間の角度［ベータ］２は、ストロークの終わりに４３を意味する。距離、１つの」密封縁４８と中心軸の間で、チャンバーのうちの１９は距離のほぼ２２％である、１つの、示された断面中のストロークの初めに。より小さい距離（たとえば１５％）。」１０％または５％は可能で、ピストンロッド上のピストンの懸濁液の構築のみに依存する。したがって、これは、またすべての他の実施形態に有効である。図１０５Ｄは、支持体を備えた図１０５Ａの断面Ｃ−Ｃが４３、車軸４４およびブラケット４７を意味することを示す。図１０５Ｅは、図１０５Ａからの断面Ｄ−Ｄを示す。
【１４８６】
図１０５Ｆは、チャンバーで図１０５Ｈに図１０５Ｇおよび１１８’のピストン１１８の２つの位置を示す。
【１４８７】
図１０５Ｇは、材料の合成物で作られているピストンを示す。それは、弾性の不浸透性の物質および繊維１１１のスキン１１０を備えている。内圧の下にある場合、ファイバーアーキテクチャーはドームフォームを招く。このフォームはピストン移動を安定させる。代案として、密閉する手段はライナー、ファイバーおよびカバーを備えていることがある（引かれなかった）。ライナーがきつくない場合、不浸透性のスキンは追加されることがある（引かれなかった）。ピストンの圧縮した横のすべての材料は特定のものに応じる、チャンバーの精神の要求を包囲する。スキンは密封部分１１２に装着される。スキンと密封部分内では、バネ力リング１１３は装着されることがある、そして、どれが弾力的にその平面の中で変形することができるか、また、どれがリング１１４のローディングを増強するか。密封縁１１７。
【１４８８】
図１０５Ｈは、ポンプストロークの終わりに図１０５Ｇのピストンを示す。まだいっぱいの過剰圧力がある場合、ドームは圧縮されて形１１５に詰め込まれた。１１０’を形づくる、媒体が解放された後、過剰圧力がたとえば減少する場合、結果である。
【１４８９】
図１０６Ａ、Ｂ、第四の実施形態のＣショー詳細。ピストンは意味する、強化材を有しているゴム管をたとえばまわりに巻かれた織編用糸またはコードの形で備えている。強化材巻回の接線と、ホース（＝いわゆるブレード角度）に素晴らしい中心の間の中性の角度は、５４の［度］４４’であると数学上意図される。内圧の下のホースは強化材の伸びを仮定せずに、ディメンション０ｅｎｇｔｈ（直径）を変化させない。この実施形態では、ピストンの直径は、圧力を増加させることでチャンバーの断面の減少する直径に関しての減少を意味する。ブレード角度は中立よりも広いに違いない。気圧調節するチャンバーの長手断面の主要部分の形は、ほぼピストン手段の振る舞いのため円錐形である。ポンプストロークの終わりに、圧縮した媒体がチャンバーから取り除かれた場合、ピストン手段はその直径を増加させる。また、その長さは減少する。直径増加は実際問題ではない。ピストンから気圧調節するチャンバーの壁までのシール力は、圧力を増加させることにより増加するに違いない。ピストン直径がチャンバーの横断線断面の直径の減少未満で少し減少するように、これは、ブレード角度の選択によってたとえば行われることがある。したがって、ブレード角度も中性の中性のおよび／またはよりも小さいために選ばれることがある。一般的に、ブレード角度の選択は完全に設計仕様に依存する。したがって、ブレード角度はより広いおよび／またはであることがある、より小さいおよび／または、中性。ブレード角度がピストン中の場所から場所に変わることはありえさえする。別の可能性は、ピストンの同じ断面では、いくつかの強化材層が同一のおよび／またはで存在するということである、異なるブレード角度。任意のタイプの強化材材料および／または強化材パターンは使用することができる。強化材層の場所は、ピストンの長手断面のいかなる場所にもあることがある。裏および／またはカバーの量は１以上であることがある。また、カバーが不在であることはありえる。ｐｉｓｔｏ手段はまた手段（たとえば以前に示されたもの）を装填するおよび支持することを備えていることがある。チャンバーの断面のエリアのより大きい変化に適合させることができるために、ピストンの異なる構築が意味するビットは必要である。コーンは、今テンションの下にあるファイバーを備えている。これらは、ピストンロッドの近くの、およびピストンロッドの底のコーンの開放辺でのコーンの上面でともに巻かれる。これらもピストンロッド自体に固定されることがある。これらがより高いテンションの下により高いように、ファイバーのパターンはたとえば設計されている、媒体が圧縮されることになっている場合、圧力はポンプのチャンバーにある。明細書にちょうど依存して、他のパターンはもちろん可能である。それらは、コーンのスキンを変形する、＜”＞、その結果それ、チャンバーの断面に順応する。ファイバーはライナーで緩いことがあるし、あるいはライナーとカバーの間のチャンネルにおいて緩いことがある。あるいは、それらは２つのうちの１つに、または両方の中で統合されることがある。有していることが必要である、１つの、積み荷は得るために意味する、１つの、適切、コーンの下に圧力がまだない場合に、壁に密閉すること装填する部材（たとえばリングの形をしているバネ力部材）、プレートなどは、成形処理で挿入することによりたとえばスキン中の構造であることがある。ピストンが今、テンションによって装填されるので、ピストンロッド上のコーンの懸濁液は、先の実施形態の懸濁液よりもよい。したがって、バランスおよびより少ない材料においてより多くのことは必要である。特定環境条件に応じるスキンおよびピストンのカバーは、弾力的に変形可能材料で作られていることがある、ファイバーが弾力的にあることがある間、あるいは堅い、適切な材料で作られていた。
【１４９０】
図１０６Ａは、チャンバー６０を備えたポンプの長手断面を示す。壁部分６１、６２、６３、６４、６５は、両方とも筒状６１、６５、円錐形の６２、６３、６４である。前述の部分間の遷移６６、６７、６８、６９。始めおよび５９’のピストン５９、ポンプストロークの終わりに。
【１４９１】
図１０６Ｂはピストン手段５０（強化材５１を備えたホース）を示す。ホースはクランプ５２によってピストンロッド６に固定されるかまたは類似している。ピストン６はリブ５６および５７を有している。リブ５６は、ピストンの移動を防ぐ、キャップ７へのピストンロッド６に対して５０を意味し、リブ５７は、ピストンの移動を防いでいる、ピストンロッド６に対して５０をキャップ７から遠ざけて意味する。取り付けの他の配列は可能なことがある（示されない）。ホースの外側においては、突出５３がチャンバー６０の壁６１に対して密閉する。強化材５１に加えて、ホースは５５を並べることを備えている。一例として、カバー５４も示される。ピストン手段の長手断面の形は、例である。密封縁５８。
【１４９２】
ガスのおよび／または液体培地が圧力をかけられているところに、ピストンがストロークの終わりに意味することを１０６Ｃが示す図。ピストンは意味する、直径変化が単に放射状の変更（示されない）によって起こるように設計されることがある。
【１４９３】
図１０６Ｄは、図１０６Ａのチャンバーでポンプストロークにｂｅｇｉｒｉｎｉｎｇすることで、および終わりで図に図１０６Ｅおよび１８９’のピストン１８９を１０６Ｆそれぞれ示す。
【１４９４】
図１０６Ｅは、トップアングル２［イプシロン］￥を備えたコーンの一般的な形をほぼ有しているピストンが意味することを示す。過剰圧力がチャンバーの側にない場合、それが示される。それはピストンロッド１８０上でその上面に装着される。コーンはピストンの加圧された横に開いている。カバー１８１は密封部分を備えている、密封縁１８８および挿入されたバネ力部材１８３を備えた突出１８２として示された、支持体手段およびライナー１８５としてのファイバー１８４。部材１８３は提供する、１つの、カバーに装填すること、その結果過剰圧力がチャンバーの側にない場合、突出１８２がチャンバーの壁を密閉する。ファイバー１８４はチャンネル１８６にある場合がある。また、これらはカバー１８１とライナー１８５の間で位置していて示される。ライナー１８５は、不浸透性のそうでなければある場合がある。加圧された側の個別の層２０９（示されない）はライナー１８５に装着される。ファイバーは、互いへのピストンロッド１８０および／またはへのコーンの上面１８７に装着される。同じことは、ピストンロッド１８０の底部端での場合である。
【１４９５】
図１０６Ｆは、ピストンがストロークの終わりに意味することを示す。トップアングルは今２つの［イプシロン］２および距離である、１つの」密封縁１８８と中心軸の間で、チャンバーのうちの１９は今その距離のほぼ４４％である、１つの、示された断面中のストロークの初めに。
【１４９６】
図１０７Ａ（Ｂ）、Ｃ、Ｄ、ポンプの第五の実施形態のＥショー詳細、非常に高度の緩和と共にすべての三次元において非常に弾性の一次材を備えていて、別の合成構造体として構築されるピストンで。それは、それが自然にきつくない場合、きつくなることがある、で、たとえば、ピストンの加圧された横の曲げることができる膜は意味する。軸の硬質はいくつかの統合補剛材によって実施される、どれ、パターン（それは最良にこの断面を満たす）中の横断線断面嘘の中でその一方で中間の距離が低減されている、より小さい、横断面の断面がそうである横断線の直径、それはほとんどの場合より高いものを意味する、気圧調節するチャンバーの圧力はそうである。ピストンの縦断面では、補剛材は軸方向間のいくつかの角度にある。また、ピストンの表面の方向は意味する。圧力割合が高いほど、これらの角度は、もっと低減され、軸方向の近くで来る。今、したがって、軍隊は支持体手段（たとえばワッシャー）に転送されている。それはピストンロッドに接続される。ピストン手段は大量生産することができ安い。補剛材、また、必要ならば、密閉は、前記可撓な膜の形で意味する、前記一次材と一緒に１つの作業で作られた注入であることがある。たとえば、補剛材は、上面でともに接合されることがある。それは扱いをより簡単にする。また、膜を作ることは可能である、によって」燃えている」それ、射出成形中の、またはその射出成形の後の前記一次材の中で。一次材がｔｈｅｒｍｏｐｌａｓｔである場合、これは明確には便利である。ヒンジは否定よりも「焼成されるべきである。」
図１０７Ｆ、Ｇ、Ｈ、Ｉ、Ｊ、Ｋ、Ｌ、Ｍは、チャンバーの実施形態およびピストン（このチャンバーへふさわしい）の第六の実施形態を示す。ピストンの第六の実施形態は、図１０７Ａ、Ｂ、Ｃ、Ｄ、Ｅの１つの上の変形である。場合、変更「〉ピストンおよび／またはの横断線断面のエリアに、移動の方向の２つの位置間のチャンバーは連続的であるが、これが漏れを招くように、まだ大きい、断面の他のパラメーターの変更を最小化することは有利である。これは円形断面をたとえば使用することにより示すことができる（固定形）：円の円周はＤである。その一方で円の面積は［１／４］［パイ］Ｄ〈２〉である（円のＤ＝直径）。すなわち、Ｄの低減は、単に円周の線形の低減およびそのエリアの二次の低減を与える。また円周を維持し、そのエリアを単に低減することは可能である。また、形がある円にたとえば固着される場合、あるｎ  ｉｎｉｍｕｍエリア。形がパラメーターである場合、高度な数値計算は、使用によりなすことができる、言及されたフーリエ級数展開以下に。ピストンが有していることができる気圧調節するチャンバーおよび／またはの横断線断面、任意のフォーム、また、これは少なくとも１本のカーブによって定義することができる。カーブは閉まっており、２つのユニークなモジュール式パラメター化フーリエ級数展開によってほぼ定義することができる、各々のための１、機能を調整する：
【数２４】
2014527601.tif 000026
【１４９７】
ここで、
【数２５】
2014527601.tif 000027
【１４９８】
ｃｐ＝ｃｏｓ−ｆ（ｘ）の加重平均値
ｄｐ＝ｓｉｎ−ｆ（ｘ）の加重平均値
ｐ＝三角関数の公差のオーダーを表す
三角法の粉末度図の順序を１０７Ｆ表わすこと、次の公式の中で１セットの異なるパラメーターを使用することによる前記カーブの１０７Ｋのショー例。これらの例において、２つのパラメーターだけが使用された。より多くの係数が使用される場合、カーブがある最大半径および／または（たとえば所与の前提の下である最大を超過しないことがある密封部分中のテンションのための最大）を有している遷移をたとえば曲げるとともに、他の重要な要求に応じる最適化されたカーブを見つけることは可能である。一例として：図１０７Ｌ、１０７Ｍショーは、拘束の下の平面の中で境界のある領域の可能な変形に使用されるべき卵形線および非凸状カーブを最適化した、境界カーブの長さは固着される。また、その数の曲率がｍｉｒｉｉｒｎｉｚｅｄされる。スタートするエリアの使用、およびそれがそうであるスタートする境界長さによって、ある希望の目標地域のためのできるだけ小さい曲率を当てにするのに可能。
【１４９９】
チャンバーの長手断面の中で示されるピストンは、主として横断線断面の境界カーブが円形であるというその場合のための引かれた。すなわち：チャンバーが横断線断面を有しているというその場合に、によって、たとえば図１０７Ｆに非円形のもの、１０７Ｋ、１０７Ｌ、ピストンの長手断面の形がそうであることがある１０７Ｍ、異なる
すべての種類の閉曲線はこの公式（たとえばＣ曲線）で説明することができる（ＰＣＴ／ＤＫ９７／００２２３（図１Ａ）を参照）。これらのカーブの１つの特性は、ラインが断面にある数学的な柱から取り出される時、それがカーブと少なくとも１回交差するということである。続くカーブは断面の中にラインの方へ対称的で、単一のフーリエ級数展開によって生成したことがある。ピストンまたはチャンバーはより多くである、横断線断面のカーブが数学的な柱を通って断面にあるラインを参照して対称な場合に作製することが容易。そのような正則曲線は、ほぼ単一のフーリエ級数展開によって定義することができる：
【数２６】
2014527601.tif 000028
【１５００】
ここで、
【数２７】
2014527601.tif 000029
【１５０１】
ｃｐ＝ｃｏｓ−ｆ（ｘ）の加重平均値
ｐ＝三角関数の公差のオーダーを表す
ラインが数学的な柱から取り出される時、それは常にカーブと１回だけ交差する。ピストンによってほぼ定義することができるチャンバーおよび／またはの断面の特定の決まったセクター、次の公式：
【数２８】
2014527601.tif 000030
【１５０２】
ここで、
【数２９】
2014527601.tif 000031
【１５０３】
ｃｐ＝ｃｏｓ−ｆ（ｘ）の加重平均値
ｐ＝三角関数の公差のオーダーを表す
そしてここで、この断面、の中で、極性を有する、ほぼ調和する、次の公式によって表わされる：
【数３０】
2014527601.tif 000032
【１５０４】
ここで、
【数３１】
2014527601.tif 000033
【１５０５】
ここで、
ｒ＝活性化するピンの円形断面中の「花弁」の限界、
ｒ０＝活性化するピンの軸のまわりの円形断面の半径、
ａ＝「花弁」の長さのスケールファクター；
ｒｍａｘ＝ｒ０＋ａ；
ｍ＝「花弁」幅の定義のためのパラメーター；
ｎ＝「ｐｅｔａｌｓ」の数の定義のためのパラメーター、
φ＝カーブを制限する角度。
【１５０６】
入口は、ピストン手段の密封部分の性質のためストロークの端に接近して置かれる。
【１５０７】
これらの特定のチャンバーは射出成形によって作製されることがある。また、たとえば、またいわゆる超塑性成形方法の使用によって、アルミシートが加熱され、気圧によって押される場所はツールキャビティで強要したか、またツール移動を使用して生じた。
【１５０８】
図１０７Ａは、筒状部分７１を備えた縦断面中の気圧調節するチャンバー７０を備えたピストンポンプ（連続的凹状カーブ部分７３（ほとんど筒状部分７５への別の遷移７４）への遷移７２）を示す。ピストンは、７６’および７６がポンプストロークの終わりに最初にそれぞれ示されることを意味する。出口チャンネル７７の終わりに、チェックバルブ７８は装着することができる（示されない）。
【１５０９】
図１０７Ｂは、ピストンが７６を意味することを示す、低圧でピストンの縦断面を与える弾性素材７９を備えていること、ほぼコーンのフォーム。また装填する手段としての材料７９機能。ボトムは備えている、１つの、密閉は８０を意味する、それは折り重ねることができる、半径方向にこれ、密閉は、８０がまた働いていることを意味する、として、１つの、積み荷は意味する。主支柱は意味する、補剛材８１が主としてどれを支持するかに、補剛材８１および８２から構成される、ピストンの密封縁８３は気圧調節するチャンバー７０の壁に意味する。その一方で他の補剛材８２は積荷を転送している、から、密閉は８０を意味する。また、支持体への一次材７９は８４をたとえば意味する、ピストンロッド６にそれ自体支持されるワッシャー。その、密閉は、８０がピストンのこの位置にあることを意味する、７６をまだ意味する、折り重ねられた少量、その結果８５  ｗｉｌ１１Ｏａｄを折り重ねる、密封縁８３、より多くの物、より高い、圧力はチャンバー７０にある。補剛材８２は、共同の８６までに上面でともに接合される。ピストンのこの位置の中で、７０を意味する、補剛材８１および８２、中心軸１９を備えた、［ガンマ］と［デルタ］の間の角度を有していること、［デルタ］が気圧調節するチャンバー７０の中心軸１９とほぼ平行な。ピストン７６の表面と中心軸１９の間の角度ｃ  ｉ。
【１５１０】
図１０７Ｃは、ピストンがポンプストロークの終わりに７６’を意味することを示す。その、密閉は、補剛材８１と８２を招いて、弾性素材７９がともに圧搾されている一方、８０がともに折り重ねられたことを意味する、ほぼ中心軸１９と平行であると指示される。ピストンの表面間の角度［ファイ］２は７６’を意味する。また、中心軸１９は肯定的である、しかしほとんど０。距離、１つの」密封縁８３と中心軸の間で、示された断面のうちの１９はその距離の３９％である、１つの、ストロークの初めに。密閉する手段’８０。
【１５１１】
図１０７Ｄは、基礎的な弾性素材７９（補剛材８１および８２）が密閉する手段８０のうちの８７を折り重ねることを示して、ピストンの横断線断面ｅ−Ｅが７６を意味することを示す。ピストンロッド６。
【１５１２】
図１０７Ｅは、基礎的な弾性素材７９を示して、ピストンの横断線断面Ｆ−Ｆが７６’を意味することを示す、補剛材８１および８２は８７を折り重ねる、密閉は８０を意味する。明白に示された、弾性素材７９がともに圧搾されるということである。
【１５１３】
図１０７Ｆは、そのエリアがあるステップで減少するチャンバーの一連の横断線断面を示す。その一方で円周は一定のこれらのままである、２つのユニークなモジュール式パラメーター化フーリエ級数展開によって定義される、各々のための１、機能を調整する。残された上面では、前記シリーズのスタート断面である断面がある。使用されるパラメーターのセットは図の底に示される。このシリーズは、横断線断面の減少するエリアのを示す。数、の中で、図において大胆、スタートするエリアサイズとして上げたままにしておかれた隅のものと共に、異なる形の減少する断面積のを示す。
【１５１４】
断面ボトムの形のエリア、正しい、残された上面の１つのほぼ２８％である。
【１５１５】
図１０７Ｇは、チャンバー１６２（それに中心軸に沿った円周のままであることにより、横断線断面積は変わる）の長手断面を示す。
【１５１６】
ピストン１６３。チャンバーは、壁セクション１５５、１５６、１５７、１５８のその横断線断面の異なる断面積の部分を有している。前記壁セクション間の遷移１５９、１６０、１６１。断面Ｇ−Ｇ、Ｈ−−ＨおよびＩ−Ｉが示される。断面Ｇ−Ｇはｃｉｒｃｌｅｒｏｕｎｄ断面を有している。その一方で断面Ｈ−−Ｈ  １５２は、断面Ｇ−Ｇの１つの９０−７０％の間のエリアをほぼ有していている。
【１５１７】
図１０７Ｈは、比較断面Ｇ−Ｇ  １５０として図１０７Ｇの、および点線中の横断線断面Ｈ−−Ｈ  １５２を示す。断面Ｈ−−Ｈは、断面Ｇ−Ｇのその９０−７０％の間のエリアをほぼ有している。遷移１５１（それは静穏になる）。また、チャンバーの最も小さい部分が示される。それは、断面Ｇ−Ｇの断面積のほぼ５０％を有している。
【１５１８】
図１０７１は、比較断面Ｇ−Ｇとして図１０７Ｇの、および点線中の横断線断面Ｉ−Ｉを示す。断面Ｉ−Ｉつは、断面Ｇ−Ｇのその７０％のエリアをほぼ有している。遷移１５３は静穏になる。また、チャンバーの最も小さい部分が示される。図１０７Ｊは、図１０７Ｇからの断面Ｈ−−Ｈで図１０７Ａ−Ｃのピストンの変形を示す。ピストンは、今個別の密閉する手段が必要でないように、また、不浸透性の弾性素材で作られている。距離ｃおよびｄは異なる、そしてそれによって、同じ横断線断面Ｈ−−Ｈでピストンの変形。
【１５１９】
図１０７Ｋは、そのエリアがあるステップで減少するチャンバーの一連の横断線断面を示す。その一方で円周は一定のこれらのままである、２つのユニークなモジュール式パラメーター化フーリエ級数展開によって定義される、各々のための１、機能を調整する。残された上面では、前記シリーズのスタート断面である断面がある。使用されるパラメーターのセットは図の底に示される。このシリーズは、横断線断面の減少するエリアのを示す。しかし、また、円周定数のままであることによりこれらのエリアを増加させることは可能である。数、の中で、図において大胆、スタートするエリアサイズとして上げたままにしておかれた隅のものと共に、異なる形の減少する断面積のを示す。
【１５２０】
断面積右下のサイズはスタートするエリアサイズのほぼ４９％である、左（上面）。
【１５２１】
図１０７Ｌは、境界カーブのある固定長のための最適化された卵形線、およびできるだけ小さい曲率を示す。最も小さい曲率半径のための通式、図の中で１０７Ｌ示される図の最大の曲率に対応する、次のとおりである：
【数３２】
2014527601.tif 000034
【１５２２】
ｙにより特定される長さは、以下の式によって、定められる。
【数３３】
2014527601.tif 000035
【１５２３】
ここで、
ｒ＝最も小さい曲率半径
Ｌ＝境界長さ＝定数
Ａ１＝スタートするエリアサイズＡ０の減少した値
図１０３Ｄからの例として：領域エリアＡ０＝π（３０）２、そして境界長さＬ＝６０π＝１８８．５、半径３０のディスクのエリアおよび境界長さに対応する長さは一定のために必要とされる。しかし、そのエリアは、指定されるべき値阿井へ減少する。希望の最終配列はエリアＡ１＝π（１９／２）２＝２８３．５．境界カーブのできるだけ小さい曲率を備えた卵形線は今ある：
ｒ＝１．５４；Ｋ＝ｌ／ｒ＝０．６５；ｘ＝８９．４．
図の上のカーブは規模でない。また、図は原理だけを示す。
【１５２４】
カーブは、壁へのピストンのシーリングを改善することがあるカーブによって直線を交換することによりさらに最適化されることがある。
【１５２５】
図１０７Ｍは、境界カーブのある固定長のための最適化された非凸状カーブ、およびできるだけ小さい曲率を示す。最も小さい曲率半径のための通式、図の中で１０７Ｌ示される図の最大の曲率に対応する、次のとおりである：
【数３４】
2014527601.tif 000036
【１５２６】
ｘによって指定された長さは、次のものによって決定される：
【数３５】
2014527601.tif 000037
【１５２７】
ここで；
ｒ＝最も小さい曲率半径；
Ｌ＝境界長さ＝定数。
【１５２８】
Ａ１＝スタートする領域エリアＡ０を減少した値
境界カーブのできるだけ小さい曲率を備えた非凸状カーブ（２倍のストリングの類似の中間のカーブの明白な修正を備えた）：ｒ＝６．３；Ｋ＝１／ｒ＝０．１６；ｘ＝４２．
図の上のカーブは規模でない。また、図は原理だけを示す。
【１５２９】
図１０８Ａ（Ｂ）、Ｃ、ピストンと共に、ポンプの第七の実施形態を示す、意味する、それは別の合成構造体として構築される、圧縮可能な媒体を備えていること、として、たとえば、ガス状媒体、のように、例えば、構築されるクローズドのチャンバー内の空気（また可能である：非圧縮可能な媒体だけ、として、たとえば水のような液体培地または圧縮可能なことの組み合わせおよび非圧縮可能な媒体）として、たとえば補強ホース。ピストンの加圧された横の裏、強化材およびカバーが意味することはありえることがある、それとは異なる、側ここでスキンを加圧していない、あらかじめ決まった形状のスキンとして構築することができる、保持、ポンプストローク中のこの形。また、スキンが２つ以上の部分で作られていることはありえる、どれ、それ自体、あらかじめ形状で、形成される、ピストンの加圧されていない横の一つは意味する、他方、加圧された側（図１０８Ｂ部分ＸがそれぞれＹ＋Ｚを分割すると参照）で。ポンプストロークの間中、２部は互い次第で決まる（図１０８Ｂ  ＸＹおよびＺＺを参照）。横断線断面中のチャンバーへの密封縁の適応は、その密封縁でピストンの断面の変更を招くことがある。また、これは、ピストンの内側のボリュームの変更を招くことがある。この体積変化率は、圧縮可能な媒体の圧力の変化を与えることがあり、変化させられたシール力を招くことがある。さらに、それがピストンロッドにピストン上の積荷を転送するとともに、支持体部分としての圧縮可能な媒体機能。
【１５３０】
図１０８Ａは、終わりでのポンプストロークの初めのピストン９２および９２’と共に、連続的卵形線９１をこれについて備えていて、気圧調節するチャンバー９０の縦断面を示す。チャンバー９０の高圧部分は、チェックバルブ９５および９６の両方を備えた、出口チャンネル９３および入口チャンネル９４をそれぞれ備えている（示されない）。低圧目的のために、チェックバルブ９５は削除することができる。
【１５３１】
図１０８Ｂは、並ぶ９９以内の圧縮可能な媒体１０３、強化材１００およびカバー１０１を備えていて、ピストンロッド９７上で直接硫黄で処理されるピストン９２を示す。それが部分Ｙを持っていて、ピストンの加圧部分のＺが９２を意味するので、スキン９９、１００、１０１の部分Ｘは前形状である。ヒンジＸＹはスキンの部分Ｘおよび部分Ｙの間で示される。部分Ｘは、与圧室９０の中心軸１９を備えた平均角度ｒｎを有している。部分ＹおよびＺは互いに接続され中間の角度［カッパ］［イオタ］を有している。軍隊が主としてピストンロッドに向けられるように、それが選ばれる。部分Ｙ’とＺ’の間の角度［ラムダ］、またある、選ぶ、その結果より高い、チャンバーの力、より多くの物、この部分は中心軸に垂直である。部分Ｚの半分間のヒンジＺＺ。密封縁１０２。
【１５３２】
図１０８Ｃはストロークの終わりにピストンを示す。スキンの部分Ｘ’は、今中心軸を備えた角度［イータ］２を有している。その一方で部分Ｘ’およびＹ’は中間の角度［カッパ］２、およびＹ’とＺ’の間のほぼ不変の角度［ラムダ］を有していている。部分Ｚの部分の半分間の角度はほぼ０である。距離、１つの」密封縁１０２と中心軸の間で、示された横断線断面中のチャンバーのうちの１９は距離のほぼ４０％である、１つの、ストロークの初めに。密封縁’１０２および圧縮した媒体’１０３。
【１５３３】
図１０９Ａ、Ｂ、Ｃ、固定のディメンションを備えた気圧調節するチャンバーの組み合わせのＤショー詳細、およびそのディメンションを変化させることができるピストンの８つの実施形態。ピストンは、チャンバーの横断線断面を満たす膨張式の本体である。ストロークの間中、それは絶えず上にそのディメンションを変化させることがある、そして近く、密封縁。材料は弾力的に変形可能なライナーの合成物であることがある。また、支持体は意味する、のように、たとえばファイバー、織物、ｆｉｌａｔｅｍｅｎｔ、同様物（たとえばグラス、ホウ素、カーボンまたはアラミド）。ファイバーアーキテクチャーへの依存、そしてその、総、結果、装填、の上で、ピストンピストンは示される、ビットを有していること、内部、過剰圧力それは、球体またはほぼｅｌｌｅｐｔｉｃａｌなカーブ（「ラグビー、ｂａｌｌ’−状のフォーム）のフォームまたはどんな形もほぼ中間に招くことがある、またまた他の形。横断線断面積の減少、たとえば、チャンバーは、ファイバーアーキテクチャーのため方向および３−次元の低減が可能なことの中で膨張式の本体のサイズの減少を引き起こす、それは上に基づく」格子効力」ファイバーが層的に互いからのｉｎｄｅｐｅｎｄｅｎｄｙを刈っている。カバーも、弾力的に変形可能材料（チャンバーの特定環境条件にふさわしい）で作られている。場合、ライナー、および、カバーは不浸透性である、本体がガスのおよび／またはを包含しているので、本体の内側の個別のブラダーを使用することは可能である、液体培地。テンションの中でよりもこれらがそうであるので、本体の内側の圧力が外側よりも大きい場合、たとえば、ファイバーが強さだけを独力で与えることができるとともに、その支持体は意味する。この圧力状態は適切なシーリングおよび寿命を得るのに望ましいことがある。チャンバーの圧力が絶えず変わる場合があるので、本体の内側の圧力は同じことをしもう少し高くあるべきか、または一定のままであることによりポンプストロークのどの時点でも常により高くあるべきである。他の方法で、ピストンがチャンバーで群がることがあるとともに、最後の溶液は単に低圧に使用することができる。チャンバーの高圧については、配列はそうであることがある、必要、その結果内圧、チャンバー＋の中の圧力の変化に従って変わる、もう少し高くあるべきである。これはいくつかの異なる装置を装填する調整によって達成されることがある、手段どれ、の内側の他の原理がそうである媒体の温度を変化させるピストンおよび／またはの内側の媒体のボリュームおよび／または圧力を変化させるために原理に基づく、可能、また、として、たとえばピストン（たとえば特定のゴム活字）のスキンの材料の正しい選択、変形能、、または膨張式の本体の内側のボリュームの圧縮することができる部分の相対量の正しい選択およびそのｃｏｍｐｒｅｓｓａｂｉｌｉｔｙを定義するのが、ｅ−モジュールである場合。。ここに、１つの、圧縮しない、可能な、媒体、ピストンの内側の使用される。密封縁の横断線断面積のサイズの変化によって、移動の方向のピストンのサイズが一定であるので、ピストンのボリュームは変わることがある。この変更は引き起こす、圧縮しない、可能な、媒体、流れに、に、あるいはから、バネ力は動作した、中空ピストンロッドの内側のピストン。また、前記バネ力操作されたピストンが他のところに位置していることはありえる。前記バネ力のためピストンのボリュームの変化および圧力の変化によって引き起こされた圧力の組み合わせは、あるシール力を招く。シール力のための素晴らしいＵｉｎｉｎｇとしての前述のバネ力工場。改良負荷変動分は交換により達成されることがある、圧縮しない、可能な、媒体、ある組み合わせによって、１つの、圧縮することができる、そして１つの、圧縮しない、可能な、媒体、ここで、積荷を規制する手段としての圧縮することができる媒体工場。一層の改善は、それが下側シール力および下側摩擦のため、ピストンの取り消しをより簡単にするので、チャンバーのピストンの作業力によって前記スプリングがいつ交換されるかである。明確には、媒体が速くどれをウォーミングアップすることができるか決められる場合、ピストンの内側の媒体の温度賃上げが達成されることがある。
【１５３４】
図１０９Ａは、ストロークの終わり’１４６にストロークの初めの図１０９Ｂ、および図１０９Ｃのピストン１４６を備えた図１０８Ａの気圧調節するチャンバーの長手断面を示す。
【１５３５】
図１０９Ｂは、パターンを有しているファイバー１３０を備えている壁を有している膨張式の本体を備えたピストン１４６を示す。その結果、膨張した本体は球体になる。カバー１３１およびライナー１３２。不浸透性のブラダー１３３は球体の内側の示される。球体は、ピストンロッド１２０に直接装着される。それは、キャップ１２１による１つの終わり、およびキャップ１２２によるもう１つの端でロックされる。ピストンロッド１２０のくぼんだチャンネル１２５は、球体の内側のその側の穴１２３を有している、その結果その、積み荷はたとえばあることを意味する、１つの、球体内に包含されていた圧縮可能な媒体１２４に、ピストンロッド１２０のチャンネル１２５間で自由に流れることができる。チャンネル１２５のもう１つの端は、スプリング１２７によって装填される可動ピストン１２６によって閉じられる。スプリングはピストンロッド１２８に装着される。スプリング１２７は、球体とシール力内に圧力を中へ合わせる。気密面１２９はほぼ線接触中である、で、チャンバーの隣接した壁の。ファイバーは単に概略的に示される（この出願のすべての図面の中で）。
【１５３６】
断面のエリアが最も小さいところで、図１０９Ｃは、ストロークの終わりに図１０９Ｂのピストンを示す。球体は、今チャンバーの隣接した壁とそろいの、はるかに大きな気密面１３４を有している。ピストン１２６は、非圧縮可能な媒体’１２４が歪曲された球体から絞られたので、図９Ｂの中で示されるその位置に関して移動した。摩擦推力を最小化するために、気密面でのカバーがリブ（示されない）を有しているか、低い摩擦のコーティングを有していることがあることはありえる（示されたチャンバー否定の壁のほかに）。キャップ１２１および１２２のどれもピストンロッド１２０に沿って移動することができないとともに、格子効果は単にスキンの材料余剰の一部になりえる。残りは示す、として、１つの」肩」寿命を相当に低減することがあり、それが同様に摩擦を増加させている１３５．密封縁’１２９。距離、１つの」密封縁’１２９と中心軸の間で、示された横断線断面中のチャンバーのうちの１９は距離のほぼ４８％である、１つの、ストロークの初めに。
【１５３７】
図１０９Ｄは、球体の内側の圧縮不可能な媒体１３６および圧縮可能な媒体１３７を有していることにより、シール力の改良チューニングを示す。媒体の圧力は、シーリングリング１３９、および操作力に直接接続されるピストンロッド１４０を備えたピストン１３８によって規制される。ピストン１３８は球体のシリンダー１４１に滑ることができる。停止１４５は、ピストンロッド１４０上の球体を安全にする。
【１５３８】
図１１０Ａ（Ｂ）、Ｃ、改良寿命およびより少ないｆ  ｉｃｔｉｏｎを意味する、チャンバーの小断面断面によるスキンの余剰を解放することができる場合改良ピストンを示す。この方法は、ピストンロッド上のピストンの懸濁液がおよび／またはを翻訳することができるという事実に関係がある、チャンバーで最も大きな圧力があるところに、ピストンの側から一層の位置へのピストンロッド上に回転する。別の装填する規制する手段としてのピストンロッド機能上の可動キャップと停止の間のスプリング。
【１５３９】
図１１０Ａは、ピストン１６８の２つの位置を備えた本発明によるポンプのチャンバー１６９の長手断面をそれぞれ示す、１６８’．膨張した時、図１１０Ｂは、球体−ｅｌｌｉｐｓｏｉｄｅをほぼ招くファイバーアーキテクチャーを備えた少なくとも２つの層の中でファイバー１７１を備えた膨張式のスキンを備えたピストンを示す。ピストンの内側の、スキンがきつくない場合、不透水層１７２でありえる。媒体は圧縮可能な媒体１７３の組み合わせである、たとえば放映する、そしてｉｎｃｏｍｐｒｅｓｓａｂｌｅな媒体１７４、たとえば給水する。スキン１７０はピストンロッド１７６に固定されるキャップ１７５にピストンロッドの終わりに取り付けられる。スキンのもう１つの端は、ピストンロッド１７６上に滑ることができる可動キャップ１７７に固定されたｈｉｎｇｅｎｄである。（１７８−どれ）キャップ１７７は、ピストンロッド１７６に固定されるワッシャー１７９の方へもう１つの端で圧搾されるスプリングによってチャンバー１６９の加圧部分の方へ押される。密封縁１６７。
【１５４０】
図１１ＯＣは、ポンプストロークの終わりに図１１ＯＢのピストンを示す。スプリング１７８’が圧縮される。同じことは、ｉｎｃｏｍｐｒｅｓｓａｂｌｅな媒体’１７４および圧縮可能な媒体’１７３に有効である。スキン’１７０は変形され、今大きな気密面’１６７を有している。距離、１つの」密封縁１６７とチャンバーの中心軸の間で、距離のほぼ４３％である、１つの、ストロークの初めに。
【１５４１】
図１１１Ａ（Ｂ）、Ｃ、ピストンロッド上の移動の方向のその端両方で材料の余剰を遠方に行なう可動キャップを有しているピストンを示す。これは、一方向のピストンポンプ中のピストンのための改善であるが、明確にはそうである、可能、どんなストローク（また取り消しストローク）もポンプストロークである場合に、２重の動作するポンプの中でピストンを使用するために今。作業中のスキンの移動は、間接的にピストンロッド上の停止のため制限されている。チャンバーの媒体の圧力がピストンロッドからピストンを剥ぐことができないように、これらは位置する。
【１５４２】
図１１１Ａは、最初、およびストロークの終わり（２０８’）に改良ピストン２０８を備えたチャンバーの長手断面を示す。
【１５４３】
図１１１Ｂは、ピストン２０８の９番めの実施形態を示す。球体のスキンは図１０の１つと比較可能である。不透水層１９０、の内側の、きつく上面のキャップ１９１およびボトム中のキャップ１９２に今圧搾される。前記キャップの詳細は示されない。また、すべての種類の集まる方法が使用されてもよい。両方のキャップ１９１と１９２はおよび／またはを翻訳することができる、ピストンロッド１９５上に回転する。これは示されないたとえば異なるタイプのベアリングとして様々な方法によって行うことができる。上面のキャップ１９１は、単にピストンの内側の停止１９６のｅｘｉｓｔａｎｃｅのために上方へ移動することができる。停止１９７が移動以上を防ぐので、ボトム中のキャップ１９２は単に階下に移動することができる。その」チューニング」シール力の、球体の内側のｉｎｃｏｍｐｒｅｓｓａｂｌｅな媒体２０５および圧縮可能な媒体２０６の組み合わせを備えている、バネ力は動作した、ピストンロッド１９５の内側のピストン１２６。媒体は、自由に穴１９９、２００、２０１を通ってピストンロッドの壁２０７を通って流れることができる。上面もの、およびボトム中の前記キャップの中の前記キャップ中のＯリングまたは同様物２０２、２０３、それぞれピストンロッドへのキャップ１９１と１９２を密閉する。キャップ２０４、ピストンロッド１９５の終端でのねじ込のアッセンブリーが締まるとともに、示した、ピストンロッドは言った。比較可能な停止は、スキンの要求された移動に依存して、ピストンロッドのどこか他のところに位置することができる。
【１５４４】
図１１１Ｃは、ポンプストロークの終わりに図１１１Ｂのピストンを示す。上面のキャップ１９１は距離ｘの上に移動される」停止１９６からその一方で底キャップ１９２は停止１９７に対して押されている。圧縮可能な媒体’２０６および非圧縮可能な媒体’２０５。
【１５４５】
図１１２Ａ（Ｂ）、Ｃ、初期のものに関しての改良ピストンが有していることを示す。その改善は、明確にはより小さい断面積によって装填する規制する手段（より小さい密閉する接触面による摩擦の低減）によってシール力のよりよい調色と関係する。改良チューニングは、同じピストンロッド、およびどれがピストンロッド上の作業力の存在と無関係のそれによるか上の１ペアのピストンのためチャンバーの圧力によって今ピストンの内側の圧力が直接影響を受けるという事実に関係がある。作業力が変わる場合、これはポンプストロークでの停止の間に明確には有利なことがある、シール力が一定のままで、シーリングの損失が生じないので、たとえば増加する。ポンプストロークの終わりに、チャンバーの圧力が減少する時、取り消しは下側摩擦推力のためより容易になる。２重の動作するポンプの場合には、装填する規制する手段が、この積荷を規制する手段の２倍のａｒｒａｎｇｅｎｍｅｎｔによってピストンの両側によってたとえば影響を受けることがある（示されない）。ピストンの示された配列は、明細書に準拠している：たとえば、チャンバーの圧力の増加は、ピストンの圧力の増加を与える。他の明細書は他の配列を招くことがある。増加が線形的関係とは異なることができるように、関係が設計されることがある。その構築はピストンロッドによって接続される１ペアのピストンである。ピストンは等しいエリアを有していることがある、異なるサイズおよび／または、変わるエリア。
【１５４６】
特定のファイバーアーキテクチャーのため、そしてその、総、結果、それ（装填する）は、ビットｉｎｔｅｒｎａで示される］長手断面中のピストンの過剰圧力形は、菱形の図である。２（気密面（それはチャンバーのより小さい横断線断面によって低減されたコンタクト域を与える）としてのこの分割進捗作業方式のその来訪者に）。接触面のサイズは、ピストンのスキンの畝織りの外側表面の存在によってまだ増加されることがある。ピストンの外側が有していることができるチャンバーおよび／またはの壁、コーティング、として、たとえば、ナイロン、あるいは低フリクション摩擦材で作ることができる。
【１５４７】
引かれなかった、横断線横断面形状を有しているチャンバーの可能性である、によって、たとえば図１０７Ｆのもの  ３本の別個のピストンを有している（この場合例として）ピストンで、によって、たとえば図１１２Ａ−Ｃ  どれ、各々、第一の円形断面積（図１０７Ｆの上面、左）のシール、互いに、そして境界カーブ、チャンバーの縦の軸の別の点でいる間、各シール、３つのローブ形の部分のうちの１つおよび互い（図７Ｆ（たとえば上面、右））、まだ別のものでいる間、各シールを指示する、３つのローブ形の部分のみのうちの１つ。
【１５４８】
図１１２Ａは、チャンバー２１６に最初、およびストロークの終わり（２２２’）にピストン２２２の１０番めの実施形態を備えたピストン燃焼室の組み合わせの長手断面を示す。
【１５４９】
図１１２Ｂは、メインの構築が図１１Ｂおよび１１Ｃに説明されるピストンを示す。スキンは外部のリブ２１０で備えている。内部のスキンおよび不透水層１９０は、内奥２１１と外側部分２１２の間の上面で圧搾される。それはともにねじで留められる。ボトムでは、同様の構築は内奥２１３および外側部分２１４で存在する。ピストンの内側の、圧縮可能な媒体２１５がある、またノナ圧縮可能な媒体２１９。ピストンの内側の圧力は、チャンバー２１６の圧力によって直接活性化されるピストン配列によって調整される。反対側では、別のピストン１４９が装着されている一方、気圧調節するチャンバー２１６に接続されるボトム中のピストン１４８は、ピストンロッド２１７に装着される、そしてそれはピストン２２２の媒体に接続される。ピストンロッド２１７は２１８−他にタイプを運ぶ滑り軸受によってガイドされる、また使用することができる（示されない）。（直径それ）ピストンロッド２１７の両側上のピストンは有していることができる、異なる、これらが可動のシリンダー２２１が２つのチャンバー（それらはそれこの発明によって一致するタイプでありえる）によって交換されることはありえさえする、また、ピストンおよび／またはピストンはこの発明を与えるタイプである。密封縁２２０。ピストンロッド２２４。ピストン１４８とオリフィス２２３の間の距離ジ。
【１５５０】
チャンバー２１６には高圧がまだある間、図１１２Ｃはストロークの終わりに図１１２Ａのピストンを示す。密封縁’２２０。積荷規制は、１４８’がチャンバーへのオリフィス２２３とは異なる距離を有していることを意味する。ピストン’１４８および１４９’は、オリフィス２２３からの図１１２Ｂの中でよりも大きい距離に位置して示される：ｄ２．図１１３Ａ（Ｂ）、Ｃ、固定幾何学的図形で横断線断面の異なるエリアを備えた弾力的に変形可能な壁を備えた気圧調節するチャンバーおよびピストンを備えたポンプの組み合わせを示す。ハウジング内に、として、たとえば、固定幾何学径を備えたシリンダー、媒体（非圧縮可能なおよび／または、圧縮可能な媒体）によって膨張式の膨張式のチャンバーは位置する。また、前記ハウジングを回避することができることはありえる。ライナーファイバーカバー合成物をたとえば備えている膨張式の壁、あるいはまた不浸透性のスキンを追加した。ピストンの気密面の角度は、移動と平行な軸に関してのチャンバーの壁の相対的な角度よりももう少し大きい。前記角度と事実の間のこの差、ピストンによる壁のｍｏｍｅｎｔａｎｅｏｕｓな変形、遅れた（チャンバーおよび／またはの壁のビスコースの非圧縮可能な媒体をたとえば有していることによって、積荷を規制する手段（それらはピストンのための示されたものに似ている）の正しい調色）ビットが提供する場所を行なう、密封縁（２つピストンおよび／またはチャンバー位置間の移動の間のチャンバーの中心軸へのその距離は、それに変わることがある）。これはストロークの間中、およびそれ、設計することができる作業力によって断面積変更を提供する。しかしながら、移動の方向のピストンの断面は、また等しいことがある、あるいはチャンバーインの壁の角度に関しての負の角で、これらの場合」ノーズ」ピストンの、丸くなられるべきである。最後の言及された場合では、変わる断面積を提供するべきほうが難しいことがある、そしてそれ、設計することができる作業力によって。チャンバーの壁は装備していることがある、すべて、既に示されていた、装填、規制する、ものが図１１２Ｂに示したことを意味する、また、形を規制する手段で必要な場合。チャンバーのピストンの速度はシーリングに効果があることがある。
【１５５１】
図１１３Ａはチャンバー２３１のピストンの４つの位置でピストン２３０を示す。
【１５５２】
膨張式の壁のまわりで、固定幾何学径を備えた収納する２３４．前記壁２３４の内に、圧縮可能な媒体２３２および非圧縮可能な媒体２３３。壁のインフレーションのためのバルブ配列があることがある（示されない）。加圧されていない側のピストンの形は密封縁の原理を示すべき例だけである。終わりでの、および示された横断線断面中のストロークの初めの密封縁間の距離は、ほぼ３９％である。長手断面の形は示されたものとは異なることがある。
【１５５３】
図１１３Ｂはストロークの始めの後にピストンを示す。密封縁２３５および中心軸２３６からの距離は、ｚ￥である。ピストン密封縁２３５とチャンバーの中心軸２３６の間の角度［ｘｉ］。チャンバーの壁と中心軸２３６の間の角度ｖ。角度ｖは角度［グザイ］未満で示される。密封縁２３５は、角度ｖが角度［グザイ］と同じくらい大きくなると整える。
【１５５４】
ピストンの他の実施形態は示されない。
【１５５５】
図１１３Ｃはストロークの間中ピストンを示す。密封縁２３５および中心軸２３６からの距離は、ｚ２−この距離である、ｚｙよりも小さい。
【１５５６】
図１１３Ｄはほとんどストロークの終わりにピストンを示す。密封縁２３５および中心軸２３６からの距離は、ｚ２ある未満のｚ３−この距離である。
【１５５７】
図１１４は、変わりやすい幾何学的図形（それらは連続的シーリングを可能にして、ポンプストロークの間中互いに適合させる）を有しているチャンバーおよびピストンの壁の組み合わせを示す。示された、今非圧縮可能な媒体２３７、およびストロークの初めのピストン２２２だけでＦｉｇ．ｌ３Ａのチャンバーで、ピストン２２２”はストロークの端の直前に示されている。ディメンションを変化させることができるピストンのまたすべての他の実施形態はここでまた使用することができる。ピストンの速度の正しい選択および媒体２３７の粘性は、作業に肯定的な効果があることがある。図１４に示されるチャンバーの縦の横断面形状は、また異なることがある。
【１５５８】
［６５３  好適な実施の形態］
図２０１Ａは、非与圧室１つの第一の縦位置で動いていない加圧されていないピストン５の長手断面を示す、その位置で有していること、１つの、一定半径を備えた円形断面。ピストン５は生産サイズをほぼ有していることがある、この第一の縦位置のチャンバー１の直径。ある圧力レベルに加圧された時ピストン５＊が示される。ピストン５＊の内側の圧力はある接触長さを招く。
【１５５９】
図２０１Ｂは、図２０１Ａのピストン５＊の接触圧力を示す。ピストン５＊はこの縦位置で群がることがある。
【１５６０】
図２０２Ａは、非与圧室１つの第２の縦位置で第一の縦位置での動いていない加圧されていないピストン５およびピストン’５の長手断面（第１と第２の両方縦位置で一定半径を備えた円形断面を有しているチャンバー）を示す。ピストン５は生産サイズをほぼ有していることがある、この第一の縦位置のチャンバー１の直径。ピストン’５はピストン５を示す、第２の縦位置のより小さい断面の中に位置して加圧されなかった。
【１５６１】
図２０２Ｂは、第２の縦位置のチャンバーの壁のピストン’５の接触圧力を示す。ピストン’５はこの縦位置で群がることがある。
【１５６２】
図、２０２Ｃは、非与圧室１つの第２の位置で第一の縦位置での動いていない加圧されていないピストン５およびピストン’５の長手断面（第１と第２の両方縦位置で一定半径を備えた円形断面を有しているチャンバー）を示す。ピストン５は生産サイズをほぼ有していることがある、この第一の縦位置のチャンバー１の直径。ピストン５’＊は図１Ａの１つと同じレベルに加圧されて、ピストン５を示す、第２の縦位置のより小さい断面の中に位置した。
【１５６３】
図２０２Ｄは、第２の縦位置のチャンバーの壁のピストン５’＊の接触圧力を示す。ピストン５’＊はこの縦位置で群がることがある：摩擦推力は７２ｋｇであることがある。
【１５６４】
図２０１Ａのピストン５＊のその同じ圧力レベルに加圧された時、図２０３Ａは、図２０１Ａのピストン５および歪んだピストン５”＊を示す。ピストンにストレッチングを制限する手段がないことがある場合、変形はチャンバー１＊の中の圧力によって引き起こされる。それは主として経線（チャンバーの長手方向）方向にある。図２０３Ｂは接触圧力を示す。ピストン５”＊はこの縦位置で群がることがある。
【１５６５】
図２０４Ａは、円形断面を有していて、非与圧室１０の第２の縦位置でピストン１５の長手断面を示す。ピストン１５は生産サイズをほぼ有していることがある、この第二の縦位置のチャンバー１０の直径。ピストン１５’＊は、あるレベルに加圧された歪んだピストン１５を示す。変形は、フープ方向（チャンバーの横断面の平面中の）のヤング率が、子午線方向でのそれよりも下側で選ばれるという事実による（チャンバーの長手方向で）。
【１５６６】
図２０４Ｂは、ピストン１５’＊の壁の接触圧力を示す。これは適切な摩擦推力（４．２ｋｇ）および適切なシーリングを招く。
【１５６７】
図２０４Ｃは、非与圧室１０の第２の縦位置（生産サイズ）でピストン１５の長手断面を示す、また、１５”＊を加圧された時、第一、縦位置ピストン１５”＊はピストン１５’＊がいつチャンバー１０（図４Ａ）の第２の縦位置に位置するかのと同じ圧力を有していることがある。またここで変形である、の中で、フープまた異なる子午線方向。
【１５６８】
図２０４Ｄは、ピストン１５”＊の壁の接触圧力を示す。これは適切な摩擦推力（０．７ｋｇ）および適切なシーリングを招く。
【１５６９】
したがって、弾力的に変形可能なコンテナーを備えているピストンをｓｅａｌｉｎｇｌｙに移動させることは可能である、から、１つの、この実験の中で選ばれた断面の直径のための限定内圧内に同じことを有していている間より大きな断面積に、より小さい
図２０５Ａは、非与圧室１０の第２の縦位置でピストン１５（生産サイズ）およびピストン１５’＊の長手断面を示す。ピストン１５が加圧される場合、ピストン１５’＊は、ピストン１５の歪んだ構造体を示している。ピストン１５、１５’＊、燃焼室圧力の適用の間中ピストン移動を防ぐために下側終わりでｉｍａｇｉｎａｉｒピストンロッドに付けられている。
【１５７０】
図２０５Ｂは、図２０５Ａのピストン１５’＊の接触圧力を示す。これは移動（摩擦推力４．２ｋｇ）を許可するように十分に低く、シーリングにふさわしい。
【１５７１】
図２０５Ｃは、与圧室１０＊の第２の縦位置で燃焼室圧力によって加圧され歪んだピストン１５（生産サイズ）および１５”＊の長手断面を示す。ピストン１５、１５’＊、燃焼室圧力の適用の間中ピストン移動を防ぐために下側終わりでｉｍａｇｉｎａｉｒピストンロッドに付けられている。歪んだピストン１５”＊は、不具でないピストン１５よりほぼ２倍長い。
【１５７２】
図２０５Ｄは、図のピストン１５”＊の接触圧力を２０５Ｃ示す。これは移動（摩擦推力３．２ｋｇ）を許可するように十分に低く、シーリングにふさわしい。
【１５７３】
したがって、加圧された弾力的に変形可能なコンテナーを備えているピストン上の燃焼室圧力を加える場合、少なくとも最も小さい断面積を備えた縦位置で、ｓｅａｌｉｎｇｌｙに同様に移動することは可能である。適用されるチャンバー力のためｓｔｒｅｔｃｈｉｎは大きい。また、これを制限することが必要なことがある。ピストンのスキンのストレッチングの限定を備えた図２０６−２０９取り引き、それは可能にするほど小さいコンタクト域を招くことがある、適切、密閉およびピストンの移動を可能にするほど低い摩擦推力。これは、長手方向でのストレッチングの限定を備えている、コンテナーがチャンバーの圧力にさらされることがあるし、さらされないことがある場合、また横断線方向の膨張を認めるために、チャンバーを、および明確には第２から第一の縦位置へ移動する場合、反対に移動する場合、短縮を許可する。
【１５７４】
コンテナータイプピストンの壁の長手方向でのストレッチングは、いくつかの方法によって制限されたことがある。それは、たとえば織物のおよび／または繊維強化材の使用によるコンテナーの壁の強化材によって行われることがある。また、コンテナーの壁に接続されている一方、それは、コンテナーのチャンバーがその膨張のための限定を備えた本体を拡張して位置を決めた内部によって行われることがある。他の方法は使用されてもよい、たとえばチャンバーの管理に圧力を加える、コンテナー（コンテナーなどの上のスペースの圧力管理）の中間の２つの壁。ＴＴｈｅ強化材もピストンの外部で位置することがある。
【１５７５】
コンテナーの壁の膨張振る舞いは、使用されるストレッチング限定のタイプに依存していることがある。さらに、ピストンロッド上に移動しているピストンの貯蔵性は、拡大間に、機械的な停止によってガイドされることがある。そのような停止のポジショニングは、ピストン燃焼室組み合わせの使用に依存していることがある。外力にさらされたおよび／またはを拡張している間、これは、またピストンロッド上のコンテナーのガイダンスのための場合であることがある。
【１５７６】
すべての種類の流体は使用されたａ組み合わせであることがある、１つの、圧縮可能、また非圧縮可能な媒体、圧縮可能な媒体のみまたは非圧縮可能な媒体のみ。コンテナーのサイズの変更が最も小さい断面積から本質的なことがあるので、それがその生産サイズを有していて、ピストンロッドの中で最も大きな断面積（第一の密閉空間を備えたコンテナー中のチャンバーの連絡）でたとえば拡大した場所は必要なことがある。チャンバーで圧力を維持するために、第一の密閉空間は、またコンテナーのチャンバーのボリュームの変更の間中、同様に加圧されることがある。少なくとも第一の密閉空間のための圧力管理は必要なことがある。
【１５７７】
図２０６Ａは、チャンバー１８６の第２の縦位置のチャンバー１８６および同じ２０８’の第一の縦位置でコンテナー２０８を備えている、凹状壁１８５および膨張式のピストンを備えたチャンバー１８６の長手断面を示す。チャンバー１８６の中心軸１８４。加圧された時、コンテナー’２０８はそのサイズを示す、それはほぼその生産サイズである、織物を有していること、壁１８７のスキン１８８中の強化された１８９．チャンバー１８６の第２の縦位置でスタートするストロークの間中、コンテナーの壁１８７は停止配列まで拡大する、それは織物の強化材１８９および／またはであることがある、機械的な停止、１９６−外部、別の停止配列が止めるコンテナー２０８および／または、ストローク中の移動。そしてしたがって、コンテナー２０８の膨張。チャンバー１８６の圧力によって、チャンバー１８６の圧力のため、コンテナーの壁の長手ストレッチングがまだ生じることがある。しかしながら、第一のメインの機能は、織物の強化材にコンテナー２０８の壁１８７のこの長手ストレッチングを制限することである。それは小さいコンタクト域１９８を招く。織物の強化材１８９の第２のメイン機能は、コンテナーが第２の縦位置へ移動している場合、短縮を許可することである（逆もまた同様膨張が必要なところで）。ストロークの間中、コンテナー’２０８と２０８の内側の圧力は一定のままであることがある。この圧力は、ストロークの間中チャンバー１８６の断面のｃｉｒｃｕｍｐｈｅｒｉｃａｌな長さの変化にコンテナー’２０８と２０８のボリュームの変化にしたがって依存する。圧力がストロークの間中変わることもありえることがある。また、それは可能なことがある、ストローク中の圧力変化、依存、あるいはチャンバー１８６の圧力のではない。
【１５７８】
図２０６Ｂは、チャンバー１８６の第一の縦位置で拡張したピストン２０８の第一の実施形態を示す。コンテナーの壁１８７は、織物の強化材１８９と共に、柔軟性材料（それはたとえばゴム活字または同様物であることがある）のスキン１８８によって構造である。それは伸縮を認める。中心軸１８４（＝ブレード角度）に関しての織物の強化材の方向は、５４の［度］４４’とは異なる。引かれるように、ストローク中のピストンのサイズの変更は、同一の形に必ずではなく帰着する。膨張のため、コンテナーの壁の厚さはチャンバー１８６の第２の縦位置に位置した時作製されるようなコンテナーよりも小さいことがある。壁１８７の内側の不透水層１９０は存在することがある。それは、上面のキャップ１９１、およびコンテナー’２０８と２０８の底のキャップ１９２にきつく圧搾される。前記キャップの詳細は示されない。また、すべての種類の集まる方法はそうであることがある、これらを使用する、コンテナーの壁の変わる厚さに順応するのにできることがある。両方のキャップ１９１と１９２は翻訳することができることがある、あるいはピストンロッド１９５上に回転する。これらの動作は示されないたとえば異なるタイプのベアリングとして様々なデバイスによって行われることがある。コンテナーの上面のキャップ１９１は、上方へ下方へ移動することがある。コンテナー２０８の外側のピストンロッド１９５上の停止１９６は、コンテナー２０８の上向きの移動を制限する。停止１９７が上方へこの実施形態が考えられることがある移動を防ぐので、ボトム中のキャップ１９２は単に下降することがある、ピストンの下のチャンバー１８６の圧力を有しているピストン燃焼室デバイスの中で使用される。停止の他の配列は、ダブルの作動するポンプなどの他のポンプ式、真空ポンプなどにおいて可能なことがあり、もっぱら設計仕様に依存する。ピストンの相対的運動をピストンロッドに制限するおよび／またはを可能にするための他の配列が生じることがある。シール力のチューニングは、コンテナーの内側のｉｎｃｏｍｐｒｅｓｓａｂｌｅな流体２０５および圧縮することができる流体２０６（両方はまた単独で可能性である）の組み合わせを備えていることがある。その一方でコンテナーのチャンバー２０９はバネ力を備えている第二のチャンバー２１０と通信していることがある、動作した、ピストンロッド１９５の内側のピストン１２６。流体は、自由に穴２０１を通ってピストンロッドの壁２０７を流れることがある。コンテナーの内側の圧力もチャンバー１８６の圧力に依存していることがある間、第２のチャンバーが第三のチャンバー（図１２を参照）と通信していることはありえることがある。コンテナーはチャンバー１８６でｃｏｒｎｍｕｎｉｃａｔｉｎｇすることによりピストンロッド１９５および／またはを介して膨張式のことがある。上面もの、およびボトム中の前記キャップの中の前記キャップ中のＯリングまたは同様物２０２、２０３、それぞれピストンロッドへのキャップ１９１と１９２を密閉する。キャップ２０４、ピストンロッド１９５の終端でのねじ込のアッセンブリーが締まるとともに、示された、ピストンロッドは言った。比較可能な停止は、コンテナーの壁の要求された移動に依存して、ピストンロッドのどこか他のところに位置することがある。コンテナーの壁とチャンバーの壁の間のコンタクト域１９８。図２０６Ｃは、チャンバーの第２の縦位置で図２０６Ｂのピストンを示す。上面のキャップ１９１は停止１９６から距離ａ〈１〉以上移動される。バネ力操作されたバルブピストン１２６は、距離ｂ’の上に移動された。チャンバー’１８６が停止１９７に対して押されることがあるより、ピストンより下のチャンバー１８６には圧力があることがある１９７−場合、底キャップ１９２は停止に隣接していて示される。圧縮性流体’２０６および非圧縮性流体２０５’。
【１５７９】
図２０６Ｄは３つの寸法図で、チャンバー１８６にｓｅａｌｉｎｇｌｙに移動する場合、コンテナー’２０８と２０８の壁の伸縮を弾力的に認めて、繊維材料の強化材マトリックスを示す。
【１５８０】
繊維材料はｅｌａｓｔｉｃａｌなことがあり、互いの上の個別の層を中へ置いていることがある。層はまた互いの中で織られて置くことがある。２つの層の間の角度は５４の［度］４４’とは異なることがある。材料タイプおよび厚さがすべての層および層の数に対して同じである場合、さえ、各方向の一針サイズは等しいが、コンテナーの壁の伸縮はＸＹＺ方向において等しいことがある。マトリックスの指示の各々で一針ｓｓおよびｔｔをそれぞれ拡張する場合、より大きくなる、一方、収縮する、これら、ｗｉｌ、より小さくなる。ねじの材料がｅｌａｓｔｉｃａｌなことがあるので、別のデバイスは機械的な停止などの膨張を止めるのに必要なことがある。これはチャンバーおよび／またはの壁であることがある、図２０６Ｂに示されるようにピストンロッドに示された機械的な停止。
【１５８１】
図２０６Ｅは３つの寸法図で、拡張した図２０６Ｄの強化材マトリックスを示す。一針ｓｓのおよびｔｔ」それは一針ｓｓおよびｔｔよりも大きい。短縮の結果は、図２０６Ｄの中で示されるマトリックスを招くことがある。
【１５８２】
図２０６Ｆは３つの寸法図で、どれが非弾力的なねじ（しかし弾力的に曲げることができる）で作られていることがあるか、互いの上の個別の層を中へ置くことがあるか、または、互いの中で結合されることがあるか繊維材料の強化材マトリックスに示す。コンテナーが生産中である場合、膨張は、各ループ７００（それは入手可能である）の余長のために可能である、チャンバーの第２の縦位置に位置した時、サイズまた気圧調節した。一針ｓｓ」そしてｔｔ」各方向に。コンテナーの壁が非弾力的な材料（しかし弾力的に曲げることができる）をいつ拡張するかは、コンテナー２１７の壁１８７の最大の膨張を制限することがある。ピストンロッド１９５上のコンテナー２１７の移動を止めることが必要なことがある、によって、たとえば停止１９６、その結果、シーリングは残ることがある。そのような停止１９６の不足は、バルブを作り出す可能性を与えることがある。拡張した図２０６Ｇは３つの寸法図で、図の強化材マトリックスを２０６Ｆ示す。一針ｓｓ」’そしてｔｔ」’それは一針ｓｓよりも大きい」そしてｔｔ。」短縮の結果は、図の中で２０６Ｆ示されるマトリックスを招くことがある。
【１５８３】
図２０６Ｈは３つのステージＩ、［パイ］、および弾力的に変形可能なコンテナーを備えているピストンの生産プロセスのＩＩＩを示す。ロッド４００以上、位置したゴム小麦パン４０１がある。その上に強化された小麦パン４０２は、たとえば図４０６ＥＧのものによって位置する。言及された最後以上、別のゴム小麦パンはｐｏｓｉｔｉｏｎｅｄ．の間でｍａｃｈｅｔ  ４０１およびロッドだった、１枚以上のキャップ４０４が位置することがある。すべてはロッド４００以上滑ることがある。ロッド４００はくぼんだことがあっで、高い圧力蒸気源に接続されることがある。ステージＩＩ：加圧蒸気は、ロッドの終わりに位置することがある出口４０５によってオーブン４０６の洞穴４０８に入ることがある。１個の完全なゴム／らせん鉄筋小麦パン４０７は、洞穴４０８にロッド４００以上切られ輸送されることがある。閉じられるより、洞穴はすることがある。また、加圧蒸気は洞穴に導入される。加硫は、キャップ４０４上のコンテナーの壁の実装を含めて起こることがある。小麦パンは、カーブのフォームを行なうことがある。加硫の後、洞穴は開かれることがある。また、その生産サイズよりも持っているコンテナーは押される（ＩＩＩ）。また他のピストンを作製するべきピストンの加硫時間を使用するために、いくつかの方法は使用されてもよい。（次のものを完成する：  織物の強化材を含めて）ゴム小麦パン４０７の膨れることは、加硫の前に起こることがある。いくつかの部分でｕｐｄｉｖｉｄｅｄされるより、ロッド４００はすることがある、各々ほぼ、その生産サイズのコンテナーの高さ。各々は洞穴に入る前に主連棒から分離されることがある。および／または、いくつかの洞穴は生産フィードラインの終わりに存在することがある。それは各々立っていることがあり、完全な小麦パン４０７を受け取ることがあり、それを硫黄で処理することがある。これは、生産フィードラインの端間で翻訳する洞穴回転および／またはによってアーカイブに保管されることがある。多数の加硫洞穴が生産フィードラインで統合されることもありえることがある。
【１５８４】
図２０７Ａは、第２の縦位置のチャンバーおよび同じ２１７’の第一の縦位置でコンテナー２１７を備えている、凹状壁１８５および膨張式のピストンを備えたチャンバー１８６の長手断面を示す。コンテナー’２１７は示す、ほぼ気圧調節した、その生産サイズ。
【１５８５】
図２０７Ｂはチャンバーの第一の縦位置で拡張したピストン２１７を示す。コンテナーの壁２１８は、格子効果による繊維強化材２１９と共に、ｅｌａｓｔｉｃａｌな材料（それはたとえばゴム活字または同様物であることがある）のスキン２１６によって構造である。それは、コンテナ壁２１８の膨張を認める。中心軸１８４（＝ブレード角度）に関してのファイバーの方向は、５４の［度］４４’とは異なることがある。コンテナー２１７の壁２１８とチャンバー１８６の壁１８５の間のコンタクト域２１１。膨張のため、コンテナーの壁の厚さはより小さいが、第２の縦位置に位置した時作製されるようなコンテナーのそれと必ずしもそれほど別ではないことがある。壁１８７の内側の不透水層１９０は存在することがある。それは、上面のキャップ１９１、およびコンテナー’２１７と２１７の底のキャップ１９２にきつく圧搾されることがある。前記キャップの詳細は示されない。また、すべての種類の集まる方法はそうであることがある、これらを使用する、コンテナーの壁の変わる厚さに順応するのにできることがある。両方のキャップ１９１と１９２はおよび／またはを翻訳することがある、ピストンロッド１９５上に回転する。これらの動作は示されないたとえば異なるタイプのベアリングとして様々な方法によって行われることがある。上面のキャップ１９１は、停止２１４範囲までこの移動を上方へ下方へ移動させることがある。停止１９７が上方へこの実施形態が考えられる移動を防ぐので、ボトム中のキャップ１９２は単に下降することができる、ピストンの下のチャンバー１８６の圧力を有しているピストン燃焼室デバイスの中で使用される。停止の他の配列は、ダブルの作動するポンプなどの他のポンプ式、真空ポンプなどにおいて可能なことがあり、もっぱら設計仕様に依存する。ピストンの相対的運動をピストンロッドに制限するおよび／またはを可能にするための他の配列が生じることがある。
【１５８６】
ストロークの間中、コンテナー’２１７と２１７の内側の圧力は一定のままであることがある。圧力がストロークの間中変わることもありえることがある。シール力のタイミングは、コンテナーの内側の縮まない流体２０５および圧縮性流体２０６（両方はまた単独で可能性である）の組み合わせを備えていることがある。その一方でコンテナー’２１７と２１７のチャンバー２１５はバネ力を備えている第二のチャンバー２１０と通信していることがある、動作した、ピストンロッド１９５の内側のピストン１２６。流体は、自由に穴２０１を通ってピストンロッドの壁２０７を流れることがある。コンテナーの内側の圧力もチャンバー１８６の圧力に依存していることがある間、第２のチャンバーが第三のチャンバー（図２１０を参照）と通信していることはありえることがある。コンテナーはチャンバー１８６と通信することによりピストンロッド１９５および／またはを介して膨張式のことがある。上面もの、およびボトム中の前記キャップの中の前記キャップ中のＯリングまたは同様物２０２、２０３、それぞれピストンロッドへのキャップ１９１と１９２を密閉する。キャップ２０４、ピストンロッド１９５の終端でのねじ込のアッセンブリーが締まるとともに、示された、ピストンロッドは言った。図２０７Ｃは、チャンバー１８６の第２の縦位置で図２０７Ｂのピストンを示す。コンタクト域２１Ｖ。（それは小さい）。キャップ１１は停止２１６から距離ｃ’の上に移動される。バネ力操作されたバルブピストン１２６は、距離ｄ’の上に移動された。（１９７−場合）底キャップ１９２は、１９２が停止１９７に対して押されるより、停止に隣接していて示される。圧縮性流体’２０６、およびコンテナー中のボリュームを変化させたことがあるかもしれん非圧縮性流体２０５’。
【１５８７】
図２０８Ａ、Ｂ、ピストンの構築を備えたＣ取り引き、図２０７Ａのそれと同一のことがある、Ｂ、例外としたＣ、強化材はどんな種類の強化材手段からも構成される、曲げることができる、またすることがある、強化材のパターンの中で」ｃｏｌｕｍｓの、互いに交差しない。このパターンは、強化材手段の一部が中心軸１８４を介して平面でどこであることがあるかにチャンバー１８６または１の中心軸１８４への平行のうちの１つであることがある。
【１５８８】
（１８６−加圧するどこで）図２０８Ａは、それがその生産サイズを加圧していないチャンバーの第２の縦位置のチャンバー１８６および同じ２２８’の第一の縦位置でコンテナー２２８を備えている膨張式のピストンを示す。
【１５８９】
図２０８Ｂはチャンバー１８６の第一の縦位置でコンテナー２２８を示す。
【１５９０】
コンテナーの壁２２１はｅｌａｓｔｉｃａｌな材料２２２、２２４およびｒｅｉｎｆｏｒｅｃｅｍｅｎｔ手段２２３（たとえばファイバー）を備えている。不透水層２２６は存在することがある。コンテナー２２８とチャンバー１８６の壁１８５の間のコンタクト域。
【１５９１】
図２０８Ｃはチャンバー１８６の第２の縦位置でコンテナー’２２８を示す。
【１５９２】
コンタクト域’２２５はコンタクト域２２５よりももう少し大きいことがある。トップキャップ１９１は停止２１４からｅ’を移動させている。
【１５９３】
図２０８Ｄは、それぞれ強化材と共に、ピストン’２２８および２２８の平面図を示す、１番目およびチャンバー１８６の第二の縦位置に２２３および２２３”をそれぞれそれぞれ意味する。
【１５９４】
図２０８Ｅは、似ているピストンの平面図を示す、２２８’および２２８の１つ、強化材の代替実施形態でそれぞれ、２２９と２２９を意味する」１番目およびチャンバー１８６の第二の縦位置にそれぞれそれぞれ。強化材の一部は、チャンバー１８６の長手方向での中心軸１８４を介して平面にない。図２０８Ｆは、チャンバー１８６の中心軸１８４を介して平面の中でコンテナーの壁の壁の強化材’２２７および２２７で似ているピストンの平面図に２２８’および２２８の１つを示さない。ストロークの間中、コンテナーの壁は中心軸１８４のまわりで回転する。
【１５９５】
図２０８Ｇは、ファイバー４０２がキャップ４３０の洞穴４３１にどのように装着されることがあるか概略的に示す。これは、中心軸４３３のまわりのキャップおよびファイバーを回転させることにより達成されることがある、各々はそれ自身の速度を有していることがある。その一方でファイバー４３２は洞穴４３１の方へ、およびその洞穴の中で押されている。
【１５９６】
図２０９Ａは、ストロークの終わりに始めおよび同じ２５８’でコンテナー２５８を備えている、凸状壁１８５および膨張式のピストンを備えたチャンバー−１８６の長手断面を示す。第２の縦位置での圧力容器’２５８。
【１５９７】
図２０９Ｂは、共通の部材２５５に回転自在に固定された、複数の少なくとも、弾力的に変形可能な支持体部材２５４によって強化されたスキンを有しているピストン２５８の長手断面を示す、接続された、前記ピストン’２５８と２５８のスキン２５２。これらの部材はテンションにあり材料の硬度に依存している。それらはある最大のストレッチング長さを有している。この有限長は、前記ピストンのスキン２５２のストレッチングを制限する。共通の部材２５５はピストンロッド１９５に関する滑る手段２５６で滑ることがある。残りについては、ピストン’２０８と２０８のそれと比較可能な構築がある。コンタクト域２５３。
【１５９８】
図２０９Ｃは、ピストン’２５８の長手断面を示す。コンタクト域’２５３。
【１５９９】
コンテナー内の圧力の管理を備えた図２１０−２１２取り引き。弾力的に変形可能な壁を備えた膨張式のコンテナーを備えているピストンのための圧力管理は、ピストン燃焼室構築の重要な部分である。圧力管理は適正値上でシーリングを維持するためにコンテナー中の圧力をｍａｍｌａｉｎｉｎｇすることと関係する。コンテナーのボリュームが変わるところで、これは各ストロークの間中意味する。そしてコンテナーからの漏れがコンテナー中の圧力を下げることがある場合、長期でそれはシーリング能力を達成することがある。流体の流れは溶液であることがある。それがストローク（そのようなコンテナーへのおよび／または）の間中ボリュームを変化させる場合のコンテナー間で（インフレーション）。
【１６００】
コンテナーのボリュームの変化は、第一の密閉空間のボリュームの変化と比較検討されることがある、コンテナーとを介してたとえば通信すること、ピストンロッドの穴。圧力も同時に平衡を保たれることがある。また、これは、第一の密閉空間で位置することがあるバネ力作動ピストンによって行われることがある。バネ力は、スプリングまたは加圧された密閉空間（たとえば第二の密閉空間）によって起こされることがある。それは１ペアのピストンによって第一の密閉空間と通信する。どんな種類の力転送も、第２の密閉空間およびピストンの組み合わせによってピストンの各々によってたとえばここに配されることがある。その結果、第一の密閉空間のピストン上の力は同等のものをｒｅｍａｉｎｅｓする。その一方で流体がコンテナーの中に第一の密閉空間から移動している場合、ペアのピストンが第一の密閉空間にたとえば近づく場合、第２の密閉空間のピストン上の力は低減している。これは、第２の密閉空間が堅固なｐ．Ｖ＝によく応じる。圧力のチューニング、の中で、チャンバーのコンテナー、に、全体、あるいは、ストロークの一部も、チャンバーおよびコンテナーのチャンバーの連絡によって行われることがある。これは、ＷＯ００／６５２３５とＷＯ００／７０２２７に既に説明された。
【１６０１】
コンテナーはピストンおよび／またはの中のバルブを通って膨張することがある、ピストンロッドのハンドル。
【１６０２】
このバルブは、チェックバルブまたはインフレーションバルブ（たとえばシュラーダーバルブ）であることがある。コンテナーは、チャンバーと通信するバルブを通って膨張することがある。インフレーションバルブが使用される場合、シュラーダーバルブは、漏れを回避するべきそのセキュリティおよびすべての種類の流体をコントロールすることを可能にするべきその能力のために望ましい。インフレーションを可能にするために、バルブアクチュエーターは、必需品（たとえばＷＯ９９／２６００２、または米国５、０９４、２６３に示されたもの）であることがある。ＷＯ９９／２６００２のバルブアクチュエーターは、インフレーションが可能になることがある利点を持つ、１つの、力したがって非常に低い、マニュアルインフレーションの場合には非常に実際的。バネ力とのバルブと結合して、さらに、動作した、バルブコア、バルブは閉じる、自動的に、いつ、等しい圧力レベル、得られた。
【１６０３】
密閉空間からコンテナーまでの、および逆もまた同様加圧されたボリュームの流れが本質的なことがある場合、それは密閉空間のボリュームよりも大きなボリューム、および等しいか下側か、コンテナー中の圧力よりも高い圧力レベルを備えた圧力／体積線源を有していると好まれることがある。最後の言及された場合では、圧力源のボリュームは、コンテナーのその等しい圧力レベルを備えた圧力源と比較して低減されることがある。
【１６０４】
圧力源中の圧力レベルがコンテナーのその中でより高いというその場合では、ストロークの間中、圧力／体積線源とコンテナーの間の流れが、バルブによって操縦されることがあることは必要なことがある。これらのバルブはバネ力作動コアーピンを有していることがある、どれがあることがあるかを始動する。アクチュエーターはすることがある、開路／バルブを閉じる、ｃｏｎｔｉｎｅｏｕｓｌｙにさえ流れを変化させる。例は、漏れによって圧力降下のためコンテナーを膨張させることのための使用されたａｎａｌｏｇｅｏｕｓな構築である（次頁を参照）。溶液を操縦する他のバルブ型式およびバルブは可能である。これは、また所定レベルでコンテナー中の圧力レベルをｃｏｎｔｉｏｕｓｌｙにｍａｉｎｔａｎｉｎｇする方法であることがある。
【１６０５】
チャンバーと通信するバルブを有していて、コンテナー中の圧力がチャンバーの圧力よりも低い場合、それはコンテナーの自動インフレーションを可能にすることがある。これがそうでないことがある場合、チャンバーのそのような高圧は、チャンバーのコンテナーの第２の縦位置の近くのチャンバーの出口弁を閉じることにより一時的に生じることがある。この閉鎖と開口は、ペダルによって手動でたとえば行われることがある。それは、バルブアクチュエーター（ＷＯ９９／２６００２）とたとえばシュラーダーバルブの間のスペースと通信するチャンネルを開く。開いている場合、バルブアクチュエーターは移動することがある、しかしバネ力を低下させるべき力を欠く、動作した、バルブの、および従ってコアーピン、シュラーダーバルブはしたがって開かないことがある、チャンバーは閉まっていることがある。また、どんな高圧もコンテナーのインフレーションを可能にすることのための構造であることがある。チャンネルが閉まっている場合、ＷＯ９９／２６００２の中で開示されるようなアクチュエータ機能。オペレーターは、圧力計（たとえばマノメーター）によってコンテナー中の圧力をチェックすることがある。この出口弁の開閉口も自動的に行われることがある。これはすべての種類の手段によって行われることがある。それは、所定値よりも低い圧力の測定の結果どんな種類の信号によっても出口の閉鎖を始める。
【１６０６】
ある前もって定義した値へのコンテナーの自動インフレーションは、チャンバーと通信するバルブおよびたとえばコンテナーの逃し弁の組み合わせによって行われることがある。それは、コンテナーの上のスペースまたはチャンバーへ圧力のあるｐｒｅｄｅｔｅｒｒｒｉｉｎｅｄ価値でたとえば解放する。別のオプションは、圧力の前もって定義した値がスプリングとそれを組み合わせることによりたとえば到達した場合、ＷＯ９９／２６００２のバルブアクチュエーターが第１に開いていることがあるということであることがある。別のオプションは、圧力が前もって定義した１つ以上の値に達する場合、バルブアクチュエーターへの開口が閉まっているということであることがある、によって、たとえば、バネ力は動作した、ピストンまたはキャップ。あるいは、ある圧力が到達した場合に（示されない）、ピストンがチャンネル２９７を開くように、手段と図のピストン２９２を２１１Ｅ組み合わせることによって。
【１６０７】
図２１０Ａは、図２０６Ａ−Ｃによって中心軸１８４を有しているコンテナー’２０８、２０８およびチャンバー１８６を備えているピストンを備えたピストン燃焼室システムを示す。ここで説明されたインフレーションおよび圧力管理も、コンテナーを備えている他のピストンに使用されてもよい。コンテナー’２０８と２０８はハンドル２４０および／またはの中のバルブ２４１を通って膨張することがある、バルブ２４２、ピストンロッド１９５。ハンドルが使用されない場合、しかしたとえば回転車軸、それはくぼんでいるかもしれない、通信、で、たとえばシュラーダーバルブ。バルブ２４１は、ブッシング２４４およびバルブコア２４５を備えているインフレーションバルブ（たとえばシュラーダーバルブ）であることがある。ピストンロッド１９５中のバルブは可撓なピストン１２６を有しているチェックバルブであることがある。チェックバルブ２４２と、コンテナー’２０８と２０８のチャンバー２０９の間のチャンバーは、以前に説明された、として、第二’」チャンバー２１０。マノメーター２５０は、コンテナーそれ以上ない詳細の内側の圧力のコントロールを可能にする、示される。チャンバー１８６の圧力をコントロールするためにこのマノメーターを使用することも可能なことがある。コンテナー’２０８と２０８のチャンバー２０９が圧力のある前もって定義した値に調節されることがある逃し弁（引かれなかった）を有していることもありえることがある。解放された流体は、スペース２５１へのチャンバー２０９および／またはに向けられることがある。
【１６０８】
図２１０Ｂは、インフレーションバルブ２４１に対する代替オプションを示す。ハンドル２４０中のインフレーションバルブ２４１の代わりに、バルブコア２４５のないブッシング２４４だけが存在することがある。それは圧力源への連結を可能にする。
【１６０９】
図２１０Ｃは、チェックバルブ１２６のロッド２４７の耐える２４６の詳細を示す。耐える２４６は、ロッド２４７のまわりの流体の通過を可能にする縦ダクト２４９を備えている。スプリング２４８は、第２のチャンバー２１０の流体に対する圧力を可能にする。停止２４９。
【１６１０】
図２１０Ｄは、チェックバルブ２４２の可撓なピストン１２６の詳細を示す。スプリング２４８は、ピストン１２６に対する圧力を維持する。
【１６１１】
図２１０Ｅは、コンテナーの圧力レベルを超過する圧力を有していることがある圧力源４５１を示す。入口弁４５２、で、たとえばバルブアクチュエーター４５３（示された配列４５９は、図の１つと２１１Ｅ（２９２と２９７）類似している）、そして出口弁４５４、で、たとえばバルブアクチュエーター４５５（示された配列４５１は、図の１つと２１１Ｅ（２９２と２９７）類似している）。スペース４６２がチャンバー４５８に接続されている一方、スペース４６０はチャンバー４５７に接続される。バルブ４５２および４５４はピストンロッド４５６に装着されることがある。それは２つのチャンバー４５７および４５８にｕｐｄｉｖｉｄｅｄされることがある。
【１６１２】
２つのブラックボックスが示される場合、図２１０Ｆは、図の構築を２１０Ｅ示す、各々を備えていること、外部信号機構によって操縦できることがあるバルブ配列。操縦する４１５は、チャンバーの異なる縦位置でピストンの内部から圧力信号４１６および４１７をそれぞれ受け取ることがある。操縦する４１５は、出口弁配列４２０のアクチュエーター４２２および入口弁配列４２１のアクチュエーター４２３に信号に４１８と４１９をそれぞれ送ることがある。このバルブおよびバルブかじ取装置は、Ｆｉｇ．２１１Ｆの中で示されるものに相似してあることがある。
【１６１３】
図２１１Ａは、中央部がコンテナー’２０８、２０８、および図２０６Ａ−Ｃによって中心軸１８４を有しているチャンバー１８６と同一のコンテナー’２４８と２４８を備えているピストンを備えたピストン燃焼室システムを示す。ここで説明されたインフレーションおよび圧力管理も、コンテナーを備えている他のピストンに使用されてもよい。コンテナー’２４８と２４８はチャンバー１８６と通信するバルブを通って膨張することがある。このバルブは図２１０Ａ、Ｄまたはそれによってチェックバルブ２４２であることがある、インフレーションバルブ（好ましくはシュラーダーバルブ２６０）であることがある。第一の密閉空間２１０がピストン配列を通じて第二の密閉空間２４３と通信している間、第一の密閉空間２１０は穴２０１によってコンテナー中のチャンバー２０９と通信している、それはを介してたとえば膨張することがある、インフレーション、バルブ状、シュラーダーバルブ−２４１、ハンドル２４０に位置した。バルブはコアーピン２４５を有している。ハンドルが使用されない場合、しかしたとえば回転車軸、それはくぼんだことがある。また、シュラーダーバルブはこのチャンネル（引かれなかった）と通信することがある。シュラーダーバルブ２６０はＷＯ９９／２６００２によってバルブアクチュエーター２６１を有している。チャンバー１８６の足２６２は出口弁２６３（たとえばシュラーダーバルブ）を有していることがある。それはＷＯ９９／２６００２による別のバルブアクチュエーター２６１を装備していることがある。手動で出口弁２６３をコントロールするために、足２６２は、角度を回すことができるペダル２６５を装備していることがある、１つの、足２６２の上の車軸２６４のまわりで。ペダル２６５はペダル２６５の上面で非円形の穴２７５の車軸２６６によってピストンロッド２６７に接続される。フィート２６２はチャンバー１８６のための入口弁２６９（引かれなかった）を有している。出口弁が開路にしておかれる場合、（概略的に引かれた）スプリング２７６はその初期位置２７７にペダル２６５を維持する。出口弁が閉じさせられておかれる場合ペダル２６５の活性化された位置’２７７。出口チャンネル２６８。
【１６１４】
図２１１Ｂは、第一の密閉空間２１０と第２の密閉空間２４３の間の１ペアのピストン２４２と２７０による連絡の詳細を示す。ペアのピストンのピストンロッド２７１は耐える２４６までにガイドされる。耐える２４６の縦ダクト２４９は、耐える２４６の間のスペース、ピストン２４２および２７０からの流体の輸送を可能にする。スプリング２４８は存在することがある。内部壁１９４を備えた、ピストン式コンテナー’２４８と２４８のピストンロッド１９５。内部壁１９４のピストン２４２と２７０シール。
【１６１５】
図、２１１Ｃは、チャンバー１８６の中心軸１８４を備えた角度［ベータ］を有しているピストン式コンテナー’２４８と２４８のピストンロッド２７２の代替壁２７３を示す。ピストン２７４は概略的に引かれ、内部の変わる断面積のに順応することができる、ピストンロッド２７２。
【１６１６】
図２１１Ｄは、収納する２８０が構造であるピストン’２４８を示す。ハウジングはコアーピン２４５と共に、シュラーダーバルブ２６０を備えている。バルブアクチュエーター２６１、コアーピン２６１を低下させることとして示された、流体がチャンネル２８６、２８７、２８８および２８９を通ってバルブ２６０に入っていることがある一方。コアーピン２４５が低下しない場合、ピストンリング２７９は内筒２８３の壁２８５を密閉することがある。内筒２８３は、収納する２８０とシリンダー２８２の間のシーリング２８１および２８４によってｓｅａｌｉｎｇｌｙに取り囲まれることがある。チャンバー１８６。
【１６１７】
図２１１Ｅは、コアーピン２４５を備えた出口弁２６３の構築を示す。それはバルブアクチュエーター２６１によって低下して示される。流体は、ｏｐｅｎｅｎｅｄされたバルブへのチャンネル３０４、３０５、３０６および３０７を通って流れることがある。内筒３０２は、収納する３０１と、シーリング２８１および２８４によるシリンダー３０３取り囲んだの間にｓｅａｌｉｎｇｌｙにある。中心軸２９６を有しているチャンネル２９７は、内筒３０２の壁、シリンダー３０３の壁および収納する３０１の壁を通って位置する。収納する３０１の外側で、チャンネル２９７の開口３０８を有している、ピストン２９２が上面２９４までに閉鎖ポジション’２９２に密閉することを可能にする広くなる３０９．ピストン２９２は、チャンネル２９７と同じ中心軸２９６を有していることがある別のチャンネル２９５に移動していることがある。ピストン２９２のピストンロッド２６７のための耐える２９３．ピストンロッド２６７はペダル２６５（図２１１Ａ）または他のアクチュエーターに接続されることがある（概略的に図の中で２１１Ｅ示される）。
【１６１８】
図２１１Ｅ’は図２１８Ｂの後に扱われている。
【１６１９】
図２１１Ｆは、図の出口弁を２１１Ｅコントロールするべき装置３６９に加えて、ピストン’２４８および図２１１Ｄのインフレーション装置３６８を示す。インフレーション装置３６８は、今また図のバルブを２１１Ｅコントロールするべき装置３７０を備えている。ｐｒｅｄｅｔｅｎｎｉｎｅｄされた圧力が到達しており、圧力が所定値よりも低い場合、それを開いている場合、これはバルブの閉鎖を可能にすることに行われることがある。信号３６０は、アクチュエーター３６３（それは動作手段３６４を通ってピストン２９２を始動させている）に信号に３６２を与えるコンバーター３６１に扱われる。
【１６２０】
チャンバーがピストン中の圧力の前もって定義した値よりも下側使用圧を有している場合、出口弁２６３の閉鎖および開口をコントロールするべき装置３６９は、別のアクチュエーター（手段、コンバーター３６１から信号３６５によって始められた、３６７）３６３を介してによってコントロールされることがある。チャンバーの測定、コンバーター３６１および／または３６６に信号に３７１を与えることは、チャンバーの現地気圧がピストンの使用圧よりも低いかどうか自動的に検知することがある。ピストンの圧力が予定圧力よりも低い場合、これは明確には実際的なことがある。
【１６２１】
図２１１Ｇは、バルブアクチュエーター３１５の収納する３１１に接続されたスプリング３１０でキャップに３１２’と３１２を概略的に示す。スプリング３１０は開口３１４をきつくクローズドにしておくことがある。シリンダー２８２を備えたキャップ３１２のコンタクト域３１３（図２１１Ｄ）。チャンバーからのキャップ３１２上の力がより大きくなる場合、チャンバーの媒体／媒体のそばにキャップ上の力の等価があるまで、キャップはキャップ’３１２が示される位置へ移動することがある。スプリング３１０は、バルブコアピン２４５を低下させる圧力の最大値を決定することがある。シュラーダーバルブ２６０。
【１６２２】
図２１２は、１ペアのピストン３２１と３２２がピストンロッド３２３（それは耐える３２４に移動することがある）の終わりに位置する、細長いピストンロッド３２０を示す。
【１６２３】
図２１３Ａ（Ｂ）、Ｃ、固定幾何学的図形で横断線断面の異なるエリアを備えた弾力的に変形可能な壁を備えた気圧調節するチャンバーおよびピストンを備えたポンプの組み合わせを示す。ハウジング内に、として、たとえば、固定幾何学径を備えたシリンダー、流体（非圧縮可能なおよび／または、圧縮性流体）によって膨張式の膨張式のチャンバーは位置する。また、前記ハウジングが回避されることがあることはありえる。ライナーファイバーカバー合成物をたとえば備えている膨張式の壁、あるいはまた不浸透性のスキンを追加した。ピストンの気密面の角度は、移動と平行な軸に関してのチャンバーの壁の相対的な角度よりももう少し大きい。前記角度と事実の間のこの差、ピストンによる壁のｍｏｍｅｎｔａｎｅｏｕｓな変形、遅れた（チャンバーおよび／またはの壁のビスコース非圧縮性流体をたとえば有していることによって、積荷を規制する手段（それらはピストンのための示されたものに似ていることがある）の正しいチューニング）ビットが提供する場所を行なう、密封縁（２つピストンおよび／またはチャンバー位置間の移動の間のチャンバーの中心軸へのその距離は、それに変わることがある）。これはストロークの間中、およびそれ、設計することができる作業力によって断面積変更を提供する。しかしながら、移動の方向のピストンの断面は、また等しいことがある、あるいはチャンバーインの壁の角度に関しての負の角で、これらの場合」ノーズ」ピストンの、丸くなられることがある。最後の言及された場合では、変わる断面積を提供するべきほうが難しいことがある、そしてそれ、設計することができる作業力によって。チャンバーの壁は装備していることがある、すべて、既に示されていた、装填、規制する、ものが図２１２Ｂに示したことを意味する、また、形を規制する手段で必要な場合。チャンバーのピストンの速度はシーリングに効果があることがある。
【１６２４】
図２１３Ａはチャンバー２３１のピストンの４つの位置でピストン２３０を示す。
【１６２５】
膨張式の壁のまわりで、固定幾何学径を備えた収納する２３４．前記壁２３４の内に、圧縮することができる流体２３２、そして１つの、圧縮しない、可能な、流体、２３３．壁のインフレーションのためのバルブ配列があることがある（示されない）。加圧されていない側のピストンの形は密封縁の原理を示すべき例だけである。終わりでの、および示された横断線断面中のストロークの初めの密封縁間の距離は、ほぼ３９％である。長手断面の形は示されたものとは異なることがある。
【１６２６】
図２１３Ｂはストロークの始めの後にピストンを示す。密封縁２３５および中心軸２３６からの距離は、ｚ￥である。ピストン密封縁２３５とチャンバーの中心軸２３６の間の角度［ｘｉ］。チャンバーの壁と中心軸２３６の間の角度ｖ。角度ｖは角度［グザイ］未満で示される。密封縁２３５は、角度ｖが角度［グザイ］と同じくらい大きくなると整える。ピストンの他の実施形態は示されない。
【１６２７】
図２１３Ｃはストロークの間中ピストンを示す。密封縁２３５および中心軸２３６からの距離は、ｚ２−この距離である、ｚ￥よりも小さい。
【１６２８】
図２１３Ｄはほとんどストロークの終わりにピストンを示す。密封縁２３５および中心軸２３６からの距離は、ｚ３−この距離である、ｚ２よりも小さい。
【１６２９】
図２１４は、２−２８の変わりやすい幾何学的図形（それらはポンプストロークの間中互いに適合させる）を有しているチャンバーおよびピストンの壁の組み合わせを示す、可能にすること〈’連続的シーリング〉。それはチャンバーの第２の縦位置でその生産サイズを有している。
【１６３０】
示された、今非圧縮可能な媒体２３７、およびストロークの初めのピストン３８５だけで図２１３Ａのチャンバーで、ピストン’３８５はストロークの端の直前に示されている。ディメンションを変化させることがあるピストンのまたすべての他の実施形態はここでまた使用されてもよい。ピストンの速度の正しい選択および媒体２３７の粘性は、作業に肯定的な効果があることがある。図１４に示されるチャンバーの縦の横断面形状は、また異なることがある。
【１６３１】
一定のｃｉｒｃｕｍｐｈｅｒｅｎｔｉａｌなサイズを有している異なるサイズの断面を備えたチャンバーの図２１５Ａ−Ｆショー実施形態。これは、ＷＯ  ００／７０２２７の引用されたピストンの群がる問題のための別の溶液である。スキンの強化材がチャンバーの長手断面中のチャンバーの中心軸とは異なった距離を有しているコンテナーの壁の部品を許可する場合、請求項１に記載のピストンはまたこれらの特定のチャンバーでよく機能することがある、また使用されることがある：たとえば、強化材の位置、たとえばチャンバーの中心軸、および強化材はいつたとえばｅｌａｓｔｉｃａｌなねじ（図２０６Ｄ、２０６Ｅ）で作られるかとほぼ平行な図２０８Ｄ、あるいは図の中で２０６Ｆ示されるもの、各々に個々のサイズを与える２０６Ｇ。１つが図２０９Ａの中で示されて、２０９Ｂはまたよく機能することがある。生産サイズを備えた、非弾力的に変形可能なコンテナーまたは弾力的に変形可能なコンテナーをほぼ備えているピストンズ、チャンバーの第一の縦位置のｃｉｒｃｕｍｐｈｅｒｅｎｃｉａｌな長さのサイズ、強化材を有していること、それは高い摩擦力を備えた短縮を許可する、ｊａｒｎｍｉｎｇのないそのようなチャンバーで移動することがあり、断面が異なるｃｉｒｃｕｍｐｈｅｒｅｎｃｉａｌサイズを有しているチャンバーで群がることがある。コンテナーの強化材のブレード角度が５４の［度］４４’になることがある場合、他の方法で、弾力的に変形可能なコンテナーは非ｅｌａｓｔｉｃａｌになる、変形可能、すなわち可撓、変形可能；しかし、それは、曲がっていることがあるので、これらのチャンバーで群がらない。場合、移動の方向の２つの位置間のチャンバーがそうであるピストンおよび／またはの横断線断面のエリアの変更、連続的であるが、これが漏れを招くように、まだ大きな、断面の他のパラメーターの変更を最小化することは有利である。これは円形断面をたとえば使用することにより示すことができる（固定形）：円の円周はＤである。その一方で円の面積は［１／４］πＤ２である（円のＤ＝直径）。すなわち、Ｄの低減は、単に円周の線形の低減およびそのエリアの二次の低減を与える。また円周を維持し、そのエリアを単に低減することは可能である。また、形がある円にたとえば固着される場合、ある最小面積。形がパラメーターである場合、高度な数値計算は、使用によりなすことができる、言及されたフーリエ級数展開以下に。ピストンが有していることができる気圧調節するチャンバーおよび／またはの横断線断面、任意のフォーム、また、これは少なくとも１本のカーブによって定義することができる。カーブは閉まっており、２つのユニークなモジュール式パラメター化フーリエ級数展開によってほぼ定義することができる、各々のための１、機能を調整する：
【数３６】
2014527601.tif 000038
【１６３２】
ここで；
【数３７】
2014527601.tif 000039
【１６３３】
ｃｐ＝ｆ（ｘ）のｃｏｓ加重平均価値；
ｄｐ＝ｆ（ｘ）のｓｉｎ加重平均値、
ｐ＝三角法の公差の順序を表わす。
【１６３４】
図２１５Ａ、次の公式の中で１セットの異なるパラメーターを使用することによる前記カーブの２１５Ｅのショー例。これらの例において、２つのパラメーターだけが使用された。より多くの係数が使用される場合、カーブがある最大半径および／または（たとえば所与の前提の下である最大を超過しないことがある密封部分中のテンションのための最大）を有している遷移をたとえば曲げるとともに、他の重要な要求に応じる最適化されたカーブを見つけることは可能である。一例として：図２１５Ｆのショーは、拘束の下の平面の中で境界のある領域の可能な変形に使用されるべき卵形線および非凸状カーブを最適化した、境界カーブの長さは固着される。また、その数の曲率が最小化される。スタートするエリアの使用、およびそれがそうであるスタートする境界長さによって、ある希望の目標地域のためのできるだけ小さい曲率を当てにするのに可能。
【１６３５】
チャンバーの長手断面の中で示されるピストンは、主として横断線断面の境界カーブが円形であるというその場合のための引かれた。すなわち：チャンバーが横断線断面を有しているというその場合に、によって、たとえば図２１５Ａに非円形のもの、２１５Ｅ、ピストンの長手断面の形がそうであることがある２１５Ｆ、異なる
すべての種類の閉曲線はこの公式（たとえばＣ曲線）で説明することができる（ＰＣＴ／ＤＫ９７／００２２３（図１Ａ）を参照）。これらのカーブの１つの特性は、ラインが断面にある数学的な柱から取り出される時、それがカーブと少なくとも１回交差するということである。続くカーブは断面の中にラインの方へ対称的で、単一のフーリエ級数展開によって生成したことがある。ピストンまたはチャンバーはより多くである、横断線断面のカーブが数学的な柱を通って断面にあるラインを参照して対称な場合に作製することが容易。そのような正則曲線は、ほぼ単一のフーリエ級数展開によって定義することができる：
【数３８】
2014527601.tif 000040
【１６３６】
ここで；
【数３９】
2014527601.tif 000041
【１６３７】
ｃｐ＝ｆ（ｘ）の加重平均値、
ｐ＝三角法の公差の順序。
【１６３８】
ラインが数学的な柱から取り出される時、それは常にカーブと１回だけ交差する。
【１６３９】
ピストンによってほぼ定義することができるチャンバーおよび／またはの断面の特定の決まったセクター、次の公式：
【数４０】
2014527601.tif 000042
【数４１】
2014527601.tif 000043
【１６４０】
ｃｐ＝ｆ（ｘ）の加重平均値、
ｐ＝三角法の公差の順序を表わす；
また、極面中のこの断面がほぼ調和する場所は次の公式によって表わされる：
【数４２】
2014527601.tif 000044
【１６４１】
ここで、
【数４３】
2014527601.tif 000045
【１６４２】
そして、ここで、
ｒ＝活性化するピンの円形断面中の「ｐｅｔａｌｓ」の限界、
ｒ０＝活性化するピンの軸のまわりの円形断面の半径、
ａ＝「花弁」の長さのスケールファクター、
ｒｍａｘ＝ｒ０＋ａ；
ｍ＝「花弁」幅の定義のためのパラメーター；
ｎ＝「花弁の数の定義のためのパラメーター
φ＝カーブを制限する角度。
【１６４３】
入口は、ピストン手段の密封部分の性質のためストロークの端に接近して位置する。
【１６４４】
これらの特定のチャンバーは射出成形によって作製されることがある。また、たとえば、またいわゆる超塑性成形方法の使用によって、アルミシートが加熱され、気圧によって押される場所はツールキャビティで強要したか、またツール移動を使用して生じた。
【１６４５】
図２１５Ａは、そのエリアがあるステップで減少するチャンバーの一連の横断線断面を示す。その一方で円周は一定のこれらのままである、２つのユニークなモジュール式パラメター化フーリエ級数展開によって定義される、各々のための１、機能を調整する。残された上面では、前記シリーズのスタート断面である断面がある。使用されるパラメーターのセットは図の底に示される。このシリーズは、横断線断面の減少するエリアのを示す。数、の中で、図において大胆、スタートするエリアサイズとして上げたままにしておかれた隅のものと共に、異なる形の減少する断面積のを示す。
【１６４６】
断面ボトムの形のエリア、正しい、残された上面の１つのほぼ２８％である。
【１６４７】
図２１５Ｂは、チャンバー１６２（それに中心軸に沿った円周のままであることにより、横断線断面積は変わる）の長手断面を示す。
【１６４８】
ピストン１６３。チャンバーは、壁セクション１５５、１５６、１５７、１５８のその横断線断面の異なる断面積の部分を有している。前記壁セクション間の遷移１５９、１６０、１６１。断面Ｇ−Ｇ、Ｈ−−ＨおよびＩ−Ｉが示される。断面Ｇ−Ｇはｃｉｒｃｌｅｒｏｕｎｄ断面を有している。その一方で断面Ｈ−−Ｈ  １５２は、断面Ｇ−Ｇの１つの９０−７０％の間のエリアをほぼ有していている。
【１６４９】
図２１５Ｃは、比較断面Ｇ−Ｇ  １５０として図２０７Ｇの、および点線中の横断線断面Ｈ−−Ｈ  １５２を示す。断面Ｈ−−Ｈは、断面Ｇ−Ｇのその９０−７０％の間のエリアをほぼ有している。遷移１５１（それは静穏になる）。また、チャンバーの最も小さい部分が示される。それは、断面Ｇ−Ｇの断面積のほぼ５０％を有している。
【１６５０】
図２１５Ｄは、比較断面Ｇ−Ｇとして図２０７Ｇの、および点線中の横断線断面Ｉ−Ｉを示す。断面Ｉ−Ｉつは、断面Ｇ−Ｇのその７０％のエリアをほぼ有している。遷移１５３は静穏になる。また、チャンバーの最も小さい部分が示される。図２１５Ｅは、そのエリアがあるステップで減少するチャンバーの一連の横断線断面を示す。その一方で円周は一定のこれらのままである、２つのユニークなモジュール式パラメター化フーリエ級数展開によって定義される、各々のための１、機能を調整する。残された上面では、前記シリーズのスタート断面である断面がある。使用されるパラメーターのセットは図の底に示される。このシリーズは、横断線断面の減少するエリアのを示す。しかし、また、円周定数のままであることによりこれらのエリアを増加させることは可能である。数、の中で、図において大胆、スタートするエリアサイズとして上げたままにしておかれた隅の一つと共に、異なる形の減少する断面積のを示す。断面積右下のサイズはスタートするエリアサイズのほぼ４９％である、左（上面）。
【１６５１】
図２１５Ｆは、境界カーブのある固定長のための最適化された卵形線、およびできるだけ小さい曲率を示す。最も小さい曲率半径のための通式、図の中で７Ｌ示される図の最大の曲率に対応する、次のとおりである：
【数４４】
2014527601.tif 000046
【１６５２】
指定された長さｙは次のものによって決定される。
【数４５】
2014527601.tif 000047
【１６５３】
ここで、
ｒ＝最も小さい曲率半径；
Ｌ＝境界長さ＝定数
Ａ１＝スタートする領域エリアＡ０の値を減少させた；
図２０３Ｄからの例として：領域エリアＡ０＝π（３０）２そして境界長さＬ＝６０π＝１８８．５、半径３０のディスクのエリアおよび境界長さに対応する長さは一定のために必要とされる。しかし、そのエリアは、指定されるべき値Ａ１に減少する。希望の最終配列はエリアＡ１＝π（１９／２）２＝２８３．５を有しているべきである。境界カーブのできるだけ小さい曲率を備えた卵形線は今ある：
ｒ＝１．５４；Ｋ＝ｌ／ｒ＝０．６５；χ＝８９．４。
【１６５４】
図の上のカーブは規模でない。また、図は原理だけを示す。
【１６５５】
カーブは、壁へのピストンのシーリングを改善することがあるカーブによって直線を交換することによりさらに最適化されることがある。
【１６５６】
中心軸３７０のまわりの中心に彼女にたとえば示されて、シリンダ壁３７４内のチャンバー３７５に移動している、弾力的に変形可能なコンテナー３７２を備えているピストン、およびテーパーが、３７３を囲むところで、図２１６は組み合わせを示す。ピストンは、少なくとも１つのピストンロッド３７１に絞首刑にされる。コンテナー’３７２と３７２は、前記チャンバー（３７２’）の第２の縦位置、および第一の縦位置（３７２）で示される。
【１６５７】
この文献に示されたすべての溶液も、一定のｃｉｒｃｕｍｐｈｅｒｅｎｔｉａｌなサイズを備えた断面を有しているチャンバーが妨害の問題のための溶液であることがあるピストン式と結合することがある。
【１６５８】
図２１７Ａは、壁３８１の内の凸状チャンバー３８０を示す。「ｓ」はストロークを意味する。
【１６５９】
図２１７Ｂは図２１７Ａの中で示される方向に力ストロークダイアグラムを示す。
【１６６０】
オペレーターがほぼチャンバーの第一の縦位置で流体の摂取が位置し、出口がほぼチャンバーの第２の縦位置にあるストロークで汲んでいる場合、このカーブは、力の最適化された変更を示す。カーブ接線、ほぼ汲むストロークの終わりに最大の操作力。
【１６６１】
図２１８Ａは、パラシュート３９１、およびホイール３９２によって可動で示された可動動力部３９０の例を示す。
【１６６２】
図２１８Ｂは、上面の１セットの太陽電池３９３およびモーター３９４を備えている動力部と共に、可動動力部３９０を示す。さらに、水ポンプ３９５、またコンプレッサー３９６。操縦するユニット３９７。
【１６６３】
図２１１Ｅ’は、図に描かれた出口弁に適応物を２１１Ｅ示す。ピストンロッド２６７は第二のチャンネルピン８００１に接続される。前記チャンネルピンはチャンネル８００２のガイドにインストールされる。チャンネルピンは平等化チャンネル８００３を閉じる。前記チャンネルピンは穴を有している。ピストンロッド２６７がチャンネル２９７の開口３０８中のピストン２９２を押す場合、それはチャンネル８００３を通って流れを許可する。サイド平等化チャンネルは、バルブ中のチャンネル３０５、３０６、３０７を流出チャンバー８００４に結び付ける。前記流出チャンバーはバルブの流出チャンバーであることがある。この配列はそうである、使用する、いつ、圧力、バルブの流入室の中で増す、十分でない、に、バルブの流出チャンバーからのバルブおよび低圧をａｃｔｉｖｉａｔｅする、バルブの活性化を引き起こすために使用されることがある。
【１６６４】
［５０７  好適な実施の形態］
図３０１は、つながれるべきクリップ留めのバルブ継手の中で、バルブアクチュエーターをたとえば示す、シュラーダーバルブ。ピストン４７７はまさににシリンダー４７０の第一の端４９２に近い。コネクターは収納する５００を有している。また、密閉する手段は１つの環状の部分４７５を備えている。安全にする手段は一時的なねじ４７６を備えている。ハウジングはまた重心軸４７９および（結合する、１つの）断面５１０を有している。
【１６６５】
図３０１Ａは、図３０１の拡大した詳細を示す。シリンダー４７０は、ピストン４７７のピストンリング５０８に適合する直径を備えたシリンダ壁部分５１１を有している。その第一の端−４９２の近くに、シリンダ壁は拡大壁部分４７５ａを備えている、４７５ｂ、拡大した直径を備えた４７６ａ、活性化するピンが有している場合、ピストンのまわりの流れチャンネル部分４７１、４７２、４７３を備えていることは、４７７と５０８を意味する、十分、バルブのコアを開けられた。圧力源からバルブまでの流れは今確立ことがある。シリンダー４７０機能の第一の端４９２、活性化するピンの移動のための停止としてここで。チャンネル部分４７３および４７４は、４７６ｃピストンコントロール手段の部分である。これらの部分は、選ばれた生産技術に依存するいくつかの形を有していることができる：例えば代替的に、チャンネル部分（５０７）がまた訓練された穴でありうる間に、射出成形によって作られたシリンダーとしての円および（５０７）のセクター部分としてのチャンネル部分４７３と４７４。チャンネル部分４７３と４７４を考慮することができることがある」形状の流れ。」また空力抵抗を低減するために構築される。斜軸形の拡大壁部分４７５ａは、間隔１［度］の中で重心軸４７９（それは０の［度］および２０未満の［度］よりも大きい）を備えた角度［トー］を通常有している〈［トー］圧力源からそれぞれ来る、ガスのおよび／または液体培地または媒体の方向に関しての〈１２の［度］。ピストンコントロールは、４７６ｃが壁４７６ａおよび４７６ｂを備えた３つの溝をそれぞれ有していることを意味する。壁４７６ａは、方向に関して０の［度］および２０未満の［度］（通常６つの［度］と１２の［度］の間隔の中で）よりも大きい角度［オメガ］を有している、ガス、あるいは圧力源からの液体培地または媒体造粒。４７３と４７４がそうである前述のチャンネル部分のための代案、チャンネル（５０７）、ここで、ピストン、コントロールする、溝を有していない。この選択肢では、重心軸４７９と、およびピストンコントロールのそばで平行な穴（５０７）は、チャンネル部分４７５ｂ（点線を備えた３つの穴として示される）および連結穴を接続する。
【１６６６】
図３０の１Ｂは、チャンネル部分４７３および４７４、ならびにストッパー４９２と共に、図３０１Ａからの断面Ｇ−Ｇを示す。代替チャンネル部分（５０７）は点線によってスケッチされる。
【１６６７】
図３０２は普遍的なクリップ留めのバルブ継手の中でバルブアクチュエーターを示す、で、収納する５０４、そしてで、１つの、密閉は結合する断面５０３の重心軸４８６の方向に、結合する断面の重心軸４８６で同軸で位置していた第一の環状の部分４８２および第二の環状シーリング部分４８３を備えていることを意味する。第一の環状シーリング部分４８２は、第２の環状シーリング部分４８３よりも結合する断面の開口５０２に接近している。また、第一の環状シーリング部分４８２の直径は、第２の環状シーリング部分４８３の直径よりも大きい。つながれたバルブは、少なくとも１ずつ安全になることができる」切り取る」（＝（すなわち一時的なねじ））４７６．しかしながら、互いの反対側の２個のクリップ４９３が望ましい。気密面４８２の近くのテーパーコーン５０１は、バルブを集中させるのを支援する。テーパーコーンは、重心軸４８６を備えた角度［オメガ］を有している。また、通常は、この角度は〉４５の［度］である。シリンダ壁部分５０９を備えた個別のシリンダースリーブ４９６は、どれが密閉されるか示される。それは、例えば固定される、収納する５０４の壁のスナップロック４９７．これは、斜軸形の拡大壁部分５１２の負失脚角度を可能にする経済的方法である。シリンダースリーブ４９６は有している、ピストンストップ４９５から遠く離れている、角度［シグマ］、その結果、ピストンリング５０８はそこに密閉していない。
【１６６８】
図３０２Ａは、拡大によってそれぞれ定義されたチャンネル部分４８０および４８１がピストンコントロール手段の部分４８７および４８８をそれぞれ囲むことを示す。活性化するピンは、ピストン４８４およびピストンロッド４８５で合理化されている。壁部分４８７は、圧力源から来るメディアの方向に見られた重心軸４８６を備えた角度［カッパ］を有している。それは０の［度］および２０未満の［度］（通常６つの［度］と１２の［度］の間隔の中で）よりも大きい。５０４を収納する壁の段差面４９８は、シリンダースリーブ４９６の壁からシリンダー４９９まで気密の連結をする。また、シリンダーの反対側の気密の連結をすることはもちろん可能である。シリンダースリーブ４９６の底に、斜軸形の拡大壁部分５１２が、ピストンリング５１５と一緒のどれがチャンネル部分４７１を形成するか示されてある。
【１６６９】
図３０２Ｂは、図３０２  Ａ、および活性化するピンの移動のためのストッパー４９５の断面Ｈ−−Ｈを示す。また、壁部分４８８およびチャンネル部分４８１が示される。
【１６７０】
図３０３は、図３０１からのものに比較可能な、活性化するピンを示す。ピストン５２９も示される。ピストンコントロールに対して密閉されないピストンロッド５３１必要。
【１６７１】
バルブアクチュエーターのシリンダー５３６はバルブ継手のうちの５３２の収納内にある。
【１６７２】
結合する断面５３０も示される。
【１６７３】
図３０３Ａは、膨張５３５を備えたチャンネル部分５３３、および放射状穿孔５３４として形成されたチャンネル部分５３４を示す。ピストンリング５３９は活性化するピンの位置に依存して、そのオリフィス５３７でこの導くチャンネルを開き閉じる。重心軸に関してのチャンネル部分５３４の方向は、図３０１Ａのチャンネル部分４７１の角度［トー］と比較可能である。膨張５３５の壁は壁４７６ａ図１Ａの角度［オメガ］に匹敵する角度を有している。また、シリンダー５３６のシリンダ壁部分５３８が示される。
【１６７４】
図３０４は活性化するピンおよびそのシリンダーを示す。それは図３０１に示された。これは組み立てられたパイプラインハウジングに構築される、５２０、５２１または同様物を意味する、その中でバネ力とのバルブ５２２は動作した、コアーピン５２３はたとえば位置している、シュラーダーバルブ。活性化するピンは、バルブのコアーピン５２３で係合している。
【１６７５】
図３０５は自在弁コネクターの中でバルブアクチュエーターを示す。それは図３０１の１つと比較可能である。しかしながら、中間の距離Ａを備えた、２つの密閉する手段５４０と５４１が、異なるサイズの２つのバルブを密閉することができる。シリンダ壁５５０中のシリンダー５４２の直径の２つの拡大１および２が、中間の距離Ｂと共に示される。活性化するピン５４３も、距離Ｂの上の係合する２レベルと共に示される。例えば、バルブが異なるタイプである場合、中間の距離は等しくなりえるかまたは別になりえる。その結果、コアーピンからシーリングまでの距離は同じではない。２つの拡大間で、１と２は筒部分５４５と共に、円筒壁部分５４４である。それはピストンリング５０８に適合する。また、収納する５４９からの重心軸５４６、結合する断面５４７およびその開口５４８を示される。
【１６７６】
［１９５９７の好適な実施の形態］
図４０１Ａは、硬質表面５（組み合わせ６はそれの近くで移動することがある）を備えた基礎４の３つの係合する表面１と２のうちの２つの間のラインＸＸを示す。硬質表面５（組み合わせ６はそれの近くで移動することがある）を備えた基礎４の３つの係合する表面２と３のうちの２つの間のラインＹ−Ｙ。硬質表面５（組み合わせ６はそれの近くで移動することがある）との基礎４の３つの接点１と２のうちの２つの間のラインＺ−Ｚ。
【１６７７】
図４０の１Ｂはｈａｍｂｅｒ  ７を備えていて、組み合わせ６を示す、１つの、ピストンロッド、ハンドル１０  ９のための８をガイドすること接点１、２および３（それらは硬質表面の方へ丸くなられる）を備えた基礎４。チャンバー７は、強化材１１による基礎４に堅く接続される。
【１６７８】
組み合わせ６がその休息位置１２にある場合、図４０２  Ａは、組み合わせ６のハンドル１０を示す。
【１６７９】
組み合わせ６と基礎４０の強化材１４の間の遷移１３が、その休息位置にある場合、図４０２Ｂはその休息位置１２に組み合わせ６を示す。遷移１３は柔軟性材料で作られていることがあり、チャンバー７の近くで位置する。
【１６８０】
ハンドル１０が前述の休息位置の前側側面のその休息位置１２から移動された場合、図４０２Ｃはハンドル０の活性化された位置１４を示す。
【１６８１】
ハンドルが前述の休息位置の裏面のその休息位置１２から移動された場合、図４０２Ｄはハンドル１０の活性化された位置１５を示す。
【１６８２】
ハンドルが前述の休息位置の左前身ごろ横にその休息位置１２から移動された場合、図４０２Ｅはハンドル１０の活性化された位置１６を示す。
【１６８３】
ハンドルが前述の休息位置のレフトバック横にその休息位置１２から移動された場合、図４０２Ｆはハンドル１０の活性化された位置１７を示す。
【１６８４】
ハンドルが前述の休息位置の右前身ごろ横にその休息位置１２から移動された場合、図４０２Ｇはハンドル１０の活性化された位置１８を示す。
【１６８５】
ハンドルが前述の休息位置のライトバック横にその休息位置１２から移動された場合、図４０２Ｈはハンドル１０の活性化された位置１９を示す。
【１６８６】
チャンバー７と基礎４の間の遷移が弾力的に変形可能なブッシング２０である場合、図４０３Ａは床ポンプを示す。
【１６８７】
図４０３Ｂは、チャンバー７と基礎４０の間の遷移の拡大を示す。チャンバー７は、ベース４０のチャンバー７の単純な実装を可能にして、ブッシング２０中の溝２２に応じる突出２１を有している。基礎４０の強化材４２の上の突出４１。
【１６８８】
チャンバー７と基礎４の間の遷移が弾力的に変形可能なブッシング２３である場合、図４０３Ｃは床ポンプを示す。
【１６８９】
図４０３  Ｄは、チャンバー７と４０の間の遷移の拡大を示す。チャンバー７は、基礎４０中のチャンバー７の単純な実装を可能にして、ブッシング２３中の突出２４に応じる溝２５を有している。
【１６９０】
図４０４Ａは、組み合わせ６を組み合わせ６および基礎４３の残りに関してのピストンロッドの横断線並進移動および／または偏差を許可するキャブ２５を備えた床ポンプの形で示す。基礎４３は、強化材４２によって、直接いることがあるか、または可撓なブッシングによって基礎４１にたとえば接続される。
【１６９１】
ピストン４４が基礎４３から最も遠いストロークの終わりにある場合、図４０４Ｂは図４０４Ａのキャップ２５のｅｎｌａｒｇｍｅｎｔを示す。ピストンロッド９は、案内装置２６（凸状接触内側表面３１はそれにピストンロッド９を備えたその中心線２７のインライン接触である）に移動している。案内装置２６は、表面３６および３７、および可撓なＯリング２８によってキャップ９内に保持されている。キャップ９および案内装置２６の表面３６と３７枚の間のスペース２９の断面積は示される、リング２８の断面積よりもそれ自体大きな、リング２８の本質的な圧縮を可能に（図をたとえば４０４Ｃ参照）するために距離、１つの、ピストンロッド９の外側と、キャブ９のスペース３３および３４の壁３８の間で。前記距離、１つの、ほぼピストンロッドと、キャブの上面のキャブ９の壁３８の間の同じ距離ｂであることがある。
【１６９２】
ピストンロッド’９の中心軸３２が下方に曲がった角度である場合、図４０４Ｃは図４Ｂを示す、１つの、組み合わせの残りの中心軸３０に関して。スペース’２９は、圧縮したリング’２８によってほとんど充填されている。それは翻訳された案内装置２６によって圧縮される。」スペース’３４。スペース’３３。案内装置’２６とピストンロッド’９の間の接触面３５。引き離す、１つの」引き離すよりも小さい、１つの、図４０４Ｂの。
【１６９３】
距離ｂ’は、図４０４Ｂの、および距離間の違い以上の距離ｂよりも小さい、１つの、そして。」
ピストン４４が基礎４３に近いストロークの終わりにあることがある場合、図４０４Ｄは図４０４Ａのキャップ２５の拡大を示す。組み合わせの中心線３０。キャブ２５の内壁３８とピストンロッド９の間のスペース３３および３４。
【１６９４】
ピストンロッド’９が距離に左に翻訳される場合、図４０４Ｅは図４０４Ｄを示す、１つの」ピストンロッド’９の外側とキャブ２５の内壁３８の間で。案内装置２６”は２８”を示されたリングを圧縮して、左に移動される、スペース２９”が圧縮したリングによってこの断面の中で２８”充填されたということである。ｓｐａｃｅ３３」ほぼ等しい、距離を備えたスペース３４”１つの」それは等しい距離ｂである」それはａを引き離すよりも小さい。
【１６９５】
図４０５Ａは、組み合わせ５５の中心軸５４に関して、ハンドル５２の左の部分５１およびハンドル５２の正しい部分５３を示す。角度、１つの、ハンドル５２の左の部分５１の中心軸５６と正しい部分の中心軸５７の間で、使用者Ｘの位置から見る場合、ハンドル５２のうちの５３は１８０未満の［度］である。左の部分５１の中心点６１および正しい部分５３の中心点６２。
【１６９６】
図４０５Ｂは示す、ハンドル５２および組み合わせ５５を備えている図５Ａの、床ポンプの正面図。左５１部分および右５３部分を備えたハンドル５２。組み合わせ５５の中心軸５４。
【１６９７】
図４０６Ａは、組み合わせ５５の中心軸５４に関して、ハンドル５９の左の部分５８およびハンドル５９の正しい部分６０を示す。使用者の位置Ｘから見る場合、ハンドル５９の左の部分５８の中心軸５６と、ハンドル５９の正しい部分６０の中心軸６１の間の角度［ベータ］は、１８０を超える［度］である。
【１６９８】
図４０６Ｂは示す、ハンドル５９および組み合わせ５５を備えている図４０６Ａの、床ポンプの正面図。左５８部分（＝は正しい部分５３のまわりで回転した）および正しい部分６０を備えたハンドル５９（＝は残された部分５１のまわりで回転した）。
【１６９９】
［５０７  発明の要約。］
それの本発明および実施形態のバルブアクチュエーターはそれぞれ１７まで請求項１と請求項２の主題である。バルブ継手および圧力容器または、ハンドポンプ、本発明のバルブアクチュエーターを備えていることはそうである、請求項１８と請求項１９の主題、それぞれ。請求項２０は、静止している構築でのバルブアクチュエーターの使用に向けられる。
【１７００】
本発明は、シリンダーの安い組み合わせを備えているバルブアクチュエーターを提供する、の内に、その中で活性化するピンを駆動するピストンは移動する、また単純な構築を有している、活性化するピン。活性化するピンがバネ力に係合するところで、この組み合わせは、化学工場などの静止している構築の中で使用することができる、動作した、バルブ（たとえば逃し弁）のコアーピン、のほかに、バルブ継手（たとえばビークルタイヤを膨張させることのための）。従来のバルブ継手の損失、本発明のバルブアクチュエーターによって克服された。このバルブアクチュエーター特徴、ピストンがその第一の位置の中で、シリンダーの第一の端からの第一のｐｒｅｄｅｔｅｎｎｉｎｅｄ距離にある場合に、シリンダーの中にふさわしいピストンリングを有しているピストン。ピストンの第二の位置では、それは、シリンダーの第一の端からの第二の所定の距離にある。そこでは第２の所定の距離は第一の所定の距離よりも大きい。シリンダ壁は、ピストンが第一の位置にある、ピストンが第２の位置にある場合に、シリンダーと結合する断面の間のガスのおよび／または液体培地の伝導が、ピストンによって禁じられる場合に、シリンダーと結合する断面の間のガスのおよび／または液体培地の伝導を許可することのための導くチャンネルを備えている。
【１７０１】
請求項６に記載の本発明のバルブアクチュエーターの１つの実施形態、特徴、圧力源から始動するべきバルブまでの導くチャンネル、圧力源から流れ、そして開かれたバネ力まで媒体を可能にして、ピストンが第一の位置にある場合、それはシリンダーの底の活性化するピンのピストンのまわりで配されたシリンダ径の拡大を備えている、動作した、バルブコアピン、シュラーダーバルブからたとえば。シリンダーの直径の拡大は均一のことがある。あるいは、シリンダ壁は、シリンダーのボトムの近くの１つまたはいくつかの断面を包含していることがある、ここで、シリンダーのセンターラインとシリンダ壁増加の間の距離、その結果、ピストンが第一の位置にある場合、ガスのおよび／または液体培地は、自由にピストンリングの縁のまわりで流れることができる。この実施形態の変形は、そのシリンダーが２度直径の拡大を有しているバルブアクチュエーター配列を有している。拡大の間の距離は、密閉する手段の密閉するレベルの間の距離と同じでありえる。異なるサイズの３つのバルブを結合することができる場合、バルブアクチュエーターは、３つの拡大を備えたシリンダーを備えていることがある。しかしながら、また、シリンダーの直径の拡大のための単一の配列を有しているバルブアクチュエーターに異なるサイズのバルブを接続することは可能である。今、したがって、拡大の数は結合することができるバルブの異なるバルブサイズの数とは異なることができる。
【１７０２】
請求項１０に記載の本発明の別の実施形態はバルブアクチュエーターの本体の一部を介して導くチャンネルを特色とする。チャンネルは、シリンダーと、バルブにつながれるバルブアクチュエーターの部分の間のガスのおよび／または液体培地のための通過を形成する。シリンダーのチャンネル開口のオリフィスは設置する、ピストンが第一の位置にある場合、圧力源からシリンダーまで流れるガスのおよび／または液体培地を加圧したようなものは、始動するべきバルブへのチャンネルを通ってさらに流れることがある。ピストンが第２の位置にある場合、チャンネルの中に加圧されたガスのおよび／または液体培地の流れが可能でないように、それはシリンダーを閉鎖する。
【１７０３】
空気（混合、の）の代わりに、どんな種類の気体および／または液体も活性化ピンを活性化することができ、ピストンがその第一の位置にある場合、バルブアクチュエーターのピストンのまわりで流れることができる。本発明は、結合する方法またはコネクター中の連結穴の数に関係なくバネ力操作されたコアーピン（たとえばシュラーダーバルブ）を備えたバルブがつなぐことができるすべてのタイプのバルブ継手の中で使用することができる。更に、バルブアクチュエーターに例えば結合することができる、手押し空気入れ、自動車ポンプまたはコンプレッサー。バルブアクチュエーターもバルブ継手中の安全にする手段のアベイラビリティに関係なく任意の圧力源（たとえばハンドポンプまたは圧力容器）に統合することができる。また、アクチュエーターの活性化するピンが永久にマウントされたバルブのコアーピンに係合する永久の構築の中で使用されることは本発明にとって可能である。
【１７０４】
上に説明された様々な実施形態は、例証を介して提供され、本発明を制限するためには構築されるべきでない。この分野の当業者は、示された代表的実施形態および適用に厳密に続かずに、本発明になされることがあり、ここに要求されるような本発明の真情および範囲から外れることなしで記述した、様々な修正および変更を容易に認識する。
【図１Ａ−１Ｂ】
2014527601.tif 000048
【図１Ｃ】
2014527601.tif 000049
【図２Ａ−２Ｂ】
2014527601.tif 000050
【図２Ｃ】
2014527601.tif 000051
【図３Ａ−３Ｂ】
2014527601.tif 000052
【図３Ｃ】
2014527601.tif 000053
【図３Ｄ】
2014527601.tif 000054
【図３Ｅ】
2014527601.tif 000055
【図３Ｆ】
2014527601.tif 000056
【図４】
2014527601.tif 000057
【図５Ａ】
2014527601.tif 000058
【図５Ｂ】
2014527601.tif 000059
【図５Ｃ】
2014527601.tif 000060
【図５Ｄ】
2014527601.tif 000061
【図５Ｅ】
2014527601.tif 000062
【図６Ａ】
2014527601.tif 000063
【図６Ｂ】
2014527601.tif 000064
【図６Ｃ】
2014527601.tif 000065
【図６Ｄ】
2014527601.tif 000066
【図６Ｅ】
2014527601.tif 000067
【図６Ｆ】
2014527601.tif 000068
【図６Ｇ】
2014527601.tif 000069
【図７Ｄ】
2014527601.tif 000070
【図７Ｅ】
2014527601.tif 000071
【図７Ｆ】
2014527601.tif 000072
【図７Ｇ】
2014527601.tif 000073
【図８】
2014527601.tif 000074
【図９Ａ−９Ｂ】
2014527601.tif 000075
【図９Ｃ】
2014527601.tif 000076
【図９Ｄ】
2014527601.tif 000077
【図１０Ａ−１０Ｃ】
2014527601.tif 000078
【図１０Ｄ−１０Ｆ】
2014527601.tif 000079
【図１０Ｇ−１０Ｉ】
2014527601.tif 000080
【図１０Ｊ−１０Ｌ】
2014527601.tif 000081
【図１０Ｍ】
2014527601.tif 000082
【図１０Ｎ】
2014527601.tif 000083
【図１１Ａ】
2014527601.tif 000084
【図１１Ｂ】
2014527601.tif 000085
【図１１Ｃ】
2014527601.tif 000086
【図１１Ｄ】
2014527601.tif 000087
【図１１Ｅ】
2014527601.tif 000088
【図１１Ｆ】
2014527601.tif 000089
【図１１Ｇ】
2014527601.tif 000090
【図１１Ｈ】
2014527601.tif 000091
【図１１Ｉ】
2014527601.tif 000092
【図１１Ｊ−１】
2014527601.tif 000093
【図１１Ｊ−２】
2014527601.tif 000094
【図１１Ｊ−３】
2014527601.tif 000095
【図１１Ｋ】
2014527601.tif 000096
【図１１Ｌ−１】
2014527601.tif 000097
【図１１Ｌ−２】
2014527601.tif 000098
【図１１Ｌ−３】
2014527601.tif 000099
【図１１Ｍ】
2014527601.tif 000100
【図１１Ｎ−１】
2014527601.tif 000101
【図１１Ｎ−２】
2014527601.tif 000102
【図１１Ｎ−３】
2014527601.tif 000103
【図１１Ｏ】
2014527601.tif 000104
【図１１Ｐ−１】
2014527601.tif 000105
【図１１Ｐ−２】
2014527601.tif 000106
【図１１Ｐ−３】
2014527601.tif 000107
【図１１Ｑ】
2014527601.tif 000108
【図１１Ｒ−１】
2014527601.tif 000109
【図１１Ｒ−２】
2014527601.tif 000110
【図１１Ｒ−３】
2014527601.tif 000111
【図１１Ｓ】
2014527601.tif 000112
【図１１Ｔ】
2014527601.tif 000113
【図１１Ｕ】
2014527601.tif 000114
【図１１Ｖ】
2014527601.tif 000115
【図１１Ｗ】
2014527601.tif 000116
【図１１Ｗ１】
2014527601.tif 000117
【図１１Ｘ】
2014527601.tif 000118
【図１２Ａ】
2014527601.tif 000119
【図１２Ｂ】
2014527601.tif 000120
【図１２Ｃ】
2014527601.tif 000121
【図１２Ｄ】
2014527601.tif 000122
【図１３Ａ】
2014527601.tif 000123
【図１３Ｂ】
2014527601.tif 000124
【図１３Ｃ】
2014527601.tif 000125
【図１３Ｄ】
2014527601.tif 000126
【図１３Ｅ】
2014527601.tif 000127
【図１３Ｆ】
2014527601.tif 000128
【図１３Ｇ】
2014527601.tif 000129
【図１４Ａ】
2014527601.tif 000130
【図１４Ｂ】
2014527601.tif 000131
【図１４Ｃ】
2014527601.tif 000132
【図１４Ｄ１】
2014527601.tif 000133
【図１４Ｄ２】
2014527601.tif 000134
【図１４Ｅ】
2014527601.tif 000135
【図１４Ｆ】
2014527601.tif 000136
【図１４Ｇ】
2014527601.tif 000137
【図１４Ｈ】
2014527601.tif 000138
【図１４Ｉ】
2014527601.tif 000139
【図１５Ａ】
2014527601.tif 000140
【図１５Ｂ】
2014527601.tif 000141
【図１５Ｃ】
2014527601.tif 000142
【図１５Ｄ】
2014527601.tif 000143
【図１５Ｅ】
2014527601.tif 000144
【図１６】
2014527601.tif 000145
【図１６Ｂ】
2014527601.tif 000146
【図１７Ａ】
2014527601.tif 000147
【図１７Ｂ】
2014527601.tif 000148
【図１７Ｃ−１】
2014527601.tif 000149
【図１７Ｃ−２】
2014527601.tif 000150
【図１７Ｃ−３】
2014527601.tif 000151
【図１７Ｃ−４】
2014527601.tif 000152
【図１７Ｄ−１】
2014527601.tif 000153
【図１７Ｄ−２】
2014527601.tif 000154
【図１７Ｄ−３】
2014527601.tif 000155
【図１７Ｄ−４】
2014527601.tif 000156
【図１７Ｅ−１】
2014527601.tif 000157
【図１７Ｅ−２】
2014527601.tif 000158
【図１７Ｅ−３】
2014527601.tif 000159
【図１７Ｅ−４】
2014527601.tif 000160
【図１７Ｆ−１】
2014527601.tif 000161
【図１７Ｆ−２】
2014527601.tif 000162
【図１７Ｆ−３】
2014527601.tif 000163
【図１７Ｆ−４】
2014527601.tif 000164
【図１７Ｇ−１】
2014527601.tif 000165
【図１７Ｇ−２】
2014527601.tif 000166
【図１７Ｇ−３】
2014527601.tif 000167
【図１７Ｇ−４】
2014527601.tif 000168
【図１７Ｈ−１】
2014527601.tif 000169
【図１７Ｈ−２】
2014527601.tif 000170
【図１７Ｈ−３】
2014527601.tif 000171
【図１７Ｈ−４】
2014527601.tif 000172
【図１７Ｉ】
2014527601.tif 000173
【図１８Ａ】
2014527601.tif 000174
【図１８Ｂ−１】
2014527601.tif 000175
【図１８Ｂ−２】
2014527601.tif 000176
【図１８Ｂ−３】
2014527601.tif 000177
【図１８Ｂ−４】
2014527601.tif 000178
【図１８Ｃ−１】
2014527601.tif 000179
【図１８Ｃ−２】
2014527601.tif 000180
【図１８Ｃ−３】
2014527601.tif 000181
【図１８Ｃ−４】
2014527601.tif 000182
【図１８Ｄ−１】
2014527601.tif 000183
【図１８Ｄ−２】
2014527601.tif 000184
【図１８Ｄ−３】
2014527601.tif 000185
【図１８Ｄ−４】
2014527601.tif 000186
【図１８Ｅ−１】
2014527601.tif 000187
【図１８Ｅ−２】
2014527601.tif 000188
【図１８Ｅ−３】
2014527601.tif 000189
【図１８Ｅ−４】
2014527601.tif 000190
【図１８Ｆ−１】
2014527601.tif 000191
【図１８Ｆ−２】
2014527601.tif 000192
【図１８Ｆ−３】
2014527601.tif 000193
【図１８Ｆ−４】
2014527601.tif 000194
【図１８Ｇ−１】
2014527601.tif 000195
【図１８Ｇ−２】
2014527601.tif 000196
【図１８Ｇ−３】
2014527601.tif 000197
【図１８Ｇ−４】
2014527601.tif 000198
【図１９Ａ】
2014527601.tif 000199
【図１９Ｂ−１】
2014527601.tif 000200
【図１９Ｂ−２】
2014527601.tif 000201
【図１９Ｂ−３】
2014527601.tif 000202
【図１９Ｃ−１】
2014527601.tif 000203
【図１９Ｃ−２】
2014527601.tif 000204
【図１９Ｃ−３】
2014527601.tif 000205
【図１９Ｄ】
2014527601.tif 000206
【図２１Ａ】
2014527601.tif 000207
【図２１Ｂ】
2014527601.tif 000208
【図２２】
2014527601.tif 000209
【図２３】
2014527601.tif 000210
【図２４】
2014527601.tif 000211
【図２５】
2014527601.tif 000212
【図３０Ａ】
2014527601.tif 000213
【図３０Ｂ】
2014527601.tif 000214
【図３１Ａ】
2014527601.tif 000215
【図３１Ｂ】
2014527601.tif 000216
【図３２Ａ】
2014527601.tif 000217
【図３２Ｂ】
2014527601.tif 000218
【図３２Ｃ】
2014527601.tif 000219
【図３２Ｄ】
2014527601.tif 000220
【図３２Ｅ】
2014527601.tif 000221
【図３２Ｆ】
2014527601.tif 000222
【図３２Ｇ】
2014527601.tif 000223
【図３２Ｈ】
2014527601.tif 000224
【図３２Ｉ】
2014527601.tif 000225
【図３２Ｊ】
2014527601.tif 000226
【図３２Ｋ】
2014527601.tif 000227
【図３２Ｌ】
2014527601.tif 000228
【図３２Ｍ】
2014527601.tif 000229
【図４０Ａ−４０Ｂ】
2014527601.tif 000230
【図４０Ｃ】
2014527601.tif 000231
【図４１Ａ−４１Ｂ】
2014527601.tif 000232
【図４１Ｃ】
2014527601.tif 000233
【図４１Ｄ】
2014527601.tif 000234
【図４１Ｅ】
2014527601.tif 000235
【図４２Ａ−４２Ｂ】
2014527601.tif 000236
【図４２Ｃ】
2014527601.tif 000237
【図５０】
2014527601.tif 000238
【図５１】
2014527601.tif 000239
【図５２】
2014527601.tif 000240
【図５５Ａ】
2014527601.tif 000241
【図５５Ｂ−５５Ｄ】
2014527601.tif 000242
【図５５Ｅ−５５Ｆ】
2014527601.tif 000243
【図５６Ｇ−５６Ｈ】
2014527601.tif 000244
【図６０】
2014527601.tif 000245
【図６１】
2014527601.tif 000246
【図６２Ａ】
2014527601.tif 000247
【図６２Ｂ】
2014527601.tif 000248
【図６３】
2014527601.tif 000249
【図６４Ａ】
2014527601.tif 000250
【図６４Ｂ】
2014527601.tif 000251
【図８０Ａ−８０Ｆ】
2014527601.tif 000252
【図８０Ｇ】
2014527601.tif 000253
【図８０Ｈ】
2014527601.tif 000254
【図８０Ｉ】
2014527601.tif 000255
【図８０Ｊ】
2014527601.tif 000256
【図８１Ａ−８１Ｃ】
2014527601.tif 000257
【図８１Ｄ】
2014527601.tif 000258
【図８２Ａ−８２Ｃ】
2014527601.tif 000259
【図８２Ｄ】
2014527601.tif 000260
【図８３Ａ】
2014527601.tif 000261
【図８３Ｂ】
2014527601.tif 000262
【図８３Ｃ】
2014527601.tif 000263
【図８３Ｄ】
2014527601.tif 000264
【図８３Ｅ】
2014527601.tif 000265
【図８３Ｆ】
2014527601.tif 000266
【図８３Ｇ】
2014527601.tif 000267
【図８３Ｈ】
2014527601.tif 000268
【図８３Ｉ】
2014527601.tif 000269
【図８３Ｊ】
2014527601.tif 000270
【図８３Ｋ】
2014527601.tif 000271
【図８４Ａ】
2014527601.tif 000272
【図８４Ｂ】
2014527601.tif 000273
【図８４Ｃ】
2014527601.tif 000274
【図８４Ｄ】
2014527601.tif 000275
【図８４Ｅ】
2014527601.tif 000276
【図８４Ｆ】
2014527601.tif 000277
【図９０Ａ】
2014527601.tif 000278
【図９０Ｂ】
2014527601.tif 000279
【図９０Ｃ】
2014527601.tif 000280
【図９０Ｄ】
2014527601.tif 000281
【図９０Ｅ】
2014527601.tif 000282
【図９０Ｆ】
2014527601.tif 000283
【図９０Ｇ】
2014527601.tif 000284
【図９０Ｈ】
2014527601.tif 000285
【図９０Ｉ】
2014527601.tif 000286
【図９０Ｊ】
2014527601.tif 000287
【図９０Ｋ】
2014527601.tif 000288
【図９０Ｌ】
2014527601.tif 000289
【図９１Ａ】
2014527601.tif 000290
【図９１Ｂ】
2014527601.tif 000291
【図９１Ｃ】
2014527601.tif 000292
【図９１Ｄ】
2014527601.tif 000293
【図９１Ｅ】
2014527601.tif 000294
【図９２Ａ】
2014527601.tif 000295
【図９２Ｂ】
2014527601.tif 000296
【図９２Ｃ】
2014527601.tif 000297
【図９３Ａ−９３Ｂ】
2014527601.tif 000298
【図１００】
2014527601.tif 000299
【図１０２Ａ】
2014527601.tif 000300
【図１０２Ｂ】
2014527601.tif 000301
【図１０３Ａ−１０３Ｃ】
2014527601.tif 000302
【図１０３Ｄ】
2014527601.tif 000303
【図１０４Ａ−１０４Ｃ】
2014527601.tif 000304
【図１０４Ｄ】
2014527601.tif 000305
【図１０４Ｅ】
2014527601.tif 000306
【図１０４Ｆ】
2014527601.tif 000307
【図１０５−１】
2014527601.tif 000308
【図１０５−２】
2014527601.tif 000309
【図１０５−３】
2014527601.tif 000310
【図１０６Ａ−１０６Ｃ】
2014527601.tif 000311
【図１０６Ｄ】
2014527601.tif 000312
【図１０６Ｅ】
2014527601.tif 000313
【図１０６Ｆ】
2014527601.tif 000314
【図１０７Ａ−１０７Ｃ】
2014527601.tif 000315
【図１０７Ｄ】
2014527601.tif 000316
【図１０７Ｅ】
2014527601.tif 000317
【図１０７Ｆ】
2014527601.tif 000318
【図１０７Ｇ】
2014527601.tif 000319
【図１０７Ｈ】
2014527601.tif 000320
【図１０７Ｉ】
2014527601.tif 000321
【図１０７Ｊ】
2014527601.tif 000322
【図１０７Ｋ】
2014527601.tif 000323
【図１０７Ｌ】
2014527601.tif 000324
【図１０７Ｍ】
2014527601.tif 000325
【図１０８Ａ−１０８Ｂ】
2014527601.tif 000326
【図１０８Ｃ】
2014527601.tif 000327
【図１０９Ａ−１０９Ｂ】
2014527601.tif 000328
【図１０９Ｃ】
2014527601.tif 000329
【図１０９Ｄ】
2014527601.tif 000330
【図１１０Ａ−１１０Ｂ】
2014527601.tif 000331
【図１１０Ｃ】
2014527601.tif 000332
【図１１１Ａ−１１１Ｂ】
2014527601.tif 000333
【図１１１Ｃ】
2014527601.tif 000334
【図１１２Ａ−１１２Ｂ】
2014527601.tif 000335
【図１１２Ｃ】
2014527601.tif 000336
【図１１３Ａ−１１３Ｄ】
2014527601.tif 000337
【図２０１Ａ】
2014527601.tif 000338
【図２０１Ｂ】
2014527601.tif 000339
【図２０２Ａ】
2014527601.tif 000340
【図２０２Ｂ】
2014527601.tif 000341
【図２０２Ｃ】
2014527601.tif 000342
【図２０２Ｄ】
2014527601.tif 000343
【図２０３Ａ】
2014527601.tif 000344
【図２０３Ｂ】
2014527601.tif 000345
【図２０４Ａ】
2014527601.tif 000346
【図２０４Ｂ】
2014527601.tif 000347
【図２０４Ｃ】
2014527601.tif 000348
【図２０４Ｄ】
2014527601.tif 000349
【図２０５Ａ】
2014527601.tif 000350
【図２０５Ｂ】
2014527601.tif 000351
【図２０５Ｃ】
2014527601.tif 000352
【図２０５Ｄ】
2014527601.tif 000353
【図２０６Ａ−２０６Ｂ】
2014527601.tif 000354
【図２０６Ｃ】
2014527601.tif 000355
【図２０６Ｄ】
2014527601.tif 000356
【図２０６Ｅ】
2014527601.tif 000357
【図２０６Ｆ】
2014527601.tif 000358
【図２０６Ｇ】
2014527601.tif 000359
【図２０６Ｈ】
2014527601.tif 000360
【図２０７Ａ−２０７Ｂ】
2014527601.tif 000361
【図２０７Ｃ】
2014527601.tif 000362
【図２０８Ａ−２０８Ｂ】
2014527601.tif 000363
【図２０８Ｃ】
2014527601.tif 000364
【図２０８Ｄ】
2014527601.tif 000365
【図２０８Ｅ】
2014527601.tif 000366
【図２０８Ｆ】
2014527601.tif 000367
【図２０８Ｇ】
2014527601.tif 000368
【図２０９Ａ−２０９Ｂ】
2014527601.tif 000369
【図２０９Ｃ】
2014527601.tif 000370
【図２１０−１】
2014527601.tif 000371
【図２１０−２】
2014527601.tif 000372
【図２１０−３】
2014527601.tif 000373
【図２１１−１】
2014527601.tif 000374
【図２１１−２】
2014527601.tif 000375
【図２１１−３】
2014527601.tif 000376
【図２１１−４】
2014527601.tif 000377
【図２１１−５】
2014527601.tif 000378
【図２１１−６】
2014527601.tif 000379
【図２１２】
2014527601.tif 000380
【図２１３Ａ−２１３Ｄ】
2014527601.tif 000381
【図２１４】
2014527601.tif 000382
【図２１５Ａ】
2014527601.tif 000383
【図２１５Ｂ】
2014527601.tif 000384
【図２１５Ｃ】
2014527601.tif 000385
【図２１５Ｄ】
2014527601.tif 000386
【図２１５Ｅ】
2014527601.tif 000387
【図２１５Ｆ】
2014527601.tif 000388
【図２１６】
2014527601.tif 000389
【図２１７Ａ】
2014527601.tif 000390
【図２１７Ｂ】
2014527601.tif 000391
【図２１８Ａ】
2014527601.tif 000392
【図２１８Ｂ】
2014527601.tif 000393
【図３０１−３０１Ａ】
2014527601.tif 000394
【図３０１Ｂ】
2014527601.tif 000395
【図３０２−３０２Ａ】
2014527601.tif 000396
【図３０２Ｂ】
2014527601.tif 000397
【図３０３−３０３Ａ】
2014527601.tif 000398
【図３０４】
2014527601.tif 000399
【図３０５】
2014527601.tif 000400
【図４０１Ａ】
2014527601.tif 000401
【図４０１Ｂ】
2014527601.tif 000402
【図４０２Ａ】
2014527601.tif 000403
【図４０２Ｂ】
2014527601.tif 000404
【図４０２Ｇ】
2014527601.tif 000405
【図４０２Ｈ】
2014527601.tif 000406
【図４０３Ａ−４０３Ｂ】
2014527601.tif 000407
【図４０３Ｃ−４０３Ｄ】
2014527601.tif 000408
【図４０４Ａ．４０４Ｄ】
2014527601.tif 000409
【図４０４Ｂ】
2014527601.tif 000410
【図４０４Ｃ】
2014527601.tif 000411
【図４０４Ｅ】
2014527601.tif 000412
【図４０５Ａ】
2014527601.tif 000413
【図４０５Ｂ】
2014527601.tif 000414
【図４０６Ａ】
2014527601.tif 000415
【図４０６Ｂ】
2014527601.tif 000416
【国際調査報告】
2014527601.tif 000417
2014527601.tif 000418
2014527601.tif 000419
2014527601.tif 000420
2014527601.tif 000421